(57)【要約】    【課題】      安全性と利便性とに優れたエレクトロニック・コマースを実現すること。    【解決手段】  電子財布(100)は、無線通信によってエレクトロニック・コマースのサービス提供手段(110)から電子チケット、電子プリペイドカード、電子テレホンカードなどのインストールを受け、そして、それを使用して商品やサービスの供給側からそれらの提供や必要な許可を受け、その際に供給側の端末など(101)(102)(103)(104)(105)と通信して決済処理を行う。決済処理のデータは所定時期に供給側からサービス提供手段に送信されて管理される。個々のカードは、供給側に提示する部分に加え、カードのタイプに特有の処理をサポートするプログラムの部分、使用登録されていることを示す証明書の部分をもつ。カードの入手が場所を選ばず容易になり、また決済処理も迅速で正確なものとなる。  【選択図】      図１  
2006040298.tif 000002
【特許請求の範囲】
【請求項１】
モバイルユーザ端末装置とサービス提供端末装置とを具備するモバイル・エレクトロニックコマース・システムにおける電子的有価カードの使用方法であって、
前記モバイルユーザ端末装置が、前記サービス提供端末装置からの命令に基づいて前記電子的有価カードが内包する電子的価値を更新するとともに、前記電子的有価カードの使用を証明するメッセージに前記電子的有価カードが内包する固有の鍵による電子署名を施して前記メッセージを前記サービス提供端末装置に送信する、
モバイル・エレクトロニックコマース・システムにおける電子的有価カードの使用方法。
【請求項２】
モバイルユーザ端末装置とサービス提供端末装置とを具備するモバイル・エレクトロニックコマース・システムにおける電子的有価カードの使用方法であって、
前記モバイルユーザ端末装置が、前記サービス提供端末装置に対して、保有している前記電子的有価カードの使用の申出である第一メッセージを送信する第一送信ステップと、
前記サービス提供端末装置が、受信した前記第一メッセージに示された申出の内容を検証した後に、前記モバイルユーザ端末装置に対して、前記第一メッセージの検証結果と前記電子的有価カードについての命令とを示す第二メッセージを送信する第二送信ステップと、
前記モバイルユーザ端末装置が、受信した前記第二メッセージの内容を検証した後に、前記第二メッセージが示す前記命令に基づいて前記電子的有価カードが内包する電子的価値を更新するとともに、前記電子的有価カードの使用を証明する第三メッセージに前記電子的有価カードが内包する固有の鍵による電子署名を施して前記第三メッセージを前記サービス提供端末装置に送信する第三送信ステップと、
前記サービス提供端末装置が、受信した前記第三メッセージの内容を検証した後に、前記モバイルユーザ端末装置に対して、前記第三メッセージを受領したこと及び前記電子的有価カードの使用処理が完了したことを示す第四メッセージを送信する第四送信ステップと、
を具備するモバイル・エレクトロニックコマース・システムにおける電子的有価カードの使用方法。
【請求項３】
前記第一送信ステップでは、前記モバイルユーザ端末装置が、前記サービス提供端末装置に対して、前記モバイルユーザ端末装置において前記電子的有価カードの使用をユニークに示す要求番号を含む前記第一メッセージを送信し、
前記第二送信ステップでは、前記サービス提供端末装置が、受信した前記第一メッセージに示された前記電子的有価カードを検証した後に、前記モバイルユーザ端末装置に対して、前記要求番号と前記サービス提供端末装置において前記電子的有価カードの使用をユニークに示すトランザクション番号とを含む第二メッセージを送信し、
前記第三送信ステップでは、前記モバイルユーザ端末装置が、受信した前記第二メッセージの内容を検証した後に、前記サービス提供端末装置に対して、前記要求番号と前記トランザクション番号とを含む前記第三メッセージを送信し、
前記第四送信ステップでは、前記サービス提供端末装置が、受信した前記第三メッセージの内容を検証した後に、前記モバイルユーザ端末装置に対して、前記要求番号と前記トランザクション番号とを含む前記第四メッセージを送信する、
請求項２記載の電子的有価カードの使用方法。
【請求項４】
前記モバイルユーザ端末装置が、前記第一メッセージの送信と前記第二メッセージの受信及び前記第三送信ステップの前記第二メッセージの内容を検証する処理において、前記サービス提供端末装置のチャレンジレスポンス認証を行ない、
前記サービス提供端末装置が、前記第二メッセージの送信と前記第三メッセージの受信及び前記第四送信ステップの前記第三メッセージの内容を検証する処理において、前記電子的有価カードのチャレンジレスポンス認証を行なう、
請求項２記載の電子的有価カードの使用方法。
【請求項５】
前記第三メッセージには、前記電子的有価カードの使用において前記モバイルユーザ端末装置が生成する第三メッセージのシリアル番号を示す発行番号が含まれる、
請求項２記載の電子的有価カードの使用方法。
【請求項６】
前記モバイル・エレクトロニックコマース・システムは、モバイルユーザ端末装置と、サービス提供端末装置と、サービス提供装置と、を具備し、
前記モバイルユーザ端末装置が、前記サービス提供装置に対して、受信した前記第四メッセージに示された前記電子的有価カードの使用情報を含むアップロードデータを送信する第五送信ステップと、
前記サービス提供装置が、受信した前記アップロードデータを検証し、不正な改竄を検出した場合には、前記モバイルユーザ端末装置に対して、前記電子的有価カードの使用を停止させる第六メッセージを送信する第六送信ステップと、をさらに具備する、
請求項２記載の電子的有価カードの使用方法。
【請求項７】
前記電子的有価カードは、電子チケット、電子プリペードカード、または、電子テレフォンカードを内容とするプログラムデータである、
請求項１記載の電子的有価カードの使用方法。
【請求項８】
前記モバイルユーザ端末装置が携帯電話であり、前記サービス提供端末装置が電話交換局装置であり、かつ、前記電子的有価カードが電子テレフォンカードであって、
前記第一送信ステップから前記第四送信ステップまでが実行された後に、さらに、
前記電話交換局装置が、前記携帯電話による通話開始時から所定時間経過する毎に、前記携帯電話に対して、通話料金を請求する第七メッセージを送信する第七送信ステップと、
前記携帯電話が、受信した前記第七メッセージの内容を検証した後に、前記電子テレフォンカードが内包する電子的価値を減額するとともに、通話料金の支払いを証明する第八メッセージに前記電子テレフォンカードが内包する固有の鍵による電子署名を施して前記第八メッセージを前記電話交換局装置に送信する第八送信ステップと、
前記電話交換局装置が、受信した前記第八メッセージの内容を検証した後に、前記携帯電話に対して、支払われた通話料金の領収書である第九メッセージを送信する第九送信ステップと、をさらに具備する、
請求項２記載の電子的有価カードの使用方法。
【請求項９】
前記電子的有価カードを格納したＩＣカードが前記モバイルユーザ端末装置に装着される装着ステップ、をさらに具備する、
請求項１記載の電子的有価カードの使用方法。
【請求項１０】
モバイルユーザ端末装置と、サービス提供端末装置と、を具備するモバイル・エレクトロニックコマース・システムであって、
前記モバイルユーザ端末装置は、電子的有価カードを保有しており、前記サービス提供端末装置からの命令に基づいて前記電子的有価カードが内包する電子的価値を更新するとともに、前記電子的有価カードの使用を証明するメッセージに前記電子的有価カードが内包する固有の鍵による電子署名を施して前記メッセージを前記サービス提供端末装置に送信する、
モバイル・エレクトロニックコマース・システム。
【請求項１１】
モバイルユーザ端末装置と、サービス提供端末装置と、を具備するモバイル・エレクトロニックコマース・システムであって、
前記モバイルユーザ端末装置は、電子的有価カードを保有しており、前記サービス提供端末装置に対して前記電子的有価カードの使用の申出である第一メッセージを送信し、さらに前記第一メッセージに対する前記サービス提供端末装置からの応答である第二メッセージを受信してその内容を検証した後に、前記第二メッセージが示す命令に基づいて前記電子的有価カードが内包する電子的価値を更新するとともに、前記電子的有価カードの使用を証明する第三メッセージに前記電子的有価カードが内包する固有の鍵による電子署名を施して前記第三メッセージを前記サービス提供端末装置に送信し、
前記サービス提供端末装置は、受信した前記第一メッセージに示された申出の内容を検証した後に、前記モバイルユーザ端末装置に対して前記第一メッセージの検証結果と前記電子的有価カードについての命令を示す第二メッセージを送信し、さらに受信した前記第三メッセージの内容を検証した後に、前記モバイルユーザ端末装置に対して前記第三メッセージを受領したこと及び前記電子的有価カードの使用処理が完了したことを示す第四メッセージを送信する、
モバイル・エレクトロニックコマース・システム。
【請求項１２】
前記モバイルユーザ端末装置が携帯電話である、
請求項１０記載のモバイル・エレクトロニックコマース・システム。
【請求項１３】
前記サービス提供端末装置が自動販売機である、
請求項１０記載のモバイル・エレクトロニックコマース・システム。
【請求項１４】
モバイルユーザ端末装置とサービス提供端末装置とを具備するモバイル・エレクトロニックコマース・システムにおいて、前記サービス提供端末装置と通信を行う前記モバイルユーザ端末装置であって、
前記サービス提供端末装置からの命令に基づいて前記電子的有価カードが内包する電子的価値を更新する更新手段と、
前記電子的有価カードの使用を証明するメッセージに前記電子的有価カードが内包する固有の鍵による電子署名を施す証明手段と、
電子署名された前記メッセージを前記サービス提供端末装置に送信する送信手段と、
を具備するモバイルユーザ端末装置。
【請求項１５】
モバイルユーザ端末装置とサービス提供端末装置とを具備するモバイル・エレクトロニックコマース・システムにおいて、前記サービス提供端末装置と通信を行う前記モバイルユーザ端末装置であって、
前記サービス提供端末装置に対して保有している前記電子的有価カードの使用の申出である第一メッセージを送信する送信手段と、
前記第一メッセージに示された申出の内容を検証した前記サービス提供端末装置から送信されてくる前記第一メッセージの検証結果と前記電子的有価カードについての命令とを示す第二メッセージを受信する受信手段と、を具備し、
送信手段は、さらに、受信された前記第二メッセージの内容を検証した後に、前記第二メッセージが示す前記命令に基づいて前記電子的有価カードが内包する電子的価値を更新するとともに、前記電子的有価カードの使用を証明する第三メッセージに前記電子的有価カードが内包する固有の鍵による電子署名を施して前記第三メッセージを前記サービス提供端末装置に送信し、
受信手段は、さらに、前記第三メッセージを受信してその内容を検証した前記サービス提供端末装置から送信されてくる前記第三メッセージを受領したこと及び前記電子的有価カードの使用処理が完了したことを示す第四メッセージを受信する、
モバイルユーザ端末装置。
【請求項１６】
モバイルユーザ端末装置とサービス提供端末装置と電子的有価カードを格納したＩＣカードとを具備するモバイル・エレクトロニックコマース・システムにおいて、前記モバイルユーザ端末装置に装着されることによって前記モバイルユーザ端末装置を介して前記サービス提供端末装置と通信を行う前記ＩＣカードであって、
前記サービス提供端末装置からの命令に基づいて前記電子的有価カードが内包する電子的価値を更新する更新手段と、
前記電子的有価カードの使用を証明するメッセージに前記電子的有価カードが内包する固有の鍵による電子署名を施す証明手段と、
電子署名された前記メッセージを前記サービス提供端末装置に送信する送信手段と、
を具備するＩＣカード。
【請求項１７】
モバイルユーザ端末装置とサービス提供端末装置と電子的有価カードを格納したＩＣカードとを具備するモバイル・エレクトロニックコマース・システムにおいて、前記モバイルユーザ端末装置に装着されることによって前記モバイルユーザ端末装置を介して前記サービス提供端末装置と通信を行う前記ＩＣカードであって、
前記サービス提供端末装置に対して格納している前記電子的有価カードの使用の申出である第一メッセージを送信する送信手段と、
前記第一メッセージに示された申出の内容を検証した前記サービス提供端末装置から送信されてくる前記第一メッセージの検証結果と前記電子的有価カードについての命令とを示す第二メッセージを受信する受信手段と、を具備し、
送信手段は、さらに、受信された前記第二メッセージの内容を検証した後に、前記第二メッセージが示す前記命令に基づいて前記電子的有価カードが内包する電子的価値を更新するとともに、前記電子的有価カードの使用を証明する第三メッセージに前記電子的有価カードが内包する固有の鍵による電子署名を施して前記第三メッセージを前記サービス提供端末装置に送信し、
受信手段は、さらに、前記第三メッセージを受信してその内容を検証した前記サービス提供端末装置から送信されてくる前記第三メッセージを受領したこと及び前記電子的有価カードの使用処理が完了したことを示す第四メッセージを受信する、
ＩＣカード。
【発明の詳細な説明】
【技術分野】
【０００１】
本発明は、プリペイドカードやクレジットカード（バンクカード）に代表される小売販売取引における決済機能、及び、移動体電話用のテレホンカードによる通話料金の決済機能、各種イベント、公演、映画等のチケットの改札機能、さらには、それら、プリペイドカードやテレホンカード、チケットの流通・販売機能を提供するエレクトロニックコマース・システムに関し、特に、利便性と、決済の安全性を担保し、効率的で、円滑な商取引を可能にするものである。
【背景技術】
【０００２】
近年、テレホンカードや、パチンコカード等のプリペイドカードの普及により、磁気カードを用いた、前払い方式による決済は、一つの決済方式として、一般的なものになっている。しかし、一方で、変造カードや、販売店による不正請求などのトラブルも増えており、決済システムとしての安全性の向上が求められている。最近では、不正防止対策の一つとして、ＩＣカードタイプのプリペイドカードも登場している。
【０００３】
以下では、ＩＣカードタイプのプリペイドカードも含めた、従来のプリペイドカードによる決済システムについて説明する。
【０００４】
図１３８（ａ）は、従来の一般的なプリペイドカードを用いた、前払い方式による決済システムの構成を示すものである。
【０００５】
図１３８（ａ）において、プリペイドカード端末13801は、小売販売店13806に設置され、販売店でのプリペイドカードによる決済を行なう端末である。プリペイドカード端末13801は、通信回線13804を介して、プリペイドカード発行者13807のセンターシステム13802に接続されている。販売店によっては、プリペイドカード端末13801は、販売店のＰＯＳシステム、及び、通信回線13804を介して、プリペイドカード発行者13807のセンターシステム13802に接続される。
【０００６】
プリペイドカードを用いて、小売販売店13806で商品を購入する場合、まず、消費者13805は、プリペイドカードを販売するプリペイドカード販売店13803で、現金を支払い（13808）、プリペイドカード13800を購入する（13809）。この時のプリペイドカードの売上は、プリペイドカード販売店13803から、プリペイドカード発行者13807に送られる（13810）。
【０００７】
次に、消費者13805は、小売販売店13806において、店員にプリペイドカード13800を渡し（13811）、プリペイドカードによる決済を依頼する。
【０００８】
店員は、プリペイドカード13800をプリペイドカード端末13801のカードリーダに挿入し、プリペイドカード決済の操作を行なう。すると、プリペイドカード端末13801は、プリペイドカード13800から、残高情報を読み出し、それから商品代金を差し引いた、新しい残高情報を、プリペイドカードに書き込む。そして、プリペイドカード端末13801は、代金計算の明細と、プリペイドカードの新しい残高とを示す計算書をプリンタから印字する。
【０００９】
店員は、購入された商品と、プリペイドカードと計算書を、消費者13805に引き渡し（13813、13812）、プリペイドカードによる決済を終了する。
【００１０】
この後、プリペイドカード端末13801は、通信回線13804を介して、プリペイドカード13800から差引いた金額をもとに、プリペイドカード発行者13807のセンターシステム13802に支払を請求し（13814）、それに対して、プリペイドカード発行者13807から、小売販売店13806に支払が行なわれる（13815）。
【００１１】
プリペイドカードは、プリペイドカードを販売する自動販売機から購入する場合もあり、また、プリペイドカード端末13801が、プリペイドカードによる決済機能を有する自動販売機や公衆電話の場合であっても、基本的な仕組みは同じである。
【００１２】
また、安全対策の一つとして、特公平６-１０３４２６号公報に開示されているように、プリペイドカードとカードリーダライタとの間で、デジタル署名を用いた相互認証を行なうシステムも提案されている。
【００１３】
また、プリペイドカードと同じように、前払い決済を行なう各種のイベントや、公演、映画等のチケットの販売と、その使用について考えてみると、チケットの発券は、オンラインによって行なわれているが、チケットの改札は、係員の目視によって行なわれている。
【００１４】
図１３８（ｂ）は、従来の一般的なチケットの販売システムの構成を示すものである。
【００１５】
図１３８（ｂ）において、チケット発券端末13817は、チケット販売店13820に設置され、チケットの発券処理を行なう端末である。チケット発券端末13817は、通信回線13819を介して、チケット発行者13821のセンターシステム13818に接続されている。
【００１６】
各種イベントや、公演、映画等のチケットを購入する場合、消費者13805は、まず、チケット発行者13821のセンターシステム13818に電話をかけ、希望のチケットの予約を行なう（13824）。センターシステム13818は、申込まれたチケットの予約処理を行ない、消費者13805に予約番号を発行する（13825）。
【００１７】
予約番号の発行を受けた消費者13805は、次に、チケット販売店13820へ行き、店員に、予約番号を伝え、チケットの発券を依頼する。
【００１８】
店員は、チケット発券端末13817に、予約番号を入力して、チケットの発券操作を行なう。すると、チケット発券端末13817は、通信回線13819を介して、予約番号をチケット発行者13821のセンターシステム13818へ送信し（13827）、それに対して、センターシステム13818から、予約されていたチケットのチケット情報が、チケット発券端末13817へ送信される（13828）。
【００１９】
チケット発券端末13817は、受信したチケット情報を、チケット発行者13821が定める特定の台紙に印字し、チケット13816として出力する。店員は、現金と引き換えに（13829）、発券したチケット13816を、消費者13805に渡し（13830）、チケットの販売を終了する。
【００２０】
この時のチケットの売上げは、チケット販売店13820の手数料を差引いて、チケット発行者13821へ送られ、さらに、チケット発行者13821の手数料を差引いて、販売したチケットのイベント興行主に支払れる（13834）。
【００２１】
次に、消費者13805は、購入したチケット13816のイベント会場13823へ行き、係員13822に、チケット13816を渡す（13832）。係員13822は、チケットの内容を目で確認し、チケットの内容が正しい場合に、消費者13805に入場を許可する（13833）。
【発明の開示】
【発明が解決しようとする課題】
【００２２】
しかし、従来のプリペイドカードを用いた、前払い方式による決済システムでは、販売店が主導的に決済処理の作業を進めるので、販売店が消費者を騙して、実際の商品の価格よりも、高い金額での決済処理を行なう場合があった。
【００２３】
また、従来の決済システムでは、販売店が、プリペイドカード端末を改造して、キャッシュレジスタの表示や、計算書の印字よりも、実際には、高い金額で決済処理を行なう場合があった。
【００２４】
また、従来の決済システムでは、基本的に、プリペイドカード端末によって、プリペイドカードの残高情報が書き換えられているだけであり、販売店が、プリペイドカード端末を改造して、実際にプリペイドカードから差引いた金額よりも高い金額を、センターシステムに請求する場合があった。
【００２５】
また、従来の決済システムでは、販売店に設置されているプリペイドカード端末に、直接、プリペイドカードをセットするので、販売店が、プリペイドカード端末を改造して、カード内の情報を改ざん、あるいは、プリペイドカード情報以外の個人情報を、不正に読み出す場合があった。
【００２６】
また、これらのプリペイドカード端末の不正な改造を防ぐために、分解ができないように、端末を封印するなど、物理的な対策を講ずる必要があり、このことが、プリペイドカード端末のコンパクト化と、コストダウンとのネックになっていた。
【００２７】
また、従来の決済システムでは、プリペイドカードの記録容量が限られており、また、プリペイドカードから差引かれた金額を、消費者が、直接、確認することができないことから、販売店は、決済時に、商品代金の明細とプリペイドカードの残高とを印字した計算書を、消費者に手渡す必要があり、このことが、販売の効率化と、省資源の実現のネックになっていた。
【００２８】
また、従来のチケットの販売システムでは、チケットを購入するには、結局、チケット販売店に行く必要があり、不便であった。
【００２９】
また、従来のチケットの販売システムでは、チケットの改札を、人の目視によって行なうため、不正確であり、また、非効率的であった。この為、チケットの偽造等による不正が行なわれる場合があった。
【００３０】
また、従来のチケットの販売システムでは、チケットを発行した後に、公演が中止になった場合、消費者は、もう一度、チケット販売店へ行って、払戻を受ける必要があり、不便であった。
【００３１】
また、従来の決済システム、及び、従来のチケットの販売システムでは、購入したプリペイドカードや、チケットを、友人等に譲渡する場合、直接、手渡すか、郵送する必要があり、不便であった。
【００３２】
本発明は、こうした従来の決済システムの課題を解決するものであり、安全性と利便性とに優れたモバイル・エレクトロニックコマース・システムを提供することを目的としている。
【課題を解決するための手段】
【００３３】
本発明では、モバイルユーザ端末装置と、サービス提供端末装置と、を具備するモバイル・エレクトロニックコマース・システムにおいて、前記モバイルユーザ端末装置は、電子的有価カードを保有しており、前記サービス提供端末装置に対して前記電子的有価カードの使用の申出である第一メッセージを送信し、さらに前記第一メッセージに対する前記サービス提供端末装置からの応答である第二メッセージを受信してその内容を検証した後に、前記第二メッセージが示す命令に基づいて前記電子的有価カードが内包する電子的価値を更新するとともに、前記サービス提供端末装置に対して前記電子的有価カードの使用を証明し、かつ、前記電子的有価カードの内包する固有の鍵によって電子署名された第三メッセージを送信し、前記サービス提供端末装置は、受信した前記第一メッセージに示された申出の内容を検証した後に、前記モバイルユーザ端末装置に対して前記第一メッセージの検証結果と前記電子的有価カードについての命令を示す第二メッセージを送信し、さらに受信した前記第三メッセージの内容を検証した後に、前記モバイルユーザ端末装置に対して前記第三メッセージを受領したこと及び前記電子的有価カードの使用処理が完了したことを示す第四メッセージを送信する構成を採る。
【００３４】
また、本発明では、電子財布が、電子的なプリペイドカードのプログラムを保有し、供給側から提供を受ける商品やサービスの対価を、プリペイドカードを使用して支払い、この時の支払いに伴う決済処理を、供給側との間で無線通信手段を通じて行なうようにしている。
【００３５】
また、本発明では、電子財布が、電子的なテレホンカードのプログラムを保有し、供給側の交換サービスを利用して無線通信手段で行なう通話の対価を、テレホンカードを使用して支払い、この時の支払いに伴う決済処理を、供給側との間で無線通信手段を通じて行なうようにしている。
【００３６】
また、本発明では、電子財布が、電子的なチケットを保有し、このチケットの情報を提示して、供給側からこのチケットでの入場許可を受けるための改札処理を、供給側との間で無線通信手段を通じて行なうようにしている。
【００３７】
このシステムでは、プリペイドカード、テレホンカード、あるいはチケットなどの電子的な有価カードを、通信手段を通じて、電子財布の中にダウンロードすることができ、それらの入手が容易である。この電子プリペイドカードで商品やサービスを購入したり、電子テレホンカードで通話課金を支払ったり、電子チケットで改札を通ったりする場合に、その決済処理や改札処理は、電子財布と供給側との間のデータの送受信を通じて行なわれるため、迅速で正確な処理が可能である。
【００３８】
また、これらの処理後に電子財布及び供給側の双方で保管されているデータは、定期的に、サービス提供手段によって照合・管理されるため、不正が防止できる。
【発明の効果】
【００３９】
本発明によれば、テレホンカード、あるいはチケットなどの電子的な有価カードを、通信手段を通じて、電子財布の中にダウンロードすることができ、それらの入手が容易である。また、この電子プリペイドカード、電子テレホンカードあるいは電子チケットを使用するときの決済処理や改札処理が迅速且つ正確に行なわれ、商取引の安全性と利便性とを得ることができる。
【００４０】
また、これらの商取引における不正が防止できるとともに、個人情報の秘密が守られる。
【００４１】
また、この電子プリペイドカード、電子テレホンカード及び電子チケットは、印刷物や記録媒体の形で、流通ルートに乗せることができ、広く普及させることができる。
【００４２】
また、モバイル環境での利便性を向上させることができ、使用環境に適したシステム形態を取ることができる。
【００４３】
また、キャッシュレスで、自動販売機の商品を購入することができ、利便性が向上する。
【００４４】
また、オペレータによる電子プリペイドカード決済手段の操作と、電子プリペイドカード決済手段が蓄積しているデータの担当者への提示とが可能となり、電子プリペイドカード決済手段の利便性が向上する。
【００４５】
また、モバイル環境で、商品の代金の計算と、決済処理とを行なうことができ、利便性が向上する。
【００４６】
また、商品のプロモーションから販売までを自動で行なうことができ、利便性が向上する。
【００４７】
また、通信サービスの提供と、その際の通信料金の回収とを、同時に行なうことができ、通信料金の回収率が向上する。
【００４８】
また、オペレータによる電子チケット手段の操作と、電子チケット手段が蓄積しているデータの担当者への提示とが可能となり、電子チケット手段の利便性が向上する。
【００４９】
また、サービス提供手段が、電子財布、電子プリペイドカード決済手段等の管理と、電子プリペイドカードサービス、電子テレホンカードサービス、電子チケットサービスの提供を効率よく行なうことができる。
【００５０】
また、決済処理手段が、効率的に決済処理を行なうことができる。
【００５１】
また、プリペイドカード発行手段が、効率的にプリペイドカードの発行処理を行なうことができる。
【００５２】
また、テレホンカード発行手段が、効率的にテレホンカードの発行処理を行なうことができる。
【００５３】
また、チケット発行手段が、効率的にチケットの発行処理を行なうことができる。
【００５４】
また、電子財布の所有者が、どこでも、プリペイドカード発行手段が発行するプリペイドカードを、電子プリペイドカードとして購入し、電子財布にダウンロードして、使用することができ、利便性が向上する。
【００５５】
また、支払う金額を、電子財布の所有者が指定するので、販売店側の不正を防止できる。
【００５６】
また、電子財布の所有者が、売買の内容を確認することができ、計算書等の紙をやり取りする必要がなく、販売の効率化が図れる。
【００５７】
また、電子財布の所有者が、どこでも、テレホンカード発行手段が発行するテレホンカードを、電子テレホンカードとして購入し、電子財布にダウンロードして、使用することができ、利便性が向上する。
【００５８】
また、プリペイド決済方式による無線通信サービスを受けることができ、利便性が向上する。
【００５９】
また、電子財布の所有者が、利用した無線通信サービスの内容を確認することができる。
【００６０】
また、電子財布の所有者が、どこでも、チケット発行手段が発行するチケットを、電子チケットとして購入し、電子財布にダウンロードして使用することができ、利便性が向上する。
【００６１】
また、チケットの改札を効率的に行なうことができる。
【００６２】
また、チケットの改札を、正確に、効率的に行なうことができる。
【００６３】
また、電子プリペイドカードを他の人に譲渡することができ、利便性が向上する。
【００６４】
また、電子プリペイドカードの譲渡を正確に行なうことができ、譲渡にともなうトラブルを防止できる。
【００６５】
また、電子テレホンカードを他の人に譲渡することができ、利便性が向上する。
【００６６】
また、電子テレホンカードの譲渡を正確に行なうことができ、譲渡にともなうトラブルを防止できる。
【００６７】
また、電子チケットを他の人に譲渡することができ、利便性が向上する。
【００６８】
また、電子チケットの譲渡を正確に行なうことができ、譲渡にともなうトラブルを防止できる。
【００６９】
また、電子財布の所有者は、どこでも、電子プリペイドカードを、電子財布にインストールすることができる。
【００７０】
また、電子財布の所有者が指定した電子プリペイドカードを、電子財布にインストールすることができる。
【００７１】
また、電子財布の所有者は、どこでも、電子テレホンカードを、電子財布にインストールすることができる。
【００７２】
また、電子財布の所有者が指定した電子テレホンカードを、電子財布にインストールすることができる。
【００７３】
また、電子財布の所有者は、どこでも、電子チケットを、電子財布にインストールすることができる。
【００７４】
また、電子財布の所有者が指定した電子チケットを、電子財布にインストールすることができる。
【００７５】
また、いたずら等による不正なインストールを防止できる。
【００７６】
また、単純な数字の入力によって、電子プリペイドカード、電子テレホンカード、電子チケットを、最大１億種類、１種類につき１０の３２乗枚分を識別できる。
【００７７】
また、電子財布の所有者は、購入の際の通信コストを削減でき、一方で、贈答品としての利用が期待でき、電子プリペイドカード、電子テレホンカード、電子チケットの流通と利用が促進される。
【００７８】
また、電子プリペイドカード、電子テレホンカード、電子チケットの流通と利用が促進される。
【００７９】
また、一度発行したチケットの内容変更を低コストで行なうことができる。
【００８０】
また、公演内容の変更を、電子チケットの所有者に、通知することができ、しかも、電子チケット自体を更新できる。
【００８１】
また、電子チケットの所有者は、払戻をするのに、チケット販売店に行く必要がなく、どこでも、払戻ができる。
【００８２】
また、計算機システムの計算機能を、各情報処理手段に対して、効率的に配分することができる。
【００８３】
また、使用される電子プリペイドカードと、休眠状態の電子プリペイドカードを別けて管理することができ、効率的なサービス運用が可能になる。
【００８４】
また、電子プリペイドカードを使用するには、使用登録をする必要があるので、使用登録されていない休眠状態の電子プリペイドカードが盗まれても、不正に使用される心配がない。
【００８５】
また、使用される電子テレホンカードと、休眠状態の電子テレホンカードを別けて管理することができ、効率的なサービス運用が可能になる。
【００８６】
また、電子テレホンカードを使用するには、使用登録をする必要があるので、使用登録されていない休眠状態の電子テレホンカードが盗まれても、不正に使用される心配がない。
【００８７】
また、使用される電子チケットと、使用されない電子チケットを別けて管理することができ、効率的なサービス運用が可能になる。
【００８８】
また、電子チケットを使用するには、使用登録をする必要があるので、使用登録されていない休眠状態の電子チケットが盗まれても、不正に使用される心配がない。
【００８９】
また、電子プリペイドカードによる決済、及び、電子プリペイドカードの譲渡を安全に行なうことができる。
【００９０】
また、電子財布と電子プリペイドカード決済手段との間で、相互認証処理を行なうことができ、プリペイドカード決済の安全性が向上する。
【００９１】
また、各種の電子プリペイドカードを、安全に、発行することができる。
【００９２】
また、プリペイドカード発行者ごとに、各種の電子プリペイドカードを、安全に、発行することができる。
【００９３】
また、電子テレホンカードによる通信料金の決済、及び、電子テレホンカードの譲渡を安全に行なうことができる。
【００９４】
また、電子テレホンカードが生成するメッセージに、電子テレホンカードのデジタル署名を行なうことができ、メッセージの有効性を証明できる。
【００９５】
また、電子財布と電子テレホンカード決済手段との間で、相互認証処理を行なうことができ、テレホンカード決済の安全性が向上する。
【００９６】
また、各種の電子テレホンカードを、安全に、発行することができる。
【００９７】
また、テレホンカード発行者ごとに、各種の電子テレホンカードを、安全に、発行することができる。
【００９８】
また、電子チケットの改札、及び、電子チケットの譲渡を安全に行なうことができる。
【００９９】
また、電子チケットが生成するメッセージに、電子チケットのデジタル署名を行なうことができ、メッセージの有効性を証明できる。 また、電子財布と電子チケット改札手段との間で、相互認証処理を行なうことができ、チケット改札の安全性が向上する。
【０１００】
また、各種の電子チケットを、安全に、発行することができる。
【０１０１】
また、チケット発行者ごとに、各種の電子チケットを、安全に、発行することができる。
【０１０２】
また、電子プリペイドカードを購入する際に、支払方法を選択することができ、利便性が向上する。
【０１０３】
また、プリペイドカード発行手段は、電子プリペイドカードに使用するテンプレートプログラムを指定でき、各種の電子プリペイドカードを発行できる。
【０１０４】
また、発行時に、表示部品情報を指定することができ、自由度の高い、各種の電子プリペイドカードを発行することができる。
【０１０５】
また、使用登録によって、電子プリペイドカードの署名鍵が更新されるので、安全性が向上する。
【０１０６】
また、使用する電子プリペイドカードを選択することができ、利便性が向上する。
【０１０７】
また、電子財布の所有者が指定された支払金額以上の金額が支払われることがないので、安全性が向上する。
【０１０８】
また、電子プリペイドカード決済手段に、支払に使用する電子プリペイドカードの内容が正確に示され、電子プリペイドカード決済手段は、有効な電子プリペイドカードか否かを判定できる。
【０１０９】
また、支払金額と、支払相手が保証され、販売店による不正な請求を防止できる。
【０１１０】
また、マイクロ小切手が、電子プリペイドカードの所有者によって発行されたものかが判定され、マイクロ小切手の有効性を正確に検証できる。
【０１１１】
また、マイクロ小切手の生成順序と、残り金額の整合性を検証することができ、マイクロ小切手の有効性を、さらに、正確に検証できる。
【０１１２】
また、自動的に、使用されたマイクロ小切手を回収し、有効性を検証することができる。
【０１１３】
また、譲渡する側と譲渡される側で、内容について交渉をすることができる。
【０１１４】
また、譲渡される側は、譲渡される前に、電子プリペイドカードの内容を確認することができる。
【０１１５】
また、譲渡する相手が保証され、プリペイドカード譲渡証明書メッセージが盗まれても、不正に使用されることがない。
【０１１６】
また、電子テレホンカードを購入する際に、支払方法を選択することができ、利便性が向上する。
【０１１７】
また、テレホンカード発行手段は、電子プリペイドカードに使用するテンプレートプログラムを指定でき、各種の電子テレホンカードを発行できる。
【０１１８】
また、発行時に、表示部品情報を指定することができ、自由度の高い、各種の電子テレホンカードを発行することができる。
【０１１９】
また、使用登録によって、電子テレホンカードの署名鍵が更新されるので、安全性が向上する。
【０１２０】
また、使用する電子テレホンカードを選択することができ、利便性が向上する。
【０１２１】
また、通信事業者は、提供する無線通信サービスに応じた料金を請求することができる。
【０１２２】
また、通信中に何回も追加料金の決済をしても、履歴情報は小さくてすむ。
【０１２３】
また、電子テレホンカード決済手段に、支払に使用する電子テレホンカードの内容が正確に示され、電子テレホンカード決済手段は、有効な電子テレホンカードか否かを判定できる。
【０１２４】
また、支払金額と、支払相手が保証され、電子テレホンカード決済手段の所有者による不正な請求を防止できる。
【０１２５】
また、電話マイクロ小切手メッセージが、電子テレホンカードの所有者によって発行したものかが判定され、電話マイクロ小切手メッセージの有効性を正確に検証できる。
【０１２６】
また、電話マイクロ小切手メッセージの生成順序と、残り金額の整合性を検証することができ、電話マイクロ小切手メッセージの有効性を、さらに、正確に検証できる。
【０１２７】
また、自動的に、使用された電話マイクロ小切手を回収し、有効性を検証することができる。
【０１２８】
また、譲渡する側と譲渡される側で、内容について交渉をすることができる。
【０１２９】
また、譲渡される側は、譲渡される前に、電子テレホンカードの内容を確認することができる。
【０１３０】
また、譲渡する相手が保証され、プリペイドカード譲渡証明書メッセージが盗まれても、不正に使用されることがない。
【０１３１】
また、電子チケットを購入する際に、支払方法を選択することができ、利便性が向上する。
【０１３２】
また、チケット発行手段は、電子チケットに使用するテンプレートプログラムを指定でき、各種の電子チケットを発行できる。
【０１３３】
また、発行時に、表示部品情報を指定することができ、自由度の高い、各種の電子チケットを発行することができる。
【０１３４】
また、使用登録によって、電子チケットの署名鍵が更新されるので、安全性が向上する。
【０１３５】
また、使用する電子チケットを選択することができ、利便性が向上する。
【０１３６】
また、電子チケット改札手段は、提示されたチケットの内容に応じた改札処理を行なうことができる。
【０１３７】
また、電子チケット改札手段に、使用する電子チケットの内容が正確に示され、電子チケット改札手段は、有効な電子チケットか否かを判定できる。
【０１３８】
また、改札をした電子チケットの内容が保証され、電子チケット改札手段の所有者による不正な請求を防止できる。
【０１３９】
また、チケット改札応答メッセージが、電子チケットの所有者によって発行したものかが判定され、チケット改札応答の有効性を正確に検証できる。
【０１４０】
また、チケット改札応答メッセージの生成順序と、状態の変化の整合性を検証することができ、チケット改札応答メッセージの有効性を、さらに、正確に検証できる。
【０１４１】
また、自動的に、チケット改札応答を回収し、有効性を検証することができる。
【０１４２】
また、譲渡する側と譲渡される側で、内容について交渉をすることができる。
【０１４３】
また、譲渡される側は、譲渡される前に、電子チケットの内容を確認することができる。
【０１４４】
また、譲渡する相手が保証され、チケット譲渡証明書メッセージが盗まれても、不正に使用されることがない。
【０１４５】
また、プリペイドカード発行者、テレホンカード発行者、チケット発行者は、決済処理の手順を指定することができる。
【０１４６】
また、購入者を待たせずに、電子プリペイドカード、電子テレホンカード、電子チケットを発行することができる。
【０１４７】
また、購入者を待たせずに、電子プリペイドカード、電子テレホンカード、電子チケットを発行することができる。
【０１４８】
また、電子財布の限られたメモリにおいても、複数の電子プリペイドカード、電子テレホンカード、電子チケット、及び、履歴情報を管理することができる。
【０１４９】
また、電子財布や電子プリペイドカード決済手段のバッテリィの寿命を伸ばすことができる。
【０１５０】
また、この印刷物の偽造を防止することができる。
【０１５１】
また、電子財布の中央処理装置における制御プログラムなど、各種のプログラムを記録した記録媒体の発明では、このプログラムを、持ち運び可能な形態で、流通させることができる。
【０１５２】
また、任意の電子財布に対し、利用者の識別情報と認証情報とを蓄積した第３の蓄積手段を装着することで、その電子財布を、自分の電子財布として使用することができる。
【０１５３】
また、電子財布への第３の蓄積手段の装着と着脱の際に、サービス提供手段との間で通信する必要がない。
【０１５４】
また、電子財布を用いて取得した電子的な有価カードを、ＩＣカードに格納して、持ち歩くことができる。
【０１５５】
また、電子プリペイドカードインストール情報、電子テレホンカードインストール情報または電子チケットインストール情報を印刷した印刷物や、これらの情報を記録した記録媒体の発明では、電子プリペイドカード、電子テレホンカード、電子チケットの物流ルートでの流通を可能する。
【０１５６】
また、この印刷物に除去可能なコーティングを施したものでは、この印刷物を購入する前のインストール情報の漏洩を防止できる。
【発明を実施するための最良の形態】
【０１５７】
本発明の第１の態様は、無線通信手段を具備する電子財布から、無線通信手段を通じて、必要な対価を支払い、供給側から商品やサービスの提供または必要な許可を受けるモバイル・エレクトロニックコマース・システムにおいて、電子財布及び供給側と、それぞれ、通信手段を通じて接続するサービス提供手段を備え、このサービス提供手段が、通信手段を通じて、無線通信によって、電子財布に電子的な有価カードのプログラムをインストールし、電子財布が、インストールされた電子的な有価カードを使用して、供給側から商品やサービスの提供または必要な許可を受け、その時の有価カードの使用に伴う決済処理が、有価カードのプログラムに基づいて、電子財布と供給側との間で、無線通信手段を通じて行なわれ、電子財布及び供給側で保持されている決済処理に伴うデータが、所定の時期にサービス提供手段に送信されて、サービス提供手段によって管理されるようにしたものである。
【０１５８】
これにより、有価カードの入手が容易になり、また、この有価カードを使用したときの決済処理が迅速で正確なものとなる。
【０１５９】
本発明の第２の態様は、無線通信手段を具備する電子財布から、無線通信手段を通じて、必要な対価を支払い、供給側から商品やサービスの提供または必要な許可を受けるモバイル・エレクトロニックコマース・システムにおいて、電子財布が、電子的な有価カードのプログラムを発行するサービス提供手段に対し、無線通信手段を通じて、電子的な有価カードのプログラムの購入を申込み、サービス提供手段が、有価カードの発行手段から、発行する有価カードに関するデータの提供を受け、有価カードの購入に伴う決済を、決済手段との間で処理した後、電子財布に、無線通信によって、電子的な有価カードのプログラムをインストールし、電子財布が、インストールされた電子的な有価カードを使用して、供給側から商品やサービスの提供または必要な許可を受け、その時の有価カードの使用に伴う決済処理が、有価カードのプログラムに基づいて、電子財布と供給側との間で、無線通信手段を通じて行なわれるようにしたものである。
【０１６０】
これにより、どこでも、有価カードを容易に購入することができ、利便性が向上する。
【０１６１】
本発明の第３の態様は、有価カードの使用に伴う決済処理に当たって、電子財布が、有価カードのプログラムに基づいて、支払い額に相当する電子的な小切手を生成し、無線通信手段を通じて、供給側へ送信し、電子的な小切手を受信した供給側が、電子的な領収書を電子財布へ送信し、電子財布及び供給側が、それぞれが受信した、電子的な領収書または電子的な小切手を、決済処理に伴うデータとして保持するようにしたものである。
【０１６２】
これにより、この有価カードを使用した時の決済処理がより正確なものとなる。
【０１６３】
本発明の第４の態様は、有価カードの使用に伴う決済処理に当たって、電子財布が、有価カードのプログラムに基づいて、有価カードのデータを、無線通信手段を通じて、供給側へ送信し、有価カードのデータを受信した供給側が、必要な入場許可を与える電子的な証明書を電子財布へ送信して、電子財布の所有者の入場を許可し、電子財布及び供給側が、それぞれが受信した、電子的な証明書または有価カードのデータを、決済処理に伴うデータとして保持するようにしたものである。
【０１６４】
これにより、チケット等の改札処理を機械的に行なうことができる。
【０１６５】
本発明の第５の態様は、一つの前記電子財布が、インストールされた電子的な有価カードを、他の電子財布に譲渡するために、有価カードから、有価カードの譲渡メッセージを生成して、他の電子財布へ送信するとともに、保有している前記有価カードを消去し、他の電子財布が、有価カードの譲渡メッセージをサービス提供手段へ送信し、サービス提供手段が、他の電子財布に、電子的な有価カードのプログラムをインストールするようにしたものである。
【０１６６】
これにより、有価カードの譲渡が可能となる。
【０１６７】
本発明の第６の態様は、電子財布が、サービス提供手段に対し、無線通信手段を通じて、印刷物または記録媒体などの流通媒体に記録されたインストール番号を送信し、サービス提供手段が、有価カードの発行手段から、発行する有価カードに関するデータの提供を受けて、電子財布に、無線通信によって、インストール番号に該当する電子的な有価カードのプログラムをインストールするようにしたものである。
【０１６８】
これにより、インストール番号が印刷された印刷物などを流通媒体として、電子的な有価カードのプログラムを、ギフト商品などとして流通ルートに乗せることができる。
【０１６９】
本発明の第７の態様は、サービス提供手段が、電子的な有価カードのプログラムの雛形となるテンプレートプログラムを管理し、テンプレートプログラムを基に、電子的な有価カードのプログラムを生成して、電子財布にインストールするようにしたものである。
【０１７０】
これにより、テンプレートプログラムを基に、各種の有価カードを安全に発行することができる。
【０１７１】
本発明の第８の態様は、電子的な有価カードのプログラムが、有価カードのプログラム固有のプライベート鍵を具備し、電子財布が、有価カードの使用に当たって、通信手段を通じて供給側へ送信するデータに、プライベート鍵によるデジタル署名を行なうようにしたものである。
【０１７２】
これにより、電子財布が、有価カードのプログラムに基づいて生成したデータの有効性を、供給側に証明することができ、また、そのデータの供給側による改ざんを防止できる。
【０１７３】
本発明の第９の態様は、無線通信手段を具備する電子財布から、無線通信手段を通じて、必要な対価を支払い、供給側から商品やサービスの提供または必要な許可を受けるモバイル・エレクトロニックコマース・システムにおいて、電子財布が、電子的なプリペイドカードのプログラムである電子プリペイドカードを保有し、供給側から提供を受ける商品やサービスの対価を、電子プリペイドカードを使用して支払い、この支払いに伴う決済処理を、供給側との間で無線通信手段を通じて行なうようにしたものである。
【０１７４】
これにより、電子プリペイドカードによる商取引が可能となる。
【０１７５】
本発明の第１０の態様は、供給側に、電子プリペイドカードからの支払いを決済する電子プリペイドカード決済手段を設けるようにしたものである。
【０１７６】
これにより、電子財布と電子プリペイドカード決済手段との間で電子プリペイドカードの決済処理が行なわれる。
【０１７７】
本発明の第１１の態様は、電子財布及び電子プリペイドカード決済手段と通信手段を通じて接続するとともに、プリペイドカード発行手段及び決済処理手段とも通信手段を通じて接続するサービス提供手段を設け、電子財布が、サービス提供手段を介して、電子プリペイドカードを購入するようにしたものである。
【０１７８】
これにより、サービス提供手段を介して、電子プリペイドカードを購入し、購入した電子プリペイドカードを電子財布にダウンロードして、使用することができ、利便性が向上する。
【０１７９】
本発明の第１２の態様は、電子財布、電子プリペイドカード決済手段及びサービス提供手段の各々が、複数の系統の通信手段を具備し、電子財布、電子プリペイドカード決済手段及びサービス提供手段の三者間における通信を、それぞれ異なる系統の通信手段を用いて行なうようにしたものである。
【０１８０】
これにより、三者間の円滑な通信が可能になり、また、通信の秘密が保持される。
【０１８１】
本発明の第１３の態様は、無線通信手段を具備する電子財布から、無線通信手段を通じて、必要な対価を支払い、供給側から商品やサービスの提供または必要な許可を受けるモバイル・エレクトロニックコマース・システムにおいて、電子財布が、電子的なテレホンカードのプログラムである電子テレホンカードを保有し、供給側の交換サービスを利用して無線通信手段で行なう通話の対価を、電子テレホンカードを使用して支払い、この支払いに伴う決済処理を、供給側との間で無線通信手段を通じて行なうようにしたものである。
【０１８２】
これにより、電子テレホンカードを使って通話することが可能となる。
【０１８３】
本発明の第１４の態様は、供給側が、通信回線交換手段と、電子テレホンカードからの支払いを決済する電子テレホンカード決済手段とを持つようにしたものである。
【０１８４】
これにより、電子テレホンカードを使用するときの決済処理が、電子財布と電子テレホンカード決済手段との間で行なわれる。
【０１８５】
本発明の第１５の態様は、電子財布及び電子テレホンカード決済手段と通信手段を通じて接続するとともに、テレホンカード発行手段及び決済処理手段とも通信手段を通じて接続するサービス提供手段を設け、電子財布が、このサービス提供手段を介して、電子テレホンカードを購入するようにしたものである。
【０１８６】
これにより、サービス提供手段を介して、電子テレホンカードを購入し、購入した電子テレホンカードを電子財布にダウンロードして、使用することができ、利便性が向上する。
【０１８７】
本発明の第１６の態様は、電子財布、電子テレホンカード決済手段及びサービス提供手段の各々が、複数の系統の通信手段を具備し、電子財布、電子テレホンカード決済手段及びサービス提供手段の三者間における通信を、それぞれ異なる系統の通信手段を用いて行なうようにしたものである。
【０１８８】
これにより、三者間の円滑な通信が可能になり、また、通信の秘密が保持される。
【０１８９】
本発明の第１７の態様は、無線通信手段を具備する電子財布から、無線通信手段を通じて、必要な対価を支払い、供給側から商品やサービスの提供または必要な許可を受けるモバイル・エレクトロニックコマース・システムにおいて、電子財布が、電子的なチケットである電子チケットを保有し、この電子チケットの情報を提示して、供給側から電子チケットでの入場許可を受けるための改札処理を、供給側との間で無線通信手段を通じて行なうようにしたものである。
【０１９０】
これにより、改札時に電子チケットを機械的にチェックする、改札の自動化が可能になる。
【０１９１】
本発明の第１８の態様は、供給側に、電子チケットを改札する電子チケット改札手段を設けるようにしたものである。
【０１９２】
これにより、電子財布と電子チケット改札手段との交信によって改札処理が行なわれる。
【０１９３】
本発明の第１９の態様は、電子財布及び電子チケット改札手段と通信手段を通じて接続するとともに、チケット発行手段及び決済処理手段とも通信手段を通じて接続するサービス提供手段を設け、電子財布が、サービス提供手段を介して、必要な対価を支払い、電子チケットを購入するようにしたものである。
【０１９４】
これにより、サービス提供手段を介して、電子チケットを購入し、購入した電子チケットを電子財布にダウンロードして、使用することができ、利便性が向上する。
【０１９５】
本発明の第２０の態様は、電子財布、電子チケット改札手段及びサービス提供手段の各々が、複数の系統の通信手段を具備し、電子財布、電子チケット改札手段及びサービス提供手段の三者間における通信を、それぞれ異なる系統の通信手段を用いて行なうようにしたものである。
【０１９６】
これにより、三者間の円滑な通信が可能になり、また、通信の秘密が保持される。
【０１９７】
本発明の第２１の態様は、モバイル・エレクトロニックコマース・システムが、電子財布、電子プリペイドカード決済手段、電子テレホンカード決済手段、電子チケット改札手段、サービス提供手段、決済処理手段、プリペイドカード発行手段、テレホンカード発行手段、及びチケット発行手段を具備するようにしたものである。
【０１９８】
これにより、サービス提供手段を介して、電子プリペイドカード、電子テレホンカード、及び電子チケットを購入し、購入した電子プリペイドカード、電子テレホンカード、及び電子チケットを電子財布にダウンロードして、使用することができ、利便性が向上する。
【０１９９】
本発明の第２２の態様は、電子財布が、電子的なクレジットカードを保有し、このクレジットカードを用いて、電子プリペイドカード、電子テレホンカードまたは電子チケットの購入を行なうようにしたものである。
【０２００】
これにより、電子プリペイドカード、電子テレホンカードまたは電子チケットの購入に伴う決済が、サービス提供手段を通じて、決済処理手段との間で行なわれる。
【０２０１】
本発明の第２３の態様は、電子財布が、前記複数の系統の通信手段として、複数の種類の無線通信手段を具備するようにしたものである。
【０２０２】
これにより、モバイル環境での利便性を向上させることができる。
【０２０３】
本発明の第２４の態様は、電子財布が、電子プリペイドカード決済手段または電子チケット改札手段との間の無線通信手段として、電子テレホンカード決済手段またはサービス提供手段との間の無線通信手段に比べて、通信可能な距離が短く、指向性が高い無線通信手段を具備するようにしたものである。
【０２０４】
これにより、電子財布と電子プリペイドカード決済手段または電子財布と電子チケット改札手段との間の距離は高々１、２メートルの距離であることから、無線通信手段をこのように選択することによって、使用環境に適したシステム形態を取ることができる。
【０２０５】
本発明の第２５の態様は、電子財布が、電子プリペイドカード決済手段または電子チケット改札手段との間の無線通信手段として、光通信手段を具備し、電子テレホンカード決済手段またはサービス提供手段との間の無線通信手段として、ラジオ無線通信手段を具備するようにしたものである。
【０２０６】
これにより、近距離の電子財布と電子プリペイドカード決済手段または電子財布と電子チケット改札手段との間では、赤外線などの光通信手段を使用し、一方、遠距離の電子財布とサービス提供手段との間ではラジオ無線通信手段を用いることによって、使用環境に適したシステム形態を取ることができる。
【０２０７】
本発明の第２６の態様は、電子プリペイドカード決済手段が、サービス提供手段と通信するための通信手段として、無線通信手段を具備するようにしたものである。
【０２０８】
これにより、モバイル環境での決済処理を行なうことができ、利便性が向上する。
【０２０９】
本発明の第２７の態様は、電子プリペイドカード決済手段を、商品またはサービスの自動提供手段を具備した自動販売機として構成したものである。
【０２１０】
これにより、キャッシュレスで、自動販売機の商品を購入することができ、利便性が向上する。
【０２１１】
本発明の第２８の態様は、電子財布に、数値の入力及び選択操作を行なう入力手段と、無線通信手段を通じて送信されるデータを生成し、受信されたデータを処理する中央処理装置と、中央処理装置の動作を制御する制御プログラムを蓄積する第１の蓄積手段と、中央処理装置によるデータ処理の結果を表示する表示手段と、中央処理装置によって処理されたデータを蓄積する第２の蓄積手段とを設け、第２の蓄積手段に、電子チケット、電子プリペイドカードまたは電子テレホンカードが格納されるようにしたものである。
【０２１２】
これにより、電子財布の所有者による電子財布の操作と、電子財布が格納している電子チケット、電子プリペイドカード、電子テレホンカードの所有者への提示とが可能となり、電子財布の利便性が向上する。
【０２１３】
本発明の第２９の態様は、電子プリペイドカード決済手段に、電子財布との間で通信を行なう光通信手段と、サービス提供手段との間で通信を行なう通信手段と、数値の入力及び選択操作を行なう入力手段と、光通信手段及び通信手段を通じて送信されるデータを生成し、受信されたデータを処理する中央処理装置と、中央処理装置の動作を制御する制御プログラムを蓄積する第１の蓄積手段と、中央処理装置によるデータ処理の結果を表示する表示手段と、中央処理装置によって処理されたデータを蓄積する第２の蓄積手段とを設け、第２の蓄積手段に、電子プリペイドカードの決済処理プログラムモジュールが格納されるようにしたものである。
【０２１４】
これにより、オペレータによる電子プリペイドカード決済手段の操作と、電子プリペイドカード決済手段が蓄積しているデータの担当者への提示とが可能となり、電子プリペイドカード決済手段の利便性が向上する。
【０２１５】
本発明の第３０の態様は、電子プリペイドカード決済手段に、電子財布との間で通信を行なう光通信手段と、サービス提供手段との間で通信を行なうラジオ無線通信手段と、商品の種類を識別する商品識別手段と、数値の入力及び選択操作を行なう入力手段と、商品代金の演算処理と光通信手段及びラジオ無線通信手段によって送信されるデータの生成処理と光通信手段及びラジオ無線通信手段によって受信されたデータの処理とを行なう中央処理装置と、中央処理装置の動作を制御する制御プログラムを蓄積する第１の蓄積手段と、中央処理装置によるデータ処理の結果を表示する表示手段と、中央処理装置によって処理されたデータを蓄積する第２の蓄積手段と、商品の価格情報を蓄積する第３の蓄積手段とを設け、第２の蓄積手段に、電子プリペイドカードの決済処理プログラムモジュールが格納されるようにしたものである。
【０２１６】
これにより、モバイル環境で、商品の代金の計算と、決済処理とを行なうことができ、利便性が向上する。
【０２１７】
本発明の第３１の態様は、自動販売機に、電子財布との間で通信を行なう光通信手段と、サービス提供手段との間で通信を行なうラジオ無線通信手段と、購入する商品またはサービスを選択する選択手段と、商品またはサービスの自動提供手段と、光通信手段及びラジオ無線通信手段によって送信されるデータの生成処理と光通信手段及びラジオ無線通信手段によって受信されたデータの処理とを行なう中央処理装置と、中央処理装置の動作を制御する制御プログラムを蓄積する第１の蓄積手段と、中央処理装置によるデータ処理の結果を表示する表示手段と、中央処理装置によって処理されたデータを蓄積する第２の蓄積手段と、商品の価格情報と在庫情報とを蓄積する第３の蓄積手段と、商品またはサービスのプロモーション情報を蓄積する第４の蓄積手段とを設け、第２の蓄積手段には、電子プリペイドカードの決済処理プログラムモジュールが格納されるようにしたものである。
【０２１８】
これにより、商品のプロモーションから販売までを自動で行なうことができ、利便性が向上する。
【０２１９】
本発明の第３２の態様は、電子テレホンカード決済手段に、電子財布との間で通信を行なうラジオ無線通信手段と、サービス提供手段との間で通信を行なう通信手段と、複数の通信回線の交換処理を行なう通信回線交換手段と、ラジオ無線通信手段及び通信手段によって送信されるデータの生成処理とラジオ無線通信手段及び通信手段によって受信されたデータの処理とを行なう中央処理装置と、中央処理装置の動作を制御する制御プログラムを蓄積する第１の蓄積手段と、中央処理装置によって処理されたデータを蓄積する第２の蓄積手段とを設け、第２の蓄積手段には、電子テレホンカードの決済処理プログラムモジュールが格納されるようにしたものである。
【０２２０】
これにより、通信サービスの提供と、その際の通信料金の回収とを、同時に行なうことができ、通信料金の回収率が向上する。
【０２２１】
本発明の第３３の態様は、電子チケット改札手段に、電子財布との間で通信を行なう光通信手段と、サービス提供手段との間で通信を行なう通信手段と、数値の入力及び選択操作を行なう入力手段と、光通信手段及び通信手段によって送信されるデータの生成処理と光通信手段及び通信手段によって受信されたデータの処理とを行なう中央処理装置と、中央処理装置の動作を制御する制御プログラムを蓄積する第１の蓄積手段と、中央処理装置によるデータ処理の結果を表示する表示手段と、中央処理装置によって処理されたデータを蓄積する第２の蓄積手段とを設け、第２の蓄積手段には、電子チケットの改札処理プログラムモジュールが格納されるようにしたものである。
【０２２２】
これにより、オペレータによる電子チケット手段の操作と、電子チケット手段が蓄積しているデータの担当者への提示とが可能となり、電子チケット手段の利便性が向上する。
【０２２３】
本発明の第３４の態様は、サービス提供手段に、電子財布に関する情報、及び、電子財布の所有者の決済処理契約に関する情報を蓄積するユーザ情報蓄積手段と、電子プリペイドカード決済手段、電子テレホンカード決済手段、及び電子チケット改札手段に関する情報、並びに、それらの所有者の決済処理契約に関する情報を蓄積するマーチャント情報蓄積手段と、決済処理手段に関する情報を蓄積する決済処理機関情報蓄積手段と、プリペイドカード発行手段に関する情報、及び、プリペイドカード発行手段の所有者の決済処理契約に関する情報を蓄積するプリペイドカード発行者情報蓄積手段と、テレホンカード発行手段に関する情報、及び、テレホンカード発行手段の所有者の決済処理契約に関する情報を蓄積するテレホンカード発行者情報蓄積手段と、チケット発行手段に関する情報、及び、チケット発行手段の所有者の決済処理契約に関する情報を蓄積するチケット発行者情報蓄積手段と、電子財布、電子プリペイドカード決済手段、電子テレホンカード決済手段、電子チケット改札手段、決済処理手段、プリペイドカード発行手段、テレホンカード発行手段、及びチケット発行手段のリスト情報、並びに、電子チケット、電子プリペイドカード、及び電子テレホンカードに関する情報を蓄積するサービスディレクタ情報蓄積手段と、電子チケット、電子プリペイドカード、及び電子テレホンカードの販売、発行及び管理を行なうサービス提供処理におけるデータ処理を行なう計算機システムとを設けたものである。
【０２２４】
これにより、サービス提供手段は、電子財布、電子プリペイドカード決済手段等の管理と、電子プリペイドカードサービス、電子テレホンカードサービス、電子チケットサービスの提供を効率よく行なうことができる。
【０２２５】
本発明の第３５の態様は、決済処理手段に、サービス提供手段と通信を行なう通信手段と、電子財布の所有者の決済処理契約に関する情報を蓄積する加入者情報蓄積手段と、電子プリペイドカード決済手段、電子テレホンカード決済手段、電子チケット改札手段、プリペイドカード発行手段、テレホンカード発行手段、及びチケット発行手段の所有者の決済処理契約に関する情報を蓄積する加盟店情報蓄積手段と、決済処理におけるデータ処理を行なう計算機システムとを設けたものである。
【０２２６】
これにより、決済処理手段は、効率的に決済処理を行なうことができる。
【０２２７】
本発明の第３６の態様は、プリペイドカード発行手段に、サービス提供手段と通信を行なう通信手段と、顧客の購入履歴に関する情報を蓄積する顧客情報蓄積手段と、発行したプリペイドカードに関する情報を蓄積するプリペイドカード発行情報蓄積手段と、プリペイドカードの在庫に関する情報を蓄積するプリペイドカード情報蓄積手段と、プリペイドカード発行トランザクション処理におけるデータ処理を行なう計算機システムとを設けたものである。
【０２２８】
これにより、プリペイドカード発行手段は、効率的にプリペイドカードの発行処理を行なうことができる。
【０２２９】
本発明の第３７の態様は、テレホンカード発行手段に、サービス提供手段と通信を行なう通信手段と、顧客の購入履歴に関する情報を蓄積する顧客情報蓄積手段と、発行したテレホンカードカードに関する情報を蓄積するテレホンカード発行情報蓄積手段と、テレホンカードの在庫に関する情報を蓄積するテレホンカード情報蓄積手段と、テレホンカード発行トランザクション処理におけるデータ処理を行なう計算機システムとを設けたものである。
【０２３０】
これにより、テレホンカード発行手段は、効率的にテレホンカードの発行処理を行なうことができる。
【０２３１】
本発明の第３８の態様は、チケット発行手段に、サービス提供手段と通信を行なう通信手段と、顧客の購入履歴に関する情報を蓄積する顧客情報蓄積手段と、発行したチケットに関する情報を蓄積するチケット発行情報蓄積手段と、チケットの在庫に関する情報を蓄積するチケット情報蓄積手段と、チケット発行トランザクション処理におけるデータ処理を行なう計算機システムとを設けたものである。
【０２３２】
これにより、チケット発行手段は、効率的にチケットの発行処理を行なうことができる。
【０２３３】
本発明の第３９の態様は、電子財布が、電子プリペイドカードの購入を要求するプリペイドカード購入申込メッセージを生成してサービス提供手段へ送信し、プリペイドカード購入申込メッセージを受信したサービス提供手段が、プリペイドカード発行手段と通信をして、プリペイドカード発行手段から電子プリペイドカードの発行処理と電子プリペイドカードの代金の決済処理とをサービス提供手段に依頼する電子プリペイドカード発行依頼メッセージを受信し、依頼に基づいてサービス提供手段が、決済処理手段と通信をして、プリペイドカードの代金の決済処理を行ない、さらに、電子プリペイドカード発行依頼メッセージの中に含まれるプリペイドカード発行手段が生成したプリペイドカード情報から、電子プリペイドカードを生成して、電子財布へ送信し、電子プリペイドカードを受信した電子財布が、受信した電子プリペイドカードを電子財布の第２の蓄積手段に格納するようにしたものである。
【０２３４】
これにより、電子財布の所有者は、どこでも、プリペイドカード発行手段が発行するプリペイドカードを、電子プリペイドカードとして購入し、電子財布にダウンロードして、使用することができ、利便性が向上する。
【０２３５】
本発明の第４０の態様は、電子財布が、第２の蓄積手段に格納されている電子プリペイドカードから、入力手段によって入力された金額に相当する支払を証明するマイクロ小切手メッセージを生成して、電子プリペイドカード決済手段へ送信するようにしたものである。
【０２３６】
これにより、支払う金額は、電子財布の所有者が指定するので、販売店側の不正を防止できる。
【０２３７】
本発明の第４１の態様は、マイクロ小切手メッセージを受信した電子プリペイドカード決済手段が、マイクロ小切手メッセージを受領したことを証明する領収書メッセージを生成して電子財布へ送信するようにしたものである。
【０２３８】
これにより、電子財布の所有者は、売買の内容を確認することができ、計算書等の紙をやり取りする必要がなく、販売の効率化が図れる。
【０２３９】
本発明の第４２の態様は、電子財布が、電子テレホンカードの購入を要求するテレホンカード購入申込メッセージを生成してサービス提供手段へ送信し、テレホンカード購入申込メッセージを受信したサービス提供手段が、テレホンカード発行手段と通信をして、テレホンカード発行手段から電子テレホンカードの発行処理と電子テレホンカードの代金の決済処理とをサービス提供手段に依頼する電子テレホンカード発行依頼メッセージを受信し、依頼に基づいてサービス提供手段が、決済処理手段と通信をして、テレホンカードの代金の決済処理を行ない、さらに、電子テレホンカード発行依頼メッセージの中に含まれるテレホンカード発行手段が生成したテレホンカード情報から、電子テレホンカードを生成して、電子財布へ送信し、電子テレホンカードを受信した電子財布が、受信した電子テレホンカードを電子財布の第２の蓄積手段に格納するようにしたものである。
【０２４０】
これにより、電子財布の所有者は、どこでも、テレホンカード発行手段が発行するテレホンカードを、電子テレホンカードとして購入し、電子財布にダウンロードして、使用することができ、利便性が向上する。
【０２４１】
本発明の第４３の態様は、電子財布が、第２の蓄積手段に格納されている電子テレホンカードから、電子テレホンカード決済手段の請求金額に相当する金額の支払を証明する電話マイクロ小切手メッセージを生成して、電子テレホンカード決済手段へ送信するようにしたものである。
【０２４２】
これにより、プリペイド決済方式による無線通信サービスを受けることができ、利便性が向上する。
【０２４３】
本発明の第４４の態様は、電話マイクロ小切手メッセージを受信した電子テレホンカード決済手段が、電話マイクロ小切手メッセージを受領したことを証明する領収書メッセージを生成して電子財布へ送信するようにしたものである。
【０２４４】
これにより、電子財布の所有者は、利用した無線通信サービスの内容を確認することができる。
【０２４５】
本発明の第４５の態様は、電子財布が、電子チケットの購入を要求するチケット購入申込メッセージを生成してサービス提供手段へ送信し、チケット購入申込メッセージを受信したサービス提供手段が、チケット発行手段と通信をして、チケット発行手段から電子チケットの発行処理と電子チケットの代金の決済処理とをサービス提供手段に依頼する電子チケット発行依頼メッセージを受信し、依頼に基づいてサービス提供手段が、決済処理手段と通信をして、チケットの代金の決済処理を行ない、さらに、電子チケット発行依頼メッセージの中に含まれるチケット発行手段が生成したチケット情報から、電子チケットを生成して、電子財布へ送信し、電子チケットを受信した電子財布が、受信した電子チケットを電子財布の第２の蓄積手段に格納するようにしたものである。
【０２４６】
これにより、電子財布の所有者は、どこでも、チケット発行手段が発行するチケットを、電子チケットとして購入し、電子財布にダウンロードして使用することができ、利便性が向上する。
【０２４７】
本発明の第４６の態様は、電子財布が、第２の蓄積手段に格納されている電子チケットの内容を示すチケット提示メッセージを生成して、電子チケット改札手段へ送信するようにしたものである。
【０２４８】
これにより、チケットの改札を効率的に行なうことができる。
【０２４９】
本発明の第４７の態様は、電子チケット改札手段から命令メッセージを受信した電子財布が、電子チケットを改札後の状態に変更し、変更後の電子チケットの内容を示すチケット改札応答メッセージを生成して、電子チケット改札手段へ送信するようにしたものである。
【０２５０】
これにより、チケットの改札を、正確に、効率的に行なうことができる。
【０２５１】
本発明の第４８の態様は、チケット改札応答メッセージを受信した電子チケット改札手段が、電子チケットを改札したことを証明する改札証明書メッセージを生成して電子財布へ送信するようにしたものである。
【０２５２】
これにより、チケットの改札を、さらに正確に、行なうことができる。
【０２５３】
本発明の第４９の態様は、第１の電子財布が、第２の蓄積手段に格納されている電子プリペイドカードを、第２の電子財布に譲渡することを証明するプリペイドカード譲渡証明書メッセージを生成して、無線通信手段によって、第２の電子財布へ送信し、プリペイドカード譲渡証明書メッセージを受信した第２の電子財布が、受信したプリペイドカード譲渡証明書メッセージを、サービス提供手段へ送信し、プリペイドカード譲渡証明書メッセージを受信したサービス提供手段が、受信したプリペイドカード譲渡証明書メッセージの有効性を検証して、プリペイドカード譲渡証明書メッセージが示す電子プリペイドカードを第２の電子財布へ送信し、第２の電子財布が、受信した電子プリペイドカードを第２の電子財布の第２の蓄積手段に格納するようにしたものである。
【０２５４】
これにより、電子プリペイドカードを他の人に譲渡することができ、利便性が向上する。
【０２５５】
本発明の第５０の態様は、プリペイドカード譲渡証明書メッセージを受信した第２の電子財布が、プリペイドカード譲渡証明書メッセージを受領したことを証明するプリペイドカード受取証メッセージを生成して、無線通信手段によって、第１の電子財布へ送信し、プリペイドカード受取証メッセージを受信した第１の電子財布が、第１の電子財布の第２の蓄積手段に格納されている電子プリペイドカードを消去するようにしたものである。
【０２５６】
これにより、電子プリペイドカードの譲渡を正確に行なうことができ、譲渡にともなうトラブルを防止できる。
【０２５７】
本発明の第５１の態様は、第１の電子財布が、第２の蓄積手段に格納されている電子テレホンカードを、第２の電子財布に譲渡することを証明するテレホンカード譲渡証明書メッセージを生成して、無線通信手段によって、第２の電子財布へ送信し、テレホンカード譲渡証明書メッセージを受信した第２の電子財布が、受信したテレホンカード譲渡証明書メッセージを、サービス提供手段へ送信し、テレホンカード譲渡証明書メッセージを受信したサービス提供手段が、受信したテレホンカード譲渡証明書メッセージの有効性を検証して、テレホンカード譲渡証明書メッセージが示す電子テレホンカードを第２の電子財布へ送信し、第２の電子財布が、受信した電子テレホンカードを第２の電子財布の第２の蓄積手段に格納するようにしたものである。
【０２５８】
これにより、電子テレホンカードを他の人に譲渡することができ、利便性が向上する。
【０２５９】
本発明の第５２の態様は、テレホンカード譲渡証明書メッセージを受信した第２の電子財布が、テレホンカード譲渡証明書メッセージを受領したことを証明するテレホンカード受取証メッセージを生成して、無線通信手段によって、第１の電子財布へ送信し、テレホンカード受取証メッセージを受信した第１の電子財布が、第１の電子財布の第２の蓄積手段に格納されている電子テレホンカードを消去するようにしたものである。
【０２６０】
これにより、電子テレホンカードの譲渡を正確に行なうことができ、譲渡にともなうトラブルを防止できる。
【０２６１】
本発明の第５３の態様は、第１の電子財布が、第２の蓄積手段に格納されている電子チケットを、第２の電子財布に譲渡することを証明するチケット譲渡証明書メッセージを生成して、無線通信手段によって、第２の電子財布へ送信し、チケット譲渡証明書メッセージを受信した第２の電子財布が、受信したチケット譲渡証明書メッセージを、サービス提供手段へ送信し、チケット譲渡証明書メッセージを受信したサービス提供手段が、受信したチケット譲渡証明書メッセージの有効性を検証して、チケット譲渡証明書メッセージが示す電子チケットを第２の電子財布へ送信し、第２の電子財布が、受信した電子チケットを第２の電子財布の第２の蓄積手段に格納するようにしたものである。
【０２６２】
これにより、電子チケットを他の人に譲渡することができ、利便性が向上する。
【０２６３】
本発明の第５４の態様は、チケット譲渡証明書メッセージを受信した第２の電子財布が、チケット譲渡証明書メッセージを受領したことを証明するチケット受取証メッセージを生成して、無線通信手段によって、第１の電子財布へ送信し、チケット受取証メッセージを受信した第１の電子財布が、第１の電子財布の第２の蓄積手段に格納されている電子チケットを消去するようにしたものである。
【０２６４】
これにより、電子チケットの譲渡を正確に行なうことができ、譲渡にともなうトラブルを防止できる。
【０２６５】
本発明の第５５の態様は、電子財布が、電子プリペイドカードのインストールを要求する電子プリペイドカードインストール要求メッセージを生成してサービス提供手段へ送信し、電子プリペイドカードインストール要求メッセージを受信したサービス提供手段が、プリペイドカード発行手段と通信をして、プリペイドカード発行手段から電子プリペイドカードのインストール処理をサービス提供手段に依頼する電子プリペイドカードインストール依頼メッセージを受信し、依頼に基づいてサービス提供手段が、電子プリペイドカードインストール依頼メッセージに含まれるプリペイドカード発行手段が生成したプリペイドカード情報から、電子プリペイドカードを生成して電子財布へ送信し、電子プリペイドカードを受信した電子財布が、受信した電子プリペイドカードを電子財布の第２の蓄積手段に格納するようにしたものである。
【０２６６】
これにより、電子財布の所有者は、どこでも、電子プリペイドカードを、電子財布にインストールすることができる。
【０２６７】
本発明の第５６の態様は、電子プリペイドカードインストール要求メッセージには、電子財布の入力手段から入力された、インストールする電子プリペイドカードを一意的に示す電子プリペイドカードインストール情報が含まれるようにしたものである。
【０２６８】
これにより、電子財布の所有者が指定した電子プリペイドカードを、電子財布にインストールすることができる。
【０２６９】
本発明の第５７の態様は、電子財布が、電子テレホンカードのインストールを要求する電子テレホンカードインストール要求メッセージを生成してサービス提供手段へ送信し、電子テレホンカードインストール要求メッセージを受信したサービス提供手段が、テレホンカード発行手段と通信をして、テレホンカード発行手段から電子テレホンカードのインストール処理をサービス提供手段に依頼する電子テレホンカードインストール依頼メッセージを受信し、依頼に基づいてサービス提供手段が、電子テレホンカードインストール依頼メッセージに含まれるテレホンカード発行手段が生成したテレホンカード情報から、電子テレホンカードを生成して電子財布へ送信し、電子テレホンカードを受信した電子財布が、受信した電子テレホンカードを電子財布の第２の蓄積手段に格納するようにしたものである。
【０２７０】
これにより、電子財布の所有者は、どこでも、電子テレホンカードを、電子財布にインストールすることができる。
【０２７１】
本発明の第５８の態様は、電子テレホンカードインストール要求メッセージには、電子財布の入力手段から入力された、インストールする電子テレホンカードを一意的に示す電子テレホンカードインストール情報が含まれるようにしたものである。
【０２７２】
これにより、電子財布の所有者が指定した電子テレホンカードを、電子財布にインストールすることができる。
【０２７３】
本発明の第５９の態様は、電子財布が、電子チケットのインストールを要求する電子チケットインストール要求メッセージを生成してサービス提供手段へ送信し、電子チケットインストール要求メッセージを受信したサービス提供手段が、チケット発行手段と通信をして、チケット発行手段から電子チケットのインストール処理をサービス提供手段に依頼する電子チケットインストール依頼メッセージを受信し、依頼に基づいてサービス提供手段が、電子チケットインストール依頼メッセージに含まれるチケット発行手段が生成したチケット情報から、電子チケットを生成して電子財布へ送信し、電子チケットを受信した電子財布が、受信した電子チケットを電子財布の第２の蓄積手段に格納するようにしたものである。
【０２７４】
これにより、電子財布の所有者は、どこでも、電子チケットを、電子財布にインストールすることができる。
【０２７５】
本発明の第６０の態様は、電子チケットインストール要求メッセージには、電子財布の入力手段から入力された、インストールする電子チケットを一意的に示す電子チケットインストール情報が含まれるようにしたものである。
【０２７６】
これにより、電子財布の所有者が指定した電子チケットを、電子財布にインストールすることができる。
【０２７７】
本発明の第６１の態様は、電子プリペイドカードインストール情報、電子テレホンカードインストール情報、または、電子チケットインストール情報が、電子プリペイドカード、電子テレホンカードまたは電子チケットの種類を示す第１の識別情報と、第１の識別情報によって識別される種類の中で、インストールする電子プリペイドカード、電子テレホンカードまたは電子チケットを一意的に示す第２の識別情報とによって構成され、第２の識別情報が、ランダムに生成された情報であるようにしたものである。
【０２７８】
これにより、いたずら等による不正なインストールを防止できる。
【０２７９】
本発明の第６２の態様は、この第１の識別情報及び第２の識別情報を、それぞれ、８桁の数字及び３２桁の数字にしたものである。
【０２８０】
これにより、単純な数字の入力によって、電子プリペイドカード、電子テレホンカード、電子チケットを、最大１億種類、１種類につき１０の３２乗枚分を識別できる。
【０２８１】
本発明の第６３の態様は、電子プリペイドカードインストール情報、電子テレホンカードインストール情報または電子チケットインストール情報を印刷または刻印した印刷物を、電子プリペイドカード、電子テレホンカードまたは電子チケットの販売流通手段または譲渡手段として用いるようにしたものである。
【０２８２】
これにより、電子財布の所有者は、購入の際の通信コストを削減でき、一方で、贈答品としての利用が期待でき、電子プリペイドカード、電子テレホンカード、電子チケットの流通と利用が促進される。
【０２８３】
本発明の第６４の態様は、電子プリペイドカードインストール情報、電子テレホンカードインストール情報または電子チケットインストール情報を記録した記録媒体を、電子プリペイドカード、電子テレホンカードまたは電子チケットの販売流通手段または譲渡手段として用いるようにしたものである。
【０２８４】
これにより、電子プリペイドカード、電子テレホンカード、電子チケットの流通と利用が促進される。
【０２８５】
本発明の第６５の態様は、サービス提供手段が、電子チケットの内容変更を命令する内容変更命令メッセージを生成して、電子財布に送信し、内容変更命令メッセージを受信した電子財布が、電子財布の第２の蓄積手段に格納されている電子チケットを、内容変更命令メッセージに含まれる新しい電子チケットに更新するようにしたものである。
【０２８６】
これにより、一度発行したチケットの内容変更を低コストで行なうことができる。
【０２８７】
本発明の第６６の態様は、サービス提供手段が、電子チケットの内容変更を通知する内容変更通知メッセージを生成して、電子財布に送信し、内容変更通知メッセージを受信した電子財布が、電子チケットの内容変更を受諾したことを示すリアクション選択メッセージを生成して、サービス提供手段へ送信し、リアクション選択メッセージを受信したサービス提供手段が、電子チケットの内容変更を命令する内容変更命令メッセージを生成して、電子財布に送信し、内容変更命令メッセージを受信した電子財布が、電子財布の第２の蓄積手段に格納されている電子チケットを、内容変更命令メッセージに含まれる新しい電子チケットに更新するようにしたものである。
【０２８８】
これにより、公演内容の変更を、電子チケットの所有者に、通知することができ、しかも、電子チケット自体を更新できる。
【０２８９】
本発明の第６７の態様は、サービス提供手段が、電子チケットの内容変更を通知する内容変更通知メッセージを生成して、電子財布に送信し、内容変更通知メッセージを受信した電子財布が、電子チケットの払戻を要求するリアクション選択メッセージを生成して、サービス提供手段へ送信し、リアクション選択メッセージを受信したサービス提供手段が、決済処理手段と通信をして、電子チケットの払戻決済処理を行ない、さらに、払戻決済処理が終了したことを示す払戻領収書メッセージを生成して、電子財布に送信し、払戻領収書メッセージを受信した電子財布が、電子財布の第２の蓄積手段に格納されている電子チケットを消去するようにしたものである。
【０２９０】
これにより、電子チケットの所有者は、払戻をするのに、チケット販売店に行く必要がなく、どこでも、払戻ができる。
【０２９１】
本発明の第６８の態様は、サービス提供手段の計算機システムに、電子財布との通信、及びユーザ情報蓄積手段に蓄積される情報の処理を行なうユーザ情報処理手段と、電子プリペイドカード決済手段、電子テレホンカード決済手段または電子チケット改札手段との通信、及びマーチャント情報蓄積手段に蓄積される情報の処理を行なうマーチャント情報処理手段と、決済処理手段との通信、及び決済処理機関情報蓄積手段に蓄積される情報の処理を行なう決済処理機関情報処理手段と、プリペイドカード発行手段との通信、及びプリペイドカード発行者情報蓄積手段に蓄積される情報の処理を行なうプリペイドカード発行者情報処理手段と、テレホンカード発行手段との通信、及びテレホンカード発行者情報蓄積手段に蓄積される情報の処理を行なうテレホンカード発行者情報処理手段と、チケット発行手段との通信、及びチケット発行者情報蓄積手段に蓄積される情報の処理を行なうチケット発行者情報処理手段と、ユーザ情報処理手段、マーチャント情報処理手段、決済処理機関情報処理手段、プリペイドカード発行者情報処理手段、テレホンカード発行者情報処理手段、及びチケット発行者情報処理手段のそれぞれと通信をし、これら各手段との連携処理によって、サービス提供処理におけるデータ処理を行なうサービスディレクタ情報処理手段と、ユーザ情報処理手段、マーチャント情報処理手段、決済処理機関情報処理手段、プリペイドカード発行者情報処理手段、テレホンカード発行者情報処理手段、チケット発行者情報処理手段及びサービスディレクタ情報処理手段のそれぞれの生成と消去とを制御するサービスマネージャ情報処理手段とを設けたものである。
【０２９２】
これにより、計算機システムの計算機能を、各情報処理手段に対して、効率的に配分することができる。
【０２９３】
本発明の第６９の態様は、電子財布が、電子財布の第２の蓄積手段に格納されている電子プリペイドカードを、電子財布の所有者が使用する電子プリペイドカードとして、サービス提供手段に登録することを要求するプリペイドカード使用登録要求メッセージを生成して、サービス提供手段へ送信し、プリペイドカード使用登録要求メッセージを受信したサービス提供手段が、サービスディレクタ情報蓄積手段に、電子プリペイドカードの使用登録を行なうようにしたものである。
【０２９４】
これにより、使用される電子プリペイドカードと、休眠状態の電子プリペイドカードを別けて管理することができ、効率的なサービス運用が可能になる。
【０２９５】
本発明の第７０の態様は、プリペイドカード使用登録要求メッセージを受信したサービス提供手段が、電子プリペイドカードが使用登録されていることを証明する使用登録カード証明書を生成して電子財布へ送信し、使用登録カード証明書を受信した電子財布が、受信した使用登録カード証明書を電子財布の第２の蓄積手段に格納して、電子プリペイドカードを使用可能状態に変更するようにしたものである。
【０２９６】
これにより、電子プリペイドカードを使用するには、使用登録をする必要がるので、使用登録されていない休眠状態の電子プリペイドカードが盗まれても、不正に使用される心配がない。
【０２９７】
本発明の第７１の態様は、電子財布が、電子財布の第２の蓄積手段に格納されている電子テレホンカードを、電子財布の所有者が使用する電子テレホンカードとして、サービス提供手段に登録することを要求するテレホンカード使用登録要求メッセージを生成して、サービス提供手段へ送信し、テレホンカード使用登録要求メッセージを受信したサービス提供手段が、サービスディレクタ情報蓄積手段に、電子テレホンカードの使用登録を行なうようにしたものである。
【０２９８】
これにより、使用される電子テレホンカードと、休眠状態の電子テレホンカードを別けて管理することができ、効率的なサービス運用が可能になる。
【０２９９】
本発明の第７２の態様は、テレホンカード使用登録要求メッセージを受信したサービス提供手段が、電子テレホンカードが使用登録されていることを証明する使用登録カード証明書を生成して電子財布へ送信し、使用登録カード証明書を受信した電子財布が、受信した使用登録カード証明書を電子財布の第２の蓄積手段に格納して、電子テレホンカードを使用可能状態に変更するようにしたものである。
【０３００】
これにより、電子テレホンカードを使用するには、使用登録をする必要があるので、使用登録されていない休眠状態の電子テレホンカードが盗まれても、不正に使用される心配がない。
【０３０１】
本発明の第７３の態様は、電子財布が、電子財布の第２の蓄積手段に格納されている電子チケットを、電子財布の所有者が使用する電子チケットとして、サービス提供手段に登録することを要求するチケット使用登録要求メッセージを生成して、サービス提供手段へ送信し、チケット使用登録要求メッセージを受信したサービス提供手段が、サービスディレクタ情報蓄積手段に、電子チケットの使用登録を行なうようにしたものである。
【０３０２】
これにより、使用される電子チケットと、使用されない電子チケットを別けて管理することができ、効率的なサービス運用が可能になる。
【０３０３】
本発明の第７４の態様は、チケット使用登録要求メッセージを受信したサービス提供手段が、電子チケットが使用登録されていることを証明する使用登録チケット証明書を生成して、電子財布へ送信し、使用登録チケット証明書を受信した電子財布が、受信した使用登録チケット証明書を電子財布の第２の蓄積手段に格納して、電子チケットを使用可能状態に変更するようにしたものである。
【０３０４】
これにより、電子チケットを使用するには、使用登録をする必要があるので、使用登録されていない休眠状態の電子チケットが盗まれても、不正に使用される心配がない。
【０３０５】
本発明の第７５の態様は、電子プリペイドカードが、プリペイドカードプログラムと、電子プリペイドカードの発行時の内容を示す提示カード情報と、電子プリペイドカードが本物であることを証明するカード証明書とを具備し、プリペイドカードプログラムが、さらに、電子プリペイドカードの状態管理情報と、電子プリペイドカードの動作を規定するプリペイドカードプログラムデータとを具備し、提示カード情報に、サービス提供手段の所有者によるデジタル署名が施されているようにしたものである。
【０３０６】
これにより、電子プリペイドカードによる決済、及び、電子プリペイドカードの譲渡を安全に行なうことができる。
【０３０７】
本発明の第７６の態様は、プリペイドカードプログラムが、電子プリペイドカードによるデジタル署名に用いるカード署名プライベート鍵を具備し、カード証明書が、カード署名プライベート鍵と一対をなすカード署名公開鍵を証明する公開鍵証明書であるようにしたものである。
【０３０８】
これにより、電子プリペイドカードが生成するメッセージに、電子プリペイドカードのデジタル署名を行なうことができ、メッセージの有効性を証明できる。
【０３０９】
本発明の第７７の態様は、電子プリペイドカードの決済処理プログラムモジュールが、課金装置認証プライベート鍵及びカード認証公開鍵の２つの暗号鍵を具備し、プリペイドカードプログラムが、課金装置認証プライベート鍵と一対をなす課金装置認証公開鍵と、カード認証公開鍵と一対をなすカード認証プライベート鍵とを具備するようにしたものである。
【０３１０】
これにより、電子財布と電子プリペイドカード決済手段との間で、相互認証処理を行なうことができ、プリペイドカード決済の安全性が向上する。
【０３１１】
本発明の第７８の態様は、プリペイドカードプログラムデータが、電子財布と電子プリペイドカード決済手段との間で交換するメッセージデータの処理手順を規定するトランザクションモジュールプログラムと、電子プリペイドカードの表示を規定する表示モジュールプログラムと、電子プリペイドカードの表示部品情報とを具備し、電子財布の中央処理装置が、電子プリペイドカードのトランザクションモジュールプログラムにしたがって、電子プリペイドカード決済手段との間で交換するメッセージデータの処理を行ない、電子プリペイドカードの表示モジュールプログラムにしがって表示部品情報を表示することで、電子プリペイドカードを電子財布の表示手段に表示するようにしたものである。
【０３１２】
これにより、トランザクションモジュールプログラムと、表示モジュールプログラムと、表示部品情報との組み合わせにより、各種の電子プリペイドカードを、安全に、発行することができる。
【０３１３】
本発明の第７９の態様は、サービス提供手段のプリペイドカード発行者情報蓄積手段に、電子プリペイドカードの雛形となるテンプレートプログラムが格納されているようにしたものである。
【０３１４】
これにより、プリペイドカード発行者ごとに、各種の電子プリペイドカードを、安全に、発行することができる。
【０３１５】
本発明の第８０の態様は、電子プリペイドカードのテンプレートプログラムが、電子プリペイドカードのトランザクションモジュールプログラムと表示モジュールプログラムと表示部品情報とを具備するようにしたものである。
【０３１６】
これにより、各種の電子プリペイドカードを、安全に、発行することができる。
【０３１７】
本発明の第８１の態様は、電子テレホンカードが、テレホンカードプログラムと、電子テレホンカードの発行時の内容を示す提示カード情報と、電子テレホンカードが本物であることを証明するカード証明書とを具備し、テレホンカードプログラムが、さらに、電子テレホンカードの状態管理情報と、電子テレホンカードの動作を規定するテレホンカードプログラムデータとを具備し、提示カード情報に、サービス提供手段の所有者によるデジタル署名が施されているようにしたものである。
【０３１８】
これにより、電子テレホンカードによる通信料金の決済、及び、電子テレホンカードの譲渡を安全に行なうことができる。
【０３１９】
本発明の第８２の態様は、テレホンカードプログラムが、電子テレホンカードによるデジタル署名に用いるカード署名プライベート鍵を具備し、カード証明書が、カード署名プライベート鍵と一対をなすカード署名公開鍵を証明する公開鍵証明書であるようにしたものである。
【０３２０】
これにより、電子テレホンカードが生成するメッセージに、電子テレホンカードのデジタル署名を行なうことができ、メッセージの有効性を証明できる。
【０３２１】
本発明の第８３の態様は、電子テレホンカードの決済処理プログラムモジュールが、課金装置認証プライベート鍵及びカード認証公開鍵の２つの暗号鍵を具備し、テレホンカードプログラムが、課金装置認証プライベート鍵と一対をなす課金装置認証公開鍵と、カード認証公開鍵と一対をなすカード認証プライベート鍵とを具備するようにしたものである。
【０３２２】
これにより、電子財布と電子テレホンカード決済手段との間で、相互認証処理を行なうことができ、テレホンカード決済の安全性が向上する。
【０３２３】
本発明の第８４の態様は、テレホンカードプログラムデータが、電子財布と電子テレホンカード決済手段との間で交換するメッセージデータの処理手順を規定するトランザクションモジュールプログラムと、電子テレホンカードの表示を規定する表示モジュールプログラムと、電子テレホンカードの表示部品情報とを具備し、電子財布の中央処理装置が、電子テレホンカードのトランザクションモジュールプログラムにしたがって、電子テレホンカード決済手段との間で交換するメッセージデータの処理を行ない、電子テレホンカードの表示モジュールプログラムにしたがって表示部品情報を表示することで、電子テレホンカードを電子財布の表示手段に表示するようにしたものである。
【０３２４】
これにより、トランザクションモジュールプログラムと、表示モジュールプログラムと、表示部品情報との組み合わせにより、各種の電子テレホンカードを、安全に、発行することができる。
【０３２５】
本発明の第８５の態様は、サービス提供手段のテレホンカード発行者情報蓄積手段に、電子テレホンカードの雛形となるテンプレートプログラムが格納されているようにしたものである。
【０３２６】
これにより、テレホンカード発行者ごとに、各種の電子テレホンカードを、安全に、発行することができる。
【０３２７】
本発明の第８６の態様は、電子テレホンカードのテンプレートプログラムが、電子テレホンドカードのトランザクションモジュールプログラムと表示モジュールプログラムと表示部品情報とを具備するようにしたものである。
【０３２８】
これにより、各種の電子プリペイドカードを、安全に、発行することができる。
【０３２９】
本発明の第８７の態様は、電子チケットが、チケットプログラムと、電子チケットの発行時の内容を示す提示チケット情報と、電子チケットが本物であることを証明するチケット証明書とを具備し、チケットプログラムが、さらに、電子チケットの状態管理情報と、電子チケットの動作を規定するチケットプログラムデータとを具備し、提示チケット情報に、サービス提供手段の所有者によるデジタル署名が施されているようにしたものである。
【０３３０】
これにより、電子チケットの改札、及び、電子チケットの譲渡を安全に行なうことができる。
【０３３１】
本発明の第８８の態様は、チケットプログラムが、電子チケットによるデジタル署名に用いるチケット署名プライベート鍵を具備し、チケット証明書が、チケット署名プライベート鍵と一対をなすチケット署名公開鍵を証明する公開鍵証明書であるようにしたものである。
【０３３２】
これにより、電子チケットが生成するメッセージに、電子チケットのデジタル署名を行なうことができ、メッセージの有効性を証明できる。
【０３３３】
本発明の第８９の態様は、電子チケットの改札処理プログラムモジュールが、ゲート認証プライベート鍵及びチケット認証公開鍵の２つの暗号鍵を具備し、チケットプログラムが、ゲート認証プライベート鍵と一対をなすゲート認証公開鍵と、チケット認証公開鍵と一対をなすチケット認証プライベート鍵とを具備するようにしたものである。
【０３３４】
これにより、電子財布と電子チケット改札手段との間で、相互認証処理を行なうことができ、チケット改札の安全性が向上する。
【０３３５】
本発明の第９０の態様は、チケットプログラムデータが、電子財布と電子チケット改札手段との間で交換するメッセージデータの処理手順を規定するトランザクションモジュールプログラムと、電子チケットの表示を規定する表示モジュールプログラムと、電子チケットの表示部品情報とを具備し、電子財布の中央処理装置が、電子チケットのトランザクションモジュールプログラムにしたがって、電子チケット改札手段との間で交換するメッセージデータの処理を行ない、電子チケットの表示モジュールプログラムにしたがって表示部品情報を表示することで、電子チケットを電子財布の表示手段に表示するようにしたものである。
【０３３６】
これにより、トランザクションモジュールプログラムと、表示モジュールプログラムと、表示部品情報との組み合わせにより、各種の電子チケットを、安全に、発行することができる。
【０３３７】
本発明の第９１の態様は、サービス提供手段のチケット発行者情報蓄積手段に、電子チケットの雛形となるテンプレートプログラムが格納されているようにしたものである。
【０３３８】
これにより、チケット発行者ごとに、各種の電子チケットを、安全に、発行することができる。
【０３３９】
本発明の第９２の態様は、電子チケットのテンプレートプログラムが、電子チケットのトランザクションモジュールプログラムと表示モジュールプログラムと表示部品情報とを具備するようにしたものである。
【０３４０】
これにより、各種の電子チケットを、安全に、発行することができる。
【０３４１】
本発明の第９３の態様は、電子財布が電子プリペイドカードの購入を要求するプリペイドカード購入申込メッセージの中に、電子財布の入力手段によって選択された代金の支払方法を示す識別情報が含まれるようにしたものである。
【０３４２】
これにより、電子プリペイドカードを購入する際に、支払方法を選択することができ、利便性が向上する。
【０３４３】
本発明の第９４の態様は、電子プリペイドカード発行依頼メッセージまたは電子プリペイドカードインストール依頼メッセージの中に、プリペイドカード発行者情報蓄積手段に格納されている複数の種類のテンプレートプログラムの中から、電子プリペイドカードの生成に使用するテンプレートプログラムを指定するテンプレートプログラムの識別情報が含まれるようにしたものである。
【０３４４】
これにより、プリペイドカード発行手段は、電子プリペイドカードに使用するテンプレートプログラムを指定でき、各種の電子プリペイドカードを発行できる。
【０３４５】
本発明の第９５の態様は、電子プリペイドカード発行依頼メッセージまたは電子プリペイドカードインストール依頼メッセージの中に、生成する電子プリペイドカードの表示部品情報を指定する表示部品情報が含まれるようにしたものである。
【０３４６】
これにより、発行時に、表示部品情報を指定することができ、自由度の高い、各種の電子プリペイドカードを発行することができる。
【０３４７】
本発明の第９６の態様は、電子財布が、電子財布の第２の蓄積手段に格納されている電子プリペイドカードを、電子財布の所有者が使用する電子プリペイドカードとして、サービス提供手段に登録することを要求するプリペイドカード使用登録要求メッセージを生成して、サービス提供手段へ送信し、プリペイドカード使用登録要求メッセージを受信したサービス提供手段が、新たに、電子プリペイドカードのカード署名プライベート鍵とカード署名公開鍵とカード署名公開鍵を証明する使用登録カード証明書とを生成し、サービスディレクタ情報蓄積手段に、電子プリペイドカードの使用登録を行ない、カード署名プライベート鍵と使用登録カード証明書とを電子財布へ送信し、カード署名プライベート鍵と使用登録カード証明書とを受信した電子財布が、電子プリペイドカードのカード署名プライベート鍵とカード証明書とを、それぞれ、受信したカード署名プライベート鍵と使用登録カード証明書に更新し、電子プリペイドカードの状態管理情報を使用可能状態に変更するようにしたものである。
【０３４８】
これにより、使用登録によって、電子プリペイドカードの署名鍵が更新されるので、安全性が向上する。
【０３４９】
本発明の第９７の態様は、電子財布が、電子財布の第２の蓄積手段に格納されている複数の電子プリペイドカードの中の入力手段によって選択された電子プリペイドカードから、入力手段によって入力された金額に相当する支払を証明するマイクロ小切手メッセージを生成して、電子プリペイドカード決済手段へ送信するようにしたものである。
【０３５０】
これにより、使用する電子プリペイドカードを選択することができ、利便性が向上する。
【０３５１】
本発明の第９８の態様は、電子財布が、電子財布の第２の蓄積手段に格納されている複数の電子プリペイドカードの中の入力手段によって選択された電子プリペイドカードから、電子財布の入力手段によって入力された金額に相当する支払を申し出る支払オファーメッセージを生成して、電子プリペイドカード決済手段へ送信し、支払オファーメッセージを受信した電子プリペイドカード決済手段が、電子プリペイドカード決済手段の入力手段によって入力された金額に相当する支払を請求する支払オファー応答メッセージを生成して、電子財布へ送信し、支払オファー応答メッセージを受信した電子財布が、請求金額が、電子財布の入力手段によって入力された金額以下である場合に、電子プリペイドカードの残り金額から請求金額を減算し、請求金額に相当する支払を証明するマイクロ小切手メッセージを生成して、電子プリペイドカード決済手段へ送信し、マイクロ小切手メッセージを受信した電子プリペイドカード決済手段が、受信したマイクロ小切手メッセージを電子プリペイドカード決済手段の第２の蓄積手段に格納し、マイクロ小切手メッセージを受領したことを証明する領収書メッセージを生成して電子財布へ送信し、領収書メッセージを受信した電子財布が、受信した領収書メッセージを電子財布の第２の蓄積手段に格納するようにしたものである。
【０３５２】
これにより、電子財布の所有者が指定された支払金額以上の金額が支払われることがないので、安全性が向上する。
【０３５３】
本発明の第９９の態様は、支払オファーメッセージの中に、電子財布の入力手段によって入力された支払金額と、電子プリペイドカードの提示カード情報と使用登録カード証明書と、カード署名プライベート鍵によってデジタル署名された状態管理情報とが含まれるようにしたものである。
【０３５４】
これにより、電子プリペイドカード決済手段に、支払に使用する電子プリペイドカードの内容が正確に示され、電子プリペイドカード決済手段は、有効な電子プリペイドカードか否かを判定できる。
【０３５５】
本発明の第１００の態様は、マイクロ小切手メッセージの中に、支払金額と、電子プリペイドカードの残り金額と、電子プリペイドカード決済手段の識別情報と、電子プリペイドカード決済手段の所有者の識別情報とが含まれ、さらに、マイクロ小切手メッセージには、電子プリペイドカードのカード署名プライベート鍵によるデジタル署名が施されるようにしたものである。
【０３５６】
これにより、支払金額と、支払相手が保証され、販売店による不正な請求を防止できる。
【０３５７】
本発明の第１０１の態様は、マイクロ小切手メッセージに、さらに、電子財布の所有者のデジタル署名が施されるようにしたものである。
【０３５８】
これにより、マイクロ小切手が、電子プリペイドカードの所有者によって発行されたものかが判定され、マイクロ小切手の有効性を正確に検証できる。
【０３５９】
本発明の第１０２の態様は、マイクロ小切手メッセージの中に、電子プリペイドカードから生成されるマイクロ小切手メッセージの生成の順番を示すマイクロ小切手発行番号を入れるようにしたものである。
【０３６０】
これにより、マイクロ小切手の生成順序と、残り金額の整合性を検証することができ、マイクロ小切手の有効性を、さらに、正確に検証できる。
【０３６１】
本発明の第１０３の態様は、電子プリペイドカード決済手段が、サービス提供手段によって指定された時刻に、電子プリペイドカード決済手段の第２の蓄積手段に蓄積されているデータを含むアップロードデータメッセージを生成して、サービス提供手段へ送信し、アップロードデータメッセージを受信したサービス提供手段が、アップロードデータメッセージに含まれるマイクロ小切手を、サービスディレクタ情報蓄積手段に登録されている電子プリペイドカードの使用登録情報と照合して、マイクロ小切手の有効性を検証し、さらに、電子プリペイドカード決済手段の第２の蓄積手段の更新データを含むアップデートデータメッセージを生成して、電子プリペイドカード決済手段へ送信し、アップデートデータメッセージを受信した電子プリペイドカード決済手段が、受信したアップデートデータメッセージから更新データを取り出して、第２の蓄積手段に蓄積されているデータを更新するようにしたものである。
【０３６２】
これにより、自動的に、使用されたマイクロ小切手を回収し、有効性を検証することができる。
【０３６３】
本発明の第１０４の態様は、第１の電子財布が、第２の蓄積手段に格納されている電子プリペイドカードを、第２の電子財布に譲渡することを申し出るプリペイドカード譲渡オファーメッセージを生成して、無線通信手段によって、第２の電子財布へ送信し、プリペイドカード譲渡オファーメッセージを受信した第２の電子財布が、プリペイドカード譲渡オファーメッセージの内容を受諾したことを示すプリペイドカード譲渡オファー応答メッセージを生成して、無線通信手段によって、第１の電子財布へ送信し、プリペイドカード譲渡オファー応答メッセージを受信した第１の電子財布が、電子プリペイドカードを、第２の電子財布に譲渡することを証明するプリペイドカード譲渡証明書メッセージを生成して、第２の電子財布へ送信するようにしたものである。
【０３６４】
これにより、譲渡する側と譲渡される側で、内容について交渉をすることができる。
【０３６５】
本発明の第１０５の態様は、プリペイドカード譲渡オファーメッセージの中に、電子プリペイドカードの提示カード情報及びカード証明書または使用登録カード証明書と、カード署名プライベート鍵によってデジタル署名された状態管理情報とが含まれるようにしたものである。
【０３６６】
これにより、譲渡される側は、譲渡される前に、電子プリペイドカードの内容を確認することができる。
【０３６７】
本発明の第１０６の態様は、プリペイドカード譲渡オファーメッセージの中に、第１の電子財布の所有者の公開鍵証明書が含まれ、プリペイドカード譲渡オファーメッセージには、第１の電子財布の所有者のデジタル署名が施され、プリペイドカード譲渡オファー応答メッセージの中に、第２の電子財布の所有者の公開鍵証明書が含まれ、プリペイドカード譲渡オファー応答メッセージには、第２の電子財布の所有者のデジタル署名が施され、プリペイドカード譲渡証明書メッセージの中に、第１の電子財布の所有者の公開鍵証明書の識別情報と、第２の電子財布の所有者の公開鍵証明書の識別情報とが含まれ、プリペイドカード譲渡証明書メッセージには、電子プリペイドカードのカード署名プライベート鍵によるデジタル署名と、第１の電子財布の所有者のデジタル署名とが施されるようにしたものである。
【０３６８】
これにより、譲渡する相手が保証され、プリペイドカード譲渡証明書メッセージが盗まれても、不正に使用されることがない。
【０３６９】
本発明の第１０７の態様は、電子財布が電子テレホンカードの購入を要求するテレホンカード購入申込メッセージの中に、電子財布の入力手段によって選択された代金の支払方法を示す識別情報が含まれるようにしたものである。
【０３７０】
これにより、電子テレホンカードを購入する際に、支払方法を選択することができ、利便性が向上する。
【０３７１】
本発明の第１０８の態様は、電子テレホンカード発行依頼メッセージまたは電子テレホンカードインストール依頼メッセージの中に、テレホンカード発行者情報蓄積手段に格納されている複数の種類のテンプレートプログラムの中から、電子テレホンカードの生成に使用するテンプレートプログラムを指定するテンプレートプログラムの識別情報が含まれるようにしたものである。
【０３７２】
これにより、テレホンカード発行手段は、電子プリペイドカードに使用するテンプレートプログラムを指定でき、各種の電子テレホンカードを発行できる。
【０３７３】
本発明の第１０９の態様は、電子テレホンカード発行依頼メッセージまたは電子テレホンカードインストール依頼メッセージの中に、生成する電子テレホンカードの表示部品情報を指定する表示部品情報が含まれるようにしたものである。
【０３７４】
これにより、発行時に、表示部品情報を指定することができ、自由度の高い、各種の電子テレホンカードを発行することができる。
【０３７５】
本発明の第１１０の態様は、電子財布が、電子財布の第２の蓄積手段に格納されている電子テレホンカードを、電子財布の所有者が使用する電子テレホンカードとして、サービス提供手段に登録することを要求するテレホンカード使用登録要求メッセージを生成して、サービス提供手段へ送信し、テレホンカード使用登録要求メッセージを受信したサービス提供手段が、新たに、電子テレホンカードのカード署名プライベート鍵とカード署名公開鍵とカード署名公開鍵を証明する使用登録カード証明書とを生成し、サービスディレクタ情報蓄積手段に、電子テレホンカードの使用登録を行ない、カード署名プライベート鍵と使用登録カード証明書とを電子財布へ送信し、カード署名プライベート鍵と使用登録カード証明書とを受信した電子財布が、電子テレホンカードのカード署名プライベート鍵とカード証明書とを、それぞれ、受信したカード署名プライベート鍵と使用登録カード証明書とに更新し、電子テレホンカードの状態管理情報を使用可能状態に変更するようにしたものである。
【０３７６】
これにより、使用登録によって、電子テレホンカードの署名鍵が更新されるので、安全性が向上する。
【０３７７】
本発明の第１１１の態様は、電子財布が、電子財布の第２の蓄積手段に格納されている複数の電子テレホンカードの中の入力手段によって選択された電子テレホンカードから、電子テレホンカード決済手段の請求金額に相当する金額の支払を証明する電話マイクロ小切手メッセージを生成して、電子テレホンカード決済手段へ送信するようにしたものである。
【０３７８】
これにより、使用する電子テレホンカードを選択することができ、利便性が向上する。
【０３７９】
本発明の第１１２の態様は、電子財布が、電子財布の第２の蓄積手段に格納されている複数の電子テレホンカードの中から入力手段で選択された電子テレホンカードを用いて、入力手段が指定する通信相手と通信するためのラジオ無線通信サービスを要求するマイクロチェックコール要求メッセージを生成して、電子テレホンカード決済手段へ送信し、マイクロチェックコール要求メッセージを受信した電子テレホンカード決済手段が、通信料金に相当する支払を請求するマイクロチェックコール応答メッセージを生成して、電子財布へ送信し、マイクロチェックコール応答メッセージを受信した電子財布が、電子テレホンカードの残り金額から請求金額を減算し、請求金額に相当する支払を証明する電話マイクロ小切手メッセージを生成して、電子テレホンカード決済手段へ送信し、電話マイクロ小切手メッセージを受信した電子テレホンカード決済手段が、電話マイクロ小切手メッセージを受領したことを証明する領収書メッセージを生成して電子財布へ送信し、領収書メッセージを受信した電子財布が、受信した領収書メッセージを電子財布の第２の蓄積手段に格納するようにしたものである。
【０３８０】
これにより、通信事業者は、提供する無線通信サービスに応じた料金を請求することができる。
【０３８１】
本発明の第１１３の態様は、電子テレホンカード決済手段が、電子財布に、ラジオ無線通信サービスを提供中に、追加の通信料金に相当する金額の支払を請求する通話料金請求メッセージを生成して、電子財布へ送信し、通話料金請求メッセージを受信した電子財布が、電子テレホンカードの残り金額から請求金額を減算し、改めて、請求金額の合計金額に相当する支払を証明する電話マイクロ小切手メッセージを生成して、電子テレホンカード決済手段へ送信し、電話マイクロ小切手メッセージを受信した電子テレホンカード決済手段が、電話マイクロ小切手メッセージを受領したことを証明する領収書メッセージを生成して電子財布へ送信し、領収書メッセージを受信した電子財布が、電子財布の第２の蓄積手段に格納されている領収書メッセージを、受信した領収書メッセージに更新し、この後、ラジオ無線通信サービスの提供を終了した時に、電子テレホンカード決済手段が、最新の電話マイクロ小切手メッセージを電子テレホンカード決済手段の第２の蓄積手段に格納するようにしたものである。
【０３８２】
これにより、通信中に何回も追加料金の決済をしても、履歴情報は小さくてすむ。
【０３８３】
本発明の第１１４の態様は、マイクロチェックコール要求メッセージの中に、電子財布の入力手段によって指定された通信相手の識別情報と、電子テレホンカードの提示カード情報及び使用登録カード証明書と、カード署名プライベート鍵によってデジタル署名された状態管理情報とが含まれるようにしたものである。
【０３８４】
これにより、電子テレホンカード決済手段に、支払に使用する電子テレホンカードの内容が正確に示され、電子テレホンカード決済手段は、有効な電子テレホンカードか否かを判定できる。
【０３８５】
本発明の第１１５の態様は、電話マイクロ小切手メッセージの中に、支払金額と、電子テレホンカードの残り金額と、電子テレホンカード決済手段の識別情報と、電子テレホンカード決済手段の所有者の識別情報とが含まれ、さらに、電話マイクロ小切手メッセージには、電子テレホンカードのカード署名プライベート鍵によるデジタル署名が施されるようにしたものである。
【０３８６】
これにより、支払金額と、支払相手が保証され、電子テレホンカード決済手段の所有者による不正な請求を防止できる。
【０３８７】
本発明の第１１６の態様は、電話マイクロ小切手メッセージには、電子テレホンカードのカード署名プライベート鍵によるデジタル署名とともに、電子財布の所有者のデジタル署名とが施されるようにしたものである。
【０３８８】
これにより、電話マイクロ小切手メッセージが、電子テレホンカードの所有者によって発行したものかが判定され、電話マイクロ小切手メッセージの有効性を正確に検証できる。
【０３８９】
本発明の第１１７の態様は、電話マイクロ小切手メッセージの中に、電子テレホンカードから生成される電話マイクロ小切手メッセージの生成の順番を示す電話マイクロ小切手発行番号を入れるようにしたものである。
【０３９０】
これにより、電話マイクロ小切手メッセージの生成順序と、残り金額の整合性を検証することができ、電話マイクロ小切手メッセージの有効性を、さらに、正確に検証できる。
【０３９１】
本発明の第１１８の態様は、電子テレホンカード決済手段が、サービス提供手段によって指定された時刻に、電子テレホンカード決済手段の第２の蓄積手段に蓄積されているデータを含むアップロードデータメッセージを生成して、サービス提供手段へ送信し、アップロードデータメッセージを受信したサービス提供手段が、アップロードデータメッセージに含まれる電話マイクロ小切手を、サービスディレクタ情報蓄積手段に登録されている電子テレホンカードの使用登録情報と照合して、電話マイクロ小切手の有効性を検証し、さらに、電子テレホンカード決済手段の第２の蓄積手段の更新データを含むアップデートデータメッセージを生成して、電子テレホンカード決済手段へ送信し、アップデートデータメッセージを受信した電子テレホンカード決済手段が、受信したアップデートデータメッセージから更新データを取り出して、第２の蓄積手段に蓄積されているデータを更新するようにしたものである。
【０３９２】
これにより、自動的に、使用された電話マイクロ小切手を回収し、有効性を検証することができる。
【０３９３】
本発明の第１１９の態様は、第１の電子財布が、第２の蓄積手段に格納されている電子テレホンカードを、第２の電子財布に譲渡することを申し出るテレホンカード譲渡オファーメッセージを生成して、無線通信手段によって、第２の電子財布へ送信し、テレホンカード譲渡オファーメッセージを受信した第２の電子財布が、テレホンカード譲渡オファーメッセージの内容を受諾したことを示すテレホンカード譲渡オファー応答メッセージを生成して、無線通信手段によって、第１の電子財布へ送信し、テレホンカード譲渡オファー応答メッセージを受信した第１の電子財布が、電子テレホンカードを、第２の電子財布に譲渡すること証明するテレホンカード譲渡証明書メッセージを生成して、無線通信手段によって、第２の電子財布へ送信するようにしたものである。
【０３９４】
これにより、譲渡する側と譲渡される側で、内容について交渉をすることができる。
【０３９５】
本発明の第１２０の態様は、テレホンカード譲渡オファーメッセージの中に、電子テレホンカードの提示カード情報及びカード証明書または使用登録カード証明書と、カード署名プライベート鍵によってデジタル署名された状態管理情報とが含まれるようにしたものである。
【０３９６】
これにより、譲渡される側は、譲渡される前に、電子テレホンカードの内容を確認することができる。
【０３９７】
本発明の第１２１の態様は、テレホンカード譲渡オファーメッセージの中に、第１の電子財布の所有者の公開鍵証明書が含まれ、テレホンカード譲渡オファーメッセージには、第１の電子財布の所有者のデジタル署名が施され、テレホンカード譲渡オファー応答メッセージの中に、第２の電子財布の所有者の公開鍵証明書が含まれ、テレホンカード譲渡オファー応答メッセージには、第２の電子財布の所有者のデジタル署名が施され、テレホンカード譲渡証明書メッセージの中に、第１の電子財布の所有者の公開鍵証明書の識別情報と、第２の電子財布の所有者の公開鍵証明書の識別情報とが含まれ、テレホンカード譲渡証明書メッセージには、電子テレホンカードのカード署名プライベート鍵によるデジタル署名と、第１の電子財布の所有者のデジタル署名とが施されるようにしたものである。
【０３９８】
これにより、譲渡する相手が保証され、プリペイドカード譲渡証明書メッセージが盗まれても、不正に使用されることがない。
【０３９９】
本発明の第１２２の態様は、電子財布が電子チケットの購入を要求するチケット購入申込メッセージの中に、電子財布の入力手段によって選択された代金の支払方法を示す識別情報が含まれるようにしたものである。
【０４００】
これにより、電子チケットを購入する際に、支払方法を選択することができ、利便性が向上する。
【０４０１】
本発明の第１２３の態様は、電子チケット発行依頼メッセージまたは電子チケットインストール依頼メッセージの中に、チケット発行者情報蓄積手段に格納されている複数の種類のテンプレートプログラムの中から、電子チケットの生成に使用するテンプレートプログラムを指定するテンプレートプログラムの識別情報が含まれるようにしたものである。
【０４０２】
これにより、チケット発行手段は、電子チケットに使用するテンプレートプログラムを指定でき、各種の電子チケットを発行できる。
【０４０３】
本発明の第１２４の態様は、電子チケット発行依頼メッセージまたは電子チケットインストール依頼メッセージの中に、生成する電子チケットの表示部品情報を指定する表示部品情報が含まれるようにしたものである。
【０４０４】
これにより、発行時に、表示部品情報を指定することができ、自由度の高い、各種の電子チケットを発行することができる。
【０４０５】
本発明の第１２５の態様は、電子財布が、電子財布の第２の蓄積手段に格納されている電子チケットを、電子財布の所有者が使用する電子チケットとして、サービス提供手段に登録することを要求するチケット使用登録要求メッセージを生成して、サービス提供手段へ送信し、チケット使用登録要求メッセージを受信したサービス提供手段が、新たに、電子チケットのチケット署名プライベート鍵とチケット署名公開鍵とチケット署名公開鍵を証明する使用登録チケット証明書とを生成し、サービスディレクタ情報蓄積手段に、電子チケットの使用登録を行ない、チケット署名プライベート鍵と使用登録チケット証明書とを電子財布へ送信し、チケット署名プライベート鍵と使用登録チケット証明書とを受信した電子財布が、電子チケットのチケット署名プライベート鍵とチケット証明書とを、それぞれ、受信したチケット署名プライベート鍵と使用登録チケット証明書とに更新し、電子チケットの状態管理情報を使用可能状態に変更するようにしたものである。
【０４０６】
これにより、使用登録によって、電子チケットの署名鍵が更新されるので、安全性が向上する。
【０４０７】
本発明の第１２６の態様は、電子財布が、電子財布の第２の蓄積手段に格納されている複数の電子チケットの中から、入力手段によって選択された電子チケットの内容を示すチケット提示メッセージを生成して、電子チケット改札手段へ送信するようにしたものである。
【０４０８】
これにより、使用する電子チケットを選択することができ、利便性が向上する。
【０４０９】
本発明の第１２７の態様は、チケット提示メッセージを受信した電子チケット改札手段が、電子チケットに改札後の状態への状態変更を命令するチケット改札メッセージを生成して、電子財布へ送信し、チケット改札メッセージを受信した電子財布が、電子チケットを改札後の状態に変更し、変更後の電子チケットの内容を示すチケット改札応答メッセージを生成して、電子チケット改札手段へ送信し、チケット改札応答メッセージを受信した電子チケット改札手段が、受信したチケット改札応答メッセージを電子チケット改札手段の第２の蓄積手段に格納し、電子チケットを改札したことを証明する改札証明書メッセージを生成して電子財布へ送信し、改札証明書メッセージを受信した電子財布が、受信した改札証明書メッセージを電子財布の第２の蓄積手段に格納するようにしたものである。
【０４１０】
これにより、電子チケット改札手段は、提示されたチケットの内容に応じた改札処理を行なうことができる。
【０４１１】
本発明の第１２８の態様は、チケット提示メッセージの中に、電子チケットの提示チケット情報及び使用登録チケット証明書と、チケット署名プライベート鍵によってデジタル署名された状態管理情報とが含まれるようにしたものである。
【０４１２】
これにより、電子チケット改札手段に、使用する電子チケットの内容が正確に示され、電子チケット改札手段は、有効な電子チケットか否かを判定できる。
【０４１３】
本発明の第１２９の態様は、チケット改札応答メッセージの中に、電子チケットの状態管理情報と、電子チケット改札手段の識別情報と、電子チケット改札手段の所有者の識別情報とが含まれ、さらに、チケット改札応答メッセージには、電子チケットのチケット署名プライベート鍵によるデジタル署名が施されるようにしたものである。
【０４１４】
これにより、改札をした電子チケットの内容が保証され、電子チケット改札手段の所有者による不正な請求を防止できる。
【０４１５】
本発明の第１３０の態様は、チケット改札応答メッセージの中に、電子チケット改札手段の識別情報と、電子チケット改札手段の所有者の識別情報とが含まれ、さらに、チケット改札応答メッセージには、電子チケットのチケット署名プライベート鍵によるデジタル署名と、電子財布の所有者のデジタル署名とが施されるようにしたものである。
【０４１６】
これにより、チケット改札応答メッセージが、電子チケットの所有者によって発行したものかが判定され、チケット改札応答の有効性を正確に検証できる。
【０４１７】
本発明の第１３１の態様は、チケット改札応答メッセージの中に、電子チケットから生成されるチケット改札応答メッセージの生成の順番を示すチケット改札番号を入れるようにしたものである。
【０４１８】
これにより、チケット改札応答メッセージの生成順序と、状態の変化の整合性を検証することができ、チケット改札応答メッセージの有効性を、さらに、正確に検証できる。
【０４１９】
本発明の第１３２の態様は、電子チケット改札手段が、サービス提供手段によって指定された時刻に、電子チケット改札手段の第２の蓄積手段に蓄積されているデータを含むアップロードデータメッセージを生成して、サービス提供手段へ送信し、アップロードデータメッセージを受信したサービス提供手段が、アップロードデータメッセージに含まれるチケット改札応答を、サービスディレクタ情報蓄積手段に登録されている電子チケットの使用登録情報と照合して、チケット改札応答の有効性を検証し、さらに、電子チケット改札手段の第２の蓄積手段の更新データを含むアップデートデータメッセージを生成して、電子チケット改札手段へ送信し、アップデートデータメッセージを受信した電子チケット改札手段が、受信したアップデートデータメッセージから更新データを取り出して、第２の蓄積手段に蓄積されているデータを更新するようにしたものである。
【０４２０】
これにより、自動的に、チケット改札応答を回収し、有効性を検証することができる。
【０４２１】
本発明の第１３３の態様は、第１の電子財布が、第２の蓄積手段に格納されている電子チケットを、第２の電子財布に譲渡することを申し出るチケット譲渡オファーメッセージを生成して、無線通信手段によって、第２の電子財布へ送信し、チケット譲渡オファーメッセージを受信した第２の電子財布が、チケット譲渡オファーメッセージの内容を受諾したことを示すチケット譲渡オファー応答メッセージを生成して、無線通信手段によって、第１の電子財布へ送信し、チケット譲渡オファー応答メッセージを受信した第１の電子財布が、電子チケットを、第２の電子財布に譲渡すること証明するチケット譲渡証明書メッセージを生成して、無線通信手段によって、第２の電子財布へ送信するようにしたものである。
【０４２２】
これにより、譲渡する側と譲渡される側で、内容について交渉をすることができる。
【０４２３】
本発明の第１３４の態様は、チケット譲渡オファーメッセージの中に、電子チケットの提示チケット情報及びチケット証明書または使用登録チケット証明書と、チケット署名プライベート鍵によってデジタル署名された状態管理情報とが含まれるようにしたものである。
【０４２４】
これにより、譲渡される側は、譲渡される前に、電子チケットの内容を確認することができる。
【０４２５】
本発明の第１３５の態様は、チケット譲渡オファーメッセージの中に、第１の電子財布の所有者の公開鍵証明書が含まれ、チケット譲渡オファーメッセージには、第１の電子財布の所有者のデジタル署名が施され、チケット譲渡オファー応答メッセージの中に、第２の電子財布の所有者の公開鍵証明書が含まれ、チケット譲渡オファー応答メッセージには、第２の電子財布の所有者のデジタル署名が施され、チケット譲渡証明書メッセージの中に、第１の電子財布の所有者の公開鍵証明書の識別情報と、第２の電子財布の所有者の公開鍵証明書の識別情報とが含まれ、チケット譲渡証明書メッセージには、電子チケットのチケット署名プライベート鍵によるデジタル署名と、第１の電子財布の所有者のデジタル署名とが施されるようにしたものである。
【０４２６】
これにより、譲渡する相手が保証され、チケット譲渡証明書メッセージが盗まれても、不正に使用されることがない。
【０４２７】
本発明の第１３６の態様は、電子プリペイドカード発行依頼メッセージ、電子テレホンカード発行依頼メッセージまたは電子チケット発行依頼メッセージの中に、決済処理の手順を指定する決済処理オプション情報が含まれるようにしたものである。
【０４２８】
これにより、プリペイドカード発行者、テレホンカード発行者、チケット発行者は、決済処理の手順を指定することができる。
【０４２９】
本発明の第１３７の態様は、電子プリペイドカード発行依頼メッセージ、電子テレホンカード発行依頼メッセージまたは電子チケット発行依頼メッセージを受信したサービス提供手段が、決済処理オプション情報にしたがって、代金の決済処理を行なう前に、電子プリペイドカード、電子テレホンカードまたは電子チケットを生成して、電子財布に送信するようにしたものである。
【０４３０】
これにより、購入者を待たせずに、電子プリペイドカード、電子テレホンカード、電子チケットを発行することができる。
【０４３１】
本発明の第１３８の態様は、電子プリペイドカード発行依頼メッセージ、電子テレホンカード発行依頼メッセージまたは電子チケット発行依頼メッセージを受信したサービス提供手段が、代金の決済処理を行なう前に、電子プリペイドカード、電子テレホンカードまたは電子チケットと、決済処理の内容を示す仮領収書メッセージとを生成して、電子財布に送信するようにしたものである。
【０４３２】
これにより、購入者を待たせずに、電子プリペイドカード、電子テレホンカード、電子チケットを発行することができる。
【０４３３】
本発明の第１３９の態様は、電子財布の所有者が所有する電子プリペイドカード、電子テレホンカード及び電子チケットに関するデータ、並びに、電子財布の中央処理装置によって処理されたデータが、電子財布の第２の蓄積手段、または、サービス提供手段のユーザ情報蓄積手段に蓄積され、これらのデータが、電子財布の第２の蓄積手段に、データの識別情報と、データが存在する蓄積手段上のアドレスとを記述して管理され、電子財布が、ユーザ情報蓄積手段上のアドレスを示すデータを処理する場合に、データを要求するリモートアクセス要求メッセージを生成して、サービス提供手段へ送信し、リモートアクセス要求メッセージを受信したサービス提供手段が、要求されたデータを含むリモートアクセスデータメッセージを生成して、電子財布へ送信し、リモートアクセスデータメッセージを受信した電子財布が、受信したリモートアクセスデータメッセージから、要求したデータを取り出すようにしたものである。
【０４３４】
これにより、電子財布の限られたメモリにおいても、複数の電子プリペイドカード、電子テレホンカード、電子チケット、及び、履歴情報を管理することができる。
【０４３５】
本発明の第１４０の態様は、電子財布が、蓄積手段として、強誘電体不揮発性メモリを用いたものである。
【０４３６】
これにより、電子財布のバッテリィの寿命が伸びる効果がある。
【０４３７】
本発明の第１４１の態様は、電子プリペイドカード決済手段の蓄積手段として、強誘電体不揮発性メモリを用いたものである。
【０４３８】
これにより、電子プリペイドカード決済手段のバッテリィの寿命が伸びる効果がある。
【０４３９】
本発明の第１４２の態様は、電子プリペイドカードインストール情報、電子テレホンカードインストール情報または電子チケットインストール情報が、人または読み取り手段により読み取り可能な形式で、印刷または刻印された印刷物である。
【０４４０】
これにより、電子プリペイドカード、電子テレホンカード、電子チケットを、実質的に、物流ルートで流通させることができる。
【０４４１】
本発明の第１４３の態様は、この印刷物の電子プリペイドカードインストール情報、電子テレホンカードインストール情報または電子チケットインストール情報が印刷または刻印されている部分に、電子プリペイドカードインストール情報、電子テレホンカードインストール情報または電子チケットインストール情報を読み取り不可能にするコーティングを施し、このコーティングを除去可能にしたものである。
【０４４２】
これにより、購入前のインストール情報の漏洩を防止できる。
【０４４３】
本発明の第１４４の態様は、この印刷物に、偽造防止用のフォログラフィ、マイクロ文字または高精細文様を、印刷または刻印したものである。
【０４４４】
これにより、偽造を防止することができる。
【０４４５】
本発明の第１４５の態様は、電子プリペイドカードインストール情報、電子テレホンカードインストール情報または電子チケットインストール情報が、記録再生手段により読み取り可能な形式で記録されている記録媒体である。
【０４４６】
これにより、電子プリペイドカード、電子テレホンカード、電子チケットを、実質的に、物流ルートで流通させることができる。
【０４４７】
本発明の第１４６の態様は、電子財布の中央処理装置における制御プログラムを、電子計算機が読み取り可能な形式で記録した記録媒体である。これにより、プログラムを、持ち運び可能な形態で、流通させることができる。
【０４４８】
本発明の第１４７の態様は、電子プリペイドカード決済手段の中央処理装置における制御プログラムを、電子計算機が読み取り可能な形式で記録した記録媒体である。これにより、プログラムを、持ち運び可能な形態で、流通させることができる。
【０４４９】
本発明の第１４８の態様は、電子テレホンカード決済手段の中央処理装置における制御プログラムを、電子計算機が読み取り可能な形式で記録した記録媒体である。これにより、プログラムを、持ち運び可能な形態で、流通させることができる。
【０４５０】
本発明の第１４９の態様は、電子チケット改札手段の中央処理装置における制御プログラムを、電子計算機が読み取り可能な形式で記録した記録媒体である。これにより、プログラムを、持ち運び可能な形態で、流通させることができる。
【０４５１】
本発明の第１５０の態様は、サービス提供手段の計算機システムにおける処理プログラムを、電子計算機が読み取り可能な形式で記録した記録媒体である。これにより、プログラムを、持ち運び可能な形態で、流通させることができる。
【０４５２】
本発明の第１５１の態様は、決済処理手段の計算機システムにおける処理プログラムを、電子計算機が読み取り可能な形式で記録した記録媒体である。これにより、プログラムを、持ち運び可能な形態で、流通させることができる。
【０４５３】
本発明の第１５２の態様は、プリペイドカード発行手段の計算機システムにおける処理プログラムを、電子計算機が読み取り可能な形式で記録した記録媒体である。これにより、プログラムを、持ち運び可能な形態で、流通させることができる。
【０４５４】
本発明の第１５３の態様は、テレホンカード発行手段の計算機システムにおける処理プログラムを、電子計算機が読み取り可能な形式で記録した記録媒体である。これにより、プログラムを、持ち運び可能な形態で、流通させることができる。
【０４５５】
本発明の第１５４の態様は、チケット発行手段の計算機システムにおける処理プログラムを、電子計算機が読み取り可能な形式で記録した記録媒体である。これにより、プログラムを、持ち運び可能な形態で、流通させることができる。
【０４５６】
以下、本発明の実施の形態について、図１から図１３７を用いて説明する。
【０４５７】
（第１の実施の形態）
本発明の具体的な実施形態であるエレクトロニックコマース・システムは、ユーザ（個人消費者）が、ネットワークを介して、各種のチケットや、プリペイドカード、テレホンカードを電子情報として購入し、そのチケットで会場に入場するときの改札や、プリペイドカードを用いて商品やサービスを購入したときの売買決済、あるいは、テレホンカードを使用したときの無線電話通信サービスの課金決済を、全て、無線通信によって行なうシステムである。従って、このシステムでは、チケットの改札で係員にチケットを提示したり、小売販売店で商品を購入する際に、店員との間で、直接、現金やレシートを受け渡したり、また、携帯電話やＰＨＳ等の無線電話端末で電話をかけるときに、ユーザの手で、ＳＩＭカード（Subscriber Identity Module Card）を無線電話端末に組み込んだりすることが一切不要になる。
【０４５８】
この明細書では、このシステムを「モバイル・エレクトロニックコマース・システム」と呼び、このシステムによって提供される各種のサービスを、総称して、「モバイル・エレクトロニックコマース・サービス」と呼ぶこととする。
【０４５９】
このモバイル・エレクトロニックコマース・システムは、図１のシステム構成図に示すように、２系統の双方向無線通信機能を有し、電子的なチケット、プリペイドカード、テレホンカード及びクレジットカード（バンクカード）として機能するモバイルユーザ端末100と、チケットの自動改札処理を行なうゲート端末101と、小売販売店のレジカウンタにおけるプリペイド決済処理及びクレジット決済処理を行なうマーチャント端末102と、モバイル環境におけるプリペイド決済処理及びクレジット決済処理を行なうマーチャント端末103と、プリペイド決済機能を持つ自動販売機104と、無線電話通信のプリペイド決済機能を持つデジタル無線電話の交換局105と、クレジットサービス会社または決済処理会社におけるクレジット決済処理を行なう決済処理システム106と、イベント会社またはチケット発行会社におけるチケットの発行処理を行なうチケット発行システム107と、小売販売会社またはプリペイドカード発行会社におけるプリペイドカードの発行処理を行なうプリペイドカード発行システム108と、無線電話通信会社またはテレホンカード発行会社における無線電話通信用のテレホンカードの発行処理を行なうテレホンカード発行システム109と、モバイルユーザ端末100、ゲート端末101、マーチャント端末102、マーチャント端末103、自動販売機104、交換局105、決済処理システム106、チケット発行システム107、プリペイドカード発行システム108及びテレホンカード発行システム109を結ぶ通信ネットワークの中心に位置してモバイル・エレクトロニックコマース・サービスを提供するサービス提供システム110と、ネットワークにおけるデータ伝送路を提供するデジタル公衆網111と、モバイルユーザ端末100を交換局105に接続する無線電話の基地局112と、マーチャント端末103をデジタル公衆網111に接続する無線電話の基地局113と、自動販売機104をデジタル公衆網111に接続する無線電話の基地局114と、デジタル公衆網111に接続する送話先の電話端末115とを備えている。
【０４６０】
モバイルユーザ端末100は、赤外線通信とデジタル無線電話通信との２系統の双方向無線通信機能と、電子的なチケットの機能と、電子的なプリペイドカードの機能と、電子的なテレホンカードの機能と、電子的なクレジットカードの機能とを持つ携帯無線電話端末である。
【０４６１】
また、マーチャント端末103、及び自動販売機104も、赤外線通信とデジタル無線電話通信との２系統の双方向無線通信機能を持ち、ゲート端末101、及びマーチャント端末102は、赤外線通信とデジタル電話通信との２系統の双方向通信機能を持つ。
【０４６２】
また、基地局112は、モバイルユーザ端末100との間の制御チャンネルを用いて、モバイルユーザ端末100と交換局105との間で交換される決済情報を伝送する機能を備えている。
【０４６３】
電話端末115は、デジタル公衆網111を介して通話可能な任意の電話端末であり、固定された電話端末でも、移動可能な無線電話端末であっても良い。
【０４６４】
なお、図１において、116は、モバイルユーザ端末100と基地局112との間で行なうデジタル無線電話通信の伝送路を示し、117は、基地局112と交換局105とを結ぶデジタル通信回線、118は、交換局105とデジタル公衆網111とを結ぶデジタル通信回線、119は、モバイルユーザ端末100とゲート端末101との間で行なう赤外線通信の伝送路、120は、ゲート端末101とデジタル公衆網111とを結ぶデジタル電話通信回線、121は、モバイルユーザ端末100とマーチャント端末102との間で行なう赤外線通信の伝送路、122は、マーチャント端末102とデジタル公衆網111とを結ぶデジタル電話通信回線、123は、モバイルユーザ端末100とマーチャント端末103との間で行なう赤外線通信の伝送路、124は、マーチャント端末103と基地局113との間で行なうデジタル無線電話通信の伝送路、125は、基地局113とデジタル公衆網111とを結ぶデジタル通信回線、126は、モバイルユーザ端末100と自動販売機104との間で行なう赤外線通信の伝送路、127は、自動販売機104と基地局114との間で行なうデジタル無線通信の伝送路、128は、基地局114とデジタル公衆網111とを結ぶデジタル通信回線、129は、電話端末115とデジタル公衆網111とを結ぶ電話通信回線、130は、デジタル公衆網111とサービス提供システム110とを結ぶデジタル通信回線、131は、サービス提供システム110と決済処理システム106とを結ぶデジタル通信回線、132は、サービス提供システム110とチケット発行システム107とを結ぶデジタル通信回線、133は、サービス提供システム110とプリペイドカード発行システム108とを結ぶデジタル通信回線、134は、サービス提供システム110とテレホンカード発行システム109とを結ぶデジタル通信回線を示している。特に、デジタル通信回線130,131,132,133,134は、多重化によって、複数の通信回線として動作する。
【０４６５】
また、モバイル・エレクトロニックコマース・サービスの通常の運用形態としては、次のような形態を想定している。
【０４６６】
決済処理システム106は、クレジットカード会社または銀行または決済処理会社に設置され、チケット発行システム107は、イベント会社またはチケット発行会社に、プリペイドカード発行システム108は、小売販売会社またはプリペイドカード発行会社に、テレホンカード発行システム109は、無線電話通信会社またはテレホンカード発行会社に設置される。
【０４６７】
さらに、ゲート端末101は、映画館やイベント会場等の入口に、マーチャント端末102は、小売販売店のレジカウンタに設置され、マーチャント端末103は、売場販売員や、集金担当者が携帯し、モバイルユーザ端末100を、消費者が持ち歩く。サービス提供システム110は、モバイル・エレクトロニックコマース・サービスを提供する会社に設置される。
【０４６８】
さらに、モバイル・エレクトロニックコマース・システムを構成する各機器、及び、各システムの所有者間の社会的な関係として、次のような関係を前提としている。
【０４６９】
モバイルユーザ端末100の所有する消費者は、クレジットカード会社または銀行との間で、クレジットサービスの会員契約を、モバイル・エレクトロニックコマース・サービスを提供する会社との間では、モバイル・エレクトロニックコマース・サービスの会員契約を、さらに、無線電話通信会社との間では、無線電話通信サービスの契約を結んでいる。
【０４７０】
ゲート端末101の所有者、例えば、映画館やイベント会場の経営者は、チケット発行システム107の所有者との間で、チケット発行システムが発行したチケットを取扱う契約を、モバイル・エレクトロニックコマース・サービスを提供する会社との間では、モバイル・エレクトロニックコマース・サービスの加盟店契約を、さらに、電話通信会社との間では、デジタル電話通信サービスの契約を結んでいる。但し、ゲート端末101の所有者と、チケット発行システム107の所有者が、同一の所有者であっても良い。
【０４７１】
マーチャント端末102を所有する小売販売店は、プリペイドカード発行システム108の所有者との間で、プリペイドカード発行システムが発行したプリペイドカードを取扱う契約を、クレジットカード会社または銀行との間では、クレジットサービスの加盟店契約を、モバイル・エレクトロニックコマース・サービスを提供する会社との間では、モバイル・エレクトロニックコマース・サービスの加盟店契約を、さらに、電話通信会社との間では、デジタル電話通信サービスの契約を結んでいる。但し、マーチャント端末102の所有者と、プリペイドカード発行システム108の所有者が、同一の所有者であっても良い。
【０４７２】
マーチャント端末103の所有者は、プリペイドカード発行システム108の所有者との間で、プリペイドカード発行システムが発行したプリペイドカードを取扱う契約を、クレジットカード会社または銀行との間では、クレジットサービスの加盟店契約を、モバイル・エレクトロニックコマース・サービスを提供する会社との間では、モバイル・エレクトロニックコマース・サービスの加盟店契約を、さらに、無線電話通信会社との間では、デジタル無線電話通信サービスの契約を結んでいる。但し、マーチャント端末103の所有者と、プリペイドカード発行システム108の所有者が、同一の所有者であっても良い。
【０４７３】
自動販売機104の所有者は、プリペイドカード発行システム108の所有者との間で、プリペイドカード発行システムが発行したプリペイドカードを取扱う契約を、モバイル・エレクトロニックコマース・サービスを提供する会社との間では、モバイル・エレクトロニックコマース・サービスの加盟店契約を、さらに、無線電話通信会社との間では、デジタル無線電話通信サービスの契約を結んでいる。
【０４７４】
但し、自動販売機104の所有者と、プリペイドカード発行システム108の所有者が、同一の所有者であっても良い。
【０４７５】
交換局105の所有者である無線電話通信会社は、テレホンカード発行システム109の所有者との間で、テレホンカード発行システムが発行したテレホンカードを取扱う契約を、モバイル・エレクトロニックコマース・サービスを提供する会社との間で、モバイル・エレクトロニックコマース・サービスの加盟店契約を結んでいる。但し、テレホンカード発行システム109の所有者が、無線電話通信会社であっても良い。
【０４７６】
チケット発行システム107の所有者は、クレジットカード会社または銀行との間では、クレジットサービスの加盟店契約を、モバイル・エレクトロニックコマース・サービスを提供する会社との間では、モバイル・エレクトロニックコマース・サービスのチケット発行者の契約を、さらに、通信事業会社との間では、デジタル通信サービスの契約を結んでいる。但し、チケット発行システム107の所有者が、モバイル・エレクトロニックコマース・サービスを提供する会社であっても良い。
【０４７７】
プリペイドカード発行システム108の所有者は、クレジットカード会社または銀行との間では、クレジットサービスの加盟店契約を、モバイル・エレクトロニックコマース・サービスを提供する会社との間では、モバイル・エレクトロニックコマース・サービスのプリペイドカード発行者の契約を、さらに、通信事業会社との間では、デジタル通信サービスの契約を結んでいる。但し、プリペイドカード発行システム108の所有者が、モバイル・エレクトロニックコマース・サービスを提供する会社であっても良い。
【０４７８】
テレホンカード発行システム109の所有者は、クレジットカード会社または銀行との間では、クレジットサービスの加盟店契約を、モバイル・エレクトロニックコマース・サービスを提供する会社との間では、モバイル・エレクトロニックコマース・サービスのテレホンカード提供者の契約を、さらに、通信事業会社との間では、デジタル通信サービスの契約を結んでいる。但し、テレホンカード発行システム109の所有者が、モバイル・エレクトロニックコマース・サービスを提供する会社であっても良い。
【０４７９】
モバイル・エレクトロニックコマース・サービスを提供する会社は、１社または複数のクレジットカード会社または銀行との間で、クレジットサービスに契約している会員に対して、クレジットカード会社または銀行の代わりに、電子的なクレジットカード（バンクカード）を発行し、クレジットサービスを提供する契約を結んでいる。また、チケット発行システム107の所有者との間では、代わりに、電子的なチケットを発行し、チケットサービスを提供する契約を、プリペイドカード発行システム108の所有者との間では、代わりに、電子的なプリペイドカードを発行し、プリペイド決済サービスを提供する契約を、テレホンカード発行システム109の所有者との間では、代わりに、電子的なテレホンカードを発行し、無線電話のプリペイド決済サービスを提供する契約を結んでいる。
【０４８０】
また、決済処理会社が、決済処理システム106を用いてクレジット決済処理を行なう場合には、決済処理会社は、１社または複数のクレジットカード会社または銀行との間で、クレジット決済処理を決済処理会社が代行する契約を結んでいる。
【０４８１】
なお、クレジットカードによって、クレジット決済処理を行なう決済処理システムが異なる場合には、図１の決済処理システム106と同様の形態で、複数の決済処理システムが、サービス提供システム110にデジタル通信回線によって接続される。
【０４８２】
同様に、チケットの種類によって、チケット発行システムが異なる場合には、図１のチケット発行システム107と同様の形態で、複数のチケット発行システムが、サービス提供システム110にデジタル通信回線によって接続され、また、プリペイドカードの種類によって、プリペイドカード発行システムが異なる場合には、図１のプリペイドカード発行システム108と同様の形態で、複数のプリペイドカード発行システムが、サービス提供システム110にデジタル通信回線によって接続され、また、テレホンカードの種類によって、テレホンカード発行システムが異なる場合には、図１のテレホンカード発行システム109と同様の形態で、複数のテレホンカード発行システムが、サービス提供システム110にデジタル通信回線によって接続される。
【０４８３】
以下では、本システムの説明を簡単にするために、モバイルユーザ端末100の所有する消費者をユーザ(User)、ゲート端末101、マーチャント端末102、マーチャント端末103または自動販売機104を所有し、商品やサービスを提供・販売する事業者をマーチャント(Merchant)、交換局105を所有し無線電話通信サービスを提供する無線電話通信会社を通信事業者(Communication Service Provider)、サービス提供システム110を所有しモバイル・エレクトロニックコマース・サービスを提供する会社をサービス提供者(Service Provider)、決済処理システム106を所有しクレジット決済処理を行なうクレジットカード会社または決済処理会社を決済処理機関(Transaction Processor)、チケット発行システム107を所有しチケットの販売を行なう事業者をチケット発行者(Ticket Issuer)、プリペイドカード発行システム108を所有しプリペイドカードの販売を行なう事業者をプリペイドカード発行者(Payment Card Issuer)、テレホンカード発行システム109を所有しテレホンカードの販売を行なう事業者をテレホンカード発行者(Telephone Card Issuer)と呼ぶこととする。
【０４８４】
本システムによって提供されるモバイル・エレクトロニックコマース・サービスには、大きく分けて、電子チケットサービス、電子プリペイドカードサービス、電子テレホンカードサービス、及び電子クレジットカードサービスの４つのサービスがある。
【０４８５】
電子チケットサービスは、ネットワークを介したチケットの売買と、それにともなうチケットの配送と、そのチケットの使用とを、全て電子的に行なうサービスである。
【０４８６】
具体的には、ユーザがモバイルユーザ端末100を用いて、チケット発行システム107から、サービス提供システム110を介してチケットを購入し、サービス提供システムから、電子情報化されたチケットである電子チケットを受信して、それをモバイルユーザ端末に蓄積して管理し、電子チケットを使用する際には、ゲート端末101とのデータ通信によって、モバイルユーザ端末に蓄積されている電子チケットを提示し、チケットの改札処理情報を交換して、電子チケットの改札処理を行なうものである。
【０４８７】
電子プリペイドカードサービスは、ネットワークを介したプリペイドカードの売買と、それにともなうプリペイドカードの配送と、そのプリペイドカードによる支払決済とを、全て電子的に行なうサービスである。
【０４８８】
具体的には、ユーザがモバイルユーザ端末100を用いて、プリペイドカード発行システム108から、サービス提供システム110を介してプリペイドカードを購入し、サービス提供システムから、電子情報化されたプリペイドカードである電子プリペイドカードを受信して、それをモバイルユーザ端末に蓄積して管理し、電子プリペイドカードを使用する際には、マーチャント端末102（またはマーチャント端末103または自動販売機104）とのデータ通信によって、モバイルユーザ端末に蓄積されている電子プリペイドカードを提示し、決済情報を交換して、電子プリペイドカードによる支払決済処理を行なうものである。
【０４８９】
電子テレホンカードサービスは、ネットワークを介したテレホンカードの売買と、それにともなうテレホンカードの配送と、そのテレホンカードによる無線電話通話の課金決済とを、全て電子的に行なうサービスである。
【０４９０】
具体的には、ユーザがモバイルユーザ端末100を用いて、テレホンカード発行システム109から、サービス提供システム110を介してテレホンカードを購入し、サービス提供システムから、電子情報化されたテレホンカードである電子テレホンカードを受信して、それをモバイルユーザ端末に蓄積して管理し、電子テレホンカードを使用する際には、交換局105とのデータ通信によって、モバイルユーザ端末に蓄積されている電子テレホンカードを提示し、決済情報を交換して、電子テレホンカードによる無線電話通話の課金決済処理を行なうものである。
【０４９１】
電子クレジットカードサービスは、前述のチケット、プリペイドカード、及びテレホンカードのネットワークを介した売買における売買代金のクレジットカード決済と、通常の小売販売店等でのクレジットカード決済とを、全て電子的に行なうサービスである。
【０４９２】
具体的には、あらかじめ、電子情報化されたクレジットカードである電子クレジットカードを、モバイルユーザ端末100とサービス提供システム110とに蓄積して管理し、ユーザがサービス提供システムを介してチケットやプリペイドカード、テレホンカードを購入する際に、サービス提供システムが、決済処理システム106とのデータ通信において、ユーザが指定したクレジットカードのカード番号を提示し、クレジット決済情報を交換して、売買代金のクレジット決済を行なうものであり、また、小売販売店等でのマーチャント端末102（またはマーチャント端末103）とのクレジット決済の場合には、モバイルユーザ端末とマーチャント端末102（またはマーチャント端末103）、マーチャント端末102（またはマーチャント端末103）とサービス提供システム110、サービス提供システム110とモバイルユーザ端末100の三者間で、それぞれ決済情報を交換するとともに、サービス提供システム110が、決済処理システム106とのデータ通信において、ユーザが指定したクレジットカードのカード番号を提示し、クレジット決済情報を交換して、売買代金のクレジット決済を行なうものである。
【０４９３】
これらの電子チケットサービス、電子プリペイドカードサービス、電子テレホンカードサービス、電子クレジットカードサービスの詳細については、後で詳しく説明する。
【０４９４】
以上の４つのサービスにおいて、本システムの各機器間で行なわれるデータ通信は、次に示す伝送路または通信回線を用いて行なわれる。
【０４９５】
まず、モバイルユーザ端末100は、伝送路116、基地局112、デジタル通信回線117を介して、交換局105とデジタル無線電話によるデジタル電話通信を行ない、さらに、デジタル通信回線118、デジタル公衆網111及びデジタル通信回線130を介して、サービス提供システム110とデジタル無線電話によるデジタル電話通信を行ない、また、伝送路119を用いてゲート端末101と赤外線通信を行ない、伝送路121を用いてマーチャント端末102と、伝送路123を用いてマーチャント端末103と、伝送路126を用いて自動販売機104と、それぞれ、赤外線通信を行なう。
【０４９６】
ゲート端末101とサービス提供システム110とは、デジタル電話通信回線120、デジタル公衆網111及びデジタル通信回線130を介してデジタル電話通信を行なう。
【０４９７】
マーチャント端末102とサービス提供システム110とは、デジタル電話通信回線122、デジタル公衆網111及びデジタル通信回線130を介してデジタル電話通信を行なう。
【０４９８】
マーチャント端末103とサービス提供システム110とは、伝送路124、基地局113、デジタル通信回線125、デジタル公衆網111及びデジタル通信回線130を介してデジタル無線電話通信を行なう。
【０４９９】
自動販売機104とサービス提供システム110とは、伝送路127、基地局114、デジタル通信回線128、デジタル公衆網111及びデジタル通信回線130を介してデジタル無線電話通信を行なう。
【０５００】
そして、サービス提供システム110と決済処理システム106とは、デジタル通信回線131を介して、デジタルデータ通信を行ない、サービス提供システム110とチケット発行システム107とは、デジタル通信回線132を介して、サービス提供システム110とプリペイドカード発行システム108とは、デジタル通信回線133を介して、サービス提供システム110とテレホンカード発行システム109とは、デジタル通信回線134を介して、それぞれ、デジタルデータ通信を行なう。
【０５０１】
また、モバイルユーザ端末100とサービス提供システム110との通信、ゲート端末101とサービス提供システム110との通信、マーチャント端末102とサービス提供システム110との通信、マーチャント端末103とサービス提供システム110との通信、自動販売機104とサービス提供システム110との通信、及び交換局105とサービス提供システム110との通信、並びに、サービス提供システム110と決済処理システム106との通信、サービス提供システム110とチケット発行システム107との通信、サービス提供システム110とプリペイドカード発行システム108との通信、及びサービス提供システム110とテレホンカード発行システム109との通信では、交換される情報を、全て、暗号化して通信する。暗号化は、秘密鍵方式の暗号処理と公開鍵方式の暗号処理とを組み合わせて行ない、情報を電子封書化して通信する。
【０５０２】
また、本システムでは、モバイルユーザ端末100に蓄積された電子チケットや、電子プリペイドカード、電子テレホンカードは、モバイルユーザ端末を所有する他のユーザに譲渡することができる。この機能により、電子チケットの場合には、一度に複数枚購入して、それを友人等に譲渡することができ、また、電子プリペイドカードや、電子テレホンカードの場合には、それ自体を贈答品として用いることができ、利用の幅が広がる。
【０５０３】
図２（ａ）は、モバイルユーザ端末100とモバイルユーザ端末200との間で、電子チケット、電子プリペイドカードまたは電子テレホンカードを、譲渡する場合のシステム構成を示している。
【０５０４】
図２において、203は、モバイルユーザ端末100とモバイルユーザ端末200とが赤外線通信をする場合の伝送路を示し、また、モバイルユーザ端末200は、デジタル無線電話通信の伝送路204、デジタル無線電話の基地局201、デジタル通信回線205、デジタル無線電話の交換局202、及びデジタル通信回線206を介してデジタル公衆網111に接続する。
【０５０５】
電子チケット、電子プリペイドカードまたは電子テレホンカードの譲渡は、基本的に、モバイルユーザ端末100とモバイルユーザ端末200との間で、譲渡処理情報を交換することによって行なわれる。この時の譲渡処理情報の交換は、モバイルユーザ端末100とモバイルユーザ端末200との間の赤外線通信またはデジタル無線電話通信によって行なわれる。
【０５０６】
通常、モバイルユーザ端末100のユーザとモバイルユーザ端末200のユーザとが、近距離内（約１メートル以内の範囲）にいる場合には、赤外線通信を用いて譲渡処理を行ない、遠隔に離れている場合には、デジタル無線電話通信を用いて譲渡処理を行なうのが一般的である。
【０５０７】
デジタル無線電話通信を用いて譲渡処理を行なう場合には、モバイルユーザ端末100とモバイルユーザ端末200とは、伝送路116、基地局112、デジタル通信回線117、交換局105、デジタル通信回線118、デジタル公衆網111、デジタル通信回線206、交換局202、デジタル通信回線205、基地局201、及び伝送路204を介して、デジタル無線電話通信を行なう。
【０５０８】
実際には、モバイルユーザ端末100とモバイルユーザ端末200との地理的な位置関係によって、基地局112と基地局201、または、交換局105と交換局202とが同一のものである場合がある。
【０５０９】
電子チケット、電子プリペイドカードまたは電子テレホンカードの譲渡処理については、後で詳しく説明する。
【０５１０】
また、本システムでは、電子プリペイドカード、電子テレホンカードまたは電子チケットを、通常の小売販売のルートで購入して、それらをモバイルユーザ端末100にインストールすることができる。具体的には、紙またはプラスチック、塩化ビニール等の比較的コストが低い素材でできたインストールカード207（図２（ｂ）参照）を、電子プリペイドカードや、電子テレホンカード、電子チケットの流通媒体として用いる。
【０５１１】
例えば、電子プリペイドカードの場合、プリペイドカード発行者が、発行するプリペイドカードの識別情報（インストール情報）を印字したインストールカード207を発行して、それを、コンビニエンスストアや駅の売店等の小売販売ルートで販売する。そのインストールカードを購入し、あるいは人から贈与されたユーザが、モバイルユーザ端末100を用いて、サービス提供システム110を介して、プリペイドカード発行システム108に電子プリペイドカードのインストールを要求し、サービス提供システムから、電子プリペイドカードを受信して、モバイルユーザ端末100に電子プリペイドカードがインストールされる。
【０５１２】
同様に、電子テレホンカードの場合、テレホンカード発行者が、発行するテレホンカードの識別情報（インストール情報）を印字したインストールカード207を発行し、小売販売ルートで販売する。そのインストールカードを購入、あるいは贈与されたユーザが、モバイルユーザ端末100を用いて、サービス提供システム110を介して、テレホンカード発行システム109に電子テレホンカードのインストールを要求し、サービス提供システムから、電子テレホンカードを受信して、モバイルユーザ端末100に電子テレホンカードがインストールされる。
【０５１３】
電子チケットの場合も同様に、チケット発行者が、発行するチケットの識別情報（インストール情報）を印字したインストールカード207を発行して、それを、コンビニエンスストアやプレイガイド等の小売販売ルートで販売する。そのインストールカードを購入、あるいは贈与されたユーザが、モバイルユーザ端末100を用いて、サービス提供システム110を介して、チケット発行システム107に電子チケットのインストールを要求し、サービス提供システムから、電子チケットを受信して、モバイルユーザ端末100に電子チケットがインストールされる。
【０５１４】
インストールカードのメリットは、電子プリペイドカード、電子テレホンカードまたは電子チケットの購入に通信費用が掛からない点と、実際に手に持つことができる点である。特に、電子プリペイドカード及び電子テレホンカードのインストールカードの場合には、贈答品またはコレクションアイテムとしての需要が期待でき、電子プリペイドカード及び電子テレホンカードの利用範囲の拡大につながる。また、電子チケットのインストールカードは、映画や美術展覧会など、座席指定の必要がない種類のチケットに適している。
【０５１５】
インストールカードによる電子プリペイドカード、電子テレホンカードまたは電子チケットのモバイルユーザ端末100へのインストールについては、後で詳しく説明する。
【０５１６】
次に、本システムを構成する各構成要素について説明する。
【０５１７】
まず、モバイルユーザ端末100について説明する。
【０５１８】
図３（ａ）、図３（ｂ）は、それぞれ、モバイルユーザ端末100の前面側及び背面側の外観図である。
【０５１９】
図３（ａ）において、300は、マーチャント端末101と赤外線通信を行なう赤外線通信ポート（赤外線通信モジュール）、301は、デジタル無線電話の電波を受発信するアンテナ、302は、レシーバスピーカ、303は、１２０×１６０画素表示のカラー液晶ディスプレ（ＬＣＤ）、304は、モバイルユーザ端末100の動作モードを切替えるモードスイッチ、305は、デジタル無線電話の通話スイッチ、306は、デジタル無線電話の終了スイッチ、307は、ファンクションスイッチ、308は、テンキースイッチ、309は、電源スイッチ、310は、マイクである。
【０５２０】
さらに、図３（ｂ）において、311は、代金の支払や、トランザクションの内容の確認など、ユーザの確認をともなう処理の実行を促す実行スイッチ、312は、ヘッドセットを接続するためのヘッドセットジャックである。
【０５２１】
モバイルユーザ端末100には、デジタル無線電話モード、テレホンカードモード、プリペイドカードモード、クレジットカードモード、チケットモード、及び個人情報管理モードの６つの動作モードがあり、モードスイッチ304によって切替わる。
【０５２２】
図３（ａ）（ｃ）（ｄ）（ｅ）は、それぞれ、クレジットカードモード、チケットモード、プリペイドカード、テレホンカードモードの場合のＬＣＤ303に表示される画面を示している。図３（ｆ）（ｇ）（ｈ）は、それぞれチケットモード、プリペイドカードモード、テレホンカードモードの場合のＬＣＤ303に表示される画面構成の他の例を示すものである。これらの表示画面では、図３（ａ）（ｃ）（ｄ）（ｅ）が文字のみを表示しているのに対し、イメージ３１３，３１４，３１５のように画像情報をも併せて表示している。この画像情報は、電子チケットモードの場合、図１９、２０，２１と共に後述する電子チケットのプログラム中の表示部品情報に含まれるものであり、他のモードでも同様である。
【０５２３】
モバイルユーザ端末100は、デジタル無線電話モードでは、デジタル無線電話サービスを提供する通信事業者との契約に基づくデジタル無線電話として動作し、テレホンカードモードでは、通話料金の支払いに、電子テレホンカードを用いるデジタル無線電話として動作し、プリペイドカードモードでは、電子プリペイドカードとして、クレジットカードモードでは、電子クレジットカードとして、チケットモードでは、電子チケットとして動作する。
【０５２４】
個人情報管理モードは、モバイルユーザ端末100の内部に格納されるユーザの個人情報を管理する動作モードであり、個人情報管理モードにおいて、ユーザは、登録されている個人情報や写真データ等の参照、及び、ユーザ設定情報の設定を行なう。
【０５２５】
電子プリペイドカード、電子テレホンカード及び電子チケットは、ネットワークを介した購入、譲渡処理、または、インストールカードを用いたインストールによって、それぞれ、複数の電子プリペイドカード、電子テレホンカード、及び電子チケットをモバイルユーザ端末100に登録することができる。
【０５２６】
電子クレジットカードは、ユーザによるクレジットカード会社とのクレジットサービスの会員契約を前提として、モバイルユーザ端末100に登録される。ユーザが、複数のクレジットサービスの会員契約をしている場合には、複数のクレジットカードが、モバイルユーザ端末100に登録される。
【０５２７】
このモバイルユーザ端末100を用いて、例えば、普通に電話をかける場合には、ユーザは、まず、モードスイッチ304で、動作モードをデジタル無線電話モードにし、次に、テンキースイッチ308で電話番号を入力して、通話スイッチ305を押す。以上の操作で、ユーザは、入力した電話番号に電話をかけることができる。
【０５２８】
また、モバイルユーザ端末100に通常の電話がかかって来た場合には、モバイルユーザ端末100は、その時の動作モードに関係なく、着信音を発する。この場合には、通話スイッチ305を押すことで自動的にデジタル無線電話モードに切り替わり、ユーザは電話を受けることができる。
【０５２９】
また、電子テレホンカードで電話をかける場合には、まず、モードスイッチ304により動作モードをテレホンカードモードに設定し、ファンクションスイッチ307（“F1”or“F2”）で、通話料金の支払に使用する電子テレホンカードを選択する（支払に使用する電子テレホンカードをＬＣＤに表示させる：図３（ｅ）参照）。次に、テンキースイッチ308で電話番号を入力して、通話スイッチ305を押す。以上の操作で、ユーザは、入力した電話番号に電話をかけることができ、電子テレホンカードから通話料金が引かれる。
【０５３０】
また、電子プリペイドカードで代金を支払う場合には、まず、モードスイッチ304により動作モードをプリペイドカードモードに設定し、ファンクションスイッチ307（“F1”or“F2”）で、支払に使用するプリペイドカードを選択する（支払に使用する電子プリペイドカードをＬＣＤに表示させる：図３（ｄ）参照）。次に、テンキースイッチ308で、支払う金額を入力し、赤外線通信ポート300をマーチャントのマーチャント端末102（またはマーチャント端末103または自動販売機104）の方向に向けて、実行スイッチ311を押す。以上の操作によって、モバイルユーザ端末100は、マーチャント端末102（またはマーチャント端末103または自動販売機104）との間で赤外線通信を行ない、決済情報を交換して、電子プリペイドカードによる支払決済処理を行なう。
【０５３１】
また、マーチャントにクレジットで代金を支払う場合には、まず、モードスイッチ304により動作モードをクレジットカードモードに設定し、ファンクションスイッチ307（“F1”or“F2”）で、支払に使用するクレジットカードを選択する（支払に使用する電子クレジットカードをＬＣＤに表示させる：図３（ａ）参照）。次に、テンキースイッチ308で、支払う金額を入力し、赤外線通信ポート300をマーチャントのマーチャント端末102（またはマーチャント端末103）の方向に向けて、実行スイッチ311を押す。以上の操作によって、モバイルユーザ端末100は、マーチャント端末102（またはマーチャント端末103）との間で赤外線通信を行ない、それとともにサービス提供システム110との間でデジタル無線電話通信を行ない、それぞれ、決済情報を交換して、クレジット決済処理を行なう。
【０５３２】
また、電子チケットを提示して、電子チケットの改札を受ける場合には、まず、モードスイッチ304により動作モードをチケットモードに設定し、ファンクションスイッチ307（“F1”or“F2”）で、提示するチケットを選択する（使用する電子チケットをＬＣＤに表示させる：図３（ｃ）参照）。次に、赤外線通信ポート300を、映画館やイベント会場等の入口に設置されたゲート端末101の方向に向けて、実行スイッチ311を押す。以上の操作によって、モバイルユーザ端末100は、ゲート端末101との間で赤外線通信を行ない、チケットの改札処理情報を交換して、電子チケットの改札処理を行なうものである。
【０５３３】
モバイルユーザ端末100の内部の構成と詳細な動作とについては、後で詳しく説明する。
【０５３４】
次に、ゲート端末101について説明する。
【０５３５】
図４は、ゲート端末101の外観図である。図４において、400は、モバイルユーザ端末100と赤外線通信を行なう赤外線通信モジュール、401は、６４０×４８０画素表示のタッチパネル液晶ディスプレ（タッチパネルＬＣＤ）、402は、電源スイッチ、403は、テンキースイッチ、404は、タッチパネルＬＣＤ401の表示をメニュー画面に切替えるメニュースイッチ、405は、タッチパネルＬＣＤ401の表示及び、ゲート端末への操作をロックさせるロックスイッチ、406は、赤外線モジュール400とゲート端末本体とを接続するシリアルケーブルである。この他、ゲート端末本体の背側面に、ゲート開閉装置等の外部装置を接続するRS-232Cインターフェイスがある。
【０５３６】
ゲート端末101の動作のモードには、大きく分けて、電子チケットを改札するチケット改札モードと、改札する電子チケットを設定する改札チケット設定モードとの２つのモードがある。ゲート端末101の動作のモードは、メニュースイッチ404を押してタッチパネルＬＣＤ401の表示をメニュー画面に変え、タッチ操作で、モードを選択することによって切替わる。
【０５３７】
チケット改札モードでは、ゲート端末101は、赤外線通信によって電子チケットが提示されるのを待っている状態にあり、ユーザが、モバイルユーザ端末100を用いて電子チケットを提示する操作を行なうと、提示された電子チケットを検証し、モバイルユーザ端末との間で改札処理情報を交換して、結果を画面に表示する。ゲート端末のオペレータ（マーチャント）は、画面に表示される改札処理結果に基づいて、入場を許可、あるいは、入場を断ったりする。また、外部装置として、ゲート開閉装置をゲート端末に接続すると、改札処理結果に基づいて、ゲートが開閉される。
【０５３８】
ロックスイッチ405は、オペレータ（マーチャント）がゲート端末101から離れる場合などに用いるスイッチであり、画面及びゲート端末への操作をロックすることによって、ゲート端末に対する不正な操作を防止する。ロックスイッチによって、一旦、ゲート端末をロックすると、あらかじめ設定しておいたパスワードを入力するまで、ロックを解除することはできない。
【０５３９】
また、改札チケット設定モードでは、テンキースイッチ403で電子チケットを指定するコード情報を入力すると、サービス提供システム110から、指定された電子チケットを改札するプログラムモジュール（チケット改札モジュール）がダウンロードされ、改札する電子チケットが設定される。
【０５４０】
ゲート端末101の内部の構成と詳細な動作とについては、後で詳しく説明する。
【０５４１】
次に、マーチャント端末102について説明する。
【０５４２】
図５は、マーチャント端末102の外観図であり、マーチャント端末102を、商品の代金を計算するキャッシュレジスタ511に、ＲＳ-２３２Ｃケーブル514で接続した場合を示している。
【０５４３】
図５において、501は、モバイルユーザ端末100と赤外線通信を行なう赤外線通信モジュール、502は、３２０×２４０画素表示のカラー液晶ディスプレ（ＬＣＤ）、503は、受話器、504は、マーチャント端末102の動作モードを切替えるモードスイッチ、505は、電話のフックスイッチ、506は、ファンクションスイッチ、507は、テンキースイッチ、508は、決済内容の確認、信用照会結果の確認など、マーチャントの確認をともなう処理の実行を促す実行スイッチ、509は、電源スイッチであり、また、512は、キャッシュレジスタ511のプリペイドカードによる決済処理を指定するプリペイドカード決済スイッチ、513は、クレジットによる決済処理を指定するクレジット決済スイッチである。
【０５４４】
マーチャント端末102には、デジタル電話モード、マーチャントモード、及びマーチャント情報管理モードの３つの動作モードがあり、モードスイッチ504によって切替わる。デジタル電話モードでは、デジタル電話器として動作し、マーチャントモードでは、電子プリペイドカード及び電子クレジットカードの決済端末として動作する。マーチャント情報管理モードは、マーチャント端末102の内部に格納されるマーチャントの情報を管理する動作モードであり、マーチャント情報管理モードにおいて、マーチャントは、登録されているマーチャント情報等の参照、及び、マーチャント設定情報の設定を行なう。
【０５４５】
このマーチャント端末102から、例えば電話をかける場合には、マーチャント端末のオペレータ（マーチャント）は、まず、モードスイッチ504で、動作モードをデジタル電話モードにし、次に、テンキースイッチ507で電話番号を入力する。以上の操作によって、オペレータ（マーチャント）は、入力した電話番号に電話をかけることができる。
【０５４６】
また、マーチャント端末102に通常の電話がかかって来た場合には、マーチャント端末102は、動作モードに関係なく、着信音を発する。この場合には、電話器503を上げるか、フックスイッチ505を押すことで、自動的に電話モードに切り替わり、オペレータ（マーチャント）は電話を受けることが出来る。
【０５４７】
また、決済処理を行なう場合には、マーチャント端末のオペレータ（マーチャント）は、まず、キャッシュレジスタ511で、商品価格と税金等から合計金額を計算し、その金額をユーザに伝える。次に、ユーザが電子プリペイドカードによる支払を希望した場合には、キャッシュレジスタ511のプリペイドカード決済スイッチ512を押し、電子クレジットカードによる支払を希望した場合には、クレジットカード決済スイッチ513を押して、ユーザがモバイルユーザ端末100で代金の支払操作を行なうのを待つ。
【０５４８】
この後、電子プリペイドカードの場合には、ユーザが、代金の支払操作を行なうと、ＬＣＤ502に決済処理の完了を示すメッセージが表示される。この時、マーチャント端末102は、モバイルユーザ端末100と赤外線通信を行ない、決済情報を交換して、電子プリペイドカードによる決済処理を行なう。
【０５４９】
また、電子クレジットカードの場合には、ユーザが、代金の支払操作を行なうと、まず、ユーザが入力した支払金額がＬＣＤ502に表示され、次に、ユーザの信用照会の結果が表示される。オペレータ（マーチャント）はその内容を確認して、実行スイッチ508を押す。すると、しばらくして、ＬＣＤ502に決済処理の完了を示すメッセージが表示される。この時、マーチャント端末102は、モバイルユーザ端末100、及びサービス提供システム110と、それぞれ、決済情報を交換して、電子クレジットプリペイドカードによる決済処理を行なう。
【０５５０】
マーチャント端末102の内部の構成と詳細な動作については、後で詳しく説明する。
【０５５１】
次に、マーチャント端末103について説明する。
【０５５２】
図６（ａ）、図６（ｂ）は、それぞれ、マーチャント端末103の前面側及び背面側の外観図である。
【０５５３】
図６（ａ）において、600は、モバイルユーザ端末100と赤外線通信を行なう赤外線通信ポート（赤外線通信モジュール）、601は、デジタル無線電話の電波を受発信するアンテナ、602は、レシーバスピーカ、603は、１８０×２４０画素表示のカラー液晶ディスプレ（ＬＣＤ）、604は、マーチャント端末103の動作モードを切替えるモードスイッチ、605は、デジタル無線電話の通話スイッチ、606は、デジタル無線電話の終了スイッチ、607は、ファンクションスイッチ、608は、テンキースイッチ、609は、マイク、610は、バーコードリーダである。
【０５５４】
さらに、図６（ｂ）において、611は、電源スイッチは、612は、決済内容の確認、信用照会結果の確認など、マーチャントの確認をともなう処理の実行を促す実行スイッチ、613は、ヘッドセットを接続するためのヘッドセットジャック、614は、商品情報を記録したメモリカードを挿入するカードスロットである。
【０５５５】
マーチャント端末103には、デジタル無線電話モード、マーチャントモード、及びマーチャント情報管理モードの３つの動作モードがあり、モードスイッチ604によって切替わる。デジタル無線電話モードでは、デジタル無線電話器として動作し、マーチャントモードでは、電子プリペイドカード及び電子クレジットカードの決済端末として動作する。マーチャント情報管理モードは、マーチャント端末103の内部に格納されるマーチャントの情報を管理する動作モードであり、マーチャント情報管理モードにおいて、マーチャントは、登録されているマーチャント情報等の参照、及び、マーチャント設定情報の設定を行なう。
【０５５６】
このマーチャント端末103から、例えば電話をかける場合には、マーチャント端末のオペレータ（マーチャント）は、まず、モードスイッチ604で、動作モードをデジタル無線電話モードにし、次に、テンキースイッチ608で電話番号を入力して、通話スイッチ605を押す。以上の操作によって、オペレータ（マーチャント）は、入力した電話番号に電話をかけることが出来る。
【０５５７】
また、マーチャント端末103に通常の電話がかかって来た場合には、マーチャント端末103は、動作モードに関係なく、着信音を発する。この場合には、通話スイッチ605を押すことで、自動的にデジタル無線電話モードに切り替わり、オペレータ（マーチャント）は電話を受けることが出来る。
【０５５８】
また、決済処理を行なう場合には、マーチャント端末のオペレータ（マーチャント）は、まず、モードスイッチ604で、動作モードをマーチャントモードにし、バーコードリーダ610で商品のバーコードを読み取り、テンキースイッチ608の中の合計スイッチを押して、合計金額を計算し、さらに、もう一度、合計スイッチを押して、ＬＣＤ603の計算結果の表示を上下逆に表示させ、ユーザに合計金額を伝えるとともに、ＬＣＤ603に表示された計算結果を提示する。次に、ユーザが電子プリペイドカードによる支払を希望した場合には、ファンクションスイッチ607のＦ２スイッチを押し、電子クレジットカードによる支払を希望した場合には、Ｆ３スイッチを押して、ユーザがモバイルユーザ端末100で代金の支払操作を行なうのを待つ。
【０５５９】
この後、電子プリペイドカードの場合には、ユーザが、代金の支払操作を行なうと、ＬＣＤ603に決済処理の完了を示すメッセージが表示される。この時、マーチャント端末103は、モバイルユーザ端末100と赤外線通信を行ない、決済情報を交換して、電子プリペイドカードによる決済処理を行なう。
【０５６０】
また、電子クレジットカードの場合には、ユーザが、代金の支払操作を行なうと、まず、ユーザが入力した支払金額がＬＣＤ603に表示され、次に、ユーザの信用照会の結果が表示される。オペレータ（マーチャント）はその内容を確認して、実行スイッチ612を押す。すると、しばらくして、ＬＣＤ603に決済処理の完了を示すメッセージが表示される。この時、マーチャント端末103は、モバイルユーザ端末100、及びサービス提供システム110と、それぞれ、決済情報を交換して、電子クレジットカードによる決済処理を行なう。
【０５６１】
マーチャント端末103の内部の構成と詳細な動作については、後で詳しく説明する。
【０５６２】
次に、自動販売機104について説明する。
【０５６３】
図７は、自動販売機104の外観図である。図７において、700は、モバイルユーザ端末100と赤外線通信を行なう赤外線通信ポート（赤外線通信モジュール）、701は、デジタル無線電話の電波を受発信するアンテナ、702は、６４０×４８０画素表示のタッチパネルカラー液晶デイスプレ（タッチパネルＬＣＤ）、703は商品の取出口、704は、商品選択スイッチ、705は、売り切れ表示（ＬＥＤ）、706は、商品見本である。
【０５６４】
モバイルユーザ端末を所有するユーザが、自動販売機104から商品を購入する場合、まず、ユーザは、タッチパネルＬＣＤ702に表示されている操作メニューの“購入”を押し、次に、商品選択スイッチ704を押して、希望の商品を選択する。すると、自動販売機は、商品選択スイッチ704が押される度に、選択された商品の数をカウントし、合計金額を計算して、タッチパネルＬＣＤに、選択された商品の名前と数量と合計金額と、さらに、支払操作の開始を示すボタンとを表示する。ユーザが、その支払操作の開始を示すボタンを押すと、自動販売機104は、タッチパネルＬＣＤに、電子プリペイドカードによる代金の支払を促すメッセージを表示する。ユーザが、モバイルユーザ端末を用いて、代金の支払操作を行なうと、商品が取出口703に出力され、タッチパネルＬＣＤには、決済処理の完了を示すメッセージが表示され、しばらくして、再び、操作メニューが表示される。この時、自動販売機104は、モバイルユーザ端末100と赤外線通信を行ない、決済情報を交換して、電子プリペイドカードによる決済処理を行なう。
【０５６５】
また、タッチパネルＬＣＤ702に表示される操作メニューの“商品説明”を押して、商品選択スイッチ704で商品を選択すると、選択された商品に関する情報が、タッチパネルＬＣＤに表示される。この場合の商品に関する情報は、テキストや、画像、ビデオ、音声を含んだマルチメディア情報であり、音声は、自動販売機104に内蔵されたスピーカから出力される。したがって、「商品に関する情報」として、商品のＣＦ(Commercial Film)を出力してもよい。また、商品が、ビデオや音楽ＣＤ(Compact Disk)、ゲームソフト等のパッケージメディア商品の場合には、タッチパネルＬＣＤとスピーカから、商品のサンプル情報を出力してもよい。
【０５６６】
自動販売機104の内部の構成と詳細な動作については、後で詳しく説明する。
【０５６７】
次に、交換局105について説明する。
【０５６８】
図８は、交換局105のブロック構成図である。図８において、800は、電子テレホンカードを用いた通話に対する課金処理を行なう電子テレホンカード課金装置、801は、デジタル無線電話網内の交換処理、及び、デジタル無線電話網とデジタル公衆網111との間の交換処理を行なう交換機、802は、音声及びデータの符号化・復号化処理を行なうデータ処理装置、803は、多重化処理と変復調処理とを行なう変復調装置、804は、基地局の制御を行なう基地局制御装置である。交換局105は、デジタル通信回線117によって基地局112と接続されている。実際には、複数の基地局が交換局105に接続され、805と806は、基地局112以外の基地局と交換局105とを結ぶデジタル通信回線を示している。
【０５６９】
807は、電子テレホンカード課金装置800と交換機801との間の制御信号及びデータ信号を示している。
【０５７０】
電子テレホンカード課金装置800は、電子テレホンカードを用いた通話に対して動作し、交換機801からの課金情報に基づいて、回線接続処理の開始時と回線接続中（通話中）に、モバイルユーザ端末100との間で、決済情報を交換して、電子テレホンカードによる決済処理を行なう。この時、交換機801は、電子テレホンカード課金装置800における決済処理の状況に応じて、回線の交換処理を行なう。
【０５７１】
電子テレホンカード課金装置800の内部の構成と詳細な動作については、後で詳しく説明する。
【０５７２】
次に、サービス提供システム110について説明する。
【０５７３】
図９は、サービス提供システム110のブロック構成図である。サービス提供システム110は、モバイル・エレクトロニックコマース・サービスにおいて、モバイルユーザ端末100、ゲート端末101、マーチャント端末102、マーチャント端末103、自動販売機104、交換局105（電子テレホンカード課金装置800）、決済処理システム106、チケット発行システム107、プリペイドカード発行システム108、及びテレホンカード発行システム109のそれぞれとの間で交換する各種のトランザクション情報のデータ処理を行ない、その際のデータ通信の制御を行なうサービスサーバ900と、ユーザ、マーチャント、通信事業者、決済処理機関、チケット発行者、プリペイドカード発行者及びテレホンカード発行者に関する属性情報、並びにサービス提供システム110が提供したサービスの履歴情報を管理するサービスディレクタ情報サーバ901と、ユーザの属性情報及びモバイルユーザ端末100内のデータを管理するユーザ情報サーバ902と、マーチャント及び通信事業者の属性情報、並びにゲート端末101、マーチャント端末102、マーチャント端末103、自動販売機104及び電子テレホンカード課金装置800内のデータを管理するマーチャント情報サーバ903と、決済処理機関の属性情報及び決済処理の履歴情報を管理する決済処理機関情報サーバ904と、チケット発行者の属性情報、チケット発行処理の履歴情報、及び電子チケットのテンプレートプログラムを管理するチケット発行者情報サーバ905と、プリペイドカード発行者の属性情報、プリペイドカード発行処理の履歴情報及び電子プリペイドカードのテンプレートプログラムを管理するプリペイドカード発行者情報サーバ906と、テレホンカード発行者の属性情報、テレホンカード発行処理の履歴情報及び電子テレホンカードのテンプレートプログラムを管理するテレホンカード発行者情報サーバ907と、サービス提供者がサービス提供システム110の運用管理を行なう管理システム908とを備えており、各サーバ900〜907及び管理システム908は、それぞれ１台または複数台のコンピュータで構成されている。
【０５７４】
また、サービスサーバ900、サービスディレクタ情報サーバ901、ユーザ情報サーバ902、マーチャント情報サーバ903、決済処理機関情報サーバ904、チケット発行者情報サーバ905、プリペイドカード発行者情報サーバ906、及びテレホンカード発行者情報サーバ907は、それぞれ、ＡＴＭ-ＬＡＮケーブル914,915,916,917,918,919,920,921によってＡＴＭ-ＬＡＮスイッチ909に接続され、サービスサーバ900は、ＡＴＭ-ＬＡＮスイッチ909を介して、サービスディレクタ情報サーバ901、ユーザ情報サーバ902、マーチャント情報サーバ903、決済処理機関情報サーバ904、チケット発行者情報サーバ905、プリペイドカード発行者情報サーバ906、及びテレホンカード発行者情報サーバ907にアクセスする。
【０５７５】
また、ＡＴＭ-ＬＡＮスイッチ909は、ＡＴＭ-ＬＡＮケーブル912によって、ＡＴＭ交換機911に接続される。ＡＴＭ交換機911には、デジタル公衆網111と結ぶデジタル通信回線130、決済処理システム106と結ぶデジタル通信回線131、チケット発行システム107と結ぶデジタル通信回線132、プリペイドカード発行システム108と結ぶデジタル通信回線133、及びテレホンカード発行システム109と結ぶデジタル通信回線134が接続され、サービスサーバ900は、ＡＴＭ-ＬＡＮスイッチ909及びＡＴＭ交換機911を介して、モバイルユーザ端末100、ゲート端末101、マーチャント端末102、マーチャント端末103、自動販売機104、電子テレホンカード課金装置800、決済処理システム106、チケット発行システム、プリペイドカード発行システム、及びテレホンカード発行システムと通信を行なう。
【０５７６】
管理システム908は、ＡＴＭ-ＬＡＮケーブル922によって、ＡＴＭ-ＬＡＮスイッチ910に接続され、さらに、ＡＴＭ-ＬＡＮケーブル913によって、ＡＴＭ交換機911に接続される。管理システム908は、ＡＴＭ-ＬＡＮスイッチ910、ＡＴＭ交換機911、及びＡＴＭ-ＬＡＮスイッチ909を介して、サービスサーバ900、サービスディレクタ情報サーバ901、ユーザ情報サーバ902、マーチャント情報サーバ903、決済処理機関情報サーバ904、チケット発行者情報サーバ905、プリペイドカード発行者情報サーバ906、及びテレホンカード発行者情報サーバ907にアクセスして、サービス提供システム110の運用管理を行なう。
【０５７７】
ＡＴＭ交換機911は、サービス提供システム110の外部と内部との通信、及びサービス提供システム110の内部間の通信において、データ通信の交換機（ルータ）として動作する。また、ＡＴＭ交換機911は、複数の通信方式に対応し、通信アダプタの機能を持つ。例えば、サービスサーバ900とマーチャント端末102との通信では、まず、マーチャント端末102とＡＴＭ交換機911との間で、ＩＳＤＮのデータパケットを交換し、ＡＴＭ交換機911が、ＩＳＤＮのデータパケットからＡＴＭパケットへの変換、及び、その逆変換を行ない、ＡＴＭ交換機911とサービスサーバ900との間で、ＡＴＭパケットを交換する。同様に、サービスサーバ900とモバイルユーザ端末100、サービスサーバ900とマーチャント端末103、サービスサーバ900と自動販売機104、サービスサーバ900と電子テレホンカード課金装置800、サービスサーバ900と決済処理システム106、サービスサーバ900とチケット発行システム107、サービスサーバ900とテレホンカード発行システム109、サービスサーバ900とプリペイドカード発行システム108との間の通信においても、ＡＴＭ交換機911が、それぞれの通信方式に対応して、通信データの変換を行なう。
【０５７８】
また、サービス提供システム110と、モバイルユーザ端末100、ゲート端末101、マーチャント端末102、マーチャント端末103、自動販売機104、または電子テレホンカード課金装置800との間の通信費用を軽減するため、通常、サービス提供システム110は、モバイル・エレクトロニックコマース・サービスを提供する地域（サービスエリア）ごとに設置される。したがって、ＡＴＭ交換機911には、他の地域のサービス提供システムと結ぶ専用デジタル通信回線923が接続される。この場合、サービス提供システム同士は、お互いにデータを共有し、協調してデータ処理を行なう。
【０５７９】
次に、決済処理システム106について説明する。
【０５８０】
図１０は、決済処理システム106のブロック構成図である。決済処理システム106は、電子クレジットカードサービスにおいて、サービス提供システム110と交換する決済情報のデータ処理を行なうトランンザクション処理サーバ1000と、クレジットサービスの加入者の個人情報を管理する加入者情報サーバ1001と、クレジットサービスの加盟店の情報を管理する加盟店情報サーバ1002と、クレジット決済の取引情報を管理する取引情報サーバ1003と、決済処理機関が決済処理システム106の運用管理を行なう管理システム1006とを備えており、各サーバ1000〜1003、及び管理システム1006は、それぞれ一台、あるいは、複数台のコンピュータによって構成される。
【０５８１】
また、トランンザクション処理サーバ1000、加入者情報サーバ1001、加盟店情報サーバ1002、及び取引情報サーバ1003は、それぞれ、ＡＴＭ-ＬＡＮケーブル1008,1009,1010,1011によって、ＡＴＭ-ＬＡＮスイッチ1004に接続され、トランンザクション処理サーバは、ＡＴＭ-ＬＡＮスイッチ1004を介して、加入者情報サーバ1001、加盟店情報サーバ1002、または取引情報サーバ1003にアクセスする。
【０５８２】
また、ＡＴＭ-ＬＡＮスイッチ1004は、ＡＴＭ-ＬＡＮケーブル1013によって、ＡＴＭ交換機1005に接続される。ＡＴＭ交換機1005には、サービス提供システム110と結ぶデジタル通信回線131が接続され、トランンザクション処理サーバは、ＡＴＭ-ＬＡＮスイッチ1004及びＡＴＭ交換機1005を介して、サービス提供システム110と通信を行なう。
【０５８３】
電子クレジットカードサービスにおいて、決済処理システム106が行なうクレジット決済処理は、サービス提供システム110からの決済要求に対して、トランンザクション処理サーバ1000が、加入者情報サーバ1001、加盟店情報サーバ1002、及び取引情報サーバ1003の情報をそれぞれ更新することによって成立する。
【０５８４】
また、ＡＴＭ交換機1005には、サービス提供システム110と結ぶデジタル通信回線131の他に、銀行オンラインシステムと結ぶ銀行専用回線1015、さらには、他の決済処理機関の決済処理システムと結ぶ専用デジタル回線1016が接続され、決済処理システム106は、銀行オンラインシステム、及び、他の決済処理機関の決済処理システムと通信を行ない、金融機関間の決済処理を行なう。
【０５８５】
管理システム1006は、ＡＴＭ-ＬＡＮケーブル1012によって、ＡＴＭ-ＬＡＮスイッチ1007に接続され、さらに、ＡＴＭ-ＬＡＮケーブル1014によって、ＡＴＭ交換機1005に接続される。管理システム1006は、ＡＴＭ-ＬＡＮスイッチ1007、ＡＴＭ交換機1005、及びＡＴＭ-ＬＡＮスイッチ1004を介して、トランンザクション処理サーバ1000、加入者情報サーバ1001、加盟店情報サーバ1002、または取引情報サーバ1003にアクセスし、決済処理システム106の運用管理を行なう。
【０５８６】
ＡＴＭ交換機1005は、決済処理システム106の外部と内部との通信、及び決済処理システム106の内部間の通信において、データ通信の交換機（ルータ）として動作する。また、ＡＴＭ交換機1005は、複数の通信方式に対応した、通信アダプタの機能を持ち、トランンザクション処理サーバ1000とサービス提供システム110との間の通信、トランンザクション処理サーバ1000と銀行オンラインシステムとの間の通信、トランンザクション処理サーバ1000と他の決済処理機関の決済処理システムとの間の通信において、ＡＴＭ交換機1005が、それぞれの通信方式に対応して、通信データの変換を行なう。
【０５８７】
次に、チケット発行システム107について説明する。
【０５８８】
図１１は、チケット発行システム107のブロック構成図である。チケット発行システム107は、電子チケットサービスにおいて、サービス提供システム110と交換する決済情報（トランザクション情報）のデータ処理を行なうチケット発行サーバ1100と、顧客の購入履歴情報を管理する顧客情報サーバ1101と、発行したチケット及びインストールカードに関する情報を管理するチケット発行情報サーバ1102と、チケット在庫情報を管理するチケット情報サーバ1103と、チケット発行者がチケット発行システム107の運用管理を行なう管理システム1106とを備えており、各サーバ1100〜1103、及び管理システム1106は、それぞれ一台、あるいは、複数台のコンピュータによって構成される。
【０５８９】
また、チケット発行サーバ1100、顧客情報サーバ1101、チケット発行情報サーバ1102、及びチケット情報サーバ1103は、それぞれ、ＡＴＭ-ＬＡＮケーブル1108,1109,1110,1111によって、ＡＴＭ-ＬＡＮスイッチ1104に接続され、チケット発行サーバは、ＡＴＭ-ＬＡＮスイッチ1104を介して、顧客情報サーバ1101、チケット発行情報サーバ1102、またはチケット情報サーバ1103にアクセスする。
【０５９０】
また、ＡＴＭ-ＬＡＮスイッチ1104は、ＡＴＭ-ＬＡＮケーブル1113によって、ＡＴＭ交換機1105に接続される。ＡＴＭ交換機1105には、サービス提供システム110と結ぶデジタル通信回線132が接続され、チケット発行サーバは、ＡＴＭ-ＬＡＮスイッチ1104及びＡＴＭ交換機1105を介して、サービス提供システム110と通信を行なう。
【０５９１】
電子チケットサービスにおいて、チケット発行システム107が行なうチケットの発行処理は、サービス提供システム110からの要求に対して、チケット発行サーバ1100が、顧客情報サーバ1101、チケット発行情報サーバ1102、及びチケット情報サーバ1103の情報を、それぞれ更新して、発行するチケット情報をサービス提供システム110へ送信することによって成立する。
【０５９２】
管理システム1106は、ＡＴＭ-ＬＡＮケーブル1112によって、ＡＴＭ-ＬＡＮスイッチ1107に接続され、さらに、ＡＴＭ-ＬＡＮケーブル1114によって、ＡＴＭ交換機1105に接続される。管理システム1106は、ＡＴＭ-ＬＡＮスイッチ1107、ＡＴＭ交換機1105、及びＡＴＭ-ＬＡＮスイッチ1104を介して、チケット発行サーバ1100、顧客情報サーバ1101、チケット発行情報サーバ1102、またはチケット情報サーバ1103にアクセスし、チケット発行システム107の運用管理を行なう。
【０５９３】
ＡＴＭ交換機1105は、チケット発行システム107の外部と内部との通信、及びチケット発行システム107の内部間の通信において、データ通信の交換機（ルータ）として動作する。
【０５９４】
次に、プリペイドカード発行システム108について説明する。
【０５９５】
図１２は、プリペイドカード発行システム108のブロック構成図である。プリペイドカード発行システム108は、電子プリペイドカードサービスにおいて、サービス提供システム110と交換する決済情報（トランザクション情報）のデータ処理を行なうプリペイドカード発行サーバ1200と、顧客の購入履歴情報を管理する顧客情報サーバ1201と、発行したプリペイドカード及びインストールカードの情報を管理するプリペイドカード発行情報サーバ1202と、プリペイドカード在庫情報を管理するプリペイドカード情報サーバ1203と、プリペイドカード発行者がプリペイドカード発行システム108の運用管理を行なう管理システム1206とを備えており、各サーバ1200〜1203、及び管理システム1206は、それぞれ一台、あるいは、複数台のコンピュータによって構成される。
【０５９６】
また、プリペイドカード発行サーバ1200、顧客情報サーバ1201、プリペイドカード発行情報サーバ1202、及びプリペイドカード情報サーバ1203は、それぞれ、ＡＴＭ-ＬＡＮケーブル1208,1209,1210,1211によって、ＡＴＭ-ＬＡＮスイッチ1204に接続され、プリペイドカード発行サーバは、ＡＴＭ-ＬＡＮスイッチ1204を介して、顧客情報サーバ1201、プリペイドカード発行情報サーバ1202、またはプリペイドカード情報サーバ1203にアクセスする。
【０５９７】
また、ＡＴＭ-ＬＡＮスイッチ1204は、ＡＴＭ-ＬＡＮケーブル1213によって、ＡＴＭ交換機1205に接続される。ＡＴＭ交換機1205には、サービス提供システム110と結ぶデジタル通信回線133が接続され、プリペイドカード発行サーバは、ＡＴＭ-ＬＡＮスイッチ1204及びＡＴＭ交換機1205を介して、サービス提供システム110と通信を行なう。
【０５９８】
電子プリペイドカードサービスにおいて、プリペイドカード発行システム108が行なうプリペイドカードの発行処理は、サービス提供システム110からの要求に対して、プリペイドカード発行サーバ1200が、顧客情報サーバ1201、プリペイドカード発行情報サーバ1202、及びプリペイドカード情報サーバ1203の情報を、それぞれ更新して、発行するプリペイドカード情報をサービス提供システム110へ送信することによって成立する。
【０５９９】
管理システム1206は、ＡＴＭ-ＬＡＮケーブル1212によって、ＡＴＭ-ＬＡＮスイッチ1207に接続され、さらに、ＡＴＭ-ＬＡＮケーブル1214によって、ＡＴＭ交換機1205に接続される。管理システム1206は、ＡＴＭ-ＬＡＮスイッチ1207、ＡＴＭ交換機1205、及びＡＴＭ-ＬＡＮスイッチ1204を介して、プリペイドカード発行サーバ1200、顧客情報サーバ1201、プリペイドカード発行情報サーバ1202、またはプリペイドカード情報サーバ1203にアクセスし、プリペイドカード発行システム108の運用管理を行なう。
【０６００】
ＡＴＭ交換機1205は、プリペイドカード発行システム108の外部と内部との通信、及びプリペイドカード発行システム108の内部間の通信において、データ通信の交換機（ルータ）として動作する。
【０６０１】
次に、テレホンカード発行システム109について説明する。
【０６０２】
図１３は、テレホンカード発行システム109のブロック構成図である。テレホンカード発行システム109は、電子テレホンカードサービスにおいて、サービス提供システム110と交換する決済情報（トランザクション情報）のデータ処理を行なうテレホンカード発行サーバ1300と、顧客の購入履歴情報を管理する顧客情報サーバ1301と、発行したテレホンカード及びインストールカードの情報を管理するテレホンカード発行情報サーバ1302と、テレホンカード在庫情報を管理するテレホンカード情報サーバ1303と、テレホンカード発行者がテレホンカード発行システム109の運用管理を行なう管理システム1306とを備えており、各サーバ1300〜1303、及び管理システム1306は、それぞれ一台、あるいは、複数台のコンピュータによって構成される。
【０６０３】
また、テレホンカード発行サーバ1300、顧客情報サーバ1301、テレホンカード発行情報サーバ1302、及びテレホンカード情報サーバ1303は、それぞれ、ＡＴＭ-ＬＡＮケーブル1308,1309,1310,1311によって、ＡＴＭ-ＬＡＮスイッチ1304に接続され、テレホンカード発行サーバは、ＡＴＭ-ＬＡＮスイッチ1304を介して、顧客情報サーバ1301、テレホンカード発行情報サーバ1302、またはテレホンカード情報サーバ1303にアクセスする。
【０６０４】
また、ＡＴＭ-ＬＡＮスイッチ1304は、ＡＴＭ-ＬＡＮケーブル1313によって、ＡＴＭ交換機1305に接続される。ＡＴＭ交換機1305には、サービス提供システム110と結ぶデジタル通信回線134が接続され、テレホンカード発行サーバは、ＡＴＭ-ＬＡＮスイッチ1304及びＡＴＭ交換機1305を介して、サービス提供システム110と通信を行なう。
【０６０５】
電子テレホンカードサービスにおいて、テレホンカード発行システム109が行なうテレホンカードの発行処理は、サービス提供システム110からの要求に対して、テレホンカード発行サーバ1300が、顧客情報サーバ1301、テレホンカード発行情報サーバ1302、及びテレホンカード情報サーバ1303の情報を、それぞれ更新して、発行するテレホンカード情報をサービス提供システム110へ送信することによって成立する。
【０６０６】
管理システム1306は、ＡＴＭ-ＬＡＮケーブル1312によって、ＡＴＭ-ＬＡＮスイッチ1307に接続され、さらに、ＡＴＭ-ＬＡＮケーブル1314によって、ＡＴＭ交換機1305に接続される。管理システム1306は、ＡＴＭ-ＬＡＮスイッチ1307、ＡＴＭ交換機1305、及びＡＴＭ-ＬＡＮスイッチ1304を介して、テレホンカード発行サーバ1300、顧客情報サーバ1301、テレホンカード発行情報サーバ1302、またはテレホンカード情報サーバ1303にアクセスし、テレホンカード発行システム109の運用管理を行なう。
【０６０７】
ＡＴＭ交換機1305は、テレホンカード発行システム109の外部と内部との通信、及びテレホンカード発行システム109の内部間の通信において、データ通信の交換機（ルータ）として動作する。
【０６０８】
次に、インストールカードについて説明する。
【０６０９】
図１４は、電子プリペイドカード、電子テレホンカード、及び電子チケットのインストールカードの概観図である。図１４（ａ）、図１４（ｂ）は、それぞれ、電子プリペイドカード・インストールカード1400の裏側及び表側の外観図であり、図１４（ｃ）、図１４（ｄ）は、電子テレホンカード・インストールカード1401の裏側及び表側の外観図、図１４（ｅ）、図１４（ｆ）は、電子チケット・インストールカード1402の裏側及び表側の外観図である。
【０６１０】
基本的に、インストールカードの裏側に、インストール情報、インストールの手順等のインストールに必要な情報が印刷され、表側は、自由なデザインの印刷を行なうことができる。
【０６１１】
例えば、電子プリペイドカード・インストールカード1400の場合、10,000（通貨単位、または、提供される商品またはサービスの単位）の価値（バリュー）を持つ電子プリペイドカードのインストールカードを示している。
【０６１２】
裏側には、インストールカードの種類1403と、インストールされる電子プリペイドカードが持つ価値を示す値1404と、インストールの手順1405と、ロゴマークのフォログラフィ1406と、インストールする電子プリペイドカードの種類を示すインストールカード番号1407と、同一種類の電子プリペイドカード内での識別番号に相当するインストール番号1408とが印字される。
【０６１３】
フォログラフィ1406は、単にデザインのためだけではなく、その複写が難しいことから、インストールカードの偽造を防止するために設けられている。したがって、偽造防止のために、フォログラフィ1406の代わりに、あるいは、フォログラフィ1406に加えて、マイクロ文字や、高精細文様を印刷してもよい。
【０６１４】
インストールカード番号1407は、電子プリペイドカードの種類を示す任意の８桁の数字で、４文字ずつに分けて印字され、インストール番号1408は、適当に離散した３２桁の数字で、４文字ずつ４行２列に分けて印字される。このインストールカード番号1407とインストール番号1408とを合わせたものが、インストールされる電子プリペイドカードの識別情報であり、流通の過程で、この識別情報が漏洩するのを防ぐために、インストールカード番号1407及びインストール番号1408が印字されている部分には、コーティングがされ、そのコーティングをはがさないと、番号が見えない状態になっている。つまり、インストールカードは、コーティングがされた状態で販売または譲渡され、電子プリペイドカードをモバイルユーザ端末100にインストールする時に、初めて、はがされる。
【０６１５】
したがって、インストールの手順としては、まず、コーティング（スクラッチ部分）をはがし、次に、モバイルユーザ端末100をプリペイドカードモードにし、ファンクションスイッチ（“F4”）でプリペイドカードモードの操作メニューを表示させ、メニュー選択により、インストール画面にして、インストールカード番号とインストール番号とを入力して、実行スイッチを押す。以上の操作によって、モバイルユーザ端末100は、サービス提供システム110との間でインストール情報を交換し、モバイルユーザ端末100に、電子プリペイドカードがインストールされる。
【０６１６】
次に、電子テレホンカード・インストールカード1401の場合は、5,000（通貨単位、または、提供される無線電話通信サービスの単位）の価値（バリュー）を持つ電子テレホンカードのインストールカードを示している。電子プリペイドカード・インストールカード1400と同様に、裏側には、インストールカードの種類1409と、インストールされる電子テレホンカードが持つ価値を示す値1410と、インストールの手順1411と、ロゴマークのフォログラフィ1412と、インストールする電子テレホンカードの種類を示す８桁のインストールカード番号1413と、同一種類の電子テレホンカード内での識別番号に相当する３２桁のインストール番号1414とが印字され、インストールカード番号1413とインストール番号1414が印字されている部分には、コーティングがされている。
【０６１７】
インストールの手順としては、まず、コーティング（スクラッチ部分）をはがし、次に、モバイルユーザ端末をテレホンカードモードにし、ファンクションスイッチ（“F4”）でテレホンカードモードの操作メニューを表示させ、メニュー選択により、インストール画面にして、インストールカード番号とインストール番号とを入力して、実行スイッチを押す。以上の操作によって、モバイルユーザ端末100は、サービス提供システム110との間でインストール情報を交換し、モバイルユーザ端末100に、電子テレホンカードがインストールされる。
【０６１８】
電子チケット・インストールカード1402の場合は、表側に、イベントの日時や場所等のインストールされる電子チケットの内容を示す情報が印字される。裏側は、電子プリペイドカード・インストールカード1400と同様に、インストールカードの種類1415と、インストールの手順1417と、ロゴマークのフォログラフィ1418と、インストールする電子チケットの種類を示す８桁のインストールカード番号1419と、同一種類の電子チケット内での識別番号に相当する３２桁のインストール番号1420とが印字され、インストールカード番号1419とインストール番号1420とが印字されている部分には、コーティングがされている。この他、電子チケット・インストールカード1402の裏側には、電子チケットのインストールの期限1416が印字される。
【０６１９】
インストールの手順としては、まず、コーティング（スクラッチ部分）をはがし、次に、モバイルユーザ端末をチケットモードにし、ファンクションスイッチ（“F4”）でチケットモードの操作メニューを表示させ、メニュー選択により、インストール画面にして、インストールカード番号とインストール番号とを入力して、実行スイッチを押す。以上の操作によって、モバイルユーザ端末100は、サービス提供システム110との間でインストール情報を交換し、モバイルユーザ端末100に、電子チケットがインストールされる。
【０６２０】
以上の説明では、インストールカードとして、紙またはプラスチック、塩化ビニール等を素材としたカード形状のものを想定しているが、商品流通のルートに乗せることができ、インストールカード番号及びインストール番号に相当するインストール情報が記録できるものであれば、どのような形状のものでもよく、また、インストール情報は、どのような形態で記録されていてもよい。例えば、本、雑誌等の印刷物の一部に、インストール情報が印刷されていてもよく、また、飲料水の缶や、立体的な商品の表面やラベルに印刷されていてもよく、さらには、コンピュータソフトウェア等のパッケージソフトウェアの中に、電子情報としてインストール情報が記録されていてもよい。
【０６２１】
このように、他の商品とインストールカードとを組み合わせることにより、インストールカードを懸賞の賞品として用いることができ、また、複合商品として販売、流通させることができ、さらに一方で、インストールカード自体の流通コストを下げ、利用の範囲を広げ、普及を促進させることができる。
【０６２２】
次に、モバイルユーザ端末100、ゲート端末101、マーチャント端末102、マーチャント端末103、自動販売機104、及び電子テレホンカード課金装置800のそれぞれと、サービス提供システム110との間の階層的なデータの管理機能について説明する。
【０６２３】
本システムは、電子プリペイドカードの購入や、それを用いた決済など、金銭の授受に関わる情報を扱うことから、システムとして、高いセキュリティが要求される。本システムは、それらのセキュリティレベルの高い情報を、一般のユーザが、簡単な操作で、しかも、モバイル環境で扱えるようにすることを、一つの目的としている。
【０６２４】
そのための機能として、本システムでは、モバイルユーザ端末100、ゲート端末101、マーチャント端末102、マーチャント端末103、自動販売機104及び電子テレホンカード課金装置800の内部データを、サービス提供システム110が管理する。サービス提供システム110上に、モバイルユーザ端末100、ゲート端末101、マーチャント端末102、マーチャント端末103、自動販売機104及び電子テレホンカード課金装置800の内部データのマスターデータを置き、モバイルユーザ端末100、ゲート端末101、マーチャント端末102、マーチャント端末103、自動販売機104、及び電子テレホンカード課金装置800のそれぞれと、サービス提供システム110との間で、定期的に、お互いのデータを更新する。その際に、サービス提供システム110は、モバイルユーザ端末100、ゲート端末101、マーチャント端末102、マーチャント端末103、自動販売機104、及び電子テレホンカード課金装置800の内部データとマスターデータとを照合して、不正な改ざんが行なわれていないかを検証する。また、頻繁にアクセスされる情報または比較的新しい情報が、モバイルユーザ端末100、ゲート端末101、マーチャント端末102、マーチャント端末103、自動販売機104及び電子テレホンカード課金装置800のそれぞれのローカルな蓄積媒体（ＲＡＭまたはハードディスク）に格納されるように内部データを更新する。
【０６２５】
この機能によって、ユーザやマーチャントによる不正を防ぐことができ、また、事故等によるデータの紛失を防止でき、システムとしての安全性が向上する。
【０６２６】
また、モバイルユーザ端末100、ゲート端末101、マーチャント端末102、マーチャント端末103、自動販売機104、及び電子テレホンカード課金装置800の所有者は、内部データをバックアップをする必要がなく、また、モバイルユーザ端末100、ゲート端末101、マーチャント端末102、マーチャント端末103、自動販売機104、及び電子テレホンカード課金装置800に必要とされるローカルの蓄積媒体の容量を小さく抑えることができ、結果として、これらの機器のコストダウンと小型化とを図ることができる。以下では、この機能を、ネットワーク階層蓄積管理機能と呼ぶことにする。
【０６２７】
ネットワーク階層蓄積管理機能は、リモートアクセス、データアップデート、強制的データアップデート、及びデータバックアップの４種類の処理によって実現される。
【０６２８】
リモートアクセスの処理は、モバイルユーザ端末100、ゲート端末101、マーチャント端末102、及びマーチャント端末103が、サービス提供システム110に格納されているデータにアクセスする場合に、そのデータを、サービス提供システム110からダウンロードする処理であり、データアップデートの処理は、モバイルユーザ端末100、ゲート端末101、マーチャント端末102、マーチャント端末103、自動販売機104、及び電子テレホンカード課金装置800が、定期的に、サービス提供システムにアクセスして、内部データの更新をする処理であり、強制的データアップデートの処理は、サービス提供システムが、強制的に、モバイルユーザ端末100、ゲート端末101、マーチャント端末102、マーチャント端末103、自動販売機104、及び電子テレホンカード課金装置800の内部データを更新する処理であり、また、データバックアップの処理は、モバイルユーザ端末100またはマーチャント端末103が、バッテリィが少なくなった場合に、自動的に、内部データを、サービス提供システムにバックアップする処理である。
【０６２９】
図５６（ａ）は、モバイルユーザ端末100とサービス提供システム110とのリモートアクセスの処理の手順を示している。
【０６３０】
モバイルユーザ端末100は、サービス提供システムに格納されているデータにアクセスする場合、サービス提供システムにデータを要求するメッセージ、リモートアクセス要求5600を送信する。サービス提供システムは、リモートアクセス要求5600を受信し、要求されたデータを含むメッセージ、リモートアクセスデータ5601を生成して、モバイルユーザ端末100へ送信し、モバイルユーザ端末100は送信されたデータにアクセスする。
【０６３１】
同様に、図５７（ａ）は、サービス提供システム110と、ゲート端101、マーチャント端末102またはマーチャント端末103とのリモートアクセスの処理の手順を示している。
【０６３２】
ゲート端101（マーチャント端末102、マーチャント端末103）は、サービス提供システムに格納されているデータにアクセスする場合、サービス提供システムにデータを要求するメッセージ、リモートアクセス要求5700を送信する。サービス提供システムは、リモートアクセス要求5700を受信し、要求されたデータを含むメッセージ、リモートアクセスデータ5701を生成して、ゲート端101（マーチャント端末102、マーチャント端末103）へ送信し、ゲート端101（マーチャント端末102、マーチャント端末103）は送信されたデータにアクセスする。
【０６３３】
次に、図５６（ｂ）は、モバイルユーザ端末100とサービス提供システム110とのデータアップデートの処理の手順を示している。
【０６３４】
モバイルユーザ端末100は、あらかじめ、サービス提供システムによって指定されている時刻になると、サービス提供システム110に内部データのアップデート処理を要求するメッセージ、データアップデート要求5602を送信する。それに対して、サービス提供システム110は、サービス提供システムにアップロードするデータの範囲を示すメッセージ、データアップデート応答5603を生成し、モバイルユーザ端末100に送信する。
【０６３５】
モバイルユーザ端末100は、サービス提供システムにアップロードするデータを生成し、サービス提供システム110にモバイルユーザ端末の内部データをアップロードするメッセージ、アップロードデータ5604を、サービス提供システムに送信する。
【０６３６】
サービス提供システムは、アップロードされたデータを検証し、さらに、モバイルユーザ端末100の更新データを生成し、モバイルユーザ端末100の内部データをアップデートするメッセージ、アップデートデータ5605を、モバイルユーザ端末100に送信する。モバイルユーザ端末100は、アップデートデータ5605を受信し、内部データを更新する。
【０６３７】
サービス提供システムは、アップロードされたデータの検証によって、不正な改ざんが発見された場合には、アップデートデータ5605の代わりに、モバイルユーザ端末の機能を停止させるメッセージ、機能停止命令5605'を送信する。
【０６３８】
同様に、図５７（ｂ）は、サービス提供システム110と、ゲート端末101、マーチャント端末102、マーチャント端末103、自動販売機104、または電子テレホンカード課金装置800とのデータアップデートの処理の手順を示している。
【０６３９】
ゲート端末101（マーチャント端末102、マーチャント端末103、自動販売機104、電子テレホンカード課金装置800）は、あらかじめ、サービス提供システムによって指定されている時刻になると、サービス提供システム110に内部データのアップデート処理を要求するメッセージ、データアップデート要求5702を送信する。それに対して、サービス提供システム110は、サービス提供システムにアップロードするデータの範囲を示すメッセージ、データアップデート応答5703を生成し、ゲート端末101（マーチャント端末102、マーチャント端末103、自動販売機104、電子テレホンカード課金装置800）に送信する。
【０６４０】
ゲート端末101（マーチャント端末102、マーチャント端末103、自動販売機104、電子テレホンカード課金装置800）は、サービス提供システムにアップロードするデータを生成し、サービス提供システム110に内部データをアップロードするメッセージ、アップロードデータ5704を、サービス提供システムに送信する。
【０６４１】
サービス提供システムは、アップロードされたデータを検証し、さらに、ゲート端末101（マーチャント端末102、マーチャント端末103、自動販売機104、電子テレホンカード課金装置800）の更新データを生成し、内部データをアップデートするメッセージ、アップデートデータ5705を、ゲート端末101（マーチャント端末102、マーチャント端末103、自動販売機104、電子テレホンカード課金装置800）に送信する。ゲート端末101（マーチャント端末102、マーチャント端末103、自動販売機104、電子テレホンカード課金装置800）は、アップデートデータ5705を受信し、内部データを更新する。
【０６４２】
サービス提供システムは、アップロードされたデータの検証によって、不正な改ざんが発見された場合には、アップデートデータ5705の代わりに、ゲート端末101（マーチャント端末102、マーチャント端末103、自動販売機104、電子テレホンカード課金装置800）の機能を停止させるメッセージ、機能停止命令5705'を送信する。
【０６４３】
次に、図５６（ｃ）は、モバイルユーザ端末100とサービス提供システム110との強制的データアップデートの処理の手順を示している。
【０６４４】
サービス提供システム110は、ユーザとの契約内容に変更があった場合など、モバイルユーザ端末100の内部データを、早急に更新する必要がある場合、まず、モバイルユーザ端末100に強制的データアップデート処理を命令するメッセージ、データアップデート命令5606を生成し、モバイルユーザ端末100に送信する。
【０６４５】
モバイルユーザ端末100は、サービス提供システムにアップロードするデータを生成し、サービス提供システム110にモバイルユーザ端末の内部データをアップロードするメッセージ、アップロードデータ5607を、サービス提供システムに送信する。
【０６４６】
サービス提供システムは、アップロードされたデータを検証し、さらに、モバイルユーザ端末100の更新データを生成し、モバイルユーザ端末100の内部データをアップデートするメッセージ、アップデートデータ5608を、モバイルユーザ端末100に送信する。モバイルユーザ端末100は、アップデートデータ5608を受信し、内部データを更新する。
【０６４７】
サービス提供システムは、アップロードされたデータの検証によって、不正な改ざんが発見された場合には、アップデートデータ5608の代わりに、モバイルユーザ端末の機能を停止させるメッセージ、機能停止命令5608'を送信する。
【０６４８】
同様に、図５７（ｃ）は、サービス提供システム110と、ゲート端末101、マーチャント端末102、マーチャント端末103、自動販売機104、または電子テレホンカード課金装置800との強制的データアップデートの処理の手順を示している。
【０６４９】
サービス提供システム110は、ユーザとの契約内容に変更があった場合など、ゲート端末101（マーチャント端末102、マーチャント端末103、自動販売機104、電子テレホンカード課金装置800）の内部データを、早急に更新する必要がある場合、まず、ゲート端末101（マーチャント端末102、マーチャント端末103、自動販売機104、電子テレホンカード課金装置800）に強制的データアップデート処理を命令するメッセージ、データアップデート命令5706を生成し、モバイルユーザ端末100に送信する。
【０６５０】
ゲート端末101（マーチャント端末102、マーチャント端末103、自動販売機104、電子テレホンカード課金装置800）は、サービス提供システムにアップロードするデータを生成し、サービス提供システム110に内部データをアップロードするメッセージ、アップロードデータ5707を、サービス提供システムに送信する。
【０６５１】
サービス提供システムは、アップロードされたデータを検証し、さらに、ゲート端末101（マーチャント端末102、マーチャント端末103、自動販売機104、電子テレホンカード課金装置800）の更新データを生成し、モバイルユーザ端末100の内部データをアップデートするメッセージ、アップデートデータ5708を、ゲート端末101（マーチャント端末102、マーチャント端末103、自動販売機104、電子テレホンカード課金装置800）に送信する。ゲート端末101（マーチャント端末102、マーチャント端末103、自動販売機104、電子テレホンカード課金装置800）は、アップデートデータ5708を受信し、内部データを更新する。
【０６５２】
サービス提供システムは、アップロードされたデータの検証によって、不正な改ざんが発見された場合には、アップデートデータ5708の代わりに、ゲート端末101（マーチャント端末102、マーチャント端末103、自動販売機104、電子テレホンカード課金装置800）の機能を停止させるメッセージ、機能停止命令5708'を送信する。
【０６５３】
次に、図５６（ｄ）は、モバイルユーザ端末100とサービス提供システム110とのデータバックアップの処理の手順を示している。データバックアップ処理は、ほぼ、データアップデート処理と同じ手順で行なわれる。但し、データバックアップ処理では、バッテリィ容量がＱ以下にった場合に、モバイルユーザ端末100は、データバックアップの処理を開始し、また、アップデートデータ5612を受信して、内部データを更新した後、モバイルユーザ端末100は、バッテリィの容量が十分な状態になるまで、新たなデータの入力が禁止される。
【０６５４】
同様に、図５７（ｄ）は、マーチャント端末103とサービス提供システム110とのデータバックアップの処理の手順を示している。この場合も、データバックアップ処理は、ほぼ、データアップデート処理と同じ手順で行なわれる。但し、データバックアップ処理では、バッテリィ容量がＱ以下にった場合に、マーチャント端末103は、データバックアップの処理を開始し、また、アップデートデータ5712を受信して、内部データを更新した後、マーチャント端末103は、バッテリィの容量が十分な状態になるまで、新たなデータの入力が禁止される。
【０６５５】
以上のネットワーク階層蓄積管理機能の各処理において、機器間で交換されるメッセージの内容については、後で詳しく説明する。
【０６５６】
次に、発行した電子チケット、電子プリペイドカード、及び電子テレホンカードの管理について説明する。
【０６５７】
本システムでは、発行した電子チケット、電子プリペイドカード、及び電子テレホンカードを、使用登録されたものと、使用登録されていないものとに分けて管理する。ここで使用登録とは、ユーザが、自分が所有する電子チケット、電子プリペイドカードまたは電子テレホンカードを、自分で使用するものとして、サービス提供システムに登録することを意味する。
【０６５８】
本システムでは、購入した電子チケット、電子プリペイドカード、または電子テレホンカードを、他のユーザに譲渡することができるので、必ずしも、購入したユーザが、それを使用するとは限らない。また、購入された電子チケット、電子プリペイドカード、または電子テレホンカードは、必ずしも、使用されるとは限らず、特に、電子プリペイドカードや電子テレホンカードの場合には、磁気カードタイプのテレホンカードのように、使用されないで、休眠状態のものが、大量に発生するものと予測される。
【０６５９】
これらの使用されない電子チケット、電子プリペイドカード、及び電子テレホンカードを、使用される電子チケット、電子プリペイドカード、及び電子テレホンカードと同じように管理することは、システムの運用上の無駄が多い。そこで、本システムでは、これらを、使用されるものと、使用されないものとに分けて管理する。
【０６６０】
具体的には、通常、購入または譲渡された電子チケット、電子プリペイドカード、及び電子テレホンカードは、ユーザに所有されているものとして、サービス提供システム110のユーザ情報サーバ902で管理されている。これらの電子チケット、電子プリペイドカード、または電子テレホンカードを自分で使用する場合、ユーザは、その使用登録を、サービス提供システムに対して行なう。サービス提供システムは、使用登録された電子チケット、電子プリペイドカード、または電子テレホンカードを、そのユーザが使用するものとして、サービスディレクタ情報サーバ901に登録する。使用登録の処理は、デジタル無線電話通信で、いつでも、どこでも行なうことができる。
【０６６１】
電子チケット、電子プリペイドカード、及び電子テレホンカードの使用登録に関しては、後で詳しく説明する。
【０６６２】
次に、本システムが提供するモバイル・エレクトロニックコマース・サービスについて説明する。
【０６６３】
まず、４つのサービスの内、電子チケットサービスについて説明する。
【０６６４】
電子チケットサービスの中には、大きく分けて、チケットオーダー、チケット購入、チケット使用登録、改札チケット設定、チケット改札、チケット照会、チケット譲渡、電子チケットインストール、チケット内容変更、及びチケット払戻の１０種類の処理がある。
【０６６５】
チケットオーダーは、ユーザが、チケット発行者に電子チケットの申込を行なう処理であり、チケット購入は、ユーザが、チケットオーダーで申込んだ電子チケットを購入する処理、チケット使用登録は、ユーザが、購入または譲渡されたチケットを、自分が使用するチケットとして、サービス提供システム110に登録する処理、改札チケット設定は、ゲート端末101のオペレータ（マーチャント）が、改札するチケットをゲート端末に設定する処理、チケット改札は、ゲート端末が、電子チケットの改札をする処理、チケット照会は、ゲート端末が、改札した電子チケットの有効性を、サービス提供システムに照会する処理、チケット譲渡は、電子チケットの譲渡を行なう処理、電子チケットインストールは、電子チケット・インストールカードを用いて、モバイルユーザ端末100に電子チケットをインストールする処理、チケット内容変更は、チケット発行者が、すでに発行したチケットの内容を変更する処理、そして、チケット払戻は、チケットの内容の変更に伴う、チケットの払戻を行なう処理である。
【０６６６】
図５８は、チケットオーダーの処理の手順を示している。
【０６６７】
まず、ユーザは、モバイルユーザ端末100をチケットモードにし、ファンクションスイッチ（“F4”）でチケットモードの操作メニューを表示させ、その中から、“チケット購入”を選択して、ＬＣＤにチケットオーダー画面を表示させる。次に、ファンクションスイッチ307とテンキースイッチ308とを用いて、チケット発行者の選択と、希望するチケットのオーダーコードと、希望日時、希望枚数を入力し、実行スイッチ311を押す（チケットオーダー操作5800）。すると、モバイルユーザ端末は、サービス提供システムに、電子チケットを申込むメッセージ、チケットオーダー5801を送信し、チケットオーダー5801を受信したサービス提供システムは、チケット発行システム107に、チケットを申込むメッセージ、チケットオーダー5802を送信する。
【０６６８】
チケットオーダー5802を受信したチケット発行システムでは、チケット発行サーバ1100が、顧客情報サーバ1101の顧客情報と、チケット情報サーバ1103上のチケットの発行状況に関する情報とに基づいて、チケットオーダー5802に対する応答メッセージ、チケットオーダー応答5803を生成して、サービス提供システムへ送信する。
【０６６９】
この時、ユーザが希望するチケットが発行可能な場合、チケットオーダー応答5803には、発行可能なチケットの席番号や、チケットの代金を示すチケットの販売オファー（チケット販売オファー）が含まれ、売切れ等で、チケットが発行できない場合には、チケット販売オファーは含まれない。
【０６７０】
チケットオーダー応答5803を受信したサービス提供システムは、チケットオーダー応答5803から、チケットオーダー5801に対する応答メッセージ、チケットオーダー応答5804を生成し、モバイルユーザ端末へ送信する。
【０６７１】
チケットオーダー応答5804を受信したモバイルユーザ端末は、ＬＣＤ303に、チケットオーダー応答5804の内容を表示する（チケットオーダー応答の表示5805）。この時、チケットオーダー応答5804に、チケット販売オファーが含まれている場合、ＬＣＤにはチケット販売オファーが表示され、チケット販売オファーが含まれていない場合には、チケットが発行できない旨を示すメッセージ（応答メッセージ9016：図９０（ｂ））がＬＣＤに表示される。
【０６７２】
次に、図５９は、チケット購入の処理の手順を示している。
【０６７３】
チケット購入の処理は、チケットオーダーの処理によって、ＬＣＤにチケット販売オファーが表示されているところから始まる。
【０６７４】
チケット販売オファーには、“購入”と“キャンセル”の２つの操作メニューがあり、“キャンセル”を選択すると、そのチケット販売オファーはキャンセルされる。“購入”を選択すると、ＬＣＤは、購入申込画面に切り替わり、ユーザは、購入申込画面において、支払に使用するクレジットカードと支払回数とを指定し、暗証番号を入力して、実行スイッチ311を押す（チケット購入申込操作5900）。すると、モバイルユーザ端末は、サービス提供システムに、電子チケットの購入を申込むメッセージ、チケット購入申込5901を送信し、チケット購入申込5901を受信したサービス提供システムは、チケット発行システム107に、チケットの購入を申込むメッセージ、チケット購入申込5902を送信する。
【０６７５】
チケット購入申込5902を受信したチケット発行システムでは、チケット発行サーバ1100が、顧客情報サーバ1101、チケット発行情報サーバ1102及びチケット情報サーバ1103のデータを更新して、申込まれたチケットのチケットデータを生成し、サービス提供システムへ、そのチケットに対応する電子チケットの発行処理、及びチケット代金の決済処理を依頼するメッセージ、電子チケット発行依頼5903を送信する。
【０６７６】
電子チケット発行依頼5903を受信したサービス提供システムは、決済処理システム106へチケット代金の決済処理を要求するメッセージ、決済要求5904を送信する。
【０６７７】
決済要求5904を受信した決済処理システムでは、トランザクション処理サーバ1000が、加入者情報サーバ1001、加盟店情報サーバ1002及び取引情報サーバ1003のデータを更新して、クレジットカード決済の処理を行ない、決済処理の完了を示すメッセージ、決済完了通知5905を、サービス提供システムへ送信する。
【０６７８】
決済完了通知5905を受信したサービス提供システムは、決済完了通知5905から、チケット発行システムに決済処理の完了を示すメッセージ、決済完了通知5906を生成して、チケット発行システムへ送信し、さらに、ユーザに発行する電子チケットを生成する。
【０６７９】
決済完了通知5906を受信したチケット発行システムは、チケット販売の領収書に相当するメッセージ、領収書5907を生成して、サービス提供システムへ送信する。
【０６８０】
領収書5907を受信したサービス提供システムは、領収書5907を基に、ユーザ向けの領収書メッセージ、領収書5909を生成して、生成した電子チケットを含むメッセージ、電子チケット発行5908とともに、モバイルユーザ端末へ送信する。
【０６８１】
電子チケット発行5908と領収書5909とを受信したモバイルユーザ端末は、ＬＣＤ303に、購入した電子チケットを表示する（電子チケットの表示5910）。この時、ＬＣＤには、同時に、購入した電子チケットの使用登録を促すダイアログメッセージが表示される。ここで、“使用登録”を選択すると、モバイルユーザ端末は、チケット使用登録の処理を開始する。
【０６８２】
次に、図６５（ａ）は、チケット使用登録の処理の手順を示している。
【０６８３】
チケット使用登録の処理は、ＬＣＤに電子チケットの使用登録を促すダイアログメッセージが表示されているところから始まる。使用登録を促すダイアログメッセージは、電子チケットを購入した直後、または、使用登録されていない電子チケットを表示した状態（チケットの状態表示として「未登録」が表示されている）で、実行スイッチ311を押すことによって表示される。
【０６８４】
使用登録を促すダイアログメッセージには、“使用登録”と“キャンセル”の２つの操作メニューがあり、“キャンセル”を選択すると、チケット使用登録の処理はキャンセルされる。ユーザが“使用登録”を選択すると（電子チケットの使用登録操作6500）、モバイルユーザ端末は、サービス提供システムに、電子チケットの使用登録を要求するメッセージ、チケット使用登録要求6501を送信する。チケット使用登録要求6501を受信したサービス提供システムでは、サービスサーバ900が、チケット使用登録要求6501の内容と、ユーザ情報サーバ902上のユーザ情報とを照合し、サービスディレクタ情報サーバ901上の使用登録されている電子チケットの管理情報を更新して、電子チケットの使用登録を行ない、使用登録された電子チケットの証明書を含むメッセージ、チケット証明書発行6502をモバイルユーザ端末へ送信する。
【０６８５】
チケット証明書発行6502を受信したモバイルユーザ端末は、ＬＣＤに使用登録された電子チケット（チケットの状態表示として「登録済」が表示されている）を表示する（使用登録されたチケットの表示6503）。
【０６８６】
次に、図６６は、改札チケット設定の処理の手順を示している。
【０６８７】
ゲート端末101では、改札する電子チケットの設定を、データアップデートの処理によって行なう場合もあるが、ここでは、マーチャントが設定する場合について説明する。
【０６８８】
まず、ゲート端末101のオペレータ（マーチャント）は、ゲート端末を改札チケット設定モードにして、タッチパネルＬＣＤ401に設定画面を表示させる。オペレータ（マーチャント）は、ゲート端末に設定する電子チケットを示す改札チケットコードをテンキースイッチ403で入力し、画面上の“設定”ボタンを押す（チケット設定操作6600）。すると、ゲート端末は、指定された電子チケットの設定を要求するメッセージ、改札チケット設定要求6601をサービス提供システムへ送信する。
【０６８９】
改札チケット設定要求6601を受信したサービス提供システムは、指定された電子チケットの改札プログラムモジュールを含むメッセージ、改札チケット設定6602をモバイルユーザ端末へ送信する。
【０６９０】
改札チケット設定6602を受信したモバイルユーザ端末は、タッチパネルＬＣＤに、改札チケット設定の処理の完了を示すメッセージを表示する（設定完了表示6603）。
【０６９１】
次に、図６７は、チケット改札の処理の手順を示している。
【０６９２】
まず、ユーザは、モバイルユーザ端末をチケットモードにし、ファンクションスイッチ（“F1”，“F2”）で改札を受けるチケットを表示させる。そして、赤外線通信ポート300をゲート端末の赤外線通信モジュールに向けて実行スイッチ311を押す（チケット提示操作6700）。すると、モバイルユーザ端末は、チケットの内容をゲート端末に提示するメッセージ、チケット提示6701を、赤外線通信で、ゲート端末に送信する。
【０６９３】
チケット提示6701を受信したゲート端末は、チケットの種類を検証し、電子チケットを改札済に変更するコマンドを含むメッセージ、チケット改札6702を、赤外線通信でモバイルユーザ端末へ送信する。
【０６９４】
チケット改札6702を受信したモバイルユーザ端末は、電子チケットを改札済に変更し、電子チケットの変更後の状態を示すメッセージ、チケット改札応答6703を、赤外線通信で、ゲート端末に送信する。
【０６９５】
チケット改札応答6703を受信したゲート端末は、チケット改札応答6703の内容を検証し、電子チケットを改札したことを示すメッセージ、改札証明書6704を、赤外線通信でモバイルユーザ端末へ送信し、改札処理結果をタッチパネルＬＣＤに表示する（改札結果表示6705）。
【０６９６】
改札証明書6704を受信したモバイルユーザ端末は、ＬＣＤに改札されたチケット（チケットの状態表示として「改札済」が表示されている）を表示する（改札されたチケットの表示6706）。
【０６９７】
この後、ゲート端末のオペレータ（マーチャント）は、タッチパネルＬＣＤに表示された改札処理結果に基づいて、ユーザの入場を許可する（入場許可6707）。また、ゲート端末に、ゲート開閉装置が接続されている場合には、自動的にゲートが開かれる（入場許可6707）。
【０６９８】
次に、図７１は、チケット照会の処理の手順を示している。
【０６９９】
チケット照会の処理は、特別な処理シーケンスで行なわれるのではなく、サービス提供システムがゲート端末の内部データをアップデートするデータアップデートの処理の中で行なわれる。
【０７００】
ゲート端末は、サービス提供システムに、あらかじめ設定された時刻になると、自動的に、データアップデート処理を開始し、まず、サービス提供システムに、データアップデート処理を要求するメッセージ、データアップデート要求5702を送信する。
【０７０１】
データアップデート要求5702を受信したサービス提供システムは、データアップデート要求5702に対する応答メッセージ、データアップデート応答5703を、ゲート端末へ送信する。
【０７０２】
データアップデート応答5703には、アップロードするデータの範囲を示す情報（アップデートオプションコード8809：図８８（ｂ））が含まれており、データアップデート応答5703を受信したゲート端末は、データアップデート応答5703に基づいて、サービス提供システムにアップロードするデータを含むメッセージ、アップロードデータ5704を生成し、サービス提供システムへ送信する。この時、アップロードデータ5704には、新たにゲート端末が改札した電子チケットの情報が含まれている。
【０７０３】
アップロードデータ5704を受信したサービス提供システムでは、サービスサーバ900が、アップロードされたデータを、マーチャント情報サーバ903上のデータと照合、検証して、ゲート端末の更新データを生成する。この時、同時に、ゲート端末が改札した電子チケットの情報と、サービスディレクタ情報サーバ901上の使用登録されている電子チケットの管理情報とを照合して、電子チケットの有効性を検証する。そして、サービスサーバ900は、ゲート端末の更新データを含むメッセージ、アップデートデータ5705を、ゲート端末へ送信する。ゲート端末の更新データには、電子チケットの有効性を検証した結果を示す情報として、チケット照会結果が含まれている。
【０７０４】
アップデートデータ5705を受信したゲート端末は、アップデートデータ5705に含まれる更新データを展開して、ゲート端末の内部のデータを更新する。この時、チケット照会結果も、ゲート端末のハードディスクに格納される。また、チケット照会結果は、マーチャントとサービス提供者間の契約によって、ゲート端末の更新データの中に含めるのではなく、電子メールまたは郵便によって、マーチャントへ送られる場合もある。
【０７０５】
また、マーチャントとチケット発行者の事業主体が異なり、チケットを取扱ったマーチャントに対して、チケット発行者から支払が発生する場合、または、定期的にチケットの使用状況を、チケット発行者に通知する契約になっている場合には、例えば、１週間毎に、サービス提供システムは、チケット照会の処理の結果に基づいて、チケット発行者に、チケットの使用状況を通知するメッセージ、使用状況通知7100を生成して、チケット発行システム107へ送信する。
【０７０６】
次に、図７４は、チケット譲渡の処理の手順を示している。
【０７０７】
図７４は、ユーザＡからユーザＢに電子チケットを譲渡する場合について示しており、ユーザＡとユーザＢとの間の通信を、赤外線通信で行なう場合も、デジタル無線通信で行なう場合も、基本的な処理の流れは同じである。
【０７０８】
まず、ユーザＡとユーザＢとの間の通信を、赤外線通信で行なう場合について説明する。
【０７０９】
チケット譲渡の処理は、ユーザＡとユーザＢとの間で、口頭で、電子チケットの譲渡が合意されたところから始まる。
【０７１０】
まず、ユーザＡは、モバイルユーザ端末をチケットモードにし、ファンクションスイッチ（“F1”，“F2”）で譲渡するチケットをＬＣＤに表示させる。次に、ファンクションスイッチ（“F3”）を押して、電子チケットの操作メニューを表示させ、その中から、“チケット譲渡”を選択し、さらに、赤外線通信ポートを、ユーザＢのモバイルユーザ端末の赤外線通信ポートに向けて実行スイッチを押す（チケット譲渡操作7400）。すると、ユーザＡのモバイルユーザ端末は、電子チケットの譲渡を申出るメッセージ、チケット譲渡オファー7401を、赤外線通信で、ユーザＢのモバイルユーザ端末へ送信する。
【０７１１】
チケット譲渡オファー7401を受信したユーザＢのモバイルユーザ端末は、チケット譲渡オファー7401の内容を検証し、譲渡される電子チケットの内容をＬＣＤに表示する（譲渡オファー表示7402）。
【０７１２】
ユーザＢは、ＬＣＤに表示された内容を確認して、赤外線通信ポートを、ユーザＡのモバイルユーザ端末の赤外線通信ポートに向けて実行スイッチを押す（譲渡オファー受諾操作7403）。すると、ユーザＢのモバイルユーザ端末は、チケット譲渡オファー7401に対する応答メッセージ、チケット譲渡オファー応答7404を、赤外線通信で、ユーザＡのモバイルユーザ端末へ送信する。
【０７１３】
チケット譲渡オファー応答7404を受信したユーザＡのモバイルユーザ端末は、チケット譲渡オファー応答7404の内容をＬＣＤに表示し（譲渡オファー応答表示7405）、さらに、電子チケットのユーザＢへの譲渡証に相当するメッセージ、チケット譲渡証明書7406を、赤外線通信で、ユーザＢのモバイルユーザ端末へ送信する。
【０７１４】
チケット譲渡証明書7406を受信したユーザＢのモバイルユーザ端末は、チケット譲渡証明書7406の内容を検証し、電子チケットを譲渡されたことを示すメッセージ、チケット受取証7407を、赤外線通信で、ユーザＡのモバイルユーザ端末へ送信する。
【０７１５】
チケット受取証7407を受信したユーザＡのモバイルユーザ端末は、譲渡処理の完了を示すメッセージを、ＬＣＤに表示して（譲渡完了表示7408）、ユーザＡ（贈り手）のモバイルユーザ端末における処理を終了する。
【０７１６】
一方、チケット受取証7407を送信したユーザＢのモバイルユーザ端末は、受信したチケット譲渡証明書7406をＬＣＤに表示し、さらに、サービス提供サーバとの間の譲渡処理（譲渡された電子チケットを、サービス提供システムからダウンロードする処理）を、今すぐ実行するか否かを尋ねるダイアログメッセージを表示する（譲渡証明書の表示7409）。
【０７１７】
このダイアログメッセージには、“譲渡処理要求”及び“キャンセル”の２つの操作メニューがあり、“キャンセル”を選択すると、その時点でのサービス提供サーバとの間の譲渡処理はキャンセルされ、サービス提供システムがユーザＢのモバイルユーザ端末の内部データをアップデートする処理（データアップデートの処理）の際に、アップデートデータの一部として、譲渡された電子チケットが、ユーザＢのモバイルユーザ端末に設定される。
【０７１８】
また、ユーザＢが、“譲渡処理要求”を選択すると（譲渡処理要求操作7410）、モバイルユーザ端末は、チケット譲渡証明書7406を基に、サービス提供サーバとの間の譲渡処理を要求するメッセージ、チケット譲渡処理要求7411を生成し、デジタル無線電話通信で、サービス提供システムに送信する。
【０７１９】
チケット譲渡処理要求7411を受信したサービス提供システムは、チケット譲渡処理要求7411の内容を検証し、ユーザＡから譲渡された電子チケットを含むメッセージ、チケット譲渡7412を、デジタル無線電話通信で、ユーザＢのモバイルユーザ端末へ送信する。
【０７２０】
チケット譲渡7412を受信したユーザＢのモバイルユーザ端末は、電子チケットをＬＣＤに表示して（電子チケットの表示7413）、チケット譲渡の処理を終了する。
【０７２１】
次に、ユーザＡとユーザＢとの間の通信を、デジタル無線電話通信で行なう場合について説明する。
【０７２２】
この場合も、チケット譲渡の処理は、ユーザＡとユーザＢとの間で、口頭で、電子チケットの譲渡が合意されたところから始まる。但し、この場合は、ユーザＡとユーザＢは、デジタル無線電話による通話状態にある。
【０７２３】
まず、ユーザＡは、モバイルユーザ端末をチケットモードにし、ファンクションスイッチ（“F1”，“F2”）で譲渡するチケットをＬＣＤに表示させる。次に、ファンクションスイッチ（“F3”）を押して、電子チケットの操作メニューを表示させ、その中から、“チケット譲渡”を選択して、実行スイッチを押す（チケット譲渡操作7400）。すると、ユーザＡのモバイルユーザ端末は、電子チケットの譲渡を申出るメッセージ、チケット譲渡オファー7401を、デジタル無線電話通信で、ユーザＢのモバイルユーザ端末へ送信する。
【０７２４】
チケット譲渡オファー7401を受信したユーザＢのモバイルユーザ端末は、チケット譲渡オファー7401の内容を検証し、譲渡される電子チケットの内容をＬＣＤに表示する（譲渡オファー表示7402）。
【０７２５】
ユーザＢは、ＬＣＤに表示された内容を確認して、実行スイッチを押す（譲渡オファー受諾操作7403）。すると、ユーザＢのモバイルユーザ端末は、チケット譲渡オファー7401に対する応答メッセージ、チケット譲渡オファー応答7404を、デジタル無線電話通信で、ユーザＡのモバイルユーザ端末へ送信する。
【０７２６】
チケット譲渡オファー応答7404を受信したユーザＡのモバイルユーザ端末は、チケット譲渡オファー応答7404の内容をＬＣＤに表示し（譲渡オファー応答表示7405）、さらに、電子チケットのユーザＢへの譲渡証に相当するメッセージ、チケット譲渡証明書7406を、デジタル無線電話通信で、ユーザＢのモバイルユーザ端末へ送信する。
【０７２７】
チケット譲渡証明書7406を受信したユーザＢのモバイルユーザ端末は、チケット譲渡証明書7406の内容を検証し、電子チケットを譲渡されたことを示すメッセージ、チケット受取証7407を、デジタル無線電話通信で、ユーザＡのモバイルユーザ端末へ送信する。
【０７２８】
チケット受取証7407を受信したユーザＡのモバイルユーザ端末は、譲渡処理の完了を示すメッセージを、ＬＣＤに表示して（譲渡完了表示7408）、ユーザＡ（贈り手）のモバイルユーザ端末における処理を終了する。
【０７２９】
一方、チケット受取証7407を送信したユーザＢのモバイルユーザ端末は、受信したチケット譲渡証明書7406をＬＣＤに表示し、さらに、サービス提供サーバとの間の譲渡処理（譲渡された電子チケットを、サービス提供システムからダウンロードする処理）を、今すぐ実行するか否かを尋ねるダイアログメッセージを表示する（譲渡証明書の表示7409）。
【０７３０】
このダイアログメッセージには、“譲渡処理要求”及び“キャンセル”の２つの操作メニューがあり、“キャンセル”を選択すると、その時点でのサービス提供サーバとの間の譲渡処理はキャンセルされ、サービス提供システムがユーザＢのモバイルユーザ端末上のデータをアップデートする処理（データアップデート処理）の際に、アップデートデータの一部として、譲渡された電子チケットが、ユーザＢのモバイルユーザ端末に設定される。
【０７３１】
また、ユーザＢが、“譲渡処理要求”を選択すると（譲渡処理要求操作7410）、モバイルユーザ端末は、ユーザＡとの通話回線を切断し、新たに、サービス提供システムとのデジタル無線電話通信の回線を接続して、チケット譲渡証明書7406を基に、サービス提供サーバとの間の譲渡処理を要求するメッセージ、チケット譲渡処理要求7411を生成し、デジタル無線電話通信で、サービス提供システムに送信する。
【０７３２】
チケット譲渡処理要求7411を受信したサービス提供システムは、チケット譲渡処理要求7411の内容を検証し、ユーザＡから譲渡された電子チケットを含むメッセージ、チケット譲渡7412を、デジタル無線電話通信で、ユーザＢのモバイルユーザ端末へ送信する。
【０７３３】
チケット譲渡7412を受信したユーザＢのモバイルユーザ端末は、電子チケットをＬＣＤに表示して（電子チケットの表示7413）、チケット譲渡の処理を終了する。
【０７３４】
次に、図７７は、電子チケットインストールの処理の手順を示している。
【０７３５】
まず、ユーザは、モバイルユーザ端末100をチケットモードにし、ファンクションスイッチ（“F4”）でチケットモードの操作メニューを表示させ、その中から、“インストール”を選択して、ＬＣＤにインストール画面を表示させる。次に、テンキースイッチで、電子チケットインストールカードに印字されているインストールカード番号とインストール番号とを、それぞれ入力し、実行スイッチ311を押す（インストール操作7700）。すると、モバイルユーザ端末は、サービス提供システム110へ、電子チケットのインストールを要求するメッセージ、電子チケットインストール要求7701を送信する。
【０７３６】
電子チケットインストール要求7701を受信したサービス提供システム110は、電子チケットインストール要求7701に含まれるインストールカード番号から、インストールカードの発行者を特定し、その特定したチケット発行者のチケット発行システムに、チケットの発行を要求するメッセージ、チケットインストール要求7702を送信する。
【０７３７】
チケットインストール要求7702を受信したチケット発行システムでは、チケット発行サーバ1100が、チケットインストール要求7702に含まれるインストールカード番号及びインストール番号を、チケット発行情報サーバ1102の発行済み電子チケットインストールカードの管理情報と照合し、さらに、顧客情報サーバ1101、チケット発行情報サーバ1102及びチケット情報サーバ1103のデータを更新して、要求されたチケットのチケットデータを生成し、サービス提供システムへ、そのチケットに対応する電子チケットのインストール処理を依頼するメッセージ、電子チケットインストール依頼7703を送信する。
【０７３８】
電子チケットインストール依頼7703を受信したサービス提供システムは、電子チケットを生成し、それをモバイルユーザ端末にインストールするメッセージ、電子チケットインストール7704を、モバイルユーザ端末へ送信する。
【０７３９】
電子チケットインストール7704を受信したモバイルユーザ端末は、電子チケットインストール7704に含まれる電子チケットをインストールし、ＬＣＤにインストールした電子チケットを表示する（電子チケットの表示7705）。
【０７４０】
次に、チケット内容変更の処理について説明する。
【０７４１】
チケット内容変更の処理は、チケット発行者が、既に発行したチケットの内容を変更する処理であり、その変更内容によって、ゲート端末の電子チケットを改札するプログラム（チケット改札プログラム）を更新する場合と、モバイルユーザ端末の電子チケットを変更する場合と、両方とも変更する場合とがある。
【０７４２】
まず、ゲート端末のチケット改札プログラムを更新する場合について説明する。
【０７４３】
図８０は、ゲート端末に対するチケット内容変更の処理の手順を示している。
【０７４４】
まず、チケット発行システムが、サービス提供システムへ、既に発行したチケットの内容の変更を要求するメッセージ、内容変更要求8000を送信する。
【０７４５】
内容変更要求8000を受信したサービス提供システムは、ゲート端末に設定したチケット改札プログラムを変更する必要がある場合に、ゲート端末に対するチケット内容変更の処理を行なう。
【０７４６】
ゲート端末に対するチケット内容変更の処理は、特別な処理シーケンスで行なうのではなく、サービス提供システムが、強制的にゲート端末上のデータをアップデートする強制的データアップデートの処理によって行なわれる。
【０７４７】
強制的データアップデート処理では、まず、サービス提供システムが、ゲート端末に、内部データのアップデートを命令するメッセージ、データアップデート命令5706を送信する。
【０７４８】
データアップデート命令5706には、アップロードするデータの範囲を示す情報（アップデートオプションコード8843：図８８（ｆ））が含まれており、データアップデート命令5706を受信したゲート端末は、データアップデート命令5706に基づいて、サービス提供システムにアップロードするデータを含むメッセージ、アップロードデータ5707を生成し、サービス提供システムへ送信する。
【０７４９】
アップロードデータ5707を受信したサービス提供システムでは、サービスサーバ900が、アップロードされたデータを、マーチャント情報サーバ903上のデータと照合、検証して、ゲート端末の更新データを生成する。この時、ゲート端末の更新データとして、変更後のチケット改札プログラムが組み込まれる。サービスサーバ900は、ゲート端末の更新データを含むメッセージ、アップデートデータ5708を生成し、ゲート端末へ送信する。
【０７５０】
アップデートデータ5708を受信したゲート端末は、アップデートデータ5708に含まれる更新データを展開して、内部のデータを更新する。この時、同時に、チケット改札プログラムも更新される。
【０７５１】
次に、モバイルユーザ端末の電子チケットを変更する場合について説明する。
【０７５２】
図８１は、モバイルユーザ端末に対するチケット内容変更の処理の手順を示している。  まず、チケット発行システムが、サービス提供システムへ、既に発行したチケットの内容の変更を要求するメッセージ、内容変更要求8100を送信する。
【０７５３】
内容変更要求8100を受信したサービス提供システムは、変更を必要とする電子チケットを所有するユーザのモバイルユーザ端末に対して、チケット内容変更の処理を行なう。サービス提供システムは、内容変更要求8100から、ユーザに対して、電子チケットの内容変更を知らせるメッセージ、内容変更通知8101を生成して、モバイルユーザ端末へ送信する。
【０７５４】
内容変更通知8101を受信したモバイルユーザ端末は、ユーザに、内容変更通知8101の受信を知らせる着信音を出力し、電子チケット変更内容を示すメッセージと、それに対するユーザの対応を指示する操作を促すメッセージとをＬＣＤに表示する（内容変更通知の表示8102）。例えば、日程が変更になる場合には、その日程変更の内容を示すメッセージと、ユーザに“受諾”、“拒否”または“払戻”の中から、内容変更への対応を選択するように促すメッセージとが表示される。
【０７５５】
ユーザは、ＬＣＤに表示されたメッセージに基づいて、テンキースイッチで、内容変更に対する対応を選択する（リアクション選択操作8103）。すると、モバイルユーザ端末は、内容変更通知8101に対するユーザの対応を示すメッセージ、リアクション選択8104を生成して、サービス提供システムへ送信する。ユーザが“拒否”または“払戻”を選択した場合には、モバイルユーザ端末は、さらに、その電子チケットの状態を使用不能の状態に変更する。
【０７５６】
リアクション選択8104を受信したサービス提供システムは、内容変更通知8101に対するユーザの対応が、“受諾”の場合には、新しい電子チケットを含むメッセージ、内容変更命令8105を、モバイルユーザ端末へ送信する。また、“払戻”の場合には、サービス提供システムは、チケット払戻の処理を開始する。また、“拒否”の場合には、ユーザ情報サーバ902に格納されているユーザの対応する電子チケットの状態を、使用不能の状態に変更して、チケット内容変更の処理を終了する。
【０７５７】
内容変更命令8105を受信したモバイルユーザ端末は、変更の必要がある電子チケットを、内容変更命令8105に含まれる電子チケットに更新して、その電子チケットをＬＣＤに表示する（チケット表示8106）。
【０７５８】
次に、図８２は、チケット払戻の処理の手順を示している。
【０７５９】
チケット払戻の処理において、モバイルユーザ端末がリアクション選択8204(8104)をサービス提供システムへ送信するまでの手順は、チケット内容変更の処理（図８１）の場合と同じである。
【０７６０】
リアクション選択8204を受信したサービス提供システムは、内容変更通知8101に対するユーザの対応が、“払戻”であることから、チケット発行者にチケットの払戻を要求するメッセージ、払戻要求8205をチケット発行システムへ送信する。
【０７６１】
払戻要求8205を受信したチケット発行システムでは、チケット発行サーバ1100が、顧客情報サーバ1101、チケット発行情報サーバ1102及びチケット情報サーバ1103のデータを更新して、発行したチケットをキャンセルし、サービス提供システムに、電子チケットの払戻処理を依頼するメッセージ、払戻処理依頼8206を生成して、サービス提供システムへ送信し、払戻処理依頼8206を受信したサービス提供システムは、チケットの払戻決済処理を要求するメッセージ、払戻決済要求8207を、決済処理システム106へ送信する。
【０７６２】
払戻決済要求8207を受信した決済処理システムでは、トランザクション処理サーバ1000が、加入者情報サーバ1001、加盟店情報サーバ1002及び取引情報サーバ1003のデータを更新して、払戻決済処理を行ない、払戻決済処理の完了を示すメッセージ、払戻決済完了通知8208を、サービス提供システムへ送信する。
【０７６３】
払戻決済完了通知8208を受信したサービス提供システムは、払戻決済完了通知8208から、チケット発行システムに払戻決済処理の完了を示すメッセージ、払戻決済完了通知8209を生成して、チケット発行システムへ送信し、払戻決済完了通知8209を受信したチケット発行システムは、チケットの払戻の領収書に相当するメッセージ、払戻領収書8210を生成して、サービス提供システムへ送信する。
【０７６４】
払戻領収書8210を受信したサービス提供システムは、払戻領収書8210を基に、ユーザ向けの領収書メッセージ、払戻領収書8211を生成して、モバイルユーザ端末へ送信する。
【０７６５】
払戻領収書8211を受信したモバイルユーザ端末は、ＬＣＤ303に、払戻領収書8211を表示して（払戻領収書の表示8212）、チケット払戻の処理を終了する。
【０７６６】
以上の電子チケットサービスの処理において、機器間で交換されるメッセージの内容については、後で詳しく説明する。
【０７６７】
次に、電子プリペイドカードサービスについて説明する。
【０７６８】
電子プリペイドカードサービスの中には、大きく分けて、プリペイドカード購入、プリペイドカード使用登録、取扱プリペイドカード設定、プリペイドカード決済、プリペイドカード照会、プリペイドカード譲渡、及び電子プリペイドカードインストールの７種類の処理がある。
【０７６９】
プリペイドカード購入は、ユーザが、プリペイドカード発行者から電子プリペイドカードを購入する処理、プリペイドカード使用登録は、ユーザが、購入または譲渡されたプリペイドカードを、自分が使用するプリペイドカードとして、サービス提供システム110に登録する処理、取扱プリペイドカード設定は、サービス提供者が、マーチャントとの契約に従って、マーチャント端末102、マーチャント端末103または自動販売機104における電子プリペイドカードの取扱いを設定する処理、プリペイドカード決済は、ユーザが、マーチャント端末102、マーチャント端末103または自動販売機104との間で、電子プリペイドカードによる決済を行なう処理、プリペイドカード照会は、マーチャント端末102、マーチャント端末103または自動販売機104が、取扱った電子プリペイドカードの有効性をサービス提供システムに照会する処理、プリペイドカード譲渡は、電子プリペイドカードの譲渡を行なう処理、そして、電子プリペイドカードインストールは、電子プリペイドカード・インストールカードを用いて、モバイルユーザ端末100に電子プリペイドカードをインストール処理である。
【０７７０】
図６１は、プリペイドカード購入の処理の手順を示している。
【０７７１】
まず、ユーザは、モバイルユーザ端末100をプリペイドカードモードにし、ファンクションスイッチ（“F4”）でプリペイドカードモードの操作メニューを表示させて、その中から、“プリペイドカード購入”を選択して、ＬＣＤにプリペイドカードオーダー画面を表示させる。次に、ファンクションスイッチ307とテンキースイッチ308とを用いて、プリペイドカード発行者を選択し、希望するプリペイドカードのオーダーコードと枚数を入力し、支払に使用するクレジットカードと支払回数を指定し、暗証番号を入力して、実行スイッチ311を押す（プリペイドカード購入申込操作6100）。すると、モバイルユーザ端末は、サービス提供システムに、電子プリペイドカードの購入を申込むメッセージ、プリペイドカード購入申込6101を送信し、プリペイドカード購入申込6101を受信したサービス提供システムは、プリペイドカード発行システム108に、プリペイドカードの購入を申込むメッセージ、プリペイドカード購入申込6102を送信する。
【０７７２】
プリペイドカード購入申込6102を受信したプリペイドカード発行システムでは、プリペイドカード発行サーバ1200が、顧客情報サーバ1201、プリペイドカード発行情報サーバ1202及びプリペイドカード情報サーバ1203のデータを更新して、申込まれたプリペイドカードのプリペイドカードデータを生成し、サービス提供システムへ、そのプリペイドカードに対応する電子プリペイドカードの発行処理とプリペイドカードの代金の決済処理とを依頼するメッセージ、電子プリペイドカード発行依頼6103を送信する。
【０７７３】
電子プリペイドカード発行依頼6103を受信したサービス提供システムは、決済処理システム106へプリペイドカードの代金の決済処理を要求するメッセージ、決済要求6104を送信する。
【０７７４】
決済要求6104を受信した決済処理システムでは、トランザクション処理サーバ1000が、加入者情報サーバ1001、加盟店情報サーバ1002及び取引情報サーバ1003のデータを更新して、クレジットカード決済の処理を行ない、決済処理の完了を示すメッセージ、決済完了通知6105をサービス提供システムへ送信する。
【０７７５】
決済完了通知6105を受信したサービス提供システムは、決済完了通知6105から、プリペイドカード発行システムに決済処理の完了を示すメッセージ、決済完了通知6106を生成して、プリペイドカード発行システムへ送信し、さらに、ユーザに発行する電子プリペイドカードを生成する。
【０７７６】
決済完了通知6106を受信したプリペイドカード発行システムは、プリペイドカードの販売の領収書に相当するメッセージ、領収書6107を生成して、サービス提供システムへ送信する。
【０７７７】
領収書6107を受信したサービス提供システムは、領収書6107を基に、ユーザ向けの領収書メッセージ、領収書6109を生成して、生成した電子プリペイドカードを含むメッセージ、電子プリペイドカード発行6108とともに、モバイルユーザ端末へ送信する。
【０７７８】
電子プリペイドカード発行6108と領収書6109とを受信したモバイルユーザ端末は、ＬＣＤ303に、購入した電子プリペイドカードを表示する（電子プリペイドカードの表示6110）。この時、ＬＣＤには、同時に、購入した電子プリペイドカードの使用登録を促すダイアログメッセージが表示される。ここで、“使用登録”を選択すると、モバイルユーザ端末は、プリペイドカード使用登録の処理を開始する。
【０７７９】
次に、図６５（ｂ）は、プリペイドカード使用登録の処理の手順を示している。
【０７８０】
プリペイドカード使用登録の処理は、ＬＣＤに電子プリペイドカードの使用登録を促すダイアログメッセージが表示されるところから始まる。使用登録を促すダイアログメッセージは、電子プリペイドカードを購入した直後、または、使用登録されていない電子プリペイドカードを表示した状態（プリペイドカードの状態表示として「未登録」が表示されている）で、実行スイッチ311を押すことによって表示される。
【０７８１】
使用登録を促すダイアログメッセージには、“使用登録”及び“キャンセル”の２つの操作メニューがあり、“キャンセル”を選択すると、プリペイドカード使用登録の処理はキャンセルされる。ユーザが“使用登録”を選択すると（電子プリペイドカードの使用登録操作6504）、モバイルユーザ端末は、サービス提供システムに、電子プリペイドカードの使用登録を要求するメッセージ、プリペイドカード使用登録要求6505を送信する。プリペイドカード使用登録要求6505を受信したサービス提供システムでは、サービスサーバ900が、プリペイドカード使用登録要求6505の内容と、ユーザ情報サーバ902上のユーザ情報とを照合し、サービスディレクタ情報サーバ901上の使用登録されている電子プリペイドカードの管理情報を更新して、電子プリペイドカードの使用登録を行ない、使用登録された電子プリペイドカードの証明書を含むメッセージ、プリペイドカード証明書発行6506をモバイルユーザ端末へ送信する。
【０７８２】
プリペイドカード証明書発行6506を受信したモバイルユーザ端末は、ＬＣＤに使用登録されたプリペイドカード（プリペイドカードの状態表示として「登録済」が表示されている）を表示する（使用登録されたプリペイドカードの表示6507）。
【０７８３】
次に、取扱プリペイドカード設定の処理について説明する。
【０７８４】
取扱プリペイドカード設定の処理は、サービス提供者とマーチャントとの間の契約に基づき、マーチャント端末102、マーチャント端末103または自動販売機104が取扱う電子プリペイドカードを設定、更新する処理である。
【０７８５】
取扱プリペイドカード設定の処理は、特別な処理シーケンスで行なわれるのではなく、サービス提供システムがマーチャント端末102、マーチャント端末103、及び自動販売機104の内部データをアップデートするデータアップデートの処理（図５７（ｂ））の中で行なわれる。
【０７８６】
マーチャント端末102、マーチャント端末103、及び自動販売機104は、サービス提供システムに、あらかじめ設定された時刻になると、自動的に、データアップデートの処理を開始し、まず、サービス提供システムに、データアップデート処理を要求するメッセージ、データアップデート要求5702を送信する。
【０７８７】
データアップデート要求5702を受信したサービス提供システムは、データアップデート要求5702に対する応答メッセージ、データアップデート応答5703を、マーチャント端末102、マーチャント端末103または自動販売機104へ送信する。
【０７８８】
データアップデート応答5703を受信したマーチャント端末102、マーチャント端末103または自動販売機104は、サービス提供システムにアップロードするデータを含むメッセージ、アップロードデータ5704を生成し、サービス提供システムへ送信する。
【０７８９】
アップロードデータ5704を受信したサービス提供システムは、アップロードされたデータを、マーチャント情報サーバ903上のデータと照合、検証して、更新データを生成する。この時、同時に、取扱う電子プリペイドカードが更新され、その更新情報が更新データの中に組み込まれる。
【０７９０】
サービス提供システムは、生成した更新データを含むメッセージ、アップデートデータ5705を、マーチャント端末102、マーチャント端末103または自動販売機104へそれぞれ送信し、アップデートデータ5705を受信したマーチャント端末102、マーチャント端末103または自動販売機104は、アップデートデータ5705に含まれる更新データを展開して、内部のデータを更新する。この時に、マーチャント端末102、マーチャント端末103または自動販売機104が取扱う電子プリペイドカードも更新される。
【０７９１】
次に、図６８は、モバイルユーザ端末100とマーチャント端末102またはマーチャント端末103とのプリペイドカード決済の処理の手順を示している。
【０７９２】
まず、ユーザは、マーチャントに、電子プリペイドカードで代金を支払うことを伝える（電子プリペイドカードでの決済を指示6800）。
【０７９３】
それに対して、マーチャントは、プリペイドカード決済スイッチ512（マーチャント端末103の場合はファンクションスイッチ“F2”）を押し（プリペイドカード決済のスイッチを押す6801）、ユーザに支払操作を開始するように促す（支払操作の開始を指示6803）。この時、マーチャント端末102,103のＬＣＤには、請求合計金額と、マーチャント端末がユーザの支払操作待ち状態であることを示すメッセージとが表示されている（支払操作待ち表示6802）。
【０７９４】
ユーザは、モバイルユーザ端末をプリペイドカードモードにし、ファンクションスイッチ（“F1”，“F2”）で支払に使用するプリペイドカードを表示させ、テンキースイッチで支払う金額を入力する。そして、赤外線通信ポート300をマーチャント端末の赤外線通信モジュール（マーチャント端末103の場合は、赤外線通信ポート）に向けて実行スイッチ311を押す（支払操作6804）。この時、ユーザが入力する支払金額は、請求金額以上の金額であってもよい。
【０７９５】
すると、モバイルユーザ端末は、ユーザが指定した支払金額と、電子プリペイドカードを示す情報（カードの種類、残り合計金額）とを内容とし、マーチャントに代金の支払を申出るメッセージ、支払オファー6805を、赤外線通信で、マーチャント端末に送信する。
【０７９６】
支払オファー6805を受信したマーチャント端末は、プリペイドカードの種類と、支払金額と、残り金額とを検証し、支払オファー6805に対する応答メッセージ、支払オファー応答6806を、赤外線通信でモバイルユーザ端末へ送信する。支払オファー応答6806には、請求金額を示す情報が含まれている。
【０７９７】
支払オファー応答6806を受信したモバイルユーザ端末は、請求金額が、ユーザが指定した支払金額以下であることを検証し、電子プリペイドカードの残り合計金額から、請求金額を減算し、その請求金額を額面とする小切手に相当するメッセージ、マイクロ小切手6807を生成して、赤外線通信で、マーチャント端末へ送信する。
【０７９８】
マイクロ小切手6807を受信したマーチャント端末は、マイクロ小切手6807の内容を検証し、支払われたマイクロ小切手6807に対する領収書に相当するメッセージ、領収書6808を生成して、赤外線通信でモバイルユーザ端末へ送信し、プリペイドカード決済の処理が終了したことを示すメッセージをＬＣＤに表示する（決済完了表示6809）。
【０７９９】
領収書6808を受信したモバイルユーザ端末は、領収書6808の内容をＬＣＤに表示して（領収書表示6810）、モバイルユーザ端末におけるプリペイドカード決済の処理を終了する。
【０８００】
この後、マーチャントからユーザに、商品が渡される（商品の引き渡し6811）。
【０８０１】
また、図６９は、モバイルユーザ端末100と自動販売機104とのプリペイドカード決済の処理の手順を示している。
【０８０２】
まず、ユーザは、自動販売機のタッチパネルＬＣＤ702に表示されている操作メニューの“購入”を押す（購入開始操作6900）。すると、自動販売機は、ユーザに商品の選択を促すメッセージを、タッチパネルＬＣＤに表示する（商品選択操作待ち表示6901）。
【０８０３】
次に、ユーザが、希望する商品の商品選択スイッチ704を押すと（商品選択操作6902）、自動販売機は、選択された商品の数をカウントし、合計金額を計算して、タッチパネルＬＣＤに、選択された商品の名前と数量と合計金額と、さらに、支払操作の開始を示すボタンとを表示する（支払開始操作待ち表示6903）。さらに、ユーザが、希望する商品の商品選択スイッチ704を押すと（商品選択操作6902）、同じように、自動販売機は、選択された商品の数をカウントし、合計金額を計算して、タッチパネルＬＣＤに、選択された商品の名前と数量と合計金額と、支払操作の開始を示すボタンとを表示する（支払開始操作待ち表示6903）。
【０８０４】
ユーザが、その支払操作の開始を示すボタンを押すと（支払開始操作6904）、自動販売機は、ユーザに電子プリペイドカードによる支払操作を開始するように促すメッセージをＬＣＤに表示する（支払操作待ち表示6905）。
【０８０５】
ユーザは、モバイルユーザ端末をプリペイドカードモードにし、ファンクションスイッチ（“F1”，“F2”）で支払に使用するプリペイドカードを表示させ、テンキースイッチで支払う金額を入力する（この時、ユーザが入力する支払金額は、商品の合計金額以上の金額であってもよい）。そして、赤外線通信ポート300を自動販売機の赤外線通信ポートに向けて実行スイッチ311を押す（支払操作6906）。すると、モバイルユーザ端末は、ユーザが指定した支払金額と、電子プリペイドカードを示す情報（カードの種類、残り合計金額）とを内容とし、自動販売機（マーチャント）に代金の支払を申出るメッセージ、支払オファー6907を、赤外線通信で、自動販売機に送信する。
【０８０６】
支払オファー6907を受信した自動販売機は、プリペイドカードの種類と、残り金額とを検証し、支払オファー6907に対する応答メッセージ、支払オファー応答6908を、赤外線通信でモバイルユーザ端末へ送信する。支払オファー応答6908には、請求金額（商品の合計金額）を示す情報が含まれている。
【０８０７】
支払オファー応答6908を受信したモバイルユーザ端末は、請求金額がユーザが指定した支払金額以下であることを検証し、電子プリペイドカードの残り合計金額から、請求金額を減算し、その請求金額を額面とする小切手に相当するメッセージ、マイクロ小切手6909を生成して、赤外線通信で、自動販売機へ送信する。
【０８０８】
マイクロ小切手6909を受信した自動販売機は、マイクロ小切手6909の内容を検証し、支払われたマイクロ小切手6909に対する領収書に相当するメッセージ、領収書6910を生成して、赤外線通信でモバイルユーザ端末へ送信し、商品を取出口703に出力する。
【０８０９】
領収書6910を受信したモバイルユーザ端末は、領収書6910の内容をＬＣＤに表示して（領収書表示6911）、モバイルユーザ端末におけるプリペイドカード決済の処理を終了する。
【０８１０】
次に、図７２は、プリペイドカード照会の処理の手順を示している。
【０８１１】
プリペイドカード照会の処理は、特別な処理シーケンスで行なわれるのではなく、サービス提供システムがマーチャント端末102、マーチャント端末103、及び自動販売機104の内部データをアップデートするデータアップデートの処理の中で行なわれる。
【０８１２】
マーチャント端末102、マーチャント端末103、及び自動販売機104は、サービス提供システムに、あらかじめ設定された時刻になると、自動的に、データアップデート処理を開始し、まず、サービス提供システムに、データアップデート処理を要求するメッセージ、データアップデート要求5702を送信する。
【０８１３】
データアップデート要求5702を受信したサービス提供システムは、データアップデート要求5702に対する応答メッセージ、データアップデート応答5703を、マーチャント端末102、マーチャント端末103または自動販売機104へ送信する。
【０８１４】
データアップデート応答5703には、アップロードするデータの範囲を示す情報（アップデートオプションコード8809：図８８（ｂ））が含まれており、データアップデート応答5703を受信したマーチャント端末102、マーチャント端末103または自動販売機104は、データアップデート応答5703に基づいて、サービス提供システムにアップロードするデータを含むメッセージ、アップロードデータ5704を生成し、サービス提供システムへ送信する。この時、アップロードデータ5704には、新たにプリペイドカード決済の処理で扱ったマイクロ小切手の情報が含まれている。
【０８１５】
アップロードデータ5704を受信したサービス提供システムでは、サービスサーバ900が、アップロードされたデータを、マーチャント情報サーバ903上のデータと照合、検証して、更新データを生成する。この時、同時に、マイクロ小切手の情報と、サービスディレクタ情報サーバ901上の使用登録されている電子プリペイドカードの管理情報とを照合して、マイクロ小切手の有効性を検証する。そして、サービスサーバ900は、マーチャント端末102、マーチャント端末103または自動販売機104の更新データを含むメッセージ、アップデートデータ5705を、マーチャント端末102、マーチャント端末103または自動販売機104へそれぞれ送信する。
【０８１６】
マーチャント端末102及びマーチャント端末103の更新データには、マイクロ小切手の有効性を検証した結果を示す情報として、プリペイドカード照会結果が含まれている。
【０８１７】
アップデートデータ5705を受信したマーチャント端末102、マーチャント端末103または自動販売機104は、アップデートデータ5705に含まれる更新データを展開して、内部のデータを更新する。この時、マーチャント端末102及びマーチャント端末103の場合、プリペイドカード照会結果も、内部データとして格納される。自動販売機の場合は、プリペイドカード照会結果が、電子メールまたは郵便によって、マーチャントに送られる。
【０８１８】
また、マーチャント端末102及びマーチャント端末103の場合も、マーチャントとサービス提供者との間の契約によって、プリペイドカード照会結果をマーチャント端末の更新データの中に含めずに、電子メールまたは郵便によって、マーチャントに送るようにしてもよい。
【０８１９】
また、マーチャントとプリペイドカード発行者の事業主体とが異なり、マイクロ小切手を取扱ったマーチャントに対して、プリペイドカード発行者から支払が発生する場合、または、定期的にプリペイドカードの使用状況を、プリペイドカード発行者に通知する契約になっている場合には、例えば、１週間毎に、サービス提供システムは、プリペイドカード照会の処理の結果に基づいて、プリペイドカード発行者に、プリペイドカードの使用状況を通知するメッセージ、使用状況通知7200を生成して、プリペイドカード発行システム108へ送信する。
【０８２０】
次に、図７５は、プリペイドカード譲渡の処理の手順を示している。
【０８２１】
図７５は、ユーザＡからユーザＢに電子プリペイドカードを譲渡する場合について示しており、ユーザＡとユーザＢとの間の通信を、赤外線通信で行なう場合も、デジタル無線通信で行なう場合も、基本的な処理の流れは同じである。
【０８２２】
まず、ユーザＡとユーザＢとの間の通信を、赤外線通信で行なう場合について説明する。
【０８２３】
プリペイドカード譲渡の処理は、ユーザＡとユーザＢとの間で、口頭で、電子プリペイドカードの譲渡が合意されたところから始まる。
【０８２４】
まず、ユーザＡは、モバイルユーザ端末をプリペイドカードモードにし、ファンクションスイッチ（“F1”，“F2”）で譲渡するプリペイドカードをＬＣＤに表示させる。次に、ファンクションスイッチ（“F3”）を押して、電子プリペイドカードの操作メニューを表示させ、その中から、“プリペイドカード譲渡”を選択し、さらに、赤外線通信ポートを、ユーザＢのモバイルユーザ端末の赤外線通信ポートに向けて実行スイッチを押す（プリペイドカード譲渡操作7500）。すると、ユーザＡのモバイルユーザ端末は、電子プリペイドカードの譲渡を申出るメッセージ、プリペイドカード譲渡オファー7501を、赤外線通信で、ユーザＢのモバイルユーザ端末へ送信する。
【０８２５】
プリペイドカード譲渡オファー7501を受信したユーザＢのモバイルユーザ端末は、プリペイドカード譲渡オファー7501の内容を検証し、譲渡される電子プリペイドカードの内容をＬＣＤに表示する（譲渡オファー表示7502）。
【０８２６】
ユーザＢは、ＬＣＤに表示された内容を確認して、赤外線通信ポートを、ユーザＡのモバイルユーザ端末の赤外線通信ポートに向けて実行スイッチを押す（譲渡オファー受諾操作7503）。すると、ユーザＢのモバイルユーザ端末は、プリペイドカード譲渡オファー7501に対する応答メッセージ、プリペイドカード譲渡オファー応答7504を、赤外線通信で、ユーザＡのモバイルユーザ端末へ送信する。
【０８２７】
プリペイドカード譲渡オファー応答7504を受信したユーザＡのモバイルユーザ端末は、プリペイドカード譲渡オファー応答7504の内容をＬＣＤに表示し（譲渡オファー応答表示7505）、さらに、電子プリペイドカードのユーザＢへの譲渡証に相当するメッセージ、プリペイドカード譲渡証明書7506を、赤外線通信で、ユーザＢのモバイルユーザ端末へ送信する。
【０８２８】
プリペイドカード譲渡証明書7506を受信したユーザＢのモバイルユーザ端末は、プリペイドカード譲渡証明書7506の内容を検証し、電子プリペイドカードを譲渡されたことを示すメッセージ、プリペイドカード受取証7507を、赤外線通信で、ユーザＡのモバイルユーザ端末へ送信する。
【０８２９】
プリペイドカード受取証7507を受信したユーザＡのモバイルユーザ端末は、譲渡処理の完了を示すメッセージを、ＬＣＤに表示して（譲渡完了表示7508）、ユーザＡ（贈り手）のモバイルユーザ端末における処理を終了する。
【０８３０】
一方、プリペイドカード受取証7507を送信したユーザＢのモバイルユーザ端末は、受信したプリペイドカード譲渡証明書7506をＬＣＤに表示し、さらに、サービス提供サーバとの間の譲渡処理（譲渡された電子プリペイドカードを、サービス提供システムからダウンロードする処理）を、今すぐ実行するか否かを尋ねるダイアログメッセージを表示する（譲渡証明書の表示7509）。
【０８３１】
このダイアログメッセージには、“譲渡処理要求”と“キャンセル”の２つの操作メニューがあり、“キャンセル”を選択すると、この時点でのサービス提供サーバとの間の譲渡処理はキャンセルされ、サービス提供システムがユーザＢのモバイルユーザ端末の内部データをアップデートする処理（データアップデート処理）の際に、アップデートデータの一部として、譲渡された電子プリペイドカードが、ユーザＢのモバイルユーザ端末に設定される。
【０８３２】
また、ユーザＢが、“譲渡処理要求”を選択すると（譲渡処理要求操作7510）
、モバイルユーザ端末は、プリペイドカード譲渡証明書7506を基に、サービス提供サーバとの間の譲渡処理を要求するメッセージ、プリペイドカード譲渡処理要求7511を生成し、デジタル無線電話通信で、サービス提供システム110に送信する。
【０８３３】
プリペイドカード譲渡処理要求7511を受信したサービス提供システムは、プリペイドカード譲渡処理要求7511の内容を検証し、ユーザＡから譲渡された電子プリペイドカードを含むメッセージ、プリペイドカード譲渡7512を、デジタル無線電話通信で、ユーザＢのモバイルユーザ端末へ送信する。
【０８３４】
プリペイドカード譲渡7512を受信したユーザＢのモバイルユーザ端末は、電子プリペイドカードをＬＣＤに表示して（電子プリペイドカードの表示7513）、プリペイドカード譲渡の処理を終了する。
【０８３５】
次に、ユーザＡとユーザＢとの間の通信を、デジタル無線電話通信で行なう場合について説明する。
【０８３６】
この場合も、プリペイドカード譲渡の処理は、ユーザＡとユーザＢとの間で、口頭で、電子プリペイドカードの譲渡が合意されたところから始まる。但し、この場合は、ユーザＡとユーザＢは、デジタル無線電話による通話状態にある。
【０８３７】
まず、ユーザＡは、モバイルユーザ端末をプリペイドカードモードにし、ファンクションスイッチ（“F1”，“F2”）で譲渡するプリペイドカードをＬＣＤに表示させる。次に、ファンクションスイッチ（“F3”）を押して、電子プリペイドカードの操作メニューを表示させ、その中から、“プリペイドカード譲渡”を選択して、実行スイッチを押す（プリペイドカード譲渡操作7500）。すると、ユーザＡのモバイルユーザ端末は、電子プリペイドカードの譲渡を申出るメッセージ、プリペイドカード譲渡オファー7501を、デジタル無線電話通信で、ユーザＢのモバイルユーザ端末へ送信する。
【０８３８】
プリペイドカード譲渡オファー7501を受信したユーザＢのモバイルユーザ端末は、プリペイドカード譲渡オファー7501の内容を検証し、譲渡される電子プリペイドカードの内容をＬＣＤに表示する（譲渡オファー表示7502）。
【０８３９】
ユーザＢは、ＬＣＤに表示された内容を確認して、実行スイッチを押す（譲渡オファー受諾操作7503）。すると、ユーザＢのモバイルユーザ端末は、プリペイドカード譲渡オファー7501に対する応答メッセージ、プリペイドカード譲渡オファー応答7504を、デジタル無線電話通信で、ユーザＡのモバイルユーザ端末へ送信する。
【０８４０】
プリペイドカード譲渡オファー応答7504を受信したユーザＡのモバイルユーザ端末は、プリペイドカード譲渡オファー応答7504の内容をＬＣＤに表示し（譲渡オファー応答表示7505）、さらに、電子プリペイドカードのユーザＢへの譲渡証に相当するメッセージ、プリペイドカード譲渡証明書7506を、デジタル無線電話通信で、ユーザＢのモバイルユーザ端末へ送信する。
【０８４１】
プリペイドカード譲渡証明書7506を受信したユーザＢのモバイルユーザ端末は、プリペイドカード譲渡証明書7506の内容を検証し、電子プリペイドカードを譲渡されたことを示すメッセージ、プリペイドカード受取証7507を、デジタル無線電話通信で、ユーザＡのモバイルユーザ端末へ送信する。
【０８４２】
プリペイドカード受取証7507を受信したユーザＡのモバイルユーザ端末は、譲渡処理の完了を示すメッセージを、ＬＣＤに表示して（譲渡完了表示7508）、ユーザＡ（贈り手）のモバイルユーザ端末における処理を終了する。
【０８４３】
一方、プリペイドカード受取証7507を送信したユーザＢのモバイルユーザ端末は、受信したプリペイドカード譲渡証明書7506をＬＣＤに表示し、さらに、サービス提供サーバとの間の譲渡処理（譲渡された電子プリペイドカードを、サービス提供システムからダウンロードする処理）を、今すぐ実行するか否かを尋ねるダイアログメッセージを表示する（譲渡証明書の表示7509）。
【０８４４】
このダイアログメッセージには、“譲渡処理要求”及び“キャンセル”の２つの操作メニューがあり、“キャンセル”を選択すると、その時点でのサービス提供サーバとの間の譲渡処理はキャンセルされ、サービス提供システムがユーザＢのモバイルユーザ端末の内部データをアップデートする処理（データアップデート処理）の際に、アップデートデータの一部として、譲渡された電子プリペイドカードが、ユーザＢのモバイルユーザ端末に設定される。
【０８４５】
また、ユーザＢが、“譲渡処理要求”を選択すると（譲渡処理要求操作7510）
、モバイルユーザ端末は、ユーザＡとの通話回線を切断し、新たに、サービス提供システムとのデジタル無線電話通信の回線を接続して、プリペイドカード譲渡証明書7506を基に、サービス提供サーバとの間の譲渡処理を要求するメッセージ、プリペイドカード譲渡処理要求7511を生成し、デジタル無線電話通信で、サービス提供システムに送信する。
【０８４６】
プリペイドカード譲渡処理要求7511を受信したサービス提供システムは、プリペイドカード譲渡処理要求7511の内容を検証し、ユーザＡから譲渡された電子プリペイドカードを含むメッセージ、プリペイドカード譲渡7512を、デジタル無線電話通信で、ユーザＢのモバイルユーザ端末へ送信する。
【０８４７】
プリペイドカード譲渡7512を受信したユーザＢのモバイルユーザ端末は、電子プリペイドカードをＬＣＤに表示して（電子プリペイドカードの表示7513）、プリペイドカード譲渡の処理を終了する。
【０８４８】
次に、図７８は、電子プリペイドカードインストールの処理の手順を示している。
【０８４９】
まず、ユーザは、モバイルユーザ端末100をプリペイドカードモードにし、ファンクションスイッチ（“F4”）でプリペイドカードモードの操作メニューを表示させ、その中から、“インストール”を選択して、ＬＣＤにインストール画面を表示させる。次に、テンキースイッチで、電子プリペイドカードインストールカードに印字されているインストールカード番号とインストール番号を、それぞれ入力し、実行スイッチ311を押す（インストール操作7800）。すると、モバイルユーザ端末は、サービス提供システム110へ、電子プリペイドカードのインストールを要求するメッセージ、電子プリペイドカードインストール要求7801を送信する。
【０８５０】
電子プリペイドカードインストール要求7801を受信したサービス提供システム110は、電子プリペイドカードインストール要求7801に含まれるインストールカード番号から、インストールカードの発行者を特定し、その特定したプリペイドカード発行者のプリペイドカード発行システムに、プリペイドカードの発行を要求するメッセージ、プリペイドカードインストール要求7802を送信する。
【０８５１】
プリペイドカードインストール要求7802を受信したプリペイドカード発行システムでは、プリペイドカード発行サーバ1200が、プリペイドカードインストール要求7802に含まれるインストールカード番号及びインストール番号を、プリペイドカード発行情報サーバ1202の発行済み電子プリペイドカードインストールカードの管理情報と照合し、さらに、顧客情報サーバ1201、プリペイドカード発行情報サーバ1202及びプリペイドカード情報サーバ1203のデータを更新して、要求されたプリペイドカードのプリペイドカードデータを生成し、サービス提供システムへ、そのプリペイドカードに対応する電子プリペイドカードのインストール処理を依頼するメッセージ、電子プリペイドカードインストール依頼7803を送信する。
【０８５２】
電子プリペイドカードインストール依頼7803を受信したサービス提供システムは、電子プリペイドカードを生成し、それをモバイルユーザ端末にインストールするメッセージ、電子プリペイドカードインストール7804を、モバイルユーザ端末へ送信する。
【０８５３】
電子プリペイドカードインストール7804を受信したモバイルユーザ端末は、電子プリペイドカードインストール7804に含まれる電子プリペイドカードをインストールし、ＬＣＤにインストールした電子プリペイドカードを表示する（電子プリペイドカードの表示7805）。
【０８５４】
以上の電子プリペイドカードサービスの処理において、機器間で交換されるメッセージの内容については、後で詳しく説明する。
【０８５５】
次に、電子テレホンカードサービスについて説明する。
【０８５６】
電子テレホンカードサービスの中には、大きく分けて、テレホンカード購入、テレホンカード使用登録、取扱テレホンカード設定、テレホンカード決済、テレホンカード照会、テレホンカード譲渡、及び電子テレホンカードインストールの７種類の処理がある。
【０８５７】
テレホンカード購入は、ユーザが、テレホンカード発行者から電子テレホンカードを購入する処理、テレホンカード使用登録は、ユーザが、購入または譲渡されたテレホンカードを、自分が使用するテレホンカードとして、サービス提供システム110に登録する処理、取扱テレホンカード設定は、サービス提供者が、通信事業者との契約に従って、電子テレホンカードの取扱いを交換局105の電子テレホンカード課金装置800に設定する処理、テレホンカード決済は、ユーザが電子テレホンカードを用いて通話を行なう処理、テレホンカード照会は、電子テレホンカード課金装置800が取扱った電子テレホンカードの有効性を、サービス提供システムに照会する処理、テレホンカード譲渡は、電子テレホンカードの譲渡を行なう処理、そして、電子テレホンカードインストールは、電子テレホンカード・インストールカードを用いて、モバイルユーザ端末100に電子テレホンカードをインストールする処理である。
【０８５８】
図６３は、テレホンカード購入の処理の手順を示している。
【０８５９】
まず、ユーザは、モバイルユーザ端末100をテレホンカードモードにし、ファンクションスイッチ（“F4”）でテレホンカードモードの操作メニューを表示させて、その中から、“テレホンカード購入”を選択して、ＬＣＤにテレホンカードオーダー画面を表示させる。次に、ファンクションスイッチ307とテンキースイッチ308とを用いて、テレホンカード発行者を選択し、希望するテレホンカードのオーダーコードと枚数とを入力し、支払に使用するクレジットカードと支払回数とを指定し、暗証番号を入力して、実行スイッチ311を押す（テレホンカード購入申込操作6300）。すると、モバイルユーザ端末は、サービス提供システムに、電子テレホンカードの購入を申込むメッセージ、テレホンカード購入申込6301を送信し、テレホンカード購入申込6301を受信したサービス提供システムは、テレホンカード発行システム109に、テレホンカードの購入を申込むメッセージ、テレホンカード購入申込6302を送信する。
【０８６０】
テレホンカード購入申込6302を受信したテレホンカード発行システムでは、テレホンカード発行サーバ1300が、顧客情報サーバ1301、テレホンカード発行情報サーバ1302及びテレホンカード情報サーバ1303のデータを更新して、申込まれたテレホンカードのテレホンカードデータを生成し、サービス提供システムへ、そのテレホンカードに対応する電子テレホンカードの発行処理とテレホンカードの代金の決済処理とを依頼するメッセージ、電子テレホンカード発行依頼6303を送信する。
【０８６１】
電子テレホンカード発行依頼6303を受信したサービス提供システムは、決済処理システム106へ、テレホンカードの代金の決済処理を要求するメッセージ、決済要求6304を送信する。
【０８６２】
決済要求6304を受信した決済処理システムでは、トランザクション処理サーバ1000が、加入者情報サーバ1001、加盟店情報サーバ1002及び取引情報サーバ1003のデータを更新して、クレジットカード決済の処理を行ない、決済処理の完了を示すメッセージ、決済完了通知6305を、サービス提供システムへ送信する。
【０８６３】
決済完了通知6305を受信したサービス提供システムは、決済完了通知6305から、テレホンカード発行システムに決済処理の完了を示すメッセージ、決済完了通知6306を生成して、テレホンカード発行システムへ送信し、さらに、ユーザに発行する電子テレホンカードを生成する。
【０８６４】
決済完了通知6306を受信したテレホンカード発行システムは、テレホンカードの販売の領収書に相当するメッセージ、領収書6307を生成して、サービス提供システムへ送信する。
【０８６５】
領収書6307を受信したサービス提供システムは、領収書6307を基に、ユーザ向けの領収書メッセージ、領収書6309を生成して、生成した電子テレホンカードを含むメッセージ、電子テレホンカード発行6308とともに、モバイルユーザ端末へ送信する。
【０８６６】
電子テレホンカード発行6308と領収書6309とを受信したモバイルユーザ端末は、ＬＣＤ303に、購入した電子テレホンカードを表示する（電子テレホンカードの表示6310）。この時、ＬＣＤには、同時に、購入した電子テレホンカードの使用登録を促すダイアログメッセージが表示される。ここで、“使用登録”を選択すると、モバイルユーザ端末は、テレホンカード使用登録の処理を開始する。
【０８６７】
次に、図６５（ｃ）は、テレホンカード使用登録の処理の手順を示している。
【０８６８】
テレホンカード使用登録の処理は、ＬＣＤに電子テレホンカードの使用登録を促すダイアログメッセージが表示されているところから始まる。使用登録を促すダイアログメッセージは、電子テレホンカードを購入した直後、または、使用登録されていない電子テレホンカードを表示した状態（テレホンカードの状態表示として「未登録」が表示されている）で、実行スイッチ311を押すことによって表示される。
【０８６９】
使用登録を促すダイアログメッセージには、“使用登録”及び“キャンセル”の２つの操作メニューがあり、“キャンセル”を選択すると、テレホンカード使用登録の処理はキャンセルされる。ユーザが“使用登録”を選択すると（電子テレホンカードの使用登録操作6508）、モバイルユーザ端末は、サービス提供システムに、電子テレホンカードの使用登録を要求するメッセージ、テレホンカード使用登録要求6509を送信する。テレホンカード使用登録要求6509を受信したサービス提供システムでは、サービスサーバ900が、テレホンカード使用登録要求6509の内容と、ユーザ情報サーバ902上のユーザ情報とを照合し、サービスディレクタ情報サーバ901上の使用登録されている電子テレホンカードの管理情報を更新して、電子テレホンカードの使用登録を行ない、使用登録された電子テレホンカードの証明書を含むメッセージ、テレホンカード証明書発行6510をモバイルユーザ端末へ送信する。
【０８７０】
テレホンカード証明書発行6510を受信したモバイルユーザ端末は、ＬＣＤに使用登録されたテレホンカード（テレホンカードの状態表示として「登録済」が表示されている）を表示する（使用登録された電子テレホンカードの表示6511）。
【０８７１】
次に、取扱テレホンカード設定の処理について説明する。
【０８７２】
取扱テレホンカード設定の処理は、サービス提供者と通信事業者との間の契約に基づき、交換局105の電子テレホンカード課金装置800が取扱う電子テレホンカードを設定、更新する処理である。
【０８７３】
取扱テレホンカード設定の処理は、特別な処理シーケンスで行なわれるのではなく、サービス提供システムが電子テレホンカード課金装置800の内部データをアップデートするデータアップデートの処理（図５７（ｂ））の中で行なわれる。
【０８７４】
電子テレホンカード課金装置800は、サービス提供システムに、あらかじめ設定された時刻になると、自動的に、データアップデートの処理を開始し、まず、サービス提供システムにデータアップデート処理を要求するメッセージ、データアップデート要求5702を送信する。
【０８７５】
データアップデート要求5702を受信したサービス提供システムは、データアップデート要求5702に対する応答メッセージ、データアップデート応答5703を、電子テレホンカード課金装置800へ送信する。
【０８７６】
データアップデート応答5703を受信した電子テレホンカード課金装置800は、サービス提供システムにアップロードするデータを含むメッセージ、アップロードデータ5704を生成し、サービス提供システムへ送信する。
【０８７７】
アップロードデータ5704を受信したサービス提供システムは、アップロードされたデータを、マーチャント情報サーバ903上のデータと照合、検証して、更新データを生成する。この時、同時に、取扱う電子テレホンカードが更新され、その更新情報が更新データの中に組み込まれる。
【０８７８】
サービス提供システムは、生成した更新データを含むメッセージ、アップデートデータ5705を、電子テレホンカード課金装置800へ送信し、アップデートデータ5705を受信した電子テレホンカード課金装置800は、アップデートデータ5705に含まれる更新データを展開して、内部のデータを更新する。
【０８７９】
この時に、電子テレホンカード課金装置800が取扱う電子テレホンカードも更新される。
【０８８０】
次に、図７０は、テレホンカード決済の処理の手順を示している。
【０８８１】
まず、ユーザは、モバイルユーザ端末をテレホンカードモードにし、ファンクションスイッチ（“F1”，“F2”）で通話料金の支払に使用するテレホンカードを表示させ、テンキースイッチ308で電話番号を入力して、通話スイッチ305を押す（電子テレホンカードを表示させて、発呼操作7000）。すると、モバイルユーザ端末は、ユーザが指定した電話番号への電子テレホンカードによる通話を要求するメッセージ、マイクロチェックコール要求7001を、交換局105へ送信する。
【０８８２】
マイクロチェックコール要求7001を受信した交換局では、電子テレホンカード課金装置800が、マイクロチェックコール要求7001の内容を検証し、一定の通話時間Ｔ（Ｔ＞０）に対する通話料金Ｖ（Ｖ＞０）を請求するメッセージ、マイクロチェックコール応答7002を、モバイルユーザ端末へ送信する。
【０８８３】
マイクロチェックコール応答7002を受信したモバイルユーザ端末は、電子テレホンカードの残り合計金額から、通話料金Ｖを減算し、その通話料金Ｖを額面とする小切手に相当するメッセージ、電話マイクロ小切手7003を生成して、交換局へ送信し、さらに、相手を呼び出し中であることを示すメッセージを、ＬＣＤに表示する（呼び出し中表示7004）。
【０８８４】
電話マイクロ小切手7003を受信した交換局では、まず、電子テレホンカード課金装置が、電話マイクロ小切手7003の内容を検証し、さらに、交換機801が、ユーザが指定した電話番号が示す電話端末115を呼び出すメッセージ、着呼要求7005を、電話端末115へ送信する。
【０８８５】
着呼要求7005を受信した電話端末115は、着信音を出力して、電話端末115の所有者（通話相手）に着信を知らせる（着信表示7006）。通話相手が受話器を取ると（通話操作7007）、電話端末115は、呼び出しを許可するメッセージ、着呼応答7008を、交換機801へ送信する。
【０８８６】
交換機801が着呼応答7008を受信すると、まず、電子テレホンカード課金装置が、支払われた電話マイクロ小切手7003に対する領収書に相当するメッセージ、領収書7009を生成して、モバイルユーザ端末へ送信し、次に、交換機801が、モバイルユーザ端末と電話端末との回線を接続して、ユーザと通話相手は通話状態となる。この時、モバイルユーザ端末のＬＣＤの表示は、通話状態（通話中の電話番号、通話経過時間、電子テレホンカードの残り合計金額）を示す表示に切り替わる（通話中表示7010）。
【０８８７】
次に、通話時間がＴを超える場合、電子テレホンカード課金装置は、額面Ｖの電話マイクロ小切手7003の代わりに、通話時間２Ｔに対する通話料金２Ｖを額面とする電話マイクロ小切手を請求するメッセージ、通話料金請求7011を、モバイルユーザ端末へ送信する。
【０８８８】
通話料金請求7011を受信したモバイルユーザ端末は、電子テレホンカードの残り合計金額から、さらに、通話料金Ｖを減算し、通話料金２Ｖを額面とする電話マイクロ小切手7012を生成して、交換局へ送信する。
【０８８９】
電話マイクロ小切手7012を受信した電子テレホンカード課金装置は、電話マイクロ小切手7012の内容を検証し、支払われた電話マイクロ小切手7012に対する領収書に相当するメッセージ、領収書7013を生成して、モバイルユーザ端末へ送信する。
【０８９０】
領収書7013を受信したモバイルユーザ端末は、ＬＣＤの電子テレホンカードの残り合計金額の表示を更新する（課金表示7014）。
【０８９１】
この後、通話時間がＮＴ（Ｎは自然数）を超える度に、電子テレホンカード課金装置は、額面ＮＶの電話マイクロ小切手の代わりに、通話時間（Ｎ＋１）Ｔに対する通話料金（Ｎ＋１）Ｖを額面とする電話マイクロ小切手を請求するメッセージ、通話料金請求7015を、モバイルユーザ端末100へ送信し、それに対して、モバイルユーザ端末は、電子テレホンカードの残り合計金額から、さらに、通話料金Ｖを減算し、通話料金（Ｎ＋１）Ｖを額面とする電話マイクロ小切手7016を生成して、交換局へ送信し、電話マイクロ小切手7016を受信した電子テレホンカード課金装置は、電話マイクロ小切手7016の内容を検証し、支払われた電話マイクロ小切手7016に対する領収書に相当するメッセージ、領収書7017を生成して、モバイルユーザ端末へ送信し、その領収書7017を受信したモバイルユーザ端末は、ＬＣＤの電子テレホンカードの残り合計金額の表示を更新する（課金表示7018）。
【０８９２】
また、交換局105と電話端末115との間で交わされる着呼要求7005及び着呼応答7008などのメッセージは、交換局105と電話端末115との回線接続のプロトコルに依存するものである。
【０８９３】
次に、図７３は、テレホンカード照会の処理の手順を示している。
【０８９４】
テレホンカード照会の処理は、特別な処理シーケンスで行なわれるのではなく、サービス提供システムが電子テレホンカード課金装置の内部データをアップデートするデータアップデートの処理の中で行なわれる。
【０８９５】
電子テレホンカード課金装置は、サービス提供システムに、あらかじめ設定された時刻になると、自動的に、データアップデート処理を開始し、まず、サービス提供システムに、データアップデート処理を要求するメッセージ、データアップデート要求5702を送信する。
【０８９６】
データアップデート要求5702を受信したサービス提供システムは、データアップデート要求5702に対する応答メッセージ、データアップデート応答5703を、電子テレホンカード課金装置へ送信する。
【０８９７】
データアップデート応答5703には、アップロードするデータの範囲を示す情報（アップデートオプションコード8809：図８８（ｂ））が含まれており、データアップデート応答5703を受信した電子テレホンカード課金装置は、データアップデート応答5703に基づいて、サービス提供システムにアップロードするデータを含むメッセージ、アップロードデータ5704を生成し、サービス提供システムへ送信する。この時、アップロードデータ5704には、新たにテレホンカード決済の処理で扱った電話マイクロ小切手の情報が含まれている。
【０８９８】
アップロードデータ5704を受信したサービス提供システムでは、サービスサーバ900が、アップロードされたデータを、マーチャント情報サーバ903上のデータと照合、検証して、電子テレホンカード課金装置の更新データを生成し、その更新データを含むメッセージ、アップデートデータ5705を、電子テレホンカード課金装置へ送信する。
【０８９９】
アップデートデータ5705を受信した電子テレホンカード課金装置は、アップデートデータ5705に含まれる更新データを展開して、電子テレホンカード課金装置の内部のデータを更新する。
【０９００】
また、サービス提供システムは、アップロードされた電話マイクロ小切手の情報と、サービスディレクタ情報サーバ901上の使用登録されている電子テレホンカードの管理情報とを照合して、電話マイクロ小切手の有効性を検証する。その結果は、テレホンカード照会結果として、電子メールまたは郵便によって、通信事業者に送られる。
【０９０１】
また、通信事業者とテレホンカード発行者の事業主体とが異なり、電話マイクロ小切手を取扱った通信事業者に対して、テレホンカード発行者から支払が発生する場合、または、定期的にテレホンカードの使用状況を、テレホンカード発行者に通知する契約になっている場合には、例えば、１週間毎に、サービス提供システムは、テレホンカード照会の処理の結果に基づいて、テレホンカード発行者に、テレホンカードの使用状況を通知するメッセージ、使用状況通知7300を生成して、テレホンカード発行システム109へ送信する。
【０９０２】
次に、図７６は、テレホンカード譲渡の処理の手順を示している。
【０９０３】
図７６は、ユーザＡからユーザＢに電子テレホンカードを譲渡する場合について示しており、ユーザＡとユーザＢとの間の通信を、赤外線通信で行なう場合も、デジタル無線通信で行なう場合も、基本的な処理の流れは同じである。
【０９０４】
まず、ユーザＡとユーザＢとの間の通信を、赤外線通信で行なう場合について説明する。
【０９０５】
テレホンカード譲渡の処理は、ユーザＡとユーザＢとの間で、口頭で、電子テレホンカードの譲渡が合意されたところから始まる。
【０９０６】
まず、ユーザＡは、モバイルユーザ端末をテレホンカードモードにし、ファンクションスイッチ（“F1”，“F2”）で譲渡するテレホンカードをＬＣＤに表示させる。次に、ファンクションスイッチ（“F3”）を押して、電子テレホンカードの操作メニューを表示させ、その中から、“テレホンカード譲渡”を選択し、さらに、赤外線通信ポートを、ユーザＢのモバイルユーザ端末の赤外線通信ポートに向けて実行スイッチを押す（テレホンカード譲渡操作7600）。すると、ユーザＡのモバイルユーザ端末は、電子テレホンカードの譲渡を申出るメッセージ、テレホンカード譲渡オファー7601を、赤外線通信で、ユーザＢのモバイルユーザ端末へ送信する。
【０９０７】
テレホンカード譲渡オファー7601を受信したユーザＢのモバイルユーザ端末は、テレホンカード譲渡オファー7601の内容を検証し、譲渡される電子テレホンカードの内容をＬＣＤに表示する（譲渡オファー表示7602）。
【０９０８】
ユーザＢは、ＬＣＤに表示された内容を確認して、赤外線通信ポートを、ユーザＡのモバイルユーザ端末の赤外線通信ポートに向けて実行スイッチを押す（譲渡オファー受諾操作7603）。すると、ユーザＢのモバイルユーザ端末は、テレホンカード譲渡オファー7601に対する応答メッセージ、テレホンカード譲渡オファー応答7604を、赤外線通信で、ユーザＡのモバイルユーザ端末へ送信する。
【０９０９】
テレホンカード譲渡オファー応答7604を受信したユーザＡのモバイルユーザ端末は、テレホンカード譲渡オファー応答7604の内容をＬＣＤに表示し（譲渡オファー応答表示7605）、さらに、電子テレホンカードのユーザＢへの譲渡証に相当するメッセージ、テレホンカード譲渡証明書7606を、赤外線通信で、ユーザＢのモバイルユーザ端末へ送信する。
【０９１０】
テレホンカード譲渡証明書7606を受信したユーザＢのモバイルユーザ端末は、テレホンカード譲渡証明書7606の内容を検証し、電子テレホンカードを譲渡されたことを示すメッセージ、テレホンカード受取証7607を、赤外線通信で、ユーザＡのモバイルユーザ端末へ送信する。
【０９１１】
テレホンカード受取証7607を受信したユーザＡのモバイルユーザ端末は、譲渡処理の完了を示すメッセージを、ＬＣＤに表示して（譲渡完了表示7608）、ユーザＡ（贈り手）のモバイルユーザ端末における処理を終了する。
【０９１２】
一方、テレホンカード受取証7607を送信したユーザＢのモバイルユーザ端末は、受信したテレホンカード譲渡証明書7606をＬＣＤに表示し、さらに、サービス提供サーバとの間の譲渡処理（譲渡された電子テレホンカードを、サービス提供システムからダウンロードする処理）を、今すぐ実行するか否かを尋ねるダイアログメッセージを表示する（譲渡証明書の表示7609）。
【０９１３】
このダイアログメッセージには、“譲渡処理要求”及び“キャンセル”の２つの操作メニューがあり、“キャンセル”を選択すると、この時点でのサービス提供サーバとの間の譲渡処理はキャンセルされ、サービス提供システムがユーザＢのモバイルユーザ端末の内部データをアップデートする処理（データアップデート処理）の際に、アップデートデータの一部として、譲渡された電子テレホンカードが、ユーザＢのモバイルユーザ端末に設定される。
【０９１４】
また、ユーザＢが、“譲渡処理要求”を選択すると（譲渡処理要求操作7610）、モバイルユーザ端末は、テレホンカード譲渡証明書7606を基に、サービス提供サーバとの間の譲渡処理を要求するメッセージ、テレホンカード譲渡処理要求7611を生成し、デジタル無線電話通信で、サービス提供システムに送信する。
【０９１５】
テレホンカード譲渡処理要求7611を受信したサービス提供システムは、テレホンカード譲渡処理要求7611の内容を検証し、ユーザＡから譲渡された電子テレホンカードを含むメッセージ、テレホンカード譲渡7612を、デジタル無線電話通信で、ユーザＢのモバイルユーザ端末へ送信する。
【０９１６】
テレホンカード譲渡7612を受信したユーザＢのモバイルユーザ端末は、電子テレホンカードをＬＣＤに表示して（電子テレホンカードの表示7613）、テレホンカード譲渡の処理を終了する。
【０９１７】
次に、ユーザＡとユーザＢとの間の通信を、デジタル無線電話通信で行なう場合について説明する。
【０９１８】
この場合も、テレホンカード譲渡の処理は、ユーザＡとユーザＢとの間で、口頭で、電子テレホンカードの譲渡が合意されたところから始まる。但し、この場合は、ユーザＡとユーザＢは、デジタル無線電話による通話状態にある。
【０９１９】
まず、ユーザＡは、モバイルユーザ端末をテレホンカードモードにし、ファンクションスイッチ（“F1”，“F2”）で譲渡するテレホンカードをＬＣＤに表示させる。次に、ファンクションスイッチ（“F3”）を押して、電子テレホンカードの操作メニューを表示させ、その中から、“テレホンカード譲渡”を選択して、実行スイッチを押す（テレホンカード譲渡操作7600）。すると、ユーザＡのモバイルユーザ端末は、電子テレホンカードの譲渡を申出るメッセージ、テレホンカード譲渡オファー7601を、デジタル無線電話通信で、ユーザＢのモバイルユーザ端末へ送信する。
【０９２０】
テレホンカード譲渡オファー7601を受信したユーザＢのモバイルユーザ端末は、テレホンカード譲渡オファー7601の内容を検証し、譲渡される電子テレホンカードの内容をＬＣＤに表示する（譲渡オファー表示7602）。
【０９２１】
ユーザＢは、ＬＣＤに表示された内容を確認して、実行スイッチを押す（譲渡オファー受諾操作7603）。すると、ユーザＢのモバイルユーザ端末は、テレホンカード譲渡オファー7601に対する応答メッセージ、テレホンカード譲渡オファー応答7604を、デジタル無線電話通信で、ユーザＡのモバイルユーザ端末へ送信する。
【０９２２】
テレホンカード譲渡オファー応答7604を受信したユーザＡのモバイルユーザ端末は、テレホンカード譲渡オファー応答7604の内容をＬＣＤに表示し（譲渡オファー応答表示7605）、さらに、電子テレホンカードのユーザＢへの譲渡証に相当するメッセージ、テレホンカード譲渡証明書7606を、デジタル無線電話通信で、ユーザＢのモバイルユーザ端末へ送信する。
【０９２３】
テレホンカード譲渡証明書7606を受信したユーザＢのモバイルユーザ端末は、テレホンカード譲渡証明書7606の内容を検証し、電子テレホンカードを譲渡されたことを示すメッセージ、テレホンカード受取証7607を、デジタル無線電話通信で、ユーザＡのモバイルユーザ端末へ送信する。
【０９２４】
テレホンカード受取証7607を受信したユーザＡのモバイルユーザ端末は、譲渡処理の完了を示すメッセージを、ＬＣＤに表示して（譲渡完了表示7608）、ユーザＡ（贈り手）のモバイルユーザ端末における処理を終了する。
【０９２５】
一方、テレホンカード受取証7607を送信したユーザＢのモバイルユーザ端末は、受信したテレホンカード譲渡証明書7606をＬＣＤに表示し、さらに、サービス提供サーバとの間の譲渡処理（譲渡された電子テレホンカードを、サービス提供システムからダウンロードする処理）を、今すぐ実行するか否かを尋ねるダイアログメッセージを表示する（譲渡証明書の表示7609）。
【０９２６】
このダイアログメッセージには、“譲渡処理要求”及び“キャンセル”の２つの操作メニューがあり、“キャンセル”を選択すると、この時点でのサービス提供サーバとの間の譲渡処理はキャンセルされ、サービス提供システムがユーザＢのモバイルユーザ端末の内部データをアップデートする処理（データアップデート処理）の際に、アップデートデータの一部として、譲渡された電子テレホンカードが、ユーザＢのモバイルユーザ端末に設定される。
【０９２７】
また、ユーザＢが、“譲渡処理要求”を選択すると（譲渡処理要求操作7610）、モバイルユーザ端末は、ユーザＡとの通話回線を切断し、新たに、サービス提供システムとのデジタル無線電話通信の回線を接続して、テレホンカード譲渡証明書7606を基に、サービス提供サーバとの間の譲渡処理を要求するメッセージ、テレホンカード譲渡処理要求7611を生成し、デジタル無線電話通信で、サービス提供システムに送信する。
【０９２８】
テレホンカード譲渡処理要求7611を受信したサービス提供システムは、テレホンカード譲渡処理要求7611の内容を検証し、ユーザＡから譲渡された電子テレホンカードを含むメッセージ、テレホンカード譲渡7612を、デジタル無線電話通信で、ユーザＢのモバイルユーザ端末へ送信する。
【０９２９】
テレホンカード譲渡7612を受信したユーザＢのモバイルユーザ端末は、電子テレホンカードをＬＣＤに表示して（電子テレホンカードの表示7613）、テレホンカード譲渡の処理を終了する。
【０９３０】
次に、図７９は、電子テレホンカードインストールの処理の手順を示している。
【０９３１】
まず、ユーザは、モバイルユーザ端末100をテレホンカードモードにし、ファンクションスイッチ（“F4”）でテレホンカードモードの操作メニューを表示させ、その中から、“インストール”を選択して、ＬＣＤにインストール画面を表示させる。次に、テンキースイッチで、電子テレホンカードインストールカードに印字されているインストールカード番号とインストール番号とを、それぞれ入力し、実行スイッチ311を押す（インストール操作7900）。すると、モバイルユーザ端末は、サービス提供システム110へ、電子テレホンカードのインストールを要求するメッセージ、電子テレホンカードインストール要求7901を送信する。
【０９３２】
電子テレホンカードインストール要求7901を受信したサービス提供システム110は、電子テレホンカードインストール要求7901に含まれるインストールカード番号から、インストールカードの発行者を特定し、その特定したテレホンカード発行者のテレホンカード発行システムに、テレホンカードの発行を要求するメッセージ、テレホンカードインストール要求7902を送信する。
【０９３３】
テレホンカードインストール要求7902を受信したテレホンカード発行システムでは、テレホンカード発行サーバ1300が、テレホンカードインストール要求7902に含まれるインストールカード番号及びインストール番号を、テレホンカード発行情報サーバ1302の発行済み電子テレホンカードインストールカードの管理情報と照合し、さらに、顧客情報サーバ1301、テレホンカード発行情報サーバ1302及びテレホンカード情報サーバ1303のデータを更新して、要求されたテレホンカードのテレホンカードデータを生成し、サービス提供システムへ、そのテレホンカードに対応する電子テレホンカードのインストール処理を依頼するメッセージ、電子テレホンカードインストール依頼7903を送信する。
【０９３４】
電子テレホンカードインストール依頼7903を受信したサービス提供システムは、電子テレホンカードを生成し、それをモバイルユーザ端末にインストールするメッセージ、電子テレホンカードインストール7904を、モバイルユーザ端末へ送信する。
【０９３５】
電子テレホンカードインストール7904を受信したモバイルユーザ端末は、電子テレホンカードインストール7904に含まれる電子テレホンカードをインストールし、ＬＣＤにインストールした電子テレホンカードを表示する（電子テレホンカードの表示7905）。
【０９３６】
以上の電子テレホンカードサービスの処理において、機器間で交換されるメッセージの内容については、後で詳しく説明する。
【０９３７】
次に、電子クレジットカードサービスについて説明する。
【０９３８】
電子クレジットカードサービスには、チケット購入、プリペイドカード購入、テレホンカード購入のそれぞれの処理における売買代金のクレジット決済を行なうネットワーククレジット決済と、通常の小売販売店等でのクレジット決済を行なうリアルクレジット決済の２種類の処理がある。ネットワーククレジット決済の処理の流れに関しては、チケット購入、プリペイドカード購入、テレホンカード購入のそれぞれの処理の説明において述べたので、リアルクレジット決済の処理の流れについて説明する。
【０９３９】
図８４は、リアルクレジット決済の処理の手順を示している。
【０９４０】
まず、ユーザは、マーチャントに、電子クレジットカードで代金を支払うことを伝える（電子クレジットカードでの決済を指示8400）。
【０９４１】
それに対して、マーチャントは、クレジットカード決済スイッチ513（マーチャント端末103の場合はファンクションスイッチ“F3”）を押し（クレジットカード決済のスイッチを押す8401）、ユーザに支払操作を開始するように促す（支払操作の開始を指示8403）。この時、マーチャント端末102,103のＬＣＤには、請求合計金額と、マーチャント端末がユーザの支払操作待ち状態であることを示すメッセージが表示されている（支払操作待ち表示8402）。
【０９４２】
ユーザは、モバイルユーザ端末をクレジットカードモードにし、ファンクションスイッチ（“F1”，“F2”）で支払に使用するクレジットカードを表示させ、支払金額と支払回数とを指定する。そして、赤外線通信ポート300をマーチャント端末の赤外線通信モジュール（マーチャント端末103の場合は、赤外線通信ポート）に向けて実行スイッチ311を押す（支払操作8404）。
【０９４３】
すると、モバイルユーザ端末は、ユーザが指定したクレジットカードの種類、支払金額及び支払回数を示す情報を内容とし、マーチャントに代金の支払を申出るメッセージ、支払オファー8405を、赤外線通信で、マーチャント端末に送信する。
【０９４４】
支払オファー8405を受信したマーチャント端末は、クレジットカードの種類と、支払金額とを検証し、支払オファー8405に対する応答メッセージ、支払オファー応答8406を、赤外線通信でモバイルユーザ端末へ送信する。さらに、マーチャント端末は、ユーザの信用照会を要求するメッセージ、信用照会要求8409を、デジタル電話通信で、サービス提供システム110へ送信する。この時、マーチャント端末のＬＣＤには、信用照会中であることを示すメッセージが表示される。（信用照会中表示8407）。
【０９４５】
一方、モバイルユーザ端末100は、赤外線通信ポート300から支払オファー応答8406を受信し、その中の請求金額と支払金額とを照合して、クレジットによる代金の支払を要求するメッセージ、支払要求8410を、デジタル無線電話通信で、サービス提供システム110に送信する。この時、モバイルユーザ端末100のＬＣＤには、支払処理中であることを示すメッセージが表示される。（支払処理実行中表示8408）。
【０９４６】
サービス提供システム110は、マーチャント端末からの信用照会要求8409と、モバイルユーザ端末100からの支払要求8410とをそれぞれ受信し、それらの内容を照合し、さらに、ユーザの信用状況を調べ、信用照会要求に対する応答メッセージ、信用照会応答8411を生成して、マーチャント端末へ送信する。
【０９４７】
マーチャント端末は、サービス提供システム110からの信用照会応答8411を受信し、信用照会応答8411の内容をＬＣＤに表示して、信用照会の結果をオペレータ（マーチャント）に知らせる（信用照会結果表示8412）。
【０９４８】
オペレータ（マーチャント）は、信用照会結果の内容を確認し、マーチャント端末の実行スイッチを押して、決済処理の開始を指示する（決済処理要求操作8413）。すると、マーチャント端末は、決済処理を要求するメッセージ、決済要求8415を、デジタル電話通信で、サービス提供システム110へ送信し、ＬＣＤに決済処理中であることを示すメッセージを表示する（決済実行中表示8414）。
【０９４９】
サービス提供システム110は、マーチャント端末からの決済要求8415を受信し、決済処理システム106に対してクレジット決済処理を要求するメッセージ、決済要求8416を、決済処理システム106へ送信する。
【０９５０】
決済要求8416を受信した決済処理システムでは、トランザクション処理サーバ1000が、加入者情報サーバ1001、加盟店情報サーバ1002及び取引情報サーバ1003のデータを更新して、クレジットカード決済の処理を行ない、決済処理の完了を示すメッセージ、決済完了通知8417を、サービス提供システムへ送信する。
【０９５１】
決済完了通知8417を受信したサービス提供システムは、決済完了通知8417から、マーチャント端末に決済処理の完了を示すメッセージ、決済完了通知8418を生成して、マーチャント端末へ送信する。
【０９５２】
決済完了通知8418を受信したマーチャント端末は、領収書に相当するメッセージ、領収書8419を生成して、サービス提供システムへ送信し、ＬＣＤに決済完了通知8419の内容を表示して、決済処理が完了したことを、オペレータ（マーチャント）に知らせる（決済完了表示8420）。
【０９５３】
領収書8419を受信したサービス提供システムは、領収書8419を基に、ユーザ向けの領収書メッセージ、領収書8421を生成して、モバイルユーザ端末へ送信する。
【０９５４】
領収書8421を受信したモバイルユーザ端末100は、ＬＣＤに領収書8421の内容を表示して、支払処理が完了したことを、ユーザに知らせる（領収書表示8422）。
【０９５５】
以上の電子クレジットカードサービスの処理において、機器間で交換されるメッセージの内容については、後で詳しく説明する。
【０９５６】
次に、モバイルユーザ端末100の内部の構成を説明する。
【０９５７】
図１５は、モバイルユーザ端末100のブロック構成図である。モバイルユーザ端末100は、ＲＯＭ(Read Only Memory)1501に格納されたプログラムにしたがって、送信データと受信データの処理、及び、バス1529を介して他の構成要素の制御を行なうＣＰＵ(Central Processing Unit)1500と、ＣＰＵ1500が処理するデータ、及びＣＰＵ1500が処理したデータが格納されるＲＡＭ(Random Access Memory)1502と、モバイルユーザ端末100の無線電話端末としてのターミナルＩＤ及び電話番号、ユーザＩＤ、ユーザの暗証番号、デジタル署名用のプライベート鍵及び公開鍵、サービス提供者ＩＤ、サービス提供システム110の電話番号（サービス提供システムの電話番号には、サービス提供者のデジタル署名が施されている）、並びにサービス提供者の公開鍵が格納されるＥＥＰＲＯＭ(Electric Erasable Programmable Read Only Memory)1503と、ＣＰＵ1500の制御にしたがってＬＣＤ303の動作を制御し、ＣＰＵ1500によって設定された画像をＬＣＤに表示させるＬＣＤコントローラ1504と、ＣＰＵ1500の制御にしたがってデータの暗号化処理及び復号化処理を行なう暗号処理プロセッサ1505と、ＣＰＵ1500の制御にしたがって送信データの符合化及び受信データの復号化を行なうデータコーデック1506と、赤外線通信の際に赤外線の送信及び受信を行なう赤外線通信モジュール1507と、ユーザによるモードスイッチ304、通話スイッチ305、終了スイッチ306、ファンクションスイッチ307、テンキースイッチ308、電源スイッチ309、及び実行スイッチ311のスイッチ操作を検出するキー操作制御部1509と、スピーカ1510、レシーバ302またはヘッドセットジャック312に接続されるヘッドセットをドライブし、マイク310またはヘッドセットから入力するアナログ音声信号を増幅する音声処理部1511と、アナログ音声信号1542のデジタル音声データへの符号化とデジタル音声データのアナログ音声信号1543への復号化とを行なう音声コーデック1512と、無線チャンネルにのる送信データの生成と受信データからの自分宛のデータの抽出とを行なうチャンネルコーデック1513と、チャンネルコーデック1513から入力するシリアル・デジタル信号1547を、ＰＬＬ1516から供給される発振電気信号1552をベースバンドとするアナログ送信信号1549に変換する変調部1514と、ＰＬＬ1516から供給される発振電気信号1553をアナログ受信信号1550のベースバンドとしてアナログ受信信号1550を復調し、シリアル・デジタル信号1548をチャンネルコーデック1513へ供給する復調部1515と、変調部1514から供給されたアナログ送信信号1549を無線電波に変えてアンテナ301から出力し、逆に、無線電波をアンテナ301が受信すると、復調部1515にアナログ受信信号1550を入力するＲＦ部1517と、モバイルユーザ端末100のバッテリィの容量を検出するバッテリィ容量検出部1518と、チャンネルコーデック1513、ＰＬＬ1516及びＲＦ部1517の起動制御、キー操作制御部1509、チャンネルコーデック1513及びバッテリィ容量検出部1518から入力する割込信号の処理、並びに、ＣＰＵ1500がキー操作制御部1509、音声処理部1511、音声コーデック1512及びチャンネルコーデックの内部のレジスタをアクセスする際の、インターフェースの役割を果たす制御ロジック部1508とを備えている。
【０９５８】
暗号処理プロセッサ1505は、秘密鍵方式の暗号化及び復号化の機能と公開鍵方式の暗号化及び復号化の機能とを持ち、ＣＰＵ1500によって設定された暗号方式と鍵とで、ＣＰＵ1500によって設定されたデータを暗号化処理または復号化処理する。この暗号処理プロセッサ1505の暗号化と復号化の機能を用いて、メッセージのデジタル署名処理、または、封書化処理を行ない、また、封書化されたメッセージの暗号の復号化処理、または、デジタル署名されたメッセージのデジタル署名の検証処理を行なう。デジタル署名処理、封書化処理、暗号の復号化処理、及びデジタル署名の検証処理については、後で詳しく説明する。
【０９５９】
また、データコーデック1506は、ＣＰＵ1500の制御にしたがって送信データの符号化及び受信データの復号化を行なうが、この場合の符号化とは、通信制御情報、誤り訂正情報を含んだ、実際に送信されるデータを生成する処理を意味し、復号化とは、受信データに対し、誤り訂正処理を施し、余分な通信制御情報を取り除き、本来、送り手が送信しようとしたデータを生成する処理を意味する。データコーデック1506は、デジタル無線電話のデータ通信におけるデータの符号化及び復号化の機能と、赤外線通信におけるデータの符号化及び復号化の機能とを持ち、ＣＰＵ1500によって設定されたデータに対して、ＣＰＵ1500によって設定された符号化処理及び復号化処理を行なう。
【０９６０】
例えば、デジタル署名処理と封書化処理とを施したメッセージを、デジタル無線電話通信で送信する場合には、ＣＰＵ1500は、暗号処理プロセッサ1505を用いて、メッセージのデジタル署名処理と、封書化処理とを行ない、さらに、データコーデック1506を用いて、デジタル署名処理と封書化処理とを施したメッセージを、デジタル無線電話のデータ通信のデータ形式に符号化して、それを、制御ロジック部1508を介して、チャンネルコーデック1513へ送る。
【０９６１】
逆に、デジタル署名処理と封書化処理とが施されたメッセージを、デジタル無線電話通信で受信した場合には、ＣＰＵ1500は、受信したメッセージを、制御ロジック部1508を介して、チャンネルコーデック1513から読み出し、データコーデック1506を用いて、受信したメッセージを復号化し、さらに、暗号処理プロセッサ1505を用いて、封書化されているメッセージの暗号の復号化処理とメッセージに施されたデジタル署名の検証処理とを行なう。
【０９６２】
同様に、デジタル署名処理と封書化処理とを施したメッセージを、赤外線通信で送信する場合には、ＣＰＵ1500は、暗号処理プロセッサ1505を用いて、メッセージのデジタル署名処理と、封書化処理とを行ない、さらに、データコーデック1506を用いて、デジタル署名処理と封書化処理とを施したメッセージを、赤外線通信のデータ形式に符号化して、それを、赤外線通信モジュール1507へ送る。
【０９６３】
逆に、デジタル署名処理と封書化処理とが施されたメッセージを、赤外線通信で受信した場合には、ＣＰＵ1500は、受信したメッセージを、赤外線通信モジュール1507から読み出し、データコーデック1506を用いて、受信したメッセージを復号化し、さらに、暗号処理プロセッサ1505を用いて、封書化されているメッセージの暗号の復号化処理とメッセージに施されたデジタル署名の検証処理とを行なう。
【０９６４】
ユーザによるスイッチ操作を検出するキー操作制御部1509は、ユーザが、モードスイッチ304、通話スイッチ305、終了スイッチ306、ファンクションスイッチ307、テンキースイッチ308、電源スイッチ309または実行スイッチ311のいずれかを押すと、スイッチ操作に対応する処理を促す割込信号1538をアサートする。また、キー操作制御部1509は、図１６（ａ）に示すように、各スイッチの有効／無効を設定するキー操作制御レジスタ(KEYCTL)1612を具備している。ＣＰＵ1500は、このキー操作制御レジスタ(KEYCTL)1612をアクセスして、各スイッチの有効／無効を設定する。
【０９６５】
音声処理部1511は、図１６（ａ）に示すように、音声処理動作を制御する音声処理部制御レジスタ(SCTL)1611を具備している。ＣＰＵ1500は、この音声処理部制御レジスタ(SCTL)1611をアクセスして、音声処理部1511の動作を制御する。例えば、デジタル無線電話の着呼要求を受信した場合には、ＣＰＵ1500が、音声処理部制御レジスタ(SCTL)1611にアクセスして、デジタル無線電話の着信音を出力する設定を行なう。これによって、音声処理部1511が、スピーカ1510をドライブし、デジタル無線電話の着信音が出力される。但し、サービス提供システム110からの着呼要求であった場合には、着信音は出力せず、ＣＰＵ1500は、サービス提供システムとの通信セッションを確立する処理を開始する。
【０９６６】
音声コーデック1512は、音声処理部1511から入力するアナログ音声信号1542のデジタル音声データへの符号化と、チャンネルコーデック1513から、デジタル音声信号1546として読み出したデジタル音声データのアナログ音声信号1543への復号化とを行なう。アナログ音声信号1543は、音声処理部1511へ供給され、音声処理部1511が、アナログ音声信号1543を増幅し、レシーバ302をドライブすることによって、レシーバ302から音声が出力される。また、符号化によって生成されたデジタル音声データは、デジタル音声信号1546として、チャンネルコーデック1513へ供給され、実際に、無線チャンネルにのる送信データに変換される。
【０９６７】
また、音声コーデック1512は、音声データの暗号化及び復号化に用いる秘密鍵方式の暗号鍵を格納する音声データ暗号鍵レジスタ(CRYPT)1613を具備し、この音声データ暗号鍵レジスタ(CRYPT)1613に、ＣＰＵ1500によって音声データ暗号鍵が設定された場合、音声コーデック1512は、アナログ音声信号1542のデジタル音声データへの符号化と同時に、デジタル音声データの暗号化を行ない、デジタル音声データのアナログ音声信号1543への復号化と同時に、デジタル音声データの暗号の復号化を行なう。
【０９６８】
また、チャンネルコーデック1513には、送信するデータとして、二種類のデータが入力される。一つは、音声コーデック1512から、デジタル音声信号1546として入力するデジタル音声データであり、もう一つは、ＣＰＵ1500から、制御ロジック部1508を介して、デジタル信号1556として入力するデータ通信データである。
【０９６９】
チャンネルコーデック1513は、デジタル音声データとデータ通信データとの識別情報を、ヘッダ情報として、それぞれのデータに付加し、さらに、デジタル無線電話のデータフォーマットに変換して、シリアル・デジタル信号1547を、変調部1514へ供給する。
【０９７０】
その逆に、チャンネルコーデック1513は、復調部1515から入力するシリアル・デジタル信号1548に対して、まず、ターミナルＩＤを照合して、自分宛のデータのみを抽出し、さらに、デジタル無線電話の通信制御情報を取り除き、データのヘッダ情報から、デジタル音声データとデータ通信データとを識別し、それぞれ、デジタル音声信号1546とデジタル信号1556として、音声コーデック1512と制御ロジック部1508とへ供給する。
【０９７１】
また、チャンネルコーデック1513は、デジタル無線電話を着信した時と、データ通信データを受信した時とに、割込信号1554をアサートし、デジタル音声データを受信した時に、制御信号1544をローレベルにする。割込信号1554は、ＣＰＵ1500に、デジタル無線電話の着信時の処理と、データ通信データの処理とを促す割込信号であり、制御信号1544は、音声コーデック1512に、受信したデジタル音声データの処理を促すローアクティブの制御信号である。
【０９７２】
チャンネルコーデック1513は、こうした動作を行なうために、図１６（ａ）に示すように、ターミナルＩＤを格納するＩＤレジスタ(ID)1605と、チャンネルコーデック1513の動作を制御するチャンネルコーデック制御レジスタ(CHCTL)1606と、音声コーデック1512から入力されるデジタル音声データを格納する音声送信バッファ1607と、受信データの中から抽出したデジタル音声データを格納する音声受信バッファ1608と、制御ロジック部1508を介してＣＰＵ1500から入力されるデータ通信データを格納するデータ填信バッファ1609と、受信データの中から抽出したデータ通信データを格納するデータ受信バッファ1610とを具備している。
【０９７３】
制御信号1545は、音声コーデック1512の音声送信バッファ1607への書き込み動作または音声受信バッファ1608からの読み出し動作をチャンネルコーデック1513に示す制御信号であり、音声コーデック1512は、制御信号1545をローレベルにして、音声送信バッファ1607にデジタル音声データを書き込み、制御信号1545をハイレベルにして、音声受信バッファ1608からデジタル音声データを読み出す。
【０９７４】
制御信号1555は、制御ロジック部1508を介して、ＣＰＵ1500が、データ送信バッファ1609へ書き込む動作またはデータ受信バッファ1610から読み出す動作を、チャンネルコーデック1513に示す制御信号であり、制御信号1555をローレベルにして、データ送信バッファ1609にデータ通信データが書き込まれ、制御信号1555をハイレベルにして、データ受信バッファ1610からデータ通信データが読み出される。
【０９７５】
変調部1514は、チャンネルコーデック1513から入力するシリアル・デジタル信号1547を、ＰＬＬ1516から供給される発振電気信号1552をベースバンドとするアナログ送信信号1549に変換し、ＲＦ部へ供給する。ＲＦ部へ供給されたアナログ送信信号1549は、無線電波として、アンテナ301から出力される。
【０９７６】
逆に、無線電波をアンテナ301が受信すると、ＲＦ部1517から復調部1515にアナログ受信信号1550が入力される。復調部1515は、ＰＬＬ1516から供給される発振電気信号1553を、アナログ受信信号1550のベースバンドとして、アナログ受信信号1550を復調して、シリアル・デジタル信号1548を、チャンネルコーデック1513へ供給する。
【０９７７】
また、バッテリィ容量を検出するバッテリィ容量検出部1518は、モバイルユーザ端末100のバッテリィの容量が、ＣＰＵ1500によって設定された値Ｑ（Ｑ＞０）以下になった時に、割込信号1557をアサートする。割込信号1557は、ＣＰＵ1500にＲＡＭ1502上のデータのバックアップ処理を促す割込信号であり、Ｑは、モバイルユーザ端末100が、サービス提供システム110と通信して、ＲＡＭ1502上のデータを、サービス提供システム110にバックアップする処理（データバックアップ処理）を行なうのに十分な値である。
【０９７８】
また、制御ロジック部1508は、図１６（ａ）に示すように、その内部に、フレームカウンタ(FRAMEC)1600、起動フレームレジスタ(FRAME)1601、クロックカウンタ(CLOCKC)1602、アップデート時刻レジスタ(UPTIME)1603、及び割込レジスタ(INT)1604の５つのレジスタを内蔵する。
【０９７９】
フレームカウンタ1600は、デジタル無線電話のフレーム数をカウントするカウンタ、起動フレームレジスタ1601は、次回の起動するフレーム番号を格納するレジスタ、クロックカウンタ1602は、現在の日付と時刻をカウントするカウンタ、アップデート時刻レジスタ1603は、モバイルユーザ端末100が、サービス提供システム110と通信して、ＲＡＭ1502上のデータを更新する処理（データアップデート処理）を行なう時刻を格納するレジスタ、そして、割込レジスタ1604は、ＣＰＵ1500への割込の要因を示すレジスタである。
【０９８０】
一般に、デジタル無線電話では、デジタル無線電話の制御チャンネルの制御データを間欠的に受信し、ターミナルＩＤと照合することによって、自分宛の電話の着信を実現している。このモバイルユーザ端末100では、フレームカウンタ1600と起動フレームレジスタ1601とを用いて、制御データの間欠受信を行なう。予め、起動フレームレジスタ1601に、次回に起動するフレーム番号を格納しておき、フレームカウンタ1600がカウントアップして、起動フレームレジスタ1601の値に等しくなった時、制御ロジツク部1508が、アドレス・データ信号線1558を介して、チャンネルコーデック1513、ＰＬＬ1516、及びＲＦ部1517を起動し、制御データの受信を行なう。
【０９８１】
また、制御ロジック部1508は、クロックカウンタ1602の値が、アップデート時刻レジスタ1603の値に一致した場合と、割込信号1538,1554,1557のいずれかの割込信号がアサートされた場合に、その割込要因を、割込レジスタ(INT)1604に設定して、割込信号1519をアサートし、ＣＰＵ1500に割込処理を促す。ＣＰＵ1500は、割込処理で、割込レジスタ(INT)1604を読みだし、その割込要因に応じた処理を行なう。
【０９８２】
この割込レジスタ(INT)1604の各ビットフィールドは、図１６（ｂ）に示すように意味づけられている。
【０９８３】
ビット３１は、電源スイッチ309の状態を示し、値が０の時、パワーオフの状態であることを示し、値が１の時、パワーオンの状態であることを示す。
【０９８４】
ビット３０は、デジタル無線電話通信の状態を示し、値が０の時、デジタル無線電話通信をしていない状態であることを示し、値が１の時、デジタル無線電話通信をしている状態であることを示す。
【０９８５】
ビット２９は、制御データの間欠受信を促すフレーム割込の発生を示し、値が１の時、フレーム割込が起こったことを示す。このビットフィールドには、フレームカウンタ1600の値が、起動フレームレジスタ1601の値に一致した時に、１が設定される。
【０９８６】
ビット２８は、着信割込の発生を示し、値が１の時、デジタル無線電話を着信したことを示す。このビットフィールドには、デジタル無線電話の制御データの間欠受信において、ターミナルＩＤが一致し、割込信号1554がアサートされた時に、１が設定される。
【０９８７】
ビット２７は、データ受信割込の発生を示し、値が１の時、データ受信データを受信したことを示す。このビットフィールドには、デジタル無線電話通信において、データ通信データを受信し、割込信号1554がアサートされた時に、１が設定される。
【０９８８】
ビット２６は、データアップデート処理を促すアップデート割込の発生を示し、値が１の時、アップデート割込が起こったことを示す。このビットフィールドには、クロックカウンタ1602の値が、アップデート時刻レジスタ1603の値に一致した時に、１が設定される。
【０９８９】
ビット２５は、データバックアップ処理を促すバッテリィ割込の発生を示し、値が１の時、バッテリィ割込が起こったことを示す。このビットフィールドには、バッテリィ容量検出部1518から入力する割込信号1557がアサートされた時に、１が設定される。
【０９９０】
ビット２４は、スイッチ操作によるキー割込の発生を示し、値が１の時、キー割込が起こったことを示す。
【０９９１】
また、ビット０からビット９は、それぞれ、テンキースイッチ308の０から９のスイッチに対応し、ビット１０とビット１１とは、それぞれ、テンキースイッチの“＊”と“＃”とのスイッチに対応し、ビット１２からビット１５は、それぞれ、ファンクションスイッチ307の“F1”から“F4”のスイッチに対応し、ビット１６からビット２０は、それぞれ、電源スイッチ309、実行スイッチ311、モードスイッチ304、通話スイッチ305、終了スイッチ306に対応し、ビットの値が１の時、そのビットに対応するスイッチが押されたことを示す。
【０９９２】
次に、ＲＡＭ1502に格納されるデータに関して説明する。
【０９９３】
図１７は、ＲＡＭ1502に格納されるデータのＲＡＭマップの摸式図である。
【０９９４】
ＲＡＭ1502には、基本プログラム領域1700、サービスデータ領域1701、ユーザ領域1702、ワーク領域1703、及びテンポラリ領域1704の５つの領域がある。基本プログラム領域1700は、ＲＯＭ1501に格納されているプログラムのバージョンアップされたモジュール、及び、パッチプログラムや、追加プログラムが格納される。
【０９９５】
ユーザ領域1702は、ユーザが自由に使用できる領域、ワーク領域1703は、ＣＰＵ1500がプログラムを実行する際に使用する作業領域、また、テンポラリ領域1704は、モバイルユーザ端末100が受信した情報を一時的に格納する領域である。サービスデータ領域1701は、モバイル・エレクトロニックコマース・サービスにおける契約情報や、電子チケット情報、電子プリペイドカード情報、電子テレホンカード情報、電子クレジットカード情報、履歴情報などを格納する領域であり、この領域のデータは、サービス提供システム110によって管理される。
【０９９６】
サービスデータ領域1701には、さらに、データ管理情報1705、個人情報1706、写真データ1707、ユーザ公開鍵証明書1708、ユーザ設定情報1709、電話情報1710、クレジットカードリスト1711、チケットリスト1712、プリペイドカードリスト1713、テレホンカードリスト1714、利用履歴リスト1715、及び実体データ領域1716の１２の領域がある。データ管理情報1705は、サービスデータ領域1701に格納されている情報の管理情報を格納する領域、個人情報1706は、ユーザの名前、年齢、性別等の情報を格納する領域、写真データ1707は、ユーザの顔写真のデータを格納する領域、ユーザ公開鍵証明書1708は、ユーザの公開鍵証明書を格納する領域、ユーザ設定情報1709は、モバイル・エレクトロニックコマース・サービスに関する、ユーザの設定情報を格納する領域、電話情報1710は、デジタル無線電話に関連する情報を格納する領域、クレジットカードリスト1711は、ユーザが登録したクレジットカードのリスト情報を格納する領域、チケットリスト1712は、ユーザが所有する電子チケットのリスト情報を格納する領域、プリペイドカードリスト1713は、ユーザが所有する電子プリペイドカードのリスト情報を格納する領域、テレホンカードリスト1714は、ユーザが所有する電子テレホンカードのリスト情報を格納する領域、利用履歴リスト1715は、モバイル・エレクトロニックコマース・サービスの利用履歴情報を格納する領域、実体データ領域1716は、他の１１の領域で、管理されている情報の実体データを格納する領域である。
【０９９７】
ユーザのデジタル署名用のプライベート鍵と公開鍵は、定期的、あるいは、準定期的に更新される。その際に、ユーザ公開鍵証明書1708に格納されるユーザの公開鍵証明書も更新される。
【０９９８】
次に、サービスデータ領域1701に格納される情報について詳しく説明する。
【０９９９】
図１８は、サービスデータ領域1701に格納される情報の関係を詳細に表した摸式図である。
【１０００】
データ管理情報1705は、アップデート日時1800、次回アップデート日時1801、ターミナルステイタス1802、個人情報アドレス1803、写真データアドレス1804、ユーザ公開鍵証明書アドレス1805、ユーザ設定情報アドレス1806、電話情報アドレス1807、クレジットカードリストアドレス1808、チケットリストアドレス1809、プリペイドカードリストアドレス1810、テレホンカードリストアドレス1811、及び利用履歴リストアドレス1812の１３の情報によって構成される。
【１００１】
アップデート日時1800は、サービス提供システム110が、前回、ＲＡＭ1502のデータを更新した日時を示し、次回アップデート日時1801は、次回のサービス提供システム110によるサービスデータ領域1701のデータの更新の予定日時を示す。
【１００２】
この次回アップデート日時1801の値は、アップデート時刻レジスタ1603に設定され、次回アップデート日時1801の時刻になると、モバイルユーザ端末100は、データアップデート処理を開始する。データアップデート処理は、サービス提供システム110が、ＲＡＭ1502のデータを更新する処理であり、通常、通信のトラフィックが、比較的、混んでいない時間帯（例：深夜）に、毎日、行なう。データアップデート処理については、後で詳しく説明する。
【１００３】
ターミナルステイタス1802は、モバイルユーザ端末100の状態を示し、個人情報アドレス1803、写真データアドレス1804、ユーザ公開鍵証明書アドレス1805、ユーザ設定情報アドレス1806、電話情報アドレス1807、クレジットカードリストアドレス1808、チケットリストアドレス1809、プリペイドカードリストアドレス1810、テレホンカードリストアドレス1811、及び利用履歴リストアドレス1812は、それぞれ、個人情報1706、写真データ1707、ユーザ公開鍵証明書1708、ユーザ設定情報1709、電話情報1710、クレジットカードリスト1711、チケットリスト1712、プリペイドカードリスト1713、テレホンカードリスト1714、利用履歴リスト1715の先頭番地を示す。
【１００４】
電話情報1710は、さらに、発信電話番号1813、電話帳アドレス1814、及び短縮ダイアル設定ファイルアドレス1815の３つの情報によって構成される。発信電話番号1813は、ユーザが、前回、かけた電話の電話番号を示し、この情報は、デジタル無線電話の再送時に用いられる。電話帳アドレス1814と短縮ダイアル設定ファイルアドレス1815とは、それぞれ、電話帳情報、短縮ダイアル設定ファイルが格納されている実体データ領域上のアドレスを示す。
【１００５】
クレジットカードリスト1711には、ユーザが登録したクレジットカードのリスト情報が格納されている。クレジットカードリスト1711では、一つのクレジットカードに対して、クレジットカード名1816、クレジットカード番号1817、有効期限1818、クレジットカードステイタス1819、イメージデータアドレス1820、オブジェクトデータアドレス1821、及びアクセス時刻1822の７つの情報が格納されている。
【１００６】
クレジットカードステイタス1819は、クレジットカードが有効か否か、及び、利用限度額を示し、イメージデータアドレス1820は、クレジットカードのイメージデータが格納されている実体データ領域1716上のアドレスを示す。オブジェクトデータアドレス1821は、そのクレジットカードのプログラムのオブジェクトデータが格納されているアドレスを示し、アクセス時刻1822は、ユーザがそのクレジットカードを利用した最新の時刻を示す。
【１００７】
オブジェクトデータアドレス1821には、実体データ領域1716上のアドレスを示すローカルアドレス、または、サービス提供システム110のユーザ情報サーバ902上のアドレスを示すリモートアドレスが格納される。オブジェクトデータアドレス1821に、リモートアドレスが格納されている場合、ユーザが、そのクレジットカードを選択し、利用しようとすると、モバイルユーザ端末100は、サービス提供システム110から、オブジェクトデータをテンポラリ領域1704にダウンロードし（リモートアクセス）、クレジットカードのプログラムを実行する。クレジットカードを表示するだけでは、イメージデータアドレス1820によって示される実体データ領域1716のイメージデータが表示され、オブジェクトデータのダウンロードは行なわない。
【１００８】
このオブジェクトデータアドレス1821に格納されるアドレスは、サービス提供システム110によって決定される。データアップデート処理の際に、各クレジットカードのアクセス時刻を比較し、アクセス時刻が最近のクレジットカードに、ローカルアドレスが割り当てられる。但し、実体データ領域1716の容量に余裕がある場合には、全てのクレジットカードのオブジェクト・データアドレスが、ローカルアドレスである場合もある。
【１００９】
チケットリスト1712には、ユーザが所有する電子チケットのリスト情報が格納されている。チケットリスト1712では、一つの電子チケットに対して、チケット名1823、チケットＩＤ1824、チケットステイタス1825、電子チケットアドレス1826、及びアクセス時刻1827の５つの情報が格納されている。
【１０１０】
チケット名1823とチケットＩＤ1824は、それぞれ、電子チケットの名前とＩＤを示し、チケットステイタス1825は、電子チケットが使用可能か否か、改札済か否か等の電子チケットの状態を示し、電子チケットアドレス1826は、電子チケットが格納されているアドレスを示し、アクセス時刻1827は、ユーザがその電子チケットにアクセスした最新の時刻を示す。
【１０１１】
プリペイドカードリスト1713には、ユーザが所有する電子プリペイドカードのリスト情報が格納されている。プリペイドカードリスト1713では、一つの電子プリペイドカードに対して、カード名1828、カードＩＤ1829、カードステイタス1830、残り合計金額1831、電子プリペイドカードアドレス1832、及びアクセス時刻1833の６つの情報が格納されている。
【１０１２】
カード名1828とカードＩＤ1829は、それぞれ、電子プリペイドカードの名前とＩＤを示し、カードステイタス1830は、電子プリペイドカードが使用可能か否か、使用済か否か等の電子プリペイドカードの状態を示し、残り合計金額1831は、電子プリペイドカードに残された価値（バリュー）を示し、電子プリペイドカードアドレス1832は、電子プリペイドカードが格納されているアドレスを示し、アクセス時刻1832は、ユーザがその電子プリペイドカードにアクセスした最新の時刻を示す。
【１０１３】
テレホンカードリスト1714には、ユーザが所有する電子テレホンカードのリスト情報が格納されている。テレホンカードリスト1714では、一つの電子テレホンカードに対して、カード名1834、カードＩＤ1835、カードステイタス1836、残り合計金額1837、電子テレホンカードアドレス1838、及びアクセス時刻1839の６つの情報が格納されている。
【１０１４】
カード名1834とカードＩＤ1835は、それぞれ、電子テレホンカードの名前とＩＤを示し、カードステイタス1836は、電子テレホンカードが使用可能か否か、使用済か否か等の電子テレホンカードの状態を示し、残り合計金額1837は、電子テレホンカードに残された価値（バリュー）を示し、電子テレホンカードアドレス1838は、電子テレホンカードが格納されているアドレスを示し、アクセス時刻1839は、ユーザがその電子テレホンカードにアクセスした最新の時刻を示す。
【１０１５】
電子チケットアドレス1826、電子プリペイドカードアドレス1832、及び電子テレホンカードアドレス1838には、実体データ領域1716上のアドレスを示すローカルアドレス、または、サービス提供システム110のユーザ情報サーバ902上のアドレスを示すリモートアドレスが格納される。
【１０１６】
電子チケットアドレス1826に、リモートアドレスが格納されている場合、ユーザが、その電子チケットをアクセスすると、モバイルユーザ端末100は、サービス提供システム110から、電子チケットをテンポラリ領域1704にダウンロードして（リモートアクセス）、ＬＣＤ303に表示する。同様に、電子プリペイドカードアドレス1832、または、電子テレホンカードアドレス1838にリモートアドレスが格納されている場合、ユーザが、それらをアクセスすると、モバイルユーザ端末100は、サービス提供システム110から、それらをテンポラリ領域1704にダウンロードして（リモートアクセス）、ＬＣＤ303に表示する。
【１０１７】
これらの電子チケットアドレス1826、電子プリペイドカードアドレス1832、及び電子テレホンカードアドレス1838に格納されるアドレスも、また、サービス提供システム110によって決定される。データアップデート処理の際に、アクセス時刻を比較し、アクセス時刻が最近の電子チケット、電子プリペイドカード、及び電子テレホンカードに対して、ローカルアドレスが割り当てられる。但し、実体データ領域1716の容量に余裕がある場合には、全てのクレジットカードのオブジェクト・データアドレスが、ローカルアドレスである場合もある。
【１０１８】
利用履歴リスト1715では、一つのモバイル・エレクトロニックコマース・サービスの利用に対して、要求番号1840、サービスコード1841、利用時刻1842、及び利用情報アドレス1843の４つの情報が格納される。要求番号1840は、ユーザが利用したモバイル・エレクトロニックコマース・サービスの処理を（ユーザから見て）ユニークに示す番号、サービスコード1841は、利用したサービスの種類を示すコード番号、利用時刻1842は、モバイル・エレクトロニックコマース・サービスを利用した時刻、利用情報アドレス1843は、領収書、または、利用内容を示す情報が格納されているアドレスを示す。
【１０１９】
利用情報アドレス1843には、実体データ領域1716上のアドレスを示すローカルアドレス、または、サービス提供システム110のユーザ情報サーバ902上のアドレスを示すリモートアドレスが格納される。利用情報アドレス1843に、リモートアドレスが格納されている場合、ユーザが、その利用履歴情報をアクセスすると、モバイルユーザ端末100は、サービス提供システム110から、利用情報をテンポラリ領域1704にダウンロードして（リモートアクセス）、ＬＣＤ303に表示する。
【１０２０】
利用情報アドレス1843に格納されるアドレスもまた、サービス提供システムによって決定される。データアップデート処理の際に、各利用情報の利用時刻を比較し、利用時刻が最近の利用情報に、ローカルアドレスが割り当てられる。但し、実体データ領域1716の容量に余裕がある場合には、全ての利用情報アドレスが、ローカルアドレスである場合もある。
【１０２１】
次に、電子チケット、電子プリペイドカード、及び電子テレホンカードのデータ構造について説明する。
【１０２２】
図１９は、電子チケット1900のデータ構造を示す模式図である。図１９において、一つの電子チケットは、チケットプログラム1901、提示チケット1902、及びチケット証明書1903，1933の三つの部分から構成される。チケットプログラム1901は、チケットのステイタスの管理、及び、チケット固有の動作を規定する情報であり、提示チケット1902は、電子チケットを改札する際に、チケットの内容を示す情報として、ゲート端末101に提示する情報であり、チケット証明書は、サービス提供者が発行する電子チケットの証明書であり、電子チケットが本物であることを示す情報である。また、チケット証明書には、単に、その電子チケットを証明するチケット証明書1903と、さらに、サービス提供システムに使用登録されている電子チケットであることを証明する使用登録チケット証明書1933との２種類があり、チケット証明書1903は、ユーザが電子チケットの使用登録をすることによって、使用登録チケット証明書1933に入れ替えられる。
【１０２３】
一つ電子チケットは、公開鍵暗号方式の３種類、４つの鍵を持つ。１種類は、電子チケットのデジタル署名用の鍵であり、プライベート鍵と、それに対応する公開鍵として、それぞれ、チケット署名プライベート鍵1910と、チケット署名公開鍵1925(1936)を持つ。もう１種類は、ゲート端末101との間での電子チケットの認証処理に用いるチケット認証プライベート鍵1911であり、もう１種類は、モバイルユーザ端末100側でのゲート端末101の認証処理に用いるゲート認証公開鍵1912である。
【１０２４】
チケット署名プライベート鍵1910及びチケット署名公開鍵1925(1936)は、一つ一つの電子チケットごとに異なる鍵対であり、チケット認証プライベート鍵1911及びゲート認証公開鍵1912は、チケットの種類ごとに異なる鍵である。ゲート端末101には、チケット認証プライベート鍵1911とゲート認証公開鍵1912とにそれぞれ対応するチケット認証公開鍵と、ゲート認証プライベート鍵とが設定されている。これらの鍵の使用方法については、後で詳しく説明する。
【１０２５】
図１９において、まず、チケットプログラム1901は、チケットプログラムヘッダ1904、チケット名1905、チケットＩＤ1906、チケットステイタス1907、チケット可変情報1908、チケット改札番号1909、チケット署名プライベート鍵1910、チケット認証プライベート鍵1911、ゲート認証公開鍵1912、及びチケットプログラムデータ1913の１０の情報によって構成される。
【１０２６】
チケットプログラムヘッダ1904は、それがチケットプログラムであることと、チケットプログラムのデータ構造を示すヘッダ情報である。チケット名1905とチケットＩＤ1906は、それぞれ、電子チケットの名称と電子チケットのＩＤであり、チケットＩＤは、一つ一つの電子チケットごとに異なる識別情報である。
【１０２７】
チケットステイタス1907は、電子チケットの状態（ステイタス）を示す情報であり、電子チケットが使用可能か否か、改札済みか否か、さらには、電子チケットの使用登録状態、譲渡の可否等を示す情報である。
【１０２８】
チケット可変情報1908は、電子チケットの種類によって、オプションで設定される可変情報である。
【１０２９】
チケット改札番号1909は、チケット改札の処理の順番を示す番号であり、チケット改札の処理をする度に、インクリメントされる。チケット改札番号の初期値には、電子チケットごとに任意の値が設定され、その初期値は、サービス提供システム110において管理され、チケット照会の処理の際に、検証データとして用いられる。チケット照会の処理の詳細については、後で詳しく説明する。
【１０３０】
チケット署名プライベート鍵1910は、前述した電子チケット1900のデジタル署名用のプライベート鍵であり、同様に、チケット認証プライベート鍵1911は、電子チケット1900の認証処理に用いるプライベート鍵、ゲート認証公開鍵1912は、ゲート端末の認証処理に用いる公開鍵である。
【１０３１】
チケット署名プライベート鍵1910は、チケット改札の処理、及びチケット譲渡の処理において、ゲート端末101または譲渡先のモバイルユーザ端末に対して、その時の電子チケット1900のチケットステイタス1907とチケット可変情報1908とを示すデータのデジタル署名に用いる。
【１０３２】
チケットプログラムデータ1913は、その電子チケット固有の動作を規定するプログラムモジュールであり、このチケットプログラムデータ1913とチケット可変情報1908との組み合わせによって、いろいろな種類のチケットが規定される。
【１０３３】
電子チケットの共通の動作を規定するプログラムモジュールは、ＲＯＭ1501に格納されており、例えば、電子チケットを改札する際に、ゲート端末101との間で行なうメッセージ交換の手順や、交換するメッセージの生成、さらには、チケットステイタス1907を“改札済み”にするといった基本的な動作や、ＬＣＤ303への電子チケットの標準的な表示フォーマットは、ＲＯＭ1501に格納されているプログラムモジュールによって規定される。
【１０３４】
それに対して、チケットプログラムデータ1913は、チケット改札の処理における固有の動作や、表示上の固有のふるまいを規定するプログラムモジュールであり、チケットプログラムデータ1913は、さらに、トランザクションモジュール1930、表示モジュール1931、及び表示部品情報1932の３つのデータによって構成される。
【１０３５】
トランザクションモジュール1930は、チケット改札の処理におけるチケット固有の動作を規定するプログラムモジュールであり、チケット可変情報1908及びチケット情報1917との組み合わせにより、チケット改札の処理における各種の動作を規定することができる。
【１０３６】
例えば、５回分の回数券として動作する電子チケットを規定する場合には、回数券の枚数に相当する値“５”を、チケット可変情報1908に設定し、改札をする度にチケット可変情報の回数券の枚数をデクリメントし、回数券の枚数が“０”になった場合に、チケットステイタス1907を“使用不能”に変更するプログラムモジュールを、トランザクションモジュール1930として規定する。
【１０３７】
また、最初に改札をした日から３日間有効になるチケットとして動作する電子チケットを規定する場合には、最初に改札した時に、チケット可変情報1908に３日目の日時を有効期限として設定し、改札の度に、チケット可変情報に設定した有効期限を検証するプログラムモジュールを、トランザクションモジュール1930として規定する。
【１０３８】
トランザクションモジュール1930は、規定する必要がなければ、規定しなくても良く、トランザクションモジュール1930を規定しない場合には、基本的なチケット改札の処理を行なう電子チケットとして動作する。
【１０３９】
表示モジュール1931は、どのデータをＬＣＤ303上のどの位置に、どのように表示するといった、表示上のふるまいを規定するプログラムモジュールである。
【１０４０】
例えば、上記の回数券として動作する電子チケットの場合、回数券の残り枚数（チケット可変情報に設定された値）を表示する位置は、表示モジュール1931が規定する。
【１０４１】
表示モジュール1931もまた、規定する必要がなければ、規定しなくても良く、表示モジュール1931を規定しない場合には、電子チケットは標準的な表示フォーマットで表示される。
【１０４２】
表示部品情報1932は、イラストや、写真、地図、及び、背景画像といったチケットの表示上の部品となる画像情報である。表示部品情報1932もまた、規定する必要がなければ、規定しなくても良く、表示部品情報1932を規定しない場合には、図３（ｃ）に示したように電子チケットは、テキスト情報のみで表示される。表示部品情報1932が規定される場合は、標準的な表示フォーマット、または、表示モジュール1931が規定されている場合は、表示モジュール1931に従って、図３（ｆ）に示したように表示部品情報の中の画像情報がイメージ313として表示される。
【１０４３】
トランザクションモジュール1930、表示モジュール1931、及び表示部品情報1932の組み合わせによって、各種のチケットとしての動作と、自由度の高い、電子チケットのデザインを規定することができる。
【１０４４】
次に、提示チケット1902は、提示チケットヘッダ1914、チケットコード1915、チケットＩＤ1916、チケット情報1917、チケット発行者ＩＤ1918、有効期間1920、サービス提供者ＩＤ1921、及びチケット発行日時1922の８つの情報によって構成される。チケットＩＤ1916、チケット情報1917及びチケット発行者ＩＤ1918には、チケット発行者によるデジタル署名が施され(1919)、提示チケット1902としては、サービス提供者によるデジタル署名が施されている。
【１０４５】
提示チケットヘッダ1914は、それが提示チケットであることと、提示チケットのデータ構造とを示すヘッダ情報であり、チケットコード1915は、電子チケットの種類を示すコード情報である。チケットＩＤ1916は、電子チケットのＩＤ情報であり、チケットＩＤ1906と同一の情報である。
【１０４６】
チケット情報1917は、チケットの内容を示すＡＳＣＩＩ（American Standard Code for Information Interchange）情報であり、チケットのタイトルや、日時、場所、席種、主催者、さらには、電子チケットの譲渡の可否や、回数券として動作する場合には、回数券の枚数等の使用条件情報が、それぞれの情報の種類を示すタグ情報を付加した形式で記述されている。チケット情報1917は、標準的な表示フォーマット、または、表示モジュール1931が規定されている場合は、表示モジュール1931に従って、図３（ｃ）または（ｆ）に示すように、ＬＣＤ303に表示される。
【１０４７】
チケット発行者ＩＤ1918は、このチケットを発行したチケット発行者を示すＩＤ情報であり、有効期間1920は、この電子チケット1900の有効期間を示す情報、サービス提供者ＩＤ1921は、サービス提供者を示すＩＤ情報、チケット発行日時1922は、サービス提供者によって、この電子チケット1900が発行された日時を示す情報である。
【１０４８】
チケット証明書1903と使用登録チケット証明書1933とは、ほぼ、同じデータ構造である。
【１０４９】
チケット証明書1903は、チケット証明書ヘッダ1923、チケットＩＤ1924、チケット署名公開鍵1925、チケット証明書ＩＤ1926、証明書有効期間1927、サービス提供者ＩＤ1928、及びチケット証明書発行日時1929の７つの情報によって構成され、サービス提供者のデジタル署名が施されている。
【１０５０】
チケット証明書ヘッダ1923は、それがチケット証明書であることと、チケット証明書のデータ構造とを示すヘッダ情報であり、チケットＩＤ1924は、電子チケット1900のＩＤ情報であり、チケットＩＤ1906及びチケットＩＤ1916と同一の情報である。
【１０５１】
チケット署名公開鍵1925は、チケット署名プライベート鍵1910と対となる電子チケット1900のデジタル署名用の公開鍵であり、チケット証明書ＩＤ1926は、チケット証明書1903のＩＤ情報、証明書有効期間1927は、チケット証明書1903の有効期間を示す情報、サービス提供者ＩＤ1928は、チケット証明書1903を発行したサービス提供者を示すＩＤ情報、チケット証明書発行日時1929は、チケット証明書1903が発行された日時を示す情報である。
【１０５２】
一方、使用登録チケット証明書1933は、使用登録チケット証明書ヘッダ1934、チケットＩＤ1935、チケット署名公開鍵1936、チケット証明書ＩＤ1937、証明書有効期間1938、サービス提供者ＩＤ1939、及びチケット証明書発行日時1940の７つの情報によって構成され、サービス提供者のデジタル署名が施されている。
【１０５３】
使用登録チケット証明書ヘッダ1934は、それが使用登録チケット証明書であることと、使用登録チケット証明書のデータ構造とを示すヘッダ情報であり、チケットＩＤ1935は、電子チケット1900のＩＤ情報であり、チケットＩＤ1906及びチケットＩＤ1916と同一の情報である。
【１０５４】
チケット署名公開鍵1936は、チケット署名プライベート鍵1910と対となる電子チケット1900のデジタル署名用の公開鍵であり、チケット署名プライベート鍵1910とチケット署名公開鍵1936との鍵対には、チケット署名プライベート鍵1910とチケット署名公開鍵1925との鍵対よりも、鍵長の長い、より安全性の高い鍵対が用いられる。
【１０５５】
この電子チケットのデジタル署名用の鍵対は、チケット使用登録の処理の際に、チケット署名プライベート鍵1910とチケット署名公開鍵1925との鍵対から、より安全性の高い、チケット署名プライベート鍵1910とチケット署名公開鍵1936との新しい鍵対に更新される。
【１０５６】
チケット証明書ＩＤ1937は、使用登録チケット証明書1933のＩＤ情報、証明書有効期間1938は、使用登録チケット証明書1933の有効期間を示す情報、サービス提供者ＩＤ1939は、使用登録チケット証明書1933を発行したサービス提供者を示すＩＤ情報、チケット証明書発行日時1940は、使用登録チケット証明書1933が発行された日時を示す情報である。
【１０５７】
チケット証明書は、電子チケット1900自体を証明する情報ではなく、サービス提供者が、チケット署名公開鍵1925（またはチケット署名公開鍵1936）を証明する情報である。チケット署名プライベート鍵1910でデジタル署名したメッセージに、このチケット証明書を添付することで、そのメッセージの正当性を証明するものである。
【１０５８】
また、電子チケットは、購入または譲渡された時点では、その電子チケットのチケットステイタス1907は、使用不能になっている。チケットステイタス1907を、使用可能にするには、サービス提供システム110に、電子チケットの使用登録をする必要がある。
【１０５９】
これは、サービス提供システム110において、使用される電子チケットと、使用されずに休眠状態にある電子チケットとを分けて管理することで、電子チケットサービスの運用コストを圧縮し、さらに、使用登録の際に、電子チケットのデジタル署名用の鍵を変更することで、電子チケットの不正使用を防止するためである。
【１０６０】
電子チケットの使用登録をすると、チケットステイタス1907は使用可能となり、チケット署名プライベート鍵1910は新しいチケット署名プライベート鍵に変更され、それにともなって、チケット証明書1903は、使用登録チケット証明書1933に入れ替えられる。さらに、サービス提供システム110側では、その電子チケットは、使用登録をしたユーザが使用する電子チケットとして、サービスディレクタ情報サーバ901に登録される。
【１０６１】
図２０は、電子プリペイドカード2000のデータ構造を示す模式図である。図２０において、一つの電子プリペイドカード2000は、プリペイドカードプログラム2001、提示カード2002、及びカード証明書2003，2033の三つの部分から構成される。プリペイドカードプログラムは、プリペイドカードのステイタスの管理、及び、プリペイドカード固有の動作を規定する情報であり、提示カードは、電子プリペイドカードで支払決済する際に、プリペイドカードの内容を示す情報として、マーチャント端末102（または、マーチャント端末103、自動販売機104）に提示する情報であり、カード証明書は、サービス提供者が発行する電子プリペイドカードの証明書であり、電子プリペイドカードが本物であることを示す情報である。また、カード証明書には、単に、その電子プリペイドカードを証明するカード証明書2003と、さらに、サービス提供システムに使用登録されている電子プリペイドカードであることを証明する使用登録カード証明書2033との２種類があり、カード証明書2003は、ユーザが電子プリペイドカードの使用登録をすることによって、使用登録カード証明書2033に入れ替えられる。
【１０６２】
電子チケットと同じように、一つ電子プリペイドカードは、公開鍵暗号方式の３種類、４つの鍵を持つ。１種類は、電子プリペイドカードのデジタル署名用の鍵であり、プライベート鍵と、それに対応する公開鍵として、それぞれ、カード署名プライベート鍵2010と、カード署名公開鍵2025(2036)とを持つ。もう１種類は、マーチャント端末102（または、マーチャント端末103、自動販売機104）との間での電子プリペイドカードの認証処理に用いるカード認証プライベート鍵2011であり、もう１種類は、モバイルユーザ端末100側でのマーチャント端末102（または、マーチャント端末103、自動販売機104）の認証処理に用いる課金装置認証公開鍵2012である。
【１０６３】
カード署名プライベート鍵2010とカード署名公開鍵2025(2036)とは、一つ一つの電子プリペイドカードごとに異なる鍵対であり、カード認証プライベート鍵2011と、課金装置認証公開鍵2012とは、プリペイドカードの種類ごとに異なる鍵である。マーチャント端末102（または、マーチャント端末103、自動販売機104）には、カード認証プライベート鍵2011と課金装置認証公開鍵2012とにそれぞれ対応するカード認証公開鍵と課金装置認証プライベート鍵とが設定されている。これらの鍵の使用方法については、後で詳しく説明する。
【１０６４】
図２０において、まず、プリペイドカードプログラム2001は、プリペイドカードプログラムヘッダ2004、カード名2005、カードＩＤ2006、カードステイタス2007、残り合計金額2008、マイクロ小切手発行番号2009、カード署名プライベート鍵2010、カード認証プライベート鍵2011、課金装置認証公開鍵2012、及びプリペイドカードプログラムデータ2013の１０の情報によって構成される。
【１０６５】
プリペイドカードプログラムヘッダ2004は、それがプリペイドカードプログラムであることと、プリペイドカードプログラム2001のデータ構造とを示すヘッダ情報である。カード名2005とカードＩＤ2006は、それぞれ、電子プリペイドカードの名称と電子プリペイドカードのＩＤであり、カードＩＤは、一つ一つの電子プリペイドカードごとに異なる識別情報である。
【１０６６】
カードステイタス2007は、電子プリペイドカードの状態（ステイタス）を示す情報であり、電子プリペイドカードが使用可能か否か、未使用か否か、さらには、電子プリペイドカードの使用登録状態、譲渡の可否等を示す情報である。
【１０６７】
残り合計金額2008は、電子プリペイドカードに残されている価値（バリュー）を示す情報である。
【１０６８】
マイクロ小切手発行番号2009は、電子プリペイドカードが発行するマイクロ小切手の発行番号を示す番号であり、マイクロ小切手を発行する度に、インクリメントされる。マイクロ小切手発行番号の初期値には、電子プリペイドカードごとに任意の値が設定され、その初期値は、サービス提供システム110において管理され、マイクロ小切手照会の処理の際に、検証データとして用いられる。マイクロ小切手照会の処理の詳細については、後で詳しく説明する。
【１０６９】
カード署名プライベート鍵2010は、前述した電子プリペイドカード2000のデジタル署名用のプライベート鍵であり、カード認証プライベート鍵2011は、電子プリペイドカード2000の認証処理に用いるプライベート鍵、課金装置認証公開鍵2012は、マーチャント端末102（または、マーチャント端末103、自動販売機104）の認証処理に用いる公開鍵である。
【１０７０】
カード署名プライベート鍵2010は、プリペイドカード決済の処理、及びプリペイドカード譲渡の処理において、マーチャント端末102（または、マーチャント端末103、自動販売機104）または譲渡先のモバイルユーザ端末に対して、その時の電子プリペイドカード2000のカードステイタス2007と残り合計金額2008とを示すデータのデジタル署名に用いる。
【１０７１】
プリペイドカードプログラムデータ2013は、その電子プリペイドカード固有の動作を規定するプログラムモジュールである。
【１０７２】
電子プリペイドカードの動作を規定するプログラムモジュールは、ＲＯＭ1501に格納されており、例えば、マイクロ小切手決済の際に、マーチャント端末102（または、マーチャント端末103、自動販売機104）との間で行なうメッセージ交換の手順や、交換するメッセージの生成、さらには、プリペイドカードステイタス2007の更新といった基本的な動作や、ＬＣＤ303への電子プリペイドカードの標準的な表示フォーマットは、ＲＯＭ1501に格納されているプログラムモジュールによって規定される。
【１０７３】
それに対して、プリペイドカードプログラムデータ2013は、プリペイドカード決済の処理における固有の動作や、表示上の固有のふるまいを規定するプログラムモジュールであり、プリペイドカードプログラムデータ2013は、さらに、トランザクションモジュール2030、表示モジュール2031、及び表示部品情報2032の３つのデータによって構成される。
【１０７４】
トランザクションモジュール2030は、プリペイドカード決済の処理における固有の動作を規定するプログラムモジュールである。トランザクションモジュール1930を規定することによって、プリペイドカード決済の処理において、通常の場合と異なる手順でメッセージを交換したり、交換するメッセージの中に固有の情報を入れることができる。
【１０７５】
トランザクションモジュール2030は、規定する必要がなければ、規定しなくても良く、トランザクションモジュール2030を規定しない場合には、基本的なプリペイドカード決済の処理を行なう電子プリペイドカードとして動作する。
【１０７６】
表示モジュール2031は、どのデータをＬＣＤ303上のどの位置に、どのように表示すると言った、表示上のふるまいを規定するプログラムモジュールである。
【１０７７】
表示モジュール2031は、規定する必要がなければ、規定しなくても良く、表示モジュール2031を規定しない場合には、電子プリペイドカードは標準的な表示フォーマットで表示される。
【１０７８】
表示部品情報2032は、イラスト、写真、地図、及び、背景画像といったプリペイドカードの表示上の部品となる画像情報である。表示部品情報2032もまた、規定する必要がなければ、規定しなくても良く、表示部品情報2032を規定しない場合には、図３（ｄ）に示したように、電子プリペイドカードは、テキスト情報のみで表示される。表示部品情報2032が規定される場合は、標準的な表示フォーマット、または、表示モジュール2031が規定されている場合は、表示モジュール2031に従って、図３（ｇ）に示したように表示部品情報の中の画像情報がイメージ314として表示される。
【１０７９】
トランザクションモジュール2030と、表示モジュール2031と、表示部品情報2032との組み合わせによって、自由度の高い、電子プリペイドカードの動作とデザインとを規定することができる。
【１０８０】
次に、提示カード2002は、提示カードヘッダ2014、カードコード2015、カードＩＤ2016、カード情報2017、プリペイドカード発行者ＩＤ2018、有効期間2020、サービス提供者ＩＤ2021、及びカード発行日時2022の８つの情報によって構成される。カードＩＤ2016、カード情報2017及びプリペイドカード発行者ＩＤ2018には、プリペイドカード発行者によるデジタル署名が施され(2019)、提示カード2002としては、サービス提供者によるデジタル署名が施されている。
【１０８１】
提示カードヘッダ2014は、それが提示カードであることと、提示カードのデータ構造とを示すヘッダ情報であり、カードコード2015は、電子プリペイドカードの種類を示すコード情報である。カードＩＤ2016は、電子プリペイドカードのＩＤ情報であり、カードＩＤ2006と同一の情報である。
【１０８２】
カード情報2017は、プリペイドカードの内容を示すＡＳＣＩＩ情報であり、プリペイドカードの発行時の額面や、使用条件、発行者、さらには、電子プリペイドカードの譲渡の可否等の情報が、それぞれの情報の種類を示すタグ情報を付加した形式で記述されている。カード情報2017は、標準的な表示フォーマット、または、表示モジュール2031が規定されている場合は、表示モジュール2031に従って、図３（ｄ）または（ｇ）に示すように、ＬＣＤ303に表示される。
【１０８３】
プリペイドカード発行者ＩＤ2018は、このプリペイドカードを発行したプリペイドカード発行者を示すＩＤ情報であり、有効期間2020は、この電子プリペイドカード2000の有効期間を示す情報、サービス提供者ＩＤ2021は、サービス提供者を示すＩＤ情報、プリペイドカード発行日時2022は、サービス提供者によって、この電子プリペイドカード2000が発行された日時を示す情報である。
【１０８４】
カード証明書2003と使用登録カード証明書2033とは、ほぼ、同じデータ構造である。
【１０８５】
カード証明書2003は、カード証明書ヘッダ2023、カードＩＤ2024，カード署名公開鍵2025、カード証明書ＩＤ2026、証明書有効期間2027、サービス提供者ＩＤ2028、及びカード証明書発行日時2029の７つの情報によって構成され、サービス提供者のデジタル署名が施されている。
【１０８６】
カード証明書ヘッダ2023は、それがカード証明書であることと、カード証明書のデータ構造とを示すヘッダ情報である。カードＩＤ2024は、電子プリペイドカード2000のＩＤ情報であり、カードＩＤ2006及びカードＩＤ2016と同一の情報である。
【１０８７】
カード署名公開鍵2025は、カード署名プライベート鍵2010と対となる電子プリペイドカード2000のデジタル署名用の公開鍵であり、カード証明書ＩＤ2026は、カード証明書2003のＩＤ情報、証明書有効期間2027は、カード証明書2003の有効期間を示す情報、サービス提供者ＩＤ2028は、カード証明書2003を発行したサービス提供者を示すＩＤ情報、カード証明書発行日時2029は、カード証明書2003が発行された日時を示す情報である。
【１０８８】
一方、使用登録カード証明書2033は、使用登録カード証明書ヘッダ2034、カードＩＤ2035，カード署名公開鍵2036、カード証明書ＩＤ2037、証明書有効期間2038、サービス提供者ＩＤ2039、及びカード証明書発行日時2040の７つの情報によって構成され、サービス提供者のテジタル署名が施されている。
【１０８９】
使用登録カード証明書ヘッダ2034は、それが使用登録カード証明書であることと、使用登録カード証明書のデータ構造とを示すヘッダ情報であり、カードＩＤ2035は、電子プリペイドカード2000のＩＤ情報であり、カードＩＤ2006及びカードＩＤ2016と同一の情報である。
【１０９０】
カード署名公開鍵2036は、カード署名プライベート鍵2010と対となる電子プリペイドカード2000のデジタル署名用の公開鍵であり、カード署名プライベート鍵2010とカード署名公開鍵2036との鍵対には、カード署名プライベート鍵2010とカード署名公開鍵2025との鍵対よりも、鍵長の長い、より安全性の高い鍵対が用いられる。
【１０９１】
この電子プリペイドカードのデジタル署名用の鍵対は、プリペイドカード使用登録の処理の際に、カード署名プライベート鍵2010とカード署名公開鍵2025との鍵対から、より安全性の高いカード署名プライベート鍵2010とカード署名公開鍵2036との新しい鍵対に更新される。
【１０９２】
カード証明書ＩＤ2037は、使用登録カード証明書2033のＩＤ情報、証明書有効期間2038は、使用登録カード証明書2033の有効期間を示す情報、サービス提供者ＩＤ2039は、使用登録カード証明書2033を発行したサービス提供者を示すＩＤ情報、カード証明書発行日時2040は、使用登録カード証明書2033が発行された日時を示す情報である。
【１０９３】
カード証明書は、電子プリペイドカード2000自体を証明する情報ではなく、サービス提供者がカード署名公開鍵2025（またはカード署名公開鍵2036）を証明する情報である。カード署名プライベート鍵2010でデジタル署名したマイクロ小切手に、このカード証明書を添付することで、そのマイクロ小切手の正当性を証明するものである。
【１０９４】
また、電子プリペイドカードは、購入または譲渡された時点では、その電子プリペイドカードのカードステイタス2007は、使用不能になっている。カードステイタス2007を、使用可能にするには、サービス提供システム110に、電子プリペイドカードの使用登録をする必要がある。
【１０９５】
これは、サービス提供システム110において、使用される電子プリペイドカードと、使用されずに休眠状態にある電子プリペイドカードとを分けて管理することで、電子プリペイドカードサービスの運用コストを圧縮し、さらに、使用登録の際に、電子プリペイドカードのデジタル署名用の鍵を変更することで、電子プリペイドカードの不正使用を防止するためである。
【１０９６】
電子プリペイドカードの使用登録をすると、カードステイタス2007は使用可能となり、カード署名プライベート鍵2010は新しいカード署名プライベート鍵に変更され、それにともなって、カード証明書2003は、使用登録カード証明書2033に入れ替えられる。さらに、サービス提供システム110側では、その電子プリペイドカードは、使用登録をしたユーザが使用する電子プリペイドカードとして、サービスディレクタ情報サーバ901に登録される。
【１０９７】
図２１は、電子テレホンカード2100のデータ構造を示す模式図である。図２１において、一つの電子テレホンカード2100は、テレホンカードプログラム、提示カード、及びカード証明書の三つの部分から構成される。テレホンカードプログラムは、テレホンカードのステイタスの管理、及び、テレホンカード固有の動作を規定する情報であり、提示カードは、電子テレホンカードで電話をかける際に、テレホンカードの内容を示す情報として、交換局105の電子テレホンカード課金装置800に提示する情報であり、カード証明書は、サービス提供者が発行する電子テレホンカードの証明書であり、電子テレホンカードが本物であることを示す情報である。また、カード証明書には、単に、その電子テレホンカードを証明するカード証明書2103と、さらに、サービス提供システムに使用登録されている電子テレホンカードであることを証明する使用登録カード証明書2133との２種類があり、カード証明書2003は、ユーザが電子プリペイドカードの使用登録をすることによって、使用登録カード証明書1932に入れ替えられる。
【１０９８】
電子チケット、電子プリペイドカードと同じように、一つの電子テレホンカードは、公開鍵暗号方式の３種類、４つの鍵を持つ。１種類は、電子テレホンカードのデジタル署名用の鍵であり、プライベート鍵と、それに対応する公開鍵として、それぞれ、カード署名プライベート鍵2110と、カード署名公開鍵2125(2136)とを持つ。もう１種類は、交換局105の電子テレホンカード課金装置800との間での電子テレホンカードの認証処理に用いるカード認証プライベート鍵2111であり、もう１種類は、モバイルユーザ端末100側での電子テレホンカード課金装置800の認証処理に用いる課金装置認証公開鍵2112である。
【１０９９】
カード署名プライベート鍵2110とカード署名公開鍵2125(2136)とは、一つ一つの電子テレホンカードごとに異なる鍵対であり、カード認証プライベート鍵2111と、課金装置認証公開鍵2112とは、テレホンカードの種類ごとに異なる鍵である。交換局105の電子テレホンカード課金装置800には、カード認証プライベート鍵2111と課金装置認証公開鍵2112とにそれぞれ対応するカード認証公開鍵と、課金装置認証プライベート鍵とが設定されている。これらの鍵の使用方法については、後で詳しく説明する。
【１１００】
図２１において、まず、テレホンカードプログラム2101は、テレホンカードプログラムヘッダ2104、カード名2105、カードＩＤ2106、カードステイタス2107、残り合計金額2108、マイクロ小切手発行番号2109、カード署名プライベート鍵2110、カード認証プライベート鍵2111、課金装置認証公開鍵2112、及びテレホンカードプログラムデータ2113の１０の情報によって構成される。
【１１０１】
テレホンカードプログラムヘッダ2104は、それがテレホンカードプログラムであることと、テレホンカードプログラム2101のデータ構造とを示すヘッダ情報である。カード名2105とカードＩＤ2106は、それぞれ、電子テレホンカードの名称と電子テレホンカードのＩＤであり、カードＩＤは、一つ一つの電子テレホンカードごとに異なる識別情報である。
【１１０２】
カードステイタス2107は、電子テレホンカードの状態（ステイタス）を示す情報であり、電子テレホンカードが使用可能か否か、未使用か否か、さらには、電子テレホンカードの使用登録状態、譲渡の可否等を示す情報である。
【１１０３】
残り合計金額2108は、電子テレホンカードに残されている価値（バリュー）を示す情報である。
【１１０４】
マイクロ小切手発行番号2109は、電子テレホンカードが発行する電話マイクロ小切手の発行番号を示す番号であり、電話マイクロ小切手を発行する度に、インクリメントされる。マイクロ小切手発行番号の初期値には、電子テレホンカードごとに任意の値が設定され、その初期値は、サービス提供システム110において管理され、マイクロ小切手照会の処理の際に、検証データとして用いられる。マイクロ小切手照会の処理の詳細については、後で詳しく説明する。
【１１０５】
カード署名プライベート鍵2110は、前述した電子テレホンカード2100のデジタル署名用のプライベート鍵であり、カード認証プライベート鍵2111は、電子テレホンカード2100の認証処理に用いるプライベート鍵、課金装置認証公開鍵2112は、交換局105の電子テレホンカード課金装置800の認証処理に用いる公開鍵である。
【１１０６】
カード署名プライベート鍵2110は、テレホンカード決済の処理、及びテレホンカード譲渡の処理において、電子テレホンカード課金装置800または譲渡先のモバイルユーザ端末に対して、その時の電子テレホンカード2100のカードステイタス2107と残り合計金額2108とを示すデータのデジタル署名に用いる。
【１１０７】
テレホンカードプログラムデータ2113は、その電子テレホンカード固有の表示上の動作を規定するプログラムモジュールである。
【１１０８】
電子テレホンカードの動作を規定するプログラムモジュールは、ＲＯＭ1501に格納されており、例えば、マイクロチェックコールの際に、交換局105の電子テレホンカード課金装置800との間で行なうメッセージ交換の手順や、交換するメッセージの生成、さらには、テレホンカードステイタス2107の更新といった基本的な動作や、ＬＣＤ303への電子テレホンカードの標準的な表示フォーマットは、ＲＯＭ1501に格納されているプログラムモジュールによって規定される。
【１１０９】
それに対して、テレホンカードプログラムデータ2113は、テレホンカード決済の処理における固有の動作や、表示上の固有のふるまいを規定するプログラムモジュールであり、テレホンカードプログラムデータ2113は、さらに、トランザクションモジュール2130、表示モジュール2131、及び表示部品情報2132の３つのデータによって構成される。
【１１１０】
トランザクションモジュール2130は、テレホンカード決済の処理における固有の動作を規定するプログラムモジュールである。トランザクションモジュール2130を規定することによって、テレホンカード決済の処理において、通常の場合と異なる手順でメッセージを交換したり、交換するメッセージの中に固有の情報を入れることができる。
【１１１１】
トランザクションモジュール2130は、規定する必要がなければ、規定しなくても良く、トランザクションモジュール2130を規定しない場合には、基本的なテレホンカード決済の処理を行なう電子テレホンカードとして動作する。
【１１１２】
表示モジュール2131は、どのデータをＬＣＤ303上のどの位置に、どのように表示すると言った、表示上のふるまいを規定するプログラムモジュールである。
【１１１３】
表示モジュール2131は、規定する必要がなければ、規定しなくても良く、表示モジュール2131を規定しない場合には、電子テレホンカードは標準的な表示フォーマットで表示される。
【１１１４】
表示部品情報2132は、イラスト、写真、地図、及び、背景画像といったテレホンカードの表示上の部品となる画像情報である。表示部品情報2132もまた、規定する必要がなければ、規定しなくても良く、表示部品情報2132を規定しない場合には、図３（ｅ）に示したように電子テレホンカードは、テキスト情報のみで表示される。表示部品情報2132が規定される場合は、標準的な表示フォーマット、または、表示モジュール2131が規定されている場合は、表示モジュール2131に従って、図３（ｈ）に示したように表示部品情報の中の画像情報がイメージ315として表示される。
【１１１５】
トランザクションモジュール2030と、表示モジュール2131と、表示部品情報2132との組み合わせによって、自由度の高い、電子テレホンカードのデザインを規定することができる。
【１１１６】
次に、提示カード2102は、提示カードヘッダ2114、カードコード2115、カードＩＤ2116、カード情報2117、テレホンカード発行者ＩＤ2118、有効期間2120、サービス提供者ＴＤ2121、及びカード発行日時2122の８つの情報によって構成される。カードＩＤ2116、カード情報2117及びテレホンカード発行者ＩＤ2118には、テレホンカード発行者によるデジタル署名が施され(2119)、提示カード2102としては、サービス提供者によるデジタル署名が施されている。
【１１１７】
提示カードヘッダ2114は、それが提示カードであることと、提示カードのデータ構造とを示すヘッダ情報であり、カードコード2115は、電子テレホンカードの種類を示すコード情報である。カードＩＤ2116は、電子テレホンカードのＩＤ情報であり、カードＩＤ2106と同一の情報である。
【１１１８】
カード情報2117は、テレホンカードの内容を示すＡＳＣＩＩ情報であり、テレホンカードの発行時の額面や、使用条件、発行者、さらには、電子テレホンカードの譲渡の可否等の情報が、それぞれの情報の種類を示すタグ情報を付加した形式で記述されている。カード情報2117は、標準的な表示フォーマット、または、表示モジュール2131が規定されている場合は、表示モジュール2131に従って、図３（ｅ）または（ｈ）に示すように、ＬＣＤ303に表示される。
【１１１９】
テレホンカード発行者ＩＤ2118は、このテレホンカードを発行したテレホンカード発行者を示すＩＤ情報であり、有効期間2120は、この電子テレホンカード2100の有効期間を示す情報、サービス提供者ＩＤ2121は、サービス提供者を示すＩＤ情報、テレホンカード発行日時2122は、サービス提供者によって、この電子テレホンカード2100が発行された日時を示す情報である。
【１１２０】
カード証明書2103と使用登録カード証明書2133とは、ほぼ、同じデータ構造である。
【１１２１】
カード証明書2103は、カード証明書ヘッダ2123、カードＩＤ2124、カード署名公開鍵2125、カード証明書ＩＤ2126、証明書有効期間2127、サービス提供者ＩＤ2128、及びカード証明書発行日時2129の７つの情報によって構成され、サービス提供者のデジタル署名が施されている。
【１１２２】
カード証明書ヘッダ2123は、それがカード証明書であることと、カード証明書のデータ構造とを示すヘッダ情報である。カードＩＤ2124は、電子テレホンカード2100のＩＤ情報であり、カードＩＤ2106及びカードＩＤ2116と同一の情報である。
【１１２３】
カード署名公開鍵2125は、カード署名プライベート鍵2110と対となる電子テレホンカード2100のデジタル署名用の公開鍵であり、カード証明書ＩＤ2126は、カード証明書2103のＩＤ情報、証明書有効期間2127は、カード証明書2103の有効期間を示す情報、サービス提供者ＩＤ2128は、カード証明書2103を発行したサービス提供者を示すＩＤ情報、カード証明書発行日時2129は、カード証明書2103が発行された日時を示す情報である。
【１１２４】
一方、使用登録カード証明書2133は、使用登録カード証明書ヘッダ2134、カードＩＤ2135，カード署名公開鍵2136、カード証明書ＩＤ2137、証明書有効期間2138、サービス提供者ＩＤ2139、及びカード証明書発行日時2140の７つの情報によって構成され、サービス提供者のデジタル署名が施されている。
【１１２５】
使用登録カード証明書ヘッダ2134は、それが使用登録カード証明書であることと、使用登録カード証明書のデータ構造とを示すヘッダ情報であり、カードＩＤ2135は、電子テレホンカード2100のＩＤ情報であり、カードＩＤ2106及びカードＩＤ2116と同一の情報である。
【１１２６】
カード署名公開鍵2136は、カード署名プライベート鍵2110と対となる電子テレホンカード2100のデジタル署名用の公開鍵であり、カード署名プライベート鍵2110とカード署名公開鍵2136との鍵対には、カード署名プライベート鍵2110とカード署名公開鍵2125との鍵対よりも、鍵長の長い、より安全性の高い鍵対が用いられる。
【１１２７】
この電子テレホンカードのデジタル署名用の鍵対は、テレホンカード使用登録の処理の際に、カード署名プライベート鍵2110とカード署名公開鍵2125との鍵対から、より安全性の高い、カード署名プライベート鍵2110とカード署名公開鍵2136との新しい鍵対に更新される。
【１１２８】
カード証明書ＩＤ2137は、使用登録カード証明書2133のＩＤ情報、証明書有効期間2138は、使用登録カード証明書2133の有効期間を示す情報、サービス提供者ＩＤ2139は、使用登録カード証明書2133を発行したサービス提供者を示すＩＤ情報、カード証明書発行日時2140は、使用登録カード証明書2133が発行された日時を示す情報である。
【１１２９】
カード証明書は、電子テレホンカード2100自体を証明する情報ではなく、サービス提供者がカード署名公開鍵2125（またはカード署名公開鍵2136）を証明する情報である。カード署名プライベート鍵2110でデジタル署名した電話マイクロ小切手に、このカード証明書を添付することで、そのマイクロ小切手の正当性を証明するものである。
【１１３０】
また、電子テレホンカードは、購入または譲渡された時点では、その電子テレホンカードのカードステイタス2107は、使用不能になっている。カードステイタス2107を、使用可能にするには、サービス提供システム110に、電子テレホンカードの使用登録をする必要がある。
【１１３１】
これは、サービス提供システム110において、使用される電子テレホンカードと、使用されずに休眠状態にある電子テレホンカードとを分けて管理することで、電子テレホンカードサービスの運用コストを圧縮し、さらに、使用登録の際に、電子テレホンカードのデジタル署名用の鍵を変更することで、電子テレホンカードの不正使用を防止するためである。
【１１３２】
電子テレホンカードの使用登録をすると、カードステイタス2107は使用可能となり、カード署名プライベート鍵2110は新しいカード署名プライベート鍵に変更され、それにともなって、カード証明書2103は、使用登録カード証明書2133に入れ替えられる。さらに、サービス提供システム110側では、その電子テレホンカードは、使用登録をしたユーザが使用する電子テレホンカードとして、サービスディレクタ情報サーバ901に登録される。
【１１３３】
以上のように、電子チケット1900、電子プリペイドカード2000、及び電子テレホンカード2100は、類似したデータ構造を持つ。特に、電子プリペイドカード2000と電子テレホンカード2100とは、基本的に、同じデータ構造であり、電子プリペイドカード、及び電子テレホンカードの両方の機能を持つ電子プリペイドカードの実現が可能である。この場合、一つの電子プリペイドカードの残り合計金額から、プリペイドカード決済の処理と、テレホンカード決済の処理とにおいて、それぞれ、商品代金と、通話料金とが減算される。
【１１３４】
また、電子チケット1900のチケット可変情報1908の一部として、電子プリペイドカード2000の残り合計金額2008、及び、電子テレホンカード2100の残り合計金額2108に相当する情報を設定することにより、チケット、プリペイドカード及びテレホンカードの機能を合わせもつ、クーポンチケットを実現することも可能である。特に、これは、海外旅行と買物券と携帯電話使用権とをパッケージ化した旅行クーポンチケットを実現する場合に有効である。
【１１３５】
次に、ゲート端末101の内部の構成を説明する。
【１１３６】
図２２は、ゲート端末101のブロック構成図である。ゲート端末101は、ＲＯＭ(Read Only Memory)2201に格納されたプログラムにしたがって、送信データ及び受信データの処理、並びに、バス2242を介して、他の構成要素の制御を行なうＣＰＵ(Central ProcessingUnit)2200と、ＣＰＵ2200が処理するデータ、及びＣＰＵ2200が処理したデータが格納されるＲＡＭ(Random Access Memory)2202、及びハードディスク2203と、ゲート端末101のゲートＩＤ、電話端末としてのターミナルＩＤ及び電話番号、マーチャントＩＤ、マーチャントのデジタル署名用のプライベート鍵及び公開鍵、サービス提供者ＩＤ及びサービス提供システムの電話番号（サービス提供システムの電話番号には、サービス提供者のデジタル署名が施されている）、並びにサービス提供者の公開鍵が格納されるＥＥＰＲＯＭ(Electric Erasable Programmable Read Only Memory)2204と、ＣＰＵ2200の制御にしたがって、データの暗号化処理及び復号化処理を行なう暗号処理プロセッサ2205と、ＣＰＵ2200の制御にしたがって、送信データの符合化、及び受信データの復号化を行なうデータコーデック2206と、ＣＰＵ2200によって設定された画像を表示し、マーチャントによるタッチ操作を検出するタッチパネルＬＣＤ401と、モバイルユーザ端末100と赤外線通信を行なう赤外線通信モジュール400と、それに接続するシリアルポート2209と、パラレルデータ及びシリアルデータの双方向の変換を行なう直列-並列変換回路2208と、マーチャントによるロックスイッチ405、メニュースイッチ404、テンキースイッチ403、及び電源スイッチ402のスイッチ操作を検出するキー操作制御部2212と、チケット改札の処理の完了や操作の確定を示す音を出力するスピーカ2211と、そのスピーカ2211をドライブするサウンド制御部2210と、サービス提供システム110とデジタル電話通信回線120を介してデジタル電話通信を行なうデジタル電話通信部2207と、ゲート開閉装置等の外部装置とのインターフェイスである外部インターフェイス2213と、キー操作制御部2212、タッチパネルＬＣＤ401、直列-並列変換回路2208、デジタル電話通信部2207、及び外部インターフェイス2213から入力する割込信号の処理、並びに、ＣＰＵ2200が、キー操作制御部2213、タッチパネルＬＣＤ401、またはサウンド制御部2210の内部のレジスタをアクセスする際のインターフェースの役割を果たす制御ロジック部2214とを備えている。
【１１３７】
暗号処理プロセッサ2205は、秘密鍵方式の暗号化及び復号化、並びに公開鍵方式の暗号化及び復号化の機能を持ち、ＣＰＵ2200によって設定された暗号方式と鍵とで、ＣＰＵ2200によって設定されたデータを暗号化処理、または復号化処理する。ＣＰＵ2200は、この暗号処理プロセッサ2205の暗号化と復号化との機能を用いて、メッセージのデジタル署名処理、または封書化処理を行ない、また、封書化されたメッセージの暗号の復号化処理、またはデジタル署名されたメッセージのデジタル署名の検証処理を行なう。デジタル署名処理、封書化処理、暗号の復号化処理、及びデジタル署名の検証処理については、後で詳しく説明する。
【１１３８】
データコーデック2206は、ＣＰＵ2200の制御にしたがって、送信データの符号化、及び受信データの復号化を行なう。この場合の符号化とは、通信制御情報、誤り訂正情報を含んだ、実際に送信されるデータを生成する処理を意味し、復号化とは、受信データに対し、誤り訂正処理を施し、余分な通信制御情報を取り除き、本来、送り手が送信しようとしたデータを生成する処理を意味する。データコーデック2206は、デジタル電話のデータ通信におけるデータの符号化及び復号化と、赤外線通信におけるデータの符号化及び復号化の機能を持ち、ＣＰＵに設定されたデータに対して、ＣＰＵに設定された符号化処理及び復号化処理を行なう。
【１１３９】
例えば、デジタル署名処理と封書化処理とを施したメッセージを、デジタル電話通信で送信する場合には、ＣＰＵ2200は、暗号処理プロセッサ2205を用いて、メッセージのデジタル署名処理と、封書化処理とを行ない、さらに、データコーデック2206を用いて、デジタル署名処理と封書化処理とを施したメッセージを、デジタル電話のデータ通信のデータ形式に符号化して、それを、制御ロジック部2214を介して、デジタル電話通信部2207へ送る。
【１１４０】
逆に、デジタル署名処理と封書化処理とが施されたメッセージを、デジタル電話通信で受信する場合には、ＣＰＵ2200は、制御ロジック部2214を介して、デジタル電話通信部2207からメッセージを受信し、データコーデック2206を用いて、受信したメッセージを復号化し、さらに、暗号処理プロセッサ2205を用いて、封書化されているメッセージの暗号の復号化処理とメッセージに施されたデジタル署名の検証処理とを行なう。
【１１４１】
同様に、デジタル署名処理と封書化処理とを施したメッセージを、赤外線通信で送信する場合には、ＣＰＵ2200は、暗号処理プロセッサ2205を用いて、メッセージのデジタル署名処理と、封書化処理とを行ない、さらに、データコーデック2206を用いて、デジタル署名処理と封書化処理とを施したメッセージを、赤外線通信のデータ形式に符号化して、それを、制御ロジック部2214を介して、直列-並列変換回路2208へ送る。
【１１４２】
逆に、デジタル署名処理と封書化処理とが施されたメッセージを、赤外線通信で受信する場合には、ＣＰＵ2200は、制御ロジック部2214を介して、直列-並列変換回路2208からメッセージを受信し、データコーデック2206を用いて、受信したメッセージを復号化し、さらに、暗号処理プロセッサ2205を用いて、封書化されているメッセージの暗号の復号化処理とメッセージに施されたデジタル署名の検証処理とを行なう。
【１１４３】
キー操作制御部2212は、マーチャントが、ロックスイッチ405、メニュースイッチ404、テンキースイッチ403、または電源スイッチ402のいずれかのスイッチを押すと、ＣＰＵ2200に、スイッチ操作に対応する処理を促す割込信号2237をアサートする。また、キー操作制御部2212は、図２３（ａ）に示すように、各スイッチの有効／無効を設定するキー操作制御レジスタ(KEYCTL)2306を具備している。ＣＰＵ2200は、このキー操作制御レジスタ(KEYCTL)2306をアクセスして、各スイッチの有効／無効を設定する。
【１１４４】
タッチパネルＬＣＤ401は、図２３（ａ）に示すように、タッチされた画面上の座標を示すＸ座標レジスタ(XCOORD)2304とＹ座標レジスタ(YCOORD)2305とを具備している。マーチャントによって画面がタッチされると、タッチパネルＬＣＤ401は、タッチ操作に対応する処理を促す割込信号2235をアサートする。ＣＰＵ2200は、割込に対して、制御ロジック部2214を介して、Ｘ座標レジスタ(XCOORD)2304とＹ座標レジスタ(YCOORD)2305とを読み出し、その座標情報に基づく処理を行なう。
【１１４５】
サウンド制御部2210は、図２３（ａ）に示すように、音声処理動作を制御する音声処理部制御レジスタ(SCTL)2303を具備している。ＣＰＵ2200は、この音声処理部制御レジスタ(SCTL)2303をアクセスして、サウンド制御部2210の動作を制御する。例えば、チケット改札の処理が正常に完了した場合には、ＣＰＵ2200が、音声処理部制御レジスタ(SCTL)2309にアクセスして、チケットが改札されたことを示す音を出力する設定を行なう。これによって、サウンド制御部2210が、スピーカ2211をドライブして、チケットが改札されたことを示す音が出力される。
【１１４６】
赤外線通信モジュール400は、シリアルケーブル406を介して入力されるシリアル・デジタル信号を、実際に、赤外線として送信される信号に変調し、さらに赤外線に変換して発光し、受光した赤外線を、アナログ信号に変換し、さらにシリアル・デジタル信号に復調して出力する。
【１１４７】
メッセージを赤外線通信で送信する場合、ＣＰＵ2200は、制御ロジック部2214を介し、メッセージをデジタル信号2226として直列-並列変換回路2208へ送る。
【１１４８】
直列-並列変換回路2208は、メッセージをシリアル・デジタル信号に変換し、シリアルポート2209、及びシリアルケーブル406を介して赤外線通信モジュール400に入力され、赤外線が出力される。
【１１４９】
赤外線通信モジュール400が赤外線を受信した場合には、赤外線通信モジュール400が受信したシリアル・デジタル信号は、シリアルケーブル406及びシリアルポート2209を介して直列-並列変換回路2208へ入力され、パラレルデータに変換される。この時、直列-並列変換回路2208は、割込信号2227をアサートして、ＣＰＵ2200に受信データの処理を要求する。
【１１５０】
デジタル電話通信部2207は、サービス提供システム110とのデジタル電話通信回線120を介したデジタル電話通信を制御する部分であり、図２３（ａ）に示すように、ゲート端末101のターミナルＩＤを格納するＩＤレジスタ(ID)2307と、デジタル電話通信部2207の動作を制御するデジタル電話通信部制御レジスタ(TCTL)2308とを具備している。
【１１５１】
デジタル電話通信部2207は、デジタル電話通信で送信するデータを、デジタル電話通信のデータフォーマットに変換して、デジタル電話通信回線120へ送信する。送信データは、ＣＰＵ2200から、制御ロジック部2214を介して、デジタル信号2223として入力される。
【１１５２】
また、デジタル電話通信回線120からの呼び出しに対し、デジタル電話通信部2207は、ターミナルＩＤを照合して、データを受信し、受信データのデコードを行なう。この時、さらに、割込信号2224をアサートして、ＣＰＵ2200に受信データの処理を要求する。
【１１５３】
外部インターフェイス2213は、ゲート開閉装置等の外部装置を接続するインターフェイス回路であり、ＣＰＵ2200は、制御ロジック部2214、及び外部インターフェイス2213を介して、外部装置を制御する。制御信号2245は、制御ロジック部2214を介したＣＰＵ2200による書き込みと読み出しの動作を示す制御信号であり、ローレベルの時に書き込みを、ハイレベルの時に読み出しを示す。この際に、制御ロジック部2214と外部インターフェイス2213との間で交わされるデータ信号が、デジタル信号2243であり、割込信号2244は、外部装置からの割込要求を示す制御信号である。
【１１５４】
また、制御ロジック部2214は、図２３（ａ）に示すように、その内部に、クロックカウンタ(CLOCKC)2300、アップデート時刻レジスタ(UPTIME)2301、及び割込レジスタ(INT)2302の３つのレジスタを内蔵する。
【１１５５】
クロックカウンタは、現在の時刻をカウントするカウンタ、アップデート時刻レジスタは、ゲート端末101が、サービス提供システムと通信して、ＲＡＭ2202及びハードディスク2203上のデータを更新する処理（データアップデート処理）を行なう時刻を格納するレジスタ、割込レジスタは、ＣＰＵ2200への割込の要因を示すレジスタである。
【１１５６】
制御ロジック部2214は、クロックカウンタ2300の値が、アップデート時刻レジスタ2301の値に一致した場合、及び割込信号2224,2227,2235,2237,2244のいずれかの割込信号がアサートされた場合に、その割込要因を、割込レジスタ(INT)2302に設定して、割込信号2222をアサートし、ＣＰＵに割込処理を促す。ＣＰＵ2200は、割込処理で、割込レジスタを読みだし、その割込要因に応じた処理を行なう。
【１１５７】
この割込レジスタ(INT)の各ビットフィールドは、図２３（ｂ）に示すように意味づけられている。
【１１５８】
ビット３１は、電源スイッチの状態を示し、値が０の時、パワーオフの状態であることを示し、値が１の時、パワーオンの状態であることを示す。
【１１５９】
ビット３０は、デジタル電話通信の状態を示し、値が１の時、デジタル電話通信中であることを示す。
【１１６０】
ビット２９は、タッチパネルへのタッチ操作によるタッチパネル割込の発生を示し、値が１の時、タッチパネル割込が起こったことを示す。このビットフィールドには、割込信号2235がアサートされた時に、１が設定される。
【１１６１】
ビット２８は、赤外線受信割込の発生を示し、値が１の時、赤外線を着信したことを示す。このビットフィールドには、赤外線通信モジュール400が赤外線を受信し、割込信号2227がアサートされた時に、１が設定される。
【１１６２】
ビット２７は、データ受信割込の発生を示し、値が１の時、データ受信データを受信したことを示す。このビットフィールドには、デジタル電話通信において、データ通信データを受信し、割込信号2224がアサートされた時に、１が設定される。
【１１６３】
ビット２６は、データアップデート処理を促すアップデート割込の発生を示し、値が１の時、アップデート割込が起こったことを示す。このビットフィールドには、クロックカウンタの値が、アップデート時刻レジスタの値に一致した時に、１が設定される。
【１１６４】
ビット２５は、外部インターフェイス2213に接続される外部装置とのデータ通信の処理を促す外部ＩＦ割込の発生を示し、値が１の時、外部ＩＦ割込が起こったことを示す。このビットフィールドには、外部インターフェイス2213から入力する割込信号2244がアサートされた時に、１が設定される。
【１１６５】
ビット２４は、スイッチ操作によるキー割込の発生を示し、値が１の時、キー割込が起こったことを示す。このビットフィールドには、割込信号2237がアサートされた時に、１が設定される。
【１１６６】
また、ビット０からビット９は、それぞれ、テンキースイッチの０から９のスイッチに対応し、ビット１０とビット１１は、それぞれ、テンキースイッチの"*"と"#"のスイッチに対応し、ビット１２からビット１５は、それぞれ、ファンクションスイッチの"F1"から"F4"のスイッチに対応し、ビット１６からビット１８は、それぞれ、電源スイッチ、ロックスイッチ、及びメニュースイッチに対応し、ビットの値が１の時、そのビットに対応するスイッチが、押されたことを示す。
【１１６７】
次に、ＲＡＭ2202に格納されるデータに関して説明する。
【１１６８】
図２４は、ＲＡＭ2202に格納されるデータのＲＡＭマップの摸式図である。
【１１６９】
ＲＡＭ2202には、基本プログラム領域2400、サービスデータ領域2401、マーチャント領域2402、ワーク領域2403、及びテンポラリ領域2404の５つの領域がある。基本プログラム領域2400は、ＲＯＭ2201に格納されているプログラムのバージョンアップされたモジュール、並びにパッチプログラム及び追加プログラムが格納される。マーチャント領域2402は、マーチャントが自由に使用できる領域、ワーク領域2403は、ＣＰＵ100が、プログラムを実行する際に使用する作業領域、テンポラリ領域2404は、ゲート端末が受信した情報を、一時的に、格納する領域である。
【１１７０】
サービスデータ領域2401は、モバイル・エレクトロニックコマース・サービスにおける契約情報や、改札する電子チケット情報、履歴情報を格納する領域であり、この領域のデータは、サービス提供システム110に管理される。サービスデータ領域2401には、さらに、データ管理情報2405、マーチャント情報2406、マーチャント公開鍵証明書2407、マーチャント設定情報2408、改札チケットリスト2409、トランザクション履歴リスト2410、及び照会結果リスト2411の７つ領域がある。
【１１７１】
データ管理情報2405は、サービスデータ領域2401に格納されている情報の管理情報を格納する領域、マーチャント情報2406は、マーチャントの名称、サービス提供者との契約内容等の情報を格納する領域、マーチャント公開鍵証明書2407は、マーチャントの公開鍵証明書を格納する領域、マーチャント設定情報2408は、電子チケットサービスに関する、マーチャントの設定情報を格納する領域、改札チケットリスト2409は、このゲート端末が改札をする電子チケットのリスト情報を格納する領域、トランザクション履歴リスト2410は、電子チケットサービスでのチケット改札の処理の履歴情報を格納する領域、照会結果リスト2411は、改札した電子チケットをサービス提供システムに照会した結果（照会結果）を格納する領域である。
【１１７２】
次に、サービスデータ領域2401に格納される情報について詳しく説明する。
【１１７３】
図２５は、サービスデータ領域2401に格納される情報の関係を詳細に表した摸式図である。
【１１７４】
データ管理情報2405は、アップデート日時2500、次回アップデート日時2501、ターミナルステイタス2502、マーチャント情報アドレス2503、マーチャント公開鍵証明書アドレス2504、マーチャント設定情報アドレス2505、改札チケットリストアドレス2506、トランザクション履歴リストアドレス2507、及び照会結果リストアドレス2508の９つの情報によって構成される。
【１１７５】
アップデート日時2500は、サービス提供システム110が、前回、ＲＡＭ2202、及び、ハードディスク2203のデータを更新した日時を示し、次回アップデート日時2501は、次回のサービス提供システム110によるサービスデータ領域2401のデータ更新の予定日時を示す。ゲート端末101は、次回アップデート日時2501に設定された時間になると、自動的に、データアップデート処理を開始する。
【１１７６】
この次回アップデート日時2501の値は、アップデート時刻レジスタ2301に設定され、次回アップデート日時2501の時刻になると、ゲート端末101は、データアップデート処理を開始する。データアップデート処理は、サービス提供システム110が、ＲＡＭ、及び、ハードディスクのデータを更新する処理であり、通常、通信のトラフィックが、比較的、混んでいない時間帯（例：深夜）に、毎日、行なう。データアップデート処理については、後で詳しく説明する。
【１１７７】
ターミナルステイタス2502は、ゲート端末の状態を示し、マーチャント情報アドレス2503、マーチャント公開鍵証明書アドレス2504、マーチャント設定情報アドレス2505、改札チケットリストアドレス2506、トランザクション履歴リストアドレス2507、及び照会結果リストアドレス2508は、それぞれ、マーチャント情報2406、マーチャント公開鍵証明書2407、マーチャント設定情報2408、改札チケットリスト2409、トランザクション履歴リスト2410、及び照会結果リスト2411が格納されている領域の先頭番地を示す。
【１１７８】
改札チケットリスト2409には、ゲート端末101が改札をする電子チケットのリスト情報が格納されている。ゲート端末101が改札をする電子チケットは、サービス提供システムが、データアップデート処理によって設定する場合と、マーチャントが、サービス提供システムから、電子チケットを改札するプログラムモジュール（チケット改札モジュール）をダウンロードすることによって設定する（改札チケット設定）場合とがあり、どちらで設定するかは、マーチャントとサービス提供者との契約の内容によって決まる。
【１１７９】
通常、ゲート端末101の使用形態として、改札をするチケットの種類を頻繁に変える必要がある場合、例えば、競技場などのように、開催する競技によって改札するチケットが毎日変化し、また、ゲート（ゲート端末）ごとに改札するチケットを変える必要がある場合には、マーチャントが改札するチケットを設定し、改札をするチケットの種類が頻繁に変わらない場合、例えば、テーマパークのように、アトラクション毎に、改札するチケットが決まっている場合には、サービス提供システムが改札するチケットを設定する。
【１１８０】
改札チケットリスト2409では、一種類の電子チケットに対して、チケット名2509、チケットコード2510、チケット発行者ＩＤ2511、有効期間2512、ゲート認証プライベート鍵2513、チケット認証公開鍵2514、及びチケット改札モジュールアドレス2515の７つの情報が格納されている。チケット名2509は、ゲート端末101が改札をする電子チケットの名称を示す情報であり、チケットコード2510は、その電子チケットの種類を示すコード情報、チケット発行者ＩＤ2511は、チケット発行者のＩＤ情報、有効期間2512は、その電子チケットの有効期間である。ゲート認証プライベート鍵2513及びチケット認証公開鍵2514は、それぞれ、電子チケットのゲート認証公開鍵1912及びチケット認証プライベート鍵1911と対となる暗号鍵である。
【１１８１】
チケット改札モジュールアドレス2515は、その電子チケットのチケット改札モジュールが格納されているハードディスク2203上のアドレスを示す。
【１１８２】
トランザクション履歴リスト2410には、電子チケットサービスにおけるチケット改札の処理の履歴情報を管理するリスト情報が格納されている。トランザクション履歴リスト2410では、一回のチケット改札の処理に対して、トランザクション番号2516、サービスコード2517、トランザクション時刻2518、及びトランザクション情報アドレス2519の４つの情報が格納される。
【１１８３】
トランザクション番号2516は、チケット改札の処理を（マーチャントからみて）ユニークに示す番号であり、サービスコード2517は、ユーザが利用したモバイル・エレクトロニックコマース・サービスの種類を示すコード情報、トランザクション時刻2518は、チケット改札の処理を行なった時刻を示す情報である。
【１１８４】
トランザクション情報アドレス2519は、チケット改札の処理の際の履歴情報に相当するチケット改札応答6703が格納されているアドレスを示す。トランザクション情報アドレス2519には、ハードディスク2203上のアドレスを示すローカルアドレス、または、サービス提供システム110のマーチャント情報サーバ903上のアドレスを示すリモートアドレスが格納される。トランザクション情報アドレス2519に、リモートアドレスが格納されている場合、マーチャントが、その履歴情報をアクセスすると、ゲート端末101は、サービス提供システムから、履歴情報をテンポラリ領域にダウンロードして、ＬＣＤに表示する。
【１１８５】
また、トランザクション情報アドレス2519に格納されるアドレスは、サービス提供システムによって決定される。データアップデート処理の際に、トランザクション時刻を比較し、トランザクション時刻が最近の履歴情報に、ローカルアドレスが割り当てられる。但し、ハードディスク2203の容量に余裕がある場合には、全てのトランザクション情報アドレスが、ローカルアドレスである場合もある。
【１１８６】
照会結果リスト2411には、チケット照会の処理の結果を管理するリスト情報として、チケット照会の結果が格納されているアドレスを示す照会結果アドレス2520のリストが格納されている。
【１１８７】
照会結果アドレス2520には、ハードディスク2203上のアドレスを示すローカルアドレス、または、サービス提供システム110のマーチャント情報サーバ903上のアドレスを示すリモートアドレスが格納される。照会結果アドレス2520に、リモートアドレスが格納されている場合、マーチャントが、その照会結果をアクセスすると、ゲート端末101は、サービス提供システムから、照会結果をテンポラリ領域にダウンロードして、ＬＣＤに表示する。
【１１８８】
また、照会結果アドレス2520に格納されるアドレスは、サービス提供システムによって決定される。データアップデート処理の際に、各照会結果の発行日時を比較し、発行日時が最近の情報に対して、ローカルアドレスが割り当てられる。
【１１８９】
但し、ハードディスク2203の容量に余裕がある場合には、全ての照会結果アドレスが、ローカルアドレスである場合もある。
【１１９０】
次に、マーチャント端末102の内部の構成を説明する。
【１１９１】
図２６は、マーチャント端末102のブロック構成図である。マーチャント端末102は、ＲＯＭ(Read Only Memory)2601に格納されたプログラムにしたがって、送信データ及び受信データの処理、並びにバス2629を介して、他の構成要素の制御を行なうＣＰＵ(Central Processing Unit)2600と、ＣＰＵ2600が処理するデータ、及びＣＰＵ2600が処理したデータが格納されるＲＡＭ(Random Access Memory)2602、及びハードディスク2603と、マーチャント端末102の課金装置ＩＤ、電話端末としてのターミナルＩＤ及び電話番号、マーチャントＩＤ、マーチャントのデジタル署名用のプライベート鍵及び公開鍵、サービス提供者ＩＤ、サービス提供システムの電話番号（サービス提供システムの電話番号には、サービス提供者のデジタル署名が施されている）、並びにサービス提供者の公開鍵が格納されるＥＥＰＲＯＭ(Electric Erasable Programmable Read Only Memory)2604と、ＣＰＵ2600の制御にしたがって、ＬＣＤ502の動作を制御し、ＣＰＵ2600によって設定された画像をＬＣＤ502に表示させるＬＣＤコントローラ2605と、ＣＰＵ2600の制御にしたがって、データの暗号化処理、及び、復号化処理を行なう暗号処理プロセッサ2606と、ＣＰＵ2600の制御にしたがって、送信データの符号化、及び、受信データの復号化を行なうデータコーデック2607と、モバイルユーザ端末100と赤外線通信を行なう赤外線通信モジュール501と、それに接続するシリアルポート2609と、パラレルデータ及びシリアルデータの双方向の変換を行なう直列-並列変換回路2608と、マーチャントによるモードスイッチ504、フックスイッチ505、ファンクションスイッチ506、テンキースイッチ507、実行スイッチ508、及び電源スイッチ509のスイッチ操作を検出するキー操作制御部2611と、スピーカ2612及び受話器503のレシーバをドライブし、受話器503のマイクから入力するアナログ音声信号を増幅して音声コーデック2614へ供給する音声処理部2613と、アナログ音声信号2644のデジタル音声データへの符号化、及びデジタル音声データのアナログ音声信号2643への復号化を行なう音声コーデック2614と、デジタル音声データ及びデータ通信データを多重化して送信データを生成し、多重化された受信データから、デジタル音声データ及びデータ通信データを抽出するチャンネルコーデック2615と、デジタル電話通信回線122との通信アダプタであるデジタル通信アダプタ2616と、キャッシュレジスタ511との間を結ぶＲＳ-２３２Ｃケーブル514のインターフェイス回路であるＲＳ-２３２Ｃインターフェイス2617と、キー操作制御部2613、チャンネルコーデック2615、及びＲＳ-２３２Ｃインターフェイス2617から入力する割込信号の処理、並びに、ＣＰＵ2600が、キー操作制御部2613、音声処理部2613、音声コーデック2614、またはチャンネルコーデックの内部のレジスタをアクセスする際のインターフェースの役割を果たす制御ロジック部2610とを備えている。
【１１９２】
暗号処理プロセッサ2606は、秘密鍵方式の暗号化及び復号化、並びに、公開鍵方式の暗号化及び復号化の機能を持ち、ＣＰＵ2600によって設定された暗号方式と鍵とで、ＣＰＵ2600によって設定されたデータを、暗号化処理、または、復号化処理する。ＣＰＵ2600は、この暗号処理プロセッサ2606の暗号化及び復号化の機能を用いて、メッセージのデジタル署名処理、または、封書化処理を行ない、また、封書化されたメッセージの暗号の復号化処理、または、デジタル署名されたメッセージのデジタル署名の検証処理を行なう。デジタル署名処理、封書化処理、暗号の復号化処理、及びデジタル署名の検証処理については、後で詳しく説明する。
【１１９３】
データコーデック2607は、ＣＰＵ2600の制御にしたがって、送信データの符号化、及び、受信データの復号化を行なう。この場合の符号化とは、通信制御情報、誤り訂正情報を含んだ、実際に送信されるデータを生成する処理を意味し、復号化とは、受信データに対し、誤り訂正処理を施し、余分な通信制御情報を取り除き、本来、送り手が送信しようとしたデータを生成する処理を意味する。データコーデック2607は、デジタル電話のデータ通信におけるデータの符号化及び復号化、並びに、赤外線通信におけるデータの符号化及び復号化の機能を持ち、ＣＰＵに設定されたデータに対して、ＣＰＵに設定された符号化処理、または復号化処理を行なう。
【１１９４】
例えば、デジタル署名処理と封書化処理とを施したメッセージを、デジタル電話通信で送信する場合には、ＣＰＵ2600は、暗号処理プロセッサ2606を用いて、メッセージのデジタル署名処理と、封書化処理とを行ない、さらに、データコーデック2607を用いて、デジタル署名処理と封書化処理とを施したメッセージを、デジタル電話のデータ通信のデータ形式に符号化して、それを、制御ロジック部2610を介して、チャンネルコーデック2615へ送る。
【１１９５】
逆に、デジタル署名処理と封書化処理とが施されたメッセージを、デジタル電話通信で受信した場合には、ＣＰＵ2600は、受信したメッセージを、制御ロジック部2610を介して、チャンネルコーデック2615から読み出し、データコーデック2607を用いて、受信したメッセージを復号化し、さらに、暗号処理プロセッサ2606を用いて、封書化されているメッセージの暗号の復号化処理とメッセージに施されたデジタル署名の検証処理とを行なう。
【１１９６】
同様に、デジタル署名処理と封書化処理とを施したメッセージを、赤外線通信で送信する場合には、ＣＰＵ2600は、暗号処理プロセッサ2606を用いて、メッセージのデジタル署名処理と、封書化処理とを行ない、さらに、データコーデック2607を用いて、デジタル署名処理と封書化処理とを施したメッセージを、赤外線通信のデータ形式に符号化して、それを、直列-並列変換回路2608へ送る。
【１１９７】
逆に、デジタル署名処理と封書化処理とが施されたメッセージを、赤外線通信で受信した場合には、ＣＰＵ2600は、受信したメッセージを、直列-並列変換回路2608から読み出し、データコーデック2607を用いて、受信したメッセージを復号化し、さらに、暗号処理プロセッサ2606を用いて、封書化されているメッセージの暗号の復号化処理とメッセージに施されたデジタル署名の検証処理とを行なう。
【１１９８】
キー操作制御部2611は、マーチャントが、モードスイッチ504、フックスイッチ505、ファンクションスイッチ506、テンキースイッチ507、実行スイッチ508、または電源スイッチ509のいずれかのスイッチを押すと、キー操作制御部2611は、ＣＰＵ2600に、スイッチ操作に対応する処理を促す割込信号2639をアサートする。また、キー操作制御部2611は、図２７（ａ）に示すように、各スイッチの有効／無効を設定するキー操作制御レジスタ(KEYCTL)2710を具備している。ＣＰＵ2600は、このキー操作制御レジスタ(KEYCTL)2710をアクセスして、各スイッチの有効／無効を設定する。
【１１９９】
音声処理部2613は、図２７（ａ）に示すように、音声処理動作を制御する音声処理部制御レジスタ(SCTL)2709を具備している。ＣＰＵ2600は、この音声処理部制御レジスタ(SCTL)2709をアクセスして、音声処理部2613の動作を制御する。例えば、デジタル電話の着呼要求を受信した場合には、ＣＰＵ2600が、音声処理部制御レジスタ(SCTL)2709にアクセスして、デジタル電話の着信音を出力する設定を行なう。これによって、音声処理部2613が、スピーカ2612をドライブして、デジタル電話の着信音が出力される。但し、サービス提供システム110からの着呼要求であった場合には、着信音は出力せず、ＣＰＵ2600は、サービス提供システムとの通信セッションを確立する処理を開始する。
【１２００】
音声コーデック2614は、音声処理部2613から入力するアナログ音声信号2644のデジタル音声データへの符号化と、チャンネルコーデック2615から読み出したデジタル音声データのアナログ音声信号2643への復号化とを行なう。アナログ音声信号2643は、音声処理部2613へ供給され、音声処理部2613が、アナログ音声信号2643を増幅して、受話器2603のレシーバをドライブすることによって、レシーバから音声が出力される。符号化によって生成されたデジタル音声データは、チャンネルコーデック2615へ供給され、送信データに変換される。
【１２０１】
また、音声コーデック2614は、音声データの暗号化、及び、復号化に用いる秘密鍵方式の暗号鍵を格納する音声データ暗号鍵レジスタ(CRYPT)2711を具備し、この音声データ暗号鍵レジスタ(CRYPT)2711に、ＣＰＵ2600によって音声データ暗号鍵が設定された場合、音声コーデック2614は、アナログ音声信号2644のデジタル音声データへの符号化と同時に、デジタル音声データの暗号化を行ない、また、デジタル音声データのアナログ音声信号2643への復号化と同時に、デジタル音声データの暗号の復号化を行う。
【１２０２】
チャンネルコーデック2615には、送信するデータとして、二種類のデータが入力される。一つは、音声コーデック2614からデジタル音声信号2647として入力するデジタル音声データであり、もう一つは、ＣＰＵから、制御ロジック部2610を介して、デジタル信号2651として入力するデータ通信データである。
【１２０３】
チャンネルコーデック2615は、デジタル音声データまたはデータ通信データの識別情報を、ヘッダ情報として、それぞれのデータに付加して、デジタル音声データとデータ通信データとが多重化されたデジタル信号2648をデジタル通信アダプタ2616へ供給する。
【１２０４】
その逆に、チャンネルコーデック2615は、デジタル通信アダプタ2616から入力するデジタル信号2648に対して、まず、ターミナルＩＤを照合し、次に、データのヘッダ情報から、デジタル音声データとデータ通信データとを識別し、それぞれ、デジタル音声信号2647とデジタル信号2651として、音声コーデック2612と制御ロジック部2610とへ供給する。また、チャンネルコーデック2615は、デジタル電話を着信した時、及びデータ通信データを受信した時に、割込信号2649をアサートし、また、デジタル音声データを受信した時に、制御信号2645をローレベルにする。割込信号2649は、ＣＰＵ2600に、デジタル電話の着信時の処理と、データ通信データの処理とを促す割込信号であり、制御信号2645は、音声コーデック2614に、受信したデジタル音声データの処理を促すローアクティブの制御信号である。
【１２０５】
チャンネルコーデック2615は、こうした動作を行うために、図２７（ａ）に示すように、ターミナルＩＤを格納するＩＤレジスタ(ID)2703と、チャンネルコーデック2615の動作を制御するチャンネルコーデック制御レジスタ(CHCTL)2704と、音声コーデック2614から入力されるデジタル音声データを格納する音声送信バッファ2705と、受信データの中から抽出したデジタル音声データを格納する音声受信バッファ2706と、制御ロジック部2610を介してＣＰＵ2600から入力されるデータ通信データを格納するデータ送信バッファ2707と、受信データの中から抽出したデータ通信データを格納するデータ受信バッファ2708とを具備している。
【１２０６】
制御信号2646は、音声コーデック2614の音声送信バッファ2705への書き込み動作及び音声受信バッファ2706からの読み出し動作を、チャンネルコーデック2615に示すための制御信号であり、音声コーデック2614は、制御信号2646をローレベルにして、音声送信バッファ2705にデジタル音声データを書き込み、制御信号2646をハイレベルにして、音声受信バッファ2706からデジタル音声データを読み出す。
【１２０７】
制御信号2650は、制御ロジック部2610を介してＣＰＵ2600が、データ送信バッファ2707へ書き込みを行なう動作、及びデータ受信バッファ2708から読み出しを行なう動作をチャンネルコーデック2615に示すための制御信号であり、制御信号2650をローレベルにして、データ送信バッファ2707にデータ通信データが書き込まれ、制御信号2650をハイレベルにして、データ受信バッファ2708からデータ通信データが読み出される。
【１２０８】
デジタル通信アダプタ2616は、デジタル信号2648を、デジタル電話通信のフォーマットにエンコードしてデジタル電話通信回線122に出力する。逆に、デジタル通信アダプタ2616は、デジタル電話通信回線122から受信した信号をデコードして、デジタル信号2648を、チャンネルコーデック2615に供給する。
【１２０９】
ＲＳ-２３２Ｃインターフェイス2617は、ＲＳ-２３２Ｃケーブル514を接続するインターフェイス回路であり、マーチャント端末102は、このＲＳ-２３２Ｃインターフェイス2617を介して、キャッシュレジスタ511と通信する。ＲＳ-２３２Ｃインターフェイス2617は、キャッシュレジスタ511からデータを受信すると、割込信号2652をアサートする。割込信号2652は、ＣＰＵ2600に、ＲＳ-２３２Ｃインターフェイス2617を介した、キャッシュレジスタ311とのデータ通信の処理を促す割込信号である。
【１２１０】
また、制御ロジック部2610は、図２７（ａ）に示すように、その内部に、クロックカウンタ(CLOCKC)2700、アップデート時刻レジスタ(UPTIME)2701、及び割込レジスタ(INT)2702の３つのレジスタを内蔵する。
【１２１１】
クロックカウンタは、現在の時刻をカウントするカウンタ、アップデート時刻レジスタは、マーチャント端末102が、サービス提供システムと通信して、ＲＡＭ2602及びハードディスク2603上のデータを更新する処理（データアップデート処理）を行なう時刻を格納するレジスタ、割込レジスタは、ＣＰＵ2600への割込の要因を示すレジスタである。
【１２１２】
制御ロジック部2610は、クロックカウンタ2700の値が、アップデート時刻レジスタ2701の値に一致した場合、及び割込信号2639,2649,2652のいずれかの割込信号がアサートされた場合に、その割込要因を、割込レジスタ(INT)2702に設定して、割込信号2618をアサートし、ＣＰＵに割込処理を促す。ＣＰＵ2600は、割込処理で、割込レジスタを読みだし、その割込要因に応じた処理を行なう。
【１２１３】
この割込レジスタ(INT)の各ビットフィールドは、図２７（ｂ）に示すように意味づけられている。
【１２１４】
ビット３１は、電源スイッチの状態を示し、値が０の時、パワーオフの状態であることを示し、値が１の時、パワーオンの状態であることを示す。
【１２１５】
ビット３０は、デジタル電話通信の状態を示し、値が０の時、デジタル電話通信をしていない状態であることを示し、値が１の時、デジタル電話通信をしている状態であることを示す。
【１２１６】
ビット２８は、着信割込の発生を示し、値が１の時、デジタル電話を着信したことを示す。このビットフィールドには、デジタル電話を着信し、割込信号2649がアサートされた時に、１が設定される。
【１２１７】
ビット２７は、データ受信割込の発生を示し、値が１の時、データ受信データを受信したことを示す。このビットフィールドには、デジタル電話通信において、データ通信データを受信し、割込信号2649がアサートされた時に、１が設定される。
【１２１８】
ビット２６は、データアップデート処理を促すアップデート割込の発生を示し、値が１の時、アップデート割込が起こったことを示す。このビットフィールドには、クロックカウンタの値が、アップデート時刻レジスタの値に一致した時に、１が設定される。
【１２１９】
ビット２５は、キャッシュレジスタ311とのデータ通信の処理を促す外部ＩＦ割込の発生を示し、値が１の時、外部ＩＦ割込が起こったことを示す。このビットフィールドには、ＲＳ−２３２Ｃインターフェイス2617から入力する割込信号2652がアサートされた時に、１が設定される。
【１２２０】
ビット２４は、スイッチ操作によるキー割込の発生を示し、値が１の時、キー割込が起こったことを示す。
【１２２１】
また、ビット０からビット９は、それぞれ、テンキースイッチの０から９のスイッチに対応し、ビット１０とビット１１は、それぞれ、テンキースイッチの"*"と"#"のスイッチに対応し、ビット１２からビット１５は、それぞれ、ファンクションスイッチの"F1"から"F4"のスイッチに対応し、ビット１６からビット１８は、それぞれ、電源スイッチ、実行スイッチ、モードスイッチ、通話スイッチに対応し、ビット２０は、フックスイッチに対応し、ビットの値が１の時、そのビットに対応するスイッチが、押されたことを示す。
【１２２２】
次に、ＲＡＭ2602に格納されるデータに関して説明する。
【１２２３】
図２８は、ＲＡＭ2602に格納されるデータのＲＡＭマップの摸式図である。
【１２２４】
ＲＡＭ2602には、基本プログラム領域2800、サービスデータ領域2801、マーチャント領域2802、ワーク領域2803、及びテンポラリ領域2804の５つの領域がある。基本プログラム領域2800は、ＲＯＭ2601に格納されているプログラムのバージョンアップされたモジュール、並びに、パッチプログラム及び追加プログラムが格納される。マーチャント領域2802は、マーチャントが自由に使用できる領域、ワーク領域2803は、ＣＰＵ100が、プログラムを実行する際に使用する作業領域、テンポラリ領域2804は、マーチャント端末が受信した情報を、一時的に、格納する領域である。
【１２２５】
サービスデータ領域2801は、モバイル・エレクトロニックコマース・サービスにおける契約情報、取扱クレジットカード情報、取扱プリペイドカード情報、及び履歴情報を格納する領域であり、この領域のデータは、サービス提供システムに管理される。サービスデータ領域2801には、さらに、データ管理情報2805、マーチャント情報2806、マーチャント公開鍵証明書2807、マーチャント設定情報2808、電話情報2809、クレジットカードリスト2810、プリペイドカードリスト2811、トランザクション履歴リスト2812、及び照会結果リスト2813の９つ領域がある。
【１２２６】
データ管理情報2805は、サービスデータ領域2801に格納されている情報の管理情報を格納する領域、マーチャント情報2806は、マーチャントの名称、サービス提供者との契約内容等の情報を格納する領域、マーチャント公開鍵証明書2807は、マーチャントの公開鍵証明書を格納する領域、マーチャント設定情報2808は、モバイル・エレクトロニックコマース・サービスに関する、マーチャントの設定情報を格納する領域、電話情報2809は、デジタル電話に関連する情報を格納する領域、クレジットカードリスト2810は、マーチャントが取り扱うことができるクレジットカードのリスト情報を格納する領域、プリペイドカードリスト2811は、マーチャントが取り扱うことができるプリペイドカードのリスト情報を格納する領域、トランザクション履歴リスト2812は、モバイル・エレクトロニックコマース・サービスでの販売の履歴情報を格納する領域、照会結果リスト2813は、取扱ったマイクロ小切手をサービス提供システムに照会した結果（マイクロ小切手照会結果）を格納する領域である。
【１２２７】
次に、サービスデータ領域2801に格納される情報について詳しく説明する。
【１２２８】
図２９は、サービスデータ領域2801に格納される情報の関係を詳細に表した摸式図である。
【１２２９】
データ管理情報2805は、アップデート日時2900、次回アップデート日時2901、ターミナルステイタス2902、マーチャント情報アドレス2903、マーチャント公開鍵証明書アドレス2904、マーチャント設定情報アドレス2905、電話情報アドレス2906、クレジットカードリストアドレス2907、プリペイドカードリストアドレス2908、トランザクション履歴リストアドレス2909、及び照会結果リストアドレス2910の１１の情報によって構成される。
【１２３０】
アップデート日時2900は、サービス提供システム110が、前回、ＲＡＭ2602、及び、ハードディスク2603のデータを更新した日時を示し、次回アップデート日時2901は、次回のサービス提供システム110によるサービスデータ領域2801のデータ更新の予定日時を示す。マーチャント端末102は、次回アップデート日時2901の設定された時間になると、自動的に、データアップデート処理を開始する。
【１２３１】
この次回アップデート日時2901の値は、アップデート時刻レジスタ2701に設定され、次回アップデート日時2901の時刻になると、マーチャント端末102は、データアップデート処理を開始する。データアップデート処理は、サービス提供システム110が、ＲＡＭ、及び、ハードディスクのデータを更新する処理であり、通常、通信のトラフィックが、比較的、混んでいない時間帯（例：深夜）に、毎日、行う。データアップデート処理については、後で詳しく説明する。
【１２３２】
ターミナルステイタス2902は、マーチャント端末の状態を示し、マーチャント情報アドレス2903、マーチャント公開鍵証明書アドレス2904、マーチャント設定情報アドレス2905、電話情報アドレス2906、クレジットカードリストアドレス2907、プリペイドカードリストアドレス2908、トランザクション履歴リストアドレス2909、及び照会結果アドレス2910は、それぞれ、マーチャント情報2806、マーチャント公開鍵証明書2807、マーチャント設定情報2808、電話情報2809、クレジットカードリスト2810、プリペイドカードリスト2811、トランザクション履歴リスト2812、及び照会結果リスト2813が格納されている領域の先頭番地を示す。
【１２３３】
電話情報2809は、さらに、発信電話番号2911、電話帳アドレス2912、及び短縮ダイアル設定ファイルアドレス2913の３つの情報によって構成される。発信電話番号2911は、マーチャントが、前回、かけた電話の電話番号を示し、この情報は、デジタル電話の再送時に用いられる。電話帳アドレス2912と、短縮ダイアル設定ファイルアドレス2913とは、それぞれ、電話帳情報、短縮ダイアル設定ファイルが格納されているハードディスク2603上のアドレスを示す。
【１２３４】
クレジットカードリスト2810には、マーチャントが取り扱うことができるクレジットカードのリスト情報が格納されている。クレジットカードリスト2810では、一つのクレジットカードに対して、クレジットカード名2914、サービスコードリストアドレス2915、及びクレジツトカード決済プログラムアドレス2916の３つの情報が格納されている。クレジットカード名2914は、マーチャントが取り扱うことができるクレジットカードの名称を示す情報であり、サービスコードリストアドレス2915は、その電子クレジットカードによって提供されるサービスの内、マーチャントが取り扱うことができるサービスの種類を示すサービスコードのリスト情報が格納されているハードディスク2603上のアドレスを示す。サービスコードリストは、マーチャントが取り扱うことができる支払サービスコードと、支払オプションコードのリストである。
【１２３５】
クレジットカード決済プログラムアドレス2916は、その電子クレジットカードによるクレジットカード決済処理のプログラムが格納されているハードディスク2603上のアドレスを示す。
【１２３６】
プリペイドカードリスト2811には、マーチャントが取り扱うことができるプリペイドカードのリスト情報が格納されている。
【１２３７】
プリペイドカードリスト2811では、一つのプリペイドカードに対して、カード名2917、カードコード2918、プリペイドカード発行者ＩＤ2919、有効期間2920、課金装置認証プライベート鍵292、カード認証公開鍵2922、及びプリペイドカード決済モジュールアドレス2923の７つの情報が格納されている。カード名2917は、マーチャントが取り扱うことができるプリペイドカードの名称を示す情報であり、カードコード2918は、その電子プリペイドカードの種類を示すコード情報、プリペイドカード発行者ＩＤ2919は、プリペイドカード発行者のＩＤ情報、有効期間2920は、その電子プリペイドカードの有効期間である。課金装置認証プライベート鍵2921及びカード認証公開鍵2922は、それぞれ、電子プリペイドカードの課金装置認証公開鍵2012及びカード認証プライベート鍵2011と対となる暗号鍵である。
【１２３８】
プリペイドカード決済モジュールアドレス2923は、その電子プリペイドカードとの間で、プリペイドカード決済の処理をするプログラムモジュール（プリペイドカード決済モジュール）が格納されているハードディスク2603上のアドレスを示す。
【１２３９】
プリペイドカードリスト2811の内容は、マーチャントとサービス提供者との間の契約に基づいて、サービス提供システムが、データアップデート処理によって設定、更新する。
【１２４０】
トランザクション履歴リスト2812には、モバイル・エレクトロニックコマース・サービスでの販売の履歴情報を管理するリスト情報が格納されている。トランザクション履歴リスト2812では、一つのモバイル・エレクトロニックコマース・サービスにおける販売に対して、トランザクション番号2924、サービスコード2925、トランザクション時刻2926、及びトランザクション情報アドレス2927の４つの情報が格納される。
【１２４１】
トランザクション番号2924は、ユーザとの取引を（マーチャントからみて）ユニークに示す番号であり、サービスコード2925は、ユーザが利用したモバイル・エレクトロニックコマース・サービスの種類を示すコード情報、トランザクション時刻2926は、モバイル・エレクトロニックコマース・サービスによって、商品やサービスを販売した時刻を示す情報である。
【１２４２】
トランザクション情報アドレス2927は、販売内容を示すマイクロ小切手と領収書とが格納されているアドレスを示す。トランザクション情報アドレス2927には、ハードディスク2603上のアドレスを示すローカルアドレス、または、サービス提供システム110のマーチャント情報サーバ903上のアドレスを示すリモートアドレスが格納される。トランザクション情報アドレス2927に、リモートアドレスが格納されている場合、マーチャントが、その販売履歴情報をアクセスすると、マーチャント端末102は、サービス提供システムから、販売情報をテンポラリ領域にダウンロードして、ＬＣＤに表示する。
【１２４３】
トランザクション情報アドレス2927に格納されるアドレスは、サービス提供システムによって決定される。データアップデート処理の際に、各販売情報のトランザクション時刻を比較し、トランザクション時刻が最近の販売情報に、ローカルアドレスが割り当てられる。但し、ハードディスク2603の容量に余裕がある場合には、全てのトランザクション情報アドレスが、ローカルアドレスである場合もある。
【１２４４】
照会結果リスト2813には、マイクロ小切手照会の処理の結果を管理するリスト情報として、マイクロ小切手照会の結果が格納されているアドレスを示す照会結果アドレス2928のリストが格納されている。
【１２４５】
照会結果アドレス2928には、ハードディスク2603上のアドレスを示すローカルアドレス、または、サービス提供システム110のマーチャント情報サーバ903上のアドレスを示すリモートアドレスが格納される。照会結果アドレス2928に、リモートアドレスが格納されている場合、マーチャントが、その照会結果をアクセスすると、マーチャント端末102は、サービス提供システムから、照会結果をテンポラリ領域にダウンロードして、ＬＣＤに表示する。
【１２４６】
照会結果アドレス2928に格納されるアドレスは、サービス提供システムによって決定される。データアップデート処理の際に、各照会結果の発行日時を比較し、発行日時が最近の情報に対して、ローカルアドレスが割り当てられる。但し、ハードディスク2603の容量に余裕がある場合には、全ての照会結果アドレスが、ローカルアドレスである場合もある。
【１２４７】
次に、マーチャント端末103の内部の構成を説明する。
【１２４８】
図３０は、マーチャント端末103のブロック構成図である。マーチャント端末103は、ＲＯＭ(Read Only Memory)3001に格納されたプログラムにしたがって、送信データ及び受信データの処理、並びに、バス3029を介して他の構成要素の制御を行なうＣＰＵ(Central Processing Unit)3000と、ＣＰＵ3000が処理するデータ、及びＣＰＵ3000が処理したデータが格納されるＲＡＭ(Random Access Memory)3002と、マーチャント端末103の課金装置ＩＤ、無線電話端末としてのターミナルＩＤ及び電話番号、マーチャントＩＤ、マーチャントのデジタル署名用のプライベート鍵及び公開鍵、サービス提供者ＩＤ、サービス提供システム110の電話番号（サービス提供システムの電話番号には、サービス提供者のデジタル署名が施されている）、並びにサービス提供者の公開鍵が格納されるＥＥＰＲＯＭ(Electric Erasable Programmable Read Only Memory)3003と、ＣＰＵ3000の制御にしたがってＬＣＤ603の動作を制御し、ＣＰＵ3000によって設定された画像をＬＣＤに表示させるＬＣＤコントローラ3004と、ＣＰＵ3000の制御にしたがってデータの暗号化処理及び復号化処理を行なう暗号処理プロセッサ3005と、ＣＰＵ3000の制御にしたがって送信データの符号化及び受信データの復号化を行なうデータコーデック3006と、商品情報を記録したメモリカード3059と、そのメモリカードのカードスロット614と、赤外線通信の際に赤外線の送信及び受信を行なう赤外線通信モジュール3007と、商品のバーコードを読み取るバーコードリーダ610と、マーチャントによるモードスイッチ604、通話スイッチ605、終了スイッチ606、ファンクションスイッチ607、テンキースイッチ608、電源スイッチ611、及び実行スイッチ612のスイッチ操作を検出するキー操作制御部3009と、スピーカ3010、レシーバ602またはヘッドセットジャック613に接続されるヘッドセットをドライブし、マイク609またはヘッドセットから入力するアナログ音声信号を増幅する音声処理部3011と、アナログ音声信号3042のデジタル音声データへの符号化とデジタル音声データのアナログ音声信号3043への復号化とを行なう音声コーデック3012と、無線チャンネルにのる送信データの生成と受信データからの自分宛のデータの抽出とを行なうチャンネルコーデック3013と、チャンネルコーデック3013から入力するシリアル・デジタル信号3047を、ＰＬＬ3016から供給される発振電気信号3052をベースバンドとするアナログ送信信号3049に変換する変調部3014と、ＰＬＬ3016から供給される発振電気信号3053をアナログ受信信号3050のベースバンドとしてアナログ受信信号3050を復調し、シリアル・デジタル信号3048をチャンネルコーデック3013へ供給する復調部3015と、変調部3014から供給されたアナログ送信信号3049を無線電波に変えてアンテナ601から出力し、逆に、無線電波をアンテナ601が受信すると、復調部3015にアナログ受信信号3050を入力するＲＦ部3017と、マーチャント端末103のバッテリィの容量を検出するバッテリィ容量検出部3018と、チャンネルコーデック3013、ＰＬＬ3016及びＲＦ部3017の起動制御、キー操作制御部3009、チャンネルコーデック3013及びバッテリィ容量検出部3018から入力する割込信号の処理、並びに、ＣＰＵ3000がキー操作制御部3009、音声処理部3011、音声コーデック3012及びチャンネルコーデックの内部のレジスタをアクセスする際の、インターフェースの役割を果たす��御ロジック部3008とを備えている。
【１２４９】
メモリカード3059には、商品の名称、商品コード、バーコード、及び価格が商品情報として記録されており、バーコードリーダ610から読み取った商品のバーコードに基づいて、ＣＰＵ3000がメモリカード3059の商品情報をアクセスして、請求金額を計算する。
【１２５０】
暗号処理プロセッサ3005は、秘密鍵方式の暗号化及び復号化の機能、並びに公開鍵方式の暗号化及び復号化の機能を持ち、ＣＰＵ3000によって設定された暗号方式と鍵とで、ＣＰＵ3000によって設定されたデータを暗号化処理または復号化処理する。この暗号処理プロセッサ3005の暗号化と復号化との機能を用いて、メッセージのデジタル署名処理、または、封書化処理を行ない、また、封書化されたメッセージの暗号の復号化処理、または、デジタル署名されたメッセージのデジタル署名の検証処理を行なう。デジタル署名処理、封書化処理、暗号の復号化処理、及びデジタル署名の検証処理については、後で詳しく説明する。
【１２５１】
また、データコーデック3006は、ＣＰＵ3000の制御にしたがって送信データの符号化及び受信データの復号化を行なうが、この場合の符号化とは、通信制御情報、誤り訂正情報を含んだ、実際に送信されるデータを生成する処理を意味し、復号化とは、受信データに対し、誤り訂正処理を施し、余分な通信制御情報を取り除き、本来、送り手が送信しようとしたデータを生成する処理を意味する。データコーデック3006は、デジタル無線電話のデータ通信におけるデータの符号化及び復号化の機能と、赤外線通信におけるデータの符号化及び復号化の機能とを持ち、ＣＰＵ3000によって設定されたデータに対して、ＣＰＵ3000によって設定された符号化処理及び復号化処理を行なう。
【１２５２】
例えば、デジタル署名処理と封書化処理とを施したメッセージを、デジタル無線電話通信で送信する場合には、ＣＰＵ3000は、暗号処理プロセッサ3005を用いて、メッセージのデジタル署名処理と、封書化処理とを行ない、さらに、データコーデック3006を用いて、デジタル署名処理と封書化処理とを施したメッセージを、デジタル無線電話のデータ通信のデータ形式に符号化して、それを、制御ロジック部3008を介して、チャンネルコーデック3013へ送る。
【１２５３】
逆に、デジタル署名処理と封書化処理とが施されたメッセージを、デジタル無線電話通信で受信した場合には、ＣＰＵ3000は、受信したメッセージを、制御ロジック部3008を介して、チャンネルコーデック3013から読み出し、データコーデック3006を用いて、受信したメッセージを復号化し、さらに、暗号処理プロセッサ3005を用いて、封書化されているメッセージの暗号の復号化処理とメッセージに施されたデジタル署名の検証処理とを行なう。
【１２５４】
同様に、デジタル署名処理と封書化処理とを施したメッセージを、赤外線通信で送信する場合には、ＣＰＵ3000は、暗号処理プロセッサ3005を用いて、メッセージのデジタル署名処理と封書化処理とを行ない、さらに、データコーデック3006を用いて、デジタル署名処理と封書化処理とを施したメッセージを、赤外線通信のデータ形式に符号化して、それを、赤外線通信モジュール3007へ送る。
【１２５５】
逆に、デジタル署名処理と封書化処理とが施されたメッセージを、赤外線通信で受信した場合には、ＣＰＵ3000は、受信したメッセージを、赤外線通信モジュール3007から読み出し、データコーデック3006を用いて、受信したメッセージを復号化し、さらに、暗号処理プロセッサ3005を用いて、封書化されているメッセージの暗号の復号化処理とメッセージに施されたデジタル署名の検証処理とを行なう。
【１２５６】
マーチャントによるスイッチ操作を検出するキー操作制御部3009は、マーチャントが、モードスイッチ604、通話スイッチ605、終了スイッチ606、ファンクションスイッチ607、テンキースイッチ608、電源スイッチ611または実行スイッチ612のいずれかを押すと、キー操作制御部3009は、スイッチ操作に対応する処理を促す割込信号3038をアサートする。また、キー操作制御部3009は、図３１（ａ）に示すように、各スイッチの有効／無効を設定するキー操作制御レジスタ(KEYCTL)3112を具備している。ＣＰＵ3000は、このキー操作制御レジスタ(KEYCTL)3112をアクセスして、各スイッチの有効／無効を設定する。
【１２５７】
音声処理部3011は、図３１（ａ）に示すように、音声処理動作を制御する音声処理部制御レジスタ(SCTL)3111を具備している。ＣＰＵ3000は、この音声処理部制御レジスタ(SCTL)3111をアクセスして、音声処理部3011の動作を制御する。例えば、デジタル無線電話の着呼要求を受信した場合には、ＣＰＵ3000が、音声処理部制御レジスタ(SCTL)3111にアクセスして、デジタル無線電話の着信音を出力する設定を行なう。これによって、音声処理部3011が、スピーカ3010をドライブし、デジタル無線電話の着信音が出力される。但し、サービス提供システム110からの着呼要求であった場合には、着信音は出力せず、ＣＰＵ3000は、サービス提供システムとの通信セッションを確立する処理を開始する。
【１２５８】
音声コーデック3012は、音声処理部3011から入力するアナログ音声信号3042のデジタル音声データへの符号化と、チャンネルコーデック3013から、デジタル音声信号3046として読み出したデジタル音声データのアナログ音声信号3043への復号化とを行なう。アナログ音声信号3043は、音声処理部3011へ供給され、音声処理部3011が、アナログ音声信号3043を増幅し、レシーバ602をドライブすることによって、レシーバ602から音声が出力される。また、符号化によって生成されたデジタル音声データは、デジタル音声信号3046として、チャンネルコーデック3013へ供給され、実際に、無線チャンネルにのる送信データに変換される。
【１２５９】
また、音声コーデック3012は、音声データの暗号化、及び、復号化に用いる秘密鍵方式の暗号鍵を格納する音声データ暗号鍵レジスタ(CRYPT)3113を具備し、この音声データ暗号鍵レジスタ(CRYPT)3113に、ＣＰＵ3000によって音声データ暗号鍵が設定された場合、音声コーデック3012は、アナログ音声信号3042のデジタル音声データへの符号化と同時に、デジタル音声データの暗号化を行ない、デジタル音声データのアナログ音声信号3043への復号化と同時に、デジタル音声データの暗号の復号化を行なう。
【１２６０】
また、チャンネルコーデック3013には、送信するデータとして、二種類のデータが入力される。一つは、音声コーデック3012から、デジタル音声信号3046として入力するデジタル音声データであり、もう一つは、ＣＰＵ3000から、制御ロジック部3008を介して、デジタル信号3056として入力するデータ通信データである。
【１２６１】
チャンネルコーデック3013は、デジタル音声データ及びデータ通信データの識別情報を、ヘッダ情報として、それぞれのデータに付加し、さらに、デジタル無線電話のデータフォーマットに変換して、シリアル・デジタル信号3047を、変調部3014へ供給する。
【１２６２】
その逆に、チャンネルコーデック3013は、復調部3015から入力するシリアル・デジタル信号3048に対して、まず、ターミナルＩＤを照合して、自分宛のデータのみを抽出し、さらに、デジタル無線電話の通信制御情報を取り除き、データのヘッダ情報から、デジタル音声データとデータ通信データとを識別し、それぞれ、デジタル音声信号3046とデジタル信号3056として、音声コーデック3012と制御ロジック部3008とへ供給する。
【１２６３】
また、チャンネルコーデック3013は、デジタル無線電話を着信した時と、データ通信データを受信した時とに、割込信号3054をアサートし、デジタル音声データを受信した時に、制御信号3044をローレベルにする。割込信号3054は、ＣＰＵ3000に、デジタル無線電話の着信時の処理と、データ通信データの処理とを促す割込信号であり、制御信号3044は、音声コーデック3012に、受信したデジタル音声データの処理を促すローアクティブの制御信号である。
【１２６４】
チャンネルコーデック3013は、こうした動作を行なうために、図３１（ａ）に示すように、ターミナルＩＤを格納するＩＤレジスタ(ID)3105と、チャンネルコーデック3013の動作を制御するチャンネルコーデック制御レジスタ(CHCTL)3106と、音声コーデック3012から入力されるデジタル音声データを格納する音声送信バッファ3107と、受信データの中から抽出したデジタル音声データを格納する音声受信バッファ3108と、制御ロジック部3008を介してＣＰＵ3000から入力されるデータ通信データを格納するデータ送信バッファ3109と、受信データの中から抽出したデータ通信データを格納するデータ受信バッファ3110とを具備している。
【１２６５】
制御信号3045は、音声コーデック3012の音声送信バッファ3107への書き込み動作、及び音声受信バッファ3108からの読み出し動作を、チャンネルコーデック3013に示すための制御信号であり、音声コーデック3012は、制御信号3045をローレベルにして、音声送信バッファ3107にデジタル音声データを書き込み、制御信号3045をハイレベルにして、音声受信バッファ3108からデジタル音声データを読み出す。
【１２６６】
制御信号3055は、制御ロジック部3008を介してＣＰＵ3000が、データ送信バッファ3109に書き込む動作、及びデータ受信バッファ3110から読み出す動作を、チャンネルコーデック3013に示すための制御信号であり、制御信号3055をローレベルにして、データ送信バッファ3109にデータ通信データが書き込まれ、制御信号3055をハイレベルにして、データ受信バッファ3110からデータ通信データが読み出される。
【１２６７】
変調部3014は、チャンネルコーデック3013から入力するシリアル・デジタル信号3047を、ＰＬＬ3016から供給される発振電気信号3052をベースバンドとするアナログ送信信号3049に変換し、ＲＦ部3017へ供給する。ＲＦ部へ供給されたアナログ送信信号3049は、無線電波として、アンテナ601から出力される。
【１２６８】
逆に、無線電波をアンテナ601が受信すると、ＲＦ部3017から復調部3015にアナログ受信信号3050が入力される。復調部3015は、ＰＬＬ3016から供給される発振電気信号3053を、アナログ受信信号3050のベースバンドとして、アナログ受信信号3050を復調して、シリアル・デジタル信号3048を、チャンネルコーデック3013へ供給する。
【１２６９】
また、バッテリィ容量を検出するバッテリィ容量検出部3018は、マーチャント端末103のバッテリィの容量が、ＣＰＵ3000によって設定された値Ｑ（Ｑ＞０）以下になった時に、割込信号3057をアサートする。割込信号3057は、ＣＰＵ3000にＲＡＭ3002上のデータのバックアップ処理を促す割込信号でり、Ｑは、マーチャント端末103が、サービス提供システム110と通信して、ＲＡＭ3002上のデータを、サービス提供システム110にバックアップする処理（データバックアップ処理）を行なうのに十分な値である。
【１２７０】
また、制御ロジック部3008は、図３１（ａ）に示すように、その内部に、フレームカウンタ(FRAMEC)3100、起動フレームレジスタ(FRAME)3101、クロックカウンタ(CLOCKC)3102、アップデート時刻レジスタ(UPTIME)3103、割込レジスタ(INT)3104、及びキー表示レジスタ(KEY)3114の６つのレジスタを内蔵する。
【１２７１】
フレームカウンタ3100は、デジタル無線電話のフレーム数をカウントするカウンタ、起動フレームレジスタ3101は、次回の起動するフレーム番号を格納するレジスタ、クロックカウンタ3102は、現在の日付と時刻をカウントするカウンタ、アップデート時刻レジスタ3103は、マーチャント端末103が、サービス提供システム110と通信して、ＲＡＭ3002上のデータを更新する処理（データアッブデート処理）を行なう時刻を格納するレジスタ、割込レジスタ3104は、ＣＰＵ3000への割込の種類を示すレジスタ、そして、キー表示レジスタ(KEY)3114は、キー操作による割込に関して、その割込要因を示すレジスタである。
【１２７２】
一般に、デジタル無線電話では、デジタル無線電話の制御チャンネルの制御データを間欠的に受信し、ターミナルＩＤと照合することによって、自分宛の電話の着信を実現している。このマーチャント端末103では、フレームカウンタ3100と起動フレームレジスタ3101とを用いて、制御データの間欠受信を行なう。予め、起動フレームレジスタ3101に、次回に起動するフレーム番号を格納しておき、フレームカウンタ3100がカウントアップして、起動フレームレジスタ3101の値に等しくなった時、制御ロジック部3008が、アドレス・データ信号線3058を介して、チャンネルコーデック3013、ＰＬＬ3016、及びＲＦ部3017を起動し、制御データの受信を行なう。
【１２７３】
また、制御ロジック部3008は、クロックカウンタ3102の値が、アップデート時刻レジスタ3103の値に一致した場合、及び割込信号3038,3054,3057のいずれかの割込信号がアサートされた場合に、その割込の種類と割込要因とを、それぞれ、割込レジスタ(INT)3104とキー表示レジスタ(KEY)3114とに設定して、割込信号3019をアサートし、ＣＰＵ3000に割込処理を促す。ＣＰＵ3000は、割込処理で、割込レジスタ(INT)3104とキー表示レジスタ(KEY)3114とを読みだし、その割込の種類と割込要因とに応じた処理を行なう。
【１２７４】
この割込レジスタ(INT)3104の各ビットフィールドは、図３１（ｂ）に示すように意味づけられている。
【１２７５】
ビット３１は、電源スイッチ611の状態を示し、値が０の時、パワーオフの状態であることを示し、値が１の時、パワーオンの状態であることを示す。
【１２７６】
ビット３０は、デジタル無線電話通信の状態を示し、値が０の時、デジタル無線電話通信をしていない状態であることを示し、値が１の時、デジタル無線電話通信をしている状態であることを示す。
【１２７７】
ビット２９は、制御データの間欠受信を促すフレーム割込の発生を示し、値が１の時、フレーム割込が起こったことを示す。このビットフィールドには、フレームカウンタ3100の値が、起動フレームレジスタ3101の値に一致した時に、１が設定される。
【１２７８】
ビット２８は、着信割込の発生を示し、値が１の時、デジタル無線電話を着信したことを示す。このビットフィールドには、デジタル無線電話の制御データの間欠受信において、ターミナルＩＤが一致し、割込信号3054がアサートされた時に、１が設定される。
【１２７９】
ビット２７は、データ受信割込の発生を示し、値が１の時、データ受信データを受信したことを示す。このビットフィールドには、デジタル無線電話通信において、データ通信データを受信し、割込信号3054がアサートされた時に、１が設定される。
【１２８０】
ビット２６は、データアッブデート処理を促すアップデート割込の発生を示し、値が１の時、アップデート割込が起こったことを示す。このビットフィールドには、クロックカウンタ3102の値が、アップデート時刻レジスタ3103の値に一致した時に、１が設定される。
【１２８１】
ビット２５は、データバックアップ処理を促すバッテリィ割込の発生を示し、値が１の時、バッテリィ割込が起こったことを示す。このビットフィールドには、バッテリィ容量検出部3018から入力する割込信号3057がアサートされた時に、１が設定される。
【１２８２】
ビット２４は、スイッチ操作によるキー割込の発生を示し、値が１の時、キー割込が起こったことを示す。
【１２８３】
また、キー表示レジスタ(KEY)3114の各ビットフィールドは、図３１（ｃ）に示すように意味づけられている。
【１２８４】
ビット３１からビット２５は、それぞれ、テンキースイッチ608の“＝”と“＋”、“−”、“×”、“÷”、“．”、“合計”のスイッチに対応し、ビット２０からビット１６は、それぞれ、終了スイッチ606、通話スイッチ605、モードスイッチ604、実行スイッチ612、電源スイッチ611に対応し、ビット１５からビット１２は、それぞれ、ファンクションスイッチ307の“F4”から“F1”のスイッチに対応し、ビット１１とビット１０とは、それぞれ、テンキースイッチの“＃”と“＊”のスイッチに対応し、ビット９からビット０は、それぞれ、テンキースイッチ608の９から０のスイッチに対応し、ビットの値が１の時、そのビットに対応するスイッチが押されたことを示す。
【１２８５】
次に、ＲＡＭ3002に格納されるデータに関して説明する。
【１２８６】
図３２は、ＲＡＭ3002に格納されるデータのＲＡＭマップの摸式図である。
【１２８７】
ＲＡＭ3002には、基本プログラム領域3200、サービスデータ領域3201、マーチャント領域3202、ワーク領域3203、及びテンポラリ領域3204の５つの領域がある。基本プログラム領域3200は、ＲＯＭ3001に格納されているプログラムのバージョンアップされたモジュール、並びに、パッチプログラム及び追加プログラムが格納される。マーチャント領域3202は、マーチャントが自由に使用できる領域、ワーク領域3203は、ＣＰＵ100が、プログラムを実行する際に使用する作業領域、テンポラリ領域3204は、マーチャント端末が受信した情報を、一時的に、格納する領域である。
【１２８８】
サービスデータ領域3201は、モバイル・エレクトロニックコマース・サービスにおける契約情報、取扱クレジットカード情報、取扱プリペイドカード情報、及び履歴情報を格納する領域であり、この領域のデータは、サービス提供システムに管理される。サービスデータ領域3201には、さらに、データ管理情報3205、マーチャント情報3206、マーチャント公開鍵証明書3207、マーチャント設定情報3208、電話情報3209、クレジットカードリスト3210、プリペイドカードリスト3211、トランザクション履歴リスト3212、照会結果リスト3213、及び実体データ領域3214の１０の領域がある。
【１２８９】
データ管理情報3205は、サービスデータ領域3201に格納されている情報の管理情報を格納する領域、マーチャント情報3206は、マーチャントの名称、サービス提供者との契約内容等の情報を格納する領域、マーチャント公開鍵証明書3207は、マーチャントの公開鍵証明書を格納する領域、マーチャント設定情報3208は、モバイル・エレクトロニックコマース・サービスに関する、マーチャントの設定情報を格納する領域、電話情報3209は、デジタル無線電話に関連する情報を格納する領域、クレジットカードリスト3210は、マーチャントが取り扱うことができるクレジットカードのリスト情報を格納する領域、プリペイドカードリスト3211は、マーチャントが取り扱うことができるプリペイドカードのリスト情報を格納する領域、トランザクション履歴リスト3212は、モバイル・エレクトロニックコマース・サービスでの販売の履歴情報を格納する領域、照会結果リスト3213は、取扱ったマイクロ小切手をサービス提供システムに照会した結果（マイクロ小切手照会結果）を格納する領域、実体データ領域3214は、他の９つの領域で、管理されている情報の実体データを格納する領域である。
【１２９０】
次に、サービスデータ領域3201に格納される情報について詳しく説明する。
【１２９１】
図３３は、サービスデータ領域3201に格納される情報の関係を詳細に表した摸式図である。
【１２９２】
データ管理情報3205は、アップデート日時3300、次回アップデート日時330、ターミナルステイタス3302、マーチャント情報アドレス3303、マーチャント公開鍵証明書アドレス3304、マーチャント設定情報アドレス3305、電話情報アドレス3306、クレジットカードリストアドレス3307、プリペイドカードリストアドレス3308、トランザクション履歴リストアドレス3309、及び照会結果リストアドレス3310の１１の情報によって構成される。
【１２９３】
アップデート日時3300は、サービス提供システム110が、前回、ＲＡＭ3002のデータを更新した日時を示し、次回アップデート日時3301は、次回のサービス提供システム110によるサービスデータ領域3201のデータ更新の予定日時を示す。
【１２９４】
マーチャント端末103は、次回アップデート日時3301の設定された時間になると、自動的に、データアップデート処理を開始する。
【１２９５】
この次回アップデート日時3301の値は、アップデート時刻レジスタ3103に設定され、次回アップデート日時3301の時刻になると、マーチャント端末103は、データアップデート処理を開始する。データアップデート処理は、サービス提供システム110が、ＲＡＭのデータを更新する処理であり、通常、通信のトラフィックが、比較的、混んでいない時間帯（例：深夜）に、毎日、行なう。データアップデート処理については、後で詳しく説明する。
【１２９６】
ターミナルステイタス3302は、マーチャント端末の状態を示し、マーチャント情報アドレス3303、マーチャント公開鍵証明書アドレス3304、マーチャント設定情報アドレス3305、電話情報アドレス3306、クレジットカードリストアドレス3307、プリペイドカードリストアドレス3308、トランザクション履歴リストアドレス3309、及び照会結果アドレス3310は、それぞれ、マーチャント情報3206、マーチャント公開鍵証明書3207、マーチャント設定情報3208、電話情報3209、クレジットカードリスト3210、プリペイドカードリスト3211、トランザクション履歴リスト3212、及び照会結果リスト3213が格納されている領域の先頭番地を示す。
【１２９７】
電話情報3209は、さらに、発信電話番号3311、電話帳アドレス3312、及び短縮ダイアル設定ファイルアドレス3313の３つの情報によって構成される。発信電話番号3311は、マーチャントが、前回、かけた電話の電話番号を示し、この情報は、デジタル無線電話の再送時に用いられる。電話帳アドレス3312と、短縮ダイアル設定ファイルアドレス3313とは、それぞれ、電話帳情報、短縮ダイアル設定ファイルが格納されている実体データ領域3214のアドレスを示す。
【１２９８】
クレジットカードリスト3210には、マーチャントが取り扱うことができるクレジットカードのリスト情報が格納されている。クレジットカードリスト3210では、一つのクレジットカードに対して、クレジットカード名3314、サービスコードリストアドレス3315、及びクレジットカード決済プログラムアドレス3316の３つの情報が格納されている。クレジットカード名3314は、マーチャントが取り扱うことができるクレジットカードの名称を示す情報であり、サービスコードリストアドレス3315は、その電子クレジットカードによって提供されるサービスの内、マーチャントが取り扱うことができるサービスのリスト情報が格納されている実体データ領域3214のアドレスを示す。サービスコードリストは、マーチャントが取り扱うことができる支払サービスコードと、支払オプションコードとのリストである。クレジットカード決済プログラムアドレス3316は、その電子クレジットカードによるクレジットカード決済処理のプログラムが格納されている実体データ領域3214のアドレスを示す。
【１２９９】
プリペイドカードリスト3211には、マーチャントが取り扱うことができるプリペイドカードのリスト情報が格納されている。
【１３００】
プリペイドカードリスト3211では、一つのプリペイドカードに対して、カード名3317、カードコード3318、プリペイドカード発行者ＩＤ3319、有効期間3320、課金装置認証プライベート鍵3321、カード認証公開鍵3322、及びプリペイドカード決済モジュールアドレス3323の７つの情報が格納されている。カード名3317は、マーチャントが取り扱うことができるプリペイドカードの名称を示す情報であり、カードコード3318は、その電子プリペイドカードの種類を示すコード情報、プリペイドカード発行者ＩＤ3319は、プリペイドカード発行者のＩＤ情報、有効期間3320は、その電子プリペイドカードの有効期間である。課金装置認証プライベート鍵3321及びカード認証公開鍵3322は、それぞれ、電子プリペイドカードの課金装置認証公開鍵2012及びカード認証プライベート鍵2011と対となる暗号鍵である。
【１３０１】
プリペイドカード決済モジュールアドレス3323は、その電子プリペイドカードとの間で、プリペイドカード決済の処理をするプログラムモジュール（プリペイドカード決済モジュール）が格納されている実体データ領域3214のアドレスを示す。
【１３０２】
プリペイドカードリスト3211の内容は、マーチャントとサービス提供者との間の契約に基づいて、サービス提供システムが、データアップデート処理によって設定、更新する。
【１３０３】
トランザクション履歴リスト3212には、モバイル・エレクトロニックコマース・サービスでの販売の履歴情報を管理するリスト情報が格納されている。トランザクション履歴リスト3212では、一つのモバイル・エレクトロニックコマース・サービスにおける販売に対して、トランザクション番号3324、サービスコード3325、トランザクション時刻3326、及びトランザクション情報アドレス3327の４つの情報が格納される。
【１３０４】
トランザクション番号3324は、ユーザとの取引を（マーチャントからみて）ユニークに示す番号であり、サービスコード3325は、ユーザが利用したモバイル・エレクトロニックコマース・サービスの種類を示すコード情報、トランザクション時刻3326は、モバイル・エレクトロニックコマース・サービスによって、商品やサービスを販売した時刻を示す情報である。
【１３０５】
トランザクション情報アドレス3327は、販売内容を示すマイクロ小切手と領収書とが格納されているアドレスを示す。トランザクション情報アドレス3327には、実体データ領域3214のアドレスを示すローカルアドレス、または、サービス提供システム110のマーチャント情報サーバ903上のアドレスを示すリモートアドレスが格納される。トランザクション情報アドレス3327に、リモートアドレスが格納されている場合、マーチャントが、その販売履歴情報をアクセスすると、マーチャント端末103は、サービス提供システムから、販売情報をテンポラリ領域にダウンロードして、ＬＣＤに表示する。
【１３０６】
トランザクション情報アドレス3327に格納されるアドレスは、サービス提供システムによって決定される。データアップデート処理の際に、各販売情報のトランザクション時刻を比較し、トランザクション時刻が最近の販売情報にローカルアドレスが割り当てられる。但し、ＲＡＭ3002の容量に余裕がある場合には、全てのトランザクション情報アドレスが、ローカルアドレスである場合もある。
【１３０７】
照会結果リスト3213には、マイクロ小切手照会の処理の結果を管理するリスト情報として、マイクロ小切手照会の結果が格納されているアドレスを示す照会結果アドレス3328のリストが格納されている。
【１３０８】
照会結果アドレス3328には、実体データ領域3214のアドレスを示すローカルアドレス、または、サービス提供システム110のマーチャント情報サーバ903上のアドレスを示すリモートアドレスが格納される。照会結果アドレス3328に、リモートアドレスが格納されている場合、マーチャントが、その照会結果をアクセスすると、マーチャント端末103は、サービス提供システムから、照会結果をテンポラリ領域にダウンロードして、ＬＣＤに表示する。
【１３０９】
照会結果アドレス3328に格納されるアドレスは、サービス提供システムによって決定される。データアップデート処理の際に、各照会結果の発行日時を比較し、発行日時が最近の情報に対して、ローカルアドレスが割り当てられる。但し、ＲＡＭ3002の容量に余裕がある場合には、全ての照会結果アドレスが、ローカルアドレスである場合もある。
【１３１０】
次に、自動販売機104の内部の構成を説明する。
【１３１１】
図３４は、自動販売機104のブロック構成図である。自動販売機104の内部は、課金装置3455及び販売機構部3456の２つの部分に分けることができる。課金装置3455は、モバイルユーザ端末100とのプリペイドカード決済の処理を行なう部分であり、販売機構部3456は、決済処理以外の処理、具体的には、ユーザが選択した商品の代金計算とその表示、取出口703への商品の出力、及び商品の在庫管理を行なう部分である。
【１３１２】
図３４において、まず、課金装置3455は、ＲＯＭ(Read Only Memory)3401に格納されたプログラムにしたがって、送信データ及び受信データの処理、並びに、バス3445を介して他の構成要素の制御を行なうＣＰＵ(Central Processing Unit)3400と、ＣＰＵ3400が処理するデータ、及びＣＰＵ3400が処理したデータが格納されるＲＡＭ(Random Access Memory)3402と、課金装置3455の課金装置ＩＤ、無線電話端末としてのターミナルＩＤ及び電話番号、マーチャントＩＤ、マーチャントのデジタル署名用のプライベート鍵及び公開鍵、サービス提供者ＩＤ、サービス提供システム110の電話番号（サービス提供システムの電話番号には、サービス提供者のデジタル署名が施されている）、並びにサービス提供者の公開鍵が格納されるＥＥＰＲＯＭ(Electric Erasable Programmable Read Only Memory)3403と、ＣＰＵ3400の制御にしたがってデータの暗号化処理及び復号化処理を行なう暗号処理プロセッサ3404と、ＣＰＵ3400の制御にしたがって送信データの符号化及び受信データの復号化を行なうデータコーデック3405と、赤外線通信の際に赤外線の送信及び受信を行なう赤外線通信モジュール3406と、無線チャンネルにのる送信データの生成と受信データからの自分宛のデータの抽出とを行なうチャンネルコーデック3408と、チャンネルコーデック3408から入力するシリアル・デジタル信号3433を、ＰＬＬ3412から供給される発振電気信号3440をベースバンドとするアナログ送信信号3435に変換する変調部3409と、ＰＬＬ3412から供給される発振電気信号3439をアナログ受信信号3436のベースバンドとしてアナログ受信信号3436を復調し、シリアル・デジタル信号3434をチャンネルコーデック3408へ供給する復調部3410と、変調部3409から供給されたアナログ送信信号3435を無線電波に変えてアンテナ701から出力し、逆に、無線電波をアンテナ701が受信すると、復調部3410にアナログ受信信号3436を入力するＲＦ部3411と、販売機構部3456とのインターフェイスとなる外部インターフェイス部3413と、チャンネルコーデック3408、ＰＬＬ3412及びＲＦ部3411の起動制御、チャンネルコーデック3408及び外部インターフェイス部3413から入力する割込信号の処理、並びに、ＣＰＵ3400がチャンネルコーデック3408、ＰＬＬ3412、ＲＦ部3411、または外部インターフェイス部3413をアクセスする際の、インターフェースの役割を果たす制御ロジック部3407とを備えている。
【１３１３】
販売機構部3456は、タッチパネルＬＣＤ702と、スピーカ3415と、商品選択スイッチ704と、売切れ表示705と、商品の代金を計算する代金計算部3416と、商品の在庫管理を行なう商品管理部3417と、購入された商品を受取口703に出力する商品出力機構部3418と、ＣＤ-ＲＯＭドライブ3419と、タッチパネルＬＣＤ702、スピーカ3415、売切れ表示（ＬＥＤ）705、代金計算部3416、商品管理部3417、商品出力機構部3418、及びＣＤ-ＲＯＭドライブ3419の動作を制御する制御部3414とを備えている。
【１３１４】
課金装置3455と販売機構部3456とは、外部インターフェイス部3413を介して通信を行ない、課金装置3455は、販売機構部3456からの課金処理要求に対して、指定された金額のプリペイドカード決済の処理を行なう。プリペイドカード決済を行なう金額は、販売機構部3456の代金計算部3416が計算する。つまり、課金装置3455は、プリペイドカード決済の処理のみを行ない、それ以外の自動販売機としての処理は、販売機構部3456が行なう。
【１３１５】
販売機構部3456には、大きく分けて、購入モードと商品説明モードとの２つの動作モードがあり、購入モードは、ユーザが商品を購入するモードであり、商品説明モードは、ユーザが商品を購入する前に（または商品を購入した後に）「商品に関する情報」を得るモードである。
【１３１６】
タッチパネルＬＣＤ702には、制御部3414からの制御にしたがい、操作メニューや各種の情報が表示される。通常、タッチパネルＬＣＤ702には、図７に示すような操作メニューが表示されている。ユーザが“購入”を押すと（購入開始操作）、販売機構部3456は、購入モードになり、“商品説明”を押すと、商品説明モードになる。
【１３１７】
ＣＤ-ＲＯＭドライブ3419には、「商品に関する情報」を収めたＣＤ-ＲＯＭがセットされており、操作メニューの「商品説明」を押して、商品説明モードになると、そのＣＤ-ＲＯＭに収められた情報が、タッチパネルＬＣＤ702とスピーカ3415とから出力される。
【１３１８】
ＣＤ-ＲＯＭに収められる「商品に関する情報」は、テキスト、画像、ビデオ、及び音声を含んだマルチメディア情報であり、商品のＣＦ(Commercial Film)のビデオ情報であってもよい。特に、商品が、ビデオや音楽ＣＤ(Compact Disk)、ゲームソフト等のパッケージメディア商品の場合には、ＣＤ-ＲＯＭには、商品のサンプル情報が収められ、商品説明モードにおいて、ユーザは商品を試すことができる。
【１３１９】
また、操作メニューの“購入”を押して、購入モードになると、タッチパネルＬＣＤには、「ご希望の商品を選択してください」というメッセージが表示され（商品選択操作待ち表示）、販売機構部は、商品選択操作待ち状態となる。ユーザが商品選択スイッチを押すと、タッチパネルＬＣＤには、選択された商品の名前と数量と合計金額と、さらに、支払操作の開始を示す“支払”ボタンが表示される（支払開始操作待ち表示）。この時、代金計算部3416が、合計金額の計算を行ない、商品管理部3417が商品の在庫数を検証する。この処理は、ユーザが商品選択スイッチを押す度に行なわれ、在庫がなくなると、売切れ表示（ＬＥＤ）が点灯され、その商品に関しては、それ以上選択できなくなる。
【１３２０】
ユーザが“支払”ボタンを押すと（支払開始操作）、制御部3414は、代金計算部3416が計算した合計金額に相当する金額の課金処理要求を課金装置3455へ送り、タッチパネルＬＣＤには、電子プリペイドカードによる代金の支払を促すメッセージを表示する（支払操作待ち表示）。
【１３２１】
課金装置3455とモバイルユーザ端末100との間で、プリペイドカード決済の処理が完了すると、制御部3414は、商品出力機構部3418を制御して、購入された商品を取出口703に出力し、タッチパネルＬＣＤには、決済処理の完了を示すメッセージを表示し、しばらくして、再び、操作メニューを表示する。この時、決済処理の完了を示すメッセージの代わりに、ＣＤ-ＲＯＭに収められているマルチメディア情報を出力してもよい。
【１３２２】
課金装置3455は、販売機構部3456から要求されたプリペイドカード決済の処理を行なう装置であり、部分的に、マーチャント端末103と同様の構成を有している。マーチャント端末103との違いは、課金装置3455には、音声コーデック等の音声処理を行なう部分や、テンキースイッチや実行スイッチ、バーコードリーダ、ＬＣＤ等の入出力インターフェイスがなく、その代わりに、販売機構部3456と通信をする外部インターフェイス部3413を備えている。
【１３２３】
また、機能的には、課金装置には、クレジットカード決済の機能と、デジタル無線電話通信で、通話をする機能はなく、デジタル無線電話通信の機能は、サービス提供システムとのデータ通信に用いられる。
【１３２４】
暗号処理プロセッサ3404は、秘密鍵方式の暗号化及び復号化の機能と公開鍵方式の暗号化及び復号化の機能とを持ち、ＣＰＵ3400によって設定された暗号方式と鍵とで、ＣＰＵ3400によって設定されたデータを暗号化処理または復号化処理する。この暗号処理プロセッサ3404の暗号化及び復号化の機能を用いて、メッセージのデジタル署名処理、または、封書化処理を行ない、また、封書化されたメッセージの暗号の復号化処理、または、デジタル署名されたメッセージのデジタル署名の検証処理を行なう。
【１３２５】
また、データコーデック3405は、ＣＰＵ3400の制御にしたがって送信データの符号化及び受信データの復号化を行なうが、この場合の符号化とは、通信制御情報、誤り訂正情報を含んだ、実際に送信されるデータを生成する処理を意味し、復号化とは、受信データに対し、誤り訂正処理を施し、余分な通信制御情報を取り除き、本来、送り手が送信しようとしたデータを生成する処理を意味する。データコーデック3405は、デジタル無線電話のデータ通信におけるデータの符号化及び復号化の機能と、赤外線通信におけるデータの符号化及び復号化の機能とを持ち、ＣＰＵ3400によって設定されたデータに対して、ＣＰＵ3400によって設定された符号化処理及び復号化処理を行なう。
【１３２６】
例えば、デジタル署名処理と封書化処理とを施したメッセージを、デジタル無線電話通信で送信する場合には、ＣＰＵ3400は、暗号処理プロセッサ3404を用いて、メッセージのデジタル署名処理と封書化処理とを行ない、さらに、データコーデック3405を用いて、デジタル署名処理と封書化処理とを施したメッセージを、デジタル無線電話のデータ通信のデータ形式に符号化して、それを、制御ロジック部3407を介して、チャンネルコーデック3408へ送る。
【１３２７】
逆に、デジタル署名処理と封書化処理とが施されたメッセージを、デジタル無線電話通信で受信した場合には、ＣＰＵ3400は、受信したメッセージを、制御ロジック部3407を介して、チャンネルコーデック3408から読み出し、データコーデック3405を用いて、受信したメッセージを復号化し、さらに、暗号処理プロセッサ3404を用いて、封書化されているメッセージの暗号の復号化処理とメッセージに施されたデジタル署名の検証処理とを行なう。
【１３２８】
同様に、デジタル署名処理と封書化処理とを施したメッセージを、赤外線通信で送信する場合には、ＣＰＵ3400は、暗号処理プロセッサ3404を用いて、メッセージのデジタル署名処理と封書化処理とを行ない、さらに、データコーデック3405を用いて、デジタル署名処理と封書化処理とを施したメッセージを、赤外線通信のデータ形式に符号化して、それを、赤外線通信モジュール3406へ送る。
【１３２９】
逆に、デジタル署名処理と封書化処理とが施されたメッセージを、赤外線通信で受信した場合には、ＣＰＵ3400は、受信したメッセージを、赤外線通信モジュール3406から読み出し、データコーデック3405を用いて、受信したメッセージを復号化し、さらに、暗号処理プロセッサ3404を用いて、封書化されているメッセージの暗号の復号化処理とメッセージに施されたデジタル署名の検証処理とを行なう。
【１３３０】
また、チャンネルコーデック3408には、ＣＰＵ3400から、制御ロジック部3407を介して、データが入力する。
【１３３１】
チャンネルコーデック3408は、ＣＰＵ3400から、制御ロジック部3407を介して、デジタル信号3429として入力するデータ通信データに、データ通信データであることを示す識別情報を、ヘッダ情報として付加し、さらに、デジタル無線電話のデータフォーマットに変換して、シリアル・デジタル信号3433を、変調部3409へ供給する。
【１３３２】
その逆に、チャンネルコーデック3408は、復調部3410から入力するシリアル・デジタル信号3434に対して、まず、ターミナルＩＤを照合して、自分宛のデータのみを抽出し、さらに、デジタル無線電話の通信制御情報を取り除き、データのヘッダ情報から、デジタル音声データとデータ通信データとを区別し、データ通信データをデジタル信号3429として、制御ロジック部3407へ供給する。
【１３３３】
また、チャンネルコーデック3408は、デジタル無線電話を着信した時、及びデータ通信データを受信した時に、割込信号3431をアサートする。割込信号3431は、ＣＰＵ3400に、デジタル無線電話の着信時の処理と、データ通信データの処理とを促す割込信号である。
【１３３４】
チャンネルコーデック3408は、こうした動作を行なうために、図３５（ａ）に示すように、ターミナルＩＤを格納するＩＤレジスタ(ID)3505と、チャンネルコーデック3408の動作を制御するチャンネルコーデック制御レジスタ(CHCTL)3506と、制御ロジック部3407を介してＣＰＵ3400から入力されるデータ通信データを格納するデータ送信バッファ3507と、受信データの中から抽出したデータ通信データを格納するデータ受信バッファ3508とを具備している。
【１３３５】
制御信号3432は、制御ロジック部3407を介してＣＰＵ3400が、データ送信バッファ3507へ書き込む動作、及びデータ受信バッファ3508から読み出す動作を、チャンネルコーデック3408に示すための制御信号であり、制御信号3432をローレベルにして、データ送信バッファ3507にデータ通信データが書き込まれ、制御信号3432をハイレベルにして、データ受信バッファ3508からデータ通信データが読み出される。
【１３３６】
変調部3409は、チャンネルコーデック3408から入力するシリアル・デジタル信号3433を、ＰＬＬ3412から供給される発振電気信号3440をベースバンドとするアナログ送信信号3435に変換し、ＲＦ部3411へ供給する。ＲＦ部へ供給されたアナログ送信信号3435は、無線電波として、アンテナ701から出力される。
【１３３７】
逆に、無線電波をアンテナ701が受信すると、ＲＦ部3411から復調部3410にアナログ受信信号3436が入力される。復調部3410は、ＰＬＬ3412から供給される発振電気信号3439を、アナログ受信信号3436のベースバンドとして、アナログ受信信号3436を復調し、シリアル・デジタル信号3434を、チャンネルコーデック3408へ供給する。
【１３３８】
外部インターフェイス部3413は、課金装置3455と販売機構部3456とを接続するインターフェイス回路であり、課金処理要求は、割込処理によって販売機構部3456から課金装置3455へ伝えられる。この場合の割込処理は、外部インターフェイス部3413が割込信号3443をアサートすることによってＣＰＵ3400に促される。
【１３３９】
また、制御ロジック部3407は、図３５（ａ）に示すように、その内部に、フレームカウンタ(FRAMEC)3500、起動フレームレジスタ(FRAME)3501、クロックカウンタ(CLOCKC)3502、アップデート時刻レジスタ(UPTIME)3503、及び割込レジスタ(INT)3504の５つのレジスタを内蔵する。
【１３４０】
フレームカウンタ3500は、デジタル無線電話のフレーム数をカウントするカウンタ、起動フレームレジスタ3501は、次回の起動するフレーム番号を格納するレジスタ、クロックカウンタ3502は、現在の日付と時刻をカウントするカウンタ、アップデート時刻レジスタ3503は、自動販売機104が、サービス提供システム110と通信して、ＲＡＭ3402上のデータを更新する処理（データアップデート処理）を行なう時刻を格納するレジスタ、割込レジスタ3504は、ＣＰＵ3400への割込の種類を示すレジスタである。
【１３４１】
一般に、デジタル無線電話では、デジタル無線電話の制御チャンネルの制御データを間欠的に受信し、ターミナルＩＤと照合することによって、自分宛の電話の着信を実現している。この自動販売機104では、フレームカウンタ3500と起動フレームレジスタ3501とを用いて、制御データの間欠受信を行なう。予め、起動フレームレジスタ3501に、次回に起動するフレーム番号を格納しておき、フレームカウンタ3500がカウントアップして、起動フレームレジスタ3501の値に等しくなった時、制御ロジック部3407が、チャンネルコーデック3408、ＰＬＬ3412、及びＲＦ部3411を起動し、制御データの受信を行なう。
【１３４２】
また、制御ロジック部3407は、クロックカウンタ3502の値が、アップデート時刻レジスタ3503の値に一致した場合、及び、割込信号3431,3443のいずれかの割込信号がアサートされた場合に、その割込の種類と割込要因とを割込レジスタ(INT)3504に設定して、割込信号3428をアサートし、ＣＰＵ3400に割込処理を促す。ＣＰＵ3400は、割込処理で、割込レジスタ(INT)3504を読みだし、その割込の種類と割込要因とに応じた処理を行なう。
【１３４３】
この割込レジスタ(INT)3504の各ビットフィールドは、図３５（ｂ）に示すように意味づけられている。
【１３４４】
ビット３０は、デジタル無線電話通信の状態を示し、値が０の時、デジタル無線電話通信をしていない状態であることを示し、値が１の時、デジタル無線電話通信をしている状態であることを示す。
【１３４５】
ビット２９は、制御データの間欠受信を促すフレーム割込の発生を示し、値が１の時、フレーム割込が起こったことを示す。このビットフィールドには、フレームカウンタ3500の値が、起動フレームレジスタ3501の値に一致した時に、１が設定される。
【１３４６】
ビット２８は、着信割込の発生を示し、値が１の時、デジタル無線電話を着信したことを示す。このビットフィールドには、デジタル無線電話の制御データの間欠受信において、ターミナルＩＤが一致し、割込信号3431がアサートされた時に、１が設定される。
【１３４７】
ビット２７は、データ受信割込の発生を示し、値が１の時、データ受信データを受信したことを示す。このビットフィールドには、デジタル無線電話通信において、データ通信データを受信し、割込信号3431がアサートされた時に、１が設定される。
【１３４８】
ビット２６は、データアップデート処理を促すアップデート割込の発生を示し、値が１の時、アップデート割込が起こったことを示す。このビットフィールドには、クロックカウンタ3502の値が、アップデート時刻レジスタ3503の値に一致した時に、１が設定される。
【１３４９】
ビット２５は、販売機構部3456とのデータ通信の処理を促す外部ＩＦ割込の発生を示し、値が１の時、外部ＩＦ割込が起こったことを示す。このビットフィールドには、外部インターフェイス部3413から入力する割込信号3443がアサートされた時に、１が設定される。
【１３５０】
次に、ＲＡＭ3402に格納されるデータに関して説明する。
【１３５１】
図３６は、ＲＡＭ3402に格納されるデータのＲＡＭマップの摸式図である。
【１３５２】
ＲＡＭ3402には、基本プログラム領域3600、サービスデータ領域3601、ワーク領域3602、及びテンポラリ領域3603の４つの領域がある。基本プログラム領域3600は、ＲＯＭ3401に格納されているプログラムのバージョンアップされたモジュール、並びに、パッチプログラム及び追加プログラムが格納される。ワーク領域3602は、ＣＰＵ100が、プログラムを実行する際に使用する作業領域、テンポラリ領域3603は、自動販売機が受信した情報を一時的に格納する領域である。
【１３５３】
サービスデータ領域3601は、モバイル・エレクトロニックコマース・サービスにおける契約情報や、取扱プリペイドカード情報、履歴情報を格納する領域であり、この領域のデータは、サービス提供システムに管理される。サービスデータ領域3601には、さらに、データ管理情報3604、マーチャント情報3605、マーチャント公開鍵証明書3606、マーチャント設定情報3607、プリペイドカードリスト3608、トランザクション履歴リスト3609、及び実体データ領域3610の７つの領域がある。
【１３５４】
データ管理情報3604は、サービスデータ領域3601に格納されている情報の管理情報を格納する領域、マーチャント情報3605は、マーチャントの名称、サービス提供者との契約内容等の情報を格納する領域、マーチャント公開鍵証明書3606は、マーチャントの公開鍵証明書を格納する領域、マーチャント設定情報3607は、モバイル・エレクトロニックコマース・サービスに関する、マーチャントの設定情報を格納する領域、プリペイドカードリスト3608は、マーチャントが取り扱うことができるプリペイドカードのリスト情報を格納する領域、トランザクション履歴リスト3609は、モバイル・エレクトロニックコマース・サービスでの販売の履歴情報を格納する領域、実体データ領域3610は、他の６つの領域で、管理されている情報の実体データを格納する領域である。
【１３５５】
次に、サービスデータ領域3601に格納される情報について詳しく説明する。
【１３５６】
図３７は、サービスデータ領域3601に格納される情報の関係を詳細に表した摸式図である。
【１３５７】
データ管理情報3604は、アップデート日時3700、次回アップデート日時3701、課金装置ステイタス3702、マーチャント情報アドレス3703、マーチャント公開鍵証明書アドレス3704、マーチャント設定情報アドレス3705、プリペイドカードリストアドレス3706、及びトランザクション履歴リストアドレス3707の８つの情報によって構成される。
【１３５８】
アップデート日時3700は、サービス提供システム110が、前回、ＲＡＭ3402のデータを更新した日時を示し、次回アップデート日時3701は、次回のサービス提供システム110によるサービスデータ領域3601のデータ更新の予定日時を示す。
【１３５９】
自動販売機104は、次回アップデート日時3701の設定された時間になると、自動的に、データアップデート処理を開始する。
【１３６０】
この次回アップデート日時3701の値は、アップデート時刻レジスタ3503に設定され、次回アップデート日時3701の時刻になると、自動販売機104は、データアップデート処理を開始する。データアップデート処理は、サービス提供システム110が、ＲＡＭのデータを更新する処理であり、通常、通信のトラフィックが、比較的、混んでいない時間帯（例：深夜）に、毎日、行なう。データアップデート処理については、後で詳しく説明する。
【１３６１】
課金装置ステイタス3702は、課金装置3455の状態を示し、マーチャント情報アドレス3703、マーチャント公開鍵証明書アドレス3704、マーチャント設定情報アドレス3705、プリペイドカードリストアドレス3706、及びトランザクション履歴リストアドレス3707は、それぞれ、マーチャント情報3605、マーチャント公開鍵証明書3606、マーチャント設定情報3607、プリペイドカードリスト3608、及びトランザクション履歴リスト3609が格納されている領域の先頭番地を示す。
【１３６２】
プリペイドカードリスト3608には、マーチャントが取り扱うことができるプリペイドカードのリスト情報が格納されている。
【１３６３】
プリペイドカードリスト3608では、一つのプリペイドカードに対して、カード名3708、カードコード3709、プリペイドカード発行者ＩＤ3710、有効期間3711、課金装置認証プライベート鍵3712、カード認証公開鍵3713、及びプリペイドカード決済モジュールアドレス3714の７つの情報が格納されている。カード名3708は、マーチャントが取り扱うことができるプリペイドカードの名称を示す情報であり、カードコード3709は、その電子プリペイドカードの種類を示すコード情報、プリペイドカード発行者ＩＤ3710は、プリペイドカード発行者のＩＤ情報、有効期間3711は、その電子プリペイドカードの有効期間である。課金装置認証プライベート鍵3712及びカード認証公開鍵3713は、それぞれ、電子プリペイドカードの課金装置認証公開鍵2012及びカード認証プライベート鍵2011と対となる暗号鍵である。
【１３６４】
プリペイドカード決済モジュールアドレス3714は、その電子プリペイドカードとの間で、プリペイドカード決済の処理をするプログラムモジュール（プリペイドカード決済モジュール）が格納されている実体データ領域3610のアドレスを示す。
【１３６５】
プリペイドカードリスト3608の内容は、マーチャントとサービス提供者との間の契約に基づいて、サービス提供システムが、データアップデート処理によって設定、更新する。
【１３６６】
トランザクション履歴リスト3609には、モバイル・エレクトロニックコマース・サービスでの販売の履歴情報を管理するリスト情報が格納されている。トランザクション履歴リスト3609では、一回のプリペイドカード決済による販売に対して、トランザクション番号3715、サービスコード3716、トランザクション時刻3717、及びトランザクション情報アドレス3718の４つの情報が格納される。
【１３６７】
トランザクション番号3715は、ユーザとの取引を（マーチャントからみて）ユニークに示す番号であり、サービスコード3716は、ユーザが利用したモバイル・エレクトロニックコマース・サービスの種類（プリペイドカード決済）を示すコード情報、トランザクション時刻3717は、プリペイドカード決済によって、商品やサービスを販売した時刻を示す情報である。
【１３６８】
トランザクション情報アドレス3718は、販売内容を示すマイクロ小切手と領収書とが格納されている実体データ領域3610のアドレスを示す。
【１３６９】
次に、電子テレホンカード課金装置800の内部の構成を説明する。
【１３７０】
図３８は、電子テレホンカード課金装置800のブロック構成図である。図３８において、電子テレホンカード課金装置800は、ＲＯＭ(Read Only Memory)3801に格納されたプログラムにしたがって、送信データ及び受信データの処理、並びに、バス3845を介して他の構成要素の制御を行なうＣＰＵ(Central Processing Unit)3800と、ＣＰＵ3800が処理するデータ、及びＣＰＵ3800が処理したデータが格納されるＲＡＭ(Random Access Memory)3802、及びハードディスク3803と、電子テレホンカード課金装置800の課金装置ＩＤ、通信事業者ＩＤ、通信事業者のデジタル署名用のプライベート鍵及び公開鍵、サービス提供者ＩＤ、サービス提供システム110の電話番号（サービス提供システムの電話番号には、サービス提供者のデジタル署名が施されている）、並びにサービス提供者の公開鍵が格納されるＥＥＰＲＯＭ(Electric Erasable Programmable Read Only Memory)3804と、ＣＰＵ3800の制御にしたがってデータの暗号化処理及び復号化処理を行なう暗号処理プロセッサ3805と、ＣＰＵ3800の制御にしたがって送信データの符号化及び受信データの復号化を行なうデータコーデック3806と、交換機801とのインターフェイスとなる外部インターフェイス部3807とを備えている。
【１３７１】
電子テレホンカード課金装置800と交換機801とは、外部インターフェイス部3807を介して通信を行ない、電子テレホンカード課金装置800は、交換機801からの課金処理要求に対して、指定された金額のテレホンカード決済の処理を行なう。
【１３７２】
この時のテレホンカード決済を行なう金額は、交換機801によって指定される。
【１３７３】
電子テレホンカードを用いた通話（マイクロチェックコール）に対して、電子テレホンカード課金装置800は、交換機801からの課金処理要求に基づいて、回線接続処理の開始時と回線接続中（通話中）に、モバイルユーザ端末100との間で、決済情報を交換して、テレホンカード決済の処理を行ない、交換機801は、電子テレホンカード課金装置800における決済の処理の状況に応じて、回線の交換処理を行なう。
【１３７４】
テレホンカード決済の処理は、通話時間に対する合計の通話料金に関して、回線接続処理の開始時と、その後、一定時間ごとに行なう。
【１３７５】
まず、回線接続処理の開始時に、一定の通話時間Ｔ（Ｔ＞０）に対する通話料金Ｖ（Ｖ＞０）の決済を行ない、通話時間がＴを超える場合に、通話料金Ｖの決済の代わりに、改めて、通話時間２Ｔに対する通話料金２Ｖの決済を行ない、その後、通話時間がＮＴ（Ｎは自然数）を超える度に、通話料金ＮＶの決済の代わりに、改めて、通話時間（Ｎ＋１）Ｔに相当する通話料金（Ｎ＋１）Ｖの決済を行なう。
【１３７６】
電子テレホンカード課金装置800への課金処理要求に対して、テレホンカード決済の処理が、正常に完了した場合に、交換機801は、新たに回線を接続、あるいは、回線接続を継続し、テレホンカード決済の処理が、何らかの要因で失敗した場合には、交換機801は、回線の接続を拒否、あるいは、接続中の回線を切断する。
【１３７７】
暗号処理プロセッサ3805は、秘密鍵方式の暗号化及び復号化の機能と公開鍵方式の暗号化及び復号化の機能とを持ち、ＣＰＵ3800によって設定された暗号方式と鍵とで、ＣＰＵ3800によって設定されたデータを暗号化処理または復号化処理する。この暗号処理プロセッサ3805の暗号化及び復号化の機能を用いて、メッセージのデジタル署名処理、または、封書化処理を行ない、また、封書化されたメッセージの暗号の復号化処理、または、デジタル署名されたメッセージのデジタル署名の検証処理を行なう。
【１３７８】
また、データコーデック3806は、ＣＰＵ3800の制御にしたがって送信データの符号化及び受信データの復号化を行なうが、この場合の符号化とは、通信制御情報、誤り訂正情報を含んだ、実際に送信されるデータを生成する処理を意味し、復号化とは、受信データに対し、誤り訂正処理を施し、余分な通信制御情報を取り除き、本来、送り手が送信しようとしたデータを生成する処理を意味する。データコーデック3806は、デジタル無線電話のデータ通信におけるデータの符号化及び復号化の機能と、デジタル電話通信におけるデータの符号化及び復号化の機能とを持ち、ＣＰＵ3800によって設定されたデータに対して、ＣＰＵ3800によって設定された符号化処理及び復号化処理を行なう。
【１３７９】
例えば、デジタル署名処理と封書化処理とを施したメッセージを、モバイルユーザ端末100へ送信する場合には、ＣＰＵ3800は、暗号処理プロセッサ3805を用いて、メッセージのデジタル署名処理と封書化処理とを行ない、さらに、データコーデック3806を用いて、デジタル署名処理と封書化処理とを施したメッセージを、デジタル無線電話のデータ通信のデータ形式に符号化して、それを、外部インターフェイス部3807を介して、交換機801へ送る。
【１３８０】
逆に、モバイルユーザ端末100から、デジタル署名処理と封書化処理とが施されたメッセージを受信した場合には、ＣＰＵ3800は、外部インターフェイス部3807を介して、メッセージを受信し、データコーデック3806を用いて、受信したメッセージを復号化し、さらに、暗号処理プロセッサ3805を用いて、封書化されているメッセージの暗号の復号化処理とメッセージに施されたデジタル署名の検証処理とを行なう。
【１３８１】
同様に、デジタル署名処理と封書化処理とを施したメッセージを、サービス提供システム110へ送信する場合には、ＣＰＵ3800は、暗号処理プロセッサ3805を用いて、メッセージのデジタル署名処理と封書化処理とを行ない、さらに、データコーデック3806を用いて、デジタル署名処理と封書化処理とを施したメッセージを、デジタル電話通信のデータ形式に符号化して、それを、外部インターフェイス部3807を介して、交換機801へ送る。
【１３８２】
逆に、サービス提供システム110から、デジタル署名処理と封書化処理とが施されたメッセージを受信した場合には、ＣＰＵ3800は、外部インターフェイス部3807を介して、メッセージを受信し、データコーデック3806を用いて、受信したメッセージを復号化し、さらに、暗号処理プロセッサ3805を用いて、封書化されているメッセージの暗号の復号化処理とメッセージに施されたデジタル署名の検証処理とを行なう。
【１３８３】
次に、ＲＡＭ3802に格納されるデータに関して説明する。
【１３８４】
図３９は、ＲＡＭ3802に格納されるデータのＲＡＭマップの摸式図である。
【１３８５】
ＲＡＭ3802には、基本プログラム領域3900、サービスデータ領域3901、ワーク領域3902、及びテンポラリ領域3903の４つの領域がある。基本プログラム領域3900は、ＲＯＭ3801に格納されているプログラムのバージョンアップされたモジュール、並びに、パッチプログラム及び追加プログラムが格納される。ワーク領域3902は、ＣＰＵ100が、プログラムを実行する際に使用する作業領域、テンポラリ領域3903は、電子テレホンカード課金装置が受信した情報を、一時的に、格納する領域である。
【１３８６】
サービスデータ領域3901は、モバイル・エレクトロニックコマース・サービスにおける契約情報、取扱テレホンカード情報、及び履歴情報を格納する領域であり、この領域のデータは、サービス提供システムに管理される。サービスデータ領域3901には、さらに、データ管理情報3904、通信事業者情報3905、通信事業者公開鍵証明書3906、通信事業者設定情報3907、テレホンカードリスト3908、及びトランザクション履歴リスト3909の６つの領域がある。
【１３８７】
データ管理情報3904は、サービスデータ領域3901に格納されている情報の管理情報を格納する領域、通信事業者情報3905は、通信事業者の名称、サービス提供者との契約内容等の情報を格納する領域、通信事業者公開鍵証明書3906は、通信事業者の公開鍵証明書を格納する領域、通信事業者設定情報3907は、モバイル・エレクトロニックコマース・サービスに関する、通信事業者の設定情報を格納する領域、テレホンカードリスト3908は、通信事業者が取り扱うことができるテレホンカードのリスト情報を格納する領域、トランザクション履歴リスト3909は、電子テレホンカードを用いた通話（マイクロチェックコール）に対する課金の履歴情報を格納する領域である。これらの６つの領域で、管理されている情報の実体データは、ハードディスク3803に格納される。
【１３８８】
次に、サービスデータ領域3901に格納される情報について詳しく説明する。
【１３８９】
図４０は、サービスデータ領域3901に格納される情報の関係を詳細に表した摸式図である。
【１３９０】
データ管理情報3904は、アップデート日時4000、次回アップデート日時4001、課金装置ステイタス4002、通信事業者情報アドレス4003、通信事業者公開鍵証明書アドレス4004、通信事業者設定情報アドレス4005、テレホンカードリストアドレス4006、及びトランザクション履歴リストアドレス4007の８つの情報によって構成される。
【１３９１】
アップデート日時4000は、サービス提供システム110が、前回、ＲＡＭ3802、及びハードディスク3803のデータを更新した日時を示し、次回アップデート日時4001は、次回のサービス提供システム110によるサービスデータ領域3901のデータ更新の予定日時を示す。電子テレホンカード課金装置800は、次回アップデート日時4001の設定された時間になると、自動的に、データアップデート処理を開始する。
【１３９２】
課金装置ステイタス4002は、電子テレホンカード課金装置800の状態を示し、通信事業者情報アドレス4003、通信事業者公開鍵証明書アドレス4004、通信事業者設定情報アドレス4005、テレホンカードリストアドレス4006、及びトランザクション履歴リストアドレス4007は、それぞれ、通信事業者情報3905、通信事業者公開鍵証明書3906、通信事業者設定情報3907、テレホンカードリスト3908、及びトランザクション履歴リスト3909が格納されている領域の先頭番地を示す。
【１３９３】
テレホンカードリスト3908には、通信事業者が取り扱うことができるテレホンカードのリスト情報が格納されている。
【１３９４】
テレホンカードリスト3908では、一つのテレホンカードに対して、カード名4008、カードコード4009、テレホンカード発行者ＩＤ4010、有効期間4011、課金装置認証プライベート鍵4012、カード認証公開鍵4013、及びテレホンカード決済モジュールアドレス4014の７つの情報が格納されている。カード名4008は、通信事業者が取り扱うことができるテレホンカードの名称を示す情報であり、カードコード4009は、その電子テレホンカードの種類を示すコード情報、テレホンカード発行者ＩＤ4010は、テレホンカード発行者のＩＤ情報、有効期間4011は、その電子テレホンカードの有効期間である。課金装置認証プライベート鍵4012及びカード認証公開鍵4013は、それぞれ、電子テレホンカードの課金装置認証公開鍵2112及びカード認証プライベート鍵2111と対となる暗号鍵である。
【１３９５】
テレホンカード決済モジュールアドレス4014は、その電子テレホンカードとの間で、テレホンカード決済の処理をするプログラムモジュール（テレホンカード決済モジュール）が格納されているハードディスク3803上のアドレスを示す。
【１３９６】
テレホンカードリスト3908の内容は、通信事業者とサービス提供者との間の契約に基づいて、サービス提供システムが、データアップデート処理によって設定、更新する。
【１３９７】
トランザクション履歴リスト3909には、モバイル・エレクトロニックコマース・サービスでの販売の履歴情報を管理するリスト情報が格納されている。トランザクション履歴リスト3909では、一回の電子テレホンカードを用いた通話（マイクロチェックコール）に対して、トランザクション番号4015、サービスコード4016、トランザクション時刻4017、及びトランザクション情報アドレス4018の４つの情報が格納される。
【１３９８】
トランザクション番号4017は、ユーザとの取引を（通信事業者からみて）ユニークに示す番号であり、サービスコード4016は、ユーザが利用したモバイル・エレクトロニックコマース・サービスの種類（マイクロチェックコール）を示すコード情報、トランザクション時刻4017は、テレホンカード決済の処理をした時刻を示す情報である。
【１３９９】
トランザクション情報アドレス4018は、課金内容を示す電話マイクロ小切手と領収書とが格納されているハードディスク3803上のアドレスを示す。
【１４００】
次に、モバイルユーザ端末100が、ゲート端末101、マーチャント端末102、マーチャント端末103、自動販売機104、交換局105、またはサービス提供システム110に送信するメッセージを生成する際に行なうデジタル署名処理と、封書化処理とについて説明する。
【１４０１】
デジタル署名処理及び封書化処理は、ゲート端末101、マーチャント端末102、マーチャント端末103、自動販売機104、交換局105、及びサービス提供システム110でも同様の処理を行なうので、以下では、登場人物は、ユーザ、マーチャント、サービス提供者という呼び方はせず、Ａさん、Ｂさんというように、登場人物を一般化して説明する。
【１４０２】
デジタル署名は、公開鍵方式の暗号化処理の「プライベート鍵で暗号化したメッセージは、そのプライベート鍵に対応する公開鍵でしか復号化できない」という性質を利用して、メッセージに電子的な署名を施す処理である。
【１４０３】
図４１（ａ）（ｂ）は、それぞれ、メッセージ(Message)に、Ａさんのデジタル署名をする場合のデジタル署名処理の手順を示すフロー図と、フロー解説図である。
【１４０４】
まず、ステップ4100で、ＣＰＵは、メッセージ4103に対して、ハッシュ関数演算を行ない、メッセージ・ダイジェスト4104を生成する。次に、ステップ4101で、ＣＰＵは、暗号処理プロセッサを用いて、メッセージ・ダイジェスト4104を、Ａさんのプライベート鍵で暗号化して、デジタルサイン4105を生成する。次に、ステップ4102で、ＣＰＵは、デジタルサイン4105を、もとのメッセージ4103に付加する。以上の手順によって、ＣＰＵは、Ａさんのデジタル署名をしたメッセージ4106を生成する。
【１４０５】
図４１（ｂ）の4106は、Ａさんのデジタル署名をしたメッセージを図示したものであり、以下では、デジタル署名されたメッセージは、図面の中では、4106のように、図示することとする。
【１４０６】
次に、封書化処理について説明する。封書化処理は、公開鍵方式の暗号化処理の「公開鍵で暗号化したメッセージは、その公開鍵に対応するプライベート鍵でしか復号化できない」という性質を利用して、メッセージの内容を特定の人にしか読めないようにする処理である。
【１４０７】
図４２（ａ）（ｂ）は、それぞれ、Ａさんのデジタル署名をしたメッセージを、送り先のＢさん宛に封書化する処理の手順を示すフロー図と、フロー解説図である。
【１４０８】
まず、ステップ4200で、ＣＰＵは、ランダム関数を用いて、秘密鍵方式の暗号鍵である秘密鍵4204を生成する。次に、ステップ4201で、ＣＰＵは、暗号処理プロセッサを用いて、デジタル署名をしたメッセージ4106を、秘密鍵4204で暗号化する。次に、ステップ4202で、ＣＰＵは、暗号処理プロセッサを用いて、秘密鍵4204を、送り先のＢさんの公開鍵で、暗号化する。次に、ステップ4203で、ＣＰＵは、ステップ4201の出力4205に、ステップ4202の出力4206を付加する。以上の手順によって、Ｂさん宛に、封書化されたメッセージ4207を生成する。
【１４０９】
図４２（ｂ）の4207は、Ｂさん宛に、封書化されたメッセージを図示したものであり、以下では、封書化されたメッセージは、図面の中では、4207のように、図示することとする。
【１４１０】
次に、モバイルユーザ端末100、ゲート端末101、マーチャント端末102、マーチャント端末103、自動販売機104、または交換局105が、サービス提供システムからメッセージを受信した際に行なう封書化されたメッセージの暗号の復号化処理と、デジタル署名の検証処理とについて説明する。以下でも、登場人物は一般化して説明する。
【１４１１】
まず、復号化処理について説明する。
【１４１２】
図４３（ａ）（ｂ）は、それぞれ、Ｂさん宛に封書化されたメッセージの復号化処理の手順を示すフロー図と、フロー解説図である。
【１４１３】
まず、ステップ4300で、ＣＰＵは、Ｂさん宛に封書化されたメッセージ4302を、秘密鍵をＢさんの公開鍵で暗号化した部分4303と、秘密鍵で暗号化されたメッセージの部分4304とに分け、暗号処理プロセッサを用いて、秘密鍵をＢさんの公開鍵で暗号化した部分4303を、Ｂさんのプライベート鍵で復号化し、秘密鍵4305を取り出す。次に、ステップ4301で、ＣＰＵは、暗号処理プロセッサを用いて、秘密鍵で暗号化されたメッセージの部分4304を、秘密鍵4305で復号化する。以上の手順によって、封書化されたメッセージの復号化を行なう。
【１４１４】
次に、デジタル署名の検証処理について説明する。
【１４１５】
図４４（ａ）（ｂ）は、それぞれ、メッセージの送り手のＡさんのデジタル署名がされたッセージのデジタル署名の検証処理の手順を示すフロー図と、フロー解説図である。まず、ステップ4400で、ＣＰＵは、デジタル署名がされたッセージ4306の中のメッセージの部分(Message’ 4403)に対して、ハッシュ関数演算を行ない、メッセージ・ダイジェスト4405を生成する。次に、ステップ4401で、ＣＰＵは、暗号処理プロセッサを用いて、デジタル署名がされたッセージ4306の中のデジタルサインの部分4404を、Ａさんの公開鍵で復号化する。次に、ステップ4402で、ＣＰＵは、ステップ4400の出力4405と、ステップ4401の出力4406とを比較し、内容が一致した場合、検証をパスしたと判定し、一致しなかった場合、検証エラーが発生したと判定する。以上の手順によって、デジタル署名の検証処理を行なう。
【１４１６】
次に、サービス提供システム110における処理について説明する。
【１４１７】
サービス提供システム110は、モバイルユーザ端末100、ゲート端末101、マーチャント端末102、マーチャント端末103、自動販売機104、交換局105、決済処理システム106、チケット発行システム107、プリペイドカード発行システム108、及びテレホンカード発行システム109と、それぞれ通信を行ない、ユーザ、マーチャント、通信事業者、決済処理機関、チケット発行者、プリペイドカード発行者、テレホンカード発行者間の仲介をして、ユーザ、並びにマーチャント及び通信事業者に対して、モバイル・エレクトロニックコマース・サービスを提供するシステムである。
【１４１８】
図４５は、サービス提供システム110における処理のアーキテクチャを示している。
【１４１９】
サービス提供システム110は、モバイル・エレクトロニックコマース・サービスを、サービスサーバ900上に生成されるユーザプロセス(UP : User Process)4502、マーチャントプロセス(MP : Merchant Process)4502、決済処理機関プロセス(TPP : Transaction Processor Process)4504、チケット発行者プロセス(TIP : Ticket Issuer Process)4505、プリペイドカード発行者プロセス(PCIP : Payment Card Issuer Process)4506、テレホンカード発行者プロセス(TCIP : Telephone Card Issuer Process)4507、サービスディレクタプロセス(SDP : Service Director Process)4501、及びサービスマネージャプロセス(SMP : Service Manager Process)4500の８種類のプロセスの連携処理によって提供する。
【１４２０】
図４５において、ユーザプロセス4502は、モバイルユーザ端末100と１対１に対応して、サービス提供システム110とモバイルユーザ端末100との通信のインターフェイスとなるプロセスである。
【１４２１】
マーチャントプロセス4503は、ゲート端末101、マーチャント端末102、マーチャント端末103、自動販売機104または交換局105と１対１に対応して、サービス提供システム110と、ゲート端末101、マーチャント端末102、マーチャント端末103、自動販売機104または交換局105との通信のインターフェイスとなるプロセスである。
【１４２２】
決済処理機関プロセス4504は、決済処理システム106に対応して、サービス提供システム110と決済処理システム106との通信のインターフェイスとなるプロセスであり、チケット発行者プロセス4505は、チケット発行システム107に対応して、サービス提供システム110とチケット発行システム107との通信のインターフェイスとなるプロセス、プリペイドカード発行者プロセス4506は、プリペイドカード発行システム108に対応して、サービス提供システム110とプリペイドカード発行システム108との通信のインターフェイスとなるプロセス、テレホンカード発行者プロセス4507は、テレホンカード発行システム109に対応して、サービス提供システム110とテレホンカード発行システム109との通信のインターフェイスとなるプロセスである。
【１４２３】
サービスディレクタプロセス4501は、ユーザプロセス4502、マーチャントプロセス4503、決済処理機関プロセス4504、チケット発行者プロセス4505、プリペイドカード発行者プロセス4506、及びテレホンカード発行者プロセス4507とそれぞれ通信をして、モバイル・エレクトロニックコマース・サービスを演出するプロセス、サービスマネージャプロセス4500は、サービス提供システム110上のユーザプロセス、マーチャントプロセス、決済処理機関プロセス、チケット発行者プロセス、プリペイドカード発行者プロセス、テレホンカード発行者プロセス、及びサービスディレクタプロセスを管理するプロセスである。「モバイル・エレクトロニックコマース・サービスを演出する」という表現の意味については、後で詳しく説明する。
【１４２４】
サービス提供システム110は、同時期に、複数のモバイルユーザ端末、並びに、複数のゲート端末、マーチャント端末(102,103)、自動販売機、及び交換局と通信する場合があり、また、同時期に、複数のモバイル・エレクトロニックコマース・サービスの処理を行なう場合があり、さらには、同時期に、複数の決済処理システム、チケット発行システム、プリペイドカード発行システム、またはテレホンカード発行システムと通信をして、複数のモバイル・エレクトロニックコマース・サービスの処理を行なう場合がある。したがって、ユーザプロセス、マーチャントプロセス、決済処理機関プロセス、チケット発行者プロセス、プリペイドカード発行者プロセス、テレホンカード発行者プロセス、及びサービスディレクタプロセスは、それぞれ、複数のプロセスが、同時期にサービスサーバ900上に存在する場合がある。これらのユーザプロセス、マーチャントプロセス、決済処理機関プロセス、チケット発行者プロセス、プリペイドカード発行者プロセス、テレホンカード発行者プロセス、及びサービスディレクタプロセスは、サービスマネージャプロセスによって、生成、及び、消去され、管理される。
【１４２５】
また、サービスサーバ900が複数台のコンピュータによって構成される場合には、ユーザプロセス、マーチャントプロセス、決済処理機関プロセス、チケット発行者プロセス、プリペイドカード発行者プロセス、テレホンカード発行者プロセス、及びサービスディレクタプロセスは、各プロセスの処理の負荷が分散されるように、複数台のコンピユータに分散して生成される。
【１４２６】
また、連携処理をして、１つのモバイル・エレクトロニックコマース・サービスを提供するプロセスの集合は、サービスマネージャプロセスによって決定され、そのプロセスの集合は、ユーザプロセス、マーチャントプロセス、決済処理機関プロセス、チケット発行者プロセス、プリペイドカード発行者プロセス、及びテレホンカード発行者プロセスの内、１つ以上のプロセスと、１つのサービスディレクタプロセスとによって構成される。以下では、この連携処理を行なうプロセスの集合をプロセスグループと呼ぶ。
【１４２７】
まず、ユーザプロセス4502について説明する。
【１４２８】
ユーザプロセスは、モバイルユーザ端末100との通信制御、ユーザの認証、モバイルユーザ端末100への送信データの暗号化、モバイルユーザ端末100からの受信データの復号化、モバイルユーザ端末100からの受信データの有効性のチェック、並びに、モバイルユーザ端末100に対する、リモートアクセス、データアップデート、強制的データアップデート、及びデータバックアップの処理を行なうプロセスである。
【１４２９】
ユーザプロセス4502は、サービス提供システム110がモバイルユーザ端末100と通信をする場合に、サービスマネージャプロセス4500によって生成されるプロセスである。サービスマネージャプロセス4500は、サービス提供システム110と通信する１台のモバイルユーザ端末100に対して、１つのユーザプロセス4502を生成する。
【１４３０】
ユーザプロセス4502には、ユーザ情報サーバ902によって管理されているモバイルユーザ端末100の所有者（ユーザ）の属性情報とモバイルユーザ端末100のＲＡＭ1502のデータとにアクセスするパーミッションが与えられる。逆に、ユーザプロセス4502は、その他の情報にアクセスすることはできない。
【１４３１】
モバイルユーザ端末100とユーザプロセス4502とは、１対１に対応し、ユーザプロセス4502は、モバイルユーザ端末100に対してのみ有効なプロセスであり、その他のモバイルユーザ端末と、直接、通信することはできない。
【１４３２】
次に、マーチャントプロセス4503について説明する。
【１４３３】
マーチャントプロセスは、ゲート端末101、マーチャント端末102、マーチャント端末103、自動販売機104及び交換局105との通信制御、マーチャント及び通信事業者の認証、ゲート端末101、マーチャント端末102、マーチャント端末103、自動販売機104及び交換局105への送信データの暗号化、ゲート端末101、マーチャント端末102、マーチャント端末103、自動販売機104及び交換局105からの受信データの復号化、ゲート端末101、マーチャント端末102、マーチャント端末103、自動販売機104及び交換局105からの受信データの有効性のチェック、ゲート端末101、マーチャント端末102、マーチャント端末103、自動販売機104及び交換局105に対する、データアップデート、または強制的データアップデートの処理、並びに、ゲート端末101、マーチャント端末102、及びマーチャント端末103に対するリモートアクセスの処理、マーチャント端末103に対するデータバックアップの処理を行なうプロセスである。
【１４３４】
マーチャントプロセス4503は、サービス提供システム110がゲート端末101、マーチャント端末102、マーチャント端末103、自動販売機104及び交換局105と通信をする場合に、サービスマネージャプロセス4500によって生成されるプロセスである。サービスマネージャプロセス4500は、サービス提供システム110と通信する１台のゲート端末101、マーチャント端末102、マーチャント端末103、自動販売機104または交換局105に対して、１つのマーチャントプロセス4503を生成する。
【１４３５】
マーチャントプロセス4503には、マーチャント情報サーバ903によって管理されているマーチャント及び通信事業者の属性情報と、ゲート端末101、マーチャント端末102、マーチャント端末103、自動販売機104（課金装置3455）及び交換局105（電子プリペイドカード課金装置800）のＲＡＭ及びハードディスクのデータとにアクセスするパーミッションが与えられる。逆に、マーチャントプロセス4503は、その他の情報にアクセスすることはできない。
【１４３６】
ゲート端末101、マーチャント端末102、マーチャント端末103、自動販売機104及び交換局105と、マーチャントプロセス4503とは、１対１に対応し、マーチャントプロセス4503は、対応するゲート端末101、マーチャント端末102、マーチャント端末103、自動販売機104及び交換局105に対してのみ有効なプロセスであり、その他のゲート端末、マーチャント端末(102,103)、自動販売機及び交換局と、直接、通信することはできない。
【１４３７】
次に、決済処理機関プロセス4504について説明する。
【１４３８】
決済処理機関プロセスは、決済処理システム106との通信制御、決済処理機関の認証、決済処理システム106への送信データの暗号化、決済処理システム106からの受信データの復号化、及び決済処理システム106からの受信データの有効性のチェックを行なうプロセスである。
【１４３９】
決済処理機関プロセス4504は、サービス提供システム110が決済処理システム106と通信をする場合に、サービスマネージャプロセス4500によって生成されるプロセスである。サービス提供システム110と決済処理システム106との間の１つの通信回線を用いた通信に対して、１つの決済処理機関プロセス4504が生成される。サービス提供システム110と決済処理システム106とを結ぶデジタル通信回線131は、多重化によって、複数の通信回線として動作する。したがって、サービス提供システム110と決済処理システム106との間で、同時期に、複数の通信回線を用いて通信を行なう場合には、サービスマネージャプロセス4500は、通信回線に等しい数の決済処理機関プロセス4504を生成する。
【１４４０】
決済処理機関プロセス4504には、決済処理機関情報サーバ904によって管理されている決済処理システム106が設置される決済処理機関の属性情報と決済処理の履歴情報とにアクセスするパーミッションが与えられる。逆に、決済処理機関プロセス4504は、その他の情報にアクセスすることはできない。
【１４４１】
また、一つの決済処理機関プロセス4504は、対応する決済処理システム106に対してのみ有効なプロセスであり、その他の決済処理システムと、直接、通信することはできない。
【１４４２】
次に、チケット発行者プロセス4505について説明する。
【１４４３】
チケット発行者プロセスは、チケット発行システム107との通信制御、チケット発行者の認証、チケット発行システム107への送信データの暗号化、チケット発行システム107からの受信データの復号化、及びチケット発行システム107からの受信データの有効性のチェックを行なうプロセスである。
【１４４４】
チケット発行者プロセス4505は、サービス提供システム110がチケット発行システム107と通信をする場合に、サービスマネージャプロセス4500によって生成されるプロセスである。サービス提供システム110とチケット発行システム107との間の１つの通信回線を用いた通信に対して、１つのチケット発行者プロセス4505が生成される。サービス提供システム110とチケット発行システム107とを結ぶデジタル通信回線132は、多重化によって、複数の通信回線として動作する。したがって、サービス提供システム110とチケット発行システム107との間で、同時期に、複数の通信回線を用いて通信を行なう場合には、サービスマネージャプロセス4500は、通信回線に等しい数のチケット発行者プロセス4505を生成する。
【１４４５】
チケット発行者プロセス4505には、チケット発行者情報サーバ905によって管理されているチケット発行者の属性情報とチケット発行処理の履歴情報とにアクセスするパーミッションが与えられる。逆に、チケット発行者プロセス4505は、その他の情報にアクセスすることはできない。
【１４４６】
また、１つのチケット発行者プロセス4505は、対応するチケット発行システム107に対してのみ有効なプロセスであり、その他のチケット発行システムと、直接、通信することはできない。
【１４４７】
次に、プリペイドカード発行者プロセス4506について説明する。
【１４４８】
プリペイドカード発行者プロセスは、プリペイドカード発行システム108との通信制御、プリペイドカード発行者の認証、プリペイドカード発行システム108への送信データの暗号化、プリペイドカード発行システム108からの受信データの復号化、及びプリペイドカード発行システム108からの受信データの有効性のチェックを行なうプロセスである。
【１４４９】
プリペイドカード発行者プロセス4506は、サービス提供システム110がプリペイドカード発行システム108と通信をする場合に、サービスマネージャプロセス4500によって生成されるプロセスである。サービス提供システム110とプリペイドカード発行システム108との間の１つの通信回線を用いた通信に対して、１つのプリペイドカード発行者プロセス4506が生成される。サービス提供システム110とプリペイドカード発行システム108とを結ぶデジタル通信回線133は、多重化によって、複数の通信回線として動作する。したがって、サービス提供システム110とプリペイドカード発行システム108との間で、同時期に、複数の通信回線を用いて通信を行なう場合には、サービスマネージャプロセス4500は、通信回線に等しい数のプリペイドカード発行者プロセス4506を生成する。
【１４５０】
プリペイドカード発行者プロセス4506には、プリペイドカード発行者情報サーバ906によって管理されているプリペイドカード発行者の属性情報とプリペイドカード発行処理の履歴情報とにアクセスするパーミッションが与えられる。逆に、プリペイドカード発行者プロセス4506は、その他の情報にアクセスすることはできない。
【１４５１】
また、１つのプリペイドカード発行者プロセス4506は、対応するプリペイドカード発行システム108に対してのみ有効なプロセスであり、その他のプリペイドカード発行システムと、直接、通信することはできない。
【１４５２】
次に、テレホンカード発行者プロセス4507について説明する。
【１４５３】
テレホンカード発行者プロセスは、テレホンカード発行システム109との通信制御、テレホンカード発行者の認証、テレホンカード発行システム109への送信データの暗号化、テレホンカード発行システム109からの受信データの復号化、及びテレホンカード発行システム109からの受信データの有効性のチェックを行なうプロセスである。
【１４５４】
テレホンカード発行者プロセス4507は、サービス提供システム110がテレホンカード発行システム109と通信をする場合に、サービスマネージャプロセス4500によって生成されるプロセスである。サービス提供システム110とテレホンカード発行システム109との間の１つの通信回線を用いた通信に対して、１つのテレホンカード発行者プロセス4507が生成される。サービス提供システム110とテレホンカード発行システム109とを結ぶデジタル通信回線134は、多重化によって、複数の通信回線として動作する。したがって、サービス提供システム110とテレホンカード発行システム109との間で、同時期に、複数の通信回線を用いて通信を行なう場合には、サービスマネージャプロセス4500は、通信回線に等しい数のテレホンカード発行者プロセス4507を生成する。
【１４５５】
テレホンカード発行者プロセス4507には、テレホンカード発行者情報サーバ907によって管理されているテレホンカード発行者の属性情報とテレホンカード発行処理の履歴情報とにアクセスするパーミッションが与えられる。逆に、テレホンカード発行者プロセス4507は、その他の情報にアクセスすることはできない。
【１４５６】
また、１つのテレホンカード発行者プロセス4507は、対応するテレホンカード発行システム109に対してのみ有効なプロセスであり、その他のテレホンカード発行システムと、直接、通信することはできない。
【１４５７】
次に、サービスディレクタプロセス4501について説明する。
【１４５８】
サービスディレクタプロセスは、同一のプロセスグループに属するユーザプロセス、マーチャントプロセス、決済処理機関プロセス、チケット発行者プロセス、プリペイドカード発行者プロセス、またはテレホンカード発行者プロセスとそれぞれ通信をして、モバイル・エレクトロニックコマース・サービスを演出するプロセスである。「モバイル・エレクトロニックコマース・サービスを演出する」という表現は、サービスディレクタプロセスが、同一のプロセスグループの他のメンバープロセスと連携して、モバイル・エレクトロニックコマース・サービスの処理を、主導的に行なうことを意味している。
【１４５９】
サービスディレクタプロセス4501は、サービス提供システム110が、モバイル・エレクトロニックコマース・サービスの各種の処理をする場合に、サービスマネージャプロセス4500によって生成される。モバイル・エレクトロニックコマース・サービスの各種の処理には、それぞれ、決められた処理のシーケンスがある。サービスディレクタプロセスは、この決められた処理のシーケンスにしたがって、同一のプロセスグループのメンバープロセスから送られるメッセージを処理し、また、各メンバープロセスに対して、処理を促すメッセージを送る。そして、各メンバープロセスは、それぞれ、サービスディレクタプロセスから送られるメッセージに対応する処理を行なう。このように、サービスディレクタプロセスと、同一のプロセスグループのメンバープロセスとが連携して処理を行なうことによって、モバイル・エレクトロニックコマース・サービスの処理が行なわれる。
【１４６０】
例えば、電子チケット購入の処理の場合には、サービスディレクタプロセス、ユーザプロセス、チケット発行者プロセス、及び決済処理機関プロセスが１つのプロセスグループとなって、それぞれの処理を行ない、電子プリペイドカード購入の処理の場合には、サービスディレクタプロセス、ユーザプロセス、プリペイドカード発行者プロセス、及び決済処理機関プロセスが１つのプロセスグループとなって、それぞれの処理を行ない、電子テレホンカード購入の処理の場合には、サービスディレクタプロセス、ユーザプロセス、テレホンカード発行者プロセス、及び決済処理機関プロセスが１つのプロセスグループとなって、それぞれの処理を行なう。
【１４６１】
また、サービスディレクタプロセス4501には、サービスディレクタ情報サーバ901によって管理されている情報と、同一のプロセスグループのメンバープロセスがアクセスパーミッションを持つ情報とにアクセルするパーミッションが与えられる。逆に、サービスディレクタプロセス4501は、その他の情報にアクセスすることはできない。
【１４６２】
次に、サービスマネージャプロセス4500について説明する。
【１４６３】
サービスマネージャプロセスは、ユーザプロセス4502、マーチャントプロセス4503、決済処理機関プロセス4504、チケット発行者プロセス4505、プリペイドカード発行者プロセス4505、テレホンカード発行者プロセス4505、及びサービスディレクタプロセス4501の生成及び消去、並びに、プロセスグループの生成及び消去を行なうプロセスである。
【１４６４】
サービスマネージャプロセス4500は、サービス提供システムがモバイル・エレクトロニックコマース・サービスを提供する場合に、常に、起動しているプロセスである。サービスマネージャプロセスの生成及び消去は、管理システム407によって制御される。
【１４６５】
また、サービスマネージャプロセス4500には、サービスディレクタ情報サーバ901によって管理されている情報にアクセスするパーミッションが与えられる。逆に、サービスマネージャプロセス4500は、その他の情報にアクセスすることはできない。
【１４６６】
次に、サービス提供システム110のユーザ情報サーバ902が管理する情報について説明する。
【１４６７】
ユーザ情報サーバ902は、ユーザの属性情報とユーザのモバイルユーザ端末100のＲＡＭ1502のデータとを管理する。
【１４６８】
図４６は、一人のユーザに対して、ユーザ情報サーバ902に格納される情報を表した摸式図である。
【１４６９】
ユーザ情報サーバ902では、一人のユーザに対して、ユーザデータ管理情報4600、個人情報4601、写真データ4602、ユーザ公開鍵証明書4603、ターミナルプロパティ4604、ユーザ設定情報4605、アクセス制御情報4606、端末データ4607、電話情報4608、クレジットカードリスト4609、チケットリスト4610、プリペイドリスト4611、テレホンカードリスト4612、及び利用履歴リスト4613の１４種類の情報が格納される。
【１４７０】
ユーザデータ管理情報4600は、一人のユーザに関して、ユーザ情報サーバ902に格納される情報の管理情報である。
【１４７１】
個人情報4601は、ユーザの年齢、生年月日、職業、口座番号、契約内容等のユーザ個人に関する情報であり、この情報の一部が、モバイルユーザ端末100の個人情報1706に対応している。
【１４７２】
写真データ4602は、ユーザの顔写真のデータ、ユーザ公開鍵証明書4603は、ユーザの公開鍵証明書、ターミナルプロパティ4604は、モバイルユーザ端末100の型番、シリアル番号、ＲＡＭ容量、格納されているプログラムのバージョン等のモバイルユーザ端末100の属性情報である。
【１４７３】
ユーザ設定情報4605は、モバイル・エレクトロニックコマース・サービスに関する、ユーザの設定情報であり、モバイルユーザ端末100のユーザ設定情報1709に対応する情報である。
【１４７４】
アクセス制御情報4606は、ユーザ及びユーザに関する情報へのアクセス制御に関するユーザの設定情報、端末データ4607は、モバイルユーザ端末100のＲＡＭ1502のデータ、電話情報4608は、デジタル無線電話に関連する情報であり、モバイルユーザ端末100の電話情報1710に対応する情報である。
【１４７５】
クレジットカードリスト4609は、ユーザが登録したクレジットカードのリスト情報、チケットリスト4610は、ユーザが所有する電子チケットのリスト情報、プリペイドカードリスト4611は、ユーザが所有する電子プリペイドカードのリスト情報、テレホンカードリスト4612は、ユーザが所有する電子テレホンカードのリスト情報、利用履歴リスト4613は、モバイル・エレクトロニックコマース・サービスの利用履歴情報である。
【１４７６】
ユーザデータ管理情報4600は、ユーザ名4614、ユーザＩＤ4615、ユーザステイタス4616、個人情報アドレス4617、写真データアドレス4618、ユーザ公開鍵証明書アドレス4619、ターミナルプロパティアドレス4620、ユーザ設定情報アドレス4621、アクセス制御情報アドレス4622、アップデート日時4623、次回アップデート日時4624、端末データアドレス4625、電話情報アドレス4626、クレジットカードリストアドレス4627、チケットリストアドレス4628、プリペイドカードリストアドレス4629、テレホンカードリストアドレス4630、及び利用履歴リストアドレス4631の１８個の情報によって構成される。
【１４７７】
ユーザステイタス4616は、モバイルユーザ端末100の状態を示し、モバイルユーザ端末100のターミナルステイタス1802に対応する情報である。アップデート日時4623は、前回、モバイルユーザ端末100のサービスデータ領域1701のデータを更新した日時を示し、次回アップデート日時4624は、次回のサービスデータ領域1701のデータの更新の予定日時を示し、それぞれモバイルユーザ端末100のアップデート日時1800と次回アップデート日時1801とに対応する。
【１４７８】
個人情報アドレス4617、写真データアドレス4618、ユーザ公開鍵証明書アドレス4619、ターミナルプロパティアドレス4620、ユーザ設定情報アドレス4621、アクセス制御情報アドレス4622、端末データアドレス4625、電話情報アドレス4626、クレジットカードリストアドレス4627、チケットリストアドレス4628、プリペイドカードリストアドレス4629、テレホンカードリストアドレス4630、及び利用履歴リストアドレス4631は、それぞれ、個人情報4601、写真データ4602、ユーザ公開鍵証明書4603、ターミナルプロパティ4604、ユーザ設定情報4605、アクセス制御情報4605、端末データ4607、電話情報4608、クレジットカードリスト4609、チケットリスト4610、プリペイドカードリスト4611、テレホンカードリスト4612、及び利用履歴リスト4613が格納されているユーザ情報サーバ902上のアドレスを示す。
【１４７９】
端末データ4607は、前回、アップデート処理した際のモバイルユーザ端末100のＲＡＭ1502上のデータであり、次回のアップデート処理の際のデータ比較、及び、バックアップデータとして用いられる。
【１４８０】
クレジットカードリスト4609、チケットリスト4610、プリペイドカードリスト4611、テレホンカードリスト4612、及び利用履歴リスト4613は、それぞれ、モバイルユーザ端末100のクレジットカードリスト1711、チケットリスト1712、プリペイドカードリスト1713、テレホンカードリスト1714、及び利用履歴リスト1715に対応する情報である。但し、オブジェクトデータアドレス4643、電子チケットアドレス4648、電子プリペイドカードアドレス4654、電子テレホンカードアドレス4660、及び利用情報アドレス4665は、すべて、ユーザ情報サーバ902上のアドレスを示す。
【１４８１】
次に、サービス提供システム110のマーチャント情報サーバ903が管理する情報について説明する。
【１４８２】
マーチャント情報サーバ903は、マーチャントまたは通信事業者の属性情報、並びにゲート端末101、マーチャント端末102、マーチャント端末103、自動販売機104（課金装置3455）、及び交換局105（電子テレホンカード課金装置800）のＲＡＭ及びハードディスクのデータを管理する。
【１４８３】
図４７は、一つのゲート端末101、マーチャント端末102、マーチャント端末103、自動販売機104（課金装置3455）、または交換局105（電子テレホンカード課金装置800）に対して、マーチャント情報サーバ903に格納される情報を表した摸式図である。
【１４８４】
マーチャント情報サーバ903では、一つのゲート端末101、マーチャント端末102、マーチャント端末103、自動販売機104（課金装置3455）または交換局105（電子テレホンカード課金装置800）に対して、マーチャントデータ管理情報4700、マーチャント情報4701、公開鍵証明書4702、システムプロパティ4703、マーチャント設定情報4704、メモリデータ4705、ディスクデータ4706、電話情報4707、クレジットカードリスト4708、プリペイドカードリスト4709、テレホンカードリスト4710、改札チケットリスト4711、トランザクション履歴リスト4712、及び照会結果リスト4713の１４種類の情報が格納される。
【１４８５】
マーチャントデータ管理情報4700は、一つのゲート端末101、マーチャント端末102、マーチャント端末103、自動販売機104（課金装置3455）または交換局105（電子テレホンカード課金装置800）に関して、マーチャント情報サーバ903に格納される情報の管理情報である。
【１４８６】
マーチャント情報4701は、マーチャントまたは通信事業者の住所、口座番号、契約内容等のマーチャントまたは通信事業者に関する情報であり、この情報の一部が、ゲート端末101、マーチャント端末102、マーチャント端末103、若しくは自動販売機104（課金装置3455）のマーチャント情報、または交換局105（電子テレホンカード課金装置800）の通信事業者情報4005に対応している。
【１４８７】
公開鍵証明書4702は、マーチャントまたは通信事業者の公開鍵証明書、システムプロパティ4703は、ゲート端末101、マーチャント端末102、マーチャント端末103、自動販売機104（課金装置3455）または交換局105（電子テレホンカード課金装置800）の型番、シリアル番号、ＲＡＭ容量、ハードディスク容量、格納されているプログラムのバージョン等の機器の属性情報である。
【１４８８】
マーチャント設定情報4704は、モバイル・エレクトロニックコマース・サービスに関する、マーチャントまたは通信事業者の設定情報であり、ゲート端末101、マーチャント端末102、マーチャント端末103、若しくは自動販売機104（課金装置3455）のマーチャント設定情報、または、交換局105（電子テレホンカード課金装置800）の通信事業者設定情報3906に対応する情報である。
【１４８９】
メモリデータ4705は、ゲート端末101、マーチャント端末102、マーチャント端末103、自動販売機104（課金装置3455）または交換局105（電子テレホンカード課金装置800）のＲＡＭのデータ、ディスクデータ4706は、マーチャント端末102または交換局105（電子テレホンカード課金装置800）のハードディスクのデータである。
【１４９０】
電話情報4707は、デジタル電話、デジタル無線電話に関連する情報であり、マーチャント端末102の電話情報2808またはマーチャント端末103の電話情報3208に対応する情報である。
【１４９１】
クレジットカードリスト4708は、マーチャントが取り扱うことができるクレジツトカードのリスト情報、プリペイドカードリスト4709は、マーチャントが取り扱うことができる電子プリペイドカードのリスト情報、テレホンカードリスト4710は、通信事業者が取り扱うことができる電子テレホンカードのリスト情報、改札チケットリスト4711は、マーチャントが改札するチケットとして設定した電子チケットのリスト情報である。
【１４９２】
トランザクション履歴リスト4712は、モバイル・エレクトロニックコマース・サービスでの履歴情報、照会結果リスト4713は、電子プリペイドカード、電子テレホンカード、及び電子チケットの照会結果のリストである。
【１４９３】
マーチャントデータ管理情報4700は、マーチャント名（または通信事業者名）4714、マーチャントＩＤ（または通信事業者ＩＤ）4715、課金装置ＩＤ（またはゲートＩＤ）4716、マーチャントステイタス4717、マーチャント情報アドレス4718、公開鍵証明書アドレス4719、システムプロパティアドレス4720、マーチャント設定情報アドレス4721、アップデート日時4722、次回アップデート日時4723、メモリデータアドレス4724、ディスクデータアドレス4725、電話情報アドレス4726、クレジットカードリストアドレス4727、プリペイドカードリストアドレス4728、テレホンカードリストアドレス4729、チケットリストアドレス4730、トランザクション履歴リストアドレス4731、及び照会結果リストアドレス4732の１９個の情報によって構成される。
【１４９４】
マーチャントステイタス4717は、ゲート端末101、マーチャント端末102、マーチャント端末103、自動販売機104（課金装置3455）、または交換局105（電子テレホンカード課金装置800）の状態を示し、ゲート端末101、マーチャント端末102、若しくはマーチャント端末103のターミナルステイタス、または、自動販売機104（課金装置3455）若しくは交換局105（電子テレホンカード課金装置800）の課金装置ステイタスに対応する情報である。
【１４９５】
アップデート日時4722は、前回、サービスデータ領域のデータを更新した日時を示し、次回アップデート日時4723は、次回のサービスデータ領域のデータの更新の予定日時を示し、ゲート端末101、マーチャント端末102、マーチャント端末103、自動販売機104（課金装置3455）、または交換局105（電子テレホンカード課金装置800）のアップデート日時と次回アップデート日時とに対応する。
【１４９６】
マーチャント情報アドレス4718、公開鍵証明書アドレス4719、システムプロパティアドレス4720、マーチャント設定情報アドレス4721、メモリデータアドレス4724、ディスクデータアドレス4725、電話情報アドレス4726、クレジットカードリストアドレス4727、プリペイドカードリストアドレス4728、テレホンカードリストアドレス4729、チケットリストアドレス4730、トランザクション履歴リストアドレス4731、及び照会結果リストアドレス4732は、それぞれ、マーチャント情報4701、公開鍵証明書4702、システムプロパティ4703、マーチャント設定情報4704、メモリデータ4705、ディスクデータ4706、電話情報4707、クレジットカードリスト4708、プリペイドカードリスト4709、テレホンカードリスト4710、改札チケットリスト4711、トランザクション履歴リスト4712、及び照会結果リスト4713が格納されているマーチャント情報サーバ903上のアドレスを示す。
【１４９７】
クレジットカードリスト4708、プリペイドカードリスト4709、テレホンカードリスト4710、改札チケットリスト4711、トランザクション履歴リスト4712、及び照会結果リスト4713は、ゲート端末101、マーチャント端末102、マーチャント端末103、自動販売機104（課金装置3455）、または交換局105（電子テレホンカード課金装置800）の、それぞれ、クレジットカードリスト、プリペイドカードリスト、テレホンカードリスト3908、改札チケットリスト2409、トランザクション履歴リスト、照会結果リストに対応する情報である。但し、サービスコードリストアドレス、クレジットカード決済プログラムアドレス、プリペイドカード決済モジュールアドレス、テレホンカード決済プログラムアドレス、チケット改札モジュールアドレス、トランザクション情報アドレス、及び照会結果アドレスは、すべて、マーチャント情報サーバ903上のアドレスを示す。
【１４９８】
次に、サービス提供システム110の決済処理機関情報サーバ904が管理する情報について説明する。
【１４９９】
決済処理機関情報サーバ904は、決済処理機関の属性情報とその決済処理機関による決済処理の履歴情報とを管理する。
【１５００】
図４８は、一つの決済処理機関に対して、決済処理機関情報サーバ904に格納される情報を表した摸式図である。
【１５０１】
決済処理機関情報サーバ904では、一つの決済処理機関に対して、決済処理機関データ管理情報4800、決済処理機関情報4801、決済処理機関公開鍵証明書4802、クレジットカードリスト4803、及び決済履歴リスト4804の５種類の情報が格納される。
【１５０２】
決済処理機関データ管理情報4800は、一つの決済処理機関に関して、決済処理機関情報サーバ904に格納される情報の管理情報である。決済処理機関情報4801は、決済処理機関の住所、口座番号、契約内容等の決済処理機関に関する情報であり、決済処理機関公開鍵証明書4802は、決済処理機関の公開鍵証明書、クレジットカードリスト4803は、決済処理機関が取り扱うことができるクレジットカードのリスト情報、決済履歴リスト4804は、モバイル・エレクトロニックコマース・サービスでのクレジットカード決済の履歴情報である。
【１５０３】
決済処理機関データ管理情報4800は、決済処理機関名4805、決済処理機関ＩＤ4806、決済処理機関ステイタス4807、決済処理機関情報アドレス4808、決済処理機関公開鍵証明書アドレス4809、クレジツトカードリストアドレス4810、及び決済履歴リストアドレス4811の７個の情報によって構成される。
【１５０４】
決済処理機関ステイタス4807は、決済処理システム106の決済処理のサービス状況を示し、決済処理機関情報アドレス4808、決済処理機関公開鍵証明書アドレス4809、クレジットカードリストアドレス4810、及び決済履歴リストアドレス4811は、それぞれ、決済処理機関情報4801、決済処理機関公開鍵証明書4802、クレジットカードリスト4803、及び決済履歴リスト4804が格納されている決済処理機関情報サーバ904上のアドレスを示す。
【１５０５】
クレジットカードリスト4803では、一つのクレジットカードに対して、クレジットカード名4812、及びサービスコードリストアドレス4813の２つの情報が格納されている。
【１５０６】
クレジットカード名4812は、決済処理機関が取り扱うことができるクレジットカードの名前を示し、サービスコードリストアドレス4813は、そのクレジットカードによって提供されるサービスの内、決済処理機関が取り扱うことができるサービスの種類を示すサービスコードリストが格納されている決済処理機関情報サーバ904上のアドレスを示す。
【１５０７】
決済履歴リスト4803では、一つのクレジットカード決済に対して、決済番号4814、サービスコード4815、決済時刻4816、及び決済情報アドレス4817の４つの情報が格納される。
【１５０８】
決済番号4814は、クレジットカード決済の処理をユニークに示す番号、サービスコード4815は、ユーサが利用したクレジットカードサービスの種類を示すコード情報、決済時刻4816は、クレジットカード決済の処理をした時刻、決済情報アドレス4817は、決済処理システム106が発行した決済完了通知が格納されている決済処理機関情報サーバ904上のアドレスを示す。
【１５０９】
次に、サービス提供システム110のチケット発行者情報サーバ905が管理する情報について説明する。
【１５１０】
チケット発行者情報サーバ905は、チケット発行者の属性情報とそのチケット発行者によるチケット発行の履歴情報とを管理する。
【１５１１】
図４９は、一つのチケット発行者に対して、チケット発行者情報サーバ905に格納される情報を表した摸式図である。
【１５１２】
チケット発行者情報サーバ905では、一つのチケット発行者に対して、チケット発行者データ管理情報4900、チケット発行者情報4901、チケット発行者公開鍵証明書4902、サービスコードリスト4903、インストールカードリスト4904、電子チケットテンプレートリスト4905、トランザクション履歴リスト4906、及び使用状況通知リスト4907の８種類の情報が格納される。
【１５１３】
チケット発行者データ管理情報4900は、一つのチケット発行者に関して、チケット発行者情報サーバ905に格納される情報の管理情報である。チケット発行者情報4901は、チケット発行者の住所、口座番号、契約内容等のチケット発行者に関する情報であり、チケット発行者公開鍵証明書4902は、チケット発行者の公開鍵証明書、サービスコードリスト4903は、チケット発行者が提供するサービスの種類を示すサービスコードのリスト、インストールカードリスト4904は、チケット発行者が発行している電子チケットインストールカードのインストールカード番号のリスト情報、電子チケットテンプレートリスト4905は、チケット発行者が発行するチケットに対応する電子チケットのテンプレートプログラムの管理情報、トランザクション履歴リスト4906は、チケット発行者によるチケット発行の履歴情報、使用状況通知リスト4907は、サービス提供システム110がチケット発行システム107に発行した使用状況通知の管理情報である。
【１５１４】
チケット発行者データ管理情報4900は、チケット発行者名4908、チケット発行者ＩＤ4909、チケット発行者ステイタス4910、チケット発行者情報アドレス4911、チケット発行者公開鍵証明書アドレス4912、サービスコードリストアドレス4913、インストールカードリストアドレス4914、電子チケットテンプレートリストアドレス4915、トランザクション履歴リストアドレス4916、及び使用状況通知リストアドレス4917の１０の情報によって構成される。
【１５１５】
チケット発行者ステイタス4910は、チケット発行システム107のチケット発行のサービス状況を示し、チケット発行者情報アドレス4911、チケット発行者公開鍵証明書アドレス4912、サービスコードリストアドレス4913、インストールカードリストアドレス4914、電子チケットテンプレートリストアドレス4915、トランザクション履歴リストアドレス4916、及び使用状況通知リストアドレス4917は、それぞれ、チケット発行者情報4901、チケット発行者公開鍵証明書4902、サービスコードリスト4903、インストールカードリスト4904、電子チケットテンプレートリスト4905、トランザクション履歴リスト4906、または使用状況通知リスト4907が格納されているチケット発行者情報サーバ905上のアドレスを示す。
【１５１６】
電子チケットのテンプレートプログラムは、サービス提供システムが発行する電子チケットの雛形であり、チケット発行者とサービス提供者との契約に基づいて、あらかじめ、チケット発行者情報サーバ905に登録されている。電子チケットを発行する際、サービス提供システムは、チケット発行システムが指定するテンプレートプログラムをもとに、電子チケットを生成して、モバイルユーザ端末に発行する。
【１５１７】
電子チケットテンプレートリスト4905では、一つの種類の電子チケットのテンプレートプログラムに対して、テンプレートコード4918、トランザクションモジュールアドレス4919、表示モジュールアドレス4920、デフォルト表示部品情報アドレス4921、及びチケット改札モジュールアドレス4922の５つの情報が格納されている。
【１５１８】
テンプレートコード4918は、電子チケットのテンプレートプログラムの種類を示すコード情報であり、トランザクションモジュールアドレス4919は、生成する電子チケットのトランザクションモジュール1930となるプログラムモジュールが格納されているチケット発行者情報サーバ905上のアドレスを示し、表示モジュールアドレス4920は、生成する電子チケットの表示モジュール1931となるプログラムモジュールが格納されているチケット発行者情報サーバ905上のアドレスを示し、デフォルト表示部品情報アドレス4921は、生成する電子チケットの表示部品情報1932として、デフォルトで設定される情報が格納されているチケット発行者情報サーバ905上のアドレスを示す。また、チケット改札モジュールアドレス4922は、生成する電子チケットを改札するチケット改札モジュールが格納されているチケット発行者情報サーバ905上のアドレスを示し、チケット改札モジュールは、トランザクションモジュールに対応するプログラムモジュールである。
【１５１９】
チケット発行システムが、サービス提供システムに電子チケットの発行を依頼するメッセージ、電子チケット発行依頼5903の中には、公演日時や座席番号などのチケット情報とともに、テンプレートプログラムを指定するテンプレートコードと表示部品情報とが含まれている。サービス提供システムは、テンプレートコードによって指定されるトランザクションモジュール及び表示モジュール、並びに、電子チケット発行依頼5903に含まれる表示部品情報から電子チケットを生成する。
【１５２０】
テンプレートプログラムは、チケット発行者情報サーバ905に登録される前に、モバイル・エレクトロニックコマース・システムにおける動作確認と安全性の確認とがされている。あらかじめ、複数種類のテンプレートプログラムを登録しておくことによって、チケット発行者は、各種の動作をするチケットや、各種のデザインのチケットを、安全に発行することができる。電子チケットの発行の手順については、後で詳しく説明する。
【１５２１】
トランザクション履歴リスト4906では、一回のチケットオーダー、またはチケット購入に対して、トランザクション番号4923、サービスコード4924、トランザクション時刻4925、及びトランザクション情報アドレス4926の４つの情報が格納される。
【１５２２】
トランザクション番号4923は、チケットオーダーの処理、及びチケット購入の処理をユニークに示す番号、サービスコード4924は、チケット発行システムが提供したサービスの種類を示すサービスコード、トランザクション時刻4925は、チケットオーダーの処理またはチケット購入の処理をした時刻、トランザクション情報アドレス4926は、チケット発行システム107が発行したチケットオーダー応答または領収書が格納されているチケット発行者情報サーバ905上のアドレスを示す。
【１５２３】
使用状況通知リスト4907は、サービス提供システム110がチケット発行システム107に発行した使用状況通知7100の管理情報であり、使用状況通知が格納されているチケット発行者情報サーバ905上のアドレスを示す使用状況通知アドレス4927のリストである。
【１５２４】
次に、サービス提供システム110のプリペイドカード発行者情報サーバ906が管理する情報について説明する。
【１５２５】
プリペイドカード発行者情報サーバ906は、プリペイドカード発行者の属性情報とそのプリペイドカード発行者によるプリペイドカード発行の履歴情報とを管理する。
【１５２６】
図５０は、一つのプリペイドカード発行者に対して、プリペイドカード発行者情報サーバ906に格納される情報を表した摸式図である。
【１５２７】
プリペイドカード発行者情報サーバ906では、一つのプリペイドカード発行者に対して、プリペイドカード発行者データ管理情報5000、プリペイドカード発行者情報5001、プリペイドカード発行者公開鍵証明書5002、サービスコードリスト5003、インストールカードリスト5004、電子プリペイドカードテンプレートリスト5005、トランザクション履歴リスト5006、及び使用状況通知リスト5007の８種類の情報が格納される。
【１５２８】
プリペイドカード発行者データ管理情報5000は、一つのプリペイドカード発行者に関して、プリペイドカード発行者情報サーバ906に格納される情報の管理情報である。プリペイドカード発行者情報5001は、プリペイドカード発行者の住所、口座番号、契約内容等のプリペイドカード発行者に関する情報であり、プリペイドカード発行者公開鍵証明書5002は、プリペイドカード発行者の公開鍵証明書、サービスコードリスト5003は、プリペイドカード発行者が提供するサービスの種類を示すサービスコードのリスト、インストールカードリスト5004は、プリペイドカード発行者が発行している電子プリペイドカードインストールカードのインストールカード番号のリスト情報、電子プリペイドカードテンプレートリスト5005は、プリペイドカード発行者が発行するプリペイドカードに対応する電子プリペイドカードのテンプレートプログラムの管理情報、トランザクション履歴リスト5006は、プリペイドカード発行者によるプリペイドカード発行の履歴情報、使用状況通知リスト5007は、サービス提供システム110がプリペイドカード発行システム108に発行した使用状況通知の管理情報である。
【１５２９】
プリペイドカード発行者データ管理情報5000は、プリペイドカード発行者名5008、プリペイドカード発行者ＩＤ5009、プリペイドカード発行者ステイタス5010、プリペイドカード発行者情報アドレス5011、プリペイドカード発行者公開鍵証明書アドレス5012、サービスコードリストアドレス5013、インストールカードリストアドレス5014、電子プリペイドカードテンプレートリストアドレス5015、トランザクション履歴リストアドレス5016、及び使用状況通知リストアドレス5017の１０の情報によって構成される。
【１５３０】
プリペイドカード発行者ステイタス5010は、プリペイドカード発行システム108のプリペイドカード発行のサービス状況を示し、プリペイドカード発行者情報アドレス5011、プリペイドカード発行者公開鍵証明書アドレス5012、サービスコードリストアドレス5013、インストールカードリストアドレス5014、電子プリペイドカードテンプレートリストアドレス5015、トランザクション履歴リストアドレス5016、及び使用状況通知リストアドレス5017は、それぞれ、プリペイドカード発行者情報5001、プリペイドカード発行者公開鍵証明書5002、サービスコードリスト5003、インストールカードリスト5004、電子プリペイドカードテンプレートリスト5005、トランザクション履歴リスト5006、及び使用状況通知リスト5007が格納されているプリペイドカード発行者情報サーバ906上のアドレスを示す。
【１５３１】
電子プリペイドカードのテンプレートプログラムは、サービス提供システムが発行する電子プリペイドカードの雛形であり、プリペイドカード発行者とサービス提供者との契約に基づいて、あらかじめ、プリペイドカード発行者情報サーバ906に登録されている。電子プリペイドカードを発行する際、サービス提供システムは、プリペイドカード発行システムが指定するテンプレートプログラムをもとに、電子プリペイドカードを生成して、モバイルユーザ端末に発行する。
【１５３２】
電子プリペイドカードテンプレートリスト5005では、一つの種類の電子プリペイドカードのテンプレートプログラムに対して、テンプレートコード5018、トランザクションモジュールアドレス5019、表示モジュールアドレス5020、デフォルト表示部品情報アドレス5021、及びプリペイドカード決済モジュールアドレス5022の５つの情報が格納されている。
【１５３３】
テンプレートコード5018は、電子プリペイドカードのテンプレートプログラムの種類を示すコード情報であり、トランザクションモジュールアドレス5019は、生成する電子プリペイドカードのトランザクションモジュール2030となるプログラムモジュールが格納されているプリペイドカード発行者情報サーバ906上のアドレスを示し、表示モジュールアドレス5020は、生成する電子プリペイドカードの表示モジュール2031となるプログラムモジュールが格納されているプリペイドカード発行者情報サーバ906上のアドレスを示し、デフォルト表示部品情報アドレス5021は、生成する電子プリペイドカードの表示部品情報2032として、デフォルトで設定される情報が格納されているプリペイドカード発行者情報サーバ906上のアドレスを示す。また、プリペイドカード決済モジュールアドレス5022は、生成する電子プリペイドカードとの間でプリペイドカード決済の処理をするプリペイドカード決済モジュールが格納されているプリペイドカード発行者情報サーバ906上のアドレスを示し、プリペイドカード決済モジュールは、トランザクションモジュールに対応するプログラムモジュールである。
【１５３４】
プリペイドカード発行システムが、サービス提供システムに電子プリペイドカードの発行を依頼するメッセージ、電子プリペイドカード発行依頼6203の中には、プリペイドカードの発行時の額面や、使用条件などのカード情報とともに、テンプレートプログラムを指定するテンプレートコードと表示部品情報とが含まれている。サービス提供システムは、テンプレートコードによって指定されるトランザクションモジュール及び表示モジュール、並びに、電子プリペイドカード発行依頼6203に含まれる表示部品情報から電子プリペイドカードを生成する。
【１５３５】
テンプレートプログラムは、プリペイドカード発行者情報サーバ906に登録される前に、モバイル・エレクトロニックコマース・システムにおける動作確認と安全性の確認とがされている。あらかじめ、複数種類のテンプレートプログラムを登録しておくことによって、プリペイドカード発行者は、各種の動作をするプリペイドカードや、各種のデザインのプリペイドカードを、安全に発行することができる。電子プリペイドカードの発行の手順については、後で、詳しく説明する。
【１５３６】
トランザクション履歴リスト5006では、一回のプリペイドカード発行に対して、トランザクション番号5023、サービスコード5024、トランザクション時刻5025、及びトランザクション情報アドレス5026の４つの情報が格納される。
【１５３７】
トランザクション番号5023は、プリペイドカード発行の処理をユニークに示す番号、サービスコード5024は、プリペイドカード発行システムが提供したサービスの種類を示すサービスコード、トランザクション時刻5025は、プリペイドカード発行の処理をした時刻、トランザクション情報アドレス5026は、プリペイドカード発行システム108が発行した領収書が格納されているプリペイドカード発行者情報サーバ906上のアドレスを示す。
【１５３８】
使用状況通知リスト5007は、サービス提供システム110がプリペイドカード発行システム108に発行した使用状況通知の管理情報でり、使用状況通知5704が格納されているプリペイドカード発行者情報サーバ906上のアドレスを示す使用状況通知アドレス5027のリストである。
【１５３９】
次に、サービス提供システム110のテレホンカード発行者情報サーバ907が管理する情報について説明する。
【１５４０】
テレホンカード発行者情報サーバ907は、テレホンカード発行者の属性情報とそのテレホンカード発行者によるテレホンカード発行の履歴情報とを管理する。
【１５４１】
図５１は、一つのテレホンカード発行者に対して、テレホンカード発行者情報サーバ907に格納される情報を表した摸式図である。
【１５４２】
テレホンカード発行者情報サーバ907では、一つのテレホンカード発行者に対して、テレホンカード発行者データ管理情報5100、テレホンカード発行者情報5101、テレホンカード発行者公開鍵証明書5102、サービスコードリスト5103、インストールカードリスト5104、電子テレホンカードテンプレートリスト5105、トランザクション履歴リスト5106、及び使用状況通知リスト5107の８種類の情報が格納される。
【１５４３】
テレホンカード発行者データ管理情報5100は、一つのテレホンカード発行者に関して、テレホンカード発行者情報サーバ907に格納される情報の管理情報である。テレホンカード発行者情報5101は、テレホンカード発行者の住所、口座番号、契約内容等のテレホンカード発行者に関する情報であり、テレホンカード発行者公開鍵証明書5102は、テレホンカード発行者の公開鍵証明書、サービスコードリスト5103は、テレホンカード発行者が提供するサービスの種類を示すサービスコードのリスト、インストールカードリスト5104は、テレホンカード発行者が発行している電子テレホンカードインストールカードのインストールカード番号のリスト情報、電子テレホンカードテンプレートリスト5105は、テレホンカード発行者が発行するテレホンカードに対応する電子テレホンカードのテンプレートプログラムの管理情報、トランザクション履歴リスト5106は、テレホンカード発行者によるテレホンカード発行の履歴情報、使用状況通知リスト5107は、サービス提供システム110がテレホンカード発行システム107に発行した使用状況通知の管理情報である。
【１５４４】
テレホンカード発行者データ管理情報5100は、テレホンカード発行者名5108、テレホンカード発行者ＩＤ5109、テレホンカード発行者ステイタス5110、テレホンカード発行者情報アドレス5111、テレホンカード発行者公開鍵証明書アドレス5112、サービスコードリストアドレス5113、インストールカードリストアドレス5114、電子テレホンカードテンプレートリストアドレス5115、トランザクション履歴リストアドレス5116、及び使用状況通知リストアドレス5117の１０の情報によって構成される。
【１５４５】
テレホンカード発行者ステイタス5110は、テレホンカード発行システム107のテレホンカード発行のサービス状況を示し、テレホンカード発行者情報アドレス5111、テレホンカード発行者公開鍵証明書アドレス5112、サービスコードリストアドレス5113、インストールカードリストアドレス5114、電子テレホンカードテンプレートリストアドレス5115、トランザクション履歴リストアドレス5116、及び使用状況通知リストアドレス5117は、それぞれ、テレホンカード発行者情報5101、テレホンカード発行者公開鍵証明書5102、サービスコードリスト5103、インストールカードリスト5104、電子テレホンカードテンプレートリスト5105、トランザクション履歴リスト5106、及び使用状況通知リスト5107が格納されているテレホンカード発行者情報サーバ907上のアドレスを示す。
【１５４６】
電子テレホンカードのテンプレートプログラムは、サービス提供システムが発行する電子テレホンカードの雛形であり、テレホンカード発行者とサービス提供者との契約に基づいて、あらかじめ、テレホンカード発行者情報サーバ907に登録されている。電子テレホンカードを発行する際、サービス提供システムは、テレホンカード発行システムが指定するテンプレートプログラムをもとに、電子テレホンカードを生成して、モバイルユーザ端末に発行する。
【１５４７】
電子テレホンカードテンプレートリスト5105では、一つの種類の電子テレホンカードのテンプレートプログラムに対して、テンプレートコード5118、トランザクションモジュールアドレス5119、表示モジュールアドレス5120、デフォルト表示部品情報アドレス5121、及びテレホンカード決済モジュールアドレス5122の５つの情報が格納されている。
【１５４８】
テンプレートコード5118は、電子テレホンカードのテンプレートプログラムの種類を示すコード情報であり、トランザクションモジュールアドレス5119は、生成する電子テレホンカードのトランザクションモジュール2030となるプログラムモジュールが格納されているテレホンカード発行者情報サーバ907上のアドレスを示し、表示モジュールアドレス5120は、生成する電子テレホンカードの表示モジュール2031となるプログラムモジュールが格納されているテレホンカード発行者情報サーバ907上のアドレスを示し、デフォルト表示部品情報アドレス5121は、生成する電子テレホンカードの表示部品情報2032として、デフォルトで設定される情報が格納されているテレホンカード発行者情報サーバ907上のアドレスを示す。また、テレホンカード決済モジュールアドレス5122は、生成する電子テレホンカードとの間でテレホンカード決済の処理をするテレホンカード決済モジュールが格納されているテレホンカード発行者情報サーバ907上のアドレスを示し、テレホンカード決済モジュールは、トランザクションモジュールに対応するプログラムモジュールである。
【１５４９】
テレホンカード発行システムが、サービス提供システムに電子テレホンカードの発行を依頼するメッセージ、電子テレホンカード発行依頼6203の中には、テレホンカードの発行時の額面や、使用条件などのカード情報とともに、テンプレートプログラムを指定するテンプレートコードと表示部品情報とが含まれている。サービス提供システムは、テンプレートコードによって指定されるトランザクションモジュール及び表示モジュール、並びに電子テレホンカード発行依頼6103に含まれる表示部品情報から電子テレホンカードを生成する。
【１５５０】
テンプレートプログラムは、テレホンカード発行者情報サーバ907に登録される前に、モバイル・エレクトロニックコマース・システムにおける動作確認と安全性の確認とがされている。あらかじめ、複数種類のテンプレートプログラムを登録しておくことによって、テレホンカード発行者は、各種の動作をするテレホンカードや、各種のデザインのテレホンカードを、安全に発行することができる。電子テレホンカードの発行の手順については、後で、詳しく説明する。
【１５５１】
トランザクション履歴リスト5106では、一回のテレホンカード発行に対して、トランザクション番号5123、サービスコード5124、トランザクション時刻5125、及びトランザクション情報アドレス5126の４つの情報が格納される。
【１５５２】
トランザクション番号5123は、テレホンカード発行の処理をユニークに示す番号、サービスコード5124は、テレホンカード発行システムが提供したサービスの種類を示すサービスコード、トランザクション時刻5125は、テレホンカード発行の処理をした時刻、トランザクション情報アドレス5126は、テレホンカード発行システム109が発行した領収書が格納されているテレホンカード発行者情報サーバ907上のアドレスを示す。
【１５５３】
使用状況通知リスト5107は、サービス提供システム110がテレホンカード発行システム109に発行した使用状況通知の管理情報であり、使用状況通知5704が格納されているテレホンカード発行者情報サーバ907上のアドレスを示す使用状況通知アドレス5127のリストである。
【１５５４】
次に、サービス提供システム110のサービスディレクタ情報サーバ901に格納される情報について説明する。
【１５５５】
サービスディレクタ情報サーバ901には、ユーザリスト5200、マーチャントリスト5201、決済処理機関リスト5202、チケット発行者リスト5203、プリペイドカード発行者リスト5204、テレホンカード発行者リスト5205、サービス提供履歴リスト5206、電子チケット管理情報5300、電子プリペイドカード管理情報5400、及び電子テレホンカード管理情報5500の１０種類の情報が格納される。
【１５５６】
図５２（ａ）（ｂ）（ｃ）（ｄ）（ｅ）（ｆ）（ｇ）は、それぞれ、サービスディレクタ情報サーバ901に格納されるユーザリスト5200、マーチャントリスト5201、決済処理機関リスト5202、チケット発行者リスト5203、プリペイドカード発行者リスト5204、テレホンカード発行者リスト5205、及びサービス提供履歴リスト5206の模式図であり、図５３、図５４、及び図５５は、それぞれ、１つの種類の電子チケットに関して格納される電子チケット管理情報5300、１つの種類の電子プリペイドカードに関して格納される電子プリペイドカード管理情報5400、及び、１つの種類の電子テレホンカードに関して格納される電子テレホンカード管理情報5500の模式図である。
【１５５７】
ユーザリスト5200は、サービス提供者と契約をしているモバイルユーザ端末の属性情報のリスト、マーチャントリスト5201は、サービス提供者と契約をしているゲート端末、マーチャント端末(102,103)、自動販売機（課金装置）、及び交換局（電子テレホンカード課金装置）の属性情報のリスト、決済処理機関リスト5202は、サービス提供者と契約をしている全決済処理機関の属性情報のリスト、チケット発行者リスト5203は、サービス提供者と契約をしている全チケット発行者の属性情報のリスト、プリペイドカード発行者リスト5204は、サービス提供者と契約をしている全プリペイドカード発行者の属性情報のリスト、テレホンカード発行者リスト5205は、サービス提供者と契約をしている全テレホンカード発行者の属性情報のリスト、サービス提供履歴リスト5203は、サービス提供システム110が提供したモバイル・エレクトロニックコマース・サービスの履歴情報のリストであり、電子チケット管理情報5300は、使用登録されている電子チケットの管理情報、電子プリペイドカード管理情報5400は、使用登録されている電子プリペイドカードの管理情報、電子テレホンカード管理情報5500は、使用登録されている電子テレホンカードの菅理情報である。
【１５５８】
ユーザリスト5200には、一つのモバイルユーザ端末に対して、ユーザ名5207、ユーザＩＤ5208、ユーザ電話番号5209、ユーザ公開鍵証明書アドレス5210、サービスリストアドレス5211、及びユーザ情報アドレス5212の６種類の情報が格納される。
【１５５９】
ユーザ公開鍵証明書アドレス5210は、ユーザの公開鍵証明書が格納されているアドレスを示し、サービスリストアドレス5211は、ユーザが利用できるサービスコードのリストが格納されているアドレスを示し、ユーザ情報アドレス5212は、そのユーザのユーザデータ管理情報4600が格納されているアドレスを示す。
【１５６０】
マーチャントリスト5201には、一つのゲート端末、マーチャント端末(102,103)、自動販売機（課金装置）または交換局（電子テレホンカード課金装置）に対して、マーチャント名（通信事業者名）5213、マーチャントＩＤ（通信事業者ＩＤ）5214、課金装置ＩＤ（ゲートＩＤ）5215、マーチャント電話番号5216、サービスリストアドレス5217、顧客テーブルアドレス5218、及びマーチャント情報アドレス5219の７種類の情報が格納される。
【１５６１】
サービスリストアドレス5217は、マーチャントまたは通信事業者が取り扱うことができるサービスコードのリストが格納されているアドレスを示し、顧客テーブルアドレス5218は、顧客番号とユーザＩＤとの対応を示すテーブル情報（顧客テーブル）が格納されているアドレスを示し、マーチャント情報アドレス5219は、そのマーチャントのマーチャントデータ管理情報4700が格納されているアドレスを示す。
【１５６２】
決済処理機関リスト5202には、一つの決済処理機関に対して、決済処理機関名5220、決済処理機関ＩＤ5221、決済処理機関通信ＩＤ5222、サービスリストアドレス5223、及び決済処理機関情報アドレス5224の５種類の情報が格納される。
【１５６３】
決済処理機関通信ＩＤ5222は、サービス提供システム110が、デジタル通信回線131を介して決済処理システム106と通信する際の決済処理システム106のＩＤを示し、サービスリストアドレス5223は、決済処理機関が取り扱うことができるサービスコードのリストが格納されているサービスディレクタ情報サーバ901上のアドレスを示し、決済処理機関情報アドレス5224は、その決済処理機関の決済処理機関データ管理情報4800が格納されている決済処理機関情報サーバ904上のアドレスを示す。
【１５６４】
チケット発行者リスト5203には、一つのチケット発行者に対して、チケット発行者名5225、チケット発行者ＩＤ5226、チケット発行者通信ＩＤ5227、サービスリストアドレス5228、インストールカードリスト5229、顧客テーブルアドレス5230、及びチケット発行者情報アドレス5231の７種類の情報が格納される。
【１５６５】
チケット発行者通信ＩＤ5227は、サービス提供システム110が、デジタル通信回線132を介してチケット発行システム107と通信する際のチケット発行システム107のＩＤを示し、サービスリストアドレス5228は、チケット発行者が取り扱うことができるサービスコードのリストが格納されているサービスディレクタ情報サーバ901上のアドレスを示し、インストールカードリスト5229は、チケット発行者が発行している電子チケットインストールカードのインストールカード番号のリストが格納されているサービスディレクタ情報サーバ901上のアドレスを示し、顧客テーブルアドレス5230は、顧客番号とユーザＩＤとの対応を示すテーブル情報（顧客テーブル）が格納されているサービスディレクタ情報サーバ901上のアドレスを示し、チケット発行者情報アドレス5231は、そのチケット発行者のチケット発行者データ管理情報4900が格納されているチケット発行者情報サーバ905上のアドレスを示す。
【１５６６】
プリペイドカード発行者リスト5204には、一つのプリペイドカード発行者に対して、プリペイドカード発行者名5232、プリペイドカード発行者ＩＤ5233、プリペイドカード発行者通信ＩＤ5234、サービスリストアドレス5235、インストールカードリスト5236、顧客テーブルアドレス5237、及びプリペイドカード発行者情報アドレス5238の７種類の情報が格納される。
【１５６７】
プリペイドカード発行者通信ＩＤ5234は、サービス提供システム110が、デジタル通信回線133を介してプリペイドカード発行システム108と通信する際のプリペイドカード発行システム108のＩＤを示し、サービスリストアドレス5235は、プリペイドカード発行者が取り扱うことができるサービスコードのリストが格納されているサービスディレクタ情報サーバ901上のアドレスを示し、インストールカードリスト5236は、プリペイドカード発行者が発行している電子プリペイドカードインストールカードのインストールカード番号のリストが格納されているサービスディレクタ情報サーバ901上のアドレスを示し、顧客テーブルアドレス5237は、顧客番号とユーザＩＤとの対応を示すテーブル情報（顧客テーブル）が格納されているサービスディレクタ情報サーバ901上のアドレスを示し、プリペイドカード発行者情報アドレス5238は、そのプリペイドカード発行者のプリペイドカード発行者データ管理情報5000が格納されているプリペイドカード発行者情報サーバ906上のアドレスを示す。
【１５６８】
テレホンカード発行者リスト5205には、一つのテレホンカード発行者に対して、テレホンカード発行者名5239、テレホンカード発行者ＩＤ5240、テレホンカード発行者通信ＩＤ5241、サービスリストアドレス5242、インストールカードリスト5243、顧客テーブルアドレス5244、及びテレホンカード発行者情報アドレス5245の７種類の情報が格納される。
【１５６９】
テレホンカード発行者通信ＩＤ5241は、サービス提供システム110が、デジタル通信回線134を介してテレホンカード発行システム109と通信する際のテレホンカード発行システム109のＩＤを示し、サービスリストアドレス5242は、テレホンカード発行者が取り扱うことができるサービスコードのリストが格納されているサービスディレクタ情報サーバ901上のアドレスを示し、インストールカードリスト5243は、テレホンカード発行者が発行している電子テレホンカードインストールカードのインストールカード番号のリストが格納されているサービスディレクタ情報サーバ901上のアドレスを示し、顧客テーブルアドレス5244は、顧客番号とユーザＩＤとの対応を示すテーブル情報（顧客テーブル）が格納されているサービスディレクタ情報サーバ901上のアドレスを示し、テレホンカード発行者情報アドレス5245は、そのテレホンカード発行者のテレホンカード発行者データ管理情報5100が格納されているテレホンカード発行者情報サーバ907上のアドレスを示す。
【１５７０】
サービス提供履歴リスト5206には、モバイル・エレクトロニックコマース・サービスの一つのサービス提供に対して、サービス提供番号5246、サービスコード5247、サービス提供時刻5248、及びサービス提供情報アドレス5249の４種類の情報が格納される。
【１５７１】
サービス提供番号5246は、一つのサービス提供におけるサービス提供システム110での処理をユニークに示す番号、サービスコード5247は、提供したサービスの種類を示すコード情報、サービス提供時刻5248は、モバイル・エレクトロニックコマース・サービスのサービスを提供した時刻、サービス提供情報アドレス5249は、一つのサービス提供におけるサービス提供システム110での処理の履歴情報が格納されているサービスディレクタ情報サーバ901上のアドレスを示す。
【１５７２】
電子チケット管理情報5300は、１つの種類の電子チケットに関して、サービスディレクタ情報サーバ901に格納される電子チケットの管理情報である。
【１５７３】
図５３において、電子チケット管理情報5300には、チケット名5304、チケットコード5305、チケット発行者ＩＤ5306、有効期間5307、チケット認証プライベート鍵5308、チケット認証公開鍵5309、ゲート認証プライベート鍵5310、ゲート認証公開鍵5311、テンプレートコード5312、管理期間5313、ユーザリストアドレス5314、マーチャントリストアドレス5315、及び使用登録チケットリストアドレス5316の１３の情報が格納される。
【１５７４】
チケット名5304は、電子チケットの名称を示す情報であり、チケットコード5305は、電子チケットの種類を示すコード情報、チケット発行者ＩＤ5306は、チケット発行者のＩＤ情報、有効期間5307は、電子チケットの有効期間である。チケット認証プライベート鍵5308及びチケット認証公開鍵5309は、チケット改札の処理の際に、電子チケットの認証に用いる鍵対であり、ゲート認証プライベート鍵5310及びゲート認証公開鍵5311は、チケット改札の処理の際に、ゲート端末の認証に用いる鍵対である。サービス提供システムは、電子チケットの発行の際には、チケット認証プライベート鍵5308とゲート認証公開鍵5311とを用い、また、改札する電子チケットをゲート端末に設定する際には、チケット認証公開鍵5309とゲート認証プライベート鍵5310とをゲート端末に設定する。
【１５７５】
テンプレートコード5312は、電子チケットを生成する際に用いる、電子チケットのテンプレートプログラムを示すコード情報であり、管理期間5313は、この電子チケット管理情報5300を、サービスディレクタ情報サーバ901で管理する期間を示す。つまり、管理期間5313を過ぎると、この電子チケット管理情報5300によって管理される情報は、より管理コストが低い管理形態または蓄積媒体に移行される。
【１５７６】
ユーザリストアドレス5314は、この電子チケットを所有するユーザを示すユーザリスト5301が格納されているサービスディレクタ情報サーバ901上のアドレスを示し、ユーザリスト5301は、一つの電子チケットに関して、チケットＩＤ5317と、そのチケットの所有者を示すユーザＩＤ5318との２つの情報が格納されているリスト情報である。
【１５７７】
マーチャントリストアドレス5315は、この電子チケットの改札を許可されたマーチャントを示すマーチャントリスト5302が格納されているサービスディレクタ情報サーバ901上のアドレスを示し、マーチャントリスト5302は、この電子チケットの改札を許可されたマーチャントのマーチャントＩＤ5319のリスト情報である。
【１５７８】
ユーザリスト5301及びマーチャントリスト5302は、チケット内容変更の際に、変更するチケットの所有者、または、チケット改札モジュールを設定したマーチャントを特定する際に参照される。
【１５７９】
使用登録チケットリストアドレス5316は、使用登録された電子チケットを示す使用登録チケットリスト5303が格納されているサービスディレクタ情報サーバ901上のアドレスを示す。使用登録チケットリスト5303は、使用登録されている電子チケットに関する情報のリスト情報であり、使用登録されている一つの電子チケットに対して、チケットＩＤ5320、チケット改札番号初期値5321、ユーザＩＤ5322、ユーザ公開鍵5323、使用登録チケット証明書アドレス5324、チケット改札応答リストアドレス5325、及び前ユーザ情報アドレス5326の７種類の情報が格納される。
【１５８０】
ユーザＩＤ5321及びユーザ公開鍵5323は、それぞれ、電子チケット（チケットＩＤ5320）を使用登録したユーザ（電子チケットの所有者）のユーザＩＤ及びユーザ公開鍵であり、チケット改札番号初期値5321は、電子チケットのチケット改札番号の初期値、使用登録チケット証明書アドレス5324は、電子チケットの使用登録チケット証明書が格納されているサービスディレクタ情報サーバ901上のアドレスを示す。
【１５８１】
チケット改札番号初期値5321は、サービス提供システムが、その電子チケットを発行する際に設定する任意の数であり、チケット改札番号は、チケット改札の処理をする度に、インクリメントされる番号である。サービス提供システムは、チケット照会の処理の際に、チケット改札番号をもとに、チケットステイタス11103及びチケット可変情報11104の変化の整合性を検証する。
【１５８２】
サービス提供システムは、チケット照会の処理において、まず、使用登録チケットリスト5303を参照して、その電子チケットが使用登録されていることを検証し、次に、ユーザ公開鍵5323で、チケット改札応答6703のユーザのデジタル署名を検証し、次に使用登録チケット証明書で、チケット改札応答6703のチケットのデジタル署名を検証し、さらに、チケット改札番号をもとに、チケットステイタス11103とチケット可変情報11104との変化の整合性を検証する。
【１５８３】
チケット改札応答リストアドレス5325は、チケット改札応答（チケット照会の処理の際に、サービス提供システムにアップロードされたチケット改札応答）のリスト情報が格納されているサービスディレクタ情報サーバ901上のアドレスを示す。
【１５８４】
前ユーザ情報アドレス5326は、電子チケットの前の所有者（ユーザ）に関する情報、前ユーザ情報5327が格納されているサービスディレクタ情報サーバ901上のアドレスを示す。使用登録された電子チケットが他のユーザに譲渡された場合、サービス提供システムは、使用登録チケットリスト5303を新しいユーザの情報に更新し、前のユーザの情報は、前ユーザ情報5327として管理する。
【１５８５】
前ユーザ情報5327には、ユーザＩＤ5328、ユーザ公開鍵5329、使用登録チケット証明書アドレス5330、チケット改札応答リストアドレス5331、及び前ユーザ情報アドレス5332の５種類の情報が格納される。これらは、それぞれ、使用登録チケットリストのユーザＩＤ5322、ユーザ公開鍵5323、使用登録チケット証明書アドレス5324、チケット改札応答リストアドレス5325、及び前ユーザ情報アドレス5326に対応し、前ユーザ情報アドレス5332は、さらに前の所有者がいる場合、その前ユーザ情報のアドレスを示す。
【１５８６】
つまり、使用登録された電子チケットが譲渡されると、ユーザＩＤ5322、ユーザ公開鍵5323、使用登録チケット証明書アドレス5324、チケット改札応答リストアドレス5325、及び前ユーザ情報アドレス5326が更新され、更新前のその部分の情報が、前ユーザ情報5327として、前ユーザ情報アドレス5326によってポインティングされる。
【１５８７】
以上のように、電子チケットを管理することによって、電子チケットが譲渡されたとしても、その使用状況を正確に管理することができる。
【１５８８】
電子プリペイドカード管理情報5400は、１つの種類の電子プリペイドカードに関して、サービスディレクタ情報サーバ901に格納される電子プリペイドカードの管理情報である。
【１５８９】
図５４において、電子プリペイドカード管理情報5400には、カード名5403、カードコード5404、プリペイドカード発行者ＩＤ5405、有効期間5406、カード認証プライベート鍵5407、カード認証公開鍵5408、課金装置認証プライベート鍵5409、課金装置認証公開鍵5410、テンプレートコード5411、管理期間5412、マーチャントリストアドレス5413、及び使用登録カードリストアドレス5414の１２の情報が格納される。
【１５９０】
カード名5403は、電子プリペイドカードの名称を示す情報であり、カードコード5404は、電子プリペイドカードの種類を示すコード情報、プリペイドカード発行者ＩＤ5405は、プリペイドカード発行者のＩＤ情報、有効期間5406は、電子プリペイドカードの有効期間である。カード認証プライベート鍵5407及びカード認証公開鍵5408は、プリペイドカード決済の処理の際に、電子プリペイドカードの認証に用いる鍵対であり、課金装置認証プライベート鍵5409及び課金装置認証公開鍵5410は、プリペイドカード決済の処理の際に、マーチャント端末102,103または自動販売機104の認証に用いる鍵対である。サービス提供システムは、電子プリペイドカードの発行の際には、カード認証プライベート鍵5407と課金装置認証公開鍵5410とを用い、また、マーチャントが取扱う電子プリペイドカードをマーチャント端末102,103または自動販売機104に設定する際には、カード認証公開鍵5408と課金装置認証プライベート鍵5409とを設定する。
【１５９１】
テンプレートコード5411は、電子プリペイドカードを生成する際に用いる、電子プリペイドカードのテンプレートプログラムを示すコード情報であり、管理期間5412は、この電子プリペイドカード管理情報5400を、サービスディレクタ情報サーバ901で管理する期間を示す。つまり、管理期間5412を過ぎると、この電子プリペイドカード管理情報5400によって管理される情報は、より管理コストが低い管理形態または蓄積媒体に移行される。
【１５９２】
マーチャントリストアドレス5413は、この電子プリペイドカードを取扱うことを許可されたマーチャントを示すマーチャントリスト5401が格納されているサービスディレクタ情報サーバ901上のアドレスを示し、マーチャントリスト5401は、この電子プリペイドカードの取扱いを許可されたマーチャントのマーチャントＩＤ5415のリスト情報である。
【１５９３】
使用登録カードリストアドレス5414は、使用登録された電子プリペイドカードを示す使用登録カードリスト5402が格納されているサービスディレクタ情報サーバ901上のアドレスを示す。使用登録カードリスト5402は、使用登録されている電子プリペイドカードに関する情報のリスト情報であり、使用登録されている一つの電子プリペイドカードに対して、カードＩＤ5416、マイクロ小切手発行番号初期値5417、ユーザＩＤ5418、ユーザ公開鍵5419、使用登録カード証明書アドレス5420、マイクロ小切手リストアドレス5421、及び前ユーザ情報アドレス5422の７種類の情報が格納される。
【１５９４】
ユーザＩＤ5418及びユーザ公開鍵5419は、それぞれ、電子プリペイドカード（カードＩＤ5416）を使用登録したユーザ（電子プリペイドカードの所有者）のユーザＩＤ及びユーザ公開鍵であり、マイクロ小切手発行番号初期値5417は、電子プリペイドカードのマイクロ小切手発行番号の初期値、使用登録カード証明書アドレス5420は、電子プリペイドカードの使用登録カード証明書が格納されているサービスディレクタ情報サーバ901上のアドレスを示す。
【１５９５】
マイクロ小切手発行番号初期値5417は、サービス提供システムが、その電子プリペイドカードを発行する際に設定する任意の数であり、マイクロ小切手発行番号は、プリペイドカード決済の処理をする度（マイクロ小切手を発行する度）に、インクリメントされる番号である。サービス提供システムは、プリペイドカード照会の処理の際に、マイクロ小切手発行番号をもとに、支払金額11303、カードステイタス11304、及び残り合計金額11305の変化の整合性を検証する。
【１５９６】
サービス提供システムは、プリペイドカード照会の処理において、まず、使用登録カードリスト5402を参照して、その電子プリペイドカードが使用登録されていることを検証し、次に、ユーザ公開鍵5419で、マイクロ小切手のユーザのデジタル署名を検証し、次に使用登録カード証明書で、マイクロ小切手のプリペイドカードのデジタル署名を検証し、さらに、マイクロ小切手発行番号をもとに、支払金額11303、カードステイタス11304、及び残り合計金額11305の変化の整合性を検証する。
【１５９７】
マイクロ小切手リストアドレス5421は、マイクロ小切手（プリペイドカード照会の処理の際に、サービス提供システムにアップロードされたマイクロ小切手）のリスト情報が格納されているサービスディレクタ情報サーバ901上のアドレスを示す。
【１５９８】
前ユーザ情報アドレス5422は、電子プリペイドカードの前の所有者（ユーザ）に関する情報、前ユーザ情報5423が格納されているサービスディレクタ情報サーバ901上のアドレスを示す。使用登録された電子プリペイドカードが他のユーザに譲渡された場合、サービス提供システムは、使用登録カードリスト5402を新しいユーザの情報に更新し、前のユーザの情報は、前ユーザ情報5423として管理する。
【１５９９】
前ユーザ情報5423には、ユーザＩＤ5424、ユーザ公開鍵5425、使用登録カード証明書アドレス5426、マイクロ小切手リストアドレス5427、及び前ユーザ情報アドレス5428の５種類の情報が格納される。これらは、それぞれ、使用登録カードリストのユーザＩＤ5418、ユーザ公開鍵5419、使用登録カード証明書アドレス5420、マイクロ小切手リストアドレス5421、及び前ユーザ情報アドレス5422に対応し、前ユーザ情報アドレス5428は、さらに前の所有者がいる場合、その前ユーザ情報のアドレスを示す。
【１６００】
つまり、使用登録された電子プリペイドカードが譲渡されると、ユーザＩＤ5418、ユーザ公開鍵5419、使用登録カード証明書アドレス5420、マイクロ小切手リストアドレス5421、及び前ユーザ情報アドレス5422が更新され、更新前のその部分の情報が、前ユーサ情報5423として、前ユーザ情報アドレス5422によってポインティングされる。
【１６０１】
以上のように、電子プリペイドカードを管理することによって、電子プリペイドカードが譲渡されたとしても、その使用状況を正確に管理することができる。
【１６０２】
これによって、例えば、使いかけの電子プリペイドカードの譲渡を許したとしても、システムの安全性が損なわれる心配がない。
【１６０３】
電子テレホンカード管理情報5500は、１つの種類の電子テレホンカードに関して、サービスディレクタ情報サーバ901に格納される電子テレホンカードの管理情報である。
【１６０４】
図５５において、電子テレホンカード管理情報5500には、カード名5503、カードコード5504、テレホンカード発行者ＩＤ5505、有効期間5506、カード認証プライベート鍵5507、カード認証公開鍵5508、課金装置認証プライベート鍵5509、課金装置認証公開鍵5510、テンプレートコード5511、管理期間5512、通信事業者リストアドレス5513、及び使用登録カードリストアドレス5514の１２の情報が格納される。
【１６０５】
カード名5503は、電子テレホンカードの名称を示す情報であり、カードコード5504は、電子テレホンカードの種類を示すコード情報、テレホンカード発行者ＩＤ5505は、テレホンカード発行者のＩＤ情報、有効期間5506は、電子テレホンカードの有効期間である。カード認証プライベート鍵5507及びカード認証公開鍵5508は、テレホンカード決済の処理の際に、電子テレホンカードの認証に用いる鍵対であり、課金装置認証プライベート鍵5509及び課金装置認証公開鍵5510は、テレホンカード決済の処理の際に、電子テレホンカード課金装置800の認証に用いる鍵対である。サービス提供システムは、電子テレホンカードの発行の際には、カード認証プライベート鍵5507と課金装置認証公開鍵5510とを用い、また、通信事業者が取扱う電子テレホンカードを電子テレホンカード課金装置800に設定する際には、カード認証公開鍵5508と課金装置認証プライベート鍵5509とを設定する。
【１６０６】
テンプレートコード5511は、電子テレホンカードを生成する際に用いる、電子テレホンカードのテンプレートプログラムを示すコード情報であり、管理期間5512は、この電子テレホンカード管理情報5500を、サービスディレクタ情報サーバ901で管理する期間を示す。つまり、管理期間5512を過ぎると、この電子テレホンカード管理情報5500によって管理される情報は、より管理コストが低い管理形態または蓄積媒体に移行される。
【１６０７】
通信事業者リストアドレス5513は、この電子テレホンカードを取扱うことを許可された通信事業者を示す通信事業者リスト5501が格納されているサービスディレクタ情報サーバ901上のアドレスを示し、通信事業者リスト5501は、この電子テレホンカードの取扱いを許可された通信事業者の通信事業者ＩＤ5515のリスト情報である。
【１６０８】
使用登録カードリストアドレス5514は、使用登録された電子テレホンカードを示す使用登録カードリスト5502が格納されているサービスディレクタ情報サーバ901上のアドレスを示す。使用登録カードリスト5502は、使用登録されている電子テレホンカードに関する情報のリスト情報であり、使用登録されている一つの電子テレホンカードに対して、カードＩＤ5516、マイクロ小切手発行番号初期値5517、ユーザＩＤ5518、ユーザ公開鍵5519、使用登録カード証明書アドレス5520、電話マイクロ小切手リストアドレス5521、及び前ユーザ情報アドレス5522の７種類の情報が格納される。
【１６０９】
ユーザＩＤ5518及びユーザ公開鍵5519は、それぞれ、電子テレホンカード（カードＩＤ5516）を使用登録をしたユーザ（電子テレホンカードの所有者）のユーザＩＤ及びユーザ公開鍵であり、マイクロ小切手発行番号初期値5517は、電子テレホンカードのマイクロ小切手発行番号の初期値、使用登録カード証明書アドレス5520は、電子テレホンカードの使用登録カード証明書が格納されているサービスディレクタ情報サーバ901上のアドレスを示す。
【１６１０】
マイクロ小切手発行番号初期値5517は、サービス提供システムが、その電子テレホンカードを発行する際に設定する任意の数であり、マイクロ小切手発行番号は、テレホンカード決済の処理をする度（電話マイクロ小切手を発行する度）に、インクリメントされる番号である。サービス提供システムは、テレホンカード照会の処理の際に、マイクロ小切手発行番号をもとに、支払金額11303、カードステイタス11304及び残り合計金額11305の変化の整合性を検証する。
【１６１１】
サービス提供システムは、テレホンカード照会の処理において、まず、使用登録カードリスト5502を参照して、その電子テレホンカードが使用登録されていることを検証し、次に、ユーザ公開鍵5519で、電話マイクロ小切手のユーザのデジタル署名を検証し、次に使用登録カード証明書で、電話マイクロ小切手のテレホンカードのデジタル署名を検証し、さらに、マイクロ小切手発行番号をもとに、支払金額11503、カードステイタス11504及び残り合計金額11505の変化の整合性を検証する。
【１６１２】
電話マイクロ小切手リストアドレス5521は、電話マイクロ小切手（テレホンカード照会の処理の際に、サービス提供システムにアップロードされた電話マイクロ小切手）のリスト情報が格納されているサービスディレクタ情報サーバ901上のアドレスを示す。
【１６１３】
前ユーザ情報アドレス5522は、電子テレホンカードの前の所有者（ユーザ）に関する情報、前ユーザ情報5523が格納されているサービスディレクタ情報サーバ901上のアドレスを示す。使用登録された電子テレホンカードが他のユーザに譲渡された場合に、サービス提供システムは、使用登録カードリスト5502を新しいユーザの情報に更新し、前のユーザの情報は、前ユーザ情報5523として管理する。
【１６１４】
前ユーザ情報5523には、ユーザＩＤ5524、ユーザ公開鍵5525、使用登録カード証明書アドレス5526、電話マイクロ小切手リストアドレス5527、及び前ユーザ情報アドレス5528の５種類の情報が格納される。これらは、それぞれ、使用登録カードリストのユーザＩＤ5518、ユーザ公開鍵5519、使用登録カード証明書アドレス5520、電話マイクロ小切手リストアドレス5521、及び前ユーザ情報アドレス5522に対応し、前ユーザ情報アドレス5528は、さらに前の所有者がいる場合、その前ユーザ情報のアドレスを示す。
【１６１５】
つまり、使用登録された電子テレホンカードが譲渡されると、ユーザＩＤ5518、ユーザ公開鍵5519、使用登録カード証明書アドレス5520、電話マイクロ小切手リストアドレス5521、及び前ユーザ情報アドレス5522が更新され、更新前のその部分の情報が、前ユーザ情報5523として、前ユーザ情報アドレス5522によってポインティングされる。
【１６１６】
以上のように、電子テレホンカードを管理することによって、電子テレホンカードが譲渡されたとしても、その使用状況を正確に管理することができる。これによって、例えば、使いかけの電子テレホンカードの譲渡を許したとしても、システムの安全性が損なわれる心配がない。
【１６１７】
次に、モバイル・エレクトロニックコマース・サービスの各処理において、機器間で交換されるメッセージの詳細な内容と各機器の動作について説明する。
【１６１８】
まず、ネットワーク階層蓄積管理機能の各処理において、機器間で交換されるメッセージの詳細な内容と各機器の動作について説明する。
【１６１９】
最初に、モバイルユーザ端末100、ゲート端末101、マーチャント端末102、及びマーチャント端末103が、リモートアクセスの処理において、サービス提供システム110との間で交換するメッセージの内容について説明する。リモートアクセスの処理は、リモートアドレスに存在するデータをアクセスしようとした場合に、サービス提供システム110から、データをダウンロードする処理である。以下では、この処理を、リモートアクセス処理と呼ぶ。
【１６２０】
図５６（ａ）は、モバイルユーザ端末100によるリモートアクセス処理の手順を示し、図８５（ａ）（ｂ）は、モバイルユーザ端末100とサービス提供システムのユーザプロセスとの間で交換するメッセージの内容を示している。
【１６２１】
モバイルユーザ端末100は、アクセスするデータが、リモートアドレスに存在する場合、サービス提供システム110のユーザプロセスにデータを要求するメッセージ、リモートアクセス要求5600を、ユーザプロセスに送信する。
【１６２２】
図８５（ａ）に示すように、リモートアクセス要求5600は、メッセージがリモートアクセス要求5600であることと、そのデータ構造とを示すヘッダ情報、リモートアクセス要求ヘッダ8500と、リモートアドレスを示すデータアドレス8501と、ユーザＩＤ8502と、このリモートアクセス要求5600を発行した日時を示す発行日時8503とから成るデータについて、ユーザのデジタル署名8504を行ない、サービス提供者宛に封書化したものである。
【１６２３】
サービス提供システム110のユーザプロセスは、リモートアクセス要求5600を受信し、暗号を復号化し、デジタル署名をチェックして、要求されたデータをモバイルユーザ端末100に送るメッセージ、リモートアクセスデータ5601を生成し、モバイルユーザ端末100に送信する。
【１６２４】
図８５（ｂ）に示すように、リモートアクセスデータ5601は、メッセージがリモートアクセスデータ5601であることと、そのデータ構造とを示すヘッダ情報、リモートアクセスデータヘッダ8508と、要求されたデータ8509と、サービス提供者ＩＤ8510と、このリモートアクセスデータ5601を発行した日時を示す発行日時8511とから成るデータについて、サービス提供者のデジタル署名を行ない、ユーザ宛に封書化したものである。
【１６２５】
モバイルユーザ端末100は、リモートアクセスデータ5601を受信し、暗号を復号化し、デジタル署名をチェックして、テンポラリ領域に格納して、データにアクセスする。
【１６２６】
同様に、図５７（ａ）は、ゲート端末101、マーチャント端末102、またはマーチャント端末103によるリモートアクセス処理の手順を示し、図８６（ａ）（ｂ）は、ゲート端末101、マーチャント端末102、またはマーチャント端末103とサービス提供システムのマーチャントプロセスとの間で交換するメッセージの内容を示している。
【１６２７】
ゲート端末101、マーチャント端末102またはマーチャント端末103は、アクセスするデータがリモートアドレスに存在する場合、サービス提供システム110のマーチャントプロセスにデータを要求するメッセージ、リモートアクセス要求5700を生成し、マーチャントプロセスに送信する。
【１６２８】
図８６（ａ）に示すように、リモートアクセス要求5700は、メッセージがリモートアクセス要求5700であることと、そのデータ構造とを示すヘッダ情報、リモートアクセス要求ヘッダ8600と、リモートアドレスを示すデータアドレス8601と、ゲートＩＤまたは課金装置ＩＤ8602と、マーチャントＩＤ8603と、このリモートアクセス要求5700を発行した日時を示す発行日時8604とから成るデータについて、マーチャントのデジタル署名8605を行ない、サービス提供者宛に封書化したものである。
【１６２９】
サービス提供システム110のマーチャントプロセスは、リモートアクセス要求5700を受信し、暗号を復号化し、デジタル署名をチェックして、要求されたデータを、ゲート端末101、マーチャント端末102またはマーチャント端末103に送るメッセージ、リモートアクセスデータ5701を生成し、ゲート端末101、マーチャント端末102またはマーチャント端末103に送信する。
【１６３０】
図８６（ｂ）に示すように、リモートアクセスデータ5701は、メッセージがリモートアクセスデータ5701であることと、そのデータ構造とを示すヘッダ情報、リモートアクセスデータヘッダ8609と、要求されたデータ8610と、サービス提供者ＩＤ8611と、このリモートアクセスデータ5701を発行した日時を示す発行日時8612とから成るデータについて、サービス提供者のデジタル署名を行ない、マーチャント宛に封書化したものである。
【１６３１】
ゲート端末101、マーチャント端末102またはマーチャント端末103は、リモートアクセスデータ5701を受信し、暗号を復号化し、デジタル署名をチェックして、テンポラリ領域に格納して、データにアクセスする。
【１６３２】
次に、モバイルユーザ端末100、ゲート端末101、マーチャント端末102、マーチャント端末103、課金装置3555（自動販売機104）、及び電子テレホンカード課金装置800（交換局105）が、データアップデートの処理において、サービス提供システム110との間で交換するメッセージの内容について説明する。データアップデートの処理は、サービス提供システムが、モバイルユーザ端末100のＲＡＭ1502、または、ゲート端末101、マーチャント端末102、マーチャント端末103、若しくは課金装置3555（自動販売機104）のＲＡＭ及びハードディスクの内容を更新する処理である。以下では、この処理を、データアップデート処理と呼ぶ。
【１６３３】
図５６（ｂ）は、モバイルユーザ端末100におけるデータアップデート処理の手順を示し、図８７（ａ）〜（ｅ）は、モバイルユーザ端末100とサービス提供システム110との間で交換するメッセージの内容を示している。
【１６３４】
モバイルユーザ端末100は、クロックカウンタの値が、アップデート時刻レジスタに一致すると、データアップデート処理を開始する。モバイルユーザ端末100は、サービス提供システム110のユーザプロセスにデータアップデート処理を要求するメッセージ、データアップデート要求5602を生成し、ユーザプロセスに送信する。
【１６３５】
図８７（ａ）に示すように、データアップデート要求5602は、メッセージがデータアップデート要求5602であることと、そのデータ構造とを示すヘッダ情報、データアップデート要求ヘッダ8700と、ユーザＩＤ8701と、このデータアップデート要求5602を発行した日時を示す発行日時8702とから成るデータについて、ユーザのデジタル署名を行ない、サービス提供者宛に封書化したものである。
【１６３６】
サービス提供システム110のユーザプロセスは、データアップデート要求5602を受信し、暗号を復号化し、デジタル署名をチェックして、アップロードするデータの範囲を示すメッセージ、データアップデート応答5603を生成し、モバイルユーザ端末100に送信する。
【１６３７】
図８７（ｂ）に示すように、データアップデート応答5603は、メッセージがデータアップデート応答5603であることと、そのデータ構造とを示すヘッダ情報、データアップデート応答ヘッダ8707と、アップロードするデータの範囲を示すアップデートオプションコード8708と、サービス提供者ＩＤ8709と、このデータアップデート応答5603を発行した日時を示す発行日時8710とから成るデータについて、サービス提供者のデジタル署名を行ない、ユーザ宛に封書化したものである。
【１６３８】
アップデートオプションコード8708は、モバイルユーザ端末からサービス提供システムへアップロードするデータの範囲を示すコード情報であり、コードによって、サービスデータ領域の変更データ、サービスデータ領域及びユーザ領域の変更データ、サービスデータ領域内の全データ、サービスデータ領域及びユーザ領域の全データ、基本プログラム領域、サービスデータ領域及びユーザ領域の全データといった範囲が指定される。アップデートオプションコード8708は、サービス提供システムのユーザプロセスによって指定され、毎回、同じコードが指定されるとは限らない。
【１６３９】
モバイルユーザ端末100は、データアップデート応答5603を受信し、暗号を復号化し、デジタル署名をチェックして、アップデートオプションコード8708によって指定されるデータを生成する。そして、そのデータをサービス提供システム110にアップロードするメッセージ、アップロードデータ5604を生成して、サービス提供システムに送信する。
【１６４０】
この時、サービス提供システムへアップロードするデータの容量が大きい場合は、複数のパケットに分割して、アップロードデータ5604として送信する。
【１６４１】
図８７（ｃ）に示すように、アップロードデータ5604は、メッセージがアップロードデータ5604であることと、そのデータ構造とを示すヘッダ情報、アップロードデータヘッダ8715と、複数のパケットに分割した場合のパケット番号を示すアップロードパケット番号8716と、サービス提供システムにアップロードするデータにデータ圧縮を施した、圧縮アップロードデータ8717と、ユーザＩＤ8718と、このアップロードデータ5604を発行した日時を示す発行日時8719から成るデータについて、ユーザのデジタル署名を行ない、サービス提供者宛に封書化したものである。
【１６４２】
サービス提供システムのユーザプロセスは、アップロードデータ5604を受信し、暗号を復号化し、デジタル署名をチェックする。そして、圧縮アップロードデータ8717を解凍し、ユーザ情報サーバ902上の端末データ4607、及びその他のユーザデータ管理情報4600によって管理されるデータと照合する。そして、ＲＡＭ1502の更新データを生成し、モバイルユーザ端末100のＲＡＭ1502をアップデートするメッセージ、アップデートデータ5605を生成して、モバイルユーザ端末100に送信する。この時、モバイルユーザ端末へ送信するデータの容量が大きい場合は、複数のパケットに分割して、アップデートデータ5605として送信する。
【１６４３】
図８７（ｄ）に示すように、アップデートデータ5605は、メッセージがアップデートデータ5605であることと、そのデータ構造とを示すヘッダ情報、アップデートデータヘッダ8724と、複数のパケットに分割した場合のパケット番号を示すアップデートパケット番号8725と、更新データをデータ圧縮した、圧縮アップデートデータ8726と、サービス提供者ＩＤ8727と、このアップデートデータ5605を発行した日時を示す発行日時8728とから成るデータについて、サービス提供者のデジタル署名を行ない、ユーザ宛に封書化したものである。
【１６４４】
モバイルユーザ端末100は、アップデートデータ5605を受信し、暗号を復号化し、デジタル署名をチェックし、圧縮された更新データ8726を解凍して、ＲＡＭ1502のデータを更新する。
【１６４５】
サービス提供システム110のユーザプロセスは、ＲＡＭ1502の更新データの生成において、実体データ領域の容量に余裕が無い場合には、クレジットカードリストの各クレジットカードのアクセス時刻を比較し、アクセス時刻が最近のクレジットカードのオブジェクトデータアドレスにローカルアドレスを割り当て、また、チケットリストの各チケットのアクセス時刻を比較し、アクセス時刻が最近のチケットの電子チケットアドレスにローカルアドレスを割り当て、また、プリペイドカードリストの各プリペイドカードのアクセス時刻を比較し、アクセス時刻が最近のプリペイドカードの電子プリペイドカードアドレスにローカルアドレスを割り当て、また、テレホンカードリストの各テレホンカードのアクセス時刻を比較し、アクセス時刻が最近のテレホンカードの電子テレホンカードアドレスにローカルアドレスを割り当て、また、各利用情報の利用時刻を比較し、利用時刻が最近の利用情報の利用情報アドレスにローカルアドレスを割り当てる。また、モバイルユーザ端末のプログラムをバージョンアップする必要がある場合には、基本プログラム領域のデータを更新する。
【１６４６】
また、サービス提供システムのユーザプロセスは、アップロードデータのデータ照合の際に、データの不正な改ざんが発見された場合には、アップデートデータ5605の代わりに、モバイルユーザ端末100の機能を停止させるメッセージ、機能停止命令5605'を生成し、モバイルユーザ端末100に送信する。
【１６４７】
図８７（ｅ）に示すように、機能停止命令5605'は、メッセージが機能停止命令5605'であることと、そのデータ構造とを示すヘッダ情報、機能停止命令ヘッダ8733と、サービス提供者ＩＤ8734と、この機能停止命令5605'を発行した日時を示す発行日時8735とから成るデータについて、サービス提供者のデジタル署名を行ない、ユーザ宛に封書化したものである。
【１６４８】
この場合、機能停止命令5605'を受信したモバイルユーザ端末100は、暗号を復号化し、デジタル署名をチェックし、ターミナルステイタス1802を“使用不能”に変更して、使用不能状態になる。
【１６４９】
このデータアップデート処理によって、モバイルユーザ端末のＲＡＭには、比較的、使用頻度が高い情報が格納され、モバイルユーザ端末のプログラムは、最新のバージョンに保たれ、また、端末データの不正な改ざんが防止される。
【１６５０】
同様に、図５７（ｂ）は、ゲート端末101、マーチャント端末102、マーチャント端末103、課金装置3555（自動販売機104）、及び電子テレホンカード課金装置800（交換局105）におけるデータアップデート処理の手順を示し、図８８（ａ）〜（ｅ）は、サービス提供システム110とゲート端末101、マーチャント端末102、マーチャント端末103、課金装置3555または電子テレホンカード課金装置800との間で交換するメッセージの内容を示している。
【１６５１】
ゲート端末101、マーチャント端末102、マーチャント端末103、課金装置3555、及び電子テレホンカード課金装置800は、それぞれ、クロックカウンタの値が、アップデート時刻レジスタに一致すると、データアップデート処理を開始する。ゲート端末101、マーチャント端末102、マーチャント端末103、課金装置3555、及び電子テレホンカード課金装置800は、サービス提供システム110のマーチャントプロセスにデータアップデート処理を要求するメッセージ、データアップデート要求5702を生成し、マーチャントプロセスに送信する。
【１６５２】
図８８（ａ）に示すように、データアップデート要求5702は、メッセージがデータアップデート要求5702であることと、そのデータ構造とを示すヘッダ情報、データアップデート要求ヘッダ8800と、課金装置ＩＤ（ゲート端末の場合は、ゲートＩＤ）8801と、マーチャント（電子テレホンカード課金装置の場合は、通信事業者）ＩＤ8802と、このデータアップデート要求5702を発行した日時を示す発行日時8803とから成るデータについて、マーチャント（通信事業者）のデジタル署名を行ない、サービス提供者宛に封書化したものである。
【１６５３】
サービス提供システム110のマーチャントプロセスは、データアップデート要求5702を受信し、暗号を復号化し、デジタル署名をチェックして、アップロードするデータの範囲を示すメッセージ、データアップデート応答5703を生成し、それぞれ、ゲート端末101、マーチャント端末102、マーチャント端末103、課金装置3555、または電子テレホンカード課金装置800へ送信する。
【１６５４】
図８８（ｂ）に示すように、データアップデート応答5703は、メッセージがデータアップデート応答5703であることと、そのデータ構造とを示すヘッダ情報、データアップデート応答ヘッダ8808と、アップロードするデータの範囲を示すアップデートオプションコード8809と、サービス提供者ＩＤ8810と、このデータアップデート応答5703を発行した日時を示す発行日時8811とから成るデータについて、サービス提供者のデジタル署名を行ない、マーチャント（電子テレホンカード課金装置の場合は、通信事業者）宛に封書化したものである。
【１６５５】
アップデートオプションコード8809は、サービス提供システムへアップロードするデータの範囲を示すコード情報であり、コードによって、サービスデータ領域の変更データ、サービスデータ領域及びマーチャント領域の変更データ、サービスデータ領域内の全データ、サービスデータ領域及びマーチャント領域の全データ、基本プログラム領域、サービスデータ領域及びマーチャント領域の全データといった範囲が指定される。アップデートオプションコード8809は、サービス提供システムのマーチャントプロセスによって指定され、毎回、同じコードが指定されるとは限らない。
【１６５６】
ゲート端末101、マーチャント端末102、マーチャント端末103、課金装置3555、及び電子テレホンカード課金装置800は、データアップデート応答5703を受信し、暗号を復号化し、デジタル署名をチェックして、アップデートオプションコード8809によって指定されるデータを生成する。そして、そのデータをサービス提供システム110にアップロードするメッセージ、アップロードデータ5704を生成して、サービス提供システムに送信する。
【１６５７】
この時、サービス提供システムへアップロードするデータの容量が大きい場合は、複数のパケットに分割して、アップロードデータ5704として送信する。
【１６５８】
図８８（ｃ）に示すように、アップロードデータ5704は、メッセージがアップロードデータ5704であることと、そのデータ構造とを示すヘッダ情報、アップロードデータヘッダ8816と、複数のパケットに分割した場合のパケット番号を示すアップロードパケット番号8817と、サービス提供システムにアップロードするデータにデータ圧縮を施した、圧縮アップロードデータ8818と、課金装置ＩＤ（ゲート端末の場合、ゲートＩＤ）8819と、マーチャント（通信事業者）ＩＤ8820と、このアップロードデータ5704を発行した日時を示す発行日時8821から成るデータについて、マーチャント（通信事業者）のデジタル署名を行ない、サービス提供者宛に封書化したものである。
【１６５９】
サービス提供システムのマーチャントプロセスは、アップロードデータ5704を受信し、暗号を復号化し、デジタル署名をチェックする。そして、圧縮アップロードデータ8818を解凍し、マーチャント情報サーバ903上のメモリデータ4705、及び、その他のマーチャントデータ管理情報4700によって管理されるデータと照合する。そして、更新データを生成し、ゲート端末101、マーチャント端末102、マーチャント端末103、課金装置3555、または電子テレホンカード課金装置800のＲＡＭ及びハードディスクをアップデートするメッセージ、アップデートデータ5705を生成して、ゲート端末101、マーチャント端末102、マーチャント端末103、課金装置3555、または電子テレホンカード課金装置800へ送信する。この時、送信するデータの容量が大きい場合は、複数のパケットに分割して、アップデートデータ5705として送信する。
【１６６０】
図８８（ｄ）に示すように、アップデートデータ5705は、メッセージがアップデートデータ5705であることと、そのデータ構造とを示すヘッダ情報、アップデートデータヘッダ8826と、複数のパケットに分割した場合のパケット番号を示すアップデートパケット番号8827と、更新データをデータ圧縮した、圧縮アップデートデータ8828と、サービス提供者ＩＤ8829と、このアップデートデータ5705を発行した日時を示す発行日時8830とから成るデータについて、サービス提供者のデジタル署名を行ない、マーチャント（通信事業者）宛に封書化したものである。
【１６６１】
ゲート端末101、マーチャント端末102、マーチャント端末103、課金装置3555、及び電子テレホンカード課金装置800は、アップデートデータ5705を受信し、暗号を復号化し、デジタル署名をチェックし、圧縮アップデートデータ8828を解凍して、ＲＡＭ及びハードディスクのデータを更新する。
【１６６２】
サービス提供システム110のマーチャントプロセスは、更新データの生成において、実体データ領域またはハードディスクの容量に余裕が無い場合には、トランザクション履歴リストの各履歴情報のトランザクション時刻を比較し、トランザクション時刻が最近の履歴情報のトランザクション情報アドレスにローカルアドレスを割り当てる。また、ゲート端末101、マーチャント端末102、マーチャント端末103、課金装置3555、または電子テレホンカード課金装置800のプログラムをバージョンアップする必要がある場合には、基本プログラム領域のデータを更新する。
【１６６３】
また、サービス提供システムのマーチャントプロセスは、アップロードデータのデータ照合の際に、データの不正な改ざんが発見された場合には、アップデートデータ5705の代わりに、ゲート端末101、マーチャント端末102、マーチャント端末103、課金装置3555、または電子テレホンカード課金装置800の機能を停止させるメッセージ、機能停止命令5705'を送信する。
【１６６４】
図８８（ｅ）に示すように、機能停止命令5705'は、メッセージが機能停止命令5705'であることと、そのデータ構造とを示すヘッダ情報、機能停止命令ヘッダ8835と、サービス提供者ＩＤ8836と、この機能停止命令5705'を発行した日時を示す発行日時8837とから成るデータについて、サービス提供者のデジタル署名を行ない、ユーザ宛に封書化したものである。
【１６６５】
この場合、ゲート端末101、マーチャント端末102、マーチャント端末103、課金装置3555、または電子テレホンカード課金装置800は、機能停止命令5705'を受信すると、暗号を復号化し、デジタル署名をチェックし、ターミナルステイタス（または課金装置ステイタス）を“使用不能”に変更して、使用不能状態になる。
【１６６６】
このデータアップデート処理によって、ゲート端末101、マーチャント端末102、マーチャント端末103、課金装置3555、及び電子テレホンカード課金装置800のＲＡＭ及びハードディスクには、比較的、使用頻度が高い情報が格納され、ゲート端末101、マーチャント端末102、マーチャント端末103、課金装置3555、及び電子テレホンカード課金装置800のプログラムは、最新のバージョンに保たれ、また、データの不正な改ざんが防止される。
【１６６７】
次に、モバイルユーザ端末100、及び、マーチャント端末102が、強制的データアップデートの処理において、サービス提供システム110との間で交換するメッセージの内容について説明する。強制的データアップデートの処理は、モバイルユーザ端末100のＲＡＭ1502、または、ゲート端末101、マーチャント端末102、マーチャント端末103、課金装置3555、若しくは電子テレホンカード課金装置800のＲＡＭ及びハードディスクの内容を、早急に更新する必要がある場合に、サービス提供システムが、これらを強制的に更新する処理である。以下では、この処理を、強制的データアップデート処理と呼ぶ。
【１６６８】
図５６（ｃ）は、モバイルユーザ端末100における強制的データアップデート処理の手順を示し、図８７（ｃ）〜（ｆ）は、モバイルユーザ端末100とサービス提供システム110との間で交換するメッセージの内容を示している。
【１６６９】
サービス提供システム110は、ユーザとの契約内容に変更があった場合など、モバイルユーザ端末100のＲＡＭのデータを、早急に更新する必要がある場合、まず、モバイルユーザ端末100に強制的データアップデート処理を命令するメッセージ、データアップデート命令5606を生成し、モバイルユーザ端末100に送信する。
【１６７０】
図８７（ｆ）に示すように、データアップデート命令5606は、メッセージがデータアップデート命令5606であることと、そのデータ構造とを示すヘッダ情報、データアップデート命令ヘッダ8740と、アップデートオプションコード8741と、サービス提供者ＩＤ8742と、このデータアップデート命令5606を発行した日時を示す発行日時8743とから成るデータについて、サービス提供者のデジタル署名を行ない、ユーザ宛に封書化したものである。
【１６７１】
モバイルユーザ端末100は、データアップデート命令5606を受信し、暗号を復号化し、デジタル署名をチェックして、アップデートオプションコード8741によって指定されるデータを生成する。そして、そのデータをサービス提供システム110にアップロードするメッセージ、アップロードデータ5607を生成して、サービス提供システムに送信する。
【１６７２】
この時、サービス提供システムへアップロードするデータの容量が大きい場合は、複数のパケットに分割して、アップロードデータ5607として送信する。
【１６７３】
サービス提供システムのユーザプロセスは、アップロードデータ5607を受信し、暗号を復号化し、デジタル署名をチェックする。そして、圧縮アップロードデータ8717を解凍し、ユーザ情報サーバ902上の端末データ4607、及びその他のユーザデータ管理情報4600によって管理されるデータと照合する。そして、ＲＡＭ1502の更新データを生成し、モバイルユーザ端末100のＲＡＭ1502をアップデートするメッセージ、アップデートデータ5608を生成して、モバイルユーザ端末100に送信する。この時、モバイルユーザ端末へ送信するデータの容量が大きい場合は、複数のパケットに分割して、アップデートデータ5608として送信する。
【１６７４】
モバイルユーザ端末100は、アップデートデータ5608を受信し、暗号を復号化し、デジタル署名をチェックし、圧縮された更新データ8726を解凍して、ＲＡＭ1502のデータを更新する。
【１６７５】
また、サービス提供システムのユーザプロセスは、アップロードデータのデータ照合の際に、データの不正な改ざんが発見された場合には、アップデートデータ5608の代わりに、モバイルユーザ端末100の機能を停止させるメッセージ、機能停止命令5608'を生成し、モバイルユーザ端末100に送信する。
【１６７６】
この場合、機能停止命令5608'を受信したモバイルユーザ端末100は、暗号を復号化し、デジタル署名をチェックし、ターミナルステイタス1802を“使用不能”に変更して、使用不能状態になる。
【１６７７】
同様に、図５７（ｃ）は、ゲート端末101、マーチャント端末102、マーチャント端末103、課金装置3555（自動販売機104）、及び電子テレホンカード課金装置800（交換局105）における強制的データアップデート処理の手順を示し、図８８（ｃ）〜（ｆ）は、サービス提供システム110とゲート端末101、マーチャント端末102、マーチャント端末103、課金装置3555または電子テレホンカード課金装置800との間で交換するメッセージの内容を示している。
【１６７８】
サービス提供システム110は、チケット内容変更の処理、または、サービス提供者とマーチャント（電子テレホンカード課金装置800の場合は、通信事業者）
との契約内容に変更があった場合など、ゲート端末101、マーチャント端末102、マーチャント端末103、課金装置3555、または電子テレホンカード課金装置800のＲＡＭ及びハードディスクのデータを、早急に更新する必要がある場合に、強制的データアップデート処理を開始する。
【１６７９】
まず、サービス提供システム110のマーチャントプロセスは、強制的データアップデート処理を命令するメッセージ、データアップデート命令5706を生成し、ゲート端末101、マーチャント端末102、マーチャント端末103、課金装置3555または電子テレホンカード課金装置800へ送信する。
【１６８０】
図８８（ｆ）に示すように、データアップデート命令5706は、メッセージがデータアップデート命令5706であることと、そのデータ構造とを示すヘッダ情報、データアップデート命令ヘッダ8842と、アップデートオプションコード8843と、サービス提供者ＩＤ8844と、このデータアップデート命令5706を発行した日時を示す発行日時8845とから成るデータについて、サービス提供者のデジタル署名を行ない、ユーザ宛に封書化したものである。
【１６８１】
ゲート端末101、マーチャント端末102、マーチャント端末103、課金装置3555、または電子テレホンカード課金装置800は、データアップデート命令5706を受信し、暗号を復号化し、デジタル署名をチェックして、アップデートオプションコード8843によって指定されるデータを生成する。そして、そのデータをサービス提供システム110にアップロードするメッセージ、アップロードデータ5707を生成して、サービス提供システムに送信する。
【１６８２】
この時、サービス提供システムへアップロードするデータの容量が大きい場合は、複数のパケットに分割して、アップロードデータ5707として送信する。
【１６８３】
サービス提供システムのマーチャントプロセスは、アップロードデータ5707を受信し、暗号を復号化し、デジタル署名をチェックする。そして、圧縮アップロードデータ8818を解凍し、マーチャント情報サーバ903上のメモリデータ4705、及び、その他のマーチャントデータ管理情報4700によって管理されるデータと照合する。そして、更新データを生成し、ゲート端末101、マーチャント端末102、マーチャント端末103、課金装置3555、または電子テレホンカード課金装置800のＲＡＭ及びハードディスクをアップデートするメッセージ、アップデートデータ5708を生成して、ゲート端末101、マーチャント端末102、マーチャント端末103、課金装置3555、または電子テレホンカード課金装置800へ送信する。この時、送信するデータの容量が大きい場合は、複数のパケットに分割して、アップデートデータ5708として送信する。
【１６８４】
ゲート端末101、マーチャント端末102、マーチャント端末103、課金装置3555、または電子テレホンカード課金装置800は、アップデートデータ5708を受信し、暗号を復号化し、デジタル署名をチェックし、圧縮アップデートデータ8828を解凍して、ＲＡＭ及びハードディスクのデータを更新する。
【１６８５】
また、サービス提供システムのマーチャントプロセスは、アップロードデータのデータ照合の際に、データの不正な改ざんが発見された場合には、アップデートデータ5708の代わりに、ゲート端末101、マーチャント端末102、マーチャント端末103、課金装置3555、または電子テレホンカード課金装置800の機能を停止させるメッセージ、機能停止命令5708'を送信する。
【１６８６】
この場合、ゲート端末101、マーチャント端末102、マーチャント端末103、課金装置3555、または電子テレホンカード課金装置800は、機能停止命令5708'を受信すると、暗号を復号化し、デジタル署名をチェックし、ターミナルステイタス（または課金装置ステイタス）を“使用不能”に変更して、使用不能状態になる。
【１６８７】
次に、モバイルユーザ端末100、及びマーチャント端末103が、データバックアップの処理において、サービス提供システムとの間で交換するメッセージの内容について説明する。データバックアップの処理は、モバイルユーザ端末100またはマーチャント端末103が、そのバッテリィが少なくなった場合に、自動的に、ＲＡＭの内容を、サービス提供システムのユーザ情報サーバにバックアップする処理である。以下では、この処理を、データバックアップ処理と呼ぶ。
【１６８８】
図５６（ｄ）は、モバイルユーザ端末100におけるデータバックアップ処理の手順を示し、図８７（ａ）〜（ｅ）は、モバイルユーザ端末100とサービス提供システム110との間で交換するメッセージの内容を示している。データバックアップ処理は、ほぼ、データアップデート処理と同じ手順で行なわれる。但し、データバックアップ処理では、モバイルユーザ端末100は、アップデートデータ5612を受信して、ＲＡＭ1502のデータを更新した後、モバイルユーザ端末100のターミナルステイタス1802を“書き込み不可”に変更して、バッテリィの容量が十分な状態になるまで、ＲＡＭへの新たなデータの入力を禁止する。
【１６８９】
モバイルユーザ端末100は、バッテリィ容量がＱ以下になると、サービス提供システム110のユーザプロセスにデータアップデート処理を要求するメッセージ、データアップデート要求5609を生成し、サービス提供システムのユーザプロセスへ送信する。
【１６９０】
サービス提供システムのユーザプロセスは、データアップデート要求5609を受信し、暗号を復号化し、デジタル署名をチェックして、アップロードするデータの範囲を示すメッセージ、データアップデート応答5610を生成し、モバイルユーザ端末100に送信する。
【１６９１】
モバイルユーザ端末100は、データアップデート応答5610を受信し、暗号を復号化し、デジタル署名をチェックして、アップデートオプションコード8708によって指定されるデータを生成する。そして、そのデータをサービス提供システム110にアップロードするメッセージ、アップロードデータ5611を生成して、サービス提供システムに送信する。
【１６９２】
サービス提供システムのユーザプロセスは、アップロードデータ5611を受信し、暗号を復号化し、デジタル署名をチェックする。そして、圧縮アップロードデータ8717を解凍し、ユーザ情報サーバ902上の端末データ4607、及び、その他のユーザデータ管理情報4600によって管理されるデータと照合する。そして、ＲＡＭ1502の更新データを生成し、モバイルユーザ端末100のＲＡＭ1502をアップデートするメッセージ、アップデートデータ5612を生成して、モバイルユーザ端末100に送信する。
【１６９３】
モバイルユーザ端末100は、アップデートデータ5612を受信し、暗号を復号化し、デジタル署名をチェックし、圧縮アップデートデータ8726を解凍して、ＲＡＭ1502のデータを更新する。さらに、ターミナルステイタス1802を“書き込み不可”に変更して、バッテリィの容量が十分な状態になるまで、ＲＡＭへの新たなデータの入力を禁止する。
【１６９４】
また、サービス提供システムのユーザプロセスは、アップロードデータのデータ照合の際に、データの不正な改ざんが発見された場合には、アップデートデータ5612の代わりに、モバイルユーザ端末100の機能を停止させるメッセージ、機能停止命令5612'を生成し、モバイルユーザ端末100に送信する。
【１６９５】
この場合、機能停止命令5612'を受信したモバイルユーザ端末100は、暗号を復号化し、デジタル署名をチェックし、ターミナルステイタス1802を“使用不能”及び“書き込み不可”に変更して、使用不能状態になる。
【１６９６】
同様に、図５７（ｄ）は、マーチャント端末103におけるデータバックアップ処理の手順を示し、図８８（ａ）〜（ｅ）は、マーチャント端末103とサービス提供システム110との間で交換するメッセージの内容を示している。データバックアップ処理は、ほぼ、データアップデート処理と同じ手順で行なわれる。但し、データバックアップ処理では、マーチャント端末103は、アップデートデータ5712を受信して、ＲＡＭ3002のデータを更新した後、マーチャント端末103のターミナルステイタス3302を“書き込み不可”に変更して、バッテリィの容量が十分な状態になるまで、ＲＡＭへの新たなデータの入力を禁止する。
【１６９７】
マーチャント端末103は、バッテリィ容量がＱ以下になると、サービス提供システム110のマーチャントプロセスにデータアップデート処理を要求するメッセージ、データアップデート要求5709を生成し、サービス提供システムのマーチャントプロセスへ送信する。
【１６９８】
サービス提供システムのマーチャントプロセスは、データアップデート要求5709を受信し、暗号を復号化し、デジタル署名をチェックして、アップロードするデータの範囲を示すメッセージ、データアップデート応答5710を生成し、マーチャント端末103に送信する。
【１６９９】
マーチャント端末103は、データアップデート応答5710を受信し、暗号を復号化し、デジタル署名をチェックして、アップデートオプションコード8809によって指定されるデータを生成する。そして、そのデータをサービス提供システム110にアップロードするメッセージ、アップロードデータ5711を生成して、サービス提供システムに送信する。
【１７００】
サービス提供システムのマーチャントプロセスは、アップロードデータ5711を受信し、暗号を復号化し、デジタル署名をチェックする。そして、圧縮アップロードデータ8818を解凍し、マーチャント情報サーバ903上のメモリデータ4705、及び、その他のマーチャントデータ管理情報4700によって管理されるデータと照合する。そして、ＲＡＭ3002の更新データを生成し、マーチャント端末103のＲＡＭ3002をアップデートするメッセージ、アップデートデータ5712を生成して、マーチャント端末103に送信する。
【１７０１】
マーチャント端末103は、アップデートデータ5712を受信し、暗号を復号化し、デジタル署名をチェックし、圧縮アップデートデータ8826を解凍して、ＲＡＭ3002のデータを更新する。さらに、ターミナルステイタス3302を“書き込み不可”に変更して、バッテリィの容量が十分な状態になるまで、ＲＡＭへの新たなデータの入力を禁止する。
【１７０２】
また、サービス提供システムのマーチャントプロセスは、アップロードデータのデータ照合の際に、データの不正な改ざんが発見された場合には、アップデートデータ5712の代わりに、マーチャント端末103の機能を停止させるメッセージ、機能停止命令5712'を生成し、マーチャント端末103に送信する。
【１７０３】
この場合、機能停止命令5712'を受信したマーチャント端末103は、暗号を復号化し、デジタル署名をチェックし、ターミナルステイタス3302を“使用不能”及び“書き込み不可”に変更して、使用不能状態になる。
【１７０４】
次に、電子チケットサービスの各種の処理において、機器間で交換されるメッセージの内容について説明する。
【１７０５】
まず、チケットオーダーの処理において、機器間で交換されるメッセージの内容について説明する。
【１７０６】
図５８は、チケットオーダーの処理における機器間のメッセージ交換の手順を示し、図８９（ａ）（ｂ）、図９０（ａ）（ｂ）は、チケットオーダーの処理において、機器間で交換するメッセージの内容を示している。
【１７０７】
まず、ユーザがモバイルユーザ端末100にチケットオーダー画面を表示させ、チケットオーダー操作5800をすると、モバイルユーザ端末は、デジタル無線電話通信で、チケットオーダー5801を、サービス提供システムへ送信する。
【１７０８】
図８９（ａ）に示すように、チケットオーダー5801は、メッセージがチケットオーダー5801であることと、そのデータ構造とを示すヘッダ情報、チケットオーダーヘッダ8900と、ユーザが要求するサービスの種類を示すサービスコード8901と、ユーザが入力したチケットのオーダーコードを示すチケットオーダーコード8902と、チケットの希望日時8903と、希望枚数8904と、このチケットオーダーの処理をユニークに示す番号として任意に生成した要求番号8905と、ユーザＩＤ8906と、このチケットオーダー5801を発行した日時を示す発行日時8907とから成るデータについて、ユーザのデジタル署名を行ない、サービス提供者宛に封書化したものである。この場合、サービスコード8901は、ユーザが選択したチケット発行者へのチケットオーダーを示す。
【１７０９】
サービス提供システム110のユーザプロセスは、チケットオーダー5801を受信し、暗号を復号化し、デジタル署名をチェックして、サービスマネージャプロセスへ送る。サービスマネージャプロセスは、サービスディレクタプロセスを生成して、チケットオーダー8908を処理するプロセスグループを生成する。サービスディレクタプロセスは、チケット発行者リスト5203を参照し、サービスコード8901が示すチケット発行者に対して、チケットオーダー8920を生成し、チケット発行者プロセスが、これをチケット発行者宛に封書化し、チケットオーダー11402として、チケット発行システム107へ送信する。
【１７１０】
図８９（ｂ）に示すように、チケットオーダー5802は、メッセージがチケットオーダー5802であることと、そのデータ構造とを示すヘッダ情報、チケットオーダーヘッダ8912と、チケットオーダーコード8913と、希望日時8914と、希望枚数8915と、要求番号8916と、チケット発行者に対してユーザをユニークに示す顧客番号8917と、サービス提供者ＩＤ8918と、このチケットオーダー5802を発行した日時を示す発行日時8919とから成るデータについて、サービス提供者のデジタル署名を行ない、チケット発行者宛に封書化したものである。
【１７１１】
顧客番号8917は、そのチケット発行者に対してのみ有効なユーザの識別情報であり、ユーザＩＤや、電話番号とは異なるものである。ユーザとチケット発行者との間で、以前に取引があった場合には、そのチケット発行者の顧客テーブルに登録されている顧客番号が設定される。顧客テーブルは、チケット発行者リスト5203の顧客テーブルアドレス5230によって示される。
【１７１２】
チケット発行システム107は、チケットオーダー5802を受信し、暗号を復号化し、デジタル署名をチェックする。そして、チケット発行サーバ1100が、顧客情報サーバ1101の顧客情報と、チケット情報サーバ1103上のチケットの発行状況に関する情報に基づいて、チケットオーダー5802に対する応答メッセージ、チケットオーダー応答5803を生成して、サービス提供システムへ送信する。
【１７１３】
図９０（ａ）に示すように、チケットオーダー応答5803は、メッセージがチケットオーダー応答5803であることと、そのデータ構造とを示すヘッダ情報、チケットオーダー応答ヘッダ9000と、チケットオーダー5802に対する応答内容の種類を示す応答コード9001と、要求番号9002と、顧客番号9003と、チケット発行者からユーザへのオファーを示すチケット販売オファー9004と、ユーザへのオファーをユニークに示す番号として任意に生成されたオファー番号9005と、チケット販売オファー9004の有効期間9006と、チケット発行者ＩＤ9007と、このチケットオーダー応答5803を発行した日時を示す発行日時9008とから成るデータについて、チケット発行者のデジタル署名を行ない、サービス提供者宛に封書化したものである。
【１７１４】
応答コード9001は、そのコードによって、“発券可能”、“売切れ”、“枚数制限の超過”、“チケットオーダーコード間違い”等のチケットオーダーに対する回答の種類を示す。
【１７１５】
チケット販売オファー9004は、ユーザからのオーダーに対して、発行可能なチケットの席番号、チケットの代金を示すテキスト情報であり、チケット発行者のデジタル署名が施される。売切れ等で、チケットが発行できない場合には、チケット販売オファーは設定されない。
【１７１６】
チケット発行システム107は、チケットオーダー5802に含まれる顧客番号8917から顧客を特定することができる。チケット発行システム107は、チケットオーダー応答5803を生成する際に、顧客の購入履歴をもとに、チケット販売オファー9004のチケットの席やチケットの代金を変えることができる。
【１７１７】
サービス提供システムのチケット発行者プロセスは、チケットオーダー応答5803を受信し、暗号を復号化し、デジタル署名をチェックしてサービスディレクタプロセスへ送る。サービスディレクタプロセスは、チケットオーダー応答9009からチケットオーダー応答9023を生成し、ユーザプロセスが、これをユーザ宛に封書化し、チケットオーダー応答5804としてモバイルユーザ端末へ送信する。
【１７１８】
図９０（ｂ）に示すように、チケットオーダー応答5804は、メッセージがチケットオーダー応答5804であることと、そのデータ構造とを示すヘッダ情報、チケットオーダー応答ヘッダ9014と、応答コード9015と、チケットオーダーに対する応答内容を示す応答メッセージ9016と、要求番号9017と、チケット販売オファー9018と、オファー番号9019と、チケット販売オファー9018の有効期間9020と、サービス提供者ＩＤ9021と、このチケットオーダー応答5804を発行した日時を示す発行日時9022とから成るデータについて、サービス提供者のデジタル署名を行ない、ユーザ宛に封書化したものである。
【１７１９】
応答メッセージ9016は、サービスディレクタプロセスが、応答コード9001に応じて設定する定型のテキストメッセージでり、応答コード9001が、“発券可能”を示すコードでない場合に、その応答コードの内容を示す定型のメッセージを設定する。
【１７２０】
モバイルユーザ端末は、チケットオーダー応答5804を受信し、暗号を復号化し、デジタル署名をチェックして、ＬＣＤ303に、チケットオーダー応答5804の内容を表示し、チケットオーダーの処理を終了する。応答コード9015が、“発券可能”を示す場合、チケット販売オファー9018の内容を表示し、それ以外の場合は、応答メッセージ9016を表示する。
【１７２１】
次に、チケット購入の処理において、機器間で交換されるメッセージの内容について説明する。
【１７２２】
図５９は、チケット購入の処理における機器間のメッセージ交換の手順を示し、図９１（ａ）（ｂ）、図９２（ａ）（ｂ）、図９３（ａ）（ｂ）、図９４（ａ）（ｂ）、図９５（ａ）（ｂ）は、チケット購入の処理において、機器間で交換するメッセージの内容を示している。
【１７２３】
まず、ユーザが、チケット購入申込操作5900行なうと、モバイルユーザ端末は、デジタル無線電話通信で、チケット購入申込5901を、サービス提供システムへ送信する。
【１７２４】
図９１（ａ）に示すように、チケット購入申込5901は、メッセージがチケット購入申込5901であることと、そのデータ構造とを示すヘッダ情報、チケット購入申込ヘッダ9100と、ユーザが要求するサービスの種類を示すサービスコード9101と、チケットオーダー応答5804の中に含まれていたチケット販売オファー9102と、そのチケット販売オファー9102を示すオファー番号9103と、ユーザが指定したクレジットカードを示す支払サービスコード9104と、支払金額9105と、ユーザが指定した支払回数等の支払オプションを示す支払オプションコード9106と、このチケット購入の処理をユニークに示す番号として任意に生成した要求番号9107と、このチケット購入申込5901の有効期間9108と、ユーザＩＤ9109と、このチケット購入申込5901を発行した日時を示す発行日時9110とから成るデータについて、ユーザのデジタル署名を行ない、サービス提供者宛に封書化したものである。サービスコード9101は、チケット販売オファー9102を発行したチケット発行者からのチケット購入を示す。
【１７２５】
サービス提供システム110のユーザプロセスは、チケット購入申込5901を受信し、暗号を復号化し、デジタル署名をチェックして、サービスマネージャプロセスへ送る。サービスマネージャプロセスは、サービスディレクタプロセスを生成して、チケット購入申込5901を処理するプロセスグループを生成する。サービスディレクタプロセスは、チケット発行者リスト5203を参照し、サービスコード9101が示すチケット発行者に対して、チケット購入申込を生成し、チケット発行者プロセスが、これをチケット発行者宛に封書化し、チケット購入申込5902として、チケット発行システム107へ送信する。
【１７２６】
図９１（ｂ）に示すように、チケット購入申込5902は、メッセージがチケット購入申込5902であることと、そのデータ構造とを示すヘッダ情報、チケット購入申込ヘッダ9115と、チケット発行者が発行したチケット販売オファーを示すオファー番号9116と、支払サービスコード9117と、支払金額9118と、支払オプションコード9119と、要求番号9120と、チケット発行者に対してユーザをユニークに示す顧客番号9121と、チケット購入申込5902の有効期間9122と、サービス提供者ＩＤ9123と、このチケツト購入申込5902を発行した日時を示す発行日時9124とから成るデータについて、サービス提供者のデジタル署名を行ない、チケット発行者宛に封書化したものである。
【１７２７】
顧客番号9121には、ユーザとチケット発行者との間で、以前に取引があった場合には、そのチケット発行者の顧客テーブルに登録されている顧客番号が設定され、初めての取引の場合には、サービスディレクタプロセスは、チケット発行者に対してユーザをユニークに示す番号を生成して、顧客番号9121に設定し、さらに、その番号を顧客テーブルに登録する。顧客テーブルは、チケット発行者リスト5203の顧客テーブルアドレス5230によって示される。
【１７２８】
チケット発行システム107は、チケット購入申込5902を受信し、暗号を復号化し、デジタル署名をチェックする。そして、チケット発行サーバ1100が、顧客情報サーバ1101、チケット発行情報サーバ1102、及びチケット情報サーバ1103のデータを更新して、申込まれたチケットのチケットデータ(9219)を生成し、サービス提供システムへ、そのチケットに対応する電子チケットの発行処理とチケット代金の決済処理とを依頼するメッセージ、電子チケット発行依頼5903を送信する。
【１７２９】
図９２（ａ）に示すように、電子チケット発行依頼5903は、メッセージが電子チケット発行依頼5903であることと、そのデータ構造とを示すヘッダ情報、電子チケット発行依頼ヘッダ9200と、ユーザとの取引をユニークに示す番号として任意に生成したトランザクション番号9201と、チケットの代金を示す請求金額9202と、決済処理の手順を示す決済処理オプション9203と、要求番号9204と、発行する電子チケットの種類を示すチケットコード9205と、発行する電子チケットのテンプレートプログラムを示すテンプレートコード9206と、発行するチケットの枚数を示すチケット数9207と、チケットデータ9208と、表示部品情報9209と、チケット発行者ＩＤ9210と、この電子チケット発行依頼5903を発行した日時を示す発行日時9211とから成るデータについて、チケット発行者のデジタル署名を行ない、サービス提供者宛に封書化したものである。
【１７３０】
決済処理オプション9203は、チケット発行システムが、サービス提供システムに対して、チケット代金の決済処理の手順を指定する情報である。決済処理の手順には、大きく分けて、チケット代金の決済処理を完了してから、ユーザに電子チケットを発行する即時決済と、電子チケットを発行してから、後で、チケット代金の決済処理をするディレイド決済とがあり、決済処理オプション9203によって、どの手順で決済処理を行なうかが指定される。
【１７３１】
ディレイド決済の場合、決済処理を行なう前に、ユーザに電子チケットが発行されるので、その分、ユーザは待たされないで済む。
【１７３２】
例えば、チケット発行者は、顧客の購入履歴をもとに、以前から取引があり、信用できる顧客に対しては、ディレイド決済を指定し、初めて取引する顧客に対しては、即時決済を指定するといった使い分けをすることができる。
【１７３３】
チケットデータ9208は、チケット発行者が発行するチケット情報であり、チケット数9207が示す数のチケット情報が、チケットデータ9208として設定される。
【１７３４】
チケット情報は、１つのチケットに関して、チケットＩＤ9216と、チケット情報9217と、チケット発行者ＩＤ9218とからなるデータについて、チケット発行者のデジタル署名を行なったものである。チケット情報9217は、チケットの内容を示すＡＳＣＩＩ情報であり、チケットのタイトルや、日時、場所、席種、主催者、譲渡の可否、さらには、回数券として動作する場合には、回数券の枚数等の使用条件情報が、それぞれの情報の種類を示すタグ情報を付加した形式で記述されている。
【１７３５】
表示部品情報9209は、生成される電子チケットの表示部品情報1932として設定される情報であり、オプションで設定される。したがって、表示部品情報9209は、設定されない場合もある。
【１７３６】
サービス提供システムのチケット発行者プロセスは、電子チケット発行依頼5903を受信し、暗号を復号化し、デジタル署名をチェックして、サービスディレクタプロセスへ送る。サービスディレクタプロセスは、決済処理オプション9203によって指定される決済処理の手順にしたがって、電子チケットの発行処理とチケット代金の決済処理とを行なう。
【１７３７】
図５９は、即時決済の場合の手順を示しており、ディレイド決済の場合の手順については後で説明する。
【１７３８】
即時決済の場合、サービスディレクタプロセスは、チケット代金の決済処理を要求するメッセージ、決済要求9324を生成し、決済処理機関プロセスが、これを決済処理機関宛に封書化し、決済要求5904として、決済処理システム106へ送信する。
【１７３９】
図９３（ｂ）に示すように、決済要求5904は、メッセージが決済要求5904であることと、そのデータ構造とを示すヘッダ情報、決済要求ヘッダ9314と、ユーザが指定した支払サービスコードに対応するクレジットカードを示すユーザ決済口座9315と、チケット発行者の決済口座を示すチケット発行者決済口座9316と、支払金額9317と、支払オプションコード9318と、モバイルユーザ端末100が発行した要求番号9319と、チケット発行システムが発行したトランザクション番号9320と、この決済要求5904の有効期間を示す有効期間9321と、サービス提供者ＩＤ9322と、この決済要求5904を発行した日時を示す発行日時9323とから成るデータについて、サービス提供者のデジタル署名を行ない、決済処理機関宛に封書化したものである。
【１７４０】
決済処理システム106は、決済要求5904を受信し、暗号を復号化し、デジタル署名をチェックして、決済処理を行なう。そして、決済完了通知5905を生成し、サービス提供システム110に送信する。
【１７４１】
図９４（ａ）に示すように、決済完了通知5905は、メッセージが決済完了通知5905であることと、そのデータ構造とを示すヘッダ情報、決済完了通知ヘッダ9400と、決済処理システム106の決済処理をユニークに示す番号として任意に生成した決済番号9401と、ユーザ決済口座9402と、チケット発行者決済口座9403と、支払金額9404と、支払オプションコード9405と、要求番号9406と、トランザクション番号9407と、決済処理機関のデジタル署名をしたサービス提供者向け決済情報9408と、決済処理機関のデジタル署名をしたチケット発行者向け決済情報9409と、決済処理機関のデジタル署名をしたユーザ向け決済情報9410と、決済処理機関ＩＤ9411と、この決済完了通知を発行した日時を示す発行日時9412とから成るデータについて、決済処理機関のデジタル署名を行ない、サービス提供者宛に封書化したものである。
【１７４２】
サービス提供システム110の決済処理機関プロセスは、決済完了通知5905を受信し、暗号を復号化し、デジタル署名をチェックして、決済完了通知9413をサービスディレクタプロセスに送る。サービスディレクタプロセスは、決済完了通知9413から、チケット発行者に対する決済完了通知9430を生成し、チケット発行者プロセスが、これをチケット発行者宛に封書化し、チケット発行者に対する決済完了通知5906として、チケット発行システム107へ送信する。
【１７４３】
図９４（ｂ）に示すように、決済完了通知5906は、メッセージが決済完了通知5906であることと、そのデータ構造とを示すヘッダ情報、決済完了通知ヘッダ9417と、決済番号9418と、顧客番号9419と、チケット発行者ＩＤ9420と、支払サービスコード9421と、支払金額9422と、支払オプションコード9423と、要求番号9424と、トランザクション番号9425と、決済処理機関のデジタル署名が施されたチケット発行者向け決済情報9426と、決済処理機関ＩＤ9427と、サービス提供者ＩＤ9428と、この決済完了通知を発行した日時を示す発行日時9429とから成るデータについて、サービス提供者のデジタル署名を行ない、チケット発行者宛に封書化したものである。
【１７４４】
チケット発行システムは、決済完了通知5906を受信し、暗号を復号化し、デジタル署名をチェックして、領収書5907を生成して、サービス提供システムへ送信する。
【１７４５】
図９５（ａ）に示すように、領収書5907は、メッセージが、領収書5907であることと、そのデータ構造とを示すヘッダ情報、領収書ヘッダ9500と、顧客番号9501と、チケット発行情報9502と、支払サービスコード9503と、支払金額9504と、支払オプションコード9505と、要求番号9506と、トランザクション番号9507と、決済番号9508と、決済処理機関ＩＤ9509と、チケット発行者ＩＤ9510と、この領収書5907を発行した日時を示す発行日時9511とから成るデータについて、チケット発行者のデジタル署名を行ない、サービス提供者宛に封書化したものである。チケット発行情報9502は、チケット発行システムにおけるチケット発行処理に関する情報であり、チケット発行者のデジタル署名が施されている。
【１７４６】
サービス提供システム110のチケット発行者プロセスは、領収書5907を受信し、暗号を復号化し、デジタル署名をチェックして、領収書9512をサービスディレクタプロセスに送る。サービスディレクタプロセスは、領収書9512から、ユーザに対する領収書9523を生成する。
【１７４７】
サービスディレクタプロセスは、一方で、チケット発行システムへ決済完了通知9430を生成した後、ユーザに発行する電子チケットを生成し、さらに、生成した電子チケットを含むメッセージ、電子チケット発行9227を生成する。
【１７４８】
ユーザプロセスは、電子チケット発行9227と、領収書9523とを、それぞれ、ユーザ宛に封書化して、電子チケット発行5908及び領収書5909として、デジタル無線電話通信で、モバイルユーザ端末100へ送信する。
【１７４９】
図９２（ｂ）に示すように、電子チケット発行5908は、メッセージが電子チケット発行5908であることと、そのデータ構造とを示すヘッダ情報、電子チケット発行ヘッダ9220と、トランザクション番号9221と、要求番号9222と、チケット数9223と、生成された電子チケットデータ9224と、サービス提供者ＩＤ9225と、この電子チケット発行5908を発行した日時を示す発行日時9226とから成るデータについて、サービス提供者のデジタル署名を行ない、ユーザ宛に封書化したものである。電子チケットデータ9224には、チケット数9223が示す数の電子チケット9231が含まれる。
【１７５０】
また、図９５（ｂ）に示すように、領収書5909は、メッセージが領収書5909であることと、そのデータ構造とを示すヘッダ情報、領収書ヘッダ9516と、ユーザＩＤ9517と、暗号を復号化した領収書9518(9512)と、決済処理機関のデジタル署名が施されたユーザ向け決済情報9519と、チケット発行情報9520と、サービス提供者ＩＤ9521と、この領収書5909を発行した日時を示す発行日時9522とから成るデータについて、サービス提供者のデジタル署名を行ない、ユーザ宛に封書化したものである。チケット発行情報9520は、サービス提供システムにおける電子チケットの発行処理に関する情報であり、サービス提供者のデジタル署名が施されている。
【１７５１】
電子チケット発行5908と領収書5909とを受信したモバイルユーザ端末は、それぞれ、暗号を復号化し、デジタル署名をチェックし、電子チケット発行5908に含まれる電子チケットを、チケットリスト1712に登録し、さらに、領収書9523を利用履歴リスト1715に登録して、ＬＣＤ303に電子チケットを表示する。
【１７５２】
また、サービスディレクタプロセスによる電子チケットの生成は、次の手順で行なわれる。
【１７５３】
まず、サービスディレクタプロセスは、チケット発行者情報サーバ上のチケット発行者の電子チケットテンプレートリスト4905を参照し、電子チケット発行依頼5903のテンプレートコード9206が示す電子チケットのテンプレートプログラムをもとに、電子チケットのチケットプログラムデータ1913を生成する。具体的には、電子チケットテンプレートリスト4905のトランザクションモジュールアドレス4919及び表示モジュールアドレス4920がそれぞれ示す、トランザクションモジュール及び表示モジュール、並びに電子チケット発行依頼5903の表示部品情報9209から、電子チケットのチケットプログラムデータ1913を生成する。この時、電子チケット発行依頼5903の表示部品情報9209が設定されていない場合には、デフォルト表示部品情報アドレス4921が示すデフォルト表示部品情報が、電子チケットの表示部品情報として用いられる。
【１７５４】
次に、サービスディレクタプロセスは、チケット情報9217の中の使用条件情報をもとに、チケットステイタス1907と、チケット可変情報1908とを生成する。この時に、チケットステイタス1907の譲渡の可否が設定され、また、回数券として動作する場合には、チケット可変情報1907として、回数券の枚数が設定される。
【１７５５】
そして、サービスディレクタプロセスは、新たに、チケット署名プライベート鍵及びチケット署名公開鍵の鍵対を生成し、さらに、電子チケット管理情報5300に登録されているチケット認証プライベート鍵と、ゲート認証公開鍵とを用いて、電子チケットのチケットプログラム1901を生成する。
【１７５６】
さらに、サービスディレクタプロセスは、生成したチケット署名公開鍵をもとに、電子チケットのチケット証明書1903を生成し、電子チケット発行依頼5903のチケットデータ9219をもとに電子チケットの提示チケット1902を生成して、電子チケットを生成する。
【１７５７】
次に、ディレイド決済の場合の手順について説明する。
【１７５８】
図６０は、ディレイド決済の場合のチケット購入の処理における機器間のメッセージ交換の手順を示している。チケット発行システムが、サービス提供システムへ電子チケット発行依頼を送信するまでは、即時決済の場合と同じである。
【１７５９】
サービスディレクタプロセスは、決済処理オプション9203によって、ディレイド決済が指定された場合、ユーザに発行する電子チケットを生成し、さらに、生成した電子チケットを含むメッセージ、電子チケット発行9227と、仮の領収書に相当するメッセージ、仮領収書9310とを生成する。電子チケットの生成は、即時決済の場合と同じ手順で行なう。
【１７６０】
ユーザプロセスは、電子チケット発行9227と、仮領収書9310とを、それぞれ、ユーザ宛に封書化して、電子チケット発行6004及び仮領収書6005として、デジタル無線電話通信で、モバイルユーザ端末100へ送信する。
【１７６１】
図９３（ａ）に示すように、仮領収書6005は、メッセージが仮領収書6005であることと、そのデータ構造とを示すヘッダ情報、仮領収書ヘッダ9300と、ユーザＩＤ9301と、チケット発行情報9302と、支払サービスコード9303と、支払金額9304と、支払オプションコード9305と、要求番号9306と、トランザクション番号9307と、サービス提供者ＩＤ9308と、この仮領収書6005を発行した日時を示す発行日時9309とから成るデータについて、サービス提供者のデジタル署名を行ない、ユーザ宛に封書化したものである。チケット発行情報9302は、サービス提供システムにおける電子チケットの発行処理に関する情報であり、サービス提供者のデジタル署名が施されている。
【１７６２】
また、電子チケット発行6004のデータ構造は、電子チケット発行5908と同じである。
【１７６３】
電子チケット発行6004と仮領収書6005とを受信したモバイルユーザ端末は、それぞれ、暗号を復号化し、デジタル署名をチェックし、電子チケット発行6004に含まれる電子チケットを、チケットリスト1712に登録し、さらに、仮領収書9310を利用履歴リスト1715に登録して、ＬＣＤ303に電子チケットを表示する。
【１７６４】
この後、サービスディレクタプロセスは、チケット代金の決済処理を行なう。
【１７６５】
まず、サービスディレクタプロセスは、チケット代金の決済処理を要求するメッセージ、決済要求9324を生成し、決済処理機関プロセスが、これを決済処理機関宛に封書化し、決済要求6007として、決済処理システム106へ送信する。
【１７６６】
決済処理システム106は、決済要求6007を受信し、暗号を復号化し、デジタル署名をチェックして、決済処理を行なう。そして、決済完了通知6008を生成し、サービス提供システム110に送信する。
【１７６７】
サービス提供システム110の決済処理機関プロセスは、決済完了通知6008を受信し、暗号を復号化し、デジタル署名をチェックして、決済完了通知9413をサービスディレクタプロセスに送る。サービスディレクタプロセスは、決済完了通知9413から、チケット発行者に対する決済完了通知9430を生成し、チケット発行者プロセスが、これをチケット発行者宛に封書化し、チケット発行者に対する決済完了通知6009として、チケット発行システム107へ送信する。
【１７６８】
チケット発行システムは、決済完了通知6009を受信し、暗号を復号化し、デジタル署名をチェックして、領収書6010を生成して、サービス提供システムへ送信する。
【１７６９】
サービス提供システム110のチケット発行者プロセスは、領収書6010を受信し、暗号を復号化し、デジタル署名をチェックして、領収書9512をサービスディレクタプロセスに送る。サービスディレクタプロセスは、領収書9512から、ユーザに対する領収書9523を生成する。
【１７７０】
生成された領収書9523は、この後、すぐに、ユーザのモバイルユーザ端末100へ送信されるのではなく、モバイルユーザ端末100のデータアップデート処理の際に、ユーザプロセスが、利用履歴リスト1715の仮領収書9310と、領収書9523とを入れ替え、アップデートデータ6011の一部として、モバイルユーザ端末100へ送信される。
【１７７１】
ディレイド決済の場合の決済要求6007、決済完了通知6008、決済完了通知6009、及び領収書6010のデータ構造は、それぞれ、即時決済の場合の決済要求5904、決済完了通知5905、決済完了通知5906、及び領収書5907のデータ構造と同じである。
【１７７２】
なお、ディレイド決済の場合の決済処理は、必ずしも、電子チケットを発行した後、すぐに行なう必要はなく、例えば、１日に１回、他の決済処理と一緒に、まとめて行なってもよい。
【１７７３】
次に、チケット使用登録の処理において、モバイルユーザ端末100とサービス提供システム110との間で交換されるメッセージの内容について説明する。
【１７７４】
図６５（ａ）は、チケット使用登録の処理における機器間のメッセージ交換の手順を示し、図１０６（ａ）（ｂ）は、チケット使用登録の処理において、機器間で交換するメッセージの内容を示している。
【１７７５】
まず、ユーザが、電子チケットの使用登録操作6500を行なうと、モバイルユーザ端末は、チケット使用登録要求6501を生成し、デジタル無線電話通信でサービス提供システムへ送信する。
【１７７６】
図１０６（ａ）に示すように、チケット使用登録要求6501は、メッセージがチケット使用登録要求6501であることと、そのデータ構造とを示すヘッダ情報、チケット使用登録要求ヘッダ10600と、使用登録するチケットのチケットＩＤ10601と、ユーザＩＤ10602と、このチケット使用登録要求6501を発行した日時を示す発行日時10603とから成るデータについて、ユーザのデジタル署名を行ない、サービス提供者宛に封書化したものである。
【１７７７】
サービス提供システム110のユーザプロセスは、チケット使用登録要求6501を受信し、暗号を復号化し、デジタル署名をチェックして、サービスマネージャプロセスへ送る。サービスマネージャプロセスは、サービスディレクタプロセスを生成して、チケット使用登録要求10604を処理するプロセスグループを生成する。サービスディレクタプロセスは、ユーザ情報サーバ902上のユーザのチケットリスト4610に、チケットＩＤ10601が示す電子チケットが登録されていることを検証して、サービスディレクタ情報サーバ901上の電子チケットの使用登録チケットリスト5303に、新たに、その電子チケットを登録する。この時、サービスディレクタプロセスは、新たに、チケット署名プライベート鍵とチケット署名公開鍵との鍵対を生成し、さらに、チケット署名公開鍵から使用登録チケット証明書を生成して、使用登録チケットリスト5303に登録する。そして、サービスディレクタプロセスは、生成したチケット署名プライベート鍵と使用登録チケット証明書とから、チケット証明書発行13313を生成し、ユーサプロセスが、このチケット証明書発行13313をユーザ宛に封書化して、チケット証明書発行6502として、デジタル無線電話通信で、モバイルユーザ端末へ送信する。
【１７７８】
図１０６（ｂ）に示すように、チケット証明書発行6502は、メッセージがチケット証明書発行6502であることと、そのデータ構造とを示すヘッダ情報、チケット証明書発行ヘッダ10608と、チケット署名プライベート鍵10609と、使用登録チケット証明書10610と、サービス提供者ＩＤ10611と、このチケット証明書発行6502を発行した日時を示す発行日時10612とから成るデータについて、サービス提供者のデジタル署名を行ない、ユーザ宛に封書化したものである。
【１７７９】
チケット証明書発行6502を受信したモバイルユーザ端末100は、暗号を復号化し、デジタル署名をチェックし、電子チケットのチケット署名プライベート鍵とチケット証明書とを、それぞれ、チケット証明書発行6502に含まれるチケット署名プライベート鍵10609と使用登録チケット証明書10610とに入れ替え、チケットステイタスの使用登録状態を、登録済に変更して、ＬＣＤに使用登録された電子チケットを表示する（使用登録されたチケットの表示6503）。
【１７８０】
次に、改札チケット設定の処理において、ゲート端末101とサービス提供システム110との間で交換されるメッセージの内容について説明する。
【１７８１】
図６６は、マーチャントが、ゲート端末101に改札するチケットを設定する場合の改札チケット設定の処理における機器間のメッセージ交換の手順を示し、図１０９（ａ）（ｂ）は、その改札チケット設定の処理において、機器間で交換するメッセージの内容を示している。
【１７８２】
まず、ゲート端末101のオペレータ（マーチャント）が、チケット設定操作6600を行なうと、ゲート端末は、改札チケット設定要求6601を生成し、デジタル電話通信で、サービス提供システムへ送信する。
【１７８３】
図１０９（ａ）に示すように、改札チケット設定要求6601は、メッセージが改札チケット設定要求6601であることと、そのデータ構造とを示すヘッダ情報、改札チケット設定要求ヘッダ10900と、チケット設定操作6600でマーチャントが入力したチケットコード10901と、ゲート端末のゲートＩＤ10902と、マーチャントＩＤ10903と、この改札チケット設定要求6601を発行した日時を示す発行日時10904とから成るデータについて、マーチャントのデジタル署名を行ない、サービス提供者宛に封書化したものである。
【１７８４】
サービス提供システム110のマーチャントプロセスは、改札チケット設定要求6601を受信し、暗号を復号化し、デジタル署名をチェックして、サービスマネージャプロセスへ送る。サービスマネージャプロセスは、サービスディレクタプロセスを生成して、改札チケット設定要求10905を処理するプロセスグループを生成する。サービスディレクタプロセスは、まず、サービスディレクタ情報サーバ901上のチケットコード10901が示す電子チケットのマーチャントリスト5302に、マーチャントが登録されていることを検証し、次に、サービスディレクタ情報サーバ901上のその電子チケットの電子チケット管理情報5300と、チケット発行者情報サーバ905上のチケット発行者（チケット発行者ＩＤ5306）の電子チケットテンプレートリスト4905とを参照して、改札チケット設定10919を生成する。具体的には、サービスディレクタプロセスは、電子チケット管理情報5300のテンプレートコード5312によって示される電子チケットテンプレートリスト4905のチケット改札モジュールアドレス4922が示す、チケット改札モジュールと、電子チケット管理情報5300に登録されているチケット認証公開鍵5309、ゲート認証プライベート鍵5310等から改札チケット設定10919を生成する。そして、マーチャントプロセスが、この改札チケット設定10919をマーチャント宛に封書化して、改札チケット設定6602として、デジタル電話通信で、ゲート端末へ送信する。
【１７８５】
図１０９（ｂ）に示すように、改札チケット設定6602は、メッセージが改札チケット設定6602であることと、そのデータ構造とを示すヘッダ情報、改札チケット設定ヘッダ10909と、改札する電子チケットのチケット名10910と、チケットコード10911と、チケット発行者ＩＤ10912と、有効期間10913と、ケート認証プライベート鍵10914と、チケット認証公開鍵10915と、チケット改札モジュール10916と、サーピス提供者ＩＤ10917と、この改札チケット設定6602を発行した日時を示す発行日時10918とから成るデータについて、サービス提供者のデジタル署名を行ない、マーチャント宛に封書化したものである。
【１７８６】
改札チケット設定6602を受信したゲート端末は、暗号を復号化し、デジタル署名をチェックし、改札チケット設定6602に含まれる電子チケットの改札プログラム情報を、改札チケットリスト2409に登録し、タッチパネルＬＣＤに、改札チケット設定の処理の完了を示すメッセージを表示する（設定完了表示6603）。
【１７８７】
次に、チケット改札の処理において、モバイルユーザ端末100とゲート端末101との間で交換されるメッセージの内容について説明する。
【１７８８】
図６７は、チケット改札の処理における機器間のメッセージ交換の手順を示し、図１１０（ａ）（ｂ）、図１１１（ａ）（ｂ）は、チケット改札の処理において、機器間で交換するメッセージの内容を示している。
【１７８９】
まず、ユーザが、チケット提示操作6700を行なうと、モバイルユーザ端末は、改札を受ける電子チケットと、任意に生成したテストパターンとから、チケット提示6701を生成し、赤外線通信でゲート端末へ送信する。
【１７９０】
図１１０（ａ）に示すように、チケット提示6701は、メッセージがチケット提示6701であることと、そのデータ構造とを示すヘッダ情報、チケット提示ヘッダ11000と、電子チケットの改札を要求していることを示すサービスコード11001と、このチケット改札の処理をユニークに示す番号として任意に生成した要求番号11002と、改札を受ける電子チケットの提示チケット11003とチケット証明書11004と、改札を受ける電子チケットのその時のチケットステイタス11005とチケット可変情報11006と、チケットＩＤ11007と、このチケット提示6701を発行した日時を示す発行日時11008と、生成した任意のテストパターン、ケートテストパターン11010とから成るデータであり、チケットステイタス11005、チケット可変情報11006、チケットＩＤ11007及び発行日時11008には、電子チケットのチケット署名プライベート鍵によるデジタル署名が施され、ゲートテストパターン11010は、ゲート認証公開鍵によって暗号化されている。
【１７９１】
提示チケット11003と、チケット証明書11004と、チケットステイタス11005と、チケット可変情報11006と、チケットＩＤ11007と、発行日時11008とが、ゲート端末に対して、電子チケットの内容を示す部分であり、ゲートテストパターン11010は、ゲート端末を認証するためのテストパターンである。
【１７９２】
チケット提示6701を受信したゲート端末は、まず、改札チケットリスト2409を参照し、提示された電子チケットのチケットコードに対応するチケット改札モジュールを起動して、チケット提示6701の内容の有効性を検証し、チケット改札6702を生成して、赤外線通信で、モバイルユーザ端末へ送信する。
【１７９３】
チケット提示6701の有効性の検証では、ゲート端末は、まず、チケット証明書11004が使用登録チケット証明書であること、及びチケットステイタス11005とチケット可変情報11006とから、改札される電子チケットとして、有効な状態であるかを検証し、次に、提示チケット11003及びチケット証明書11004のサービス提供者のデジタル署名並びに有効期間をチェックし、さらに、チケット証明書11004のチケット署名公開鍵を用いて、チケットステイタス11005、チケット可変情報11006、チケットＩＤ11007及び発行日時11008に施された電子チケットのデジタル署名をチェックして、チケット提示6701の有効性を検証する。
【１７９４】
また、チケット改札6702の生成では、ゲート端末は、ゲート認証プライベート鍵で、ゲートテストパターン11010の暗号を復号化し、任意に生成したテストパターン、チケットテストパターン11018を、チケット認証公開鍵で暗号化する。
【１７９５】
図１１０（ｂ）に示すように、チケット改札6702は、メッセージがチケット改札6702であることと、そのデータ構造とを示すヘッダ情報、チケット改札ヘッダ11012と、トランザクション番号11013と、応答メッセージ11014と、要求番号11015と、チケットＩＤ11016と、インストラクションコード11017と、暗号を復号化したゲートテストパターン11018と、任意に生成したテストパターン、チケットテストパターン11019と、ゲートＩＤ11021と、マーチャントＩＤ11022と、このチケット改札6702を発行した日時を示す発行日時11023とから成るデータにマーチャントのデジタル署名を行なったものであり、チケットテストパターン11019は、チケット認証公開鍵によって暗号化されている。
【１７９６】
トランザクション番号11013は、ゲート端末が、このチケット改札の処理をユニークに示す番号として任意に生成した番号であり、チケット提示6701の検証の結果、チケット改札の処理ができない場合（例えば、そのゲート端末では、改札できない電子チケットであった場合）、ゼロが設定され、チケット改札の処理ができる場合には、ゼロ以外の値が設定される。
【１７９７】
応答メッセージ11014は、マーチャントからユーザへのメッセージを示すテキスト情報である。ゲート端末が、提示された電子チケットを改札できない場合（トランザクション番号＝０）、応答メッセージには、電子チケットを改札できない旨を示すメッセージ設定される。応答メッセージは、オプションで設定される情報であり、設定されない場合もある。
【１７９８】
インストラクションコード11017は、電子チケットに対するコマンドコードであり、電子チケットのチケットステイタス、及びチケット可変情報を、どのように変更するかを示すコード情報である。インストラクションコードには、電子チケットのトランザクションモジュールと、チケット改札モジュールとの組み合わせによって、異なるコードが用いられる。
【１７９９】
チケット改札6702を受信したモバイルユーザ端末は、まず、ゲートテストパターン11010と、チケット改札6702に含まれるゲートテストパターン11018とを照合して、ゲート端末の認証を行ない、インストラクションコード11017にしたがって、電子チケットのチケットステイタスとチケット可変情報とを変更する。そして、チケット認証プライベート鍵で、チケットテストパターンの暗号を復号化して、チケット改札応答6703を生成し、赤外線通信で、ゲート端末へ送信する。
【１８００】
図１１１（ａ）に示すように、チケット改札応答6703は、メッセージがチケット改札応答6703であることと、そのデータ構造とを示すヘッダ情報、チケット改札応答ヘッダ11100と、チケット改札の処理の順番を示すチケット改札番号11101と、暗号を復号化したチケットテストパターン11102と、変更後のチケットステイタス11103及びチケット可変情報11104と、ゲートＩＤ11105と、マーチャントＩＤ11106と、要求番号11107と、トランザクション番号11108と、チケットコード11109と、チケットＩＤ11110と、このチケット改札応答6703を発行した日時を示す発行日時11111とから成るデータについて、チケット署名プライベート鍵によるデジタル署名と、ユーザのデジタル署名を行なったものである。
【１８０１】
チケット改札応答6703を受信したゲート端末は、まず、チケットテストパターン11019と、チケット改札応答6703に含まれるチケットテストパターン11102とを照合して、電子チケットの認証を行ない、さらに、チケット改札応答6703の内容の有効性を検証し、改札証明書6704を生成して、赤外線通信で、モバイルユーザ端末へ送信する。
【１８０２】
チケット改札応答6703の有効性の検証では、ゲート端末は、チケットステイタス11103とチケット可変情報11104とが、インストラクションコード11017にしたがって変更されているかを検証し、チケット改札応答6703のチケットのデジタル署名をチェックする。
【１８０３】
図１１１（ｂ）に示すように、改札証明書6704は、メッセージが改札証明書6704であることと、そのデータ構造とを示すヘッダ情報、改札証明書ヘッダ11113と、チケット改札の処理の内容を示すテキスト情報、改札情報11114と、チケットＩＤ11115と、要求番号11116と、トランザクション番号11117と、チケット改札番号11118と、ゲートＩＤ11119と、マーチャントｌＤ11120と、この改札証明書6704を発行した日時を示す発行日時11121とから成るデータについて、マーチャントのデジタル署名を行なったものである。
【１８０４】
改札証明書6704を受信したモバイルユーザ端末は、チケット改札番号をインクリメントし、改札証明書6704を、利用情報として、利用履歴リスト1715に登録し、ＬＣＤに改札された電子チケットを表示する（改札されたチケットの表示6706）。
【１８０５】
一方、改札証明書6704を送信したゲート端末は、チケット改札応答6703を、チケット改札の処理の履歴情報として、トランザクション履歴リスト2510に登録し、チケット改札の処理結果をタッチパネルＬＣＤに表示する（改札結果表示6705）。ゲート端末に、ゲート開閉装置が接続されている場合には、自動的にケートが開かれる（入場許可6707）。
【１８０６】
次に、チケット照会の処理において、機器間で交換されるメッセージの内容について説明する。
【１８０７】
図７１は、チケット照会の処理における機器間のメッセージ交換の手順を示し、図８８（ａ）（ｂ）（ｃ）（ｄ）、図１１６（ａ）は、チケット照会の処理において、機器間で交換するメッセージの内容を示している。
【１８０８】
チケット照会の処理は、特別な処理シーケンスで行なわれるのではなく、サービス提供システムがゲート端末の内部データをアップデートするデータアップデート処理の中で行なわれる。
【１８０９】
したがって、チケット照会の処理において、ゲート端末とサービス提供システムとの間のメッセージ交換の手順、及び、交換されるメッセージの内容（データ構造）は、上記で説明したデータアップデート処理の場合と同じである。
【１８１０】
アップロードデータ5702の圧縮アップロードデータ8818の中には、前回のデータアップデート処理から、今回のデータアップデート処理までに、チケット改札の処理によって、新たにトランザクション履歴リスト2510に登録されたチケット改札応答が含まれる。
【１８１１】
マーチャントプロセスは、データアップデート処理の中で、ゲート端末からアップロードされたチケット改札応答の照会処理を要求するメッセージを、サービスマネージャプロセスに送り、サービスマネージャプロセスは、サービスディレクタプロセスを生成して、チケット改札応答の有効性を検証するプロセスグループを生成する。
【１８１２】
サービスディレクタプロセスは、まず、チケット改札応答のケートＩＤ11105とマーチャントＩＤ11106とが、それぞれ、マーチャントのケートＩＤ5215とマーチャントＩＤ5214とに一致していることを検証し、次に、サービスディレクタ情報サーバ901上の使用登録チケットリスト5303を参照して、そのチケット改札応答を発行した電子チケットが使用登録されていることを検証し、次に、ユーザ公開鍵5323で、チケット改札応答のユーザのデジタル署名を検証し、次に使用登録チケット証明書で、チケット改札応答のチケットのデジタル署名を検証し、さらに、チケット改札番号をもとに、チケットステイタス及びチケット可変情報の変化の整合性を検証して、その検証結果を示すチケット照会結果をマーチャントプロセスへ送り、チケット改札応答をチケット改札応答リストに登録する。
【１８１３】
マーチャントプロセスは、このチケット照会結果を、アップデートデータ5705の圧縮アップデートデータ8828の中に入れ、アップデートデータ5705として、ゲート端末へ送信する。
【１８１４】
また、チケット改札応答の有効性を検証する処理で、エラーが発生した場合には、サービスディレクタプロセスは、検証エラーの発生を示すメッセージを管理システム908へ送る。
【１８１５】
アップデートデータ5705を受信したゲート端末は、圧縮アップデートデータ8828のデータ圧縮を解凍して、ＲＡＭ及びハードディスクのデータを更新する。この時、チケット照会結果も、ゲート端末の照会結果リスト2511に登録される。
【１８１６】
また、マーチャントとチケット発行者の事業主体が異なり、チケットを取扱ったマーチャントに対して、チケット発行者から支払が発生する場合、または、定期的にチケットの使用状況を、チケット発行者に通知する契約になっている場合、サービスディレクタプロセスは、定期的に、チケット改札応答リストに、新たに登録されたチケット改札応答をもとに、チケット発行者にチケットの使用状況を通知するメッセージ、使用状況通知11606を生成する。そして、チケット発行者プロセスが、これをチケット発行者宛に封書化して、使用状況通知7100として、チケット発行システム107へ送信する。
【１８１７】
図１１６（ａ）に示すように、使用状況通知7100は、メッセージが使用状況通知7100であることと、そのデータ構造とを示すヘッダ情報、使用状況通知ヘッダ11600と、使用されたチケットのチケットＩＤのリスト11601と、チケットを取扱ったマーチャントのマーチャント名11602及びマーチャントＩＤ11603と、サービス提供者ＩＤ11604と、この使用状況通知7100を発行した日時を示す発行日時11605とから成るデータについて、サービス提供者のデジタル署名を行ない、チケット発行者宛に封書化したものである。
【１８１８】
使用状況通知7100を受信したチケット発行システム107は、暗号を復号化し、デジタル署名をチェックして、マーチャントへの支払等の処理を行なう。
【１８１９】
次に、チケット譲渡の処理において、機器間で交換されるメッセージの内容について説明する。
【１８２０】
図７４は、チケット譲渡の処理における機器間のメッセージ交換の手順を示し、図１１７（ａ）（ｂ）、図１１８（ａ）（ｂ）、図１１９（ａ）（ｂ）は、チケット譲渡の処理において、機器間で交換するメッセージの内容を示している。 チケット譲渡の処理は、電子チケットのチケットステイタス1907が、譲渡可能である場合に行なうことができ、この譲渡の可否は、チケット発行時に、チケット発行者によって指定される。
【１８２１】
図７４は、ユーザＡからユーザＢに電子チケットを譲渡する場合について示しており、ユーザＡとユーザＢとの間の通信を、赤外線通信で行なう場合も、デジタル無線通信で行なう場合も、機器間のメッセージ交換の手順は同じであり、交換するメッセージのデータ構造も同じである。
【１８２２】
図７４において、まず、ユーザＡが、チケット譲渡操作7400を行なうと、ユーザＡのモバイルユーザ端末は、電子チケットの譲渡を申出るメッセージ、チケット譲渡オファー7401を、ユーザＢのモバイルユーザ端末へ送信する。この時、ユーザＡとユーザＢとのモバイルユーザ端末が通話状態であった場合、ユーザＡとユーザＢとのモバイルユーザ端末間の通信は、デジタル無線電話通信で行なわれ、そうでない場合には、赤外線通信で行なわれる。
【１８２３】
図１１７（ａ）に示すように、チケット譲渡オファー7401は、メッセージがチケット譲渡オファー7401であることと、そのデータ構造とを示すヘッダ情報、チケット譲渡オファーヘッダ11700と、チケット譲渡の処理をユニークに示す番号として任意に生成した譲渡オファー番号11701と、譲渡する電子チケットの提示チケット11702とチケット証明書11703と、チケットステイタス11704と、チケット可変情報11705と、チケットＩＤ11706と、このチケット譲渡オファー7401の発行日時11707と、ユーザ公開鍵証明書11709とから成るデータについて、ユーザＡのデジタル署名を行なったものであり、チケットステイタス11704、チケット可変情報11705、チケットＩＤ11706及び発行日時11707には、さらに、電子チケットのチケット署名プライベート鍵によるデジタル署名が施されている。
【１８２４】
ユーザ公開鍵証明書11709は、ユーザＡのユーザ公開鍵証明書であり、ユーザ公開鍵証明書ヘッダ11710と、ユーザＡのユーザ公開鍵11711と、公開鍵証明書のＩＤ情報、公開鍵証明書ＩＤ11712と、証明書有効期間11713と、サービス提供者ＩＤ11714と、証明書発行日時11715とから成るデータについて、サービス提供者のデジタル署名を施したものである。
【１８２５】
チケット譲渡オファー7401を受信したユーザＢのモバイルユーザ端末は、まず、提示チケット11702、チケット証明書11703、並びにユーザ公開鍵証明書11709のサービス提供者によるデジタル署名及び有効期間をチェックし、次に、チケットステイタス11704、チケット可変情報11705、チケットＩＤ11706及び発行日時11707に施された電子チケットのデジタル署名、並びにチケット譲渡オファー7401のユーザＡによるデジタル署名をチェックして、チケット譲渡オファー7401の内容を検証し、提示チケット11702、チケットステイタス11704、及びチケット可変情報11705から、譲渡される電子チケットの内容をＬＣＤに表示する（譲渡オファー表示7402）。
【１８２６】
次に、ユーザＢが、譲渡オファー受諾操作7403を行なうと、ユーザＢのモバイルユーザ端末は、チケット譲渡オファー7401に対する応答メッセージ、チケット譲渡オファー応答7404を、ユーザＡのモバイルユーザ端末へ送信する。
【１８２７】
図１１７（ｂ）に示すように、チケット譲渡オファー応答7404は、メッセージがチケット譲渡オファー応答7404であることと、そのデータ構造とを示すヘッダ情報、チケット譲渡オファー応答ヘッダ11716と、受諾番号11717と、譲渡オファー番号11718と、チケットＩＤ11719と、このチケット譲渡オファー応答7404の発行日時11720と、ユーザ公開鍵証明書11721とから成るデータについて、ユーザＢのデジタル署名を行なったものである。
【１８２８】
ユーザ公開鍵証明書11721は、ユーザＢのユーザ公開鍵証明書であり、ユーザ公開鍵証明書ヘッダ11722と、ユーザＢのユーザ公開鍵11723と、公開鍵証明書のＩＤ情報、公開鍵証明書ＩＤ11724と、証明書有効期間11725と、サーピス提供者ＩＤ11726と、証明書発行日時11727とから成るデータについて、サービス提供者のデジタル署名を施したものである。
【１８２９】
受諾番号11717は、ユーザＢのモバイルユーザ端末が、このチケット譲渡の処理をユニークに示す番号として任意に生成した番号であり、この番号によって、ユーザＢがチケット譲渡オファー7401を受諾したか否かがユーザＡのモバイルユーザ端末に示される。ユーザＢが、チケット譲渡オファー7401を受諾しなかった場合、受諾番号11717にはゼロが設定され、受諾した場合には、ゼロ以外の値が設定される。
【１８３０】
チケット譲渡オファー応答7404を受信したユーザＡのモバイルユーザ端末は、チケット譲渡オファー応答7404の内容をＬＣＤに表示し（譲渡オファー応答表示7405）、チケット譲渡オファー7401が受諾された場合に（受諾番号11717≠０）、ユーザ公開鍵証明書11721のサービス提供者によるデジタル署名と有効期間とをチェックし、電子チケットのユーザＢへの譲渡証に相当するメッセージ、チケット譲渡証明書7406を生成して、ユーザＢのモバイルユーザ端末へ送信する。
【１８３１】
図１１８（ａ）に示すように、チケット譲渡証明書7406は、メッセージがチケット譲渡証明書7406であることと、そのデータ構造とを示すヘッダ情報、チケット譲渡証明書ヘッダ11800と、譲渡する電子チケットの提示チケット11801と、チケットステイタス11802と、チケット可変情報11803と、譲渡オファー番号11804と、受諾番号11805と、ユーザＢのユーザ公開鍵証明書の公開鍵証明書ＩＤ11806と、ユーザＡのユーザ公開鍵証明書の公開鍵証明書ＩＤ11807と、チケットＩＤ11808と、このチケット譲渡証明書7406の発行日時11809とから成るデータについて、電子チケットのデジタル署名と、ユーザＡのデジタル署名とを行ない、ユーザＢ宛に封書化したものである。
【１８３２】
チケット譲渡証明書7406を受信したユーザＢのモバイルユーザ端末は、暗号を復号化し、ユーザＡ及び電子チケットのデジタル署名をチェックし、チケット譲渡オファー7401で提示されたチケットＩＤと、チケットＩＤ11808とを照合し、さらに、公開鍵証明書ＩＤ11806及び公開鍵証明書ＩＤ11807を、それぞれ、ユーザＢ及びユーザＡのユーザ公開鍵証明書の公開鍵証明書ＩＤと照合して、チケット譲渡証明書7406の内容を検証し、電子チケットを譲渡されたことを示すメッセージ、チケット受取証7407を生成して、ユーザＡのモバイルユーザ端末へ送信する。
【１８３３】
図１１８（ｂ）に示すように、チケット受取証7407は、メッセージがチケット受取証7407であることと、そのデータ構造とを示すヘッダ情報、チケット受取証ヘッダ11815と、チケットＩＤ11816と、譲渡オファー番号11817と、受諾番号11818と、ユーザＡのユーザ公開鍵証明書の公開鍵証明書ＩＤ11819と、ユーザＢのユーザ公開鍵証明書の公開鍵証明書ＩＤ11820と、このチケット受取証7407の発行日時11821とから成るデータについて、ユーザＢのデジタル署名を行ない、ユーザＡ宛に封書化したものである。
【１８３４】
チケット受取証7407を受信したユーザＡのモバイルユーザ端末は、まず、暗号を復号化し、ユーザＢのデジタル署名をチェックし、公開鍵証明書ＩＤ11819及び公開鍵証明書ＩＤ11820を、それぞれ、ユーザＡ及びユーザＢのユーザ公開鍵証明書の公開鍵証明書ＩＤと照合して、チケット受取証7407の有効性を検証し、譲渡した電子チケットを、チケットリスト1712から消去して、チケット受取証11822を、利用履歴リスト1715に登録する。この時、利用履歴リスト1715の要求番号1840、サービスコード1841、利用時刻1842、及び利用情報アドレス1843には、それぞれ、譲渡オファー番号、チケット譲渡の処理を示すコード情報、チケット受取証7407の発行日時11821、及びチケット受取証11822が格納されている実体データ領域上のアドレスを設定する。
【１８３５】
そして、ユーザＡのモバイルユーザ端末は、譲渡処理の完了を示すメッセージを、ＬＣＤに表示して（譲渡完了表示7408）、ユーザＡ（贈り手）のモバイルユーザ端末における処理を終了する。
【１８３６】
一方、チケット受取証7407を送信したユーザＢのモバイルユーザ端末は、受信したチケット譲渡証明書11811をＬＣＤに表示し、さらに、サービス提供サーバとの間の譲渡処理（譲渡された電子チケットを、サービス提供システムからダウンロードする処理）を、今すぐ実行するか否かを尋ねるダイアログメッセージを表示する（譲渡証明書の表示7409）。
【１８３７】
このダイアログメッセージには、“譲渡処理要求”及び“キャンセル”の２つの操作メニューがあり、“キャンセル”を選択すると、サービス提供サーバとの間の譲渡処理はキャンセルされ、サービス提供システムがモバイルユーザ端末の内部データをアップデートする処理（データアップデートの処理）の際に、アップデートデータの一部として、譲渡された電子チケットが、モバイルユーザ端末に設定される。
【１８３８】
また、ユーザＢが、“譲渡処理要求”を選択すると（譲渡処理要求操作7410）、モバイルユーザ端末は、チケット譲渡証明書11811を基に、サービス提供システムとの間の譲渡処理を要求するメッセージ、チケット譲渡処理要求7411を生成し、デジタル無線電話通信で、サービス提供システムに送信する。
【１８３９】
図１１９（ａ）に示すように、チケット譲渡処理要求7411は、メッセージがチケット譲渡処理要求7411であることと、そのデータ構造とを示すヘッダ情報、チケット譲渡処理要求ヘッダ11900と、暗号を復号化したチケット譲渡証明書11901(11811)と、ユーザＢのユーザＩＤ11902と、このチケット譲渡処理要求7411の発行日時11903とから成るデータについて、ユーザＢのデジタル署名を行ない、サービス提供者宛に封書化したものである。
【１８４０】
サービス提供システム110のユーザＢのユーザプロセスは、チケット譲渡処理要求7411を受信し、暗号を復号化し、デジタル署名をチェックして、サービスマネージャプロセスへ送る。サービスマネージャプロセスは、サービスディレクタプロセスを生成して、チケット譲渡処理要求11904を処理するプロセスグループを生成する。
【１８４１】
サービスディレクタプロセスは、まず、ユーザリスト5200を参照し、チケット譲渡処理要求11904に含まれるチケット譲渡証明書11901の公開鍵証明書ＩＤ11806と公開鍵証明書ＩＤ11807とから、譲渡処理の受取手（ユーザＢ）と贈り手（ユーザＡ）を特定し、チケット譲渡証明書11901に施されたユーザＡ及び電子チケットのデジタル署名をチェックして、チケット譲渡証明書11901の有効性を検証する。次に、サービスディレクタプロセスは、サービスディレクタ情報サーバ901上の電子チケットのユーザリスト5301のユーザＩＤ5317を、ユーザＡからユーザＢのユーザＩＤに変更し、ユーザ情報サーバ902上のユーザＡのチケットリスト4610から、譲渡される電子チケットを消去する。次に、サービスディレクタプロセスは、チケット署名プライベート鍵及びチケット署名公開鍵の鍵対とチケット証明書とを、新たに生成した鍵対とチケット証明書とに変更し、チケットステイタスとチケット可変情報とを、チケット譲渡証明書11901が示すチケットステイタス11802とチケット可変情報11803とに変更して、ユーザＡから譲渡された電子チケットを生成し、これをユーザＢのチケットリスト4610に登録する。
【１８４２】
譲渡される電子チケットが使用登録されている場合には、サービスディレクタプロセスは、さらに、その電子チケットの使用登録チケットリスト5303を更新する。具体的には、使用登録チケットリスト5303のユーザＩＤ5322、ユーザ公開鍵5323、使用登録チケット証明書アドレス5324、チケット改札応答リストアドレス5325、及び前ユーザ情報アドレス5326を（ユーザＢの情報に）更新し、更新前のその部分の情報（ユーザＡの情報）を、前ユーザ情報5327として、前ユーザ情報アドレス5326によってポインティングする。
【１８４３】
そして、サービスディレクタプロセスは、ユーザＡから譲渡された電子チケットを含むメッセージ、チケット譲渡11915を生成し、ユーザＢのユーザプロセスが、これをユーザＢ宛に封書化し、チケット譲渡7412として、デジタル無線電話通信で、ユーザＢのモバイルユーザ端末へ送信する。
【１８４４】
図１１９（ｂ）に示すように、チケット譲渡7412は、メッセージがチケット譲渡7412であることと、そのデータ構造とを示すヘッダ情報、チケット譲渡ヘッダ11908と、サービス提供システムにおける譲渡処理を示す番号として任意に生成した譲渡処理番号11909と、譲渡処理情報11910と、受諾番号11911と、譲渡された電子チケット11912と、サービス提供者ＩＤ11913と、このチケット譲渡7412の発行日時11914とから成るデータについて、サービス提供者のデジタル署名を行ない、ユーザＢ宛に封書化したものである。
【１８４５】
譲渡処理情報11910は、サービス提供システムにおける電子チケットの譲渡処理に関する情報であり、サービス提供者のデジタル署名が施されている。
【１８４６】
チケット譲渡7412を受信したユーザＢのモバイルユーザ端末は、暗号を復号化し、デジタル署名をチェックして、電子チケット11912をチケットリスト1712に登録し、電子チケットをＬＣＤに表示して（電子チケットの表示7413）、チケット譲渡の処理を終了する。
【１８４７】
次に、電子チケットインストールの処理において、機器間で交換されるメッセージの内容について説明する。
【１８４８】
図７７は、電子チケットインストールの処理における機器間のメッセージ交換の手順を示し、図１２３（ａ）（ｂ）、図１２４（ａ）（ｂ）は、電子チケットインストールの処理において、機器間で交換するメッセージの内容を示している。
【１８４９】
まず、ユーザが、電子チケットのインストール操作7700を行なうと、モバイルユーザ端末は、電子チケットインストール要求7701を生成し、デジタル無線電話通信で、サービス提供システム110へ送信する。
【１８５０】
図１２３（ａ）に示すように、電子チケットインストール要求7701は、メッセージが電子チケットインストール要求7701であることと、そのデータ構造とを示すヘッダ情報、電子チケットインストール要求ヘッダ12300と、ユーザが入力したインストールカード番号12301及びインストール番号12302と、この電子チケットインストールの処理をユニークに示す番号として任意に生成した要求番号12303と、ユーザＩＤ12304と、この電子チケットインストール要求7701の発行日時12305とから成るデータについて、ユーザのデジタル署名を行ない、サービス提供者宛に封書化したものである。
【１８５１】
サービス提供システム110のユーザプロセスは、電子チケットインストール要求7701を受信し、暗号を復号化し、デジタル署名をチェックして、サービスマネージャプロセスへ送る。サービスマネージャプロセスは、サービスディレクタプロセスを生成して、電子チケットインストール要求12306を処理するプロセスグループを生成する。
【１８５２】
サービスディレクタプロセスは、まず、チケット発行者リスト5203のインストールカードリストアドレス5229によって示されるインストールカードリストを参照し、インストールカード番号12301が示すチケットを発行するチケット発行者を特定し、そのチケット発行システムに対して、インストールカードによるチケットの発行を要求するメッセージ、チケットインストール要求12317を生成し、チケット発行者プロセスが、これをチケット発行者宛に封書化し、チケットインストール要求7702として、チケット発行システム107へ送信する。
【１８５３】
図１２３（ｂ）に示すように、チケットインストール要求7702は、メッセージがチケットインストール要求7702であることと、そのデータ構造とを示すヘッダ情報、チケットインストール要求ヘッダ12310と、インストールカード番号12311と、インストール番号12312と、要求番号12313と、チケット発行者に対してユーザをユニークに示す顧客番号12314と、サービス提供者ＩＤ12315と、このチケットインストール要求7702の発行日時12316とから成るデータについて、サービス提供者のデジタル署名を行ない、チケット発行者宛に封書化したものである。
【１８５４】
チケット発行システム107は、チケットインストール要求7702を受信し、暗号を復号化し、デジタル署名をチェックする。そして、チケット発行サーバ1100が、チケットインストール要求7702に含まれるインストールカード番号12311及びインストール番号12312を、チケット発行情報サーバ1102の発行済み電子チケットインストールカードの管理情報と照合し、さらに、顧客情報サーバ1101、チケット発行情報サーバ1102、及びチケット情報サーバ1103のデータを更新して、要求されたチケットのチケットデータ(12406)を生成し、サービス提供システムへ、そのチケットに対応する電子チケットのインストール処理を依頼するメッセージ、電子チケットインストール依頼7703を送信する。
【１８５５】
図１２４（ａ）に示すように、電子チケットインストール依頼7703は、メッセージが電子チケットインストール依頼7703であることと、そのデータ構造とを示すヘッダ情報、電子チケットインストール依頼ヘッダ12400と、ユーザとの取引をユニークに示す番号として任意に生成したトランザクション番号12401と、チケット発行情報12402と、要求番号12403と、発行する電子チケットの種類を示すチケットコード12404と、発行する電子チケットのテンプレートプログラムを示すテンプレートコード12405と、チケットデータ12406と、表示部品情報12407と、チケット発行者ＩＤ12408と、この電子チケットインストール依頼7703を発行した日時を示す発行日時12409とから成るデータについて、チケット発行者のデジタル署名を行ない、サービス提供者宛に封書化したものである。
【１８５６】
チケット発行情報12402は、チケット発行システムにおけるチケット発行処理に関する情報であり、チケット発行者のデジタル署名が施されている。
【１８５７】
チケットデータ12406は、チケット発行者が発行するチケット情報であり、チケットＩＤ12414と、チケット情報12415と、チケット発行者ＩＤ12416とからなるデータについて、チケット発行者のデジタル署名を行なったものである。
【１８５８】
サービス提供システムのチケット発行者プロセスは、電子チケットインストール依頼7703を受信し、暗号を復号化し、デジタル署名をチェックして、サービスディレクタプロセスへ送る。サービスディレクタプロセスは、電子チケットインストール依頼12410にもとづいて、チケット購入の処理の場合と同様の手順で、ユーザに発行する電子チケットを生成し、さらに、それをモバイルユーザ端末にインストールするメッセージ、電子チケットインストール12425を生成する。ユーザプロセスは、電子チケットインストール12425をユーザ宛に封書化し、電子チケットインストール7704として、デジタル無線電話通信で、モバイルユーサ端末へ送信する。
【１８５９】
図１２４（ｂ）に示すように、電子チケットインストール7704は、メッセージが電子チケットインストール7704であることと、そのデータ構造とを示すヘッダ情報、電子チケットインストールヘッダ12417と、トランザクション番号12418と、チケット発行システムにおけるチケット発行処理に関する情報、チケット発行情報12419と、サービス提供システムにおけるチケット発行処理に関する情報、チケット発行情報12420と、要求番号12421と、生成された電子チケットデータ12422と、サービス提供者ＩＤ12423と、この電子チケットインストール7704を発行した日時を示す発行日時12424とから成るデータについて、サービス提供者のデジタル署名を行ない、ユーザ宛に封書化したものである。チケット発行情報12419とチケット発行情報12420には、それぞれ、チケット発行者とサービス提供者のデジタル署名が施されている。
【１８６０】
電子チケットインストール7704を受信したモバイルユーザ端末は、暗号を復号化し、デジタル署名をチェックし、電子チケットインストール7704に含まれる電子チケットを、チケットリスト1712に登録し、ＬＣＤ303にインストールした電子チケットを表示する（電子チケットの表示7705）。
【１８６１】
次に、チケット内容変更の処理において、機器間で交換されるメッセージの内容について説明する。
【１８６２】
図８０は、ゲート端末のチケット改札プログラムを変更する場合のケート端末101、サービス提供システム110、及びチケット発行システム107間のメッセージ交換の手順を示し、図１２９（ａ）、図８８（ｃ）（ｄ）（ｆ）は、その時に、ゲート端末101、サービス提供システム110、及びチケット発行システム107の間で交換するメッセージの内容を示す。また、図８１は、モバイルユーザ端末の電子チケットを変更する場合のモバイルユーザ端末100、サービス提供システム110及びチケット発行システム107間のメッセージ交換の手順を示し、図１２９（ａ）（ｂ）、図１３０（ａ）（ｂ）は、その時に、モバイルユーザ端末100、サービス提供システム110及びチケット発行システム107の間で交換するメッセージの内容を示す。
【１８６３】
公演内容の変更や、チケット発行時の手違いによって、既に発行したチケットの内容の変更する必要がある場合、チケット発行システムは、既に発行したチケットの内容の変更を要求するメッセージ、内容変更要求8000,8100を生成し、サービス提供システムへ送信する。
【１８６４】
図１２９（ａ）に示すように、内容変更要求8000,8100は、メッセージが内容変更要求であることと、そのデータ構造とを示すヘッダ情報、内容変更要求ヘッダ12900と、チケット内容変更の処理をユニークに示す番号として任意に生成した内容変更処理番号12901と、変更処理コード12902と、内容変更の期限を示す変更処理期限12903と、変更メッセージ12904と、変更する電子チケットの種類を示すチケットコード12905と、変更後の電子チケットのテンプレートプログラムを示すテンプレートコード12906と、変更する電子チケットの数を示すチケット数12907と、変更後のチケットデータ12908と、変更後の表示部品情報12909と、チケット発行者ＩＤ12910と、この内容変更要求8000を発行した日時を示す発行日時12911とから成るデータについて、チケット発行者のデジタル署名を行ない、サービス提供者宛に封書化したものである。
【１８６５】
変更処理コード12902は、チケット内容変更の処理の種類を示すコード情報であり、変更処理コード12902によって、電子チケットのチケット情報1917の変更か、表示部品情報1932の変更か、テンプレートプログラムの変更か、あるいは、チケット払戻の処理をともなう変更かが示される。
【１８６６】
変更メッセージ12904は、変更の内容を示す情報であり、チケット発行者のデジタル署名が施されている。
【１８６７】
チケットデータ12908は、内容を変更する電子チケットの変更後のチケット情報であり、チケット数12907が示す数のチケット情報が、チケットデータ12908として設定される。チケット情報は、１つのチケットに関して、チケットＩＤ12916と、チケット情報12917と、チケット発行者ＩＤ12918とからなるデータについて、チケット発行者のデジタル署名を行なったものである。電子チケットのチケット情報に変更がない場合には、このチケットデータ12908は設定されない。
【１８６８】
表示部品情報10209は、内容を変更する電子チケットの変更後の表示部品情報1932として設定される情報であり、表示部品情報1932に変更がない場合には、この表示部品情報10209は設定されない。
【１８６９】
サービス提供システム110のチケット発行者プロセスは、内容変更要求8000,8100を受信し、暗号を復号化し、デジタル署名をチェックして、サービスマネージャプロセスへ送る。サービスマネージャプロセスは、サービスディレクタプロセスを生成して、内容変更要求12912を処理するプロセスグループを生成する。この後、サービスディレクタプロセスは、内容変更要求12912にもとづいて、モバイルユーザ端末の電子チケットと、ゲート端末のチケット改札プログラムとを変更する。ゲート端末のチケット改札プログラムの変更は、テンプレートプログラムが変更される場合に行なわれる。
【１８７０】
まず、ゲート端末のチケット改札プログラムを変更する場合から説明する。
【１８７１】
サービスディレクタプロセスは、まず、テンプレートコード12906が示す電子チケットテンプレートリスト4905のチケット改札モジュールアドレス4922が示すチケット改札モジュールと、電子チケット管理情報5300に登録されているチケット認証公開鍵5309及びゲート認証プライベート鍵5310とから、新しいチケット改札プログラムを生成し、次に、内容を変更する電子チケットのマーチャントリスト5302に登録されているマーチャントが所有するゲート端末の改札チケットリスト4711を参照し、そのゲート端末が改札する電子チケットとして、内容を変更する電子チケットが登録されているゲート端末を特定する。そして、その特定したゲート端末に対応するマーチャントプロセスに、強制的データアップデート処理によるチケット改札プログラムの更新を要求するメッセージを送る。
【１８７２】
特定したゲート端末に対応するマーチャントプロセスは、強制的データアップデート処理を行ない、ゲート端末のチケット改札プログラムを変更する。この時、ゲート端末とサービス提供システムとの間のメッセージ交換の手順、及び、交換されるメッセージの内容（データ構造）は、上記で説明した強制的データアップデート処理の場合と同じである。
【１８７３】
マーチャントプロセスは、新しいチケット改札プログラムを、アップデートデータ5708の圧縮アップデートデータ8828の中に入れ、アップデートデータ5708として、ゲート端末へ送信する。
【１８７４】
アップデートデータ5708を受信したゲート端末は、圧縮アップデートデータ8828のデータ圧縮を解凍して、ＲＡＭ及びハードディスクのデータを更新する。この時、チケット改札プログラムも、ゲート端末の改札チケットリスト2409に登録される。
【１８７５】
次に、モバイルユーザ端末の電子チケットを変更する場合について説明する。サービスディレクタプロセスは、まず、内容を変更する電子チケットのユーザリスト5301を参照し、変更する電子チケットを所有するユーザを特定し、そのユーサに、電子チケットの内容変更を知らせるメッセージ、内容変更通知12928を生成し、その特定したユーザに対応するユーザプロセスが、その内容変更通知12928を、ユーザ宛に封書化し、内容変更通知8101として、デジタル無線電話通信で、モバイルユーザ端末へ送信する。
【１８７６】
図１２９（ｂ）に示すように、内容変更通知8101は、メッセージが内容変更通知8101であることと、そのデータ構造とを示すヘッダ情報、内容変更通知ヘッダ12920と、内容変更処理番号12921と、変更処理コード12922と、チケットＩＤ12923と、変更メッセージ12924と、この内容変更通知8101に対するユーザの回答（リアクション選択8104）の期限を示す回答期限12925と、サービス提供者ＩＤ12926と、この内容変更通知8101を発行した日時を示す発行日時12927とから成るデータについて、サービス提供者のデジタル署名を行ない、ユーザ宛に封書化したものである。
【１８７７】
内容変更通知8101を受信したモバイルユーザ端末は、暗号を復号化し、デジタル署名をチェックして、ユーザに、内容変更通知8101の受信を知らせる着信音を出力し、変更メッセージ12924をＬＣＤに表示する。（内容変更通知の表示8102）。例えば、日程が変更になる場合には、その日程変更の内容を示すメッセージと、ユーザに“受諾”、“拒否”、“払戻”の中から、内容変更への対応を選択するように促すメッセージが表示される。
【１８７８】
ユーザが、ＬＣＤに表示されたメッセージに基づいて、テンキースイッチで、内容変更に対する対応を選択すると（リアクション選択操作8103）、モバイルユーザ端末は、内容変更通知8101に対するユーザの対応を示すメッセージ、リアクション選択8104を生成して、デジタル無線電話通信で、サービス提供システムへ送信する。この時、ユーザが“拒否”または“払戻”を選択した場合には、モバイルユーザ端末は、さらに、その電子チケットのチケットステイタス1907を使用不能に変更する。
【１８７９】
図１３０（ｂ）に示すように、リアクション選択8104は、メッセージがリアクション選択8104であることと、そのデータ構造とを示すヘッダ情報、リアクション選択ヘッダ13000と、内容変更処理番号13001と、ユーザが選択した内容変更への対応の種類を示すリアクションコード13002と、チケットＩＤ13003と、モバイルユーザ端末がチケット内容変更の処理をユニークに示す番号として任意に生成した要求番号13004と、ユーザＩＤ13005と、このリアクション選択8104を発行した日時を示す発行日時13006とから成るデータについて、ユーザのデジタル署名を行ない、サービス提供者宛に封書化したものである。
【１８８０】
サービス提供システムのユーザプロセスは、リアクション選択8104を受信し、暗号を復号化し、デジタル署名をチェックして、サービスディレクタプロセスへ送る。サービスディレクタプロセスは、リアクション選択13007のリアクションコード13002にもとづき、電子チケットの内容更新、あるいは、チケットの払戻しの処理を行なう。ユーザが、“拒否”を選択した場合には、サービスディレクタプロセスは、ユーザ情報サーバ902上のユーザのチケットリスト4610の対応する電子チケットのチケットステイタス4647を使用不能に変更する。
【１８８１】
リアクションコード13002が“受諾”を示す場合、サービスディレクタプロセスは、内容変更要求8100にもとづいて、チケット購入の処理の場合と同様の手順で、新しい電子チケットを生成し、チケットの内容変更を命令するメッセージ、内容変更命令13017を生成し、ユーザプロセスに送る。ユーザプロセスは、ユーザのチケットリスト4610上の対応する電子チケットを、内容変更命令13017に含まれる電子チケットに変更し、内容変更命令13017をユーザ宛に封書化して、内容変更命令8105として、デジタル無線電話通信で、モバイルユーザ端末へ送信する。
【１８８２】
図１３０（ａ）に示すように、内容変更命令8105は、メッセージが内容変更命令8105であることと、そのデータ構造とを示すヘッダ情報、内容変更命令ヘッダ13011と、内容変更処理番号13012と、要求番号13013と、新しい電子チケットデータ13014と、サービス提供者ＩＤ13015と、この内容変更命令8105を発行した日時を示す発行日時13016とから成るデータについて、サービス提供者のデジタル署名を行ない、ユーザ宛に封書化したものである。
【１８８３】
内容変更命令8105を受信したモバイルユーザ端末は、暗号を復号化し、デジタル署名をチェックし、古い電子チケットの代わりに、内容変更命令8105に含まれる新しい電子チケット13014を、チケットリスト1712に登録し、その電子チケットをＬＣＤ303に表示する（チケット表示8106）。
【１８８４】
次に、チケット払戻の処理において、機器間で交換されるメッセージの内容について説明する。
【１８８５】
図８２は、チケット払戻の処理を即時決済で行なう場合のメッセージ交換の手順を示し、図１３１（ａ）（ｂ）、図１３２（ｂ）、図１３３（ａ）（ｂ）、図１３４（ａ）（ｂ）は、その時に、機器間で交換するメッセージの内容を示し、図８３は、チケット払戻の処理をディレイド決済で行なう場合のメッセージ交換の手順を示し、図１３１（ａ）（ｂ）、図１３２（ａ）（ｂ）、図１３３（ａ）（ｂ）、図１３４（ａ）（ｂ）は、その時に、機器間で交換するメッセージの内容を示している。
【１８８６】
チケット払戻の処理は、チケット内容変更の処理において、ユーザが払戻を選択した場合（リアクション選択13007のリアクションコード13002が、“払戻”を示す場合）に行なわれる。したがって、ユーザプロセスからサービスディレクタプロセスへリアクション選択13007が送信されるまでのメッセージ交換の手順、及び、交換するメッセージの内容は、チケット内容変更の処理の場合と同じである。
【１８８７】
リアクションコード13002が“払戻”を示す場合、サービスディレクタプロセスは、チケット発行者にチケットの払戻を要求するメッセージ、払戻要求13107を生成し、チケット発行者プロセスが、これをチケット発行者宛に封書化して、払戻要求8205,8305として、チケット発行システムへ送信する。
【１８８８】
図１３１（ａ）に示すように、払戻要求8205,8305は、メッセージが払戻要求であることと、そのデータ構造とを示すヘッダ情報、払戻要求ヘッダ13100と、内容変更処理番号13101と、払戻をするチケットのチケットＩＤ13102と、要求番号13103と、顧客番号13104と、サービス提供者ＩＤ13105と、この払戻要求を発行した日時を示す発行日時13106とから成るデータについて、サービス提供者のデジタル署名を行ない、チケット発行者宛に封書化したものである。
【１８８９】
払戻要求8205,8305を受信したチケット発行システムでは、チケット発行サーバ1100が、顧客情報サーバ1101、チケット発行情報サーバ1102及びチケット情報サーバ1103のデータを更新して、発行したチケットをキャンセルし、サービス提供システムに、電子チケットの払戻処理を依頼するメッセージ、払戻処理依頼8206を生成して、サービス提供システムへ送信する。
【１８９０】
図１３１（ｂ）に示すように、払戻処理依頼8206,8306は、メッセージが払戻処理依頼であることと、そのデータ構造とを示すヘッダ情報、払戻処理依頼ヘッダ13111と、チケット払戻の処理をユニークに示す番号として任意に生成したトランザクション番号13112と、払戻金額13113と、決済処理オプション13114と、チケットＩＤ13115と、要求番号13116と、チケット発行者ＩＤ13117と、この払戻処理依頼を発行した日時を示す発行日時13118とから成るデータについて、チケット発行者のデジタル署名を行ない、サービス提供者宛に封書化したものである。
【１８９１】
サービス提供システムのチケット発行者プロセスは、払戻処理依頼8206,8306を受信し、暗号を復号化し、デジタル署名をチェックして、サービスディレクタプロセスへ送る。この後、払戻処理依頼13119の決済処理オプション13114が即時決済を示す場合、サービスディレクタプロセスは、即時決済で払戻処理を行ない、決済処理オプション13114がディレイド決済を示す場合、サービスディレクタプロセスは、ディレイド決済で、チケット払戻の処理を行なう。
【１８９２】
まず、即時決済でチケット払戻の処理を行なう場合について説明する。
【１８９３】
図８２において、サービスディレクタプロセスは、払戻処理依頼13119にもとづき、払戻決済処理を要求するメッセージ、払戻決済要求13222を生成し、決済処理機関プロセスが、これを決済処理機関宛に封書化して、払戻決済要求8207として、決済処理システム106へ送信する。
【１８９４】
図１３２（ｂ）に示すように、払戻決済要求8207は、メッセージが払戻決済要求8207であることと、そのデータ構造とを示すヘッダ情報、払戻決済要求ヘッダ13212と、ユーザ決済口座13213と、チケット発行者の決済口座を示すチケット発行者決済口座13214と、払戻金額13215と、払戻オプションコード13216と、モバイルユーザ端末100が発行した要求番号13217と、チケット発行システムが発行したトランザクション番号13218と、この払戻決済要求5904の有効期間を示す有効期間13219と、サービス提供者ＩＤ13220と、この払戻決済要求5904を発行した日時を示す発行日時13221とから成るデータについて、サービス提供者のデジタル署名を行ない、決済処理機関宛に封書化したものである。
【１８９５】
払戻決済要求8207を受信した決済処理システムでは、トランザクション処理サーバ1000が、加入者情報サーバ1001、加盟店情報サーバ102及び取引情報サーバ103のデータを更新して、払戻決済処理を行ない、払戻決済処理の完了を示すメッセージ、払戻決済完了通知8208を、サービス提供システムへ送信する。
【１８９６】
図１３３（ａ）に示すように、払戻決済完了通知8208は、メッセージが払戻決済完了通知8208であることと、そのデータ構造とを示すヘッダ情報、払戻決済完了通知ヘッダ13300と、決済処理システム106の決済処理をユニークに示す番号として任意に生成した決済番号13301と、ユーザ決済口座13302と、チケット発行者決済口座13303と、払戻金額13304と、払戻オプションコード13305と、要求番号13306と、トランザクション番号13307と、決済処理機関のデジタル署名をしたサービス提供者向け決済情報13308と、決済処理機関のデジタル署名をしたチケット発行者向け決済情報13309と、決済処理機関のデジタル署名をしたユーザ向け決済情報13310と、決済処理機関ＩＤ13311と、この払戻決済完了通知を発行した日時を示す発行日時13312とから成るデータについて、決済処理機関のデジタル署名を行ない、サービス提供者宛に封書化したものである。
【１８９７】
サービス提供システム110の決済処理機関プロセスは、払戻決済完了通知8208を受信し、暗号を復号化し、デジタル署名をチェックして、払戻決済完了通知13313をサービスディレクタプロセスに送る。サービスディレクタプロセスは、払戻決済完了通知13313から、チケット発行者に対する払戻決済完了通知13329を生成し、チケット発行者プロセスが、これをチケット発行者宛に封書化し、チケット発行者に対する払戻決済完了通知8209として、チケット発行システム107へ送信する。
【１８９８】
図１３３（ｂ）に示すように、払戻決済完了通知8209は、メッセージが払戻決済完了通知8209であることと、そのデータ構造とを示すヘッダ情報、払戻決済完了通知ヘッダ13317と、決済番号13318と、顧客番号13319と、チケット発行者ＩＤ13320と、払戻金額13321と、決済処理オプション13322と、要求番号13323と、トランザクション番号13324と、決済処理機関のデジタル署名が施されたチケット発行者向け決済情報13325と、決済処理機関ＩＤ13326と、サービス提供者ＩＤ13327と、この払戻決済完了通知を発行した日時を示す発行日時13328とから成るデータについて、サービス提供者のデジタル署名を行ない、チケット発行者宛に封書化したものである。
【１８９９】
チケット発行システムは、払戻決済完了通知8209を受信し、暗号を復号化し、デジタル署名をチェックして、払戻領収書8210を生成して、サービス提供システムへ送信する。
【１９００】
図１３４（ａ）に示すように、払戻領収書8210は、メッセージが、払戻領収書8210であることと、そのデータ構造とを示すヘッダ情報、払戻領収書ヘッダ13400と、顧客番号13401と、払戻処理情報13402と、払戻金額13403と、要求番号13404と、トランザクション番号13405と、決済番号13406と、決済処理機関ＩＤ13407と、チケット発行者ＩＤ13408と、この払戻領収書8210を発行した日時を示す発行日時13409とから成るデータについて、チケット発行者のデジタル署名を行ない、サービス提供者宛に封書化したものである。払戻処理情報13402は、チケット発行システムにおける払戻処理に関する情報であり、チケット発行者のデジタル署名が施されている。
【１９０１】
サービス提供システム110のチケット発行者プロセスは、払戻領収書8210を受信し、暗号を復号化し、デジタル署名をチェックして、払戻領収書13410をサービスディレクタプロセスに送る。サービスディレクタプロセスは、払戻領収書13410から、ユーザに対する払戻領収書13421を生成する。
【１９０２】
サービスディレクタプロセスは、一方で、チケット発行システムへ払戻決済完了通知13329を生成した後、ユーザ情報サーバ902上のユーザのチケットリスト4610から、払戻を行なった電子チケットを削除する。
【１９０３】
ユーザプロセスは、払戻領収書13421を、ユーザ宛に封書化して、払戻領収書8211として、デジタル無線電話通信で、モバイルユーザ端末100へ送信する。
【１９０４】
図１３４（ｂ）に示すように、払戻領収書8211は、メッセージが払戻領収書8211であることと、そのデータ構造とを示すヘッダ情報、払戻領収書ヘッダ13414と、ユーザＩＤ13415と、暗号を復号化した払戻領収書13416(13410)と、決済処理機関のデジタル署名が施されたユーザ向け決済情報13417と、払戻処理情報13418と、サービス提供者ＩＤ13419と、この払戻領収書8211を発行した日時を示す発行日時13420とから成るデータについて、サービス提供者のデジタル署名を行ない、ユーザ宛に封書化したものである。払戻処理情報13418は、サービス提供システムにおける電子チケットの払戻処理に関する情報であり、サービス提供者のデジタル署名が施されている。
【１９０５】
払戻領収書8211を受信したモバイルユーザ端末は、暗号を復号化し、デジタル署名をチェックし、チケットリスト1712から払戻をした電子チケットを消去し、払戻領収書13421を利用履歴リスト1715に登録して、ＬＣＤ303に、払戻領収書13421を表示する（払戻払戻領収書の表示8212）。
【１９０６】
次に、ディレイド決済でチケット払戻の処理を行なう場合について説明する。
【１９０７】
図８３において、チケット発行システムが、サービス提供システムへ払戻処理依頼を送信するまでは、即時決済の場合と同じである。
【１９０８】
サービスディレクタプロセスは、決済処理オプション13114によって、ディレイド決済が指定された場合、払戻処理の仮の領収書に相当するメッセージ、仮払戻領収書13208を生成し、ユーザプロセスが、これをユーザ宛に封書化して、仮払戻領収書8307として、デジタル無線電話通信で、モバイルユーザ端末100へ送信する。
【１９０９】
図１３２（ａ）に示すように、仮払戻領収書8307は、メッセージが仮払戻領収書8307であることと、そのデータ構造とを示すヘッダ情報、仮払戻領収書ヘッダ13200と、ユーザＩＤ13201と、払戻処理情報13202と、支払金額13203と、要求番号13204と、トランザクション番号13205と、サービス提供者ＩＤ13206と、この仮払戻領収書8307を発行した日時を示す発行日時13207とから成るデータについて、サービス提供者のデジタル署名を行ない、ユーザ宛に封書化したものである。払戻処理情報13202は、サービス提供システムにおける電子チケットの払戻処理に関する情報であり、サービス提供者のデジタル署名が施されている。
【１９１０】
仮払戻領収書8307を受信したモバイルユーザ端末は、暗号を復号化し、デジタル署名をチェックし、チケットリスト1712から払戻をした電子チケットを消去し、仮払戻領収書13208を利用履歴リスト1715に登録して、ＬＣＤ303に、払戻領収書13208を表示する（払戻払戻領収書の表示8308）。
【１９１１】
この後、サービスディレクタプロセスは、払戻決済処理を行なう。
【１９１２】
まず、サービスディレクタプロセスは、払戻決済処理を要求するメッセージ、払戻決済要求13222を生成し、決済処理機関プロセスが、これを決済処理機関宛に封書化し、払戻決済要求8309として、決済処理システム106へ送信する。
【１９１３】
払戻決済処理システム106は、払戻決済要求8309を受信し、暗号を復号化し、デジタル署名をチェックして、払戻決済処理を行なう。そして、払戻決済完了通知8310を生成し、サービス提供システム110に送信する。
【１９１４】
サービス提供システム110の決済処理機関プロセスは、払戻決済完了通知8310を受信し、暗号を復号化し、デジタル署名をチェックして、払戻決済完了通知13313をサービスディレクタプロセスに送る。サービスディレクタプロセスは、払戻決済完了通知13313から、チケット発行者に対する払戻決済完了通知13329を生成し、チケット発行者プロセスが、これをチケット発行者宛に封書化し、チケット発行者に対する払戻決済完了通知8311として、チケット発行システム107へ送信する。
【１９１５】
チケット発行システムは、払戻決済完了通知8311を受信し、暗号を復号化し、デジタル署名をチェックして、払戻領収書8312を生成して、サービス提供システムへ送信する。
【１９１６】
サービス提供システム110のチケット発行者プロセスは、払戻領収書8312を受信し、暗号を復号化し、デジタル署名をチェックして、払戻領収書13410をサービスディレクタプロセスに送る。サービスディレクタプロセスは、払戻領収書13410から、ユーザに対する払戻領収書13421を生成する。
【１９１７】
生成された払戻領収書13421は、この後、すぐに、ユーザのモバイルユーザ端末100へ送信されるのではなく、モバイルユーザ端末100のデータアップデート処理の際に、ユーザプロセスが、利用履歴リスト1715の仮払戻領収書13208と、払戻領収書13421とを入れ替え、アップデートデータ8313の一部として、モバイルユーザ端末100へ送信される。
【１９１８】
ディレイド決済の場合の払戻決済要求8309、払戻決済完了通知8310、払戻決済完了通知8311、及び払戻領収書8312のデータ構造は、それぞれ、即時決済の場合の払戻決済要求8207、払戻決済完了通知8208、払戻決済完了通知8209、及び払戻払戻領収書8210のデータ構造と同じである。
【１９１９】
なお、ディレイド決済の場合の払戻決済処理は、必ずしも、仮払戻領収書を発行した後、すぐに行なう必要はなく、例えば、１日に１回、他の決済処理と一緒に、まとめて行なってもよい。
【１９２０】
次に、電子プリペイドカードサービスの各種の処理において、機器間で交換されるメッセージの内容について説明する。
【１９２１】
まず、プリペイドカード購入の処理において、機器間で交換されるメッセージの内容について説明する。
【１９２２】
図６１は、プリペイドカード購入の処理における機器間のメッセージ交換の手順を示し、図９６（ａ）（ｂ）、図９７（ａ）（ｂ）、図９８（ａ）（ｂ）、図９９（ａ）（ｂ）、図１００（ａ）（ｂ）は、プリペイドカード購入の処理において、機器間で交換するメッセージの内容を示している。
【１９２３】
まず、ユーザが、プリペイドカード購入申込操作6100行なうと、モバイルユーザ端末は、デジタル無線電話通信で、プリペイドカード購入申込6101を、サービス提供システムへ送信する。
【１９２４】
図９６（ａ）に示すように、プリペイドカード購入申込6101は、メッセージがプリペイドカード購入申込6101であることと、そのデータ構造とを示すヘッダ情報、プリペイドカード購入申込ヘッダ9600と、ユーザが要求するサービスの種類を示すサービスコード9601と、ユーザが入力したプリペイドカードのオーダーコードを示すカードオーダーコード9602と、ユーザが入力した購入枚数9603と、ユーザが指定したクレジットカードを示す支払サービスコード9604と、支払金額9605と、ユーザが指定した支払回数等の支払オプションを示す支払オプションコード9606と、このプリペイドカード購入の処理をユニークに示す番号として任意に生成した要求番号9607と、このプリペイドカード購入申込6101の有効期間9608と、ユーザＩＤ9609と、このプリペイドカード購入申込6101を発行した日時を示す発行日時9610とから成るデータについて、ユーザのデジタル署名を行ない、サービス提供者宛に封書化したものである。サービスコード8901は、ユーザが選択したプリペイドカード発行者へのプリペイドカード購入申込を示す。
【１９２５】
サービス提供システム110のユーザプロセスは、プリペイドカード購入申込6101を受信し、暗号を復号化し、デジタル署名をチェックして、サービスマネージャプロセスへ送る。サービスマネージャプロセスは、サービスディレクタプロセスを生成して、プリペイドカード購入申込9611を処理するプロセスグループを生成する。サービスディレクタプロセスは、プリペイドカード発行者リスト5204を参照し、サービスコード9601が示すプリペイドカード発行者に対して、プリペイドカード購入申込9626を生成し、プリペイドカード発行者プロセスが、これをプリペイドカード発行者宛に封書化し、プリペイドカード購入申込6102として、プリペイドカード発行システム108へ送信する。
【１９２６】
図９６（ｂ）に示すように、プリペイドカード購入申込6102は、メッセージがプリペイドカード購入申込6102であることと、そのデータ構造とを示すヘッダ情報、プリペイドカード購入申込ヘッダ9615と、カードオーダーコード9616と、購入枚数9617と、支払サービスコード9618と、支払金額9619と、支払オプションコード9620と、要求番号9621と、プリペイドカード発行者に対してユーザをユニークに示す顧客番号9622と、プリペイドカード購入申込6102の有効期間9623と、サービス提供者ＩＤ9624と、このプリペイドカード購入申込6102を発行した日時を示す発行日時9625とから成るデータについて、サービス提供者のデジタル署名を行ない、プリペイドカード発行者宛に封書化したものである。
【１９２７】
顧客番号9622には、ユーザとプリペイドカード発行者との間で、以前に取引があった場合には、そのプリペイドカード発行者の顧客テーブルに登録されている顧客番号が設定され、初めての取引の場合には、サービスディレクタプロセスは、プリペイドカード発行者に対してユーザをユニークに示す番号を生成して、顧客番号9622に設定し、さらに、その番号を顧客テーブルに登録する。顧客テーブルは、プリペイドカード発行者リスト5204の顧客テーブルアドレス5237によって示される。
【１９２８】
プリペイドカード発行システム108は、プリペイドカード購入申込6102を受信し、暗号を復号化し、デジタル署名をチェックする。そして、プリペイドカード発行サーバ1200が、顧客情報サーバ1201、プリペイドカード発行情報サーバ1202及びプリペイドカード情報サーバ1203のデータを更新して、申込まれたプリペイドカードのプリペイドカードデータ(9719)を生成し、サービス提供システムへ、そのプリペイドカードに対応する電子プリペイドカードの発行処理とプリペイドカード代金の決済処理とを依頼するメッセージ、電子プリペイドカード発行依頼6103を送信する。
【１９２９】
図９７（ａ）に示すように、電子プリペイドカード発行依頼6103は、メッセージが電子プリペイドカード発行依頼6103であることと、そのデータ構造とを示すヘッダ情報、電子プリペイドカード発行依頼ヘッダ9700と、ユーザとの取引をユニークに示す番号として任意に生成したトランザクション番号9701と、プリペイドカードの代金を示す請求金額9702と、決済処理の手順を示す決済処理オプション9703と、要求番号9704と、発行する電子プリペイドカードの種類を示すカードコード9705と、発行する電子プリペイドカードのテンプレートプログラムを示すテンプレートコード9706と、発行するプリペイドカードの枚数を示すカード数9707と、プリペイドカードデータ9708と、表示部品情報9709と、プリペイドカード発行者ＩＤ9710と、この電子プリペイドカード発行依頼6103を発行した日時を示す発行日時9711とから成るデータについて、プリペイドカード発行者のデジタル署名を行ない、サービス提供者宛に封書化したものである。
【１９３０】
決済処理オプション9703は、プリペイドカード発行システムが、サービス提供システムに対して、プリペイドカード代金の決済処理の手順を指定する情報である。決済処理の手順には、大きく分けて、プリペイドカード代金の決済処理を完了してから、ユーザに電子プリペイドカードを発行する即時決済と、電子プリペイドカードを発行してから、後で、プリペイドカード代金の決済処理をするディレイド決済があり、決済処理オプション9703によって、どの手順で決済処理を行なうかが指定される。
【１９３１】
ディレイド決済の場合、決済処理を行なう前に、ユーザに電子プリペイドカードが発行されるので、その分、ユーザは待たされないで済む。 例えば、プリペイドカード発行者は、顧客の購入履歴をもとに、以前から取引があり、信用できる顧客に対しては、ディレイド決済を指定し、初めて取引する顧客に対しては、即時決済を指定するといった使い分けをすることができる。
【１９３２】
プリペイドカードデータ9708は、プリペイドカード発行者が発行するプリペイドカード情報であり、カード数9707が示す数のプリペイドカード情報が、プリペイドカードデータ9708として設定される。プリペイドカード情報は、１つのプリペイドカードに関して、カードＩＤ9716と、カード情報9717と、プリペイドカード発行者ＩＤ9718とからなるデータについて、プリペイドカード発行者のデジタル署名を行なったものである。カード情報9717は、プリペイドカードの内容を示すＡＳＣＩＩ情報であり、プリペイドカードの名称や、発行時の額面や、使用条件、発行者、さらには、電子プリペイドカードの譲渡の可否等の情報が、それぞれの情報の種類を示すタグ情報を付加した形式で記述されている。
【１９３３】
表示部品情報9709は、生成される電子プリペイドカードの表示部品情報2032として設定される情報であり、オプションで設定される。したがって、表示部品情報9709は、設定されない場合もある。
【１９３４】
サービス提供システムのプリペイドカード発行者プロセスは、電子プリペイドカード発行依頼6103を受信し、暗号を復号化し、デジタル署名をチェックして、サービスディレクタプロセスへ送る。サービスディレクタプロセスは、決済処理オプション9703によって指定される決済処理の手順にしたがって、電子プリペイドカードの発行処理とプリペイドカード代金の決済処理とを行なう。
【１９３５】
図６１は、即時決済の場合の手順を示しており、ディレイド決済の場合の手順については後で説明する。
【１９３６】
即時決済の場合、サービスディレクタプロセスは、プリペイドカード代金の決済処理を要求するメッセージ、決済要求9824を生成し、決済処理機関プロセスが、これを決済処理機関宛に封書化し、決済要求6104として、決済処理システム106へ送信する。
【１９３７】
図９８（ｂ）に示すように、決済要求6104は、メッセージが決済要求6104であることと、そのデータ構造とを示すヘッダ情報、決済要求ヘッダ9814と、ユーザが指定した支払サービスコードに対応するクレジットカードを示すユーザ決済口座9815と、プリペイドカード発行者の決済口座を示すプリペイドカード発行者決済口座9816と、支払金額9817と、支払オプションコード9818と、モバイルユーザ端末100が発行した要求番号9819と、プリペイドカード発行システムが発行したトランザクション番号9820と、この決済要求6104の有効期間を示す有効期間9821と、サービス提供者ＩＤ9822と、この決済要求6104を発行した日時を示す発行日時9823とから成るデータについて、サービス提供者のデジタル署名を行ない、決済処理機関宛に封書化したものである。
【１９３８】
決済処理システム106は、決済要求6104を受信し、暗号を復号化し、デジタル署名をチェックして、決済処理を行なう。そして、決済完了通知6105を生成し、サービス提供システム110に送信する。
【１９３９】
図９９（ａ）に示すように、決済完了通知6105は、メッセージが決済完了通知6105であることと、そのデータ構造とを示すヘッダ情報、決済完了通知ヘッダ9900と、決済処理システム106の決済処理をユニークに示す番号として任意に生成した決済番号9901と、ユーザ決済口座9902と、プリペイドカード発行者決済口座9903と、支払金額9904と、支払オプションコード9905と、要求番号9906と、トランザクション番号9907と、決済処理機関のデジタル署名をしたサービス提供者向け決済情報9908と、決済処理機関のデジタル署名をしたプリペイドカード発行者向け決済情報9909と、決済処理機関のデジタル署名をしたユーザ向け決済情報9910と、決済処理機関ＩＤ9911と、この決済完了通知を発行した日時を示す発行日時9912とから成るデータについて、決済処理機関のデジタル署名を行ない、サービス提供者宛に封書化したものである。
【１９４０】
サービス提供システム110の決済処理機関プロセスは、決済完了通知6105を受信し、暗号を復号化し、デジタル署名をチェックして、決済完了通知9913をサービスディレクタプロセスに送る。サービスディレクタプロセスは、決済完了通知9913から、プリペイドカード発行者に対する決済完了通知9930を生成し、プリペイドカード発行者プロセスが、これをプリペイドカード発行者宛に封書化し、プリペイドカード発行者に対する決済完了通知6106として、プリペイドカード発行システム108へ送信する。
【１９４１】
図９９（ｂ）に示すように、決済完了通知6106は、メッセージが決済完了通知6106であることと、そのデータ構造とを示すヘッダ情報、決済完了通知ヘッダ9917と、決済番号9918と、顧客番号9919と、プリペイドカード発行者ＩＤ9920と、支払サービスコード9921と、支払金額9922と、支払オプションコード9923と、要求番号9924と、トランザクション番号9925と、決済処理機関のデジタル署名が施されたプリペイドカード発行者向け決済情報9926と、決済処理機関ＩＤ9927と、サービス提供者ＩＤ9928と、この決済完了通知を発行した日時を示す発行日時9929とから成るデータについて、サービス提供者のデジタル署名を行ない、プリペイドカード発行者宛に封書化したものである。
【１９４２】
プリペイドカード発行システムは、決済完了通知6106を受信し、暗号を復号化し、デジタル署名をチェックして、領収書6107を生成して、サービス提供システムへ送信する。
【１９４３】
図１００（ａ）に示すように、領収書6107は、メッセージが、領収書6107であることと、そのデータ構造とを示すヘッダ情報、領収書ヘッダ10000と、顧客番号10001と、プリペイドカード発行情報10002と、支払サービスコード10003と、支払金額10004と、支払オプションコード10005と、要求番号10006と、トランザクション番号10007と、決済番号10008と、決済処理機関ＩＤ10009と、プリペイドカード発行者ＩＤ10010と、この領収書6107を発行した日時を示す発行日時10011とから成るデータについて、プリペイドカード発行者のデジタル署名を行ない、サービス提供者宛に封書化したものである。プリペイドカード発行情報10002は、プリペイドカード発行システムにおけるプリペイドカード発行処理に関する情報であり、プリペイドカード発行者のデジタル署名が施されている。
【１９４４】
サービス提供システム110のプリペイドカード発行者プロセスは、領収書6107を受信し、暗号を復号化し、デジタル署名をチェックして、領収書10012をサービスディレクタプロセスに送る。サービスディレクタプロセスは、領収書10012から、ユーザに対する領収書10023を生成する。
【１９４５】
サービスディレクタプロセスは、一方で、プリペイドカード発行システムへ決済完了通知9930を生成した後、ユーザに発行する電子プリペイドカードを生成し、さらに、生成した電子プリペイドカードを含むメッセージ、電子プリペイドカード発行9727を生成する。
【１９４６】
ユーザプロセスは、電子プリペイドカード発行9727と、領収書10023とを、それぞれ、ユーザ宛に封書化して、電子プリペイドカード発行6108と領収書6109として、デジタル無線電話通信で、モバイルユーザ端末100へ送信する。
【１９４７】
図９７（ｂ）に示すように、電子プリペイドカード発行6108は、メッセージが電子プリペイドカード発行6108であることと、そのデータ構造とを示すヘッダ情報、電子プリペイドカード発行ヘッダ9720と、トランザクション番号9721と、要求番号9722と、カード数9723と、生成された電子プリペイドカードデータ9724と、サービス提供者ＩＤ9725と、この電子プリペイドカード発行6108を発行した日時を示す発行日時9726とから成るデータについて、サービス提供者のデジタル署名を行ない、ユーザ宛に封書化したものである。電子プリペイドカードデータ9724には、カード数9723が示す数の電子プリペイドカード9731が含まれる。
【１９４８】
また、図１００（ｂ）に示すように、領収書6109は、メッセージが領収書6109であることと、そのデータ構造とを示すヘッダ情報、領収書ヘッダ10016と、ユーザＩＤ10017と、暗号を復号化した領収書10018(10012)と、決済処理機関のデジタル署名が施されたユーザ向け決済情報10019と、プリペイドカード発行情報10020と、サービス提供者ＩＤ10021と、この領収書6109を発行した日時を示す発行日時10022とから成るデータについて、サービス提供者のデジタル署名を行ない、ユーザ宛に封書化したものである。プリペイドカード発行情報10020は、サービス提供システムにおける電子プリペイドカードの発行処理に関する情報であり、サービス提供者のデジタル署名が施されている。
【１９４９】
電子プリペイドカード発行6108と領収書6109とを受信したモバイルユーザ端末は、それぞれ、暗号を復号化し、デジタル署名をチェックし、電子プリペイドカード発行6108に含まれる電子プリペイドカードを、プリペイドカードリスト1713に登録し、さらに、領収書10023を利用履歴リスト1715に登録して、ＬＣＤ303に電子プリペイドカードを表示する。
【１９５０】
また、サービスディレクタプロセスによる電子プリペイドカードの生成は、次の手順で行なわれる。
【１９５１】
まず、サービスディレクタプロセスは、プリペイドカード発行者情報サーバ上のプリペイドカード発行者の電子プリペイドカードテンプレートリスト5005を参照し、電子プリペイドカード発行依頼6103のテンプレートコード9706が示す電子プリペイドカードのテンプレートプログラムをもとに、電子プリペイドカードのプリペイドカードプログラムデータ2013を生成する。具体的には、電子プリペイドカードテンプレートリスト5005のトランザクションモジュールアドレス5019及び表示モジュールアドレス5020がそれぞれ示す、トランザクションモジュール及び表示モジュールと、電子プリペイドカード発行依頼6103の表示部品情報9709とから、電子プリペイドカードのプリペイドカードプログラムデータ2013を生成する。この時、電子プリペイドカード発行依頼6103の表示部品情報9709が設定されていない場合には、デフォルト表示部品情報アドレス5021が示すデフォルト表示部品情報が、電子プリペイドカードの表示部品情報として用いられる。
【１９５２】
次に、サービスディレクタプロセスは、カード情報9717の中のプリペイドカード情報をもとに、カードステイタス2007と、残り合計金額2008を生成する。この時に、カードステイタス2007の譲渡の可否が設定され、また、残り合計金額2007には、発行時の額面が設定される。そして、サービスディレクタプロセスは、新たに、カード署名プライベート鍵及びカード署名公開鍵の鍵対を生成し、さらに、電子プリペイドカード管理情報5400に登録されているカード認証プライベート鍵と、課金装置認証公開鍵とを用いて、電子プリペイドカードのプリペイドカードプログラム2001を生成する。
【１９５３】
さらに、サービスディレクタプロセスは、生成したカード署名公開鍵をもとに、電子プリペイドカードのカード証明書2003を生成し、電子プリペイドカード発行依頼6103のプリペイドカードデータ9719をもとに電子プリペイドカードの提示カード2002を生成して、電子プリペイドカードを生成する。
【１９５４】
次に、ディレイド決済の場合の手順について説明する。
【１９５５】
図６２は、ディレイド決済の場合のプリペイドカード購入の処理における機器間のメッセージ交換の手順を示している。プリペイドカード発行システムが、サービス提供システムへ電子プリペイドカード発行依頼を送信するまでは、即時決済の場合と同じである。
【１９５６】
サービスディレクタプロセスは、決済処理オプション9703によって、ディレイド決済が指定された場合、ユーザに発行する電子プリペイドカードを生成し、さらに、生成した電子プリペイドカードを含むメッセージ、電子プリペイドカード発行9727と、仮の領収書に相当するメッセージ、仮領収書9810を生成する。電子プリペイドカードの生成は、即時決済の場合と同じ手順で行なう。
【１９５７】
ユーザプロセスは、電子プリペイドカード発行9727と、仮領収書9810とを、それぞれ、ユーザ宛に封書化して、電子プリペイドカード発行6204及び仮領収書6205として、デジタル無線電話通信で、モバイルユーザ端末100へ送信する。
【１９５８】
図９８（ａ）に示すように、仮領収書6205は、メッセージが仮領収書6205であることと、そのデータ構造とを示すヘッダ情報、仮領収書ヘッダ9800と、ユーザＩＤ9801と、プリペイドカード発行情報9802と、支払サービスコード9803と、支払金額9804と、支払オプションコード9805と、要求番号9806と、トランザクション番号9807と、サービス提供者ＩＤ9808と、この仮領収書6205を発行した日時を示す発行日時9809とから成るデータについて、サービス提供者のデジタル署名を行ない、ユーザ宛に封書化したものである。プリペイドカード発行情報9802は、サービス提供システムにおける電子プリペイドカードの発行処理に関する情報であり、サービス提供者のデジタル署名が施されている。
【１９５９】
また、電子プリペイドカード発行6204のデータ構造は、電子プリペイドカード発行6108と同じである。
【１９６０】
電子プリペイドカード発行6204と仮領収書6205とを受信したモバイルユーザ端末は、それぞれ、暗号を復号化し、デジタル署名をチェックし、電子プリペイドカード発行6204に含まれる電子プリペイドカードを、プリペイドカードリスト1713に登録し、さらに、仮領収書9810を利用履歴リスト1715に登録して、ＬＣＤ303に電子プリペイドカードを表示する。
【１９６１】
この後、サービスディレクタプロセスは、プリペイドカード代金の決済処理を行なう。
【１９６２】
まず、サービスディレクタプロセスは、プリペイドカード代金の決済処理を要求するメッセージ、決済要求9824を生成し、決済処理機関プロセスが、これを決済処理機関宛に封書化し、決済要求6207として、決済処理システム106へ送信する。
【１９６３】
決済処理システム106は、決済要求6207を受信し、暗号を復号化し、デジタル署名をチェックして、決済処理を行なう。そして、決済完了通知6208を生成し、サービス提供システム110に送信する。
【１９６４】
サービス提供システム110の決済処理機関プロセスは、決済完了通知6208を受信し、暗号を復号化し、デジタル署名をチェックして、決済完了通知9913をサービスディレクタプロセスに送る。サービスディレクタプロセスは、決済完了通知9913から、プリペイドカード発行者に対する決済完了通知9930を生成し、プリペイドカード発行者プロセスが、これをプリペイドカード発行者宛に封書化し、プリペイドカード発行者に対する決済完了通知6209として、プリペイドカード発行システム108へ送信する。
【１９６５】
プリペイドカード発行システムは、決済完了通知6209を受信し、暗号を復号化し、デジタル署名をチェックして、領収書6210を生成して、サービス提供システムへ送信する。
【１９６６】
サービス提供システム110のプリペイドカード発行者プロセスは、領収書6210を受信し、暗号を復号化し、デジタル署名をチェックして、領収書10012をサービスディレクタプロセスに送る。サービスディレクタプロセスは、領収書10012から、ユーザに対する領収書10023を生成する。
【１９６７】
生成された領収書10023は、この後、すぐに、ユーザのモバイルユーザ端末100へ送信されるのではなく、モバイルユーザ端末100のデータアップデート処理の際に、ユーザプロセスが、利用履歴リスト1715の仮領収書9810と、領収書10023とを入れ替え、アップデートデータ6211の一部として、モバイルユーザ端末100へ送信される。
【１９６８】
ディレイド決済の場合の決済要求6207、決済完了通知6208、決済完了通知6209、及び領収書6210のデータ構造は、それぞれ、即時決済の場合の決済要求6104、決済完了通知6105、決済完了通知6106、及び領収書6107のデータ構造と同じである。
【１９６９】
なお、ディレイド決済の場合の決済処理は、必ずしも、電子プリペイドカードを発行した後、すぐに行なう必要はなく、例えば、１日に１回、他の決済処理と一緒に、まとめて行なってもよい。
【１９７０】
次に、プリペイドカード使用登録の処理において、モバイルユーザ端末100とサービス提供システム110との間で交換されるメッセージの内容について説明する。
【１９７１】
図６５（ｂ）は、プリペイドカード使用登録の処理における機器間のメッセージ交換の手順を示し、図１０７（ａ）（ｂ）は、プリペイドカード使用登録の処理において、機器間で交換するメッセージの内容を示している。
【１９７２】
まず、ユーザが、電子プリペイドカードの使用登録操作6504を行なうと、モバイルユーザ端末は、プリペイドカード使用登録要求6505を生成し、デジタル無線電話通信でサービス提供システムへ送信する。
【１９７３】
図１０７（ａ）に示すように、プリペイドカード使用登録要求6505は、メッセージがプリペイドカード使用登録要求6505であることと、そのデータ構造とを示すヘッダ情報、プリペイドカード使用登録要求ヘッダ10700と、使用登録するプリペイドカードのカードＩＤ10701と、ユーザＩＤ10702と、このプリペイドカード使用登録要求6505を発行した日時を示す発行日時10703とから成るデータについて、ユーザのデジタル署名を行ない、サービス提供者宛に封書化したものである。
【１９７４】
サービス提供システム110のユーザプロセスは、プリペイドカード使用登録要求6505を受信し、暗号を復号化し、デジタル署名をチェックして、サービスマネージャプロセスへ送る。サービスマネージャプロセスは、サービスディレクタプロセスを生成して、プリペイドカード使用登録要求10704を処理するプロセスグループを生成する。サービスディレクタプロセスは、ユーザ情報サーバ902上のユーザのプリペイドカードリスト4611に、カードＩＤ10701が示す電子プリペイドカードが登録されていることを検証して、サービスディレクタ情報サーバ901上の電子プリペイドカードの使用登録カードリスト5402に、新たに、その電子プリペイドカードを登録する。この時、サービスディレクタプロセスは、新たに、カード署名プライベート鍵及びカード署名公開鍵の鍵対を生成し、さらに、カード署名公開鍵から使用登録カード証明書を生成して、使用登録カードリスト5402に登録する。そして、サービスディレクタプロセスは、生成したカード署名プライベート鍵と使用登録カード証明書とから、プリペイドカード証明書発行10713を生成し、ユーザプロセスが、このプリペイドカード証明書発行10713をユーザ宛に封書化して、プリペイドカード証明書発行6506として、デジタル無線電話通信で、モバイルユーザ端末へ送信する。
【１９７５】
図１０７（ｂ）に示すように、プリペイドカード証明書発行6506は、メッセージがプリペイドカード証明書発行6506であることと、そのデータ構造とを示すヘッダ情報、プリペイドカード証明書発行ヘッダ10708と、カード署名プライベート鍵10709と、使用登録カード証明書10710と、サービス提供者ＩＤ10711と、このプリペイドカード証明書発行6506を発行した日時を示す発行日時10712とから成るデータについて、サービス提供者のデジタル署名を行ない、ユーザ宛に封書化したものである。
【１９７６】
プリペイドカード証明書発行6506を受信したモバイルユーザ端末100は、暗号を復号化し、デジタル署名をチェックし、電子プリペイドカードのカード署名プライベート鍵とカード証明書とを、それぞれ、プリペイドカード証明書発行6506に含まれるカード署名プライベート鍵10709と使用登録カード証明書10710とに入れ替え、カードステイタスの使用登録状態を、登録済に変更して、ＬＣＤに使用登録された電子プリペイドカードを表示する（使用登録されたプリペイドカードの表示6507）。
【１９７７】
次に、取扱プリペイドカード設定の処理において、サービス提供システム110とマーチャント端末102、マーチャント端末103または課金装置3555（自動販売機104）との間で交換されるメッセージの内容について説明する。
【１９７８】
取扱プリペイドカード設定の処理は、特別な処理シーケンスで行なわれるのではなく、サービス提供システムがマーチャント端末102（マーチャント端末103、課金装置3555）の内部データをアップデートするデータアップデート処理の中で行なわれる。
【１９７９】
したがって、取扱プリペイドカード設定の処理において、サービス提供システムとマーチャント端末102（マーチャント端末103、課金装置3555）との間のメッセージ交換の手順、及び、交換されるメッセージの内容（データ構造）は、上記で説明したデータアップデート処理（図５７、図８８）の場合と同じである。
【１９８０】
但し、取扱プリペイドカード設定の処理は、データアップデート処理の度に行なわれるのではなく、マーチャント情報サーバ903上のマーチャントのプリペイドカードリスト4609が、サービスディレクタプロセスによって、更新されている場合に行なわれる。
【１９８１】
この場合、マーチャントプロセスは、プリペイドカードリスト4609が更新されていることから、プリペイドカードリスト4609の部分の更新データを、アップデートデータ5705の圧縮アップデートデータ8828の中に入れ、アッブデートデータ5705として、マーチャント端末102（マーチャント端末103、課金装置3555）へ送信する。
【１９８２】
アツプデートデータ5705を受信したマーチャント端末102（マーチャント端末103、課金装置3555）は、圧縮アップデートデータ8828のデータ圧縮を解凍して、ＲＡＭ及びハードディスクのデータを更新する。この時、マーチャント端末102（マーチャント端末103、課金装置3555）のプリペイドカードリスト2811(3211,3608)が更新され、マーチャント端末102（マーチャント端末103、課金装置3555）が取扱う電子プリペイドカードが更新される。
【１９８３】
次に、プリペイドカード決済の処理において、モバイルユーザ端末100とマーチャント端末102、マーチャント端末103または課金装置3555（自動販売機104）との間で交換されるメッセージの内容について説明する。
【１９８４】
図６８は、プリペイドカード決済の処理におけるモバイルユーザ端末100とマーチャント端末102またはマーチャント端末103との間のメッセージ交換の手順を示し、図６９は、モバイルユーザ端末100と課金装置3555との間のメッセージ交換の手順を示し、図１１２（ａ）（ｂ）、図１１３（ａ）（ｂ）は、プリペイドカード決済の処理において、機器間で交換するメッセージの内容を示している。
【１９８５】
マーチャント端末102、マーチャント端末103、及び課金装置3555のいずれの場合も、プリペイドカード決済の処理における、モバイルユーザ端末100とのメッセージ交換の手順、及び、交換するメッセージの内容（データ構造）は同じである。
【１９８６】
まず、ユーザが、支払オファー操作6804,6906を行なうと、モバイルユーザ端末は、支払に用いる電子プリペイドカードと、任意に生成したテストパターンとから、マーチャントに代金の支払を申出るメッセージ、支払オファー6805,6907を生成し、赤外線通信で、マーチャント端末102（マーチャント端末103、課金装置3555）へ送信する。
【１９８７】
図１１２（ａ）に示すように、支払オファー6805,6907は、メッセージが支払オファー6805,6907であることと、そのデータ構造とを示すヘッダ情報、支払オファーヘッダ11200と、電子プリペイドカードによる支払を要求していることを示すサービスコード11201と、このプリペイドカード決済の処理をユニークに示す番号として任意に生成した要求番号11202と、ユーザが入力した支払金額11203と、支払に用いる電子プリペイドカードの提示カード11204及びカード証明書11205と、支払に用いる電子プリペイドカードのその時のカードステイタス11206と、残り合計金額11207と、カードＩＤ11208と、この支払オファー6805,6907を発行した日時を示す発行日時11209と、生成した任意のテストパターン、課金装置テストパターン11211とから成るデータであり、カードステイタス11206、残り合計金額11207、カードＩＤ11208、及び発行日時11209には、電子プリペイドカードのカード署名プライベート鍵によるデジタル署名が施され、課金装置テストパターン11211は、課金装置認証公開鍵によって暗号化されている。
【１９８８】
提示カード11204、カード証明書11205、カードステイタス11206、残り合計金額11207、カードＩＤ11208、及び発行日時11209が、マーチャント端末102（マーチャント端末103、課金装置3555）に対して、電子プリペイドカードの内容を示す部分であり、課金装置テストパターン11211は、マーチャント端末102（マーチャント端末103、課金装置3555）を認証するためのテストパターンである。
【１９８９】
支払オファー6805,6907を受信したマーチャント端末102（マーチャント端末103、課金装置3555）は、まず、プリペイドカードリスト2811(3211,3608)を参照し、提示された電子プリペイドカードのカードコード（カードコードは、提示カードに含まれる）に対応するプリペイドカード決済モジュールを起動して、支払オファー6805,6907の内容の有効性を検証し、支払オファーに対する応答メッセージ、支払オファー応答6806,6908を生成して、赤外線通信で、モバイルユーザ端末へ送信する。提示された電子プリペイドカードが、プリペイドカードリスト2811(3211,3608)に登録されていない場合には、取扱えない電子プリペイドであることを示す支払オファー応答6806,6908を送信する。
【１９９０】
支払オファー6805,6907の有効性の検証では、マーチャント端末102（マーチャント端末103、課金装置3555）は、まず、ユーザが指定した支払金額11203が、請求金額に足りていることを検証し、カード証明書11205が使用登録カード証明書であること、及びカードステイタス11206と残り合計金額11207から、支払に用いられる電子プリペイドカードとして、有効な状態であるかを検証し、次に、提示カード11204及びカード証明書11205のサービス提供者のデジタル署名と有効期間とをチェックし、さらに、カード証明書11205のカード署名公開鍵を用いて、カードステイタス11206、残り合計金額11207、カードＩＤ11208及び発行日時11209に施された電子プリペイドカードのデジタル署名をチェックして、支払オファー6805,6907の有効性を検証する。
【１９９１】
また、支払オファー応答6806,6908の生成では、マーチャント端末102（マーチャント端末103、課金装置3555）は、課金装置認証プライベート鍵で、課金装置テストパターン11211の暗号を復号化し、任意に生成したテストパターン、カードテストパターン11221を、カード認証公開鍵で暗号化する。
【１９９２】
図１１２（ｂ）に示すように、支払オファー応答6806,6908は、メッセージが支払オファー応答6806,6908であることと、そのデータ構造とを示すヘッダ情報、支払オファー応答ヘッダ11213と、トランザクション番号11214と、応答メッセージ11215と、要求番号11216と、カードＩＤ11217と、インストラクションコード11218と、マーチャント端末102（マーチャント端末103、課金装置3555）が計算した商品またはサービスの代金を示す請求金額11219と、暗号を復号化した課金装置テストパターン11220と、任意に生成したテストパターン、カードテストパターン11221と、課金装置ＩＤ11223と、マーチャントＩＤ11224と、この支払オファー応答6806,6908を発行した日時を示す発行日時11225とから成るデータにマーチャントのデジタル署名を行なったものであり、カードテストパターン11221は、カード認証公開鍵によって暗号化されている。
【１９９３】
トランザクション番号11214は、マーチャント端末102（マーチャント端末103、課金装置3555）が、このプリペイドカード決済の処理をユニークに示す番号として任意に生成した番号であり、支払オファー6805,6907の検証の結果、プリペイドカード決済の処理ができない場合（例えば、ユーザが指定した支払金額が不足している場合、または、そのマーチャント端末102（マーチャント端末103、課金装置3555）では、取扱えない電子プリペイドカードであった場合）、ゼロが設定され、プリペイドカード決済の処理ができる場合には、ゼロ以外の値が設定される。
【１９９４】
応答メッセージ11215は、マーチャントからユーザへのメッセージを示すテキスト情報である。マーチャント端末102（マーチャント端末103、課金装置3555）が、提示された電子プリペイドカードを取扱えない場合（トランザクション番号＝０）、応答メッセージには、電子プリペイドカードを取扱えない旨を示すメッセージが設定される。応答メッセージは、オプションで設定される情報であり、設定されない場合もある。
【１９９５】
インストラクションコード11218は、電子プリペイドカードに対するコマンドコードであり、電子プリペイドカードの残り合計金額からの請求金額11219が示す金額の減算を示すコード情報である。インストラクションコードには、電子プリペイドカードのトランザクションモジュールと、プリペイドカード決済モジュールとの組み合わせによって、異なるコードが用いられる。
【１９９６】
支払オファー応答6806,6908を受信したモバイルユーザ端末は、まず、課金装置テストパターン11211と、支払オファー応答6806,6908に含まれる課金装置テストパターン11220とを照合して、マーチャント端末102（マーチャント端末103、課金装置3555）の認証を行ない、次に、請求金額11219が、ユーザが指定した支払金額11203以下であることを検証して、インストラクションコード11218にしたがって、電子プリペイドカードの残り合計金額から請求金額11219が示す金額を減算する。そして、カード認証プライベート鍵で、カードテストパターンの暗号を復号化して、請求金額を額面とする小切手に相当するメッセージ、マイクロ小切手6807,6909を生成し、赤外線通信で、マーチャント端末102（マーチャント端末103、課金装置3555）へ送信する。
【１９９７】
図１１３（ａ）に示すように、マイクロ小切手6807,6909は、メッセージがマイクロ小切手6807,6909であることと、そのデータ構造とを示すヘッダ情報、マイクロ小切手ヘッダ11300と、プリペイドカード決済の処理の順番を示すマイクロ小切手発行番号11301と、暗号を復号化したカードテストパターン11302と、残り合計金額から減算した金額を示す支払金額11303と、カードステイタス11304と、減算後の残り合計金額11305と、課金装置ＩＤ11306と、マーチャントＩＤ11307と、要求番号11308と、トランザクション番号11309と、カードコード11310と、カードＩＤ11311と、このマイクロ小切手6807,6909を発行した日時を示す発行日時11312とから成るデータについて、カード署名プライベート鍵によるデジタル署名と、ユーザのデジタル署名とを行なったものである。
【１９９８】
マイクロ小切手6807,6909を受信したマーチャント端末102（マーチャント端末103、課金装置3555）は、まず、カードテストパターン11221と、マイクロ小切手6807,6909に含まれるカードテストパターン11302とを照合して、電子プリペイドカードの認証を行ない、さらに、マイクロ小切手6807,6909の内容の有効性を検証し、領収書6808,6910を生成して、赤外線通信で、モバイルユーザ端末へ送信する。
【１９９９】
マイクロ小切手6807,6909の有効性の検証では、マーチャント端末102（マーチャント端末103、課金装置3555）は、まず、マイクロ小切手6807,6909が示す支払金額11303が、請求金額に足りていることを検証し、支払オファーが示す残り合計金額11207からマイクロ小切手が示す残り合計金額11305を減算した結果が、マイクロ小切手が示す支払金額11303に等しいことを検証し、マイクロ小切手6807,6909に施された電子プリペイドカードによるデジタル署名をチェックする。
【２０００】
図１１３（ｂ）に示すように、領収書6808,6910は、メッセージが領収書6808,6910であることと、そのデータ構造とを示すヘッダ情報、領収書ヘッダ11314と、販売情報11315と、カードＩＤ11316と、マーチャントが受信したマイクロ小切手の支払金額11303と同じ金額を示す領収合計金額11317と、要求番号11318と、トランザクション番号11319と、マイクロ小切手発行番号11320と、課金装置ＩＤ11321と、マーチャントＩＤ11322と、この領収書6808,6910を発行した日時を示す発行日時11323とから成るデータについて、マーチャントのデジタル署名を行なったものである。
【２００１】
販売情報11315は、プリペイドカード決済による売買の内容を示すテキスト情報であり、売買された商品やサービスの明細書、または、計算書に相当する。
【２００２】
領収書6808,6910を受信したモバイルユーサ端末は、まず、領収合計金額11317が、マイクロ小切手の支払金額11303に等しいことを検証し、マイクロ小切手発行番号をインクリメントし、領収書6808,6910を、利用情報として、利用履歴リスト1715に登録し、ＬＣＤに領収書6808,6910を表示する（領収書表示6810,6911）。
【２００３】
一方、領収書6808,6910を送信したマーチャント端末102（マーチャント端末103、課金装置3555）は、マイクロ小切手6807,6909と領収書6808,6910とを、プリペイドカード決済の処理の履歴情報として、トランザクション履歴リスト2812(3212,3609)に登録する。
【２００４】
この後、マーチャント端末102及びマーチャント端末103の場合は、プリペイドカード決済の処理が終了したことを示すメッセージをＬＣＤに表示し（決済完了表示6809）、マーチャントからユーザに、商品が渡される（商品の引き渡し6811）。また、課金装置3555（自動販売機104）の場合には、商品が取出口703に出力される。
【２００５】
また、モバイルユーザ端末が、支払オファー応答を受信した際、ユーザが指定した支払金額11203が、請求金額11219より大きい場合に、ＬＣＤ303に、ユーザに支払金額を確認するダイアログメッセージを表示し、ユーザが、もう一度、請求金額11219よりも大きい金額の支払を指定した場合には、その指定された金額を、支払金額11303とするマイクロ小切手を発行するようにしてもよい。この場合、支払金額11303と請求金額11219との差額に相当する金額を、マーチャントに対するチップとして支払うことができる。
【２００６】
次に、プリペイドカード照会の処理において、機器間で交換されるメッセージの内容について説明する。
【２００７】
図７２は、プリペイドカード照会の処理における機器間のメッセージ交換の手順を示し、図８８（ａ）（ｂ）（ｃ）（ｄ）、図１１６（ｂ）は、プリペイドカード照会の処理において、機器間で交換するメッセージの内容を示している。
【２００８】
プリペイドカード照会の処理は、特別な処理シーケンスで行なわれるのではなく、サービス提供システムがマーチャント端末102（マーチャント端末103、課金装置3555）の内部データをアップデートするデータアップデート処理の中で行なわれる。
【２００９】
したがって、プリペイドカード照会の処理において、マーチャント端末102（マーチャント端末103、課金装置3555）とサービス提供システムとの間のメッセージ交換の手順、及び、交換されるメッセージの内容（データ構造）は、上記で説明したデータアップデート処理の場合と同じである。
【２０１０】
アップロードデータ5702の圧縮アップロードデータ8818の中には、前回のデータアップデート処理から、今回のデータアップデート処理までに、プリペイドカード決済の処理によって、新たにトランザクション履歴リスト2510に登録されたマイクロ小切手が含まれる。
【２０１１】
マーチャントプロセスは、データアップデート処理の中で、マーチャント端末102（マーチャント端末103、課金装置3555）からアップロードされたマイクロ小切手の照会処理を要求するメッセージを、サービスマネージャプロセスに送り、サービスマネージャプロセスは、サービスディレクタプロセスを生成して、マイクロ小切手の有効性を検証するプロセスグループを生成する。
【２０１２】
サービスディレクタプロセスは、まず、マイクロ小切手の課金装置ＩＤ11306とマーチャントＩＤ11307とが、それぞれ、マーチャントの課金装置ＩＤ5215とマーチャントＩＤ5214とに一致していることを検証し、次に、サービスディレクタ情報サーバ901上の使用登録カードリスト5402を参照して、そのマイクロ小切手を発行した電子プリペイドカードが使用登録されていることを検証し、次に、ユーザ公開鍵5419で、マイクロ小切手のユーザのデジタル署名を検証し、次に、使用登録カード証明書で、マイクロ小切手のプリペイドカードのデジタル署名を検証し、さらに、マイクロ小切手発行番号をもとに、支払金額と残り合計金額との変化の整合性を検証して、その検証結果を示すプリペイドカード照会結果をマーチャントプロセスへ送り、マイクロ小切手をマイクロ小切手リストに登録する。
【２０１３】
マーチャントプロセスは、このプリペイドカード照会結果を、アップデートデータ5705の圧縮アップデートデータ8828の中に入れ、アップデートデータ5705として、マーチャント端末102（マーチャント端末103）へ送信する。
【２０１４】
また、マイクロ小切手の有効性を検証する処理で、エラーが発生した場合には、サービスディレクタプロセスは、検証エラーの発生を示すメッセージを管理システム908へ送る。
【２０１５】
アップデートデータ5705を受信したマーチャント端末102（マーチャント端末103）は、圧縮アップデートデータ8828のデータ圧縮を解凍して、ＲＡＭ及びハードディスクのデータを更新する。この時、プリペイドカード照会結果も、マーチャント端末102（マーチャント端末103）の照会結果リスト2813(3213)に登録される。
【２０１６】
また、マーチャントとプリペイドカード発行者の事業主体とが異なり、プリペイドカードを取扱ったマーチャントに対して、プリペイドカード発行者から支払が発生する場合、または、定期的にプリペイドカードの使用状況を、プリペイドカード発行者に通知する契約になっている場合、サービスディレクタプロセスは、定期的に、マイクロ小切手リストに、新たに登録されたマイクロ小切手をもとに、プリペイドカード発行者にプリペイドカードの使用状況を通知するメッセージ、使用状況通知11616を生成する。そして、プリペイドカード発行者プロセスが、これをプリペイドカード発行者宛に封書化して、使用状況通知7200として、プリペイドカード発行システム108へ送信する。
【２０１７】
図１１６（ｂ）に示すように、使用状況通知7200は、メッセージが使用状況通知7200であることと、そのデータ構造とを示すヘッダ情報、使用状況通知ヘッダ11610と、使用されたプリペイドカードのカードＩＤと支払金額のリスト11611と、プリペイドカードを取扱ったマーチャントのマーチャント名11612及びマーチャントＩＤ11613と、サービス提供者ＩＤ11614と、この使用状況通知7200を発行した日時を示す発行日時11615とから成るデータについて、サービス提供者のデジタル署名を行ない、プリペイドカード発行者宛に封書化したものである。
【２０１８】
使用状況通知7200を受信したプリペイドカード発行システム108は、暗号を復号化し、デジタル署名をチェックして、マーチャントへの支払等の処理を行なう。
【２０１９】
次に、プリペイドカード譲渡の処理において、機器間で交換されるメッセージの内容について説明する。
【２０２０】
図７５は、プリペイドカード譲渡の処理における機器間のメッセージ交換の手順を示し、図１２０（ａ）（ｂ）、図１２１（ａ）（ｂ）、図１２２（ａ）（ｂ）は、プリペイドカード譲渡の処理において、機器間で交換するメッセージの内容を示している。
【２０２１】
プリペイドカード譲渡の処理は、電子プリペイドカードのカードステイタス2007が、譲渡可能である場合に行なうことができ、この譲渡の可否は、プリペイドカード発行時に、プリペイドカード発行者によって指定される。
【２０２２】
図７５は、ユーザＡからユーザＢに電子プリペイドカードを譲渡する場合にいて示しており、ユーザＡとユーザＢとの間の通信を、赤外線通信で行なう場合も、デジタル無線通信で行なう場合も、機器間のメッセージ交換の手順は同じであり、交換するメッセージのデータ構造も同じである。
【２０２３】
図７５において、まず、ユーザＡが、プリペイドカード譲渡操作7500を行なうと、ユーザＡのモバイルユーザ端末は、電子プリペイドカードの譲渡を申出るメッセージ、カード譲渡オファー7501を、ユーザＢのモバイルユーザ端末へ送信する。この時、ユーザＡ及びユーザＢのモバイルユーザ端末が通話状態であった場合、ユーザＡ及びユーザＢのモバイルユーザ端末間の通信は、デジタル無線電話通信で行なわれ、そうでない場合には、赤外線通信で行なわれる。
【２０２４】
図１２０（ａ）に示すように、カード譲渡オファー7501は、メッセージがカード譲渡オファー7501であることと、そのデータ構造とを示すヘッダ情報、カード譲渡オファーヘッダ12000と、プリペイドカード譲渡の処理をユニークに示す番号として任意に生成した譲渡オファー番号12001と、譲渡する電子プリペイドカードの提示カード12002及びカード証明書12003と、カードステイタス12004と、残り合計金額12005と、カードＩＤ12006と、このカード譲渡オファー7501の発行日時12007と、ユーザ公開鍵証明書12009とから成るデータについて、ユーザＡのデジタル署名を行なったものであり、カードステイタス12004、残り合計金額12005、カードＩＤ12006及び発行日時12007には、さらに、電子プリペイドカードのカード署名プライベート鍵によるデジタル署名が施されている。
【２０２５】
ユーザ公開鍵証明書12009は、ユーザＡのユーザ公開鍵証明書であり、ユーザ公開鍵証明書ヘッダ12010と、ユーザＡのユーザ公開鍵12011と、公開鍵証明書のＩＤ情報、公開鍵証明書ＩＤ12012と、証明書有効期間12013と、サービス提供者ＩＤ12014と、証明書発行日時12015とから成るデータについて、サービス提供者のデジタル署名を施したものである。
【２０２６】
カード譲渡オファー7501を受信したユーザＢのモバイルユーザ端末は、まず、提示カード12002、カード証明書12003、並びにユーザ公開鍵証明書12009のサービス提供者によるデジタル署名及び有効期間をチェックし、次に、カードステイタス12004、残り合計金額12005、カードＩＤ12006及び発行日時12007に施された電子プリペイドカードのデジタル署名、並びにカード譲渡オファー7501のユーザＡによるデジタル署名をチェックして、カード譲渡オファー7501の内容を検証し、提示カード12002、カードステイタス12004、及び残り合計金額12005から、譲渡される電子プリペイドカードの内容をＬＣＤに表示する（譲渡オファー表示7502）。
【２０２７】
次に、ユーザＢが、譲渡オファー受諾操作7503を行なうと、ユーザＢのモバイルユーザ端末は、カード譲渡オファー7501に対する応答メッセージ、カード譲渡オファー応答7504を、ユーザＡのモバイルユーザ端末へ送信する。
【２０２８】
図１２０（ｂ）に示すように、カード譲渡オファー応答7504は、メッセージがカード譲渡オファー応答7504であることと、そのデータ構造とを示すヘッダ情報、カード譲渡オファー応答ヘッダ12016と、受諾番号12017と、譲渡オファー番号12018と、カードＩＤ12019と、このカード譲渡オファー応答7504の発行日時12020と、ユーザ公開鍵証明書12021とから成るデータについて、ユーザＢのデジタル署名を行なったものである。
【２０２９】
ユーザ公開鍵証明書12021は、ユーザＢのユーザ公開鍵証明書であり、ユーザ公開鍵証明書ヘッダ12022と、ユーザＢのユーザ公開鍵12023と、公開鍵証明書のＩＤ情報、公開鍵証明書ＩＤ12024と、証明書有効期間12025と、サービス提供者ＩＤ12026と、証明書発行日時12027とから成るデータについて、サービス提供者のデジタル署名を施したものである。
【２０３０】
受諾番号12017は、ユーザＢのモバイルユーザ端末が、このプリペイドカード譲渡の処理をユニークに示す番号として任意に生成した番号であり、この番号によって、ユーザＢがカード譲渡オファー7501を受諾したか否かがユーザＡのモバイルユーザ端末に示される。ユーザＢが、カード譲渡オファー7501を受諾しなかった場合、受諾番号12017にはゼロが設定され、受諾した場合には、ゼロ以外の値が設定される。
【２０３１】
カード譲渡オファー応答7504を受信したユーザＡのモバイルユーザ端末は、カード譲渡オファー応答7504の内容をＬＣＤに表示し（譲渡オファー応答表示7505）、カード譲渡オファー7501が受諾された場合に（受諾番号12017≠０）、ユーザ公開鍵証明書12021のサービス提供者によるデジタル署名と有効期間とをチェックし、電子プリペイドカードのユーザＢへの譲渡証に相当するメッセージ、カード譲渡証明書7506を生成して、ユーザＢのモバイルユーザ端末へ送信する。
【２０３２】
図１２１（ａ）に示すように、カード譲渡証明書7506は、メッセージがカード譲渡証明書7506であることと、そのデータ構造とを示すヘッダ情報、カード譲渡証明書ヘッダ12100と、譲渡する電子プリペイドカードの提示カード12101と、カードステイタス12102と、残り合計金額12103と、譲渡オファー番号12104と、受諾番号12105と、ユーザＢのユーザ公開鍵証明書の公開鍵証明書ＩＤ12106と、ユーザＡのユーザ公開鍵証明書の公開鍵証明書ＩＤ12107と、カードＩＤ12108と、このカード譲渡証明書7506の発行日時12109とから成るデータについて、電子プリペイドカードのデジタル署名と、ユーザＡのデジタル署名を行ない、ユーザＢ宛に封書化したものである。
【２０３３】
カード譲渡証明書7506を受信したユーザＢのモバイルユーザ端末は、暗号を復号化し、ユーザＡと電子プリペイドカードのデジタル署名をチェックし、カード譲渡オファー7501で提示されたカードＩＤと、カードＩＤ12108とを照合し、さらに、公開鍵証明書ＩＤ12106及び公開鍵証明書ＩＤ12107を、それぞれ、ユーザＢ及びユーザＡのユーザ公開鍵証明書の公開鍵証明書ＩＤと照合して、カード譲渡証明書7506の内容を検証し、電子プリペイドカードを譲渡されたことを示すメッセージ、カード受取証7507を生成して、ユーザＡのモバイルユーザ端末へ送信する。
【２０３４】
図１２１（ｂ）に示すように、カード受取証7507は、メッセージがカード受取証7507であることと、そのデータ構造とを示すヘッダ情報、カード受取証ヘッダ12115と、カードＩＤ12116と、譲渡オファー番号12117と、受諾番号12118と、ユーザＡのユーザ公開鍵証明書の公開鍵証明書ＩＤ12119と、ユーザＢのユーザ公開鍵証明書の公開鍵証明書ＩＤ12120と、このカード受取証7507の発行日時12121とから成るデータについて、ユーザＢのデジタル署名を行ない、ユーザＡ宛に封書化したものである。
【２０３５】
カード受取証7507を受信したユーザＡのモバイルユーザ端末は、まず、暗号を復号化し、ユーザＢのデジタル署名をチェックし、公開鍵証明書ＩＤ12119及び公開鍵証明書ＩＤ12120を、それぞれ、ユーザＡ及びユーザＢのユーザ公開鍵証明書の公開鍵証明書ＩＤと照合して、カード受取証7507の有効性を検証し、譲渡した電子プリペイドカードを、プリペイドカードリスト1713から消去して、カード受取証12122を、利用履歴リスト715に登録する。この時、利用履歴リスト1715の要求番号1840、サービスコード1841、利用時刻1842、及び利用情報アドレス1843には、それぞれ、譲渡オファー番号、プリペイドカード譲渡の処理を示すコード情報、カード受取証7507の発行日時12121、及びカード受取証12122が格納されている実体データ領域上のアドレスを設定する。
【２０３６】
そして、ユーザＡのモバイルユーザ端末は、譲渡処理の完了を示すメッセージを、ＬＣＤに表示して（譲渡完了表示7508）、ユーザＡ（贈り手）のモバイルユーザ端末における処理を終了する。
【２０３７】
一方、カード受取証7507を送信したユーザＢのモバイルユーザ端末は、受信したカード譲渡証明書12111をＬＣＤに表示し、さらに、サービス提供サーバとの間の譲渡処理（譲渡された電子プリペイドカードを、サービス提供システムからダウンロードする処理）を、今すぐ実行するか否かを尋ねるダイアログメッセージを表示する（譲渡証明書の表示7509）。
【２０３８】
このダイアログメッセージには、“譲渡処理要求”と“キャンセル”の２つの操作メニューがあり、“キャンセル”を選択すると、サービス提供サーバとの間の譲渡処理はキャンセルされ、サービス提供システムがモバイルユーザ端末の内部データをアップデートする処理（データアップデートの処理）の際に、アップデートデータの一部として、譲渡された電子プリペイドカードが、モバイルユーザ端末に設定される。
【２０３９】
また、ユーザＢが、“譲渡処理要求”を選択すると（譲渡処理要求操作7510）、モバイルユーザ端末は、カード譲渡証明書12111を基に、サービス提供サーバとの間の譲渡処理を要求するメッセージ、カード譲渡処理要求7511を生成し、デジタル無線電話通信で、サービス提供システムに送信する。
【２０４０】
図１２２（ａ）に示すように、カード譲渡処理要求7511は、メッセージがカード譲渡処理要求7511であることと、そのデータ構造とを示すヘッダ情報、カード譲渡処理要求ヘッダ12200と、暗号を復号化したカード譲渡証明書12201(12111)と、ユーザＢのユーザＩＤ12202と、このカード譲渡処理要求7511の発行日時12203とから成るデータについて、ユーザＢのデジタル署名を行ない、サービス提供者宛に封書化したものである。
【２０４１】
サービス提供システム110のユーザＢのユーザプロセスは、カード譲渡処理要求7511を受信し、暗号を復号化し、デジタル署名をチェックして、サービスマネージャプロセスへ送る。サービスマネージャプロセスは、サービスディレクタプロセスを生成して、カード譲渡処理要求12204を処理するプロセスグループを生成する。
【２０４２】
サービスディレクタプロセスは、まず、ユーザリスト5200を参照し、カード譲渡処理要求12204に含まれるカード譲渡証明書12201の公開鍵証明書ＩＤ12106及び公開鍵証明書ＩＤ12107から、譲渡処理の受取手（ユーザＢ）と贈り手（ユーザＡ）とを特定し、カード譲渡証明書12201に施されたユーザＡ及び電子プリペイドカードのデジタル署名をチェックして、カード譲渡証明書12201の有効性を検証する。次に、サービスディレクタプロセスは、ユーザ情報サーバ902上のユーザＡのプリペイドカードリスト4611から、譲渡される電子プリペイドカードを消去する。次に、サービスディレクタプロセスは、カード署名プライベート鍵及びカード署名公開鍵の鍵対とカード証明書とを、新たに生成した鍵対とカード証明書とに変更し、カードステイタスと残り合計金額とを、カード譲渡証明書12201が示すカードステイタス12102と残り合計金額12103とに変更して、ユーザＡから譲渡された電子プリペイドカード生成し、これをユーザＢのプリペイドカードリスト4611に登録する。
【２０４３】
譲渡される電子プリペイドカードが使用登録されている場合には、サービスディレクタプロセスは、さらに、その電子プリペイドカードの使用登録カードリスト5402を更新する。具体的には、使用登録カードリスト5402のユーザＩＤ5418、ユーザ公開鍵5419、使用登録カード証明書アドレス5420、マイクロ小切手リストアドレス5421、及び前ユーザ情報アドレス5422を（ユーザＢの情報に）更新し、更新前のその部分の情報（ユーザＡの情報）を、前ユーザ情報5423として、前ユーザ情報アドレス5422によってポインティングする。
【２０４４】
そして、サービスディレクタプロセスは、ユーザＡから譲渡された電子プリペイドカードを含むメッセージ、プリペイドカード譲渡12215を生成し、ユーザＢのユーザプロセスが、これをユーザＢ宛に封書化し、プリペイドカード譲渡7512として、デジタル無線電話通信でユーザＢのモバイルユーザ端末へ送信する。
【２０４５】
図１２２（ｂ）に示すように、プリペイドカード譲渡7512は、メッセージがプリペイドカード譲渡7512であることと、そのデータ構造とを示すヘッダ情報、プリペイドカード譲渡ヘッダ12208と、サービス提供システムにおける譲渡処理を示す番号として任意に生成した譲渡処理番号12209と、譲渡処理情報12210と、受諾番号12211と、譲渡された電子プリペイドカード12212と、サービス提供者ＩＤ12213と、このプリペイドカード譲渡7512の発行日時12214とから成るデータについて、サービス提供者のデジタル署名を行ない、ユーザＢ宛に封書化したものである。
【２０４６】
譲渡処理情報12210は、サービス提供システムにおける電子プリペイドカードの譲渡処理に関する情報であり、サービス提供者のデジタル署名が施されている。
【２０４７】
プリペイドカード譲渡7512を受信したユーザＢのモバイルユーザ端末は、暗号を復号化し、デジタル署名をチェックして電子プリペイドカード12212をプリペイドカードリスト1713に登録し、電子プリペイドカードをＬＣＤに表示して（電子プリペイドカードの表示7513）、プリペイドカード譲渡の処理を終了する。
【２０４８】
次に、電子プリペイドカードインストールの処理において、機器間で交換されるメッセージの内容について説明する。
【２０４９】
図７８は、電子プリペイドカードインストールの処理における機器間のメッセージ交換の手順を示し、図１２５（ａ）（ｂ）、図１２６（ａ）（ｂ）は、電子プリペイドカードインストールの処理において、機器間で交換するメッセージの内容を示している。
【２０５０】
まず、ユーザが、電子プリペイドカードのインストール操作7800を行なうと、モバイルユーザ端末は、電子プリペイドカードインストール要求7801を生成し、デジタル無線電話通信で、サービス提供システム110へ送信する。
【２０５１】
図１２５（ａ）に示すように、電子プリペイドカードインストール要求7801は、メッセージが電子プリペイドカードインストール要求7801であることと、そのデータ構造とを示すヘッダ情報、電子プリペイドカードインストール要求ヘッダ12500と、ユーザが入力したインストールカード番号12501及びインストール番号12502と、この電子プリペイドカードインストールの処理をユニークに示す番号として任意に生成した要求番号12503と、ユーザＩＤ12504と、この電子プリペイドカードインストール要求7801の発行日時12505とから成るデータについて、ユーザのデジタル署名を行ない、サービス提供者宛に封書化したものである。
【２０５２】
サービス提供システム110のユーザプロセスは、電子プリペイドカードインストール要求7801を受信し、暗号を復号化し、デジタル署名をチェックして、サービスマネージャプロセスへ送る。サービスマネージャプロセスは、サービスディレクタプロセスを生成して、電子プリペイドカードインストール要求12506を処理するプロセスグループを生成する。
【２０５３】
サービスディレクタプロセスは、まず、プリペイドカード発行者リスト5204のインストールカードリストアドレス5236によって示されるインストールカードリストを参照し、インストールカード番号12501が示すプリペイドカードを発行するプリペイドカード発行者を特定し、そのプリペイドカード発行システムに対して、インストールカードによるプリペイドカードの発行を要求するメッセージ、プリペイドカードインストール要求12517を生成し、プリペイドカード発行者プロセスが、これをプリペイドカード発行者宛に封書化し、プリペイドカードインストール要求7802として、プリペイドカード発行システム108へ送信する。
【２０５４】
図１２５（ｂ）に示すように、プリペイドカードインストール要求7802は、メッセージがプリペイドカードインストール要求7802であることと、そのデータ構造とを示すヘッダ情報、プリペイドカードインストール要求ヘッダ12510と、インストールカード番号12511と、インストール番号12512と、要求番号12513と、プリペイドカード発行者に対してユーザをユニークに示す顧客番号12514と、サービス提供者ＩＤ12515と、このプリペイドカードインストール要求7802の発行日時12516とから成るデータについて、サービス提供者のデジタル署名を行ない、プリペイドカード発行者宛に封書化したものである。
【２０５５】
プリペイドカード発行システム108は、プリペイドカードインストール要求7802を受信し、暗号を復号化し、デジタル署名をチェックする。そして、プリペイドカード発行サーバ1200が、プリペイドカードインストール要求7802に含まれるインストールカード番号12511及びインストール番号12512を、プリペイドカード発行情報サーバ1202の発行済み電子プリペイドカードインストールカードの管理情報と照合し、さらに、顧客情報サーバ1201、プリペイドカード発行情報サーバ1202及びプリペイドカード情報サーバ1203のデータを更新して、要求されたプリペイドカードのプリペイドカードデータ(12606)を生成し、サービス提供システムへ、そのプリペイドカードに対応する電子プリペイドカードのインストール処理を依頼するメッセージ、電子プリペイドカードインストール依頼7803を送信する。
【２０５６】
図１２６（ａ）に示すように、電子プリペイドカードインストール依頼7803は、メッセージが電子プリペイドカードインストール依頼7803であることと、そのデータ構造とを示すヘッダ情報、電子プリペイドカードインストール依頼ヘッダ12600と、ユーザとの取引をユニークに示す番号として任意に生成したトランザクション番号12601と、プリペイドカード発行情報12602と、要求番号12603と、発行する電子プリペイドカードの種類を示すカードコード12604と、発行する電子プリペイドカードのテンプレートプログラムを示すテンプレートコード12605と、プリペイドカードデータ12606と、表示部品情報12607と、プリペイドカード発行者ＩＤ12608と、この電子プリペイドカードインストール依頼7803を発行した日時を示す発行日時12609とから成るデータについて、プリペイドカード発行者のデジタル署名を行ない、サービス提供者宛に封書化したものである。
【２０５７】
プリペイドカード発行情報12602は、プリペイドカード発行システムにおけるプリペイドカード発行処理に関する情報であり、プリペイドカード発行者のデジタル署名が施されている。
【２０５８】
プリペイドカードデータ12606は、プリペイドカード発行者が発行するプリペイドカード情報であり、カードＩＤ12614と、プリペイドカード情報12615と、プリペイドカード発行者ＩＤ12616とからなるデータについて、プリペイドカード発行者のデジタル署名を行なったものである。
【２０５９】
サービス提供システムのプリペイドカード発行者プロセスは、電子プリペイドカードインストール依頼7803を受信し、暗号を復号化し、デジタル署名をチェックして、サービスディレクタプロセスへ送る。サービスディレクタプロセスは、電子プリペイドカードインストール依頼12610にもとづいて、プリペイドカード購入の処理の場合と同様の手順で、ユーザに発行する電子プリペイドカードを生成し、さらに、それをモバイルユーザ端末にインストールするメッセージ、電子プリペイドカードインストール12625を生成する。ユーザプロセスは、電子プリペイドカードインストール12625をユーザ宛に封書化し、電子プリペイドカードインストール7804として、デジタル無線電話通信で、モバイルユーザ端末へ送信する。
【２０６０】
図１２６（ｂ）に示すように、電子プリペイドカードインストール7804は、メッセージが電子プリペイドカードインストール7804であることと、そのデータ構造とを示すヘッダ情報、電子プリペイドカードインストールヘッダ12617と、トランザクション番号12618と、プリペイドカード発行システムにおけるプリペイドカード発行処理に関する情報、プリペイドカード発行情報12619と、サービス提供システムにおけるプリペイドカード発行処理に関する情報、プリペイドカード発行情報12620と、要求番号12621と、生成された電子プリペイドカードデータ12622と、サービス提供者ＩＤ12623と、この電子プリペイドカードインストール7804を発行した日時を示す発行日時12624とから成るデータについて、サービス提供者のデジタル署名を行ない、ユーザ宛に封書化したものである。プリペイドカード発行情報12619及びプリペイドカード発行情報12620には、それぞれ、プリペイドカード発行者とサービス提供者とのデジタル署名が施されている。
【２０６１】
電子プリペイドカードインストール7804を受信したモバイルユーザ端末は、暗号を復号化し、デジタル署名をチェックし、電子プリペイドカードインストール7804に含まれる電子プリペイドカードを、プリペイドカードリスト1713に登録し、ＬＣＤ303にインストールした電子プリペイドカードを表示する（電子プリペイドカードの表示7805）。
【２０６２】
次に、電子テレホンカードサービスの各種の処理において、機器間で交換されるメッセージの内容について説明する。
【２０６３】
まず、テレホンカード購入の処理において、機器間で交換されるメッセージの内容について説明する。
【２０６４】
図６３は、テレホンカード購入の処理における機器間のメッセージ交換の手順を示し、図１０１（ａ）（ｂ）、図１０２（ａ）（ｂ）、図１０３（ａ）（ｂ）、図１０４（ａ）（ｂ）、図１０５（ａ）（ｂ）は、テレホンカード購入の処理において、機器間で交換するメッセージの内容を示している。
【２０６５】
まず、ユーザが、テレホンカード購入申込操作6300を行なうと、モバイルユーザ端末は、デジタル無線電話通信で、テレホンカード購入申込6301を、サービス提供システムへ送信する。
【２０６６】
図１０１（ａ）に示すように、テレホンカード購入申込6301は、メッセージがテレホンカード購入申込6301であることと、そのデータ構造とを示すヘッダ情報、テレホンカード購入申込ヘッダ10100と、ユーザが要求するサービスの種類を示すサービスコード10101と、ユーザが入力したテレホンカードのオーダーコードを示すカードオーダーコード10102と、ユーザが入力した購入枚数10103と、ユーザが指定したクレジットカードを示す支払サービスコード10104と、支払金額10105と、ユーザが指定した支払回数等の支払オプションを示す支払オプションコード10106と、このテレホンカード購入の処理をユニークに示す番号として任意に生成した要求番号10107と、このテレホンカード購入申込6301の有効期間10108と、ユーザＩＤ10109と、このテレホンカード購入申込6301を発行した日時を示す発行日時10110とから成るデータについて、ユーザのデジタル署名を行ない、サービス提供者宛に封書化したものである。サービスコード8901は、ユーサが選択したテレホンカード発行者へのテレホンカード購入申込を示す。
【２０６７】
サービス提供システム110のユーザプロセスは、テレホンカード購入申込6301を受信し、暗号を復号化し、デジタル署名をチェックして、サービスマネージャプロセスへ送る。サービスマネージャプロセスは、サービスディレクタプロセスを生成して、テレホンカード購入申込10111を処理するプロセスグループを生成する。サービスディレクタプロセスは、テレホンカード発行者リスト5205を参照し、サービスコード10101が示すテレホンカード発行者に対して、テレホンカード購入申込10126を生成し、テレホンカード発行者プロセスが、これをテレホンカード発行者宛に封書化し、テレホンカード購入申込6302として、テレホンカード発行システム109へ送信する。
【２０６８】
図１０１（ｂ）に示すように、テレホンカード購入申込6302は、メッセージがテレホンカード購入申込6302であることと、そのデータ構造とを示すヘッダ情報、テレホンカード購入申込ヘッダ10115と、カードオーダーコード10116と、購入枚数10117と、支払サービスコード10118と、支払金額10119と、支払オプションコード10120と、要求番号10121と、テレホンカード発行者に対してユーザをユニークに示す顧客番号10122と、テレホンカード購入申込6302の有効期間10123と、サービス提供者ＩＤ10124と、このテレホンカード購入申込6302を発行した日時を示す発行日時10125とから成るデータについて、サービス提供者のデジタル署名を行ない、テレホンカード発行者宛に封書化したものである。
【２０６９】
顧客番号10122には、ユーザとテレホンカード発行者との間で、以前に取引があった場合には、そのテレホンカード発行者の顧客テーブルに登録されている顧客番号が設定され、初めての取引の場合には、サービスディレクタプロセスは、テレホンカード発行者に対してユーザをユニークに示す番号を生成して、顧客番号10122に設定し、さらに、その番号を顧客テーブルに登録する。顧客テーブルは、テレホンカード発行者リスト5205の顧客テーブルアドレス5244によって示される。
【２０７０】
テレホンカード発行システム109は、テレホンカード購入申込6302を受信し、暗号を復号化し、デジタル署名をチェックする。そして、テレホンカード発行サーバ1300が、顧客情報サーバ1301、テレホンカード発行情報サーバ1302及びテレホンカード情報サーバ1303のデータを更新して、申込まれたテレホンカードのテレホンカードデータ(10219)を生成し、サービス提供システムへ、そのテレホンカードに対応する電子テレホンカードの発行処理とテレホンカード代金の決済処理とを依頼するメッセージ、電子テレホンカード発行依頼6303を送信する。
【２０７１】
図１０２（ａ）に示すように、電子テレホンカード発行依頼6303は、メッセージが電子テレホンカード発行依頼6303であることと、そのデータ構造とを示すヘッダ情報、電子テレホンカード発行依頼ヘッダ10200と、ユーザとの取引をユニークに示す番号として任意に生成したトランザクション番号10201と、テレホンカードの代金を示す請求金額10202と、決済処理の手順を示す決済処理オプション10203と、要求番号10204と、発行する電子テレホンカードの種類を示すカードコード10205と、発行する電子テレホンカードのテンプレートプログラムを示すテンプレートコード10206と、発行するテレホンカードの枚数を示すカード数10207と、テレホンカードデータ10208と、表示部品情報10209と、テレホンカード発行者ＩＤ10210と、この電子テレホンカード発行依頼6303を発行した日時を示す発行日時10211とから成るデータについて、テレホンカード発行者のデジタル署名を行ない、サービス提供者宛に封書化したものである。
【２０７２】
決済処理オプション10203は、テレホンカード発行システムが、サービス提供システムに対して、テレホンカード代金の決済処理の手順を指定する情報である。決済処理の手順には、大きく分けて、テレホンカード代金の決済処理を完了してから、ユーザに電子テレホンカードを発行する即時決済と、電子テレホンカードを発行してから、後で、テレホンカード代金の決済処理をするディレイド決済があり、決済処理オプション10203によって、どの手順で決済処理を行なうかが指定される。
【２０７３】
ディレイド決済の場合、決済処理を行なう前に、ユーザに電子テレホンカードが発行されるので、その分、ユーザは待たされないで済む。
【２０７４】
例えば、テレホンカード発行者は、顧客の購入履歴をもとに、以前から取引があり、信用できる顧客に対しては、ディレイド決済を指定し、初めて取引する顧客に対しては、即時決済を指定するといった使い分けをすることができる。
【２０７５】
テレホンカードデータ10208は、テレホンカード発行者が発行するテレホンカード情報であり、カード数10207が示す数のテレホンカード情報が、テレホンカードデータ10208として設定される。テレホンカード情報は、１つのテレホンカードに関して、カードＩＤ10216と、カード情報10217と、テレホンカード発行者ＩＤ10218とからなるデータについて、テレホンカード発行者のデジタル署名を行なったものである。カード情報10217は、テレホンカードの内容を示すＡＳＣＩＩ情報であり、テレホンカードの名称や、発行時の額面や、使用条件、発行者、さらには、電子テレホンカードの譲渡の可否等の情報が、それぞれの情報の種類を示すタグ情報を付加した形式で記述されている。
【２０７６】
表示部品情報10209は、生成される電子テレホンカードの表示部品情報2132として設定される情報であり、オプションで設定される。したがって、表示部品情報10209は、設定されない場合もある。
【２０７７】
サービス提供システムのテレホンカード発行者プロセスは、電子テレホンカード発行依頼6303を受信し、暗号を復号化し、デジタル署名をチェックして、サービスディレクタプロセスへ送る。サービスディレクタプロセスは、決済処理オプション10203によって指定される決済処理の手順にしたがって、電子テレホンカードの発行処理とテレホンカード代金の決済処理を行なう。
【２０７８】
図６３は、即時決済の場合の手順を示しており、ディレイド決済の場合の手順については後で説明する。
【２０７９】
即時決済の場合、サービスディレクタプロセスは、テレホンカード代金の決済処理を要求するメッセージ、決済要求10324を生成し、決済処理機関プロセスが、これを決済処理機関宛に封書化し、決済要求6304として、決済処理システム106へ送信する。
【２０８０】
図１０３（ｂ）に示すように、決済要求6304は、メッセージが決済要求6304であることと、そのデータ構造とを示すヘッダ情報、決済要求ヘッダ10314と、ユーザが指定した支払サービスコードに対応するクレジットカードを示すユーザ決済口座10315と、テレホンカード発行者の決済口座を示すテレホンカード発行者決済口座10316と、支払金額10317と、支払オプションコード10318と、モバイルユーザ端末100が発行した要求番号10319と、テレホンカード発行システムが発行したトランザクション番号10320と、この決済要求6304の有効期間を示す有効期間10321と、サービス提供者ＩＤ10322と、この決済要求6304を発行した日時を示す発行日時10323とから成るデータについて、サービス提供者のデジタル署名を行ない、決済処理機関宛に封書化したものである。
【２０８１】
決済処理システム106は、決済要求6304を受信し、暗号を復号化し、デジタル署名をチェックして、決済処理を行なう。そして、決済完了通知6305を生成し、サービス提供システム110に送信する。
【２０８２】
図１０４（ａ）に示すように、決済完了通知6305は、メッセージが決済完了通知6305であることと、そのデータ構造とを示すヘッダ情報、決済完了通知ヘッダ10400と、決済処理システム106の決済処理をユニークに示す番号として任意に生成した決済番号10401と、ユーザ決済口座10402と、テレホンカード発行者決済口座10403と、支払金額10404と、支払オプションコード10405と、要求番号10406と、トランザクション番号10407と、決済処理機関のデジタル署名をしたサービス提供者向け決済情報10408と、決済処理機関のデジタル署名をしたテレホンカード発行者向け決済情報10409と、決済処理機関のデジタル署名をしたユーザ向け決済情報10410と、決済処理機関ＩＤ10411と、この決済完了通知を発行した日時を示す発行日時10412とから成るデータについて、決済処理機関のデジタル署名を行ない、サービス提供者宛に封書化したものである。
【２０８３】
サービス提供システム110の決済処理機関プロセスは、決済完了通知6305を受信し、暗号を復号化し、デジタル署名をチェックして、決済完了通知10413をサービスディレクタプロセスに送る。サービスディレクタプロセスは、決済完了通知10413から、テレホンカード発行者に対する決済完了通知10430を生成し、テレホンカード発行者プロセスが、これをテレホンカード発行者宛に封書化し、テレホンカード発行者に対する決済完了通知6306として、テレホンカード発行システム109へ送信する。
【２０８４】
図１０４（ｂ）に示すように、決済完了通知6306は、メッセージが決済完了通知6306であることと、そのデータ構造とを示すヘッダ情報、決済完了通知ヘッダ10417と、決済番号10418と、顧客番号10419と、テレホンカード発行者ＩＤ10420と、支払サービスコード10421と、支払金額10422と、支払オプションコード10423と、要求番号10424と、トランザクション番号10425と、決済処理機関のデジタル署名が施されたテレホンカード発行者向け決済情報10426と、決済処理機関ＩＤ10427と、サービス提供者ＩＤ10428と、この決済完了通知を発行した日時を示す発行日時10429とから成るデータについて、サービス提供者のデジタル署名を行ない、テレホンカード発行者宛に封書化したものである。
【２０８５】
テレホンカード発行システムは、決済完了通知6306を受信し、暗号を復号化し、デジタル署名をチェックして、領収書6307を生成して、サービス提供システムへ送信する。
【２０８６】
図１０５（ａ）に示すように、領収書6307は、メッセージが、領収書6307であることと、そのデータ構造とを示すヘッダ情報、領収書ヘッダ10500と、顧客番号10501と、テレホンカード発行情報10502と、支払サービスコード10503と、支払金額10504と、支払オプションコード10505と、要求番号10506と、トランザクション番号10507と、決済番号10508と、決済処理機関ＩＤ10509と、テレホンカード発行者ＩＤ10510と、この領収書6307を発行した日時を示す発行日時10511とから成るデータについて、テレホンカード発行者のデジタル署名を行ない、サービス提供者宛に封書化したものである。テレホンカード発行情報10502は、テレホンカード発行システムにおけるテレホンカード発行処理に関する情報であり、テレホンカード発行者のデジタル署名が施されている。
【２０８７】
サービス提供システム110のテレホンカード発行者プロセスは、領収書6307を受信し、暗号を復号化し、デジタル署名をチェックして、領収書10512をサービスディレクタプロセスに送る。サービスディレクタプロセスは、領収書10512から、ユーザに対する領収書10523を生成する。
【２０８８】
サービスディレクタプロセスは、一方で、テレホンカード発行システムへ決済完了通知10430を生成した後、ユーザに発行する電子テレホンカードを生成し、さらに、生成した電子テレホンカードを含むメッセージ、電子テレホンカード発行10227を生成する。
【２０８９】
ユーザプロセスは、電子テレホンカード発行10227と、領収書10523とを、それぞれ、ユーザ宛に封書化して、電子テレホンカード発行6308と領収書6309として、デジタル無線電話通信で、モバイルユーザ端末100へ送信する。
【２０９０】
図１０２（ｂ）に示すように、電子テレホンカード発行6308は、メッセージが電子テレホンカード発行6308であることと、そのデータ構造とを示すヘッダ情報、電子テレホンカード発行ヘッダ10220と、トランザクション番号10221と、要求番号10222と、カード数10223と、生成された電子テレホンカードデータ10224と、サービス提供者ＩＤ10225と、この電子テレホンカード発行6308を発行した日時を示す発行日時10226とから成るデータについて、サービス提供者のデジタル署名を行ない、ユーザ宛に封書化したものである。電子テレホンカードデータ10224には、カード数10223が示す数の電子テレホンカード10231が含まれる。
【２０９１】
また、図１０５（ｂ）に示すように、領収書6309は、メッセージが領収書6309であることと、そのデータ構造とを示すヘッダ情報、領収書ヘッダ10516と、ユーザＩＤ10517と、暗号を復号化した領収書10518(10512)と、決済処理機関のデジタル署名が施されたユーザ向け決済情報10519と、テレホンカード発行情報10520と、サービス提供者ＩＤ10521と、この領収書6309を発行した日時を示す発行日時10522とから成るデータについて、サービス提供者のデジタル署名を行ない、ユーザ宛に封書化したものである。テレホンカード発行情報10520は、サービス提供システムにおける電子テレホンカードの発行処理に関する情報であり、サービス提供者のデジタル署名が施されている。
【２０９２】
電子テレホンカード発行6308と領収書6309とを受信したモバイルユーザ端末は、それぞれ、暗号を復号化し、デジタル署名をチェックし、電子テレホンカード発行6308に含まれる電子テレホンカードを、テレホンカードリスト1714に登録し、さらに、領収書10523を利用履歴リスト1715に登録して、ＬＣＰ303に電子テレホンカードを表示する。
【２０９３】
また、サービスディレクタプロセスによる電子テレホンカードの生成は、次の手順で行なわれる。
【２０９４】
まず、サービスディレクタプロセスは、テレホンカード発行者情報サーバ上のテレホンカード発行者の電子テレホンカードテンプレートリスト5105を参照し、電子テレホンカード発行依頼6303のテンプレートコード10206が示す電子テレホンカードのテンプレートプログラムをもとに、電子テレホンカードのテレホンカードプログラムデータ2113を生成する。具体的には、電子テレホンカードテンプレートリスト5105のトランザクションモジュールアドレス5119及び表示モジュールアドレス5120がそれぞれ示すトランザクションモジュール及び表示モジュールと、電子テレホンカード発行依頼6303の表示部品情報10209とから、電子テレホンカードのテレホンカードプログラムデータ2113を生成する。この時、電子テレホンカード発行依頼6303の表示部品情報10209が設定されていない場合には、デフォルト表示部品情報アドレス5121が示すデフォルト表示部品情報が、電子テレホンカードの表示部品情報として用いられる。
【２０９５】
次に、サービスディレクタプロセスは、カード情報10217の中のテレホンカード情報をもとに、カードステイタス2107と、残り合計金額2108とを生成する。この時に、カードステイタス2107の譲渡の可否が設定され、また、残り合計金額2107には、発行時の額面が設定される。そして、サービスディレクタプロセスは、新たに、カード署名プライベート鍵及びカード署名公開鍵の鍵対を生成し、さらに、電子テレホンカード管理情報5500に登録されているカード認証プライベート鍵と、課金装置認証公開鍵とを用いて、電子テレホンカードのテレホンカードプログラム2101を生成する。
【２０９６】
さらに、サービスディレクタプロセスは、生成したカード署名公開鍵をもとに、電子テレホンカードのカード証明書2103を生成し、電子テレホンカード発行依頼6303のテレホンカードデータ10219をもとに電子テレホンカードの提示カード2102を生成して、電子テレホンカードを生成する。
【２０９７】
次に、ディレイド決済の場合の手順について説明する。
【２０９８】
図６４は、ディレイド決済の場合のテレホンカード購入の処理における機器間のメッセージ交換の手順を示している。テレホンカード発行システムが、サービス提供システムへ電子テレホンカード発行依頼を送信するまでは、即時決済の場合と同じである。
【２０９９】
サービスディレクタプロセスは、決済処理オプション10203によって、ディレイド決済が指定された場合、ユーザに発行する電子テレホンカードを生成し、さらに、生成した電子テレホンカードを含むメッセージ、電子テレホンカード発行10227と、仮の領収書に相当するメッセージ、仮領収書10310とを生成する。電子テレホンカードの生成は、即時決済の場合と同じ手順で行なう。
【２１００】
ユーザプロセスは、電子テレホンカード発行10227と、仮領収書10310とを、それぞれ、ユーザ宛に封書化して、電子テレホンカード発行6404と仮領収書6405として、デジタル無線電話通信で、モバイルユーザ端末100へ送信する。
【２１０１】
図１０３（ａ）に示すように、仮領収書6405は、メッセージが仮領収書6405であることと、そのデータ構造とを示すヘッダ情報、仮領収書ヘッダ10300と、ユーザＩＤ10301と、テレホンカード発行情報10302と、支払サービスコード10303と、支払金額10304と、支払オプションコード10305と、要求番号10306と、トランザクション番号10307と、サービス提供者ＩＤ10308と、この仮領収書6405を発行した日時を示す発行日時10309とから成るデータについて、サービス提供者のデジタル署名を行ない、ユーザ宛に封書化したものである。テレホンカード発行情報10302は、サービス提供システムにおける電子テレホンカードの発行処理に関する情報であり、サービス提供者のデジタル署名が施されている。
【２１０２】
また、電子テレホンカード発行6404のデータ構造は、電子テレホンカード発行6308と同じである。
【２１０３】
電子テレホンカード発行6404と仮領収書6405とを受信したモバイルユーザ端末は、それぞれ、暗号を復号化し、デジタル署名をチェックし、電子テレホンカード発行6404に含まれる電子テレホンカードを、テレホンカードリスト1714に登録し、さらに、仮領収書10310を利用履歴リスト1715に登録して、ＬＣＤ303に電子テレホンカードを表示する。
【２１０４】
この後、サービスディレクタプロセスは、テレホンカード代金の決済処理を行なう。
【２１０５】
まず、サービスディレクタプロセスは、テレホンカード代金の決済処理を要求するメッセージ、決済要求10324を生成し、決済処理機関プロセスが、これを決済処理機関宛に封書化し、決済要求6407として、決済処理システム106へ送信する。
【２１０６】
決済処理システム106は、決済要求6407を受信し、暗号を復号化し、デジタル署名をチェックして、決済処理を行なう。そして、決済完了通知6408を生成し、サービス提供システム110に送信する。
【２１０７】
サービス提供システム110の決済処理機関プロセスは、決済完了通知6408を受信し、暗号を復号化し、デジタル署名をチェックして、決済完了通知10413をサービスディレクタプロセスに送る。サービスディレクタプロセスは、決済完了通知10413から、テレホンカード発行者に対する決済完了通知10430を生成し、テレホンカード発行者プロセスが、これをテレホンカード発行者宛に封書化し、テレホンカード発行者に対する決済完了通知6409として、テレホンカード発行システム109へ送信する。
【２１０８】
テレホンカード発行システムは、決済完了通知6409を受信し、暗号を復号化し、デジタル署名をチェックして、領収書6410を生成して、サービス提供システムへ送信する。
【２１０９】
サービス提供システム110のテレホンカード発行者プロセスは、領収書6410を受信し、暗号を復号化し、デジタル署名をチェックして、領収書10512をサービスディレクタプロセスに送る。サービスディレクタプロセスは、領収書10512から、ユーザに対する領収書10523を生成する。
【２１１０】
生成された領収書10523は、この後、すぐに、ユーザのモバイルユーザ端末100へ送信されるのではなく、モバイルユーザ端末100のデータアップデート処理の際に、ユーザプロセスが、利用履歴リスト1715の仮領収書10310と、領収書10523とを入れ替え、アップデートデータ6411の一部として、モバイルユーザ端末100へ送信される。
【２１１１】
ディレイド決済の場合の決済要求6407、決済完了通知6408、決済完了通知6409、及び領収書6410のデータ構造は、それぞれ、即時決済の場合の決済要求6304、決済完了通知6305、決済完了通知6306、及び領収書6307のデータ構造と同じである。
【２１１２】
なお、ディレイド決済の場合の決済処理は、必ずしも、電子テレホンカードを発行した後、すぐに行なう必要はなく、例えば、１日に１回、他の決済処理と一緒に、まとめて行なってもよい。
【２１１３】
次に、テレホンカード使用登録の処理において、モバイルユーザ端末100とサービス提供システム110との間で交換されるメッセージの内容について説明する。
【２１１４】
図６５（ｃ）は、テレホンカード使用登録の処理における機器間のメッセージ交換の手順を示し、図１０８（ａ）（ｂ）は、テレホンカード使用登録の処理において、機器間で交換するメッセージの内容を示している。
【２１１５】
まず、ユーザが、電子テレホンカードの使用登録操作6508を行なうと、モバイルユーザ端末は、テレホンカード使用登録要求6509を生成し、デジタル無線電話通信でサービス提供システムへ送信する。
【２１１６】
図１０８（ａ）に示すように、テレホンカード使用登録要求6509は、メッセージがテレホンカード使用登録要求6509であることと、そのデータ構造とを示すヘッダ情報、テレホンカード使用登録要求ヘッダ10800と、使用登録するテレホンカードのカードＩＤ10801と、ユーザＩＤ10802と、このテレホンカード使用登録要求6509を発行した日時を示す発行日時10803とから成るデータについて、ユーザのデジタル署名を行ない、サービス提供者宛に封書化したものである。
【２１１７】
サービス提供システム110のユーザプロセスは、テレホンカード使用登録要求6509を受信し、暗号を復号化し、デジタル署名をチェックして、サービスマネージャプロセスへ送る。サービスマネージャプロセスは、サービスディレクタプロセスを生成して、テレホンカード使用登録要求10804を処理するプロセスグループを生成する。サービスディレクタプロセスは、ユーザ情報サーバ902上のユーザのテレホンカードリスト4612に、カードＩＤ10801が示す電子テレホンカードが登録されていることを検証して、サービスディレクタ情報サーバ901上の電子テレホンカードの使用登録カードリスト5502に、新たに、その電子テレホンカードを登録する。この時、サービスディレクタプロセスは、新たに、カード署名プライベート鍵及びカード署名公開鍵の鍵対を生成し、さらに、カード署名公開鍵から使用登録カード証明書を生成して、使用登録カードリスト5502に登録する。
【２１１８】
そして、サービスディレクタプロセスは、生成したカード署名プライベート鍵と使用登録カード証明書とから、テレホンカード証明書発行10813を生成し、ユーザプロセスが、このテレホンカード証明書発行10813をユーザ宛に封書化して、テレホンカード証明書発行6510として、デジタル無線電話通信で、モバイルユーザ端末へ送信する。
【２１１９】
図１０８（ｂ）に示すように、テレホンカード証明書発行6510は、メッセージがテレホンカード証明書発行6510であることと、そのデータ構造とを示すヘッダ情報、テレホンカード証明書発行ヘッダ10808と、カード署名プライベート鍵10809と、使用登録カード証明書10810と、サービス提供者ＩＤ10811と、このテレホンカード証明書発行6510を発行した日時を示す発行日時10812とから成るデータについて、サービス提供者のデジタル署名を行ない、ユーザ宛に封書化したものである。
【２１２０】
テレホンカード証明書発行6510を受信したモバイルユーザ端末100は、暗号を復号化し、デジタル署名をチェックし、電子テレホンカードのカード署名プライベート鍵とカード証明書を、それぞれ、テレホンカード証明書発行6510に含まれるカード署名プライベート鍵10809と使用登録カード証明書10810とに入れ替え、カードステイタスの使用登録状態を、登録済に変更して、ＬＣＤに使用登録された電子テレホンカードを表示する（使用登録されたテレホンカードの表示6511）。
【２１２１】
次に、取扱テレホンカード設定の処理において、サービス提供システム110と電子テレホンカード課金装置800（交換局105）との間で交換されるメッセージの内容について説明する。
【２１２２】
取扱テレホンカード設定の処理は、特別な処理シーケンスで行なわれるのではなく、サービス提供システムが電子テレホンカード課金装置800の内部データをアップデートするデータアップデート処理の中で行なわれる。
【２１２３】
したがって、取扱テレホンカード設定の処理において、サービス提供システムと電子テレホンカード課金装置800との間のメッセージ交換の手順、及び、交換されるメッセージの内容（データ構造）は、上記で説明したデータアップデート処理の場合と同じである。
【２１２４】
但し、取扱テレホンカード設定の処理は、データアップデート処理の度に行なわれるのではなく、マーチャント情報サーバ903上のマーチャントのテレホンカードリスト4610が、サービスディレクタプロセスによって、更新されている場合に行なわれる。
【２１２５】
この場合、マーチャントプロセスは、テレホンカードリスト4610が更新されていることから、テレホンカードリスト4610の部分の更新データを、アップデートデータ5705の圧縮アップデートデータ8828の中に入れ、アップデートデータ5705として、電子テレホンカード課金装置800へ送信する。
【２１２６】
アップデートデータ5705を受信した電子テレホンカード課金装置800は、圧縮アップデートデータ8828のデータ圧縮を解凍して、ＲＡＭ及びハードディスクのデータを更新する。この時、電子テレホンカード課金装置800のテレホンカードリスト3908が更新され、電子テレホンカード課金装置800が取扱う電子テレホンカードが更新される。
【２１２７】
次に、テレホンカード決済の処理において、モバイルユーザ端末100と電子テレホンカード課金装置800（交換局105）との間で交換されるメッセージの内容について説明する。
【２１２８】
図７０は、テレホンカード決済の処理におけるモバイルユーザ端末100と電子テレホンカード課金装置800（交換局105）との間のメッセージ交換の手順を示し、図１１４（ａ）（ｂ）、図１１５（ａ）（ｂ）（ｃ）は、テレホンカード決済の処理において、モバイルユーザ端末100と電子テレホンカード課金装置800（交換局105）との間で交換するメッセージの内容を示している。
【２１２９】
まず、ユーザが、通話に用いる電子テレホンカードを表示させて、発呼操作7000を行なうと、モバイルユーザ端末は、通話に用いる電子テレホンカードと、任意に生成したテストパターンとから、ユーザが指定した電話番号への電子テレホンカードによる通話を要求するメッセージ、マイクロチェックコール要求7001を、デジタル無線電話通信で、交換局105へ送信する。
【２１３０】
図１１４（ａ）に示すように、マイクロチェックコール要求7001は、メッセージがマイクロチェックコール要求7001であることと、そのデータ構造とを示すヘッダ情報、マイクロチェックコール要求ヘッダ11400と、電子テレホンカードによる通話を要求していることを示すサービスコード11401と、このテレホンカード決済の処理をユニークに示す番号として任意に生成した要求番号11402と、ユーザが指定した電話番号を示す呼び出し電話番号11403と、通話に用いる電子テレホンカードの提示カード11404及びカード証明書11405と、通話に用いる電子テレホンカードのその時のカードステイタス11406と、残り合計金額11407と、カードＩＤ11408と、このマイクロチェックコール要求7001を発行した日時を示す発行日時11409と、生成した任意のテストパターン、課金装置テストパターン11411とから成るデータであり、カードステイタス11406、残り合計金額11407、カードＩＤ11408、及び発行日時11409には、電子テレホンカードのカード署名プライベート鍵によるデジタル署名が施され、課金装置テストパターン11411は、課金装置認証公開鍵によって暗号化されている。
【２１３１】
提示カード11404、カード証明書11405、カードステイタス11406、残り合計金額11407、カードＩＤ11408、及び発行日時11409が、電子テレホンカード課金装置800に対して、電子テレホンカードの内容を示す部分であり、課金装置テストパターン11411は、電子テレホンカード課金装置800を認証するためのテストパターンである。
【２１３２】
マイクロチェックコール要求7001を受信した交換局では、電子テレホンカード課金装置800が、まず、テレホンカードリスト3908を参照し、提示された電子テレホンカードのカードコード（カードコードは、提示カードに含まれる）に対応するテレホンカード決済モジュールを起動して、マイクロチェックコール要求7001の内容の有効性を検証し、一定の通話時間Ｔ（Ｔ＞０）に対する通話料金Ｖ（Ｖ＞０）を請求するメッセージ、マイクロチェックコール応答7002を生成して、デジタル無線電話通信で、モバイルユーザ端末へ送信する。提示された電子テレホンカードが、テレホンカードリスト3908に登録されていない場合には、取扱えない電子プリペイドであることを示すマイクロチェックコール応答7002を送信する。
【２１３３】
マイクロチェックコール要求7001の有効性の検証では、電子テレホンカード課金装置800は、まず、カード証明書11405が使用登録カード証明書であること、及びカードステイタス11406と残り合計金額11407から、通話料金の支払に用いられる電子テレホンカードとして、有効な状態であるかを検証し、次に、提示カード11404及びカード証明書11405のサービス提供者のデジタル署名と有効期間とをチェックし、さらに、カード証明書11405のカード署名公開鍵を用いて、カードステイタス11406、残り合計金額11407、カードＩＤ11408及び発行日時11409に施された電子テレホンカードのデジタル署名をチェックして、マイクロチェックコール要求7001の有効性を検証する。
【２１３４】
また、マイクロチェックコール応答7002の生成では、電子テレホンカード課金装置800は、課金装置認証プライベート鍵で、課金装置テストパターン11411の暗号を復号化し、任意に生成したテストパターン、カードテストパターン11421を、カード認証公開鍵で暗号化する。
【２１３５】
図１１４（ｂ）に示すように、マイクロチェックコール応答7002は、メッセージがマイクロチェックコール応答7002であることと、そのデータ構造とを示すヘッダ情報、マイクロチェックコール応答ヘッダ11413と、トランザクション番号11414と、応答メッセージ11415と、要求番号11416と、カードＩＤ11417と、インストラクションコード11418と、通話時間Ｔに対する通話料金Ｖを示す請求金額11419と、暗号を復号化した課金装置テストパターン11420と、任意に生成したテストパターン、カードテストパターン11421と、課金装置ＩＤ11423と、通信事業者ＩＤ11424と、このマイクロチェックコール応答7002を発行した日時を示す発行日時11425とから成るデータについて、通信事業者のデジタル署名を行なったものであり、カードテストパターン11421は、カード認証公開鍵によって暗号化されている。
【２１３６】
トランザクション番号11414は、電子テレホンカード課金装置800が、このテレホンカード決済の処理をユニークに示す番号として任意に生成した番号であり、マイクロチェックコール要求7001の検証の結果、テレホンカード決済の処理ができない場合（例えば、その電子テレホンカード課金装置800では、取扱えない電子テレホンカードであった場合）、ゼロが設定され、テレホンカード決済の処理ができる場合には、ゼロ以外の値が設定される。
【２１３７】
応答メッセージ11415は、通信事業者からユーザへのメッセージを示すテキスト情報である。電子テレホンカード課金装置800が、提示された電子テレホンカードを取扱えない場合（トランザクション番号＝０）、応答メッセージには、電子テレホンカードを取扱えない旨を示すメッセージ設定される。応答メッセージは、オプションで設定される情報であり、設定されない場合もある。
【２１３８】
インストラクションコード11418は、電子テレホンカードに対するコマンドコードであり、電子テレホンカードの残り合計金額からの請求金額11419が示す金額の減算を示すコード情報である。インストラクションコードには、電子テレホンカードのトランザクションモジュールと、テレホンカード決済モジュールの組み合わせによって、異なるコードが用いられる。
【２１３９】
マイクロチェックコール応答7002を受信したモバイルユーザ端末は、まず、課金装置テストパターン11411と、マイクロチェックコール応答7002に含まれる課金装置テストパターン11420とを照合して、電子テレホンカード課金装置800の認証を行ない、次に、インストラクションコード11418にしたがって、電子テレホンカードの残り合計金額から請求金額11419が示す金額を減算する。そして、カード認証プライベート鍵で、カードテストパターンの暗号を復号化して、請求金額を額面とする小切手に相当するメッセージ、電話マイクロ小切手7003を生成し、デジタル無線電話通信で、電子テレホンカード課金装置800（交換局105）へ送信する。モバイルユーザ端末は、さらに、相手を呼び出し中であることを示すメッセージを、ＬＣＤに表示する（呼び出し中表示6704）。
【２１４０】
図１１５（ａ）に示すように、電話マイクロ小切手7003は、メッセージが電話マイクロ小切手7003であることと、そのデータ構造とを示すヘッダ情報、電話マイクロ小切手ヘッダ11500と、テレホンカード決済の処理の順番を示すマイクロ小切手発行番号11501と、暗号を復号化したカードテストパターン11502と、残り合計金額から減算した金額を示す支払金額11503と、カードステイタス11504と、減算後の残り合計金額11505と、課金装置ＩＤ11506と、通信事業者ＩＤ11507と、要求番号11508と、トランザクション番号11509と、カードコード11510と、カードＩＤ11511と、この電話マイクロ小切手7003を発行した日時を示す発行日時11512とから成るデータについて、カード署名プライベート鍵によるデジタル署名と、ユーザのデジタル署名を行なったものである。
【２１４１】
電話マイクロ小切手7003を受信した交換局105では、まず、電子テレホンカード課金装置800が、まず、カードテストパターン11421と、電話マイクロ小切手7003に含まれるカードテストパターン11502とを照合して、電子テレホンカードの認証を行ない、さらに、電話マイクロ小切手7003の内容の有効性を検証する。この電話マイクロ小切手7003の有効性の検証では、電子テレホンカード課金装置800は、まず、電話マイクロ小切手7003が示す支払金額11503が、請求金額に等しいことを検証し、マイクロチェックコール要求が示す残り合計金額11407から電話マイクロ小切手が示す残り合計金額11505を減算した結果が、電話マイクロ小切手が示す支払金額11503に等しいことを検証し、さらに、電話マイクロ小切手7003に施された電子テレホンカードによるデジタル署名をチェックする。
【２１４２】
次に、交換機801が、呼び出し電話番号11403が示す電話端末115を呼び出すメッセージ、着呼要求7005を、電話端末115へ送信する。着呼要求7005を受信した電話端末115は、着信音を出力して、電話端末115の所有者（通話相手）に着信を知らせる（着信表示7006）。通話相手が受話器を取ると（通話操作7007）、電話端末115は、呼び出しを許可するメッセージ、着呼応答7008を、交換機801へ送信する。
【２１４３】
交換機801が着呼応答7008を受信すると、電子テレホンカード課金装置800は、支払われた電話マイクロ小切手7003に対する領収書に相当するメッセージ、領収書7009を生成し、デジタル無線電話通信で、モバイルユーザ端末へ送信する。そして、交換機801が、モバイルユーザ端末100と電話端末115との回線を接続して、ユーザと通話相手は通話状態となる。
【２１４４】
図１１５（ｂ）に示すように、領収書7009は、メッセージが領収書7009であることと、そのデータ構造とを示すヘッダ情報、領収書ヘッダ11514と、提供サービス情報11515と、カードＩＤ11516と、受領した電話マイクロ小切手の支払金額11503と同じ金額を示す領収合計金額11517と、要求番号11518と、トランザクション番号11519と、マイクロ小切手発行番号11520と、課金装置ＩＤ11521と、通信事業者ＩＤ11522と、この領収書7009を発行した日時を示す発行日時11523とから成るデータについて、マーチャントのデジタル署名を行なったものである。
【２１４５】
提供サービス情報11515は、テレホンカード決済による通信サービスの内容を示すテキスト情報であり、提供された通信サービスの明細書、または、計算書に相当する。
【２１４６】
領収書7009を受信したモバイルユーザ端末は、領収合計金額11517が、電話マイクロ小切手の支払金額11503に等しいことを検証し、領収書7009を、利用情報として、利用履歴リスト1715に登録して、ＬＣＤの表示を、通話状態（通話中の電話番号、通話経過時間、電子テレホンカードの残り合計金額）を示す表示に切り替える（通話中表示7010）。
【２１４７】
また、電話マイクロ小切手7003を送信したモバイルユーザ端末100が、領収書7009を受信しなかった場合、例えば、呼び出し中に、領収書7009を受信する前に、ユーザが終了スイッチ306を押して、通話を取りやめた場合には、モバイルユーザ端末100は、電子テレホンカードの残り合計金額に、請求金額11419を加算し、減算前の金額に戻す。
【２１４８】
次に、通話時間がＴを超える場合、電子テレホンカード課金装置は、額面Ｖの電話マイクロ小切手7003の代わりに、通話時間２Ｔに対する通話料金２Ｖを額面とする電話マイクロ小切手を請求するメッセージ、通話料金請求7011を、デジタル無線電話通信で、モバイルユーザ端末へ送信する。
【２１４９】
図１１５（ｃ）に示すように、通話料金請求7011は、メッセージが通話料金請求7011であることと、そのデータ構造とを示すヘッダ情報、通話料金請求応答ヘッダ11524と、トランザクション番号11525と、要求番号11526と、カードＩＤ11527と、インストラクションコード11528と、追加の請求金額Ｖを示す請求金額11529と、課金装置ＩＤ11530と、通信事業者ＩＤ11531と、この通話料金請求7011を発行した日時を示す発行日時11532とから成るデータについて、通信事業者のデジタル署名を行なったものである。
【２１５０】
この時、トランザクション番号11525は、マイクロチェックコール応答7002のトランザクション番号11414、電話マイクロ小切手7003のトランザクション番号11509、及び、領収書7009のトランザクション番号11519と同じである。
【２１５１】
通話料金請求7011を受信したモバイルユーザ端末は、電子テレホンカードの残り合計金額から、さらに、請求金額11529（追加の通話料金Ｖ）を減算し、電話マイクロ小切手7003の代わりに、残り合計金額から減算した金額の合計金額に相当する２Ｖを額面とする電話マイクロ小切手7012を生成して、デジタル無線電話通信で、電子テレホンカード課金装置800（交換局105）へ送信する。
【２１５２】
図１１５（ａ）に示すように、電話マイクロ小切手7012のデータ構造は、電話マイクロ小切手7003と同じである。但し、電話マイクロ小切手7012の支払金額11503は、残り合計金額から減算した金額の合計金額に相当する２Ｖを示し、残り合計金額11505は、請求金額11529を減算した後の残り合計金額を示す。
【２１５３】
また、電話マイクロ小切手7012のマイクロ小切手発行番号11501と要求番号11508とトランザクション番号11509には、電話マイクロ小切手7003の場合と同じ番号を用い、電話マイクロ小切手7003の代わりに発行された電話マイクロ小切手であることを示す。
【２１５４】
電話マイクロ小切手7012を受信した電子テレホンカード課金装置は、電話マイクロ小切手7012の内容の有効性を検証し、支払われた電話マイクロ小切手7012に対する領収書に相当するメッセージ、領収書7013を生成して、デジタル無線電話通信で、モバイルユーザ端末へ送信する。
【２１５５】
この電話マイクロ小切手7012の有効性の検証では、電子テレホンカード課金装置800は、まず、電話マイクロ小切手7012が示す支払金額11503が、請求金額の合計金額に等しいことを検証し、マイクロチェックコール要求が示す残り合計金額11407から電話マイクロ小切手が示す残り合計金額11505を減算した結果が、電話マイクロ小切手が示す支払金額11503に等しいことを検証し、さらに、電話マイクロ小切手7012に施された電子テレホンカードによるデジタル署名をチェックする。
【２１５６】
図１１５（ｂ）に示すように、領収書7013のデータ構造は、領収書7009と同じである。但し、領収書7013の領収合計金額11517は、電話マイクロ小切手7012の支払金額11503と同じ金額を示す。
【２１５７】
領収書7013を受信したモバイルユーザ端末は、領収合計金額11517が、電話マイクロ小切手7012の支払金額11503に等しいことを検証し、領収書7009の代わりに領収書7013を、利用情報として、利用履歴リスト1715に登録して、ＬＣＤの電子テレホンカードの残り合計金額の表示を更新する（課金表示7014）。
【２１５８】
また、電話マイクロ小切手7012を送信したモバイルユーザ端末100が、領収書7013を受信しなかった場合、例えば、モバイルユーザ端末100が、領収書7013を受信する前に、通話が終了した場合には、モバイルユーザ端末100は、電子テレホンカードの残り合計金額に、請求金額11529を加算し、請求金額11529を減算する前の金額に戻す。
【２１５９】
この後、通話時間がＮＴ（Ｎは自然数）を超える度に、電子テレホンカード課金装置800は、額面ＮＶの電話マイクロ小切手の代わりに、通話時間（Ｎ＋１）Ｔに対する通話料金（Ｎ＋１）Ｖを額面とする電話マイクロ小切手を請求するメッセージ、通話料金請求7015を、デジタル無線電話通信で、モバイルユーザ端末へ送信する。図１１５（ｃ）に示すように、通話料金請求7015のデータ構造は、通話料金請求7011と同じである。
【２１６０】
それに対して、モバイルユーザ端末は、電子テレホンカードの残り合計金額から、さらに、請求金額11529（追加の通話料金Ｖ）を減算し、残り合計金額から減算した金額の合計金額に相当する（Ｎ＋１）Ｖを額面とする電話マイクロ小切手7016を生成して、デジタル無線電話通信で、電子テレホンカード課金装置800（交換局105）へ送信する。
【２１６１】
図１１５（ａ）に示すように、電話マイクロ小切手7016のデータ構造は、電話マイクロ小切手7003及び電話マイクロ小切手7012と同じである。但し、電話マイクロ小切手7016の支払金額11503は、残り合計金額から減算した金額の合計金額に相当する（Ｎ＋１）Ｖを示し、残り合計金額11505は、請求金額11529を減算した後の残り合計金額を示す。
【２１６２】
電話マイクロ小切手7016を受信した電子テレホンカード課金装置800は、電話マイクロ小切手7016の内容の有効性を検証し、支払われた電話マイクロ小切手7016に対する領収書に相当するメッセージ、領収書7017を生成して、デジタル無線電話通信で、モバイルユーザ端末へ送信する。
【２１６３】
この電話マイクロ小切手7016の有効性の検証では、電子テレホンカード課金装置800は、まず、電話マイクロ小切手7016が示す支払金額11503が、請求金額の合計金額に等しいことを検証し、マイクロチェックコール要求が示す残り合計金額11407から電話マイクロ小切手が示す残り合計金額11505を減算した結果が、電話マイクロ小切手が示す支払金額11503に等しいことを検証し、さらに、電話マイクロ小切手7016に施された電子テレホンカードによるデジタル署名をチェックする。
【２１６４】
図１１５（ｂ）に示すように、領収書7017のデータ構造は、領収書7009及び領収書7013と同じである。但し、領収書7017の領収合計金額11517は、電話マイクロ小切手7016の支払金額11503と同じ金額を示す。
【２１６５】
領収書7017を受信したモバイルユーザ端末は、領収合計金額11517が、電話マイクロ小切手7016の支払金額11503に等しいことを検証し、利用履歴リスト1715上の要求番号11518が同じ領収書（前回登録した領収書）の代わりに、領収書7017を、利用情報として利用履歴リスト1715に登録して、ＬＣＤの電子テレホンカードの残り合計金額の表示を更新する（課金表示7018）。
【２１６６】
また、電話マイクロ小切手7016を送信したモバイルユーザ端末100が、領収書7017を受信しなかった場合、例えば、モバイルユーザ端末100が、領収書7017を受信する前に、通話が終了した場合には、モバイルユーザ端末100は、電子テレホンカードの残り合計金額に、通話料金請求7015の請求金額11529を加算し、請求金額11529を減算する前の金額に戻す。
【２１６７】
モバイルユーザ端末100は、電子テレホンカードによる１回の通話が終了すると、電子テレホンカードのマイクロ小切手発行番号をインクリメントする。
【２１６８】
また、電子テレホンカード課金装置800は、通話が終了した時点で、モバイルユーザ端末への送信を完了した領収書と、それに対応する電話マイクロ小切手を、テレホンカード決済の処理の履歴情報として、トランザクション履歴リスト3909に登録する。
【２１６９】
また、交換局105と電話端末115との間で交わされるメッセージ、着呼要求7005、着呼応答7008の内容は、交換局105と電話端末115との回線接続のプロトコルに依存する。
【２１７０】
次に、テレホンカード照会の処理において、機器間で交換されるメッセージの内容について説明する。
【２１７１】
図７３は、テレホンカード照会の処理における機器間のメッセージ交換の手順を示し、図８８（ａ）（ｂ）（ｃ）（ｄ）、図１１６（ｂ）は、テレホンカード照会の処理において、機器間で交換するメッセージの内容を示している。
【２１７２】
テレホンカード照会の処理は、特別な処理シーケンスで行なわれるのではなく、サービス提供システムが電子テレホンカード課金装置800の内部データをアップデートするデータアップデート処理の中で行なわれる。
【２１７３】
したがって、テレホンカード照会の処理において、電子テレホンカード課金装置800とサービス提供システムとの間のメッセージ交換の手順、及び、交換されるメッセージの内容（データ構造）は、上記で説明したデータアップデート処理の場合と同じである。
【２１７４】
アップロードデータ5704の圧縮アップロードデータ8818の中には、前回のデータアップデート処理から、今回のデータアップデート処理までに、テレホンカード決済の処理によって、新たにトランザクション履歴リスト3909に登録された電話マイクロ小切手が含まれる。
【２１７５】
マーチャントプロセスは、データアップデート処理の中で、電子テレホンカード課金装置800からアップロードされた電話マイクロ小切手の照会処理を要求するメッセージを、サービスマネージャプロセスに送り、サービスマネージャプロセスは、サービスディレクタプロセスを生成して、電話マイクロ小切手の有効性を検証するプロセスグループを生成する。
【２１７６】
サービスディレクタプロセスは、まず、電話マイクロ小切手の課金装置ＩＤ11505と通信事業者ＩＤ11506が、それぞれ、通信事業者の課金装置ＩＤ5215と通信事業者ＩＤ5214とに一致していることを検証し、次に、サービスディレクタ情報サーバ901上の使用登録カードリスト5502を参照して、そのマイクロ小切手を発行した電子テレホンカードが使用登録されていることを検証し、次に、ユーザ公開鍵5519で、電話マイクロ小切手のユーザのデジタル署名を検証し、次に使用登録カード証明書で、電話マイクロ小切手の電子テレホンカードによるデジタル署名を検証し、さらに、マイクロ小切手発行番号をもとに、支払金額と残り合計金額の変化の整合性を検証する。そして、有効性を検証された電話マイクロ小切手を、電話マイクロ小切手リストに登録する。
【２１７７】
また、電話マイクロ小切手の有効性を検証する処理で、エラーが発生した場合には、サービスディレクタプロセスは、検証エラーの発生を示すメッセージを管理システム908へ送る。
【２１７８】
アップデートデータ5705を受信した電子テレホンカード課金装置800は、圧縮アップデートデータ8828のデータ圧縮を解凍して、ＲＡＭ及びハードディスクのデータを更新する。
【２１７９】
また、通信事業者とテレホンカード発行者の事業主体が異なり、テレホンカードを取扱った通信事業者に対して、テレホンカード発行者から支払が発生する場合、または、定期的にテレホンカードの使用状況を、テレホンカード発行者に通知する契約になっている場合、サービスディレクタプロセスは、定期的に、電話マイクロ小切手リストに、新たに登録された電話マイクロ小切手をもとに、テレホンカード発行者にテレホンカードの使用状況を通知するメッセージ、使用状況通知11626を生成する。そして、テレホンカード発行者プロセスが、これをテレホンカード発行者宛に封書化して、使用状況通知7300として、テレホンカード発行システム109へ送信する。
【２１８０】
図１１６（ｃ）に示すように、使用状況通知7300は、メッセージが使用状況通知7300であることと、そのデータ構造とを示すヘッダ情報、使用状況通知ヘッダ11620と、使用されたテレホンカードのカードＩＤ及び支払金額のリスト11621と、テレホンカードを取扱った通信事業者の通信事業者名11622及び通信事業者ＩＤ11623と、サービス提供者ＩＤ11624と、この使用状況通知7300を発行した日時を示す発行日時11625とから成るデータについて、サービス提供者のデジタル署名を行ない、テレホンカード発行者宛に封書化したものである。
【２１８１】
使用状況通知7300を受信したテレホンカード発行システム109は、暗号を復号化し、デジタル署名をチェックしてマーチャントへの支払等の処理を行なう。
【２１８２】
次に、テレホンカード譲渡の処理において、機器間で交換されるメッセージの内容について説明する。
【２１８３】
図７６は、テレホンカード譲渡の処理における機器間のメッセージ交換の手順を示し、図１２０（ａ）（ｂ）、図１２１（ａ）（ｂ）、図１２２（ａ）（ｃ）は、テレホンカード譲渡の処理において、機器間で交換するメッセージの内容を示している。
【２１８４】
テレホンカード譲渡の処理は、電子テレホンカードのカードステイタス2107が、譲渡可能である場合に行なうことができ、この譲渡の可否は、テレホンカード発行時に、テレホンカード発行者によって指定される。
【２１８５】
図７６は、ユーザＡからユーザＢに電子テレホンカードを譲渡する場合について示しており、ユーザＡとユーザＢとの間の通信を、赤外線通信で行なう場合も、デジタル無線通信で行なう場合も、機器間のメッセージ交換の手順は同じであり、交換するメッセージのデータ構造も同じである。
【２１８６】
図７６において、まず、ユーザＡが、テレホンカード譲渡操作7600を行なうと、ユーザＡのモバイルユーザ端末は、電子テレホンカードの譲渡を申出るメッセージ、カード譲渡オファー7601を、ユーザＢのモバイルユーザ端末へ送信する。
【２１８７】
この時、ユーザＡとユーザＢのモバイルユーザ端末が通話状態であった場合、ユーザＡとユーザＢのモバイルユーザ端末間の通信は、デジタル無線電話通信で行なわれ、そうでない場合には、赤外線通信で行なわれる。
【２１８８】
図１２０（ａ）に示すように、カード譲渡オファー7601は、メッセージがカード譲渡オファー7601であることと、そのデータ構造とを示すヘッダ情報、カード譲渡オファーヘッダ12000と、テレホンカード譲渡の処理をユニークに示す番号として任意に生成した譲渡オファー番号12001と、譲渡する電子テレホンカードの提示カード12002及びカード証明書12003と、カードステイタス12004と、残り合計金額12005と、カードＩＤ12006と、このカード譲渡オファー7601の発行日時12007と、ユーザ公開鍵証明書12009とから成るデータについて、ユーザＡのデジタル署名を行なったものであり、カードステイタス12004、残り合計金額12005、カードＩＤ12006及び発行日時12007には、さらに、電子テレホンカードのカード署名プライベート鍵によるデジタル署名が施されている。
【２１８９】
ユーザ公開鍵証明書12009は、ユーザＡのユーザ公開鍵証明書であり、ユーザ公開鍵証明書ヘッダ12010と、ユーザＡのユーザ公開鍵12011と、公開鍵証明書のＩＤ情報、公開鍵証明書ＩＤ12012と、証明書有効期間12013と、サービス提供者ＩＤ12014と、証明書発行日時12015とから成るデータについて、サービス提供者のデジタル署名を施したものである。
【２１９０】
カード譲渡オファー7601を受信したユーザＢのモバイルユーザ端末は、まず、提示カード12002と、カード証明書12003と、ユーザ公開鍵証明書12009のサービス提供者によるデジタル署名と有効期間とをチェックし、次に、カードステイタス12004、残り合計金額12005、カードＩＤ12006及び発行日時12007に施された電子テレホンカードのデジタル署名と、カード譲渡オファー7601のユーザＡによるデジタル署名とをチェックして、カード譲渡オファー7601の内容を検証し、提示カード12002、カードステイタス12004、及び残り合計金額12005から、譲渡される電子テレホンカードの内容をＬＣＤに表示する（譲渡オファー表示7602）。
【２１９１】
次に、ユーザＢが、譲渡オファー受諾操作7603を行なうと、ユーザＢのモバイルユーザ端末は、カード譲渡オファー7601に対する応答メッセージ、カード譲渡オファー応答7604を、ユーザＡのモバイルユーザ端末へ送信する。
【２１９２】
図１２０（ｂ）に示すように、カード譲渡オファー応答7604は、メッセージがカード譲渡オファー応答7604であることと、そのデータ構造とを示すヘッダ情報、カード譲渡オファー応答ヘッダ12016と、受諾番号12017と、譲渡オファー番号12018と、カードＩＤ12019と、このカード譲渡オファー応答7604の発行日時12020と、ユーザ公開鍵証明書12021とから成るデータについて、ユーザＢのデジタル署名を行なったものである。
【２１９３】
ユーザ公開鍵証明書12021は、ユーザＢのユーザ公開鍵証明書であり、ユーザ公開鍵証明書ヘッダ12022と、ユーザＢのユーザ公開鍵12023と、公開鍵証明書のＩＤ情報、公開鍵証明書ＩＤ12024と、証明書有効期間12025と、サービス提供者ＩＤ12026と、証明書発行日時12027とから成るデータについて、サービス提供者のデジタル署名を施したものである。
【２１９４】
受諾番号12017は、ユーザＢのモバイルユーザ端末が、このテレホンカード譲渡の処理をユニークに示す番号として任意に生成した番号であり、この番号によって、ユーザＢがカード譲渡オファー7601を受諾したか否かがユーザＡのモバイルユーザ端末に示される。ユーサＢが、カード譲渡オファー7601を受諾しなかった場合、受諾番号12017にはゼロが設定され、受諾した場合には、ゼロ以外の値が設定される。
【２１９５】
カード譲渡オファー応答7604を受信したユーザＡのモバイルユーザ端末は、カード譲渡オファー応答7604の内容をＬＣＤに表示し（譲渡オファー応答表示7605）、カード譲渡オファー7601が受諾された場合に（受諾番号12017≠０）、ユーザ公開鍵証明書12021のサービス提供者によるデジタル署名と有効期間をチェックし、電子テレホンカードのユーザＢへの譲渡証に相当するメッセージ、カード譲渡証明書7606を生成して、ユーザＢのモバイルユーザ端末へ送信する。
【２１９６】
図１２１（ａ）に示すように、カード譲渡証明書7606は、メッセージがカード譲渡証明書7606であることと、そのデータ構造とを示すヘッダ情報、カード譲渡証明書ヘッダ12100と、譲渡する電子テレホンカードの提示カード12101と、カードステイタス12102と、残り合計金額12103と、譲渡オファー番号12104と、受諾番号12105と、ユーザＢのユーザ公開鍵証明書の公開鍵証明書ＩＤ12106と、ユーザＡのユーザ公開鍵証明書の公開鍵証明書ＩＤ12107と、カードＩＤ12108と、このカード譲渡証明書7606の発行日時12109とから成るデータについて、電子テレホンカードのデジタル署名と、ユーザＡのデジタル署名とを行ない、ユーザＢ宛に封書化したものである。
【２１９７】
カード譲渡証明書7606を受信したユーザＢのモバイルユーザ端末は、暗号を復号化し、ユーザＡと電子テレホンカードのデジタル署名をチェックし、カード譲渡オファー7601で提示されたカードＩＤと、カードＩＤ12108とを照合し、さらに、公開鍵証明書ＩＤ12106及び公開鍵証明書ＩＤ12107を、それぞれ、ユーザＢ及びユーザＡのユーザ公開鍵証明書の公開鍵証明書ＩＤと照合して、カード譲渡証明書7606の内容を検証し、電子テレホンカードを譲渡されたことを示すメッセージ、カード受取証7607を生成して、ユーザＡのモバイルユーザ端末へ送信する。
【２１９８】
図１２１（ｂ）に示すように、カード受取証7607は、メッセージがカード受取証7607であることと、そのデータ構造とを示すヘッダ情報、カード受取証ヘッダ12115と、カードＩＤ12116と、譲渡オファー番号12117と、受諾番号12118と、ユーザＡのユーザ公開鍵証明書の公開鍵証明書ＩＤ12119と、ユーザＢのユーザ公開鍵証明書の公開鍵証明書ＩＤ12120と、このカード受取証7607の発行日時12121とから成るデータについて、ユーザＢのデジタル署名を行ない、ユーザＡ宛に封書化したものである。
【２１９９】
カード受取証7607を受信したユーザＡのモバイルユーザ端末は、まず、暗号を復号化し、ユーザＢのデジタル署名をチェックし、公開鍵証明書ＩＤ12119及び公開鍵証明書ＩＤ12120を、それぞれ、ユーザＡ及びユーザＢのユーザ公開鍵証明書の公開鍵証明書ＩＤと照合して、カード受取証7607の有効性を検証し、譲渡した電子テレホンカードを、テレホンカードリスト1714から消去して、カード受取証12122を、利用履歴リスト1715に登録する。この時、利用履歴リスト1715の要求番号1840、サービスコード1841、利用時刻1842、及び利用情報アドレス1843には、それぞれ、譲渡オファー番号、テレホンカード譲渡の処理を示すコード情報、カード受取証7607の発行日時12121、及びカード受取証12122が格納されている実体データ領域上のアドレスを設定する。
【２２００】
そして、ユーザＡのモバイルユーザ端末は、譲渡処理の完了を示すメッセージを、ＬＣＤに表示して（譲渡完了表示7608）、ユーザＡ（贈り手）のモバイルユーザ端末における処理を終了する。
【２２０１】
一方、カード受取証7607を送信したユーザＢのモバイルユーザ端末は、受信したカード譲渡証明書12111をＬＣＤに表示し、さらに、サービス提供サーバとの間の譲渡処理（譲渡された電子テレホンカードを、サービス提供システムからダウンロードする処理）を、今すぐ実行するか否かを尋ねるダイアログメッセージを表示する（譲渡証明書の表示7609）。
【２２０２】
このダイアログメッセージには、“譲渡処理要求”と“キャンセル”の２つの操作メニューがあり、“キャンセル”を選択すると、サービス提供サーバとの間の譲渡処理はキャンセルされ、サービス提供システムがモバイルユーザ端末の内部データをアップデートする処理（データアップデートの処理）の際に、アップデートデータの一部として、譲渡された電子テレホンカードが、モバイルユーザ端末に設定される。
【２２０３】
また、ユーザＢが、“譲渡処理要求”を選択すると（譲渡処理要求操作7610）、モバイルユーザ端末は、カード譲渡証明書12111を基に、サービス提供サーバとの間の譲渡処理を要求するメッセージ、カード譲渡処理要求7611を生成し、デジタル無線電話通信で、サービス提供システムに送信する。
【２２０４】
図１２２（ａ）に示すように、カード譲渡処理要求7611は、メッセージがカード譲渡処理要求7611であることと、そのデータ構造とを示すヘッダ情報、カード譲渡処理要求ヘッダ12200と、暗号を復号化したカード譲渡証明書12201(12111)と、ユーザＢのユーザＩＤ12202と、このカード譲渡処理要求7611の発行日時12203とから成るデータについて、ユーザＢのデジタル署名を行ない、サービス提供者宛に封書化したものである。
【２２０５】
サービス提供システム110のユーザＢのユーザプロセスは、カード譲渡処理要求7611を受信し、暗号を復号化し、デジタル署名をチェックして、サービスマネージャプロセスへ送る。サービスマネージャプロセスは、サービスディレクタプロセスを生成して、カード譲渡処理要求12204を処理するプロセスグループを生成する。
【２２０６】
サービスディレクタプロセスは、まず、ユーザリスト5200を参照し、カード譲渡処理要求12204に含まれるカード譲渡証明書12201の公開鍵証明書ＩＤ12106及び公開鍵証明書ＩＤ12107から、譲渡処理の受取手（ユーザＢ）及び贈り手（ユーザＡ）を特定し、カード譲渡証明書12201に施されたユーザＡ及び電子テレホンカードのデジタル署名をチェックして、カード譲渡証明書12201の有効性を検証する。次に、サービスディレクタプロセスは、ユーザ情報サーバ902上のユーザＡのテレホンカードリスト4612から、譲渡される電子テレホンカードを消去する。次に、サービスディレクタプロセスは、カード署名プライベート鍵及びカード署名公開鍵の鍵対とカード証明書とを、新たに生成した鍵対とカード証明書とに変更し、カードステイタスと残り合計金額とを、カード譲渡証明書12201が示すカードステイタス12102と残り合計金額12103とに変更して、ユーザＡから譲渡された電子テレホンカード生成し、これをユーザＢのテレホンカードリスト4612に登録する。
【２２０７】
譲渡される電子テレホンカードが使用登録されている場合には、サービスディレクタプロセスは、さらに、その電子テレホンカードの使用登録カードリスト5502を更新する。具体的には、使用登録カードリスト5502のユーザＩＤ5518、ユーザ公開鍵5519、使用登録カード証明書アドレス5520、電話マイクロ小切手リストアドレス5521、及び前ユーザ情報アドレス5522を（ユーザＢの情報に）更新し、更新前のその部分の情報（ユーザＡの情報）を、前ユーザ情報5523として、前ユーザ情報アドレス5522によってポインティングする。
【２２０８】
そして、サービスディレクタプロセスは、ユーザＡから譲渡された電子テレホンカードを含むメッセージ、テレホンカード譲渡12226を生成し、ユーザＢのユーザプロセスが、これをユーザＢ宛に封書化し、テレホンカード譲渡7612として、デジタル無線電話通信で、ユーザＢのモバイルユーザ端末へ送信する。
【２２０９】
図１２２（ｃ）に示すように、テレホンカード譲渡7612は、メッセージがテレホンカード譲渡7612であることと、そのデータ構造とを示すヘッダ情報、テレホンカード譲渡ヘッダ12219と、サービス提供システムにおける譲渡処理を示す番号として任意に生成した譲渡処理番号12220と、譲渡処理情報12221と、受諾番号12222と、譲渡された電子テレホンカード12223と、サービス提供者ＩＤ12224と、このテレホンカード譲渡7612の発行日時12225とから成るデータについて、サービス提供者のデジタル署名を行ない、ユーザＢ宛に封書化したものである。
【２２１０】
譲渡処理情報12221は、サービス提供システムにおける電子テレホンカードの譲渡処理に関する情報であり、サービス提供者のデジタル署名が施されている。
【２２１１】
テレホンカード譲渡7612を受信したユーザＢのモバイルユーザ端末は、暗号を復号化し、デジタル署名をチェックして、電子テレホンカード12223をテレホンカードリスト1714に登録し、電子テレホンカードをＬＣＤに表示して（電子テレホンカードの表示7613）、テレホンカード譲渡の処理を終了する。
【２２１２】
次に、電子テレホンカードインストールの処理において、機器間で交換されるメッセージの内容について説明する。
【２２１３】
図７９は、電子テレホンカードインストールの処理における機器間のメッセージ交換の手順を示し、図１２７（ａ）（ｂ）、図１２８（ａ）（ｂ）は、電子テレホンカードインストールの処理において、機器間で交換するメッセージの内容を示している。
【２２１４】
まず、ユーザが、電子テレホンカードのインストール操作7900を行なうと、モバイルユーザ端末は、電子テレホンカードインストール要求7901を生成し、デジタル無線電話通信で、サービス提供システム110へ送信する。
【２２１５】
図１２７（ａ）に示すように、電子テレホンカードインストール要求7901は、メッセージが電子テレホンカードインストール要求7901であることと、そのデータ構造とを示すヘッダ情報、電子テレホンカードインストール要求ヘッダ12700と、ユーザが入力したインストールカード番号12701及びインストール番号12702と、この電子テレホンカードインストールの処理をユニークに示す番号として任意に生成した要求番号12703と、ユーザＩＤ12704と、この電子テレホンカードインストール要求7901の発行日時12705とから成るデータについて、ユーザのデジタル署名を行ない、サービス提供者宛に封書化したものである。
【２２１６】
サービス提供システム110のユーザプロセスは、電子テレホンカードインストール要求7901を受信し、暗号を復号化し、デジタル署名をチェックして、サービスマネージャプロセスへ送る。サービスマネージャプロセスは、サービスディレクタプロセスを生成して、電子テレホンカードインストール要求12706を処理するプロセスグループを生成する。
【２２１７】
サービスディレクタプロセスは、まず、テレホンカード発行者リスト5205のインストールカードリストアドレス5243によって示されるインストールカードリストを参照し、インストールカード番号12701が示すテレホンカードを発行するテレホンカード発行者を特定し、そのテレホンカード発行システムに対して、インストールカードによるテレホンカードの発行を要求するメッセージ、テレホンカードインストール要求12717を生成し、テレホンカード発行者プロセスが、これをテレホンカード発行者宛に封書化し、テレホンカードインストール要求7902として、テレホンカード発行システム109へ送信する。
【２２１８】
図１２７（ｂ）に示すように、テレホンカードインストール要求7902は、メッセージがテレホンカードインストール要求7902であることと、そのデータ構造とを示すヘッダ情報、テレホンカードインストール要求ヘッダ12710と、インストールカード番号12711と、インストール番号12712と、要求番号12713と、テレホンカード発行者に対してユーザをユニークに示す顧客番号12714と、サービス提供者ＩＤ12715と、このテレホンカードインストール要求7902の発行日時12716とから成るデータについて、サービス提供者のデジタル署名を行ない、テレホンカード発行者宛に封書化したものである。
【２２１９】
テレホンカード発行システム109は、テレホンカードインストール要求7902を受信し、暗号を復号化し、デジタル署名をチェックする。そして、テレホンカード発行サーバ1300が、テレホンカードインストール要求7902に含まれるインストールカード番号12711及びインストール番号12712を、テレホンカード発行情報サーバ1302の発行済み電子テレホンカードインストールカードの管理情報と照合し、さらに、顧客情報サーバ1301、テレホンカード発行情報サーバ1302及びテレホンカード情報サーバ1303のデータを更新して、要求されたテレホンカードのテレホンカードデータ(12806)を生成し、サービス提供システムへ、そのテレホンカードに対応する電子テレホンカードのインストール処理を依頼するメッセージ、電子テレホンカードインストール依頼7903を送信する。
【２２２０】
図１２８（ａ）に示すように、電子テレホンカードインストール依頼7903は、メッセージが電子テレホンカードインストール依頼7903であることと、そのデータ構造とを示すヘッダ情報、電子テレホンカードインストール依頼ヘッダ12800と、ユーザとの取引をユニークに示す番号として任意に生成したトランザクション番号12801と、テレホンカード発行情報12802と、要求番号12803と、発行する電子テレホンカードの種類を示すカードコード12804と、発行する電子テレホンカードのテンプレートプログラムを示すテンプレートコード12805と、テレホンカードデータ12806と、表示部品情報12807と、テレホンカード発行者ＩＤ12808と、この電子テレホンカードインストール依頼7903を発行した日時を示す発行日時12809とから成るデータについて、テレホンカード発行者のデジタル署名を行ない、サービス提供者宛に封書化したものである。
【２２２１】
テレホンカード発行情報12802は、テレホンカード発行システムにおけるテレホンカード発行処理に関する情報であり、テレホンカード発行者のデジタル署名が施されている。
【２２２２】
テレホンカードデータ12806は、テレホンカード発行者が発行するテレホンカード情報であり、カードＩＤ12814と、テレホンカード情報12815と、テレホンカード発行者ＩＤ12816とからなるデータについて、テレホンカード発行者のデジタル署名を行なったものである。
【２２２３】
サービス提供システムのテレホンカード発行者プロセスは、電子テレホンカードインストール依頼7903を受信し、暗号を復号化し、デジタル署名をチェックして、サービスディレクタプロセスへ送る。サービスデイレクタプロセスは、電子テレホンカードインストール依頼12810にもとづいて、テレホンカード購入の処理の場合と同様の手順で、ユーザに発行する電子テレホンカードを生成し、さらに、それをモバイルユーザ端末にインストールするメッセージ、電子テレホンカードインストール12825を生成する。ユーザプロセスは、電子テレホンカードインストール12825をユーザ宛に封書化し、電子テレホンカードインストール7904として、デジタル無線電話通信で、モバイルユーザ端末へ送信する。
【２２２４】
図１２８（ｂ）に示すように、電子テレホンカードインストール7904は、メッセージが電子テレホンカードインストール7904であることと、そのデータ構造とを示すヘッダ情報、電子テレホンカードインストールヘッダ12817と、トランザクション番号12818と、テレホンカード発行システムにおけるテレホンカード発行処理に関する情報、テレホンカード発行情報12819と、サービス提供システムにおけるテレホンカード発行処理に関する情報、テレホンカード発行情報12820と、要求番号12821と、生成された電子テレホンカードデータ12822と、サービス提供者ＩＤ12823と、この電子テレホンカードインストール7904を発行した日時を示す発行日時12824とから成るデータについて、サービス提供者のデジタル署名を行ない、ユーザ宛に封書化したものである。テレホンカード発行情報12819及びテレホンカード発行情報12820には、それぞれ、テレホンカード発行者とサービス提供者のデジタル署名が施されている。
【２２２５】
電子テレホンカードインストール7904を受信したモバイルユーザ端末は、暗号を復号化し、デジタル署名をチェックし、電子テレホンカードインストール7904に含まれる電子テレホンカードを、テレホンカードリスト1714に登録し、ＬＣＤ303にインストールした電子テレホンカードを表示する（電子テレホンカードの表示7905）。
【２２２６】
次に、電子クレジットカードサービスのリアルクレジット決済の処理において、機器間で交換されるメッセージの内容について説明する。
【２２２７】
図８４は、リアルクレジット決済の処理における機器間のメッセージ交換の手順を示し、図１３５（ａ）〜（ｆ）、図１３６（ａ）〜（ｃ）、図１３７（ａ）（ｂ）は、リアルクレジット決済の処理において、機器間で交換するメッセージの内容を示している。
【２２２８】
まず、マーチャントが、キャッシュレジスタのクレジットカード決済のスイッチを押す8401と、マーチャント端末102またはマーチャント端末103は、複数種類の支払オファー応答8406を生成し、支払オファー8405の受信待ち状態となる。
【２２２９】
複数種類の支払オファー応答8406とは、ユーザが指定した支払金額が足りない場合、または、ユーザが指定したクレジットカードまたは支払オプションが取扱えない場合、または、支払オファー8405を受諾する場合のそれぞれの場合に対応する支払オファー応答8406である。
【２２３０】
次に、ユーザが、支払操作8404をすると、モバイルユーザ端末100は、支払オファー8405を生成し、赤外線通信で、マーチャント端末102またはマーチャント端末103に送信する。
【２２３１】
図１３５（ａ）に示すように、支払オファー8405は、メッセージが支払オファー8405であることと、そのデータ構造とを示すヘッダ情報、支払オファーヘッダ13500と、ユーザが指定した電子クレジットカードの種類を示すサービスコード、支払サービスコード13501と、サービス提供者ＩＤ13502と、マーチャントとの取引をユニークに示す番号として任意に生成した要求番号13503と、ユーザが入力した支払金額13504と、ユーザが入力した支払回数等の支払オプションを示す支払オプションコード13505と、この支払オファー8405の有効期間13506と、この支払オファー8405を発行した日時を示す発行日時13507とから成るデータについて、ユーザのデジタル署名を施したものである。
【２２３２】
マーチャント端末102またはマーチャント端末103は、支払オファー8405を受信し、その支払サービスコード13501と、支払金額13504と、支払オプション13505とを検証して、複数種類の支払オファー応答8406の中から、適当な支払オファー応答8406を選択して、赤外線通信でモバイルユーザ端末100に送信し、さらに、信用照会要求8409を生成して、サービス提供システム110のマーチャントプロセスへ送信する。
【２２３３】
図１３５（ｂ）に示すように、支払オファー応答8406は、メッセージが支払オファー応答8406であることと、そのデータ構造とを示すヘッダ情報、支払オファー応答ヘッダ13508と、モバイルユーザ端末100が支払オファー応答8406を受信した際にＬＣＤ303に表示される応答メッセージ13509と、ユーザとの取引をユニークに示す番号として任意に生成したトランザクション番号13510と、請求金額13511と、マーチャントのサービスエリアのサービス提供システムの電話番号を示すサービス提供者電話番号13512と、この支払オファー応答8406の有効期間13513と、マーチャントＩＤ13514と、この支払オファー応答8406を発行した日時を示す発行日時13515とから成るデータについて、マーチャントのデジタル署名を施したものである。
【２２３４】
サービス提供者電話番号13512には、サービス提供者のデジタル署名がされており、また、応答メッセージ13509は、マーチャントのオプションで設定するテキストメッセージであり、設定されない場合もある。
【２２３５】
ユーザが指定した支払金額が足りない場合、または、ユーザが指定したクレジットカードまたは支払オプションが取扱えない場合、マーチャント端末は、トランザクション番号13510に“０”を設定して、支払オファー8405が受諾できないことを、モバイルユーザ端末に示す。
【２２３６】
図１３５（ｃ）に示すように、信用照会要求8409は、メッセージが信用照会要求8409であることと、そのデータ構造とを示すヘッダ情報、信用照会要求ヘッダ13516と、支払オファー8405と、支払オファー応答8406と、課金装置ＩＤ13517と、マーチャントＩＤ13518と、この信用照会要求8409を発行した日時を示す発行日時13519とから成るデータについて、マーチャントのデジタル署名を行ない、サービス提供者宛に封書化したものである。
【２２３７】
一方、モバイルユーザ端末100は、支払オファー応答8406を受信し、支払金額13504と請求金額13511とを照合して、支払要求8410を生成し、デジタル無線電話通信で、サービス提供システム110のユーザプロセスに送信する。
【２２３８】
図１３５（ｄ）に示すように、支払要求8410は、メッセージが支払要求8410であることと、そのデータ構造とを示すヘッダ情報、支払要求ヘッダ13524と、支払オファー8405と、支払オファー応答8406と、ユーザＩＤ13525と、この支払要求8403を発行した日時を示す発行日時13526とから成るデータについて、ユーザのデジタル署名を行ない、サービス提供者宛に封書化したものである。
【２２３９】
マーチャント端末102またはマーチャント端末103による信用照会要求8409のマーチャントプロセスへの送信と、モバイルユーザ端末による支払要求8410のユーザプロセスへの送信は、どちらが先に行なわれてもよく、同時であってもよい。
【２２４０】
サービス提供システム110のマーチャントプロセスとユーザプロセスは、それぞれ、信用照会要求8409と支払要求8410とを受信し、暗号を復号化し、デジタル署名をチェックして、それぞれ、信用照会要求13520と支払要求13527とをサービスマネージャプロセスに送る。サービスマネージャプロセスは、要求番号とトランザクション番号とマーチャントＩＤとを照合して、信用照会要求と支払要求との対応をとり、サービスディレクタプロセスを生成して、信用照会要求13520と支払要求13527とを処理するプロセスグループを生成する。サービスディレクタプロセスは、信用照会要求13520と支払要求13527との内容を照合し、ユーザの信用照会を行なって、信用照会応答13540を生成し、マーチャントプロセスが、これをマーチャント宛に封書化し、信用照会応答8411としてマーチャント端末へ送信する。
【２２４１】
図１３５（ｅ）に示すように、信用照会応答8411は、メッセージが信用照会応答8411であることと、そのデータ構造とを示すヘッダ情報、信用照会応答ヘッダ13531と、トランザクション番号13532と、信用照会の処理をユニークに示す番号として任意に生成した照会番号13533と、信用照会の結果を示す照会結果13534と、ユーザの顔写真と属性情報を示すユーザ個人データ13535と、マーチャントに対してユーザをユニークに示す顧客番号13536と、この信用照会応答8404の有効期間を示す有効期間13537と、サービス提供者ＩＤ13538と、この信用照会応答8404を発行した日時を示す発行日時13539とから成るデータについて、サービス提供者のデジタル署名を行ない、マーチャント宛に封書化したものである。信用照会の結果、ユーザの信用状況に問題がある場合は、ユーザ個人データ13534は設定されず、また、顧客番号13536は、ユーザとマーチャントとの間で、以前に、モバイル・エレクトロニックコマース・サービスによる取引があった場合に設定される。
【２２４２】
マーチャント端末102またはマーチャント端末103は、信用照会応答8411を受信し、暗号を復号化し、デジタル署名をチェックして、信用照会の結果をＬＣＤに表示する。
【２２４３】
次に、オペレータ（マーチャント）が、決済処理要求操作8413を行なうと、マーチャント端末は、決済要求8415を生成し、マーチャントプロセスへ送信する。
【２２４４】
図１３５（ｆ）に示すように、決済要求8415は、メッセージが決済要求8415であることと、そのデータ構造とを示すヘッダ情報、決済要求ヘッダ13544と、支払オファー8405と、支払オファー応答8406と、サービス提供システム110が発行した照会番号13545と、この決済要求8415の有効期間を示す有効期間13546と、課金装置ＩＤ13547と、マーチャントＩＤ13548と、この決済要求8415を発行した日時を示す発行日時13549とから成るデータについて、マーチャントのデジタル署名を行ない、サービス提供者宛に封書化したものである。
【２２４５】
サービス提供システム110のマーチャントプロセスは、決済要求8415を受信し、暗号を復号化し、デジタル署名をチェックして、決済要求8450をサービスディレクタプロセスへ送る。サービスディレクタプロセスは、決済要求8450と支払要求8427との内容を照合して、決済処理機関に対する決済要求13610を生成し、決済処理機関プロセスが、これを決済処理機関宛に封書化し、決済要求8416として、決済処理システムに送信する。
【２２４６】
図１３６（ａ）に示すように、決済要求8416は、メッセージが決済要求8416であることと、そのデータ構造とを示すヘッダ情報、決済要求ヘッダ13600と、ユーザが指定した支払サービスコードに対応するクレジットカードを示すユーザ決済口座13601と、モバイルユーザ端末100が発行した要求番号13602と、支払金額13603と、支払オプションコード13604と、マーチャントの決済口座を示すマーチャント決済口座13605と、マーチャント端末が発行したトランザクション番号13606と、この決済要求8416の有効期間を示す有効期間13607と、サービス提供者ＩＤ13608と、この決済要求8416を発行した日時を示す発行日時13609とから成るデータについて、サービス提供者のデジタル署名を行ない、決済処理機関宛に封書化したものである。
【２２４７】
決済処理システム106は、決済要求8416を受信し、暗号を復号化し、デジタル署名をチェックして、決済処理を行なう。そして、決済完了通知8417を生成し、サービス提供システム110に送信する。
【２２４８】
図１３６（ｂ）に示すように、決済完了通知8417は、メッセージが決済完了通知8417であること示すヘッダ情報、決済完了通知ヘッダ13614と、決済処理システム106の決済処理をユニークに示す番号として任意に生成した決済番号13615と、ユーザ決済口座13616と、要求番号13617と、支払金額13618と、支払オプションコード13619と、マーチャント決済口座13620と、トランザクション番号13621と、決済処理機関のデジタル署名をしたサービス提供者向け決済情報13622と、決済処理機関のデジタル署名をしたマーチャント向け決済情報13623と、決済処理機関のデジタル署名をしたユーザ向け決済情報13624と、決済処理機関ＩＤ13625と、この決済完了通知を発行した日時を示す発行日時13626とから成るデータについて、決済処理機関のデジタル署名を行ない、サービス提供者宛に封書化したものである。
【２２４９】
サービス提供システム110の決済処理機関プロセスは、決済完了通知8417を受信し、暗号を復号化し、デジタル署名をチェックして、決済完了通知13627をサービスディレクタプロセスに送る。サービスディレクタプロセスは、決済完了通知13627から、マーチャントに対する決済完了通知13637を生成し、マーチャントプロセスが、これをマーチャント宛に封書化し、マーチャントに対する決済完了通知8418として、マーチャント端末へ送信する。
【２２５０】
図１３６（ｃ）に示すように、決済完了通知8418は、メッセージが決済完了通知8418であることと、そのデータ構造とを示すヘッダ情報、決済完了通知ヘッダ13631と、決済番号13632と、決済処理機関のデジタル署名をしたマーチャント向け決済情報13623と、マーチャントに対して、ユーザをユニークに示す番号として生成した番号、顧客番号13633と、暗号を復号化した決済要求13550と、サービス提供システム110における処理に関する情報を示すサービス提供情報13634と、サービス提供者ＩＤ13635と、この決済完了通知8418を発行した日時を示す発行日時13636とから成るデータについて、サービス提供者のデジタル署名を行ない、マーチャント宛に封書化したものである。サービス提供情報13634は、サービス提供者のオプションで設定する情報であり、設定されない場合もある。
【２２５１】
マーチャント端末は、決済完了通知8418を受信し、暗号を復号化し、デジタル署名をチェックして領収書8419を生成し、マーチャントプロセスへ送信する。
【２２５２】
図１３７（ａ）に示すように、領収書8419は、メッセージが、領収書8419であることと、そのデータ構造とを示すヘッダ情報、領収書ヘッダ13700と、販売した商品を示す商品名13701と、マーチャントからユーザへの取引に関する付加情報を示す販売情報13702と、決済番号13703と、トランザクション番号13704と、支払オファー8405と、課金装置ＩＤ13705と、マーチャントＩＤ13706と、この領収書8419を発行した日時を示す発行日時13707とから成るデータについて、マーチャントのデジタル署名を行ない、サービス提供者宛に封書化したものである。販売情報13702は、マーチャントのオプションで設定する情報であり、設定されない場合もある。
【２２５３】
サービス提供システム110のマーチャントプロセスは、領収書8419を受信し、暗号を復号化し、デジタル署名をチェックして、領収書13708をサービスディレクタプロセスに送る。サービスディレクタプロセスは、領収書13708から、ユーザに対する領収書13717を生成し、ユーザプロセスが、これをユーザ宛に封書化し、領収書8421として、デジタル無線電話通信で、モバイルユーザ端末100へ送信する。
【２２５４】
図１３７（ｂ）に示すように、領収書8421は、メッセージが領収書8421であることと、そのデータ構造とを示すヘッダ情報、領収書ヘッダ13712と、ユーザＩＤ13713と、暗号を復号化した領収書13708と、決済処理機関のデジタル署名をしたユーザ向け決済情報13624と、サービス提供システム110における処理に関する情報を示すサービス提供情報13714と、サービス提供者ＩＤ13715と、この領収書8421を発行した日時を示す発行日時13716とから成るデータについて、サービス提供者のデジタル署名を行ない、ユーザ宛に封書化したものである。サービス提供情報13713は、サービス提供者のオプションで設定する情報であり、設定されない場合もある。
【２２５５】
モバイルユーザ端末100は、領収書8421を受信し、暗号を復号化し、デジタル署名をチェックして、その内容をＬＣＤ303に表示し、このリアルクレジット決済の処理を終了する。
【２２５６】
なお、モバイルユーザ端末100においては、ＲＯＭ1501、及び、ＥＥＰＲＯＭ1503の代わりに、ＣＰＵ1500が実行するプログラムや、サービス提供者の公開鍵を格納するメモリデバイスとして、強誘電体不揮発性メモリを用いてもよい。強誘電体不揮発性メモリは、ＥＥＰＲＯＭやフラッシュメモリのように、書き込みが可能でありながら、バッテリィなしに、データが保持でき、しかも、ＥＥＰＲＯＭやフラッシュメモリに比べ、リードライトの速度が高速で、しかも、低消費電力という特性を持つメモリデバイスである。
【２２５７】
ＲＯＭ1501、及び、ＥＥＰＲＯＭ1503の代わりに、強誘電体不揮発性メモリを用いた場合、例えば、データアップデート処理と同様の処理によって、モバイルユーザ端末100のプログラムの大幅なバージョンアップや、定期的なサービス提供者の公開鍵の更新を、比較的、短時間に、しかも、バッテリィの寿命を、さほど損なうことなく、行なえるという利点がある。
【２２５８】
また、ＣＰＵ1500が処理するデータ、及び、ＣＰＵ1500が処理したデータを格納するＲＡＭ1502として、強誘電体不揮発性メモリを用いてもよい。この場合、バッテリィが切れても、データが保持されるので、データバックアップ処理をする必要がなく、また、ＲＡＭのデータ保持の為の電源の必要がないので、モバイルユーザ端末の消費電力を抑えるられるという利点がある。
【２２５９】
同様に、マーチャント端末103のＲＯＭ3001及びＥＥＰＲＯＭ3003、または、ＲＡＭ3002の代わりに、強誘電体不揮発性メモリを用いてもよい。これらの場合、それぞれ、モバイルユーザ端末100の場合と同様の効果がある。
【２２６０】
以上の説明では、モバイル・エレクトロニックコマース・システムを構成するモバイルユーザ端末100と、ケート端末101と、マーチャント端末102と、マーチャント端末103は、モバイル・エレクトロニックコマース・サービスにおける、それぞれの機能を実現するための、最適なハードウェア構成を備えているが、それぞれ、機能としては、無線電話通信機能と、赤外線通信機能、及び、ディスプレーと、キーボード（または、ペン入力デバイス）と、マイクと、スピーカと、マーチャント端末103の場合には、さらにバーコードリーダとを備えたコンピュータによって構成することもできる。
【２２６１】
この場合、モバイルユーザ端末100、または、ゲート端末101、マーチャント端末102、マーチャント端末103の内部のハードウェアの内、機能的に対応するハードウェアを、コンピュータが備えていないハードウェア（例：データコーデック、暗号処理プロセッサ、制御ロジック部、など）に関して、その機能をソフトウェア・プログラム化して、ＲＯＭ1501( or 2201,2601,3001)に格納されているプログラムと共に、パソコンのＯＳ(Operating System)上で動作するソフトウェア・プログラムに変換し、そのソフトウェア・プログラムを、コンピュータから実行可能な場所（例：ハードディスク）に格納しておく。
【２２６２】
（第２の実施の形態）
次に、本発明の第２の実施の形態について、図１３９から図１４０を用いて説明する。
【２２６３】
第２の実施の形態は、第１の実施の形態のモバイルユーザ端末100において、ＥＥＰＲＯＭ1503の代わりに、ＳＩＭカード(Subscriber Identity Module Card)を用いて、モバイルユーザ端末を構成したモバイル・エレクトロニックコマース・システムである。
【２２６４】
図１３９（ａ）、図１３９（ｂ）は、それぞれ、第２の実施の形態におけるモバイルユーザ端末13900の前面側及び背面側の外観図、図１４０は、モバイルユーザ端末13900のブロック構成図である。モバイルユーザ端末13900のブロック構成は、ＥＥＰＲＯＭ1503の代わりに、ＳＩＭカード14000とＳＩＭカードリーダライタ14001とを備えている以外は、モバイルユーザ端末100と同じである。また、モバイルユーザ端末13900の外観も、背面側に、ＳＩＭカード14000を装着するためのＳＩＭカード取付口13901がある以外は、モバイルユーザ端末100と同じである。
【２２６５】
ＳＩＭカード14000の内部の不揮発性メモリには、第１の実施の形態のＥＥＰＲＯＭ1503に格納される情報と同じ、モバイルユーザ端末13900の無線電話端末としてのターミナルＩＤ及び電話番号、ユーザＩＤ、ユーザの暗証番号、デジタル署名用のプライベート鍵及び公開鍵、サービス提供者ＩＤ、サービス提供システム110の電話番号（サービス提供システムの電話番号には、サービス提供者のデジタル署名が施されている）、並びにサービス提供者の公開鍵が格納される。
【２２６６】
ＳＩＭカード14000は、モバイルユーザ端末13900から取外して、ＳＩＭカード14000単体で、持ち歩くことができる。ＳＩＭカード14000が、取外されている場合には、モバイルユーザ端末13900は動作せず、ＳＩＭカード14000が、ＳＩＭカードリーダライタ14001に装着されている場合には、モバイルユーザ端末13900のＣＰＵ1500が、ＳＩＭカード14000に格納されている情報に、ＳＩＭカードリーダライタ14001及びバス1529を介してアクセスし、モバイルユーザ端末13900は、第１の実施の形態のモバイルユーザ端末100と、同様の動作を行なう。
【２２６７】
また、モバイルユーザ端末13900は、ＳＩＭカード14000を取出す際に、次の動作を行なう。
【２２６８】
まず、ユーザが電源スイッチ５秒間押し続ける（ＳＩＭカード14000の取出し操作１）と、モバイルユーザ端末13900は、ＳＩＭカードの取出し操作を確認するダイアログメッセージをＬＣＤ303に表示する。次に、ユーザが実行スイッチを押すと（ＳＩＭカード14000の取出し操作２）と、モバイルユーザ端末13900は、サービス提供システム110との間で、データアップデート処理を行ない、モバイルユーザ端末13900のＲＡＭ1502上のデータを、ユーザ情報サーバ902にアップロードする。そして、ユーザが、ＳＩＭカード14000を、ＳＩＭカードリーダライタ14001から取外す（ＳＩＭカード14000の取出し操作３）と、モバイルユーザ端末13900は、ＲＡＭ1502上のデータを全て消去する。
【２２６９】
つまり、ＳＩＭカードがモバイルユーザ端末から取外されている状態では、モバイルユーザ端末のＲＡＭに格納されていた電子チケットや電子プリペイドカード等のデータは、サービス提供システム110のユーザ情報サーバ902にアップロードされている。
【２２７０】
また、モバイルユーザ端末13900は、ＳＩＭカード14000の装着の際に、次の動作を行なう。
【２２７１】
ＳＩＭカード14000を、ＳＩＭカードリーダライタ14001に装着すると、まず、モバイルユーザ端末13900は、暗証番号の入力を促す画面をＬＣＤ303に表示する。ユーザが、暗証番号を入力して、実行スイッチを押すと、ＳＩＭカード14000によって、ＳＩＭカードの不揮発性メモリに格納されている暗証番号と入力された暗証番号とが照合される。暗証番号が一致しなかった場合には、モバイルユーザ端末13900は、再び、暗証番号の入力を促す画面をＬＣＤ303に表示する。暗証番号が一致した場合には、ＳＩＭカード14000へのアクセスが許可され、モバイルユーザ端末13900は、ＳＩＭカード14000から、ユーザＩＤ、デジタル署名用のプライベート鍵、サービス提供システム110の電話番号、サービス提供者の公開鍵等の情報を読み出して、サービス提供システム110との間で、データアップデート処理を行ない、モバイルユーザ端末13900のＲＡＭ1502のテータを更新する。この時、モバイルユーザ端末13900のＲＡＭ1502には、ＳＩＭカード14000に格納されているユーザＩＤに対応する、ユーザ情報サーバ902上のモバイルユーザ端末のデータが格納される。
【２２７２】
つまり、サービス提供システム110のユーザ情報サーバ902にアップロードされていた電子チケットや電子プリペイドカード等のモバイルユーザ端末のデータは、ＳＩＭカードを装着したモバイルユーザ端末にダウンロードされる。例えば、以前ＳＩＭカードを装着していたモバイルユーザ端末とは異なるモバイルユーザ端末に、ＳＩＭカードを装着した場合、以前ＳＩＭカードを装着していたモバイルユーザ端末のＲＡＭに格納されていたデータと同じデータが、ＳＩＭカードを装着したモバイルユーザ端末のＲＡＭに格納される。
【２２７３】
したがって、ユーザは、自分のユーザＩＤが格納されたＳＩＭカード14000を持ち歩き、任意のモバイルユーザ端末に対して、ＳＩＭカード14000を装着することによって、そのモバイルユーザ端末を、自分のモバイルユーザ端末として使用することができる。
【２２７４】
なお、モバイルユーザ端末13900においては、ＳＩＭカード14000の不揮発性メモリに、ユーザＩＤや、暗証番号等の情報を格納する領域のほかに、ＲＡＭ1502の基本プログラム領域1700、サービスデータ領域1701、ユーザ領域1702、テンポラリ領域1704に対応する領域を設けて、ＲＡＭ1502の基本プログラム領域1700、サービスデータ領域1701、ユーザ領域1702、テンポラリ領域1704に格納していたデータを、ＳＩＭカード14000の不揮発性メモリに格納するようにしてもよい。
【２２７５】
この場合、電子チケツトや電子プリペイドカード等のデータは、ＳＩＭカード14000の不揮発性メモリに格納され、ＲＡＭ1502は、ＣＰＵ1500がプログラムを実行する際に使用する作業領域となる。
【２２７６】
第１の実施の形態のモバイルユーザ端末100のワーク領域1703以外のＲＡＭ1502に格納されていたデータが、ＳＩＭカード14000の不揮発性メモリ内に保持されることになるので、ＳＩＭカードの取外しと装着の際に行なっていた、データアップデート処理をする必要がなく、また、データ保持のための電源が必要ないので、モバイルユーザ端末の消費電力を抑えられるという利点がある。
【２２７７】
また、ＳＩＭカード14000の不揮発性メモリとして、強誘電体不揮発性メモリを用いてもよい。この場合、ＥＥＰＲＯＭやフラッシュメモリに比べ、リードライトが高速で、低消費電力であるという強誘電体不揮発性メモリの特性により、モバイルユーザ端末の処理が高速化られ、消費電力を抑えられるという利点がある。
【２２７８】
（第３の実施の形態）
次に、本発明の第３の実施の形態について、図１４１から図１４３を用いて説明する。
【２２７９】
第３の実施の形態は、ＩＣカードリーダライタを備え、ユーザが取得した電子チケットや、電子プリペイドカード、電子テレホンカードを、装着されたＩＣカードに格納する携帯無線電話端末を、モバイルユーザ端末として用いたモバイル・エレクトロニックコマース・システムである。
【２２８０】
図１４１（ａ）、図１４１（ｂ）は、それぞれ、第３の実施の形態におけるモバイルユーザ端末14100の前面側及び背面側の外観図、図１４２は、モバイルユーザ端末14100のブロック構成図である。モバイルユーザ端末13900の外観は、背面側に、ＩＣカード14100を装着するためのＩＣカード挿入口14101がある以外は、モバイルユーザ端末100と同じである。また、モバイルユーザ端末14100のブロック構成は、暗号処理プロセッサ1505の代わりに、ＩＣカードリーダライタ14200を備えている以外は、モバイルユーザ端末100と同じである。ＩＣカードリーダライタ14200にＩＣカード14102が装着されている場合、モバイルユーザ端末14100は、サービス提供システム110及び、ゲート端末101、マーチャント端末102、マーチャント端末103、自動販売機104、交換局105といった他の機器に対して、第１の実施の形態のモバイルユーザ端末100と、同様の動作を行なう。
【２２８１】
但し、モバイルユーザ端末14100の場合、ＩＣカード14102の装着の際に、次の動作を行なう。
【２２８２】
ＩＣカード14102を、ＩＣカードリーダライタ14200に装着すると、まず、モバイルユーザ端末14100は、暗証番号の入力を促す画面をＬＣＤ303に表示する。ユーザが、暗証番号を入力して、実行スイッチを押すと、ＩＣカード14102によって、ＩＣカードに格納されている暗証番号と入力された暗証番号とが照合される。暗証番号が一致しなかった場合には、モバイルユーザ端末14100は、再び、暗証番号の入力を促す画面をＬＣＤ303に表示する。暗証番号が一致した場合には、ＩＣカード14102へのアクセスが許可される。
【２２８３】
また、モバイルユーザ端末14100の場合、ユーザＩＤ及びユーザの暗証番号、デジタル署名用のプライベート鍵及び公開鍵、サービス提供者ＩＤ、サービス提供システム110の電話番号、サービス提供者の公開鍵は、ＩＣカード14102に格納され、ＥＥＰＲＯＭ1503には、モバイルユーザ端末14100の無線電話端末としてのターミナルＩＤと電話番号が格納される。
【２２８４】
また、モバイルユーザ端末14100の場合、第１の実施の形態のモバイルユーザ端末100では、ＲＡＭ1502の基本プログラム領域1700、サービスデータ領域1701、ユーザ領域1702、テンポラリ領域1704に格納されていた追加プログラムや電子チケット、電子プリペイドカード等のデータは、ＩＣカード14102に格納され、モバイルユーザ端末14100のＲＡＭ1502は、ＣＰＵ1500がプログラムを実行する際に使用する作業領域となる。
【２２８５】
また、モバイルユーザ端末14100の場合、モバイル・エレクトロニックコマース・サービスにおいて、モバイルユーザ端末14100と、サービス提供システム110及び、ゲート端末101、マーチャント端末102、マーチャント端末103、自動販売機104、交換局105との間で交換するメッセージのデータ処理の一部を、ＩＣカードリーダライタ14200に装着したＩＣカード14100によって行なう。
【２２８６】
図１４３は、ＩＣカード14102のブロック構成図である。
【２２８７】
ＩＣカード14102は、接触型ＩＣカードと非接触型ＩＣカードの２つのインターフェイスを備えたＩＣカードであり、ＲＯＭ(Read Only Memory)14301に格納されたプログラムにしたがって、送信データと受信データの処理、及び、バス14318を介して他の構成要素の制御を行なうＣＰＵ(Central Processing Unit)14300と、ＣＰＵ14300が処理するデータ、及びＣＰＵ14300が処理したデータが格納されるＲＡＭ(Random Access Memory)14302と、ユーザＩＤ及びユーザの暗証番号、デジタル署名用のプライベート鍵及び公開鍵、サービス提供者ＩＤ、サービス提供システム110の電話番号、サービス提供者の公開鍵、さらには、第１の実施の形態では、ＲＡＭ1502の基本プログラム領域1700、サービスデータ領域1701、ユーザ領域1702、テンポラリ領域1704に格納されていた追加プログラムや電子チケット、電子プリペイドカード等のデータを格納するＦｅＲＡＭ(Ferroelectric Random Access Memory：強誘電体ランダムアクセスメモリ)14303と、ＣＰＵ14300の制御にしたがってデータの暗号化処理及び復号化処理を行なう暗号処理プロセッサ14304と、ＣＰＵ14300の制御にしたがって接触型ＩＣカードのコンタクト14306から入力または出力される信号の変換と制御を行なう入出力回路14305と、ＣＰＵ14300の制御にしたがって非接触型ＩＣカードのアンテナ14308から入力または出力される無線電波の変換と制御を行なうＲＦモデム14307とを備えている。
【２２８８】
暗号処理プロセッサ14304は、第１の実施の形態のモバイルユーザ端末100の暗号処理プロセッサ1505に対応する構成要素であり、秘密鍵方式の暗号化及び復号化の機能と公開鍵方式の暗号化及び復号化の機能とを持ち、ＣＰＵ14300によって設定された暗号方式と鍵とで、ＣＰＵ14300によって設定されたデータを暗号化処理または復号化処理する。この暗号処理プロセッサ14304の暗号化と復号化の機能を用いて、メッセージのデジタル署名処理、または、封書化処理を行ない、また、封書化されたメッセージの暗号の復号化処理、または、デジタル署名されたメッセージのデジタル署名の検証処理を行なう。
【２２８９】
例えば、デジタル署名処理と封書化処理とを施したメッセージを、デジタル無線電話通信で送信する場合には、まず、ＣＰＵ14300が、暗号処理プロセッサ14304を用いて、メッセージのデジタル署名処理と、封書化処理とを行ない、それを入出力回路14305へ送る。デジタル署名処理と封書化処理とを施したメッセージは、入出力回路14305によって電気信号に変換され、コンタクト14306から出力される。ＣＰＵ1500は、ＩＣカードリーダライタ14200及びバス1529を介して、コンタクト14306から出力される電気信号を、メッセージとして読み出し、データコーデック1506を用いて、そのテジタル署名処理と封書化処理とを施したメッセージを、デジタル無線電話のデータ通信のデータ形式に符号化して、それを、制御ロジック部1508を介して、チャンネルコーデック1513へ送る。
【２２９０】
逆に、デジタル署名処理と封書化処理とが施されたメッセージを、デジタル無線電話通信で受信した場合には、ＣＰＵ1500は、受信したメッセージを、制御ロジック部1508を介して、チャンネルコーデック1513から読み出し、データコーデック1506を用いて、受信したメッセージを復号化し、さらに、バス1529及びＩＣカードリーダライタ14200を介して、ＩＣカード14102に送信する。ＣＰＵ14300は、コンタクト14306及び入出力回路14305を介して、メッセージを受信し、暗号処理プロセッサ14304を用いて、封書化されているメッセージの暗号の復号化処理とメッセージに施されたデジタル署名の検証処理とを行なう。
【２２９１】
同様に、デジタル署名処理と封書化処理とを施したメッセージを、赤外線通信で送信する場合には、まず、ＣＰＵ14300が、暗号処理プロセッサ14304を用いて、メッセージのデジタル署名処理と、封書化処理とを行ない、それを入出力回路14305へ送る。デジタル署名処理と封書化処理とを施したメッセージは、入出力回路14305によって電気信号に変換され、コンタクト14306から出力される。ＣＰＵ1500は、ＩＣカードリーダライタ14200及びバス1529を介して、コンタクト14306から出力される電気信号を、メッセージとして読み出し、データコーデック1506を用いて、デジタル署名処理と封書化処理とを施したメッセージを、赤外線通信のデータ形式に符号化して、それを、赤外線通信モジュール1507へ送る。
【２２９２】
逆に、デジタル署名処理と封書化処理とが施されたメッセージを、赤外線通信で受信した場合には、ＣＰＵ1500は、受信したメッセージを、赤外線通信モジュール1507から読み出し、データコーデック1506を用いて、受信したメッセージを復号化し、さらに、バス1529及びＩＣカードリーダライタ14200を介して、ＩＣカード14102に送信する。ＣＰＵ14300は、コンタクト14306及び入出力回路14305を介して、メッセージを受信し、暗号処理プロセッサ14304を用いて、封書化されているメッセージの暗号の復号化処理とメッセージに施されたデジタル署名の検証処理とを行なう。
【２２９３】
図１４４は、ＦｅＲＡＭ14303のメモリマップであり、ＦｅＲＡＭ14303には、セキュリティ領域14400、基本プログラム領域14401、サービスデータ領域14402、ユーザ領域14403、テンポラリ領域14404の５つの領域がある。セキュリティ領域14400は、ユーザＩＤ、ユーザの暗証番号、デジタル署名用のプライベート鍵及び公開鍵、サービス提供者ＩＤ、サービス提供システム110の電話番号（サービス提供システムの電話番号には、サービス提供者のデジタル署名が施されている）、並びにサービス提供者の公開鍵を格納する領域である。基本プログラム領域14401、サービスデータ領域14402、ユーザ領域14403、テンポラリ領域14404は、それぞれ、第１の実施の形態のモバイルユーザ端末100のＲＡＭ1502の基本プログラム領域1700、サービスデータ領域1701、ユーザ領域1702、テンポラリ領域1704に対応する領域であり、第１の実施の形態の場合と同様のデータが格納される。つまり、ＩＣカード14102の中に、ユーザＩＤやデジタル署名用の鍵、あるいは、ユーザが取得した電子チケットや電子プリペイドカードといった、モバイル・エレクトロニックコマース・サービスにおいて使用される情報の全てが格納される。
【２２９４】
したがって、ユーザは、自分のユーザＩＤが格納されたＩＣカード14102を持ち歩き、任意のモバイルユーザ端末に対して、ＩＣカード14102を装着することによって、そのモバイルユーザ端末を用いて、モバイル・エレクトロニックコマース・サービスの機能を使用することができる。
【２２９５】
また、ＩＣカード14102が取外されている場合、ＩＣカード14102にアクセスすることができないので、モバイルユーザ端末14100は、モバイル・エレクトロニックコマース・サービスにおけるメッセージのデータ処理を実行できない。したがって、この場合、モバイルユーザ端末14100のモバイル・エレクトロニックコマース・サービスの機能は使用できず、デジタル無線電話の機能のみが使用できる。
【２２９６】
図１４１（ｃ）は、ＩＣカード14102を装着していない場合のデジタル無線電話モードにおけるＬＣＤ303に表示される画面を、図１４１（ｄ）は、ＩＣカード14102を装着した場合のクレジットカードモード時にＬＣＤ303に表示される画面を示している。
【図面の簡単な説明】
【２２９７】
【図１】本発明の実施の形態におけるモバイル・エレクトロニックコマース・システムのブロック構成図
【図２】（ａ）本発明の実施の形態における譲渡機能の解説図  （ｂ）本発明の実施の形態におけるインストールカードの機能の解説図
【図３】（ａ）本発明の実施の形態におけるモバイルユーザ端末のクレジットカードモード時の前面の概観図  （ｂ）本発明の実施の形態におけるモバイルユーザ端末の背面の概観図  （ｃ）本発明の実施の形態におけるモバイルユーザ端末のチケットモード時の前面の概観図  （ｄ）本発明の実施の形態におけるモバイルユーザ端末のプリペイドカードモード時の前面の概観図  （ｅ）本発明の実施の形態におけるモバイルユーザ端末のテレホンカードモード時の前面の概観図  （ｆ）本発明の実施の形態の変形例におけるモバイルユーザ端末のチケットモード時の前面の概観図  （ｇ）本発明の実施の形態の変形例におけるモバイルユーザ端末のプリペイドカードモード時の前面の概観図  （ｈ）本発明の実施の形態の変形例におけるモバイルユーザ端末のテレホンカードモード時の前面の概観図
【図４】本発明の実施の形態におけるゲート端末の概観図
【図５】本発明の実施の形態におけるマーチャント端末の概観図
【図６】本発明の実施の形態におけるマーチャント端末（デジタル無線電話機タイプ）の概観図
【図７】本発明の実施の形態における自動販売機の概観図
【図８】本発明の実施の形態における交換局のブロック構成図
【図９】本発明の実施の形態におけるサービス提供システムのブロック構成図
【図１０】本発明の実施の形態における決済処理システムのブロック構成図
【図１１】本発明の実施の形態におけるチケット発行システムのブロック構成図
【図１２】本発明の実施の形態におけるプリペイドカード発行システムのブロック構成図
【図１３】本発明の実施の形態におけるテレホンカード発行システムのブロック構成図
【図１４】（ａ）、（ｂ）本発明の実施の形態における電子プリペイドカードインストールカードの概観図  （ｃ）、（ｄ）本発明の実施の形態における電子テレホンカードインストールカードの概観図  （ｅ）、（ｆ）本発明の実施の形態における電子チケットインストールカードの概観図
【図１５】本発明の実施の形態におけるモバイルユーザ端末のブロック構成図
【図１６】（ａ）本発明の実施の形態におけるモバイルユーザ端末の内部レジスタの構成図  （ｂ）本発明の実施の形態におけるモバイルユーザ端末の割込レジスタのビットフィールド構成図
【図１７】本発明の実施の形態におけるモバイルユーザ端末のＲＡＭマップの摸式図
【図１８】本発明の実施の形態におけるモバイルユーザ端末のサービスデータ領域に格納されるデータの摸式図
【図１９】本発明の実施の形態における電子チケットのデータ構造の摸式図
【図２０】本発明の実施の形態における電子プリペイドカードのデータ構造の摸式図
【図２１】本発明の実施の形態における電子テレホンカードのデータ構造の摸式図
【図２２】本発明の実施の形態におけるゲート端末のブロック構成図
【図２３】（ａ）本発明の実施の形態におけるゲート端末の内部レジスタの構成図  （ｂ）本発明の実施の形態におけるゲート端末の割込レジスタのビットフィールド構成図
【図２４】本発明の実施の形態におけるゲート端末のＲＡＭマップの摸式図
【図２５】本発明の実施の形態におけるゲート端末のサービスデータ領域に格納されるデータの摸式図
【図２６】本発明の実施の形態におけるマーチャント端末のブロック構成図
【図２７】（ａ）本発明の実施の形態におけるマーチャント端末の内部レジスタの構成図  （ｂ）本発明の実施の形態におけるマーチャント端末の割込レジスタのビットフィールド構成図
【図２８】本発明の実施の形態におけるマーチャント端末のＲＡＭマップの摸式図
【図２９】本発明の実施の形態におけるマーチャント端末のサービスデータ領域に格納されるデータの摸式図
【図３０】本発明の実施の形態におけるマーチャント端末（デジタル無線電話機タイプ）のブロック構成図
【図３１】（ａ）本発明の実施の形態におけるマーチャント端末（デジタル無線電話機タイプ）の内部レジスタの構成図  （ｂ）本発明の実施の形態におけるマーチャント端末（デジタル無線電話機タイプ）の割込レジスタのビットフィールド構成図  （ｃ）本発明の実施の形態におけるマーチャント端末（デジタル無線電話機タイプ）のキー表示レジスタのビットフィールド構成図
【図３２】本発明の実施の形態におけるマーチャント端末（デジタル無線電話機タイプ）のＲＡＭマップの摸式図
【図３３】本発明の実施の形態におけるマーチャント端末（デジタル無線電話機タイプ）のサービスデータ領域に格納されるデータの摸式図
【図３４】本発明の実施の形態における自動販売機のブロック構成図
【図３５】（ａ）本発明の実施の形態における自動販売機の内部レジスタの構成図  （ｂ）本発明の実施の形態における自動販売機の割込レジスタのビットフィールド構成図
【図３６】本発明の実施の形態における課金装置のＲＡＭマップの摸式図
【図３７】本発明の実施の形態における課金装置のサービスデータ領域に格納されるデータの摸式図
【図３８】本発明の実施の形態における電子テレホンカード課金装置のブロック構成図
【図３９】本発明の実施の形態における電子テレホンカード課金装置のＲＡＭマップの摸式図
【図４０】本発明の実施の形態における電子テレホンカード課金装置のサービスデータ領域に格納されるデータの摸式図
【図４１】（ａ）本発明の実施の形態におけるデジタル署名の処理のフロー図  （ｂ）本発明の実施の形態におけるデジタル署名の処理のフロー解説図
【図４２】（ａ）本発明の実施の形態におけるメッセージの封書化処理のフロー図  （ｂ）本発明の実施の形態におけるメッセージの封書化処理のフロー解説図
【図４３】（ａ）本発明の実施の形態における封書化されたメッセージの復号化処理のフロー図  （ｂ）本発明の実施の形態における封書化されたメッセージの復号化処理のフロー解説図
【図４４】（ａ）本発明の実施の形態におけるデジタル署名の検証処理のフロー図  （ｂ）本発明の実施の形態におけるデジタル署名の検証処理のフロー解説図
【図４５】本発明の実施の形態におけるサービス提供システムの処理アーキテクチャ解説図
【図４６】本発明の実施の形態におけるサービス提供システムのユーザ情報サーバに、一人のユーザに対して格納されるデータの摸式図
【図４７】本発明の実施の形態におけるサービス提供システムのマーチャント情報サーバに、一つのゲート端末、マーチャント端末102、マーチャント端末103、課金装置、電子テレホンカード課金装置に対して格納されるデータの摸式図
【図４８】本発明の実施の形態におけるサービス提供システムの決済処理機関情報サーバに、一つの決済処理機関に対して格納されるデータの摸式図
【図４９】本発明の実施の形態におけるサービス提供システムのチケット発行者情報サーバに、一つのチケット発行者に対して格納されるデータの摸式図
【図５０】本発明の実施の形態におけるサービス提供システムのプリペイドカード発行者情報サーバに、一つのプリペイドカード発行者に対して格納されるデータの摸式図
【図５１】本発明の実施の形態におけるサービス提供システムのテレホンカード発行者情報サーバに、一つのテレホンカードカード発行者に対して格納されるデータの摸式図
【図５２】（ａ）〜（ｇ）それぞれ本発明の実施の形態におけるサービス提供システムのサービスディレクタ情報サーバに格納されるユーザリスト、マーチャントリスト、決済処理機関リスト、チケット発行者リスト、プリペイドカード発行者リスト、テレホンカード発行者リスト、サービス提供履歴リストの摸式図
【図５３】本発明の実施の形態におけるサービス提供システムのサービスディレクタ情報サーバに、一つの電子チケットに対して格納されるデータの摸式図
【図５４】本発明の実施の形態におけるサービス提供システムのサービスディレクタ情報サーバに、一つの電子プリペイドカードに対して格納されるデータの摸式図
【図５５】本発明の実施の形態におけるサービス提供システムのサービスディレクタ情報サーバに、一つの電子テレホンカードに対して格納されるデータの摸式図
【図５６】（ａ）本発明の実施の形態におけるモバイルユーザ端末とユーザプロセスによるリモートアクセス処理のフロー図  （ｂ）本発明の実施の形態におけるモバイルユーザ端末とユーザプロセスによるデータアップデート処理のフロー図  （ｃ）本発明の実施の形態におけるモバイルユーザ端末とユーザプロセスによる強制的データアップデート処理のフロー図  （ｄ）本発明の実施の形態におけるモバイルユーザ端末とユーザプロセスによるデータバックアップ処理のフロー図
【図５７】（ａ）本発明の実施の形態におけるゲート端末（またはマーチャント102端末またはマーチャント端末103または課金装置または電子テレホンカード課金装置）とマーチャントプロセスによるリモートアクセス処理のフロー図  （ｂ）本発明の実施の形態におけるゲート端末（またはマーチャント102端末またはマーチャント端末103または課金装置または電子テレホンカード課金装置）とマーチャントプロセスによるデータアップデート処理のフロー図  （ｃ）本発明の実施の形態におけるゲート端末（またはマーチャント102端末またはマーチャント端末103または課金装置または電子テレホンカード課金装置）とマーチャントプロセスによる強制的データアップデート処理のフロー図   （ｄ）本発明の実施の形態におけるゲート端末（またはマーチャント102端末またはマーチャント端末103または課金装置または電子テレホンカード課金装置）とマーチャントプロセスによるデータバックアップ処理のフロー図
【図５８】本発明の実施の形態におけるチケットオーダーの処理のフロー図
【図５９】本発明の実施の形態におけるチケット購入の処理（即時決済）のフロー図
【図６０】本発明の実施の形態におけるチケット購入の処理（ディレイド決済）のフロー図
【図６１】本発明の実施の形態におけるプリペイドカード購入の処理（即時決済）のフロー図
【図６２】本発明の実施の形態におけるプリペイドカード購入の処理（ディレイド決済）のフロー図
【図６３】本発明の実施の形態におけるテレホンカード購入の処理（即時決済）のフロー図
【図６４】本発明の実施の形態におけるテレホンカード購入の処理（ディレイド決済）のフロー図
【図６５】（ａ）本発明の実施の形態におけるチケット使用登録の処理のフロー図  （ｂ）本発明の実施の形態におけるプリペイドカード使用登録の処理のフロー図  （ｃ）本発明の実施の形態におけるテレホンカード使用登録の処理のフロー図
【図６６】本発明の実施の形態における改札チケット設定の処理のフロー図
【図６７】本発明の実施の形態におけるチケット改札の処理のフロー図
【図６８】本発明の実施の形態におけるモバイルユーザ端末とマーチャント端末102（またはマーチャント端末103）との間で行われるプリペイドカード決済の処理のフロー図
【図６９】本発明の実施の形態におけるモバイルユーザ端末と自動販売機の間で行われるプリペイドカード決済の処理のフロー図
【図７０】本発明の実施の形態におけるテレホンカード決済の処理のフロー図
【図７１】本発明の実施の形態におけるチケット照会の処理のフロー図
【図７２】本発明の実施の形態におけるプリペイドカード照会の処理のフロー図
【図７３】本発明の実施の形態におけるテレホンカード照会の処理のフロー図
【図７４】本発明の実施の形態におけるチケット譲渡の処理のフロー図
【図７５】本発明の実施の形態におけるプリペイドカード譲渡の処理のフロー図
【図７６】本発明の実施の形態におけるテレホンカード譲渡の処理のフロー図
【図７７】本発明の実施の形態における電子チケットインストールの処理のフロー図
【図７８】本発明の実施の形態における電子プリペイドカードインストールの処理のフロー図
【図７９】本発明の実施の形態における電子テレホンカードインストールの処理のフロー図
【図８０】本発明の実施の形態におけるゲート端末に対するチケット内容変更の処理のフロー図
【図８１】本発明の実施の形態におけるモバイルユーザ端末に対するチケット内容変更の処理のフロー図
【図８２】本発明の実施の形態におけるチケット払戻の処理（即時決済）のフロー図
【図８３】本発明の実施の形態におけるチケット払戻の処理（ディレイド決済）のフロー図
【図８４】本発明の実施の形態におけるリアルクレジット決済の処理のフロー図
【図８５】（ａ）本発明の実施の形態におけるモバイルユーザ端末とユーザプロセス間で交わされるリモートアクセス要求のデータ構造の摸式図  （ｂ）本発明の実施の形態におけるモバイルユーザ端末とユーザプロセス間で交わされるリモートアクセスデータのデータ構造の摸式図
【図８６】（ａ）本発明の実施の形態におけるゲート端末（またはマーチャント102端末またはマーチャント端末103）とマーチャントプロセス間で交わされるリモートアクセス要求のデータ構造の摸式図  （ｂ）本発明の実施の形態におけるゲート端末（またはマーチャント102端末またはマーチャント端末103）とマーチャントプロセス間で交わされるリモートアクセスデータのデータ構造の摸式図
【図８７】（ａ）本発明の実施の形態におけるモバイルユーザ端末とユーザプロセス間で交わされるデータアップデート要求のデータ構造の摸式図  （ｂ）本発明の実施の形態におけるモバイルユーザ端末とユーザプロセス間で交わされるデータアップデート応答のデータ構造の摸式図  （ｃ）本発明の実施の形態におけるモバイルユーザ端末とユーザプロセス間で交わされるアップロードデータのデータ構造の摸式図  （ｄ）本発明の実施の形態におけるモバイルユーザ端末とユーザプロセス間で交わされるアップデートデータのデータ構造の摸式図  （ｅ）本発明の実施の形態におけるモバイルユーザ端末とユーザプロセス間で交わされる機能停止命令のデータ構造の摸式図  （ｆ）本発明の実施の形態におけるモバイルユーザ端末とユーザプロセス間で交わされるデータアップデート命令のデータ構造の摸式図
【図８８】（ａ）本発明の実施の形態におけるゲート端末（またはマーチャント102端末またはマーチャント端末103または課金装置または電子テレホンカード課金装置）とマーチャントプロセス間で交わされるデータアップデート要求のデータ構造の摸式図  （ｂ）本発明の実施の形態におけるゲート端末（またはマーチャント102端末またはマーチャント端末103または課金装置または電子テレホンカード課金装置）とマーチャントプロセス間で交わされるデータアップデート応答のデータ構造の摸式図  （ｃ）本発明の実施の形態におけるゲート端末（またはマーチャント102端末またはマーチャント端末103または課金装置または電子テレホンカード課金装置）とマーチャントプロセス間で交わされるアップロードデータのデータ構造の摸式図  （ｄ）本発明の実施の形態におけるゲート端末（またはマーチャント102端末またはマーチャント端末103または課金装置または電子テレホンカード課金装置）とマーチャントプロセス間で交わされるアップデートデータのデータ構造の摸式図  （ｅ）本発明の実施の形態におけるゲート端末（またはマーチャント102端末またはマーチャント端末103または課金装置または電子テレホンカード課金装置）とマーチャントプロセス間で交わされる機能停止命令のデータ構造の摸式図  （ｆ）本発明の実施の形態におけるゲート端末（またはマーチャント102端末またはマーチャント端末103または課金装置または電子テレホンカード課金装置）とマーチャントプロセス間で交わされるデータアップデート命令のデータ構造の摸式図
【図８９】（ａ）本発明の実施の形態におけるチケットオーダーの処理のモバイルユーザ端末からサービス提供システムへ送信されるチケットオーダーのデータ構造の摸式図  （ｂ）本発明の実施の形態におけるチケットオーダーの処理のサービス提供システムからチケット発行システムへ送信されるチケットオーダーのデータ構造の摸式図
【図９０】（ａ）本発明の実施の形態におけるチケットオーダーの処理のチケット発行システムからサービス提供システムへ送信されるチケットオーダー応答のデータ構造の摸式図  （ｂ）本発明の実施の形態におけるチケットオーダーの処理のサービス提供システムからモバイルユーザ端末へ送信されるチケットオーダー応答のデータ構造の摸式図
【図９１】（ａ）本発明の実施の形態におけるチケット購入の処理のモバイルユーザ端末からサービス提供システムへ送信されるチケット購入申込のデータ構造の摸式図  （ｂ）本発明の実施の形態におけるチケット購入の処理のサービス提供システムからチケット発行システムへ送信されるチケット購入申込のデータ構造の摸式図
【図９２】（ａ）本発明の実施の形態におけるチケット購入の処理の電子チケット発行依頼のデータ構造の摸式図  （ｂ）本発明の実施の形態におけるチケット購入の処理の電子チケット発行のデータ構造の摸式図
【図９３】（ａ）本発明の実施の形態におけるチケット購入の処理の仮領収書のデータ構造の摸式図  （ｂ）本発明の実施の形態におけるチケット購入の処理の決済要求のデータ構造の摸式図
【図９４】（ａ）本発明の実施の形態におけるチケット購入の処理の決済処理システムからサービス提供システムへ送信される決済完了通知のデータ構造の摸式図  （ｂ）本発明の実施の形態におけるチケット購入の処理のサービス提供システムからチケット発行システムへ送信される決済完了通知のデータ構造の摸式図
【図９５】（ａ）本発明の実施の形態におけるチケット購入の処理のチケット発行システムからサービス提供システムへ送信される領収書のデータ構造の摸式図  （ｂ）本発明の実施の形態におけるチケット購入の処理のサービス提供システムからモバイルユーザ端末へ送信される領収書のデータ構造の摸式図
【図９６】（ａ）モバイルユーザ端末からサービス提供システムへ送信されるプリペイドカード購入申込のデータ構造の摸式図  （ｂ）本発明の実施の形態におけるプリペイドカード購入の処理のサービス提供システムからプリペイドカード発行システムへ送信されるプリペイドカード購入申込のデータ構造の摸式図
【図９７】（ａ）本発明の実施の形態におけるプリペイドカード購入の処理の電子プリペイドカード発行依頼のデータ構造の摸式図  （ｂ）本発明の実施の形態におけるプリペイドカード購入の処理の電子プリペイドカード発行のデータ構造の摸式図
【図９８】（ａ）本発明の実施の形態におけるプリペイドカード購入の処理の）仮領収書のデータ構造の摸式図  （ｂ）本発明の実施の形態におけるプリペイドカード購入の処理の決済要求のデータ構造の摸式図
【図９９】（ａ）本発明の実施の形態におけるプリペイドカード購入の処理の決済処理システムからサービス提供システムへ送信される決済完了通知のデータ構造の摸式図  （ｂ）本発明の実施の形態におけるプリペイドカード購入の処理のサービス提供システムからプリペイドカード発行システムへ送信される決済完了通知のデータ構造の摸式図
【図１００】（ａ）本発明の実施の形態におけるプリペイドカード購入の処理のプリペイドカード発行システムからサービス提供システムへ送信される領収書のデータ構造の摸式図  （ｂ）本発明の実施の形態におけるプリペイドカード購入の処理のサービス提供システムからモバイルユーザ端末へ送信される領収書のデータ構造の摸式図
【図１０１】（ａ）本発明の実施の形態におけるテレホンカード購入の処理のモバイルユーザ端末からサービス提供システムへ送信されるテレホンカード購入申込のデータ構造の摸式図  （ｂ）本発明の実施の形態におけるテレホンカード購入の処理のサービス提供システムからテレホンカード発行システムへ送信されるテレホンカード購入申込のデータ構造の摸式図
【図１０２】（ａ）本発明の実施の形態におけるテレホンカード購入の処理の電子テレホンカード発行依頼のデータ構造の摸式図
【図１０３】（ｂ）本発明の実施の形態におけるテレホンカード購入の処理の電子テレホンカード発行のデータ構造の摸式図
【図１０４】（ａ）本発明の実施の形態におけるテレホンカード購入の処理の仮領収書のデータ構造の摸式図  （ｂ）本発明の実施の形態におけるテレホンカード購入の処理の決済要求のデータ構造の摸式図
【図１０５】（ａ）本発明の実施の形態におけるテレホンカード購入の処理の決済処理システムからサービス提供システムへ送信される決済完了通知のデータ構造の摸式図  （ｂ）本発明の実施の形態におけるテレホンカード購入の処理のサービス提供システムからテレホンカード発行システムへ送信される決済完了通知のデータ構造の摸式図
【図１０６】（ａ）本発明の実施の形態におけるテレホンカード購入の処理のテレホンカード発行システムからサービス提供システムへ送信される領収書のデータ構造の摸式図  （ｂ）本発明の実施の形態におけるテレホンカード購入の処理のサービス提供システムからモバイルユーザ端末へ送信される領収書のデータ構造の摸式図
【図１０７】（ａ）本発明の実施の形態におけるチケット使用登録の処理のチケット使用登録要求のデータ構造の摸式図  （ｂ）本発明の実施の形態におけるチケット使用登録の処理のチケット証明書発行のデータ構造の摸式図
【図１０８】（ａ）本発明の実施の形態におけるプリペイドカード使用登録の処理のプリペイドカード使用登録要求のデータ構造の摸式図  （ｂ）本発明の実施の形態におけるプリペイドカード使用登録の処理のプリペイドカード証明書発行のデータ構造の摸式図
【図１０９】（ａ）本発明の実施の形態におけるテレホンカード使用登録の処理のテレホンカード使用登録要求のデータ構造の摸式図  （ｂ）本発明の実施の形態におけるテレホンカード使用登録の処理のテレホンカード証明書発行のデータ構造の摸式図
【図１１０】（ａ）本発明の実施の形態における改札チケット設定の処理の改札チケット設定要求のデータ構造の摸式図  （ｂ）本発明の実施の形態における改札チケット設定の処理の改札チケット設定のデータ構造の摸式図
【図１１１】（ａ）本発明の実施の形態におけるチケット改札の処理のチケット提示のデータ構造の摸式図  （ｂ）本発明の実施の形態におけるチケット改札の処理のチケット改札のデータ構造の摸式図
【図１１２】（ａ）本発明の実施の形態におけるチケット改札の処理のチケット改札応答のデータ構造の摸式図  （ｂ）本発明の実施の形態におけるチケット改札の処理の改札証明書のデータ構造の摸式図
【図１１３】（ａ）本発明の実施の形態におけるプリペイドカード決済の処理の支払オファーのデータ構造の摸式図  （ｂ）本発明の実施の形態におけるプリペイドカード決済の処理の支払オファー応答のデータ構造の摸式図
【図１１４】（ａ）本発明の実施の形態におけるプリペイドカード決済の処理のマイクロ小切手のデータ構造の摸式図  （ｂ）本発明の実施の形態におけるプリペイドカード決済の処理の領収書のデータ構造の摸式図
【図１１５】（ａ）本発明の実施の形態におけるテレホンカード決済の処理のマイクロチェックコール要求のデータ構造の摸式図  （ｂ）本発明の実施の形態におけるテレホンカード決済の処理のマイクロチェックコール応答のデータ構造の摸式図
【図１１６】（ａ）本発明の実施の形態におけるテレホンカード決済の処理の電話マイクロ小切手のデータ構造の摸式図  （ｂ）本発明の実施の形態におけるテレホンカード決済の処理の領収書のデータ構造の摸式図  （ｃ）本発明の実施の形態におけるテレホンカード決済の処理の通話料金請求のデータ構造の摸式図
【図１１７】（ａ）本発明の実施の形態におけるチケット照会の処理の使用状況通知のデータ構造の摸式図  （ｂ）本発明の実施の形態におけるプリペイドカード照会の処理の使用状況通知のデータ構造の摸式図  （ｃ）本発明の実施の形態におけるテレホンカード照会の処理の使用状況通知のデータ構造の摸式図
【図１１８】（ａ）本発明の実施の形態におけるチケット譲渡の処理のチケット譲渡オファーのデータ構造の摸式図  （ｂ）本発明の実施の形態におけるチケット譲渡の処理のチケット譲渡オファー応答のデータ構造の摸式図
【図１１９】（ａ）本発明の実施の形態におけるチケット譲渡の処理のチケット譲渡証明書のデータ構造の摸式図  （ｂ）本発明の実施の形態におけるチケット譲渡の処理のチケット受取証のデータ構造の摸式図
【図１２０】（ａ）本発明の実施の形態におけるチケット譲渡の処理のチケット譲渡処理要求のデータ構造の摸式図  （ｂ）本発明の実施の形態におけるチケット譲渡の処理のチケット譲渡のデータ構造の摸式図
【図１２１】（ａ）本発明の実施の形態におけるプリペイドカード譲渡またはテレホンカード譲渡の処理のカード譲渡オファーのデータ構造の摸式図  （ｂ）本発明の実施の形態におけるプリペイドカード譲渡またはテレホンカード譲渡の処理のカード譲渡オファー応答のデータ構造の摸式図
【図１２２】（ａ）本発明の実施の形態におけるチケット譲渡の処理のカード譲渡証明書のデータ構造の摸式図  （ｂ）本発明の実施の形態におけるチケット譲渡の処理のカード受取証のデータ構造の摸式図
【図１２３】（ａ）本発明の実施の形態におけるプリペイドカード譲渡またはテレホンカード譲渡の処理のカード譲渡処理要求のデータ構造の摸式図  （ｂ）本発明の実施の形態におけるプリペイドカード譲渡の処理のプリペイドカード譲渡のデータ構造の摸式図  （ｃ）本発明の実施の形態におけるテレホンカード譲渡の処理のテレホンカード譲渡のデータ構造の摸式図
【図１２４】（ａ）本発明の実施の形態における電子チケットインストールの処理の電子チケットインストール要求のデータ構造の摸式図  （ｂ）本発明の実施の形態における電子チケットインストールの処理のチケットインストール要求のデータ構造の摸式図
【図１２５】（ａ）本発明の実施の形態における電子チケットインストールの処理の電子チケットインストール依頼のデータ構造の摸式図  （ｂ）本発明の実施の形態における電子チケットインストールの処理の電子チケットインストールのデータ構造の摸式図
【図１２６】（ａ）本発明の実施の形態における電子プリペイドカードインストールの処理の電子プリペイドカードインストール要求のデータ構造の摸式図  （ｂ）本発明の実施の形態における電子プリペイドカードインストールの処理のプリペイドカードインストール要求のデータ構造の摸式図
【図１２７】（ａ）本発明の実施の形態における電子プリペイドカードインストールの処理の電子プリペイドカードインストール依頼のデータ構造の摸式図  （ｂ）本発明の実施の形態における電子プリペイドカードインストールの処理の電子プリペイドカードインストールのデータ構造の摸式図
【図１２８】（ａ）本発明の実施の形態における電子テレホンカードインストールの処理の電子テレホンカードインストール要求のデータ構造の摸式図  （ｂ）本発明の実施の形態における電子テレホンカードインストールの処理のテレホンカードインストール要求のデータ構造の摸式図
【図１２９】（ａ）本発明の実施の形態における電子テレホンカードインストールの処理の電子テレホンカードインストール依頼のデータ構造の摸式図  （ｂ）電子テレホンカードインストールのデータ構造の摸式図
【図１３０】（ａ）本発明の実施の形態における電子テレホンカードインストールの処理の本発明の実施の形態における内容変更要求のデータ構造の摸式図  （ｂ）本発明の実施の形態における内容変更通知のデータ構造の摸式図
【図１３１】（ａ）本発明の実施の形態におけるリアクション選択のデータ構造の摸式図  （ｂ）本発明の実施の形態における内容変更命令のデータ構造の摸式図
【図１３２】（ａ）本発明の実施の形態における払戻要求のデータ構造の摸式図  （ｂ）本発明の実施の形態における払戻処理依頼のデータ構造の摸式図
【図１３３】（ａ）本発明の実施の形態における仮払戻領収書のデータ構造の摸式図  （ｂ）本発明の実施の形態における払戻決済要求のデータ構造の摸式図
【図１３４】（ａ）本発明の実施の形態における決済処理システムからサービス提供システムへ送信される払戻決済完了通知のデータ構造の摸式図  （ｂ）本発明の実施の形態におけるサービス提供システムからチケット発行システムへ送信される払戻決済完了通知のデータ構造の摸式図
【図１３５】（ａ）本発明の実施の形態におけるチケット発行システムからサービス提供システムへ送信される払戻領収書のデータ構造の摸式図  （ｂ）本発明の実施の形態におけるサービス提供システムからモバイルユーザ端末へ送信される払戻領収書のデータ構造の摸式図
【図１３６】（ａ）本発明の実施の形態におけるリアルクレジット決済の処理の支払オファーのデータ構造の摸式図  （ｂ）本発明の実施の形態におけるリアルクレジット決済の処理の支払オファー応答のデータ構造の摸式図  （ｃ）本発明の実施の形態におけるリアルクレジット決済の処理の信用照会要求のデータ構造の摸式図  （ｄ）本発明の実施の形態におけるリアルクレジット決済の処理の支払要求のデータ構造の摸式図  （ｅ）本発明の実施の形態におけるリアルクレジット決済の処理の信用照会応答のデータ構造の摸式図  （ｆ）本発明の実施の形態におけるリアルクレジット決済の処理のマーチャント端末からサービス提供システムに送信される決済要求のデータ構造の摸式図
【図１３７】（ａ）本発明の実施の形態におけるリアルクレジット決済の処理のサービス提供システムから決済処理システムに送信される決済要求のデータ構造の摸式図  （ｂ）本発明の実施の形態におけるリアルクレジット決済の処理の決済処理システムからサービス提供システムに送信される決済完了通知のデータ構造の摸式図  （ｃ）本発明の実施の形態におけるリアルクレジット決済の処理のサービス提供システムからマーチャント端末に送信される決済完了通知のデータ構造の摸式図
【図１３８】（ａ）本発明の実施の形態におけるリアルクレジット決済の処理のマーチャント端末からサービス提供システムに送信される領収書のデータ構造の摸式図  （ｂ）本発明の実施の形態におけるリアルクレジット決済の処理のサービス提供システムからモバイルユーザ端末に送信される領収書のデータ構造の摸式図
【図１３９】（ａ）本発明の第２の実施の形態におけるモバイルユーザ端末の前面の外観図  （ｂ）本発明の第２の実施の形態におけるモバイルユーザ端末の背面の外観図
【図１４０】本発明の第２の実施の形態におけるモバイルユーザ端末のブロック構成図
【図１４１】（ａ）本発明の第３の実施の形態におけるモバイルユーザ端末の前面の外観図  （ｂ）本発明の第３の実施の形態におけるモバイルユーザ端末の背面の外観図  （ｃ）本発明の第３の実施の形態におけるＩＣカードを装着していない場合のデジタル電話モード時のモバイルユーザ端末の前面の外観とＩＣカードの概観図  （ｄ）本発明の第３の実施の形態におけるＩＣカードを装着した場合のクレジットカードモード時のモバイルユーザ端末の前面の外観図
【図１４２】本発明の第３の実施の形態におけるモバイルユーザ端末のブロック構成図
【図１４３】本発明の第３の実施の形態におけるＩＣカードのブロック構成図
【図１４４】本発明の第３の実施の形態におけるＩＣカードのＦｅＲＡＭのメモリマップの模式図
【符号の説明】
【２２９８】
100、200  モバイルユーザ端末
101  ゲート端末
102  マーチャント端末
103  マーチャント端末
104  自動販売機
105、202  交換局
106  決済処理システム
107  チケット発行システム
108  プリペイドカード発行システム
109  テレホンカード発行システム
110  サービス提供システム
111  デジタル公衆網
112、113、114、201  基地局
115  電話端末
207  インストールカード
300、400、501、600、700  赤外線通信モジュール（赤外線通信ポート）
301、601、701  アンテナ
302、602  レシーバ・スピーカ
303、502、603  ＬＣＤ
304、504、604  モードスイッチ
305、605  通話スイッチ
306、606  終了スイッチ
307、506、607  ファンクションスイッチ
308、403、507、608  テンキースイッチ
309、402、509、611  電源スイッチ
310、609  マイク
311、508、612  実行スイッチ
312、613  ヘッドセットジャック
313、314、315  イメージ表示部
401、702  タッチパネルＬＣＤ
404  メニュースイッチ
405  ロックスイッチ
406、510  シリアルケーブル
503  受話器
505  フックスイッチ
511  キャッシュレジスタ
512  プリペイドカード決済スイッチ
513  クレジット決済スイッチ
514  ＲＳ−２３２Ｃケーブル
610  バーコードリーダ
614  カードスロット
703  取出口
704  商品選択スイッチ
705  売り切れ表示（ＬＥＤ）
706  商品見本
800  電子テレホンカード課金装置
801  交換機
802  データ処理装置
803  変復調装置
804  基地局制御装置
900  サービスサーバ
901  サーバディレクタ情報サーバ
902  ユーザ情報サーバ
903  マーチャント情報サーバ
904  決済処理機関情報サーバ
905  チケット発行者情報サーバ
906  プリペイドカード発行者情報サーバ
907  テレホンカード発行者情報サーバ
908、1006、1106、1206、1306  管理システム
909、910、1004、1007、1104、1107、1204、1207、1304、1307  ＡＴＭ-ＬＡＮスイッチ
911、1005、1105、1205、1305  ＡＴＭ交換機
1000  トランザクション処理サーバ
1001  加入者情報サーバ
1002  加盟店情報サーバ
1003  取引情報サーバ
1100  チケット発行サーバ
1101、1201、1301  顧客情報サーバ
1102  チケット発行情報サーバ
1103  チケット情報サーバ
1200  プリペイドカード発行サーバ
1202  プリペイドカード発行情報サーバ
1203  プリペイドカード情報サーバ
1300  テレホンカード発行サーバ
1302  テレホンカード発行情報サーバ
1303  テレホンカード情報サーバ
1400  電子プリペイドカード・インストールカード
1401  電子テレホンカード・インストールカード
1402  電子チケット・インストールカード
1406、1412、1418  フォログラフィ
1407、1413、1419  インストールカード番号
1408、1414、1420  インストール番号
1500、2200、2600、3000、3400、3800  ＣＰＵ
1501、2201、2601、3001、3401、3801  ＲＯＭ
1502、2202、2602、3002、3402、3802  ＲＡＭ
1503、2204、2604、3003、3403、3804  ＥＥＰＲＯＭ
1504、2605、3004  ＬＣＤコントローラ
1505、2205、2606、3005、3404、3805  暗号処理プロセッサ
1506、2206、2607、3006、3405、3806  データコーデック
1507、3007、3406  赤外線通信モジュール
1508、2214、2610、3008、3407  制御ロジック部
1509、2212、2611、3009  キー操作制御部
1510、2211、2612、3010、3415  スピーカ
1511、2413、2613、3011  音声処理部
1512、2414、2614、3012  音声コーデック
1513、2415、2615、3013、3408  チャネルコーデック
1514、3014、3409  変調部
1515、3015、3410  復調部
1516、3016、3412  ＰＬＬ
1517、3017、3411  ＲＦ部
1518、3018  バッテリィ容量検出部
1600、3100、3500  フレームカウンタ
1601、3101、3501  起動フレームカウンタ
1602、2300、2700、3102、3502  クロックカウンタ
1603、2301、2701、3103、3503  アップデート時刻レジスタ
1604、2302、2702、3104、3504  割込レジスタ
1605、2307、2703、3105、3505  ＩＤレジスタ
1606、2704、3106、3506  チャンネルコーデック制御レジスタ
1607、2705、3107  音声送信バッファ
1608、2706、3108  音声受信バッファ
1609、2707、3109、3507  データ送信バッファ
1610、2708、3110、3508  データ受信バッファ
1611、2303、2709、3111  音声処理部制御レジスタ
1612、2306、2710、3112  キー操作制御レジスタ
1613、2711、3113  音声データ暗号鍵レジスタ
2203、2603、3803  ハードディスク
2207  デジタル電話通信部
2208、2608  直列−並列変換回路
2209、2609  シリアルポート
2210  サウンド制御部
2213  外部インターフェイス
304  Ｘ座標レジスタ
2305  Ｙ座標レジスタ
2308  電話通信制御レジスタ
2616  デジタル通信アダプタ
2617  ＲＳ−２３２Ｃインターフェイス
3059  メモリカード
3114  キー表示レジスタ
3413、3807  外部インターフェイス部
3414  制御部
3416  代金計算部
3417  商品管理部
3418  商品出力機構部
3419  ＣＤ-ＲＯＭドライブ
3456  販売機構部
3455  課金装置
13800  プリペイドカード
13801  プリペイドカード端末
13802、13818  センターシステム
13816  チケット
13817  チケット発券端末
【図１】
2006040298.tif 000003
【図２】
2006040298.tif 000004
【図３（ａ）（ｂ）（ｃ）（ｄ）（ｅ）】
2006040298.tif 000005
【図３（ｆ）（ｇ）（ｈ）】
2006040298.tif 000006
【図４】
2006040298.tif 000007
【図５】
2006040298.tif 000008
【図６】
2006040298.tif 000009
【図７】
2006040298.tif 000010
【図８】
2006040298.tif 000011
【図９】
2006040298.tif 000012
【図１０】
2006040298.tif 000013
【図１１】
2006040298.tif 000014
【図１２】
2006040298.tif 000015
【図１３】
2006040298.tif 000016
【図１４】
2006040298.tif 000017
【図１５】
2006040298.tif 000018
【図１６】
2006040298.tif 000019
【図１７】
2006040298.tif 000020
【図１８】
2006040298.tif 000021
【図１９】
2006040298.tif 000022
【図２０】
2006040298.tif 000023
【図２１】
2006040298.tif 000024
【図２２】
2006040298.tif 000025
【図２３】
2006040298.tif 000026
【図２４】
2006040298.tif 000027
【図２５】
2006040298.tif 000028
【図２６】
2006040298.tif 000029
【図２７】
2006040298.tif 000030
【図２８】
2006040298.tif 000031
【図２９】
2006040298.tif 000032
【図３０】
2006040298.tif 000033
【図３１】
2006040298.tif 000034
【図３２】
2006040298.tif 000035
【図３３】
2006040298.tif 000036
【図３４】
2006040298.tif 000037
【図３５】
2006040298.tif 000038
【図３６】
2006040298.tif 000039
【図３７】
2006040298.tif 000040
【図３８】
2006040298.tif 000041
【図３９】
2006040298.tif 000042
【図４０】
2006040298.tif 000043
【図４１】
2006040298.tif 000044
【図４２】
2006040298.tif 000045
【図４３】
2006040298.tif 000046
【図４４】
2006040298.tif 000047
【図４５】
2006040298.tif 000048
【図４６】
2006040298.tif 000049
【図４７】
2006040298.tif 000050
【図４８】
2006040298.tif 000051
【図４９】
2006040298.tif 000052
【図５０】
2006040298.tif 000053
【図５１】
2006040298.tif 000054
【図５２】
2006040298.tif 000055
【図５３】
2006040298.tif 000056
【図５４】
2006040298.tif 000057
【図５５】
2006040298.tif 000058
【図５６】
2006040298.tif 000059
【図５７】
2006040298.tif 000060
【図５８】
2006040298.tif 000061
【図５９】
2006040298.tif 000062
【図６０】
2006040298.tif 000063
【図６１】
2006040298.tif 000064
【図６２】
2006040298.tif 000065
【図６３】
2006040298.tif 000066
【図６４】
2006040298.tif 000067
【図６５】
2006040298.tif 000068
【図６６】
2006040298.tif 000069
【図６７】
2006040298.tif 000070
【図６８】
2006040298.tif 000071
【図６９】
2006040298.tif 000072
【図７０】
2006040298.tif 000073
【図７１】
2006040298.tif 000074
【図７２】
2006040298.tif 000075
【図７３】
2006040298.tif 000076
【図７４】
2006040298.tif 000077
【図７５】
2006040298.tif 000078
【図７６】
2006040298.tif 000079
【図７７】
2006040298.tif 000080
【図７８】
2006040298.tif 000081
【図７９】
2006040298.tif 000082
【図８０】
2006040298.tif 000083
【図８１】
2006040298.tif 000084
【図８２】
2006040298.tif 000085
【図８３】
2006040298.tif 000086
【図８４】
2006040298.tif 000087
【図８５】
2006040298.tif 000088
【図８６】
2006040298.tif 000089
【図８７】
2006040298.tif 000090
【図８８】
2006040298.tif 000091
【図８９】
2006040298.tif 000092
【図９０】
2006040298.tif 000093
【図９１】
2006040298.tif 000094
【図９２】
2006040298.tif 000095
【図９３】
2006040298.tif 000096
【図９４】
2006040298.tif 000097
【図９５】
2006040298.tif 000098
【図９６】
2006040298.tif 000099
【図９７】
2006040298.tif 000100
【図９８】
2006040298.tif 000101
【図９９】
2006040298.tif 000102
【図１００】
2006040298.tif 000103
【図１０１】
2006040298.tif 000104
【図１０２】
2006040298.tif 000105
【図１０３】
2006040298.tif 000106
【図１０４】
2006040298.tif 000107
【図１０５】
2006040298.tif 000108
【図１０６】
2006040298.tif 000109
【図１０７】
2006040298.tif 000110
【図１０８】
2006040298.tif 000111
【図１０９】
2006040298.tif 000112
【図１１０】
2006040298.tif 000113
【図１１１】
2006040298.tif 000114
【図１１２】
2006040298.tif 000115
【図１１３】
2006040298.tif 000116
【図１１４】
2006040298.tif 000117
【図１１５】
2006040298.tif 000118
【図１１６】
2006040298.tif 000119
【図１１７】
2006040298.tif 000120
【図１１８】
2006040298.tif 000121
【図１１９】
2006040298.tif 000122
【図１２０】
2006040298.tif 000123
【図１２１】
2006040298.tif 000124
【図１２２】
2006040298.tif 000125
【図１２３】
2006040298.tif 000126
【図１２４】
2006040298.tif 000127
【図１２５】
2006040298.tif 000128
【図１２６】
2006040298.tif 000129
【図１２７】
2006040298.tif 000130
【図１２８】
2006040298.tif 000131
【図１２９】
2006040298.tif 000132
【図１３０】
2006040298.tif 000133
【図１３１】
2006040298.tif 000134
【図１３２】
2006040298.tif 000135
【図１３３】
2006040298.tif 000136
【図１３４】
2006040298.tif 000137
【図１３５】
2006040298.tif 000138
【図１３６】
2006040298.tif 000139
【図１３７】
2006040298.tif 000140
【図１３８】
2006040298.tif 000141
【図１３９】
2006040298.tif 000142
【図１４０】
2006040298.tif 000143
【図１４１】
2006040298.tif 000144
【図１４２】
2006040298.tif 000145
【図１４３】
2006040298.tif 000146
【図１４４】
2006040298.tif 000147